(57)【要約】  本発明は、新規なポリヌクレオチドおよびポリペプチドに関する。かかる新規な産物は、法医学分析における試薬として、発現ベクターの作製における染色体マーカー、組織／細胞／細胞器官特異的マーカーとして使用することが可能である。さらに、異常な新規発現および／または生物活性についてのスクリーニングおよび診断アッセイにおいて、かつ新規な関連疾患の治療に使用される化合物をスクリーニングするために、それらを使用することができる。【特許請求の範囲】
【請求項１】
ａ）いずれか１つの偶数配列番号の２〜４０の６〜７７６の少なくともいずれか１つの整数個のアミノ酸をコードする奇数配列番号１〜３９ポリヌクレオチド、
ｂ）いずれか１つの偶数配列番号２〜４０のシグナルペプチド配列をコードする奇数配列番号１〜３９のポリヌクレオチド、
ｃ）いずれか１つの偶数配列番号２〜４０の成熟ポリペプチド配列をコードする奇数配列番号１〜３９のポリヌクレオチド、
ｄ）いずれか１つの偶数配列番号２〜４０の完全長ポリペプチド配列をコードする奇数配列番号１〜３９のポリヌクレオチド、
ｅ）いずれか１つの偶数配列番号２〜４０の生物活性断片のポリペプチド配列をコードする奇数配列番号１〜３９のポリヌクレオチド、
ｆ）いずれか１つの偶数配列番号２〜４０の６〜７７６の少なくともいずれか１つの整数個のアミノ酸のポリペプチド配列をコードするポリヌクレオチド、
ｇ）いずれか１つの偶数配列番号２〜４０のシグナルペプチドのポリペプチド配列をコードするポリヌクレオチド、
ｈ）いずれか１つの偶数配列番号２〜４０の成熟ポリペプチドのポリペプチド配列をコードするポリヌクレオチド、
ｉ）いずれか１つの偶数配列番号２〜４０の完全長ポリペプチドのポリペプチド配列をコードするポリヌクレオチド、
ｊ）いずれか１つの偶数配列番号２〜４０の生物学的ポリペプチドのポリペプチド配列をコードするポリヌクレオチド、
ｋ）発現ベクターをさらに含む、ａ）〜ｊ）のいずれか１つのポリヌクレオチド、
ｌ）上記のａ）〜ｋ）のポリヌクレオチドの宿主細胞組換え体、
ｍ）ｋ）の宿主細胞を含む非ヒト遺伝子導入動物、
ｎ）生理学的に許容される担体をさらに含むａ）〜ｊ）のポリヌクレオチド
からなる群から選択される核酸配列を含む単離されたポリヌクレオチド。
【請求項２】
ａ）いずれか１つの偶数配列番号２〜４０の６〜７７６のいずれか１つの整数個のアミノ酸、
ｂ）いずれか１つの偶数配列番号２〜４０のシグナルペプチド配列、
ｃ）いずれか１つの偶数配列番号２〜４０の成熟ポリペプチド配列、
ｄ）いずれか１つの偶数配列番号２〜４０の完全長ポリペプチド配列、
ｅ）生理学的に許容される担体をさらに含むａ）〜ｄ）のポリペプチド
からなる群から選択される連続アミノ酸配列を含むポリペプチド。
【請求項３】
ａ）請求項１に記載のポリヌクレオチドを含む宿主細胞の集団を提供し、
ｂ）前記宿主細胞中で請求項２に記載のポリペプチドを生成する助けとなる条件下にて、宿主細胞の前記集団を培養し、
ｃ）宿主細胞の前記集団から前記ポリペプチドを精製する工程を含むポリペプチドを作製する方法。
【請求項４】
ａ）プロモーターに作動可能に連結される請求項２に記載のポリペプチドをコードするポリヌクレオチドを含む細胞の集団を提供し、
ｂ）前記細胞中で前記ポリペプチドを生成する助けとなる条件下にて、前記細胞集団を培養し、
ｃ）前記細胞集団から前記ポリペプチドを精製する工程を含むポリペプチドを作製する方法。
【請求項５】
請求項２に記載のポリペプチドに特異的に結合する抗体。
【請求項６】
抗体が前記ポリペプチドに特異的に結合することができる条件下にて、前記抗体を前記ポリペプチドと接触させる工程を含む請求項５に記載の抗体に、請求項２に記載のポリペプチドを結合させる方法。
【請求項７】
ａ）前記哺乳動物から生体試料を採取し、
ｂ）前記生体試料を、
ｉ）厳密な条件下にて、請求項１に記載のポリヌクレオチドとハイブリダイズするポリヌクレオチド、または
ｉｉ）請求項２に記載のポリペプチドに特異的に結合するポリペプチド
のいずれかと接触させ、
ｃ）前記試料中の前記ポリヌクレオチドとＲＮＡ種との間のハイブリダイゼーションの有無または前記試料中の前記ポリペプチドのタンパク質への結合の有無を検出する工程を含む、新規な遺伝子が哺乳動物中で発現されるかどうかを決定する方法であって、
前記ハイブリダイゼーションまたは前記結合の検出によって、前記新規な遺伝子が前記動物中で発現されることを示す方法。
【請求項８】
前記ポリヌクレオチドがプライマーであり、かつ前記ハイブリダイゼーションが、前記プライマーの配列を含む増幅産物の存在を検出することによって検出される請求項７に記載の方法。
【請求項９】
前記ポリペプチドが抗体である請求項７に記載の方法。
【請求項１０】
ａ）前記哺乳動物から生体試料を採取し、
ｂ）前記生体試料中の、請求項２に記載のポリペプチドの量または前記ポリペプチドをコードするＲＮＡ種の量を、対照試料で検出されたまたは対照試料から予想されるレベルと比較する工程を含む、哺乳動物が増加または減少したレベルの新規遺伝子発現を有するかどうかを決定する方法であって、
前記対照試料で検出されたまたは前記対照試料から予想される前記レベルと比較して、前記生体試料中の前記ポリペプチドまたは前記ＲＮＡ種の増加量から、前記哺乳動物が増加したレベルの前記新規遺伝子発現を有することを示し、かつ
前記対照試料で検出されたまたは前記対照試料から予想される前記レベルと比較して、前記生体試料中の前記ポリペプチドまたは前記ＲＮＡ種の減少量から、前記哺乳動物が減少したレベルの前記新規遺伝子発現を有することを示す方法。
【請求項１１】
ａ）請求項２に記載のポリペプチドを試験化合物と接触させ、
ｂ）前記化合物が前記ポリペプチドに特異的に結合するかどうかを決定する工程を含む、新規ポリペプチドの候補修飾因子を同定する方法であって、
前記化合物が前記ポリペプチドに特異的に結合することの検出によって、前記化合物が前記新規ポリペプチドの候補修飾因子であることを示す方法。
【請求項１２】
前記候補修飾因子の存在下にて、前記新規ポリペプチドの生物活性を試験する工程をさらに含む請求項１１に記載の方法であって、前記化合物の非存在下での活性と比較して、前記化合物の存在下での前記新規ポリペプチドの生物活性の変化から、その化合物が前記新規ポリペプチドの修飾因子であることを示す方法。
【請求項１３】
ａ）請求項１１に記載の方法を用いて、新規ポリペプチドの修飾因子を同定し、
ｂ）前記修飾因子を生理学的に許容される担体と組み合わせる工程を含む薬剤組成物を製造する方法。
【発明の詳細な説明】
【技術分野】
【０００１】
関連出願
本出願は、「ヒトｃＤＮＡ及びタンパク質及びその使用」というタイトルの、２００１年１１月２８日出願の米国特許仮出願第６０/３３４，１４７号；「ヒトｃＤＮＡ及びタンパク質及びその使用」というタイトルの、２００１年１２月１４日出願の米国特許仮出願第６０/３４０，４６５号；「ヒトｃＤＮＡ及びタンパク質及びその使用」というタイトルの、２００２年４月１８日出願の米国特許仮出願第６０/３７３，９４７からの優先権を主張する。
【０００２】
本発明の分野
本発明は、新規なポリヌクレオチド及びポリペプチド、及びその断片、誘導体及び変異体に関する。本発明はまた、本発明のポリヌクレオチドを含む組換えベクター、特に新規な遺伝子調節領域又は新規なポリペプチドをコードする配列を含む組換えベクター、及び本発明のポリヌクレオチドを含有する宿主細胞に関する。本発明はさらに、本発明のポリペプチドに特異的に結合する抗体、及びかかる抗体及びその断片を作製する方法に関する。本発明は、試料中の本発明のポリヌクレオチド及びポリペプチドの存在を検出する方法、異常な新規なポリペプチドの発現及び／又は生物活性を診断及びスクリーニングする方法、新規なポリペプチドの活性又は発現を調節するそれらの能力について化合物をスクリーニングする方法もまた提供する。
【背景技術】
【０００３】
発明の背景
分泌タンパク質をコードするｃＤＮＡ又はその断片は、治療薬の特に貴重な原料（source）である。したがって、分泌及びタンパク質及びそれらをコードする核酸を同定かつ特徴付けする必要がある。
それら自体が治療上有用であることの他に、分泌タンパク質は、それらの分泌を指示するアミノ末端に、シグナルペプチドと呼ばれる短いペプチドを含む。これらのシグナルペプチドは、分泌タンパク質をコードする遺伝子のコード配列の５’末端に位置するシグナル配列によってコードされる。これらのシグナルペプチドは、それらが作動可能に連結されるいずれかのタンパク質の細胞外分泌を指示すると考えられるため、シグナル配列を利用して、タンパク質をコードする遺伝子にシグナル配列を作動可能に連結することによって、分泌が望まれる任意のタンパク質の効率的な分泌を指示することができる。さらに、膜移行（membrane-translocating）配列と呼ばれるシグナルペプチドの断片を使用して、対象のペプチド又はタンパク質の細胞内輸送（インポート）を指示することもできる。これは、それが生成される細胞以外の細胞に特定の遺伝子産物を運搬することが望まれる、遺伝子治療方法において有益であることがわかっている。シグナルペプチドをコードするシグナル配列もまた、タンパク質精製技術の簡略化での用途が見出されている。かかる用途において、目的タンパク質の細胞外分泌は、目的のタンパク質がそれらから選択されなければならない、不要なタンパク質の数を低減することによって、精製を非常に容易にする。したがって、シグナルペプチドをコードする分泌タンパク質の遺伝子の ５’断片を同定し、かつ特徴付ける必要がある。
【０００４】
分泌タンパク質をコードする配列もまた、治療又は診断での用途を見出すことができる。特にかかる配列を使用して、分泌タンパク質のコード配列における変異の結果として、個体が疾患などの検出可能な表現型を発現する可能性があるかどうかを決定することが可能である。かかるコード配列における変異の結果として、個体が疾患又は他の好ましくない表現型を有するリスクがある場合には、遺伝子治療を用いて正常なコード配列を導入することによって、好ましくない表現型を正すことができる。あるいは、好ましくない表現型によって、コード配列によりコードされるタンパク質の過剰発現が生じる場合、そのタンパク質の発現を、アンチセンス又は三重らせんに基づく方策を用いて低減することが可能である。
【０００５】
コード配列によってコードされる分泌ヒトポリペプチドもまた、ポリペプチドをコードする配列における変異から生じる、疾患などの病状を有する個体にそれらを直接投与することによって、治療として使用することができる。かかる場合には、その病状は、個体にポリペプチドを投与することによって治癒又は改善することができる。
さらに、分泌ヒトポリペプチド又はその断片を使用して、生体試料の起源の組織型又は種類を決定するのに有用な抗体を作製することができる。この抗体を使用して、分泌ヒトポリペプチドの細胞局在又はヒトポリペプチドに融合しているポリペプチドの細胞局在を決定することもできる。さらに、イムノアフィニティー・クロマトグラフィーにこの抗体を用いて、ヒトポリペプチド又はヒトポリペプチドに融合している標的ポリペプチドを単離、精製、又は濃縮することもできる。
【発明の開示】
【課題を解決するための手段】
【０００６】
発明の概要
本発明は：（ａ）配列番号：１〜３９の奇数番号の配列；（ｂ）配列番号：１〜３９の奇数番号のコード配列；（ｃ）配列番号：２〜４０の偶数番号のポリペプチドの１つをコードする配列；（ｄ）新規なポリペプチドをコードするゲノム配列；（ｅ）新規な遺伝子の５’転写調節領域；（ｆ）新規な遺伝子の３’転写調節領域；（ｇ）（ｄ）〜（ｆ）のいずれかの組み合わせのヌクレオチド配列を含むポリヌクレオチド；（ｈ）（ａ）〜（ｇ）のポリヌクレオチドのいずれかの変異ポリヌクレオチド；（i)（ａ）〜（ｈ）のヌクレオチド配列を含むポリヌクレオチドであって、一本鎖、二本鎖であるか、又は一部が一本鎖であり、一部が二本鎖である、ポリヌクレオチド；（ｊ）（i)の一本鎖ポリヌクレオチドのいずれかに相補的なヌクレオチド配列を含むポリヌクレオチド；からなる群から選択されるヌクレオチド配列を含む、からなる、又はから本質的になる、精製又は単離ポリヌクレオチドを提供する。本発明はさらに、上述の（ａ）〜（ｊ）の核酸及びポリペプチドの断片を提供する。
【０００７】
本発明のさらなる実施形態は、例えば整数１０と、配列表の指定の配列の最後のヌクレオチドを表す最後の整数との間の少なくともおよそいずれかの１つの整数の隣接ヌクレオチドの領域にわたり、上記の（ａ）〜（ｊ）におけるヌクレオチド配列のいずれかと、少なくとも７０％、さらに好ましくは７５％同一の、またさらに好ましくは少なくとも８０％、８５％、９０％、９５％、９６％、９７％、９８％、又は９９％同一のヌクレオチド配列を含む、からなる、又はから本質的になる、精製又は単離ポリヌクレオチド、あるいは厳密なハイブリダイゼーション条件下にて、上記の（ａ）〜（ｊ）を含む本発明のポリヌクレオチドにハイブリダイズするポリヌクレオチドを含む。
【０００８】
本発明は、本発明の精製又は単離ポリヌクレオチドを含む組換えベクター、及び本発明のポリヌクレオチドの宿主細胞組換え体、ならびにかかるベクター及び宿主細胞の作製方法にも関する。本発明はさらに、新規なポリペプチドの作製におけるこれらの組換えベクター及び組換え宿主細胞の使用に関する。本発明はさらに、プロモーター、エンハンサー等を含む調節配列に作動可能に連結される本発明のポリヌクレオチドに関する。
【０００９】
本発明はさらに、（ａ）配列番号：２〜２４の偶数番号の完全長ポリペプチド；（ｂ）配列番号：２〜４０の偶数番号のポリペプチドの、エピトープを有する断片；（ｃ）配列番号：２〜４０の偶数番号のポリペプチドのドメイン；（ｄ）配列番号：２〜４０の偶数番号のポリペプチドのシグナルペプチド；（ｅ）配列番号：２〜４０の偶数番号の成熟ポリペプチド；及び（ｆ）（ａ）〜（ｅ）のポリペプチドのいずれかの対立遺伝子変異体ポリペプチド；からなる群から選択されるアミノ酸配列を含む、からなる、又はから本質的になる、精製又は単離ポリペプチドを提供する。本発明はさらに、生物活性を有する、又は生物機能性ドメイン（１つ又は複数）を含むものなど、上記の（ａ）〜（ｆ）のポリペプチドの断片を提供する。
【００１０】
本発明はさらに、例えば、整数６と配列表の指定のポリペプチド配列の最後アミノ酸を表す最後の整数との間の少なくともいずれか１つの整数のアミノ酸領域にわたり、（ａ）〜（ｆ）に記載のポリペプチドと少なくとも７０％の類似性、さらに好ましくは、少なくとも７５％、８０％、８５％、９０％、９５％、９６％、９７％、９８％、又は９９％の類似性を有するアミノ酸配列を有するポリペプチド、その断片、ならびに（ａ）〜（i)に記載のポリペプチドと少なくとも７０％同一の、さらに好ましくは、少なくとも７５％同一の、またさらに好ましくは、８０％、８５％、９０％、９５％、９６％、９７％、９８％、又は９９％同一のアミノ酸配列を有するポリペプチド、又はその断片を含む。本発明はさらに、本発明のポリペプチドを作製する方法に関する。
【００１１】
本発明はさらに、遺伝子導入植物又は動物に関し、前記遺伝子導入植物又は動物は、本発明のポリヌクレオチドを導入したものであり、本発明のポリペプチドを発現する。
本発明はさらに、本発明の新規なポリペプチド及びその断片に特異的に結合する抗体、ならびにかかる抗体及びその断片を作製する方法に関する。
本発明は、生体試料における新規な遺伝子の発現及び／又は生物学的活性を検出するためのキット、その使用、及び検出する方法もまた提供する。かかる一方法は、新規なポリヌクレオチドを増幅かつ検出するためにポリメラーゼ連鎖反応（ＰＣＲ）を用いて、又は新規なゲノムＤＮＡ、ｃＤＮＡもしくはｍＲＮＡを検出するためにサザンブロット及びノーザンブロット・ハイブリダイゼーションを用いて、生体試料における新規なポリヌクレオチドの発現をアッセイすることを含む。あるいは、試験試料における新規な遺伝子の発現を検出する方法は、本発明の新規なポリペプチド又は新規なポリペプチドの一部に結合する化合物を用いて行うことができる。
【００１２】
本発明はまた、その個体が新規な遺伝子発現をそれぞれ抑制又は増強する治療から恩恵を受ける可能性のある、高レベル又は低いレベルの新規な遺伝子産物を有する個体又は非ヒト動物を同定するための、新規なポリヌクレオチド及びポリペプチドの診断方法及び使用、ならびに新規なポリペプチドの発現もしくは生物活性に関連する、特定の疾患／障害を発生するリスクが高い又は現在有する個体又は非ヒト動物を同定する方法に関する。
【００１３】
本発明は、新規なポリペプチドの活性又は発現を調節する（増加又は抑制する）それらの能力について化合物を、例えば新規な遺伝子調節配列と相互作用する化合物及び新規なポリペプチドと直接もしくは間接的に相互作用する化合物などを、スクリーニングするためのキット、その使用、及びスクリーニングする方法にも関する。かかる化合物の使用もまた、本発明の範囲内である。
【００１４】
本発明はまた、活性剤、本発明のポリペプチド、ポリヌクレオチド又は抗体、ならびに通常、生理学的に許容可能な担体を含む、薬学的又は生理学的に許容可能な組成物に関する。
本発明は、本発明の配列のｃＤＮＡコード及びポリペプチドコードを収めるコンピュータ・システム、及び配列を比較し、相同性を同定する、又は本発明の新規なポリペプチド又は新規なポリヌクレオチド配列を使用することを特徴とする、コンピューターに関連する方法にも関する。
【００１５】
他の態様において、本発明は、単離ポリヌクレオチド、上記（ａ）〜（ｆ）のポリペプチドを含む本発明のポリペプチドをコードする核酸配列を含むポリヌクレオチドを提供する。
他の態様において、本発明は、宿主細胞を含む非ヒト遺伝子導入動物を提供する。
別の態様において、本発明は、新規なポリペプチドを作製する方法であって、ａ）本明細書に記載のポリヌクレオチドを含む宿主細胞集団を提供し、ｂ）前記宿主細胞内でポリペプチドが生成される助けとなる条件下にて、宿主細胞集団を培養することを含む方法を提供する。
【００１６】
一実施形態において、この方法はさらに、宿主細胞集団からポリペプチドを精製することを含む。
その他の態様では、本発明は、新規なポリペプチドを作製する方法であって、ａ）本明細書に記載のポリペプチドをコードするポリヌクレオチドを含む細胞集団を提供し、ｂ）細胞内でポリペプチドが生成される助けとなる条件下にて、その細胞集団を培養し、ｃ）集団細胞からポリペプチドを精製することを含む方法を提供する。
【００１７】
その他の態様において、本発明は、本明細書に記載のポリヌクレオチドのいずれかによってコードされる生物活性ポリペプチドを提供する。
一実施形態において、このポリペプチドは、抗原ポリペプチド又はその抗原断片に対して産生される抗体によって選択的に認識され、その抗原ポリペプチドは、配列番号：２〜４０の偶数番号で示される配列のいずれか１つを含む。
【００１８】
その他の態様において、本発明は、本明細書に記載のポリペプチドのいずれかに特異的に結合する抗体、及び抗体を前記ポリペプチドに結合させる方法を提供する。
その他の態様において、本発明は、新規な遺伝子が哺乳動物内で発現されるかどうかを決定する方法であって、ａ）前記哺乳動物から生体試料を採取し；ｂ）前記生体試料を、（i)厳密な条件下にて、本明細書に記載のポリヌクレオチドのいずれかとハイブリダイズするポリヌクレオチド、又は（ii)本明細書に記載のポリペプチドのいずれかに特異的に結合するポリペプチドのどちらかと接触させ；ｃ）そのポリヌクレオチドと試料内のＲＮＡ種との間でのハイブリダイゼーションの有無、又は試料中のタンパク質へのそのポリペプチドの結合の有無を検出する工程を含み、そのハイブリダイゼーション又は結合の検出によって、新規な遺伝子が哺乳動物内で発現していることが示される方法を提供する。
【００１９】
一実施形態において、このポリヌクレオチドはプライマーであり、このハイブリダイゼーションは、プライマーの配列を含む増幅産物の存在を検出することによって検出される。その他の実施形態では、このポリペプチドは抗体である。
その他の態様において、本発明は、哺乳類動物が高レベル又は低レベルの新規な遺伝子発現を有するかどうかを決定する方法であって：ａ）哺乳類動物から生体試料を採取し；ｂ）生体試料中の本明細書に記載のポリペプチドのいずれか又はそのポリペプチドをコードするＲＮＡ種の量を、対照試料で検出される、又は対照試料から予想されるレベルと比較し、対照試料で検出される、又は対照試料から予想されるレベルと比較して、生体試料中の増加した量のポリペプチド又はＲＮＡ種によって、その哺乳動物が高レベルの新規な遺伝子発現を有することが示され、かつ対照試料で検出される、又は対照試料から予想されるレベルと比較して、生体試料中の減少した量のポリペプチド又はＲＮＡ種によって、その哺乳動物が、低レベルの新規な遺伝子発現を有することが示される工程を含む方法を提供する。
【００２０】
その他の態様において、本発明は、新規なポリペプチドの候補修飾因子を同定する方法であって、ａ）本明細書に記載のポリペプチドのいずれかを試験化合物と接触させ；ｂ）その化合物がポリペプチドに特異的に結合するかどうかを決定する工程を含み、その化合物がポリペプチドに特異的に結合することを検出することによって、その化合物が、特定の生物活性を抑制又は活性化する、新規なポリペプチドの候補修飾因子であることが示される工程を含む方法を提供する。
【００２１】
表の簡単な説明
表Ｉには、配列表の各配列識別番号（ＳＥＱ ＩＤ ＮＯ)に相当し、かつその配列が核酸配列（ＤＮＡ）であるか、又はポリペプチド配列（ＰＲＴ）であるかどうかを示す、出願人らの内部指定番号（クローンＩＤ＿クローン名）を提供する。さらに、対応する核酸又はポリペプチド配列の名称に関する情報が提供される。
【００２２】
表ＩＩには、オープンリーディングフレーム（ＯＲＦ）、シグナルペプチド、成熟ペプチド、ポリアデニル化シグナル、及び本発明のポリヌクレオチドのポリＡテールを含む配列表の相当する配列番号のヌクレオチドの位置を示す。
表ＩＩＩには、抗体産生に有用な、本発明のポリペプチドの免疫原性エピトープの位置を含む、配列表の相当する配列番号のアミノ酸の位置を示す。
【００２３】
表ＩＶには、ドメイン、シグネチャー（signature）、モチープを含む配列表の相当する配列番号のアミノ酸の位置を示す。
配列の簡単な説明
配列は、添付の配列表に示す。
配列番号：１〜３９の奇数番号は、示されるようにオープンリーディングフレームを有するｃＤＮＡのヌクレオチド配列である。しかるべき場合には、潜在的なポリアデニル化部位及びポリアデニル化シグナルもまた示される。
【００２４】
配列番号：２〜４０の偶数番号は、配列番号１〜３９の奇数番号のｃＤＮＡによってコードされるタンパク質のアミノ酸配列である。
配列表に関する規則に従って、ヌクレオチド配列を説明するために、以下のコードが配列表に使用されている。配列において「ｒ」というコードは、ヌクレオチドがグアニン又はアデニンであることを示す。配列において「ｙ」というコードは、ヌクレオチドがチミン又はシトシンであることを示す。配列において「ｍ」というコードは、ヌクレオチドがアデニン又はシトシンであることを示す。配列において「ｋ」というコードは、ヌクレオチドがグアニン又はチミンであることを示す。配列において「ｓ」というコードは、ヌクレオチドがグアニン又はシトシンであることを示す。配列において「ｗ」というコードは、ヌクレオチドがアデニン又はチミンであることを示す。さらに、核酸配列における「ｎ」という記号のすべての例は、ヌクレオチドがアデニン、グアニン、シトシン又はチミンであり得ることを意味する。
【００２５】
場合により、配列表のポリペプチド配列は、「Ｘａａ」という記号を含む。これらの「Ｘａａ」記号は、（１）ヌクレオチド配列のあいまい性のために同定することができない残基又は（２）出願人らが存在しないだろうと考える決定配列における終止コドン（配列がさらに正確に決定されるならば）のいずれかを示す。場合によっては、未知のアミノ酸の可能性のあるいくらかの同一性が遺伝暗号によって示唆される。
【００２６】
分泌タンパク質の場合には、配列表を定める規則に従って、添付の配列表において、コードされるタンパク質（つまり、シグナルペプチドを含有するタンパク質及び成熟タンパク質又はその断片）は、負の番号を有するアミノ酸残基から、正の番号を付けられたアミノ酸残基までわたることを留意されたい。このように、シグナルペプチドの切断から生じる成熟タンパク質の最初のアミノ酸は、アミノ酸番号１と示され、シグナルペプチドの最初のアミノ酸は、適切な負の番号で示される。
【００２７】
この場合、配列番号：１〜４０に対して本明細書に記載されるポリヌクレオチド又はポリペプチド配列は、配列表に示される相当する配列、配列表対照において示される配列と矛盾している。
配列表の配列番号：１〜４０のポリヌクレオチド及びポリペプチド配列がそれら全体が参照により本明細書に組み込まれることを理解されたい。
【発明を実施するための最良の形態】
【００２８】
本発明の詳細な説明及び好ましい実施形態
定義
さらに詳細に本発明を説明する前に、本明細書中で本発明を説明するために使用される用語の意味及び範囲を解説かつ定義するために、以下の定義を示す。
本明細書で使用される「新規な遺伝子」という用語は、新規なポリペプチドをコードするゲノム、ｍＲＮＡ及びｃＤＮＡ配列、例えば、前記配列の５’及び３’非翻訳領域などを包含する。
【００２９】
「新規なポリペプチド生物活性」又は「新規な生物活性」という用語は、本発明の新規なポリペプチドの活性と必ずしも同一ではないが、同様な活性を示すポリペプチドに対するものである。所定のポリペプチドの新規なポリペプチド生物活性は、その多くが当業者に公知の、適切な生物学的アッセイをも用いて評価される。一方、「生物活性」という用語は、いずれかのポリペプチドが有する可能性のある、いずれかの活性を意味する。
【００３０】
「相当する（対応する））ｍＲＮＡ」という用語は、本発明のｃＤＮＡを作製するｃＤＮＡ合成のための鋳型であった、又はあり得るｍＲＮＡを意味する。
「相当する（対応する）ゲノムＤＮＡ」という用語は、例えば本発明のｃＤＮＡに相当する、対象のｍＲＮＡをコードするゲノムＤＮＡを意味し、そのゲノムＤＮＡはｍＲＮＡの鎖の一方の配列を含み、ゲノムＤＮＡ（又はｃＤＮＡ）の配列におけるチミジン残基はｍＲＮＡ中のウラシル残基によって置換される。
【００３１】
本明細書でポリペプチド又はポリヌクレオチドに関して使用される場合、「異種」という用語は、それぞれ特定の新規なポリヌクレオチド又は本発明の新規なポリペプチド以外のいずれかのポリヌクレオチド又はポリペプチドを示すことが意図される。
例えば、生体試料、細胞集団等に関して、「提供する」とは、試料、細胞集団等がある方法又は手順においてなんらかの形で使用されることを示す。注目すべきことは、生体試料又は細胞集団を「提供する」には、試料又は細胞を本発明の目的のために、特に単離又は入手することは必要ではないが、その代わりに、例えば別の目的のために別の個体によって得られた生体試料の使用を指すことができる。
【００３２】
「増幅産物」とは、いずれかの増幅反応、ＰＣＲ、ＲＴ−ＰＣＲ、ＬＣＲ等の産物を意味する。
タンパク質又は他の化合物の「修飾因子」とは、タンパク質への物理的結合、タンパク質の発現量又は質の改変、タンパク質の測定可能又は検出可能ないずれかの活性、性質又は挙動の変更を含む、タンパク質に対する機能効果を有する、又はいずれにしても、タンパク質又は化合物と相互作用する、いずれかの作用物質を意味する。
【００３３】
「試験化合物」とは、タンパク質又は他の化合物を調節するその能力について評価されるいずれかの分子であり得る。
本発明のポリペプチド又はポリヌクレオチドに特異的に結合する抗体又は他の化合物は、そのポリペプチド又はポリヌクレオチドを「選択的に認識」するとも言われる。
分子に関して、「単離（された）」という用語は、その分子がその元の環境（例えば、それが天然に存在する場合には自然環境）から取り出されることを必要とする。例えば、生体動物に存在する天然ポリヌクレオチド又はポリペプチドは単離されないが、自然体系において共存する物質の一部又はすべてから区別される同じポリヌクレオチド又はポリペプチドは単離される。かかるポリヌクレオチドはベクターの一部であることが可能であり、かつ／又はかかるポリヌクレオチド又はポリペプチドは組成物の一部であることが可能であり、さらにベクター又は組成物がその自然環境の一部ではないという点から単離することが可能である。具体的には、「単離（された）」の定義から：天然の染色体（染色体拡散など）、人工染色体ライブラリー、ゲノムライブラリー、及び核酸のインビトロ標本として、あるいはその宿主細胞が異質インビトロ標本であるか、又は単一コロニーの異質集団としてプレーティングされた、トランスフェクト／形質転換された宿主細胞標本（preparation)として存在するｃＤＮＡライブラリーは除外される。具体的には、指定のポリヌクレオチドがベクター分子中の核酸インサート数の５％未満を占める（０％、２５％、５０％、又は７５％と指定されることもある）上記のライブラリーも除外される。さらに具体的には、全細胞のゲノムＤＮＡ又は全細胞のＲＮＡ標本（機械的に切断又は酵素で消化される前記全細胞標本を含む）は除外される。さらに具体的には、インビトロ標本としての、又は電気泳動（それのブロットトランスファーを含む）によって分離された異種混合物としての上記全細胞標本は除外され、その電気泳動において、本発明のポリヌクレオチドは、電気泳動媒体中の異種ポリヌクレオチドからさらに分離されていない（例えば、アガロースゲル又はナイロンブロットにおいて異種バンド集合から単一バンドを切り出すことによるさらなる分離）。
【００３４】
「精製（された）」」という用語は、完全な精製を必要とするわけではなく；むしろ、それらは相対的な定義として意図される。少なくとも１桁、好ましくは２桁又は３桁、さらに好ましくは４桁又は５桁のオーダーに、出発物質又は天然物質を精製することが特に企図される。「精製（された）」という用語はさらに、限定されないが、ポリペプチド又はポリヌクレオチド、炭水化物、脂質等を含む他の化合物から分離された本発明のポリペプチド又はポリヌクレオチドを説明するために本明細書において使用される。「精製（された）」という用語は、ホモもしくはヘテロ−二量体、三量体等のオリゴマー型からの本発明の単一ポリペプチドの分離を示すのに使用する場合がある。「精製（された）」という用語はまた、共有結合で閉環した（つまり、環状）ポリヌクレオチドの、線状ポリヌクレオチドからの分離を説明するために使用される場合がある。実質的に純粋なポリペプチド又はポリヌクレオチドは通常、ポリペプチド又はポリヌクレオチド試料それぞれを約５０％（重量／重量）、好ましくは６０〜９０％含み、さらに一般的には約９５％、好ましくは約９９％を超える純度であるが、５０〜１００％のいずれかの整数で示される。ポリペプチド及びポリヌクレオチドの純度、又は均一性は、サンプルのアガロースゲルもしくはポリアクリルアミドゲル電気泳動などの当技術分野で公知の数多くの手段によって、又はＨＰＬＣ（高速液体クロマトグラフィー）を用いて示される。代替の実施形態として、本発明のポリペプチド及びポリヌクレオチドの精製は、異種ポリペプチド及びポリヌクレオチド（ＤＮＡ、ＲＮＡ、又は両方）に対する「最低」純度％として表される。好ましい実施形態として、本発明のポリペプチド及びポリヌクレオチドは、異種ポリペプチド及びポリヌクレオチドに対してそれぞれ、少なくとも；純度１０％、２０％、３０％、４０％、５０％、６０％、７０％、８０％、９０％、９５％、９６％、９６％、９８％、９９％又は１００％である。さらに好ましい実施形態として、本発明のポリペプチド及びポリヌクレオチドは、異種ポリペプチドもしくはポリヌクレオチドに対して、又は担体に存在するもの以外のすべての化合物及び分子に対する重量／重量比として、任意の位〜小数点以下第３位の範囲の純度、９０％〜１００％を有する（例えば、少なくとも９９．９９５％の純度のポリペプチド又はポリヌクレオチド）。純度％を表す小数点以下第３位までの各数字は、純度の個々の種類として主張することが可能である。
【００３５】
本明細書において同義で使用される「核酸分子」、「オリゴヌクレオチド」、及び「ポリヌクレオチド」には、ＲＮＡ又はＤＮＡ（一本鎖又は二本鎖、コード、相補的又はアンチセンス）、又は単鎖又は二重鎖状の複数のヌクレオチドのＲＮＡ／ＤＮＡハイブリッド配列が含まれる（上記の種類それぞれが特に詳しく指定されているが）。「ヌクレオチド」という用語は、一本鎖又は二重鎖状の任意の長さのＲＮＡ、ＤＮＡ、又はＲＮＡ／ＤＮＡハイブリッド配列を含む分子を説明するために、本明細書において形容詞として使用される。さらに正確には、「ヌクレオチド配列」という表現は、核酸物質（nucleic material）を包含し、したがって、特定のＤＮＡ又はＲＮＡ分子を生物化学的に特徴付ける配列情報（つまり、４つの塩基文字中で選択されるひと続きの文字）に限定されない。「ヌクレオチド」という用語は、プリン又はピリミジン、リボース又はデオキシリボースの糖部位、及びリン酸基、あるいはオリゴヌクレオチドもしくはポリヌクレオチド中のヌクレオチドの場合にはリン酸ジエステル結合を含む、分子又は大きな核酸分子における個々のユニットを意味する、個々のヌクレオチド又は種々のヌクレオチドを示すために名詞としても使用される。「ヌクレオチド」という用語はまた、少なくとも１つの修飾、例えば（ａ）交互（alternative）結合基、（ｂ）プリンの類似体、（ｃ）ピリミジンの類似体、又は（ｄ）例えば類似糖（例えば、ＷＯ９５／０４０６４参照）を含む「修飾ヌクレオチド」を包含するために本明細書において使用される。本発明の好ましい修飾には、限定されないが、５−フルオロウラシル、５−ブロモウラシル、５−クロロウラシル、５−ヨードウラシル、ヒポキサンチン、キサンチン、４−アセチルシトシン、５−（カルボキシヒドロキシメチル）ウラシル、５−カルボキシメチルアミノメチル−２−チオウリジン、５−カルボキシメチルアミノメチルウラシル、ジヒドロウラシル、β−Ｄ−ガラクトシルクエオシン、イノシン、Ｎ６−イソペンテニルアデニン、１−メチルグアニン、１−メチルイノシン、２，２−ジメチルグアニン、２−メチルアデニン、２−メチルグアニン、３−メチルシトシン、５−メチルシトシン、Ｎ６−アデニン、７−メチルグアニン、５−メチルアミノメチルウラシル、５−メトキシアミノメチル−２−チオウラシル、β−Ｄマンノシルクエノシン（queosine）、５’−メトキシカルボキシメチルウラシル、５−メトキシウラシル、２−メチルチオ−Ｎ６−イソペンテニルアデニン、ウラシル−５−オキシ酢酸（ｖ）ｙブトキソシン、擬似ウラシル、クエノシン（queosine）、２−チオシトシン、５−メチル−２−チオウラシル、２−チオウラシル、４−チオウラシル、５−メチルウラシル、ウラシル−５−オキシ酢酸メチルエステル、ウラシル−５−オキシ酢酸、５−メチル−２−チオウラシル、３−（３−アミノ−３−Ｎ−２−カルボキシプロピル）ウラシル、及び２，６−ジアミノプリンが含まれる。本発明のポリヌクレオチド配列は、合成、組換え、エクスビボ作製、又はそれらの組み合わせを含む公知の方法によって、ならびに当技術分野で公知の精製方法を用いて作製することができる（修飾オリゴ及びヌクレオチドの作製に関する教示については、例���ば、米国特許第５，３７８，８２５号；同第５，３８６，０２３号；同第５，４８９，６７７号；同第５，６０２，２４０号；及び同第５，６１０，２８９号、米国特許第５，２６４，５６２号及び同第５，２６４，５６４号、米国特許第５，２２３，６１８号、米国特許第５，５０８，２７０号、米国特許第４，４６９，８６３号、米国特許第５，６１０，２８９号又は同第５，６２５，０５０号、米国特許第５，２５６，７７５号又は米国特許第５，３６６，８７８号、国際公開番号ＷＯ９４／１７０９３及びＷＯ９４／０２４９９，米国特許第５，４７６，９２５号、米国特許第５，０２３，２４３号、米国特許第５，１３０，３０２号及び同第５，１７７，１９８号を参照のこと）。
【００３６】
本明細書において使用される「上流」という用語は、特定の基準点からポリヌクレオチドの５’末端方向にある位置を意味する。
本明細書において使用される「相補的」又は「その補体」という用語は、相補領域全体を通して指定の他のポリヌクレオチドとワトソン−クリック型塩基対を形成することができる、ポリヌクレオチドの配列を意味する。本発明の趣旨では、第１ポリヌクレオチド中の各塩基がその相補的塩基と対を形成する場合、第１ポリヌクレオチドは第２ポリヌクレオチドに相補的であると考えられる。相補的塩基は一般に、ＡとＴ（又はＡとＵ）、又はＣとＧである。本明細書において「補体」は、「相補的ポリヌクレオチド」、「相補的核酸」及び「相補的ヌクレオチド配列」からの同義語として使用される。これらの用語は、２つのポリヌクレオチドが実際に結合すると考えられる条件の特定のセットにではなく、単にそれらの配列に基づくポリヌクレオチドの対に適用される。別段の指定がない限り、すべての相補的ポリヌクレオチが、検討されるポリヌクレオチドの全長で完全に相補的である。
【００３７】
本明細書において同義で使用される「ポリペプチド」及び「タンパク質」は、ポリマーの長さに無関係に、アミノ酸のポリマーを意味し；したがって、ペプチド、オリゴペプチド、及びタンパク質がポリペプチドの定義内に含まれる。この用語はまた、本発明のポリペプチドの化学的又は発現後の修飾を指定しない、又は除外するが、これらのポリペプチドの化学的又は発現後の修飾は特定の実施形態として包含又は除外される。したがって、例えばグリコシル基、アセチル基、リン酸基、脂質基等の共有結合を含むポリペプチドへの修飾は、「ポリペプチド」という用語によって特別に包含される。さらに、これらの修飾を有するポリペプチドは個々の種類として指定されて、本発明に包含又は本発明から除外される。上記の実施例で列挙されるような、天然又は他の化学修飾は、ポリペプチドにおけるどこかで、例えばペプチド主鎖、アミノ酸側鎖及びアミノもしくはカルボキシル末端などで起こり得、所定のポリペプチドにおけるいくつかの部位にて同じ程度又は異なる程度で存在する。また、所定のポリペプチドは、多くの種類の修飾を含有する場合がある。ポリペプチドは、例えばユビキチン結合の結果として分枝鎖である場合があり、それらは、分枝を含む又は含まない環状であってもよい。修飾としては、アセチル化、アシル化、ＡＤＰ−リボシル化、アミド化、フラビンの共有結合、ヘム部位の共有結合、ヌクレオチド又はヌクレオチド誘導体の共有結合、脂質又は脂質誘導体の共有結合、ホスファチジルイノシトールの結合、架橋、環化、ジスルフィド結合形成、脱メチル化、システインの形成、ピログルタミン酸の形成、ホルミル化、γ−カルボキシル化、グリコシル化、ＧＰＩアンカー形成、ヒドロキシル化、ヨウ素化、メチル化、ミリストイル化、酸化、ペグ化、タンパク分解処理、リン酸化、プレニル化、ラセミ化、セレノイレーション（selenoylation）、硫酸化、アルギニル化及びユビキチン結合など、タンパク質へのアミノ酸の転移ＲＮＡ仲介付加が挙げられる（例えば、Creighton, (1993), Posttranslational Covalent Modification of Proteins, W. H. Freeman and Company, New York B. C. Johnson, Ed., Academic Press, New York 1-12 ; Seifter ら (1990) Meth Enzymol 182: 626-646; Rattan ら (1992) Ann NY Acad Sci 663: 48-62を参照)。アミノ酸の１種又は複数種の類似体を含有するポリペプチド（例えば、非天然アミノ酸、無関係の生体系に天然にのみ存在するアミノ酸、哺乳類系からの修飾アミノ酸等）、置換結合ならびに当技術分野で公知の他の修飾を有するポリペプチドも（天然と非天然のどちらも）定義内に含まれる。
【００３８】
本明細書で使用される「組換えポリヌクレオチド」及び「ポリヌクレオチドコンストラクト」という用語は、人工的に設計され、かつそれらの最初の自然環境において隣接ヌクレオチド配列として見出されない少なくとも２つのヌクレオチド配列を含有する、直鎖又は環状の、精製又は単離ポリヌクレオチドを示すために本明細書において同義で用いられる。特に、ポリヌクレオチド又はｃＤＮＡが、それがその自然環境では隣接しない「主鎖」核酸に隣接することを意味する。さらに、濃縮されたｃＤＮＡとは、核酸主鎖分子の集団における核酸インサート数の５％以上に相当するだろう。本発明による主鎖分子には、核酸、例えば発現ベクター、自己複製する核酸、ウイルス、組込み（integrating）核酸、及び他のベクター又は対象の核酸インサートを保持又は操作するために使用される核酸が含まれる。濃縮されたｃＤＮＡは、組換え主鎖分子の集団における核酸インサート数の１５％以上に相当することが好ましい。さらに好ましくは、濃縮されたｃＤＮＡは、組換え主鎖分子の集団における核酸インサート数の５０％以上に相当する。大変好ましい実施形態では、濃縮されたｃＤＮＡは、組換え主鎖分子の集団における核酸インサート数の９０％以上（例えば、小数第３位までの９０〜１００％の任意の数、例えば９９．５％）に相当する。
【００３９】
本明細書において「組換えポリペプチド」という用語は、人工的に設計されたポリペプチド、及びそれらの元の自然環境において隣接するポリペプチド配列として見出されない少なくとも２つのポリペプチド配列を含むポリペプチドを指すか、又は組換えポリヌクレオチドから発現したポリペプチドを指すために使用される。
本明細書で使用される「作動可能に連結される（された）」という用語は、機能上の関係におけるポリヌクレオチド要素の連結を意味する。プロモーターなどの調節配列に「作動可能に連結される」配列とは、ＲＮＡポリメラーゼ開始及び対象の核酸の発現を調節するために、前記調節因子が核酸に対して正しい位置及び向きにあることを意味する。例えば、プロモーター又はエンハンサーは、それがコード配列の転写に影響を及ぼす場合、コード配列に作動可能に連結される。
【００４０】
「ドメイン」という用語は、特定の生物学的性質を有するアミノ酸断片を意味する。この用語は、公知のすべての構造及び線状の生物学的モチーフを包含する。かかるモチーフの例としては、限定されないが、ロイシンジッパー、ヘリックス・ターン・ヘリックスモチーフ、グリコシル化部位、ユビキチン結合部位、αヘリックス、及びβシート、タンパク質の分泌を指示するシグナルペプチド、翻訳後修飾の部位、酵素活性部位、基質結合部位、酵素切断部位が挙げられる。
【００４１】
これらの用語のそれぞれは明確な意味を有するが、「を含む」、「からなる」、及び「から本質的になる」という用語は、本出願全体を通して互いに区別なく用いられる。「有する」という用語は「含む」と同じ意味を持ち、「からなる」という用語又は「から本質的になる」という用語で置き換えることが可能である。
明細書において別段の指定がない限り、本発明のヌクレオチド及びポリヌクレオチドのアミノ酸及びポリペプチドはそれぞれ隣接し、異種配列によって分断されない。
【００４２】
本明細書で使用される「腫瘍」という用語は、悪性であろうと良性であろうと、過剰な細胞分裂から生じる異常細胞塊又は細胞集団、及びすべての前癌及び癌細胞及び組織を意味する。「腫瘍」はさらに、２種類以上の物理的に関連する新生細胞として定義される。「形質転換細胞」、「悪性細胞」又は「癌」は同義で用いられ、悪性転換を起こした細胞を意味し、芽球化現象を起こしたリンパ球も含まれる。形質転換細胞は、動物に注入した場合に腫瘍を引き起こす大きな能力を有し、通常、基層に接着する必要なく、増殖することができ、また接触阻害を欠いている。「癌」又は「腫瘍性疾患」は、任意の組織における任意のタイプの癌を包含し、限定されないが、癌腫、リンパ腫、芽腫、肉腫、及び白血病が含まれる。
【００４３】
細胞のプロセス、例えばアポトーシスに関して、「誘導」又は「誘発」という用語は、所定の細胞集団において、そのプロセスを受ける細胞数、又は細胞がそのプロセスを受ける速度を増加又は低下することを意味する。その増加又は低下は、正常の未処理又はネガティブコントロール細胞と比較して、少なくとも１．２５、１．５、２、５、１０、５０、１００、５００又は１０００倍の増加又は低下であることが好ましい。
【００４４】
疾患又は病状の治療に関して、「治療有効量」とは、疾患又は病状のいずれかの徴候、外観、又は特徴に、いずれかの検出可能な正の効果を有することが可能である化合物の量を意味する。
本明細書で使用される「死滅させる」又は「細胞傷害性を誘導する」という用語は、アポトーシス及び/又はネクローシスのいずれかによって細胞死を誘導することを意味し、それによって、本発明の実施形態は、アポトーシスのみ、ネクローシスのみ、及びアポトーシスとネクローシスの両方を含む。
【００４５】
本明細書で使用される「防ぐ」及び「抑制する」という用語は、疾患又は病状の物理的発現を防ぐために、疾患又は病状の臨床症状が現れる前に、化合物を投与することを意味する。「予防」という用語は、「治療」とは異なり、「防ぐ」及び「抑制する」を包含する。本明細書において、「防御」は、「予防」を含む。防御は、絶対的に有用である必要はない。
【００４６】
本明細書で使用される「治療（処置）する」という用語は、臨床症状が現れた後に化合物を投与することを意味する。本明細書で使用される「治療（処置）の必要がある」という用語は、個体又は動物が治療を必要とする、又は治療から恩恵を受けるだろうと介護人により下される判断を意味する。この判断は、介護人の知識の範囲にある様々な因子に基づいて下されるが、本発明による化合物による治療が可能な病状の結果として、個体又は動物が病気である、又は病気であるだろうという認識を含む。
【００４７】
本明細書で使用される「個体」又は「患者」という用語は、任意の動物、例えば哺乳動物、好ましくはマウス、ラット、他のげっ歯類、ウサギ、イヌ、ネコ、ブタ、ウシ、ヒツジ、ウマ、又は霊長類、最も好ましくはヒトを意味する。この用語は、雄又は雌又は両方を示すか、又は雄又は雌が考慮されない。
本明細書で使用される「非ヒト動物」という用語は、任意の非ヒト動物、例えば昆虫、鳥類、げっ歯類、さらに一般的には哺乳動物などを意味する。好ましい非ヒト動物には：霊長類；ブタ、ヤギ、ヒツジ、ロバ、ウシ、ウマ、ニワトリ、ウサギなどの家畜；げっ歯類、好ましくはラット又はマウスが含まれる。本明細書で使用される「動物」という用語は、動物界における任意の種、好ましくは脊椎動物、例えば鳥類及び魚類、さらに好ましくは哺乳動物を指すために使用される。「動物」及び「哺乳動物」の両方の用語は明確に、「非ヒト」という言葉が前に置かれていない限り、ヒト対象を含む。
【００４８】
本明細書で使用される「生理学的に許容される」、「薬学的に許容される」及び「薬学的な」という用語は、同義で使用される。
核酸又はポリペプチド間の同一性
「配列同一性のパーセンテージ」及び「相同性パーセンテージ」という用語は、ポリヌクレオチド及びポリペプチド間の比較を示すために本明細書において同義で使用されており、比較ウィンドウ上で最適にアラインメントされた２つの配列を比較することによって決定され、比較ウィンドウ中のポリヌクレオチド又はポリペプチド配列の一部は、２つの配列の最適アラインメントに対して参照配列（付加又は欠失を含まない）と比較して、付加又は欠失（つまり、ギャップ）を含む。そのパーセンテージは、同一の核酸塩基又はアミノ酸残基が両方の配列で生じる位置の数を決定して、マッチ位置の数を得て、比較ウィンドウにおける位置の総数でマッチ位置数を割り、その結果を１００倍することによって計算され、配列同一性のパーセンテージが得られる。同一性又は類似性は、当技術分野で公知の様々な配列比較アルゴリズム又はプログラムのいずれかを用いて評価される。かかるアルゴリズム及びプログラムには、決して限定されないが、ＴＢＬＡＳＴＮ、ＢＬＡＳＴＰ、ＦＡＳＴＡ、ＴＦＡＳＴＡ、ＣＬＵＳＴＡＬＷ、ＦＡＳＴＤＢが含まれる(Pearson and Lipman, (1988), PNAS 85 (8): 24442448; Altschul ら (1990), J. Mol. Biol. 215 (3): 403-410 ; Thompson ら (1994), Nucleic Acids Res. 22 (2): 4673-4680; Higgins ら (1996), Meth. Enzymol. 266: 383-402 ; Altschul ら (1993), Nature Genetics 3: 266-272; Brutlag ら (1990) Comp. App. Biosci. 6: 237-24)。
【００４９】
特に好ましい実施形態において、当技術分野でよく知られているベーシック・ローカル・アラインメント検索ツール(「ＢＬＡＳＴ」) を用いて、タンパク質及び核酸配列同一性が評価される(例えば、Karlin and Altschul, (1990), PNAS 87: 2267-2268; Altschul ら(1997), Nuc. Acids Res. 25: 3389-3402を参照のこと）。特定の５つのＢＬＡＳＴプログラムを使用して、特に以下のタスクを実行する：
（１）ＢＬＡＳＴＰ及びＢＬＡＳＴ３により、アミノ酸問い合わせ配列をタンパク質配列データベースと比較する；
（２）ＢＬＡＳＴＮにより、ヌクレオチド問い合わせ配列をヌクレオチド配列データベースと比較する；
（３）ＢＬＡＳＴＸにより、問い合わせヌクレオチド配列（両方の鎖）の６つの枠の概念上の翻訳産物をタンパク質配列データベースと比較する；
（４）ＢＬＡＳＴＮにより、問い合わせタンパク質配列を、６つすべての読み枠において翻訳されたヌクレオチド配列（両方の鎖）データベースと比較する；
（５）ＢＬＡＳＴＸにより、ヌクレオチド問い合わせ配列の６つの枠の翻訳を、ヌクレオチド配列データベースの６つの枠の翻訳と比較する。
【００５０】
ＢＬＡＳＴプログラムは、問い合わせアミノ酸もしくは核酸配列と、タンパク質もしくは核酸配列データベースから得られることが好ましい試験配列との間の、本明細書において「高スコアのセグメント対」と呼ばれる類似セグメントを同定することによって相同配列を同定する。その多くが当技術分野で公知であるスコアリングマトリックスを用いることによって、高スコアのセグメント対を同定（つまり、アラインメント）することが好ましい。使用するスコアマトリックスは、ＢＬＯＳＵＭ６２マトリックス(Gonnet ら (1992), Science 256: 1443-1445; Henikoff and Henikoff, (1993), Proteins 17: 49-61)であることが好ましい。好ましさは低いが、ＰＡＭ又はＰＡＭ２５０マトリックスも使用することができる（例えば、Schwartz and Dayhoff, (1978), eds., Matrices for Detecting Distance Relationships: Atlas of Protein Sequence and Structure, Washington: National Biomedical Research Foundation参照)。ＢＬＡＳＴプログラムは、同定された高スコアのすべてのセグメント対の統計的有意性を評価し、好ましくはユーザーによって指定された相同性％など、ユーザーによって指定された有意性の閾値を満たすそれらのセグメントを選択する。高スコアのセグメント対の統計的有意性は、カーリンの統計的有意性の式（例えば、Karlin and Altschul, 1990参照）を用いて評価することが好ましい。ＢＬＡＳＴプログラムは、ユーザーによって提供されるデフォルトパラメーターを用いて、又は変更されたパラメーターを用いて使用することが可能である。
【００５１】
大域的配列アラインメントとも呼ばれる、ヌクレオチドもしくはアミノ酸配列（本発明の配列）と対象の配列との最高の全体的マッチを決定する他の好ましい方法は、Brutlag ら (1990)のアルゴリズムに基づくＦＡＳＴＤＢコンピューター・プログラムを用いて決定することができる。配列アラインメントにおいて、問い合わせ配列及び対象配列はどちらもＤＮＡ又はアミノ酸配列である。ＲＮＡ配列もまた、ＵをＴに変換することによって比較することができる。前記大域的配列アラインメントの結果は、同一性％で示される。同一性％を計算するために、ＤＮＡ配列のＦＡＳＴＤＢアラインメントに使用される好ましいパラメーターは：マトリックス＝ユニタリー、ｋ−タプル＝４、ミスマッチペナルティ＝１、結合ペナルティ（Joining Penalty）＝３０、無作為化群長さ＝０、カットオフ・スコア＝１、ギャップペナルティ＝５、ギャップサイズペナルティ＝０．０５、ウィンドウサイズ＝５００又は対象ヌクレオチド配列の長さのいずれか短いほう。内部の欠失のためではなく、５’もしくは３’欠失（ヌクレオチド配列に関して）又はＮもしくはＣ末端欠失（アミノ酸配列に関して）のために、対象配列が問い合わせ配列よりも短い場合には、手作業でその結果に訂正を加えなければならない。というのは、ＦＡＳＴＤＢプログラムは、同一性％を計算する場合に対象配列の末端切断を計算に入れていないからである。手作業での訂正は、対象配列における切断のためにアラインされていない全問い合わせ配列のパーセントを決定することと、ＦＡＳＴＤＢプログラムにより計算された同一性パーセントからこのパーセントを減算することを含む。この訂正されたスコアは、本発明の目的のために使用される。本発明の目的のために、他の手作業での訂正は加えられない。
【００５２】
本発明のポリヌクレオチド
本明細書に記載の方法の多くは、一般的な分子生物学的技術の使用に依拠する。いくつかのかかる技術が、一般に"Molecular Cloning; A Laboratory Manual", 2d ed., Cole Spring Harbor Laboratory Press, Sambrookら eds. , 1989及び"Methods in Enzymology; Guide to Molecular Cloning Techniques", Academic Press, Berger and Kimmel eds., 1987で教示されている。
【００５３】
本発明は、新規なゲノム及びｃＤＮＡ配列に関する。本発明は、新規な遺伝子、新規なゲノム及びｃＤＮＡ配列を含むポリヌクレオチド、ならびにその断片及び変異体を包含する。これらのポリヌクレオチドは、精製、単離、又は組換えポリヌクレオチドであることが可能である。
新規な遺伝子の対立遺伝子変異体、オルソロガス、スプライシングバリアント及び／又は相同分子種もまた包含される。当技術分野で公知の手順を用い、配列番号:１〜３９の奇数番号の配列からなる群から選択されるヌクレオチド配列に相当する遺伝子及びｃＤＮＡの、完全長遺伝子及びｃＤＮＡ、対立遺伝子変異体、スプライシングバリアント、完全長コード部分、オルソログオ及び／又は相同分子種が得られる。例えば、対立遺伝子変異体、オルソログ及び／又は相同分子種は、当業者に公知のいずれかの技術、例えば「類似配列を見つけるために」というタイトルのセクションに記述されている技術などを用いて、本明細書に記載される配列から適切なプローブ又はプライマーを作製し、対立遺伝子変異体及び／又は目的の相同体に対して適切な核酸ソースをスクリーニングすることによって単離及び同定することが可能である。
【００５４】
特定の実施形態において、本発明のポリヌクレオチドは、少なくとも１５、３０、５０、１００、１２５、５００又は１０００個の隣接ヌクレオチドである。その他の実施形態では、本発明のポリヌクレオチドは、３００ｋｂ、２００ｋｂ、１００ｋｂ、５０ｋｂ、１０ｋｂ、７．５ｋｂ、５ｋｂ、２．５ｋｂ、２ｋｂ、１．５ｋｂ又はｌｋｂ以下の長さである。さらなる実施形態において、本発明のポリヌクレオチドは、いずれかのイントロンのすべて又は一部を含まないが、本明細書に開示されるコード配列の一部を含む。別の実施形態では、コード配列を含むポリヌクレオチドは、ゲノムフランキング遺伝子（genomic flanking gene）（つまり、ゲノムにおける対象の遺伝子に対して５’又は３’）のコード配列を含有しない。他の実施形態では、本発明のポリヌクレオチドは、１０００、５００、２５０、１００、７５、５０、２５、２０、１５、１０、５、４、３、２又は１個を超える天然ゲノムフランキング遺伝子のコード配列を含有しない。
【００５５】
本発明のｃＤＮＡ配列
本発明のｃＤＮＡのそれぞれの構造パラメーターは、添付の配列表に示されている。それに応じて、本発明の各ｃＤＮＡのコード配列(ＣＤＳ)又はオープンリーディングフレーム(ＯＲＦ)は、開始コドンの最初のヌクレオチドで始まり、終止コドンの最初のヌクレオチドのすぐ５’側のヌクレオチドで終わるヌクレオチド配列を意味する。同様に、本発明の各ｃＤＮＡの５'非翻訳領域（又は５'ＵＴＲ）は、１番目のヌクレオチドで始まり、開始コドンの最初のヌクレオチドのすぐ５’側のヌクレオチドで終わるヌクレオチド配列を意味する。本発明の各ｃＤＮＡの３'非翻訳領域（又は３'ＵＴＲ）は、終止コドンの最初のヌクレオチドで始まり、そのｃＤＮＡの最後のヌクレオチドで終わるヌクレオチド配列を意味する。
【００５６】
コード配列
本発明のその他の目的は、添付の配列表のポリヌクレオチド配列及びその変異体のポリヌクレオチド配列からなる群から選択される配列のコード配列を含む、単離、精製又は組換えポリヌクレオチドである。
コード配列の範囲は、シーケンシングのエラー、逆転写又は増幅のエラー、ｍＲＮＡスプライシング、コードされるタンパク質の翻訳後修飾、コードされるタンパク質の酵素切断、又は他の生物学的因子の結果として、添付の配列表に示される配列と異なるであろうことは理解されよう。当業者であれば、配列表のポリヌクレオチド配列及びその対立遺伝子変異体のポリヌクレオチド配列におけるコード配列の範囲を容易に同定することができるだろう。したがって、配列表のポリヌクレオチド配列のうちの１つのコード配列を含有する核酸に関する、本明細書中のいずれかの請求の範囲は、添付の配列表に記載のコード配列から容易に特定できる変形形態又は記載のコード配列の等価物を除外するものではない。以下に定義されるように、等価物は、ヌクレオチド配列によってコードされるポリペプチドにおける、アミノ酸変化をもたらさない又は保存的アミノ酸置換をもたらすヌクレオチドコード配列のいずれかの変更を含む。同様に、ポリペプチドの範囲は、上記の因子のいずれかの結果として、添付の配列表に示されるものと異なるだろう。添付の配列表のポリペプチド配列のアミノ酸配列を含むポリペプチドに関する請求の範囲は、添付の配列表に記載の配列から容易に特定できる変形形態又は記載の配列の等価物を除外するものではない。
【００５７】
新規な遺伝子のコード配列を含有する上記のポリヌクレオチドは、このポリヌクレオチドを適切な発現シグナルの制御下に置いた場合に、目的の宿主細胞又は目的の宿主生物中で発現させることが可能である。発現シグナルは、本発明の新規な遺伝子における調節領域に含まれるシグナルであるか、又はそれと異なり、外因性核酸調節配列であるシグナルのいずれかである。かかるポリヌクレオチドは、適切な発現シグナル下に置かれた場合、その発現及び／又は増幅のためにベクター中に挿入することも可能である。
【００５８】
さらなる異種アミノ酸配列のコード配列に枠内で融合される、本発明のポリペプチドをコードするポリヌクレオチドがさらに本発明に包含される。さらなる非コード配列、限定されないが、例えば非コード５’及び３’配列、ベクター配列、精製、プロービング、プライミングに使用される配列と共に、本発明のポリペプチドをコードする核酸もまた、本発明に包含される。例えば、異種配列には、リボゾーム結合及びｍＲＮＡの安定性など、転写及びｍＲＮＡプロセッシングにおいて役割を果たす、転写、非翻訳配列が含まれる。代わりに、異種配列は、さらなる機能性、例えばヘキサヒスチジン又はＨＡタグを提供するさらなるコード配列を含む場合がある。
【００５９】
本発明の調節配列
上述のように、新規な遺伝子のゲノム配列は、これらの遺伝子のエクソンを含有する新規なポリペプチドコード領域に隣接する、非コード５’−フランキング領域において、おそらく、非コード３'-フランキング領域において、調節配列を含有する。
新規なポリヌクレオチドの５'及び３'調節領域から誘導されるポリヌクレオチドは、試験試料における新規な遺伝子のゲノムヌクレオチド配列又はその断片の少なくとも複製の存在を検出するのに有用である。
【００６０】
好ましい調節配列
新規なポリペプチドコード領域の５’末端及び３’末端に位置する調節因子を有するポリヌクレオチドは、対象の異種ポリヌクレオチドのプロセッシング、局在化、安定性、成熟及び転写及び翻訳活性を制御するのに有利に使用され、例えば、調節ポリヌクレオチドは、目的の宿主細胞又は目的の宿主生物においてコード配列を発現させるのに使用することができる組換え発現ベクターの一部である（ＵＴＲの再検討に関しては、Decker and Parker, (1995) Curr. Opin. Cell. Biol. 7 (3): 36892, Derrigo ら (2000) Int. J. Mol. Med. 5 (2): 111-23を参照のこと)。特に、３’ＵＴＲは、Makrides (1999) Protein Expr Purif 1999 Nov; 17 (2): 183-202、米国特許第５，９２５，５６４号；同第５，８０７，７０７号及び同第５，７５６，２６４号を含む当業者に公知のいずれかの方法を用いて、組換えベクターにおいて異種ｍＲＡＮの安定性を制御するために使用される。
【００６１】
本発明は、５’及び３’新規なポリヌクレオチド調節領域、それに相補な配列、調節活性断片及びその変異体からなる群から選択されるポリヌクレオチドを含む、精製又は単離核酸及び厳密なハイブリダイゼーション条件下でそれとハイブリダイズする核酸にも関する。本明細書に記載の新規な ５'又は３'調節配列、ならびに添付のポリヌクレオチド配列の５’−又は３’−ＵＴＲのいずれかと少なくとも９５％の同一性を有するヌクレオチド配列を含む核酸もさらに包含される。５'及び３'調節領域の断片は、２０から２０，０００のうちいずれか１つの整数個のヌクレオチドに相当する長さを有する。
【００６２】
本発明の目的では、核酸又はポリヌクレオチドは、前記調節ポリヌクレオチドが転写及び翻訳調節情報を含むヌクレオチド配列を含有する場合、組換えポリペプチド又は組換えポリヌクレオチドの発現に「調節領域」として「機能的」であり、かかる配列は、目的のポリペプチド又は目的のポリヌクレオチドをコードするヌクレオチド配列に「作動可能に連結される」。
【００６３】
本発明は、目的のポリペプチドをコードする核酸分子又は対象の核酸分子も含み、前記核酸分子は、本明細書に記載の調節配列のいずれかに作動可能に連結される。その目的のポリペプチドは、原核生物ウイルス又は真核生物由来のタンパク質を包含する、様々な性質又は起源のポリペプチドであることが可能である。細胞内タンパク質などの真核生物タンパク質、例えば「ハウスキーピング」タンパク質、膜結合型タンパク質、例えばミトコンドリア膜結合タンパク質及び細胞表面受容体、及び分泌タンパク質、例えばサイトカインなどの内因性メディエーターも包含される。その目的のポリペプチドは、異種ポリペプチド又は新規なポリペプチドであることが可能である。
【００６４】
ポリヌクレオチド変異体
本発明はまた、本明細書に記載のポリヌクレオチドの変異体及びその断片に関する。本明細書で用語として用いられるポリヌクレオチドの「変異体（variant）」とは、参照ポリヌクレオチドと異なるポリヌクレオチドである。一般に、参照と変異体のヌクレオチド配列が全体的に非常に類似しており、多くの領域においては、同一であるように、差異は限定されている。本発明は、対立遺伝子変異体と縮退変異体のどちらも包含する。
【００６５】
対立遺伝子変異体
ポリヌクレオチドの変異体は、天然に発生する対立遺伝子の変異体などの天然変異体であるか、又は天然に発生することが分かっていない変異体である。「対立遺伝子変異体」によって、生物体の染色体上の所定の遺伝子座を占有する遺伝子のいくつかの代わりの形のうちの１つが意図される(Lewin, (1989), PNAS 86: 9832-8935参照)。２倍体生物は、対立遺伝子型に関してホモ接合性又はヘテロ接合性である。ポリヌクレオチド、細胞又は生物に適用される技術を含む、当技術分野で公知の変異生成技術によって、非天然のポリヌクレオチド変異体を作製することができる。
【００６６】
縮重変異体
本発明の単離ポリヌクレオチド及びその断片の他に、本発明はさらに、遺伝暗号の縮重により本発明の新規なポリペプチドを引き続きコードする、上述の配列と実質的に異なる配列を含むポリヌクレオチドを含む。これらのポリヌクレオチド変異体は、本出願全体を通して「縮重変異体」と呼ばれる。つまり、本発明の新規なポリペプチドをコードする可能性のあるすべてのポリヌクレオチド配列が企図される。これは、遺伝暗号及び当技術分野で公知の種特異的コドン選択を含む。
【００６７】
変異ポリヌクレオチドに存在するヌクレオチドの変化はサイレントである場合があり、それは、ポリヌクレオチドによりコードされるアミノ酸は変化しないことを意味する。しかし、ヌクレオチドの変化によって、参照配列によりコードされるポリペプチド中のアミノ酸置換、付加、欠失、融合及び切断もまた生じる場合がある。置換、欠失又は付加には、１つ又は複数のヌクレオチドが関与する。変異体は、コードもしくは非コード領域又はその両方において変化する。コード領域における変化によって、保存的又は非保存的アミノ酸置換、欠失又は付加が引き起こされる。本発明のコンテクストにおいて、ポリヌクレオチド変異体が、新規なタンパク質と実質的に同じ生物学的性質又は活性を保持するポリペプチドをコードすることを特徴とする実施形態が、好ましい実施形態である。保存的置換を含有するものが、さらに好ましいポリヌクレオチド変異体である。
【００６８】
類似ポリヌクレオチド
本発明の他の実施形態は、本発明のポリヌクレオチドと少なくとも８０％、８５％、９０％、９５％、９６％、９７％、９８％又は９９％同一である、精製、単離又は組換えポリヌクレオチドを提供する。新規な生物活性を有するポリペプチドをコードする類似ポリヌクレオチドが好ましいが、特定の核酸分子が活性を有するポリペプチドをコードしない場合でさえ、当業者であれば、例えばハイブリダイゼーション用プローブ又はプライマーとしてその核酸分子をどのように使用するかを知っているであろうことから、コードされるタンパク質における新規な生物活性の存在は必須ではない。新規な活性を有するポリペプチドをコードしない本発明の核酸分子の使用には、特に、ＤＮＡライブラリーからの新規な遺伝子又はその対立遺伝子変異体の単離及び新規なｍＲＮＡ又はＤＮＡを含有すると考えられる生体試料中の新規なｍＲＮＡ発現の、例えばノーザンブロット法又はＰＣＲ分析による検出が含まれる。
【００６９】
ハイブリダイズするポリヌクレオチド
その他の態様において、本発明は、厳密なハイブリダイゼーション条件下にて、本発明のいずれかのポリヌクレオチドとハイブリダイズするポリヌクレオチドを含む単離又は精製核酸分子を提供する。かかるハイブリダイズするポリヌクレオチドは、１０から１０，０００の少なくともいずれか１つの整数個のヌクレオチドの長さであることが可能である。
【００７０】
当然、ポリＡ＋配列（例えば、配列表に示されるｃＤＮＡのいずれかの３’末端ポリＡ＋域（tract））のみにハイブリダイズする、又はＴ（もしくはＵ）残基の５’相補的ストレッチとハイブリダイズするポリヌクレオチドは、「ポリヌクレオチド」の定義に含まれないだろう。というのは、かかるポリヌクレオチドが、ポリ（Ａ）ストレッチ又はその補体（例えば、プライマーとしてオリゴｄＴを用いて産生される実質的にいずれかの二本鎖ｃＤＮＡクローン）を含有するいずれかの核酸分子とハイブリダイズすると考えられるためである。
【００７１】
相補的ポリヌクレオチド
本発明はさらに、本発明のいずれかのポリヌクレオチドに完全に相補的なヌクレオチド配列を有する単離核酸分子を提供する。
ポリヌクレオチド断片
本発明はさらに、本発明のポリヌクレオチドの一部又は断片に関する。本発明のポリヌクレオチド断片の使用には、プローブ、プライマー、分子量マーカー及び本発明のポリペプチド断片を発現するための使用が含まれる。断片は、ａ)配列表のポリヌクレオチド配列、ｂ)ゲノム新規配列、ｃ)本発明のポリペプチドをコードするポリヌクレオチドからなる群から選択されるポリヌクレオチドの一部を含む。特に、本発明のポリヌクレオチドの少なくとも８、１０、１２、１５、１８、２０、２５、２８、３０、３５、４０、５０、７５、１００、１５０、２００、３００、４００、５００、８００、１０００、１５００、又は２０００個の連続するヌクレオチドを含む精製又は単離ポリヌクレオチドが、本発明に包含される。さらに、少なくともＸヌクレオチドを含むポリヌクレオチドが提供され、その「Ｘ」は、整数８と、配列表又は本明細書の他で示される３’最高ヌクレオチド位置を表す整数との間のいずれかの整数として定義される。
【００７２】
好ましい本発明のポリヌクレオチドとして、それらの５'及び３'位置に関して指定されるポリヌクレオチド断片がさらに包含される。特定の配列番号に関して５’最高ヌクレオチドが１番目であり、かつ３’最高ヌクレオチドが最後のヌクレオチドである、添付の配列表で示される位置番号によって５'及び３'位置が表される場合、少なくとも８個の連続するヌクレオチド長さの本発明のポリヌクレオチド断片が本発明のポリヌクレオチド上を占めることが可能な、５'及び３'ヌクレオチド位置のあらゆる組み合わせ相当するすべてのポリヌクレオチド断片が特に考えられる。ポリヌクレオチド断片のこれらの種類は、代わりに、式「ａ〜ｂ」によって示される；「ａ」はポリヌクレオチドの５’最高ヌクレオチド位置に等しく、「ｂ」は３’最高ヌクレオチド位置に等しく；さらに、「ａ」は１から、本発明のポリヌクレオチド配列のヌクレオチドの数−８の間の整数に等しく、「ｂ」は９から、本発明のポリヌクレオチド配列のヌクレオチドの数の間の整数に等しく；「ａ」は「ｂ」よりも少なくとも８小さい整数である。これらの方法のいずれかで示されるポリヌクレオチド断片のすべてはすぐに認識することができ、したがって、不必要に明細書を長くするためだけにそれぞれに列挙しない。これらのポリヌクレオチド断片のいずれかは、本発明から具体的に除外される場合がある。上述のように、ヌクレオチドの５'及び３'位置によって、又はヌクレオチドのサイズによって、指定される任意の数の断片が除外される。好ましい、除外される断片は、反復配列との、例えばＡｌｕ、ＬＩ、ＴＨＥ及びＭＥＲ反復配列、ＳＳＴＲ配列又はサテライト、マイクロサテライト及びテロメア反復配列とのかなりの相同性を有する断片を含む。
【００７３】
本発明の他の好ましい断片は、ポリペプチドのドメインをコードするポリヌクレオチド配列を含むポリヌクレオチドである。かかる断片を使用し、類似ドメインを有するポリペプチドをコードする他のポリヌクレオチドがハイブリダイゼーション又はＲＴ−ＰＣＲ技術を用いて得られる。あるいは、これらの断片を使用し、特異的な生物学的性質を有するポリペプチドドメインを発現させることが可能である。
【００７４】
本発明の別の目的は、少なくとも（５から１，０００の間のいずれかの整数個の長さの連続アミノ酸、さらに好ましくは少なくとも）５、６、８、１０、１２、１５、２０、２５、３０、３５、４０、５０、６０、７５、１００、１５０又は２００個の連続するアミノ酸の隣接スパンからなる、から本質的になる、を含む、ポリペプチドをコードする精製、単離又は組換えポリヌクレオチドである。本発明はさらに、このセクションに示されるポリヌクレオチド断片の任意の組み合わせを包含する。
【００７５】
オリゴヌクレオチドプライマー及びプローブ
本発明は、プライマー及びプローブとして使用される新規なポリヌクレオチドの断片もまた包含する。新規なゲノム及びｃＤＮＡ配列から誘導されるポリヌクレオチドは、試験試料における新規なポリヌクレオチド又はその断片、補体、又は変異体の少なくとも複製の存在を検出するのに有用である。
【００７６】
構造上の定義
本発明のいずれかのポリヌクレオチドをプライマー又はプローブとして使用することができる。本発明の特に好ましいプローブ及びプライマーは、本発明のポリヌクレオチドの少なくとも１２、１５、１８、２０、２５、３０、３５、４０、５０、６０、７０、８０、９０、１００、１５０、２００、５００、又は１０００ヌクレオチドの隣接スパンを含む、単離、精製、又は組換えポリヌクレオチドを含む。
【００７７】
増幅の目的のために、およそ同じＴｍを有するプライマー対が好ましい。プライマーは当技術分野で公知の方法を用いて設計することが可能である。本発明のコンテクストにおいて使用できる増幅技術には、限定されないが、欧州特許出願第３２０３０８号、ＷＯ９３２０２２７及び欧州特許出願第４３９ １８２号に記載のリガーゼ連鎖反応 (ＬＣＲ)、ポリメラーゼ連鎖反応(ＰＣＲ、ＲＴ-ＰＣＲ)及びGuatelliら (1990) PNAS 35: 273-286及びCompton (1991) Nature 350 (6313) 91-92に記載の核酸配列に基づく増幅法(ＮＡＳＢＡ)、欧州特許出願第４５４４６１０号に記載のＱ−β増幅、Walkerら(1996), Clin. Chem. 42: 9-13及び欧州特許出願第６８４ ３１５号に記載の鎖置換増幅、ＷＯ９３２２４６１に記載の標的仲介増幅（target mediated amplification）が含まれる。
【００７８】
本発明のプローブは、多くの目的に、例えば、ゲノムＤＮＡとのサザンハイブリダイゼーション、ＰＣＲ増幅産物の検出、新規な遺伝子又はｍＲＮＡ中のミスマッチの検出及びｉｎ ｓｉｔｕハイブリダイゼーションに有用である。本発明のポリヌクレオチド、プライマー及びプローブのいずれも好都合なことに、ラテックス粒子、微粒子、磁気ビーズ、非磁気ビーズ（例えば、ポリスチレンビーズなど）、膜（例えば、ニトロセルロースストリップなど）、プラスチックチューブ、マイクロタイターウェルの壁、ガラスもしくはシリコンチップ、ヒツジ（又は他の適切な動物の）赤血球及び硬膜細胞（duracyte）などどの種類の固体担体にも固定化することができる。固相に核酸を固定化するための適切な方法としては、イオン性、疎水性、共有結合性相互作用等が挙げられる。本明細書で使用される固体担体とは、可溶性であるか、又はその後の反応によって可溶性にすることができる任意の材料を意味する。固体担体は、捕捉剤（capture agent）を引き付け、かつ固定化するその固有の能力に関して選択することが可能であり、あるいは、捕捉剤を引き付け、かつ固定化する能力を有するさらなるアクセプターを保持することができる。本発明のポリヌクレオチドは、固体担体上に個々に、又は１つの固体担体に対して少なくとも２、５、８、１０、１２、１５、２０又は２５個の別個の本発明のポリヌクレオチドのグループで引き付けるか、又は固定化することができる。さらに、本発明のポリヌクレオチド以外のポリヌクレオチドを、１つ又は複数の本発明のポリヌクレオチドと同じ固体担体に引き付けることが可能である。
【００７９】
オリゴヌクレオチドアレイ
複数種の本発明のオリゴヌクレオチドプライマー又はプローブを含む基質を、新規な遺伝子における標的配列を検出又は増幅するのに使用することが可能であり、新規な遺伝子のコードもしくは非コード配列中の変異を検出するのに使用することが可能であり、異なる組織中で、プロセスの異なる段階（胚の発生、疾患の治療）にて、本明細書の他の箇所で記載されている患者対健常な個体において、新規な遺伝子発現を決定するのに使用することも可能である。
【００８０】
本明細書で使用される「アレイ」という用語は、遺伝子発現を特異的に検出するのに十分な長さの核酸の１次元、２次元又は多次元の配列を意味する。例えば、アレイは、本明細書に記載の新規なゲノムＤＮＡ、新規なｃＤＮＡ、それに相補的な配列又はその断片のいずれかを含む。好ましくは、その断片は、少なくとも１２、１５、１８、２０、２５、３０、３５、４０、５０又は１００ヌクレオチドの長さである。
【００８１】
本明細書で提供されるいずれのポリヌクレオチドも、固体担体上に重複領域において、又はランダムな位置にて付着させることが可能である。あるいは、本発明のポリヌクレオチドは、順序付きアレイにおいて付着させることが可能であり、そのアレイでは、各ポリヌクレオチドは、他のいずれかのポリヌクレオチドの付着部位と重複しない固体担体の別の領域に付着される。好ましくは、ポリヌクレオチドのかかる順序付きアレイは、その別個の位置が記録される「アドレス指定可能」であるように設計され、アッセイ手順の一部として評価することができる。アドレス指定可能なポリヌクレオチドアレイは通常、異なる既知の位置において基質表面に結合する、複数の異なるオリゴヌクレオチドプローブを含む。各ポリヌクレオチド位置の正確な位置の知識によって、これらの「アドレス指定可能な」アレイはハイブリダイゼーションアッセイにおいて特に有用となる。当技術分野で公知のいずれかのアドレス指定可能なアレイ技術、例えばＧｅｎｅｃｈｉｐｓ（登録商標）(例えば、米国特許第５，１４３，８５４号;国際公開番号：ＷＯ９０/１５０７０及びＷＯ９２/１００９２、Fodor ら(1991) Science 251: 767-777を参照)などを、本発明のポリヌクレオチドと共に使用することができる。固体担体上へのオリゴヌクレオチドアレイの固定化は、「非常に大きなスケールの固定化ポリマー合成」(ＶＬＳＩＰＳ（登録商標）)として一般的に認められている技術を開発することによって可能となり、その技術では通常プローブが、高密度アレイにおいてチップの固体表面に固定化される（例えば、米国特許第５，１４３，８５４号及び同第５，４１２，０８７号、国際公開番号：ＷＯ９０/１５０７０、ＷＯ９２/１００９２及びＷＯ９５/１１９９５を参照のこと)。ＷＯ９４/１２３０５、ＷＯ９４/１１５３０、ＷＯ９７/２９２１２及びＷＯ９７/３１２５６に開示の方法など、当技術分野で公知のさらなる作製法を用いることが可能である。
【００８２】
したがって、本発明は、少なくとも１つ、２つ又は５つの本発明のポリヌクレオチド、特に本明細書に記載のプローブ又はプライマーを含む核酸分子のアレイに関する。
本発明のポリヌクレオチドを作製する方法
本発明は、本発明のポリヌクレオチドを作製する方法も含む。本発明のポリヌクレオチドは、当業者によく知られている技術、例えば、本明細書に記載の増幅又はハイブリダイゼーションに基づく方法を用いて、酵素的に又は化学的に合成することができる。
【００８３】
核酸を合成する様々な化学的方法が当業者に知られている。これらの方法の多くでは、固体担体上で合成が行われる。あるいは、米国特許第５，０４９号に記載されたように、ポリヌクレオチドを作製することができる。一部の実施形態において、上述のように作製したいくつかのポリヌクレオチドを共にライゲートして、目的の配列を有するより長いポリヌクレオチドが生成される。
【００８４】
本発明のポリペプチド
「新規なポリペプチド」という用語は、本発明のタンパク質及びポリペプチドのすべてを含めるために、本明細書において使用される。本発明は、（ａ）配列番号:２〜４０の偶数番号の完全長ポリペプチド；（ｂ）配列番号:２〜４０の偶数番号の、エピトープを有する断片；（ｃ）配列番号:２〜４０の偶数番号のポリペプチドのドメイン；（ｄ）配列番号:２〜４０の偶数番号のポリペプチドのシグナルペプチド；（ｅ）配列番号:２〜４０の偶数番号の成熟ポリペプチド；及び（ｆ）（ａ）〜（ｅ）のポリペプチドのいずれかの対立遺伝子変異ポリペプチド；からなる組換え、単離又は精製新規なポリペプチドを含む、新規なポリペプチドを包含する。本発明の他の目的は、本発明のポリペプチドによってコードされるポリペプチドならびにかかるポリペプチドを含む融合ポリペプチドである。
【００８５】
ポリペプチド変異体
本発明はさらに、対立遺伝子によってコードされる新規なポリペプチド及びスプライス変異体、オルソログ及び／又は相同分子種を提供する。当技術分野で公知の手順を用いて、配列表のポリペプチドをコードするポリヌクレオチドの対立遺伝子変異体、スプライス変異体、オルソログ及び／又は相同分子種を、得ることができる。
【００８６】
本発明のポリペプチドは、本発明のポリペプチドと少なくとも５０％、さらに好ましくは少なくとも６０％、またさらに好ましくは７０％、８０％、９０％、９５％、９６％、９７％、９８％又は９９％同一のアミノ酸配列を有するポリペプチドも含む。本発明の問い合わせアミノ酸配列と、例えば少なくとも９５％「同一の」アミノ酸配列を有するポリペプチドというのは、対象ポリペプチド配列が問い合わせアミノ酸配列のアミノ酸１００個それぞれにつき５個までのアミノ酸の変化を含み得ることを除いては、対象ポリペプチドのアミノ酸配列が、問い合わせ配列と同一であることを意味する。言い換えれば、問い合わせアミノ酸配列と少なくとも９５％同一のアミノ酸配列を有するポリペプチドを得るために、対象配列中のアミノ酸残基の５％（１００個のうち５個）までが挿入、欠失（インデル）されるか、又は別のアミノ酸で置換される。
【００８７】
本発明のさらなるペプチドには、上述のポリペプチドと、少なくとも９０％の類似性、好ましくは少なくとも９５％の類似性、さらに好ましくは少なくとも９６％、９７％、９８％又は９９％の類似性を有するポリペプチドが含まれる。計算することを目的として、一致するアミノ酸が同一であるか、又は以下に定義される「同等な」変化を表すアミノ酸であり得ることを除いては、「類似性」は、「同一性」について上述されるのと全く同様に計算される。
【００８８】
参照配列のこれらの変化は、参照アミノ酸配列のアミノもしくはカルボキシ末端位置又はこれらの末端位置間のどこかで生じ、参照配列中の残基間に個々に、又は参照配列内の１つ又は複数の隣接基中に散在する。当業者であれば、生物活性を欠く変異ポリペプチドが依然として、例えばワクチンとして、抗体を作製するのに、エピトープマッピングにおいてエピトープ標識として、ＳＤＳ-ＰＡＧＥゲル又は分子ふるいゲル濾過カラム上の分子量マーカーとして有用であることを認識されるように、本明細書に記載の変異ポリペプチドは、それらが正常な生物活性を有するかどうかにかかわらず本発明に包含される。
【００８９】
本発明のポリペプチドの作製
本発明のポリペプチドは、当技術分野で公知のいずれかの適切な手法で作製することができる。かかるポリペプチドには、単離天然ポリペプチド、組換えにより作製されたポリペプチド、合成的に作製されたポリペプチオド、又はこれらの方法の組み合わせによって作製されたポリペプチドが含まれる。本発明のポリペプチドは、単離状態で提供されることが好ましく、一部又は好ましくはほとんど完全に精製することが可能である。
【００９０】
自然源からの単離
本発明の新規なタンパク質は、ヒト又は非ヒト動物の直接単離された細胞だろうと、又は培養細胞だろうと、自然源、例えば体液、組織及び細胞から単離することができる。天然タンパク質を抽出かつ精製する方法は当技術分野で公知であり、洗浄剤又はカオトロピック剤を使用して粒子を乱し、続いてポリペプチドの差次的抽出（differential extraction）及びイオン交換クロマトグラフィー、アフィニティークロマトグラフィーによる分離を行い、密度によって沈降させ、ゲル電気泳動を行うことを含む。例えば、タンパク質の様々な精製方法に関しては「Methods in Enzymology, Academic Press, 1993」を参照のこと。本発明のポリペプチドはまた、本発明のポリペプチドに対して作られる抗体を用いて、標準法により自然源から精製することができる。
【００９１】
組換え源からの単離
本発明の新規なポリペプチドは、当技術分野で公知の通常の発現方法を用いて組換えにより作製することが好ましい。目的のポリペプチドをコードするポリヌクレオチドは、いずれかの簡便な宿主に適した発現ベクター中で、プロモーターに作動可能に連結される。真核生物及び原核生物の宿主系のどちらも、組換えポリペプチドの形成に使用される。次いで、そのポリペプチドを溶解細胞又は培地から単離し、その目的の用途に必要とされる程度まで精製される。いずれかの本発明のポリヌクレオチドを使用して、新規なポリペプチドを発現させることができる。
【００９２】
その結果、本発明のさらなる実施形態は、本発明のポリペプチドを作製する方法であり、前記方法は、新規なポリヌクレオチド(例えば、新規なポリペプチドをコードするポリヌクレオチド)を提供し、ｃＤＮＡがプロモーターに作動可能に連結されるように、発現ベクター中にそのポリヌクレオチドを挿入し、宿主細胞中にその発現ベクターを導入し、それによって、前記宿主細胞が前記ポリペプチドを生成する工程を含む。この実施形態の一態様において、この方法はさらに、ポリペプチドを単離する工程を含む。いずれかの適切な発現ベクター及び発現系（例えば、３Ｔ３細胞などの細胞ベース系）を当技術分野でよく知られている方法に従って使用してもよい。
【００９３】
一実施形態において、新規なｃＤＮＡの全コード配列及びそのｃＤＮＡの３'ＵＴＲからポリＡシグナルが発現ベクター中でプロモーターに作動可能に連結される。
別の実施形態において、分泌又はリーダー配列、プロ配列、複数のヒスチジン残基など、精製の助けとなる配列又は組換え体作製中に安定性を得るためのその他の配列をコードする、さらなるヌクレオチド配列が包含される。
【００９４】
あるいは、発現させる新規なポリペプチドは、遺伝子導入動物の産物、つまり、対象のタンパク質をコードするヌクレオチド配列を含有する体細胞又は胚細胞によって特徴付けられる遺伝子導入雌ウシ、ヤギ、ブタ又はヒツジの乳の成分としての産物であることも可能である。
差次的抽出、硫酸アンモニウム又はエタノール沈殿、酸抽出、陰イオン又は陽イオン交換クロマトグラフィー、ホスホセルロースクロマトグラフィー、疎水性相互作用クロマトグラフィー、抗体に基づく方法、アフィニティークロマトグラフィー、ヒドロキシアパタイトクロマトグラフィー、ＨＰＬＣ、免疫クロマトグラフィー及びレクチンクロマトグラフィーを含むこれらの方法を用いて、発現した新規なポリペプチドを回収するために、いずれかの標準法が用いられる。
【００９５】
組換え体作製手順で用いられる宿主に応じて、本発明のポリペプチドはグリコシル化されてもよいし、グリコシル化されなくてもよく、宿主仲介プロセスの結果として場合によっては、最初の修飾メチオニン残基を含んでもよい。さらに、本発明のポリペプチドは、アミノ末端メチオニンを含有してもよいし、又は含有しなくてもよい。
化学合成からの単離
さらに、本発明のポリペプチド、特に短いタンパク質断片は、当技術分野で公知の技術（例えば、Creighton (1983), Proteins: Structures and Molecular Principles, W. H. Freeman & Co. 2nd Ed. , T. E. , New York; and Hunkapiller ら., (1984) Nature. 310 (5973): 105-11参照)を用いて化学的に合成することができる。例えば、本発明のポリペプチド配列の断片に相当するポリペプチドは、ペプチド合成装置を使用して合成することができる。あるいは、米国特許第５，０４９，６５６号に記載の方法を使用することができる。
【００９６】
さらに、所望の場合には、非古典的アミノ酸又は化学アミノ酸類自体を、ポリペプチド配列中に置換又は付加で導入することができる。非古典的アミノ酸には、限定されないが、一般的アミノ酸のＤ−異性体、２，４−ジアミノ酪酸、ａ−アミノイソ酪酸、４−アミノ酪酸、Ａｂｕ、２−アミノ酪酸、ｇ−Ａｂｕ、ｅ−Ａｈｘ、６−アミノヘキサン酸、Ａｉｂ、２−アミノイソ酪酸、３−アミノプロピオン酸、オルニチン、ノルロイシン、ノルバリン、ヒドロキシプロリン、サルコシン、シトルリン、ホモシトルリン、システイン酸、ｔ−ブチルグリシン、ｔ−ブチルアラニン、フェニルグリシン、シクロヘキシルアラニン、ｂ−アラニン、フルオロアミノ酸、デザイナー・アミノ酸、例えば、ｂ−メチルアミノ酸、Ｃａ−メチルアミノ酸、Ｎａ−メチルアミノ酸及びアミノ酸類似体全般が含まれる。さらに、そのアミノ酸はＤ（右旋性）又はＬ（左旋性）であることが可能である。
【００９７】
修飾
本発明は、例えば、グリコシル化、アセチル化、リン酸化、アミド化、公知の保護／ブロック基による誘導体化、タンパク分解性切断、抗体分子又は他の細胞リガンドへの結合により、翻訳中又は翻訳後に差次的に修飾されるポリペプチドを包含する。数多くの化学修飾のいずれも、公知の技術、限定されないが、例えば、臭化シアン、トリプシン、キモトリプシン、パパイン、Ｖ８プロテアーゼ、ＮａＢＨ４による特異的な化学的切断；アセチル化、ホルミル化、酸化、還元；ツニカマイシンの存在下での代謝合成等によって行うことができる。
【００９８】
本発明により包含されるその他の翻訳後修飾には、例えば、Ｎ−結合型又はＯ−結合型糖鎖、Ｎ−末端又はＣ-末端の処理、アミノ酸主鎖への化学部位の結合、Ｎ−結合型又はＯ−結合型糖鎖の化学修飾及び原核生物宿主細胞の発現の結果としてのＮ−末端メチオニン残基の付加又は欠失が含まれる。タンパク質を検出及び単離することできるように、ポリペプチドを検出可能な標識、例えば、酵素標識、蛍光標識、同位体標識又は親和性標識で修飾してもよい。
【００９９】
さらなる利点、例えば、ポリペプチドの増大した溶解性、安定性及び循環時間、又は減少した免疫原性を提供する、本発明のポリペプチドの化学修飾された誘導体も本発明によって提供される(例えば、米国特許第４，１７９，３３７号参照)。誘導体化のための化学部位は、ポリエチレングリコール(好ましくは、１〜１００ｋＤ)、エチレングリコール/プロピレングリコールコポリマー、カルボキシメチルセルロース、デキストラン、ポリビニルアルコールなどの水溶性ポリマー（分枝鎖又は枝なし鎖)から選択することができる。ポリペプチドは、分子内のランダムな位置で、又は分子内の所定の位置で修飾され、１つ、２つ、３つ以上の結合化学部位を含む。その化学部位は、いずれかの方法、例えば遊離アミノ、カルボキシル又はスルフヒドリル基を介して結合される（例えば、欧州特許出願第４０１ ３８４号又はMalik ら(1992), Exp. Hematol. 20: 1028-1035参照)。
【０１００】
多量体化
本発明のポリペプチドは、単量体又は多量体（つまり、二量体、三量体、四量体以上の）形であることが可能である。したがって、本発明は、本発明のポリペプチドの単量体又は多量体、それらの製造及びそれらを含有する組成物に関する。
本発明によって包含される多量体は、ホモマー又はヘテロマーであることが可能である。本明細書で使用される「ホモマー」という用語は、同じアミノ酸配列を有するポリペプチドのみを含有する多量体を意味し、「ヘテロマー」という用語は、１つ又は複数の異種ポリペプチドを含有する多量体を意味する。
【０１０１】
本発明の多量体は、疎水、親水、イオン及び／又は共有結合の結果であり、かつ／又は間接的に連結される。このように、一実施形態において、本発明の多量体、例えば、ホモ二量体又はホモ三量体などは、本発明のポリペプチドが溶液中で互いに接触すると形成される。別の実施形態では、本発明のヘテロ多量体、例えば、ヘテロ三量体又はヘテロ四量体などは、本発明のポリペプチドが溶液中で本発明のポリペプチドに対する抗体（本発明の融合タンパク質における異種ポリペプチド配列に対する抗体を含む）と接触すると形成される。
【０１０２】
他の実施形態では、本発明の多量体は、ポリペプチド配列内に位置するシステイン残基間の架橋によって形成される。これらの結合のいずれにも、配列表に示される、あるいは融合タンパク質、例えば、Ｆｃ融合タンパク質、破骨細胞形成阻害因子（osteoprotegerin）融合タンパク質、ペプチドリンカー融合タンパク質、Ｆｌａｇ（登録商標）融合タンパク質、又は本発明のロイシンジッパー融合タンパク質の異種ポリペプチド配列に示される、アミノ酸に含有される１つ又は複数のアミノ酸残基が関与する（例えば、米国特許第５，４７８，９２５号、ＷＯ９８/４９３０５、又は米国特許第５，０７３，６２７号、Landschulz ら(1988), Science. 240: 1759、WO 94/10308、Hoppe ら(1994), FEBS Letters. 344: 191 及び米国特許出願第０８／４４６，９２２号参照）。多量体を生成する他の方法としては、当技術分野で公知の技術を用いて、又は本発明の多量体に含まれることが望まれるポリペプチド成分を含有するリポソームを生成することによって、システイン又はビオチンをポリペプチドのＣ末端又はＮ末端に付加する方法が挙げられる（例えば、多量体化の多数の方法については、米国特許第５，４７８，９２５号を参照のこと）。
【０１０３】
本発明の多量体は、当技術分野で公知の化学的又は遺伝子工学技術を用いて生成することができる。
突然変異したポリペプチド
本発明の新規なポリペプチドの特性を改善又は変更するために、組換えＤＮＡ技術を用いて、単一又は複数のアミノ酸の置換、欠失、付加を含む新規な変異タンパク質又は突然変異タンパク質（ムテイン）を生成することができる。かかる修飾ポリペプチドは、例えば増大した／減少した生物活性又は増大した／減少した安定性を示し得る。さらに、少なくとも特定の精製及び貯蔵条件下にて、相当する天然ポリペプチドよりも、それらを高い収量で精製することが可能であり、かつ相当する天然ポリペプチドよりも、それらは優れた溶解性を示し得る。
【０１０４】
Ｎ及びＣ末端の欠失
生物学的機能を実質上損失することなく、１つ又は複数のアミノ酸をＮ末端又はＣ末端から欠失させることが可能であることは、当技術分野で公知である（例えば、Ron ら (1993), Biol Chem. , 268 2984-2988; Dobeliら1988を参照のこと)。したがって、本発明は、アミノ及び／又はカルボキシ末端から欠失された１つ又は複数の残基を有するポリペプチドを提供する。
【０１０５】
他の突然変異
本発明は、かなりの新規なポリペプチド活性を示す新規なポリペプチドの多数の変異を含む。かかる突然変異は、活性にほとんど影響を及ぼさないように、当技術分野で公知の規則に従って選択される欠失、挿入、転化、反復及び置換を含む。
変化させるアミノ酸配列の耐性を研究するための主な２つのアプローチがある(Bowie ら(1994), Science. 247: 1306-1310参照)。第１の方法は、突然変異が自然淘汰によって受け入れられるか又は拒絶される、進化のプロセスに依拠する。第２のアプローチでは、クローン化遺伝子の特定の位置でアミノ酸変化を導入するための遺伝子操作及び機能性を保持する配列を同定するための選択又はスクリーニングを用いる。この例としては、特定部位の突然変異又はアラニンスキャン突然変異誘発が挙げられる(例えば、Cunningham ら(1989), Science 244: 1081-1085参照)。これらの研究は、タンパク質がアミノ酸置換に対して驚くほど耐性であることを明らかにした。
【０１０６】
通常、脂肪族アミノ酸、Ａｌａ、Ｖａｌ、Ｌｅｕ及びＰｈｅ間での互いの置き換え、ヒドロキシ残基Ｓｅｒ及びＴｈｒの交換、酸性残基Ａｓｐ及びＧｌｕの交換、アミド残基ＡｓｎとＧｌｎとの間での置換、塩基性残基Ｌｙｓ及びＡｒｇの交換、及び芳香族残基Ｐｈｅ、Ｔｙｒ間での置き換えは、保存的置換として考えられる。このように、本発明のポリペプチドは例えば、アミノ酸残基のうちの１つ又は複数が保存又は非保存アミノ酸残基（好ましくは、保存アミノ酸残基）で置換されるポリペプチドである。かかる置換アミノ酸残基は、遺伝暗号によってコードされるものであってもよいし、又はそうでなくてもよく、かつ置換基を含むことができる。
【０１０７】
示されるように、タンパク質の折り畳み又は活性に著しく影響を及ぼさない、保存的アミノ酸置換などの変化が軽微なものであることが好ましい。以下のアミノ酸の群が同等の変化を表す：（１）Ａｌａ、Ｐｒｏ、Ｇｌｙ、Ｇｌｕ、Ａｓｐ、Ｇｌｎ、Ａｓｎ、Ｓｅｒ、Ｔｈｒ；（２）Ｃｙｓ、Ｓｅｒ、Ｔｙｒ、Ｔｈｒ；（３）Ｖａｌ、Ｉｌｅ、Ｌｅｕ、Ｍらａ、Ｐｈｅ；（４）Ｌｙｓ、Ａｒｇ、Ｈｉｓ；（５）Ｐｈｅ、Ｔｙｒ、Ｔｒｐ、Ｈｉｓ。
【０１０８】
さらに、本発明の新規なポリペプチドは、修飾アミノ酸を模倣する１つ又は複数のアミノ酸置換を含むことができる。この種類の置換の例としては、リン酸化アミノ酸（例えば、アスパラギン酸又はグルタミン酸）の負電荷に類似する負に帯電したアミノ酸で、リン酸化することができるアミノ酸（例えば、セリン、トレオニン又はチロシン）を置換することが挙げられる。疎水基（例えば、アルギニン）により修飾することができるアミノ酸を、トリプトファン又はフェニルアラニンなどのバルキーな疎水性側鎖を有するアミノ酸で置換することもまた包含される。したがって、本発明の特定の実施形態は、修飾することができるアミノ酸が通常位置する位置で、修飾アミノ酸を模倣する１つ又は複数のアミノ酸の置換を含む新規なポリペプチドを包含する。さらに、修飾することができるいずれかの新規なポリペプチドアミノ酸は、修飾−模倣アミノ酸での置換から除外されてもよい。
【０１０９】
本発明による対象の修飾新規なペプチド分子の特定の実施形態には、限定されないが、タンパク分解に耐性があり、その−ＣＯＮＨ−ペプチド結合が、（ＣＨ２ＮＨ）還元結合、（ＮＨＣＯ）レトロインベルソ（retro inverso）結合、（ＣＨ２−Ｏ）メチレン−オキシ結合、（ＣＨ２Ｓ）チオメチレン結合、（ＣＨ２ＣＨ２）カルバ結合、（ＣＯ−ＣＨ２）ケトメチレン結合、（ＣＨＯＨＣＨ２）ヒドロキシエチレン結合、（Ｎ−Ｎ）結合、Ｅ−アルケン結合又はＣＨ＝ＣＨ−結合によって修飾又は置換されるペプチドである、ペプチド分子が含まれる。
【０１１０】
凝集が少ないなど、非常に望ましい改善された特性を有するタンパク質を生成することができる他の荷電アミノ酸又は天然アミノ酸での荷電アミノ酸の置換は、特別に関心のある対象である。凝集は活性を減少させるだけではなく、凝集塊が免疫原性であり得るために、製剤を製造する場合に問題となる（例えば、Pinckardら(1967), Clin. Exp. Immunol 2: 331-340; Robbinsら(1987), Diabetes. 36: 838845; 及び Clelandら(1993) Crit. Rev. Ther. Drug Carr. Syst. 10: 307-377参照)。
【０１１１】
本発明のさらなる実施形態は、１〜５０のうちの少なくともいずれか１つの整数個の保存的アミノ酸置換を含有するアミノ酸配列を有する、新規なポリペプチドのアミノ酸配列を含むポリペプチドに関する。いずれかの保存的置換又は置換の組み合わせもまた除外され得る。
ポリペプチド断片
構造上の定義
本発明はさらに、本発明のポリペプチドの断片に関する。さらに具体的には、本発明は、６〜１００の間の少なくともいずれか１つの整数個（又は、その長さが１０００未満である場合、ポリペプチドアミノ酸残基−１の長さ）の連続アミノ酸残基を含む、精製、単離、及び組換えポリペプチドを具体化する。その断片は、本発明のポリペプチドの少なくとも６、好ましくは少なくとも８〜１０、さらに好ましくは１２、１５、２０、２５、３０、３５、４０、５０、６０、７５、１００、１２５、１５０、１７５，２００、２２５、２５０、２７５、又は３００個の連続アミノ酸であることが好ましい。
【０１１２】
上記のポリペプチド断片の他に、ポリペプチドのさらに好ましい亜属は、少なくともＸ個のアミノ酸を含み、その「Ｘ」は、整数６と、以下の配列表のポリペプチド配列を含む本発明のポリペプチドのＣ末端アミノ酸を表す整数との間のいずれかの整数として定義される。さらに、Ｎ末端及びＣ末端位置の点からさらに指定される、上述のような少なくとも６アミノ酸長さのポリペプチド断片の種類が含まれる。しかし、上述のように少なくとも６アミノ酸長さのすべてのポリペプチド断片が個々の種類として本発明に包含され、Ｎ末端及びＣ末端位置によって個々に指定される。つまり、少なくとも６隣接アミノ酸残基長さの断片が、配列表の又は本発明の所定のいずれかのアミノ酸配列を占有することがあり得る、Ｎ末端及びＣ末端位置のどの組み合わせも、本発明に包含される。
【０１１３】
配列表の偶数配列番号の配列のアミノ酸を含む好ましいポリペプチド断片及びそれをコードするポリヌクレオチドは、１位で始まり、かつ６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６、９７、９８、９９、１００、１０１、１０２、１０３、１０４、１０５、１０６、１０７、１０８、１０９、１１０、１１１、１１２、１１３、１１４、１１５、１１６、１１７、１１８、１１９、１２０、１２１、１２２、１２３、１２４、１２５、１２６、１２７、１２８、１２９、１３０、１３１、１３２、１３３、１３４、１３５、１３６、１３７、１３８、１３９、１４０、１４１、１４２、１４３、１４４、１４５、１４６、１４７、１４８、１４９、１５０、１５１、１５２、１５３、１５４、１５５、１５６、１５７、１５８、１５９、１６０、１６１、１６２、１６３、１６４、１６５、１６６、１６７、１６８、１６９、１７０、１７１、１７２、１７３、１７４、１７５、１７６、１７７、１７８、１７９、１８０、１８１、１８２、１８３、１８４、１８５、１８６、１８７、１８８、１８９、１９０、１９１、１９２、１９３、１９４、１９５、１９６、１９７、１９８、１９９、２００、２０１、２０２、２０３、２０４、２０５、２０６、２０７、２０８、２０９、２１０、２１１、２１２、２１３、２１４、２１５、２１６、２１７、２１８、２１９、２２０、２２１、２２２、２２３、２２４、２２５、２２６、２２７、２２８、２２９、２３０、２３１、２３２、２３３、２３４、２３５、２３６、２３７、２３８、２３９、２４０、２４１、２４２、２４３、２４４、２４５、２４６、２４７、２４８、２４９、２５０、２５１、２５２、２５３、２５４、２５５、２５６、２５７、２５８、２５９、２６０、２６１、２６２、２６３、２６４、２６５、２６６、２６７、２６８、２６９、２７０、２７１、２７２、２７３、２７４、２７５、２７６、２７７、２７８、２７９、２８０、２８１、２８２、２８３、２８４、２８５、２８６、２８７、２８８、２８９、２９０、２９１、２９２、２９３、２９４、２９５、２９６、２９７、２９８、２９９、３００、３０１、３０２、３０３、３０４、３０５、３０６、３０７、３０８、３０９、３１０、３１１、３１２、３１３、３１４、３１５、３１６、３１７、３１８、３１９、３２０、３２１、３２２、３２３、３２４、３２５、３２６、３２７、３２８、３２９、３３０、３３１、３３２、３３３、３３４、３３５、３３６、３３７、３３８、３３９、３４０、３４１、３４２、３４３、３４４、３４５、３４６、３４７、３４８、３４９、３５０、３５１、３５２、３５３、３５４、３５５、３５６、３５７、３５８、３５９、３６０、３６１、３６２、３６３、３６４、３６５、３６６、３６７、３６８、３６９、３７０、３７１、３７２、３７３、３７４、３７５、３７６、３７７、３７８、３７９、３８０、３８１、３８２、３８３、３８４、３８５、３８６、３８７、３８８、３８９、３９０、３９１、３９２、３９３、３９４、３９５、３９６、３９７、３９８、３９９、４００、４０１、４０２、４０３、４０４、４０５、４０６、４０７、４０８、４０９、４１０、４１１、４１２、４１３、４１４、４１５、４１６、４１７、４１８、４１９、４２０、４２１、４２２、４２３、４２４、４２５、４２６、４２７、４２８、４２９、４３０、４３１、４３２、４３３、４３４、４３５、４３６、４３７、４３８、４３９、４４０、４４１、４４２、４４３、４４４、４４５、４４６、４４７、４４８、４４９、４５０、４５１、４５２、４５３、４５４、４５５、４５６、４５７、４５８、４５９、４６０、４６１、４６２、４６３、４６４、４６５、４６６、４６７、４６８、４６９、４７０、４７１、４７２、４７３、４７４、４７５、４７６、４７７、４７８、４７９、４８０、４８１、４８２、４８３、４８４、４８５、４８６、４８７、４８８、４８９、４９０、４９１、４９２、４９３、４９４、４９５、４９６、４９７、４９８、４９９、５００、５０１、５０２、５０３、５０４、５０５、５０６、５０７、５０８、５０９、５１０、５１１、５１２、５１３、５１４、５１５、５１６、５１７、５１８、５１９、５２０、５２１、５２２、５２３、５２４、５２５、５２６、５２７、５２８、５２９、５３０、５３１、５３２、５３３、５３４、５３５、５３６、５３７、５３８、５３９、５４０、５４１、５４２、５４３、５４４、５４５、５４６、５４７、５４８、５４９、５５０、５５１、５５２、５５３、５５４、５５５、５５６、５５７、５５８、５５９、５６０、５６１、５６２、５６３、５６４、５６５、５６６、５６７、５６８、５６９、５７０、５７１、５７２、５７３、５７４、５７５、５７６、５７７、５７８、５７９、５８０、５８１、５８２、５８３、５８４、５８５、５８６、５８７、５８８、５８９、５９０、５９１、５９２、５９３、５９４、５９５、５９６、５９７、５９８、５９９、６００、６０１、６０２、６０３、６０４、６０５、６０６、６０７、６０８、６０９、６１０、６１１、６１２、６１３、６１４、６１５、６１６、６１７、６１８、６１９、６２０、６２１、６２２、６２３、６２４、６２５、６２６、６２７、６２８、６２９、６３０、６３１、６３２、６３３、６３４、６３５、６３６、６３７、６３８、６３９、６４０、６４１、６４２、６４３、６４４、６４５、６４６、６４７、６４８、６４９、６５０、６５１、６５２、６５３、６５４、６５５、６５６、６５７、６５８、６５９、６６０、６６１、６６２、６６３、６６４、６６５、６６６、６６７、６６８、６６９、６７０、６７１、６７２、６７３、６７４、６７５、６７６、６７７、６７８、６７９、６８０、６８１、６８２、６８３、６８４、６８５、６８６、６８７、６８８、６８９、６９０、６９１、６９２、６９３、６９４、６９５、６９６、６９７、６９８、６９９、７００、７０１、７０２、７０３、７０４、７０５、７０６、７０７、７０８、７０９、７１０、７１１、７１２、７１３、７１４、７１５、７１６、７１７、７１８、７１９、７２０、７２１、７２２、７２３、７２４、７２５、７２６、７２７、７２８、７２９、７３０、７３１、７３２、７３３、７３４、７３５、７３６、７３７、７３８、７３９、７４０、７４１、７４２、７４３、７４４、７４５、７４６、７４７、７４８、７４９、７５０、７５１、７５２、７５３、７５４、７５５、７５６、７５７、７５８、７５９、７６０、７６１、７６２、７６３、７６４、７６５、７６６、７６７、７６８、７６９、７７０、７７１、７７２、７７３、７７４、７７５、７７６、７７７、７７８、７７９、７８０、７８１、７８２、７８３、７８４、７８５及び７８６からなる群から選択されるいずれかの位置まで連続する、アミノ酸配列からなる群から選択され、いずれか１つの断片を含むアミノ酸配列の番号付けは、配列表のいずれか１つの偶数配列番号のポリペプチド配列と一致している。
【０１１４】
配列表の偶数配列番号の配列のアミノ酸を含むさらに好ましいポリペプチド断片及びそれをコードするポリヌクレオチドは、そのタンパク質の末端アミノ酸（例えば、７８７位）で終わり、かつ１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６、９７、９８、９９、１００、１０１、１０２、１０３、１０４、１０５、１０６、１０７、１０８、１０９、１１０、１１１、１１２、１１３、１１４、１１５、１１６、１１７、１１８、１１９、１２０、１２１、１２２、１２３、１２４、１２５、１２６、１２７、１２８、１２９、１３０、１３１、１３２、１３３、１３４、１３５、１３６、１３７、１３８、１３９、１４０、１４１、１４２、１４３、１４４、１４５、１４６、１４７、１４８、１４９、１５０、１５１、１５２、１５３、１５４、１５５、１５６、１５７、１５８、１５９、１６０、１６１、１６２、１６３、１６４、１６５、１６６、１６７、１６８、１６９、１７０、１７１、１７２、１７３、１７４、１７５、１７６、１７７、１７８、１７９、１８０、１８１、１８２、１８３、１８４、１８５、１８６、１８７、１８８、１８９、１９０、１９１、１９２、１９３、１９４、１９５、１９６、１９７、１９８、１９９、２００、２０１、２０２、２０３、２０４、２０５、２０６、２０７、２０８、２０９、２１０、２１１、２１２、２１３、２１４、２１５、２１６、２１７、２１８、２１９、２２０、２２１、２２２、２２３、２２４、２２５、２２６、２２７、２２８、２２９、２３０、２３１、２３２、２３３、２３４、２３５、２３６、２３７、２３８、２３９、２４０、２４１、２４２、２４３、２４４、２４５、２４６、２４７、２４８、２４９、２５０、２５１、２５２、２５３、２５４、２５５、２５６、２５７、２５８、２５９、２６０、２６１、２６２、２６３、２６４、２６５、２６６、２６７、２６８、２６９、２７０、２７１、２７２、２７３、２７４、２７５、２７６、２７７、２７８、２７９、２８０、２８１、２８２、２８３、２８４、２８５、２８６、２８７、２８８、２８９、２９０、２９１、２９２、２９３、２９４、２９５、２９６、２９７、２９８、２９９、３００、３０１、３０２、３０３、３０４、３０５、３０６、３０７、３０８、３０９、３１０、３１１、３１２、３１３、３１４、３１５、３１６、３１７、３１８、３１９、３２０、３２１、３２２、３２３、３２４、３２５、３２６、３２７、３２８、３２９、３３０、３３１、３３２、３３３、３３４、３３５、３３６、３３７、３３８、３３９、３４０、３４１、３４２、３４３、３４４、３４５、３４６、３４７、３４８、３４９、３５０、３５１、３５２、３５３、３５４、３５５、３５６、３５７、３５８、３５９、３６０、３６１、３６２、３６３、３６４、３６５、３６６、３６７、３６８、３６９、３７０、３７１、３７２、３７３、３７４、３７５、３７６、３７７、３７８、３７９、３８０、３８１、３８２、３８３、３８４、３８５、３８６、３８７、３８８、３８９、３９０、３９１、３９２、３９３、３９４、３９５、３９６、３９７、３９８、３９９、４００、４０１、４０２、４０３、４０４、４０５、４０６、４０７、４０８、４０９、４１０、４１１、４１２、４１３、４１４、４１５、４１６、４１７、４１８、４１９、４２０、４２１、４２２、４２３、４２４、４２５、４２６、４２７、４２８、４２９、４３０、４３１、４３２、４３３、４３４、４３５、４３６、４３７、４３８、４３９、４４０、４４１、４４２、４４３、４４４、４４５、４４６、４４７、４４８、４４９、４５０、４５１、４５２、４５３、４５４、４５５、４５６、４５７、４５８、４５９、４６０、４６１、４６２、４６３、４６４、４６５、４６６、４６７、４６８、４６９、４７０、４７１、４７２、４７３、４７４、４７５、４７６、４７７、４７８、４７９、４８０、４８１、４８２、４８３、４８４、４８５、４８６、４８７、４８８、４８９、４９０、４９１、４９２、４９３、４９４、４９５、４９６、４９７、４９８、４９９、５００、５０１、５０２、５０３、５０４、５０５、５０６、５０７、５０８、５０９、５１０、５１１、５１２、５１３、５１４、５１５、５１６、５１７、５１８、５１９、５２０、５２１、５２２、５２３、５２４、５２５、５２６、５２７、５２８、５２９、５３０、５３１、５３２、５３３、５３４、５３５、５３６、５３７、５３８、５３９、５４０、５４１、５４２、５４３、５４４、５４５、５４６、５４７、５４８、５４９、５５０、５５１、５５２、５５３、５５４、５５５、５５６、５５７、５５８、５５９、５６０、５６１、５６２、５６３、５６４、５６５、５６６、５６７、５６８、５６９、５７０、５７１、５７２、５７３、５７４、５７５、５７６、５７７、５７８、５７９、５８０、５８１、５８２、５８３、５８４、５８５、５８６、５８７、５８８、５８９、５９０、５９１、５９２、５９３、５９４、５９５、５９６、５９７、５９８、５９９、６００、６０１、６０２、６０３、６０４、６０５、６０６、６０７、６０８、６０９、６１０、６１１、６１２、６１３、６１４、６１５、６１６、６１７、６１８、６１９、６２０、６２１、６２２、６２３、６２４、６２５、６２６、６２７、６２８、６２９、６３０、６３１、６３２、６３３、６３４、６３５、６３６、６３７、６３８、６３９、６４０、６４１、６４２、６４３、６４４、６４５、６４６、６４７、６４８、６４９、６５０、６５１、６５２、６５３、６５４、６５５、６５６、６５７、６５８、６５９、６６０、６６１、６６２、６６３、６６４、６６５、６６６、６６７、６６８、６６９、６７０、６７１、６７２、６７３、６７４、６７５、６７６、６７７、６７８、６７９、６８０、６８１、６８２、６８３、６８４、６８５、６８６、６８７、６８８、６８９、６９０、６９１、６９２、６９３、６９４、６９５、６９６、６９７、６９８、６９９、７００、７０１、７０２、７０３、７０４、７０５、７０６、７０７、７０８、７０９、７１０、７１１、７１２、７１３、７１４、７１５、７１６、７１７、７１８、７１９、７２０、７２１、７２２、７２３、７２４、７２５、７２６、７２７、７２８、７２９、７３０、７３１、７３２、７３３、７３４、７３５、７３６、７３７、７３８、７３９、７４０、７４１、７４２、７４３、７４４、７４５、７４６、７４７、７４８、７４９、７５０、７５１、７５２、７５３、７５４、７５５、７５６、７５７、７５８、７５９、７６０、７６１、７６２、７６３、７６４、７６５、７６６、７６７、７６８、７６９、７７０、７７１、７７２、７７３、７７４、７７５、７７６、７７７、７７８、７７９、７８０、７８１及び７８２からなる群から選択されるいずれかの位置で始まる、アミノ酸からなる群から選択され、いずれか１つの断片を含むアミノ酸配列の番号付けは、配列表のいずれか１つの偶数配列番号のポリペプチド配列と一致する。
【０１１５】
配列表の偶数配列番号のさらに好ましいポリペプチド断片及びそれをコードするポリヌクレオチドは、１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６、９７、９８、９９、１００、１０１、１０２、１０３、１０４、１０５、１０６、１０７、１０８、１０９、１１０、１１１、１１２、１１３、１１４、１１５、１１６、１１７、１１８、１１９、１２０、１２１、１２２、１２３、１２４、１２５、１２６、１２７、１２８、１２９、１３０、１３１、１３２、１３３、１３４、１３５、１３６、１３７、１３８、１３９、１４０、１４１、１４２、１４３、１４４、１４５、１４６、１４７、１４８、１４９、１５０、１５１、１５２、１５３、１５４、１５５、１５６、１５７、１５８、１５９、１６０、１６１、１６２、１６３、１６４、１６５、１６６、１６７、１６８、１６９、１７０、１７１、１７２、１７３、１７４、１７５、１７６、１７７、１７８、１７９、１８０、１８１、１８２、１８３、１８４、１８５、１８６、１８７、１８８、１８９、１９０、１９１、１９２、１９３、１９４、１９５、１９６、１９７、１９８、１９９、２００、２０１、２０２、２０３、２０４、２０５、２０６、２０７、２０８、２０９、２１０、２１１、２１２、２１３、２１４、２１５、２１６、２１７、２１８、２１９、２２０、２２１、２２２、２２３、２２４、２２５、２２６、２２７、２２８、２２９、２３０、２３１、２３２、２３３、２３４、２３５、２３６、２３７、２３８、２３９、２４０、２４１、２４２、２４３、２４４、２４５、２４６、２４７、２４８、２４９、２５０、２５１、２５２、２５３、２５４、２５５、２５６、２５７、２５８、２５９、２６０、２６１、２６２、２６３、２６４、２６５、２６６、２６７、２６８、２６９、２７０、２７１、２７２、２７３、２７４、２７５、２７６、２７７、２７８、２７９、２８０、２８１、２８２、２８３、２８４、２８５、２８６、２８７、２８８、２８９、２９０、２９１、２９２、２９３、２９４、２９５、２９６、２９７、２９８、２９９、３００、３０１、３０２、３０３、３０４、３０５、３０６、３０７、３０８、３０９、３１０、３１１、３１２、３１３、３１４、３１５、３１６、３１７、３１８、３１９、３２０、３２１、３２２、３２３、３２４、３２５、３２６、３２７、３２８、３２９、３３０、３３１、３３２、３３３、３３４、３３５、３３６、３３７、３３８、３３９、３４０、３４１、３４２、３４３、３４４、３４５、３４６、３４７、３４８、３４９、３５０、３５１、３５２、３５３、３５４、３５５、３５６、３５７、３５８、３５９、３６０、３６１、３６２、３６３、３６４、３６５、３６６、３６７、３６８、３６９、３７０、３７１、３７２、３７３、３７４、３７５、３７６、３７７、３７８、３７９、３８０、３８１、３８２、３８３、３８４、３８５、３８６、３８７、３８８、３８９、３９０、３９１、３９２、３９３、３９４、３９５、３９６、３９７、３９８、３９９、４００、４０１、４０２、４０３、４０４、４０５、４０６、４０７、４０８、４０９、４１０、４１１、４１２、４１３、４１４、４１５、４１６、４１７、４１８、４１９、４２０、４２１、４２２、４２３、４２４、４２５、４２６、４２７、４２８、４２９、４３０、４３１、４３２、４３３、４３４、４３５、４３６、４３７、４３８、４３９、４４０、４４１、４４２、４４３、４４４、４４５、４４６、４４７、４４８、４４９、４５０、４５１、４５２、４５３、４５４、４５５、４５６、４５７、４５８、４５９、４６０、４６１、４６２、４６３、４６４、４６５、４６６、４６７、４６８、４６９、４７０、４７１、４７２、４７３、４７４、４７５、４７６、４７７、４７８、４７９、４８０、４８１、４８２、４８３、４８４、４８５、４８６、４８７、４８８、４８９、４９０、４９１、４９２、４９３、４９４、４９５、４９６、４９７、４９８、４９９、５００、５０１、５０２、５０３、５０４、５０５、５０６、５０７、５０８、５０９、５１０、５１１、５１２、５１３、５１４、５１５、５１６、５１７、５１８、５１９、５２０、５２１、５２２、５２３、５２４、５２５、５２６、５２７、５２８、５２９、５３０、５３１、５３２、５３３、５３４、５３５、５３６、５３７、５３８、５３９、５４０、５４１、５４２、５４３、５４４、５４５、５４６、５４７、５４８、５４９、５５０、５５１、５５２、５５３、５５４、５５５、５５６、５５７、５５８、５５９、５６０、５６１、５６２、５６３、５６４、５６５、５６６、５６７、５６８、５６９、５７０、５７１、５７２、５７３、５７４、５７５、５７６、５７７、５７８、５７９、５８０、５８１、５８２、５８３、５８４、５８５、５８６、５８７、５８８、５８９、５９０、５９１、５９２、５９３、５９４、５９５、５９６、５９７、５９８、５９９、６００、６０１、６０２、６０３、６０４、６０５、６０６、６０７、６０８、６０９、６１０、６１１、６１２、６１３、６１４、６１５、６１６、６１７、６１８、６１９、６２０、６２１、６２２、６２３、６２４、６２５、６２６、６２７、６２８、６２９、６３０、６３１、６３２、６３３、６３４、６３５、６３６、６３７、６３８、６３９、６４０、６４１、６４２、６４３、６４４、６４５、６４６、６４７、６４８、６４９、６５０、６５１、６５２、６５３、６５４、６５５、６５６、６５７、６５８、６５９、６６０、６６１、６６２、６６３、６６４、６６５、６６６、６６７、６６８、６６９、６７０、６７１、６７２、６７３、６７４、６７５、６７６、６７７、６７８、６７９、６８０、６８１、６８２、６８３、６８４、６８５、６８６、６８７、６８８、６８９、６９０、６９１、６９２、６９３、６９４、６９５、６９６、６９７、６９８、６９９、７００、７０１、７０２、７０３、７０４、７０５、７０６、７０７、７０８、７０９、７１０、７１１、７１２、７１３、７１４、７１５、７１６、７１７、７１８、７１９、７２０、７２１、７２２、７２３、７２４、７２５、７２６、７２７、７２８、７２９、７３０、７３１、７３２、７３３、７３４、７３５、７３６、７３７及び７３８からなる群から選択されるアミノ酸位置から始まる、いずれかの５０又は１００連続アミノ酸を含む断片からなる群から選択され、いずれか１つの断片を含むアミノ酸配列の番号付けは、配列表のいずれか１つの偶数配列番号のポリペプチド配列と一致する。
【０１１６】
これらの特定の実施形態及び本明細書に記載の他のポリペプチド及びポリヌクレオチド断片の実施形態は、「少なくとも」、「等しい」、「以下」、「未満」、「少なくとも＿だが＿を超えない」又は「＿から＿まで」の指定のサイズ又は指定のＮ末端及び／又はＣ末端位置であるように修飾され得る。本発明のいずれかの実施形態を説明するのに使用されるすべての範囲は、別段の指定がない限り包含的であることに留意のこと。
【０１１７】
あるいは、本発明の上記の種類のポリペプチド断片は、式「ａ〜ｂ」によって示される；式中、「ａ」はポリヌクレオチドのＮ末端最高アミノ酸位置に等しく、「ｂ」はポリヌクレオチドのＣ末端最高アミノ酸位置に等しく；さらに「ａ」は、１から、本発明のポリペプチド配列のアミノ酸番号−６の間の整数に等しく、かつ「ｂ」は、７から、本発明のポリペプチド配列のアミノ酸番号の間の整数に等しく；「ａ」は、「ｂ」よりも少なくとも６小さい整数である。
【０１１８】
本発明の上記のポリペプチド断片は、上記の説明を用いてすぐに認識することができ、したがって、不必要に明細書を長くするためだけにそれぞれ列挙しない。これらのポリヌクレオチド断片のいずれかは、本発明から具体的に除外される場合がある。さらに、新規な生物活性を有するポリペプチドが本発明の好ましい実施形態ではあるが、不活性断片でさえ、例えば、イムノアッセイ、エピトープマッピング、エピトープタギングにおいて、ワクチン、分子量マーカーとして、ポリペプチドの特定部分に対する抗体を作製するのに有用であることから、上記の断片は新規な生物活性を有する必要はない。
【０１１９】
機能的定義
ドメイン
本発明の好ましいポリヌクレオチド 断片は、本発明のポリペプチドのドメインを含む。かかるドメインは最終的に、限定されないが、ロイシンジッパー、ヘリックス−ターン−ヘリックスモチーフ、翻訳後修飾部位、例えばグリコシル化部位、ユビキチン結合部位、αヘリックス、βシート、コードされるタンパク質の分泌を指示するシグナルペプチドをコードするシグナル配列、転写調節に関係する配列、例えば、ホメオボックス、酸性ストレッチ、酵素活性部位、基質結合部位及び酵素切断部位を含む、線状又は構造モチーフ及びシグネチャーを含み得る。かかるドメインは、特定の生物活性、例えばＤＮＡもしくはＲＮＡ結合、タンパク質分泌、転写調節、酵素活性、基質結合活性等を示す。
【０１２０】
好ましい実施形態において、ドメインは、６〜１０００の間のいずれかの整数個の、いくつかのアミノ酸を含む。ドメインは、本明細書に開示の方法を含む、当業者に公知のいずれかの方法を用いて合成することができる。特定の生物活性を有するドメインを構成するアミノ酸を決定する方法としては、試験すべき生物活性を決定する突然変異誘発研究及びアッセイ、ならびに、例えば、Ｐｒｏｓｉｔｅ(Hofmann ら(1999) Nucl. Acids Res. 27: 215-219; Bucher and Bairoch (1994) Proceedings 2nd International Conference on Intelligent Systems for Molecular Biology. Altmanら Eds. , pp53-61, AAAIPress, Menlo Park)、Ｐｆａｍ(Sonnhammerら(1997) Proteins. 28 (3): 405-20; Henikoff ら(2000) Electrophoresis 21 (9): 1700-6; Batemanら (2000) Nucleic Acids Res. 28 (1) : 263-6)、Ｂｌｏｃｋｓ、Ｐｒｉｎｔ、Ｐｒｏｄｏｍ、Ｓｂａｓｅ、Ｓｍａｒｔ、Ｄａｌｉ/ＦＳＳＰ、ＨＳＳＰ、ＣＡＴＨ、ＳＣＯＰ、ＣＯＧなどのデータベースで、ドメイン、モチーフ、又はシグネチャーを識別するバイオインフォマティクス的方法が挙げられる。利用可能なデータベースの説明については、Nucleic Acid Research (2000)の２８巻,１号を参照のこと。
【０１２１】
エピトープ及び抗体融合：
本発明の好ましい実施形態は、エピトープを有するポリペプチド及びエピトープを有するポリペプチド断片に関する。これらのエピトープは、「抗原エピトープ」又は「抗原エピトープ」と「免疫原性エピトープ」の両方である。「免疫原性エピトープ」は、ポリペプチドが免疫原である場合、インビボで抗体応答を誘導するタンパク質の一部として定義される。一方、抗体が結合するポリペプチドの領域は、「抗原決定基」又は「抗原エピトープ」として定義される。タンパク質の免疫原性エピトープの数は一般に、抗原エピトープの数よりも少ない（例えば、Geysen ら(1984), PNAS 81: 3998-4002参照)。特定のエピトープは免疫原性ではないが、それにもかかわらず、抗体を免疫原性及び抗原エピトープの両方にすることができることから、それは有用であることを特に留意のこと。本発明のエピトープは、線状（つまり、ポリペプチド鎖に沿って繰り返すアミノ酸の隣接配列で構成される）又は非線状（「高次構造的」とも呼ばれる、つまり、ポリペプチド鎖の折り畳みの結果として近接するようになるアミノ酸で構成される）であり得る。
【０１２２】
エピトープは、エピトープに固有な空間的コンフォメーションにおいて３個と少ないアミノ酸を含み得る。一般に、エピトープは、少なくとも６個のかかるアミノ酸及びさらにしばしば、少なくとも８〜１０個のかかるアミノ酸からなる。好ましい実施形態では、抗原エピトープは、３〜５０の間のいずれかの整数個の、いくつかのアミノ酸を含む。エピトープとして機能する断片は、いずれかの従来の手段（例えば、Houghten (1985), PNAS 82: 5131-5135）、さらに米国特許第４，６３１，２１号にも記載されている手段を参照）によって作製することが可能である。エピトープを構成するアミノ酸を決定する方法としては、Ｘ線結晶学、２次元核磁気共鳴、及びエピトープマッピング、例えば、Geysenら(1984)；ＷＯ８４／０３５６４；及びＷＯ８４／０３５０６に記載のペプスカン（Pepscan）法などが挙げられる。非線状エピトープは、タンパク質のフットプリンティング法（米国特許第５，６９１，４４８号）などの方法によって決定される。その他の例としては、Jameson and Wolf, (1988), Comp. Appl. Biosci. 4: 181-186のアルゴリズムが挙げられる。Ｊａｍｅｓｏｎ−Ｗｏｌｆ抗原分析は例えば、ＰＲＯＴＥＡＮコンピュータ・プログラムを使用して、デフォルトパラメーター(Ｗｉｎｄｏｗｓ（登録商標） ４．０，ＤＮＡＳＴＡＲ社（ウィスコンシン州マディソン,サウスパークストリート1228））を用いて行われる。標準法を用いた抗原応答についての試験によって、インビボでエピトープもまた同定される。
【０１２３】
少なくとも６、８、１０、１２、１５、２０、２５、３０、３５、４０、５０、６０、７５、１００、１２５、１５０、１７５、２００、２２５、２５０、２７５又は３００アミノ酸残基の長さの、本発明のすべての断片は、線状抗原エピトープとして有用であることから本発明に含まれる。免疫原性として具体的に説明されていない本発明のポリペプチドは、それらがインビボで抗原性であることから、非抗原性とは見なされない。本発明のエピトープを有する断片は、本発明のポリペプチドの６〜５０（つまり、６と５０を含む６から５０までの間のいずれかの整数）個のアミノ酸を含むことが好ましい。また、本発明のエピトープを有する任意の数の断片は除外される。
【０１２４】
非線状エピトープは、少なくとも１つのアミノ酸それぞれの、１つを超える非隣接ポリペプチド配列を含む。かかるエピトープは、二次、三次、又は四次構造の特徴によって近接するようになる非隣接ポリペプチドから生じる。非線状エピトープを提供する好ましいポリペプチドは、負に折り畳まれたタンパク質の隣接表面によって形成され、したがって、本発明のポリペプチドの少なくとも１０アミノ酸、さらに好ましくは１２、１５、２０、２５、３０、３５、４０、５０、６０、７５、１００、１２５、１５０、１７５、２００、２２５、２５０、２７５又は３００アミノ酸の長さである。さらに、非線状エピトープは、負のコンフォメーションにおいてタンパク質上に正常に提示される抗原部位又は隣接表面を模倣する合成ペプチドによって形成される。
【０１２５】
免疫原性エピトープは、動物系（ウサギ又はマウスなど）に、アルブミンなどの担体タンパク質と共に提示されるか、又はそれが十分長い場合（少なくとも約２５個のアミノ酸）には、担体なしで提示される。しかし、８〜１０個と少ないアミノ酸を含む免疫原性エピトープが、最低限でも、変性ポリペプチドにおける線状エピトープに結合することができる抗体を産生するのに十分であることが示されている（例えば、ウエスタンブロット法において）。
【０１２６】
本発明のエピトープを有するポリペプチドを使用して、当技術分野でよく知られている方法、限定されないが、例えば、インビボでの免疫化、インビトロでの免疫化、ファージディスプレイ法（例えば、上記のSutcliffeら、上記のWilsonら及び上記のBittleら参照)などに従って、抗体が誘導される。インビボ免疫化を用いる場合、動物を遊離ペプチドで免疫することができる；しかしながら、抗ペプチドの抗体価は、スカシガイヘモシアニン（ＫＬＨ）又は破傷風トキソイドなどの標準法を用いて、巨大分子担体にペプチドを結合することによって高められる。例えば、ペプチド又は担体タンパク質及びフロイントアジュバント約１００μｇを含有するエマルションを腹腔内及び／又は皮内注射することによって、ウサギ、ラット及びマウスなどの動物が、遊離もしくは担体結合ペプチドのいずれかで免疫される。例えば、ＥＬＩＳＡアッセイによって固体表面に吸着された遊離ペプチドを用いて検出することができる、抗ペプチド抗体の有用な抗体価を得るために、例えば、約２週間間隔に数回のブースター注射が必要とされる場合がある。免疫動物由来の血清中の抗ペプチド抗体の抗体価は、当技術分野でよく知られている方法に従って、抗ペプチド抗体の選択によって、例えば、固体担体上のペプチドへの吸着及び選択された抗体の溶離によって高められる。
【０１２７】
当業者であれば、免疫原性又は抗原エピトープを含む、上述される本発明のポリペプチドを、異種ポリペプチド配列に融合することができることは理解されよう。例えば、本発明のポリペプチドは、免疫グロブリンの定常ドメイン(ＩｇＡ、ＩｇＥ、ＩｇＧ、ＩｇＭ)、又はその一部(ＣＨ１、ＣＨ２、ＣＨ３、全ドメイン及びその一部の両方を含むそのいずれかの組み合わせ）と融合することが可能であり、その結果キメラポリペプチドが生じる。これらの融合タンパク質は精製を容易にし、かつインビボで半減期の増加を示す(例えば、欧州特許出願第３９４，８２７号及びTrauneckerら(1988), Nature. 331: 84-86、Fountoulakisら(1995) Biochem. 270: 3958-3964参照)。本発明のその他の融合タンパク質は、遺伝子シャッフリング、モチーフシャッフリング、エクソンシャッフリング、又はコドンシャッフリングの技術によって作製することが可能である（総称して「ＤＮＡシャッフリング」と呼ばれる；例えば、米国特許第：５，６０５，７９３号；同第５，８１１，２３８号；同第５，８３４，２５２号；同第５，８３７，４５８号;及びPattenら(1997), Curr Opinion Biotechnol.8: 724-733 ; Harayama (1998), Trends Biotechnol. 16 (2): 76-82; Hanssonら(1999), J. Mol.Biol. 287: 265-276; 及びLorenzoとBlasco (1998) Biotechniques. 24 (2): 308-313を参照のこと)。本発明はさらに、このセクションに示されるポリペプチド断片のいずれかの組み合わせも包含する。
【０１２８】
抗体
定義
本発明はさらに、本発明のポリペプチドに特異的に結合する、さらに具体的には、本発明のポリペプチドのエピトープに特異的に結合する、抗体及びＴ細胞抗原受容体（ＴＣＲ）に関する。本発明の抗体には、ＩｇＧ（ＩｇＧ１、ＩｇＧ２、ＩｇＧ３及びＩｇＧ４を含む)、ＩｇＡ（ＩｇＡ１及びＩｇＡ２を含む）、ＩｇＤ、ＩｇＥ、又はＩｇＭ及びＩｇＹが含まれる。「抗体」（Ａｂ）という用語は、少なくとも１つの結合ドメインで構成されるポリペプチド又はポリペプチドの群を意味し、結合ドメインは抗体分子の可変ドメインの折り畳みから形成されて、抗原の抗原決定基の特徴に相補的な内部表面形状及び電荷分布を有する三次元結合空間が形成され、それによって抗原との免疫反応が可能となる。本明細書に使用される「抗体」という用語は、単鎖全抗体を含む全抗体及びその抗原結合断片を包含することを意味するものである。好ましい実施形態において、抗体は本発明のヒト抗原結合抗体断片であり、限定されないが、Ｆａｂ、Ｆａｂ'Ｆ(ａｂ)２及びＦ(ａｂ')２、Ｆｄ、単鎖Ｆｖ(ｓｃＦｖ)、単鎖抗体、ジスルフィド結合Ｆｖ（ｓｄＦｖ）及びＶLもしくはＶHドメインのいずれかを含む断片が含まれる。抗体は、鳥類及び哺乳動物を含むいずれかの動物起源に由来する抗体であることが可能である。その抗体は、ヒト、マウス、ウサギ、ヤギ、モルモット、ラクダ、ウマ又はニワトリ由来のものであることが好ましい。
【０１２９】
単鎖抗体を含む、抗原結合抗体断片は、単独で又は以下の：ヒンジ領域、ＣＨ１、ＣＨ２及びＣＨ３ドメインの全体又は一部との組み合わせで、可変領域（１つ又は複数）を含み得る。可変領域（１つ又は複数）及びヒンジ領域、ＣＨ１、ＣＨ２及びＣＨ３ドメインのいずれかの組み合わせも、本発明に包含される。本発明はさらに、本発明のポリペプチドに特異的に結合するキメラ、ヒト化及びヒトモノクローナル及びポリクローナル抗体を含む。本発明はさらに、本発明の抗体に対して抗イディオタイプの抗体を含む。
【０１３０】
本発明の抗体は、単一特異性、二重特異性、及び三重特異性であるか又はそれ以上の多重特異性を有することが可能である。多重特異性抗体は、本発明のポリペプチドの異なるエピトープに特異的であるか、又は本発明のポリペプチドならびに異種組成物、例えば、異種ポリペプチド又は固体担体材料のどちらにも特異的である。例えば、ＷＯ９３／１７７１５；ＷＯ９２／０８８０２；ＷＯ９１／００３６０；ＷＯ９２／０５７９３；Tuttら (1991), J. Immunol. 147: 60-69；米国特許第５，５７３，９２０号、同第４，４７４，８９３号、同第５，６０１，８１９号、同第４，７１４，６８１号、同第４，９２５，６４８号；Kostelnyら(1992), J. Immunol. 148: 1547-1553を参照のこと。
【０１３１】
本発明の抗体は、抗体によって認識される又は特異的に結合される、本発明のポリペプチドのエピトープ（１つ又は複数）又はエピトープを有する部分に関して説明されるか、又は指定される。その抗体は、本発明の核酸によりコードされる完全タンパク質又はその断片に特異的に結合し得る。また、本発明のいずれかのエピトープ又はポリペプチドに特異的に結合する抗体は、個々の種として除外され得る。
【０１３２】
このように、本発明の他の実施形態は、本発明のポリペプチドのいずれかに特異的に結合することができる精製又は単離抗体である。この実施形態の一態様では、その抗体は、本発明のポリペプチドの、少なくとも６連続アミノ酸、好ましくは少なくとも８〜１０連続アミノ酸、さらに好ましくは少なくとも１２、１５、２０、２５、３０、４０、５０又は１００連続アミノ酸を含む、線状エピトープ含有ポリペプチドに結合することができる。この実施形態の別の態様では、その抗体は、長さで、本発明のポリペプチドの１０アミノ酸、さらに好ましくは１２、１５、２０、２５、３０、３５、４０、５０、６０、７５又は１００アミノ酸を含む非線状エピトープ含有ポリペプチドに、さらに好ましくは本発明のポリペプチドの天然コンフォメーションの隣接表面に、結合することができる。
【０１３３】
本発明の抗体はまた、それらの交叉反応性の面から説明又は指定される。本発明のポリペプチドの他のいずれかの類似体、オルソログ又はホモログに特異的に結合しない抗体が包含される。本発明のポリペプチドと９５％未満、９０％未満、８５％未満、８０％未満、７５％未満、７０％未満、６５％未満、６０％未満、５５％未満、５０％未満の同一性（当技術分野で公知かつ本明細書の記載の方法を用いて、例えば、ＦＡＳＴＤＢ及び本明細書に示されるパラメーターを用いて計算された）を有するポリペプチドに結合しない抗体もまた、本発明に包含される。厳密なハイブリダイゼーション条件（本明細書に記載の）下にて本発明のポリヌクレオチドとハイブリダイズするポリヌクレオチドによってコードされるポリペプチドに単に結合する抗体が、さらに本発明に包含される。本発明の抗体はまた、それらの結合親和性に関して説明又は指定される。好ましい結合親和性としては、５×１０-6Ｍ、１０-6Ｍ、５×１０-7Ｍ、１０-7Ｍ、５×１０-8Ｍ、１０-8Ｍ、５×１０-9Ｍ、１０-9Ｍ、５×１０-10Ｍ、１０-10Ｍ、５×１０-1lＭ、１０-11Ｍ、５×１０-12Ｍ、１０-12Ｍ、５×１０-l3Ｍ、１０-13Ｍ、５×１０-14Ｍ、１０-l4Ｍ、５×１０-15Ｍ及び１０-15Ｍ未満の解離定数又はＫｄを有するものが挙げられる。
【０１３４】
本発明は、突然変異の新規なタンパク質に又は突然変異の新規なタンパク質のエピトープを含む、その断片又は変異体に、特異的に結合することができる精製又は単離抗体にも関する。
抗体の作製
本発明の抗体は、当技術分野で公知の適切な方法によって作製することができる。例えば、本発明のポリペプチド又はその抗原断片は、「ポリクローナル抗体」を含有する血清の生成を誘導するために、動物に投与することができる。本明細書で使用される「モノクローナル抗体」という用語は、ハイブリドーマ技術により作製された抗体に限定されず、むしろ、真核生物の、原核生物のクローン又はファージクローンを含む単一クローンから誘導される抗体を意味し、それが作製される方法を意味するものではない。モノクローナル抗体は、ハイブリドーマ、組換え及びファージディスプレイ技術の使用を含む、当技術分野で公知の多種多様な技術を用いて作製することができる。
【０１３５】
ハイブリドーマ技術には、当技術分野で公知の技術が含まれる（例えば、HarlowとLane, (1988) Antibodies A Laboratory Manual. Cold Spring Harbor Laboratory. pp. 53-242; Hammering (1981), Monoclonal Antibodies and T-Cell Hybridomas, Elsevier, N. Y. 563-681; KohlerとMilstein, (1975) Nature 256: 495; Davisら Basic Methods in Molecular Biology, ed., Elsevier Press, NY (1986), Section 21-2参照)。
【０１３６】
簡単に言えば、新規なタンパク質又はその一部の数マイクログラムを、数週間にわたってマウスに繰り返し接種する。次いで、そのマウスを殺し、脾臓の抗体産生細胞を単離する。ポリエチレングリコールを用いて、その脾臓細胞をマウス骨髄腫細胞と融合させ、抗体産生クローンを同定する（例えば、Engvall, (1980) Meth. Enzymol. 70: 419参照)。選択されたポジティブクローンを増殖させ、使用のために、それらのモノクローナル抗体産物を収集する。
【０１３７】
さらに、例えば、ハイブリドーマにより産生された抗体から、パパイン（Ｆａｂ断片の作製のため）又はペプシン（Ｆ（ａｂ’）２断片の作製のため）などの酵素を用いて、タンパク分解切断により、Ｆａｂ及びＦ（ａｂ’）２断片を作製することができる。
新規なタンパク質又はその一部における異質エピトープに対する抗体を含有するポリクローナル抗血清は、未修飾であるか、又は免疫原性を高めるために修飾することができる新規なタンパク質又はその一部で適切な非ヒト動物（例えば、マウス、ラット、ウサギ、ヤギ、又はウマ）を免疫することによって作製することができる（例えば、Vaitukaitis ら (1971) J. Clin. Endocrinol. Metab. 33 : 988-991 ; Ouchterlony ら(1973) Chap. 19 in: Handbook of Experimental Immunology D. Wier (ed) Blackwell参照)。このタンパク質又は断片は通常、適切なアジュバント（例えば、水酸化アルミニウム、ＲＩＢＩ等）の存在下で非ヒト哺乳動物に導入される。免疫された動物由来の血清は、公知の手順に従って回収され、処理され、試験される。血清が、不要なエピトープに対するポリクローナル抗体を含有する場合、イムノアフィニティー・クロマトグラフィーによって、ポリクローナル抗体を精製することができる。抗原に対する抗血清の親和性が標準法を用いて決定される。
【０１３８】
あるいは、当技術分野で公知の方法を用いて、組換えＤＮＡ技術の適用によって、又は合成化学によって、本発明の抗体を作製することができる。ファージディスプレイ法において、例えば、それらをコードするポリヌクレオチド配列を保持するファージ粒子表面上に、機能性抗体ドメインを提示させ、抗原、通常固体表面又はビーズに結合又は捕捉された抗原で直接選択することによって、目的の結合特性を有するファージが、レパートリー又はコンビナトリアル抗体ライブラリー（例えば、ヒト又はマウス）から選択される（例えば、Brinkman ら(1995) J. Immunol Methods, 182: 41-50 ; Ames ら(1995), J. Immunol. Meth. , 184: 177-186.; Kettleborough ら(1994), Eur. L Immunol. , 24: 952958; Persic ら(1997), Gene, 1879-81; Burton ら(1994), Adv. Immunol., 57: 191-280；ＰＣＴ／ＧＢ９１／０１１３４；ＷＯ９０／０２８０９；ＷＯ９１／１０７３７；ＷＯ９２／０１０４７；ＷＯ９２／１８６１９；ＷＯ９３／１１２３６；ＷＯ９５／１５９８２；ＷＯ９５／２０４０１；及び米国特許第５，６９８，４２６，同第５，２２３，４０９号、同第５，４０３，４８４号、同第５，５８０，７１７号、同第５，４２７，９０８号、同第５，７５０，７５３号、同第５，８２１，０４７，５号、同第５７１，６９８号、同第５，４２７，９０８号、同第５，５１６，６３７号、同第５，７８０，２２５号、同第５，６５８，７２７号及び同第５，７３３，７４３号参照)。ファージ選択後、ファージから抗体コード領域を単離し、それを用いて、ヒト抗体を含む全抗体、又は他のいずれかの目的の抗原結合断片を作製することが可能であり、いずれかの目的の宿主、例えば哺乳動物細胞、昆虫細胞、植物細胞、酵母及び細菌などにおいて発現させることができる（例えば、ＷＯ９２／２２３２４； Mullinaxら(1992), BioTechniques. 12 (6): 864-869; 及びSawaiら(1995), AJRI 34: 26-34; 及びBetterら(1988), Science. 240: 1041-1043参照)。
【０１３９】
単鎖Ｆｖｓ及び抗体の作製に関するさらなる教示は、米国特許第４，９４６，７７８号及び同第５，２５８，４９８号； Hustonら(1991), Meth. Enymol. 203: 46_88 ; Shuら(1993), PNAS 90: 7995-7999;及びSkerraら(1988)及びScience 240: 1038-1040に提供されている。ヒトにおける抗体のインビボでの使用及びインビトロ検出アッセイを含む、いくつかの用途については、キメラ、混合（shuffled）、ヒト化又はヒト抗体を使用することが好ましい（例えば、Morrison, (1985); Oiら(1986), BioTechniques 4: 214; Gilliesら(1989), J. Immunol Methods. 125: 191-202；米国特許第５，８０７，７１５号；ＥＰ  ０  ２３９  ４００；ＷＯ９１／０９９６７；米国特許第５，５３０，１０１号；同第５，５８５，０８９号、欧州特許出願第５９２１０６号；同５１９５９６号；Padlan (1991), Molec. Immunol. 28 (4/5): 489-498; Studnickaら(1994), Protein Engineering. 7 (6): 805-814; Roguska ら(1994), PNAS 91: 969-973、米国特許第５，５６５，３３２号、米国特許第４，４４４，８８７号、同第４，７１６，１１１号、同第５，５４５，８０６号及び同第５，８１４，３１８号；ＷＯ９８／４６６４５；ＷＯ９８／５０４３３；ＷＯ９８／２４８９３；ＷＯ９６／３４０９６；ＷＯ９６／３３７３５；及びＷＯ９１／１０７４１参照)。
【０１４０】
いずれかの異種分子、例えば本発明のポリペプチド、その他のポリペプチド、検出アッセイに有用な標識、又は薬物又は毒素などのエフェクター分子に組換え融合された、又は化学結合（共有結合及び非共有結合のどちらも含む）された抗体が、さらに本発明に包含される(例えば、ＷＯ９２/０８４９５;ＷＯ９１/１４４３８;ＷＯ８９/１２６２４;米国特許第５，３１４，９９５号;及び欧州特許出願第３９６３８７号参照)。融合された抗体を使用して、特定の細胞表面受容体に特異的な抗体に本発明のポリペプチドを融合又は結合させることによって、インビトロ又はインビボで特定の細胞型に対して本発明のポリペプチドを標的にすることも可能であり、かつ当技術分野で公知の方法を用いて、インビトロイムノアッセイ及び精製法において使用することもできる（例えば、上記のHarborら ;ＷＯ９３/２１２３２;欧州特許出願第４３９０９５号; Naramura ら(1994), Immunol. Lett. 39: 91-99;米国特許第５，４７４，９８１号; Gillies ら(1992), PNAS 89: 14281432; Fell ら(1991), J. Immunol. 146: 2446-2452参照)。
【０１４１】
本発明はさらに、可変領域以外の抗体ドメインに融合又は結合された本発明のポリペプチドを含む組成物を包含する。例えば、本発明のポリペプチドは、抗体Ｆｃ領域、又はその一部及び／又はヒンジ領域、ＣＨ１ドメイン、ＣＨ２ドメイン、又はＣＨ３ドメイン又はその一部に、ならびにＩｇＡ又はＩｇＭの部分に融合又は結合させることができる。抗体部分に本発明のポリペプチドを融合又は結合させる方法は当技術分野で公知である。例えば、米国特許第５，３３６，６０３号、米国特許第５，６２２，９２９号、米国特許第５，３５９，０４６号、米国特許第５，３４９，０５３号、米国特許第５，４４７，８５１号、米国特許第５，１１２，９４６号；欧州特許出願第３０７４３４号、欧州特許出願第３６７１６６号；ＷＯ９６/０４３８８、ＷＯ９１/０６５７０; Ashkenazi ら(1991), PNAS 88: 10535-10539; Zhengら (1995), J. Immunol. 154: 5590-5600; and Vilら(1992), PNAS 89: 11337-11341を参照のこと。
【０１４２】
野生型であろうと遺伝子導入動物であろうと、抗体結合が望まれるものと異なる種類の新規なポリペプチドを発現する非ヒト動物又は哺乳動物及び新規なポリペプチドを発現しない動物（つまり、本明細書に記載の新規なノックアウト動物）は、かかる動物が新規なタンパク質の露出領域のすべて又は大部分を外来抗原として認識し、したがって新規なエピトープのより広いアレイを有する抗体を産生するであろうことから、抗体の作製に特に有用である。さらに、わずか１０〜３０個のアミノ酸を有する小さなポリペプチドが、新規なタンパク質のいずれか１つへの特異的な結合を得るのに有用である。さらに、抗原配列に類似する新規な種を産生する、動物の体液性免疫系は、動物の天然新規な種と抗原配列との間の差異を選択的に認識し、抗原配列におけるこれらの固有の部位に対する抗体を産生するだろう。かかる技術は、新規なタンパク質のいずれか１つに特異的に結合する抗体を得るのに、特に有用であるだろう。
【０１４３】
本発明の好ましい実施形態は、抗体又は抗体断片を新規なポリペプチドに特異的に結合させる方法である。この方法は、抗体結合条件下にて、新規なポリペプチド特異的抗体又はその断片を新規なポリペプチドと接触させる工程を含む。さらに、新規なポリペプチドのエピトープ、ドメイン又は断片に抗体又は抗体断片を特異的に結合させる方法が包含される。この方法を用いて、例えば、本明細書に記載されたように新規なポリペプチドの活性を検出、精製、又は修飾することができる。
【０１４４】
本発明の抗体を使用して、当業者に公知の方法を用いて試験試料又は生体試料中のタンパク質のレベルをアッセイすることができる。タンパク質を検出するのに有用な、抗体に基づく方法には、酵素免疫測定法（ＥＬＩＳＡ）及びラジオイムノアッセイ（ＲＩＡ）などのイムノアッセイが含まれる。適切な抗体アッセイの標識は、当技術分野で公知であり、グルコース、オキシターゼ、ホースラディッシュペルオキシダーゼ及びルカリホスファターゼなどの酵素標識；ヨウ素（１２５Ｉ、１２１I)、炭素（１４Ｃ）、硫黄（３５Ｓ）、トリチウム（３Ｈ）、インジウム（１２１Ｉｎ）及びテクネチウム（９９Ｔｃ）などのラジオアイソトープ；ルミノール、イソルミノール、セロマチック（theromatic）アクリジニウムエステル、イミダゾール、アクリジニウム塩、シュウ酸エステル、ルシフェリン、ルシフェラーゼ及びエクオリンなどの発光標識；蛍光標識、例えばフルオレセインイソチオシアネート、ローダミン、フィコエリトリン、フィコシアニン、アロフィコシアニン、ｏ−フタルデヒド及びフルオレスカミンが挙げられる。
【０１４５】
ポリヌクレオチドの使用
試薬としてのポリヌクレオチドの使用
本発明のポリヌクレオチドは、単離手順、診断アッセイ及び法医学的手順において試薬として使用することができる。例えば、本発明の新規なポリヌクレオチドからの配列を検出可能に標識し、プローブとして用いて、それらとハイブリダイズすることができる他の配列を単離することが可能である。さらに、本発明の新規なポリヌクレオチドからの配列を使用して、単離、診断又は法医学的手順に用いられるＰＣＲプライマーを設計することができる。
【０１４６】
相当するゲノムＤＮＡ配列を見出すために
本発明の新規なｃＤＮＡを使用して、相当するゲノムＤＮＡ上の本発明のｃＤＮＡの近くに、好ましくは上流に位置する配列をクローニングすることも可能である。プロモーター配列、エンハンサー配列及び転写又は翻訳レベルに影響を及ぼす他の配列を含む、かかる配列は、遺伝子発現を調節することができる。
【０１４７】
ゲノムＤＮＡ由来の上流配列をクローニングするためのｃＤＮＡ又はその断片の使用
本発明のポリヌクレオチド由来の配列を使用して、染色体歩行技術を用いて(例えば、クロンテック社製のＧｅｎｏｍｅ  Ｗａｌｋｅｒ ｋｉｔを用いて）、相当する遺伝子のプロモーターを単離することができる。上流のゲノム配列をクローニングし、シーケンスすると、公知の転写開始部位、転写因子結合部位、又はプロモーター配列を含有するデータベースと、本発明のポリヌクレオチドの上流の配列を比較することによって、上流配列内の予定プロモーター及び転写開始部位が同定される。
【０１４８】
さらに、プロモーターレポーターベクターを用いて、例えばレポーター遺伝子（例えば、分泌、アルカリホスファターゼ、ルシフェラーゼ、β−ガラクトシダーゼ又は緑色蛍光タンパク質)を、新規な遺伝子の最初のエクソンの上流に位置する新規なプロモーター領域の調節活性ポリヌクレオチド断片又は変異体の制御下に置くことによって、上流配列におけるプロモーターが同定される。多数の適切なプロモーターレポーターベクターが当技術分野で公知である。本発明のポリヌクレオチドの上流に位置するプロモーター及び他の調節配列を用いて、所望の空間的、時間的、発生的、又は定量的手法において挿入遺伝子の発現を検出することができる発現ベクターを設計することができる。
【０１４９】
類似配列を見出すために
本発明のポリヌクレオチドを使用して、このセクションに記述されるハイブリダイゼーション又は増幅に基づく技術を含む当業者によく知られているいずれかの方法を用いて、それに類似の核酸を単離及び／又は精製することができる。これらの方法を使用して、新規なｃＤＮＡがそれに由来するｍＲＮＡ、新規なｃＤＮＡに相当するｍＲＮＡ又は新規なｃＤＮＡもしくはその断片に相同的な核酸、例えば変異体、相同分子種又はオルソログをコードするゲノムＤＮＡが得られる。
【０１５０】
ハイブリダイゼーションに基づく方法
所定のプローブ配列とハイブリダイズする、ｃＤＮＡライブラリーにおいてｃＤＮＡクローンを同定する技術が、Sambrook ら(1989) Molecular Cloning: A Laboratory Manual. (2ed., Cold Spring Harbor Laboratory, Cold Spring Harbor, New York)及びHamesとHiggins (1985) Nucleic Acid Hybridization : A Practical Approach (HamesとHiggins Ed., IRL Press, Oxford)に開示されている。同じ技術を用いて、ゲノムＤＮＡを単離することができる。
【０１５１】
新規なｃＤＮＡ又はその断片からの少なくとも１０連続ヌクレオチドを含むプローブは、ラジオアイソトープ又は蛍光分子などの検出可能な標識で標準法を用いて標識される。ライブラリー中のｃＤＮＡ又はゲノムＤＮＡは、ニトロセルロース又はナイロンフィルターに移され、変性される。非特異的部位をブロックした後、それにハイブリダイズすることができる配列を含有するｃＤＮＡ又はゲノムＤＮＡにプローブを結合させるのに十分な時間、そのフィルターを標識プローブと共にインキュベートする。
【０１５２】
検出可能なプローブとハイブリダイズするｃＤＮＡ又はゲノムＤＮＡを同定するために用いられるハイブリダイゼーション条件の厳密性を変えることによって、以下に記載されたように、プローブと異なるレベルの同一性を有するｃＤＮＡ又はゲノムＤＮＡを同定かつ単離することができる。
厳密な条件
「厳密なハイブリダイゼーション条件」は、プローブとの高レベルの同一性を有する核酸のみが前記プローブとハイブリダイズすることができる条件として定義される。これらの条件は、以下のように計算することができる：長さ１４〜７０ヌクレオチドのプローブについては、融解温度（Ｔｍ）は、式：
Ｔｍ＝８１．５＋１６．６（ｌｏｇ（Ｎａ＋））＋０．４１（Ｇ＋Ｃ分率）−
（６００／Ｎ）
（式中、Ｎはプローブの長さである）
を用いて計算される。
【０１５３】
ホルムアミドを含有する溶液中でハイブリダイゼーションが行われる場合には、融解温度は、式：
Ｔｍ＝８１．５＋１６．６（ｌｏｇ（Ｎａ＋））＋０．４１（Ｇ＋Ｃ分率）−
（０．６３％ホルムアミド）−（６００／Ｎ）
（式中、Ｎはプローブの長さである）
を用いて計算される。
【０１５４】
ハイブリダイゼーションは、６×ＳＳＣ、５×デンハルト試薬（Denhardt's reagent）、０．５％ＳＤＳ、変性断片化サケ精子ＤＮＡ１００μｇ、５０％ホルムアミド中で行われる（例えば、Sambrook ら1986参照)。
ハイブリダイゼーションは標準法に従って行われる。長さ２００ヌクレオチドを超えるプローブについては、ハイブリダイゼーションは、Ｔｍより低い１５〜２５℃で行われる。オリゴヌクレオチドプローブなど短いプローブでは、ハイブリダイゼーションはＴｍより低い１５〜２５℃で行われる。好ましくは、６×ＳＳＣ中でのハイブリダイゼーションに関しては、ハイブリダイゼーションは約６８℃で行われる。好ましくは、５０％ホルムアミド含有溶液中でのハイブリダイゼーションに関しては、ハイブリダイゼーションは約４２℃で行われる。
【０１５５】
ハイブリダイゼーションに続いて、室温にて２×ＳＳＣ、０．１％ＳＤＳ中でフィルターを１５分間洗浄する。次いで、フィルターを室温にて０．１×ＳＳＣ、０．５％ＳＤＳ中で３０分〜１時間洗浄する。その後、その溶液を０．１×ＳＳＣ、０．５％ＳＤＳ中にて、ハイブリダイゼーション温度で洗浄する。最終洗浄は、室温にて０．１×ＳＳＣ中で行われる。
【０１５６】
プローブとハイブリダイズした核酸は、オートラジオグラフィ又は他の従来の技術によって同定される。
低程度及び中程度の条件
ハイブリダイゼーション及びシグナル検出の厳密性の変更は主に、ホルムアミド濃度（ホルムアミドのパーセンテージを低くすると、厳密性が低くなる）；塩濃度又は温度の操作によって達成される。上記の手順をこのように変更して、プローブ配列との同一性レベルが低い核酸を同定することができる。例えば、ハイブリダイゼーション温度は、約１Ｍのナトリウム濃度を有するハイブリダイゼーションバッファーにおいて６８℃〜４２℃の５分単位で下げられる。ハイブリダイゼーションに続いて、ハイブリダイゼーション温度にて２×ＳＳＣ、０．５％ＳＤＳでフィルターを洗浄する。これらの条件は、「中程度」条件は５０℃を超え、「低程度」条件は５０℃未満であると見なされる。あるいは、ハイブリダイゼーションは、ホルムアミドを含有する６×ＳＳＣなどのバッファー中、温度４２℃で行うことができる。この場合には、ハイブリダイゼーションバッファー中のホルムアミドの濃度を５０％〜０％の５％単位で低減し、プローブとの同一性レベルが低いクローンを同定することができる。ハイブリダイゼーションに続いて、５０℃にて、６×ＳＳＣ、０．５％ＳＤＳでフィルターが洗浄される。これらの条件は、「中程度」条件はホルムアミドが２５％を超え、「低程度」条件はホルムアミドが２５％未満であると見なされる。プローブとハイブリダイズしたｃＤＮＡ又はゲノムＤＮＡは、オートラジオグラフィ又は他の従来の方法によって同定される。
【０１５７】
上記の条件の変化は、ハイブリダイゼーション実験においてバックグラウンドを抑制するのに使用される、代わりのブロッキング試薬（例えば、デンハルト試薬、ＢＬＯＴＴＯ、ヘパリン、変性サケ精子ＤＮＡ等）の包含又は置き換えによって達成されることに留意のこと。
ＰＣＲに基づく方法
上述の方法の他に、以下に記載されたように、本発明の新規な ｃＤＮＡ又はその断片を用いて、相同的ｃＤＮＡを得るために、他のプロトコールを利用することができる。
【０１５８】
ポリＡ選択手順又は当業者に公知の他の技術を利用したｍＲＮＡ作製手順を用いて、対象の組織、細胞、又は生物体由来のｍＲＮＡを得ることによって、ｃＤＮＡが作製される。ｍＲＮＡのポリＡテールとハイブリダイズすることができる第１プライマー（例えば、オリゴ(Ｔ)プライマー)を、ｍＲＮＡとハイブリダイズさせ、逆転写反応を行って、第１ｃＤＮＡ鎖を作製する（例えば、 Current Protocols in Molecular Biology, John Wiley and Sons, Inc. 1997 and Sambrookら1989参照)。通常、かかるオリゴ(Ｔ)プライマーは、制限部位含有配列など、ＤＮＡのその後の操作を容易にする、ポリ（ｄＴ）ストレッチ上流のさらなる配列を含む。
【０１５９】
次いで、第１ｃＤＮＡ鎖を、本発明のポリヌクレオチドの少なくとも１０連続ヌクレオチドを含有する第２プライマーとハイブリダイズさせる。使用される第２プライマーは、翻訳開始部位の上流に位置する配列を含有する場合が多い。第２プライマーを伸長させて、第１ｃＤＮＡ鎖に相補的な第２ｃＤＮＡ鎖を作製する。あるいは、得るべきｃＤＮＡの両端からのプライマーを用いて、上述のようにＲＴ-ＰＣＲが行われる。例えば、 Current Protocol in Molecular Biology, John Wiley & Sons, Inc. 1997 and Sambrook, ら., 1989参照のこと。
【０１６０】
他のプロトコール
あるいは、相同的ｃＤＮＡを得るために、他の手順を用いてもよい。ひとつのアプローチにおいて、ｃＤＮＡをｍＲＮＡから作製し、標準法を用いて二本鎖ファージミド中にクローニングする。次いで、二本鎖ファージミド中のｃＤＮＡライブラリーを一本鎖にし、公知の新規なｃＤＮＡ、ゲノムＤＮＡもしくはそれらの断片の配列を含むビオチン化オリゴヌクレオチドを、その一本鎖ファージミドとハイブリダイズさせる。ビオチン化オリゴヌクレオチドとファージミドとのハイブリッドを単離し、相当するファージミドをビーズから放出し、ビオチン化オリゴヌクレオチドを設計するのに使用される新規なｃＤＮＡ又は断片に特異的なプライマーを用いて、二本鎖ＤＮＡに転換する。あるいは、Ｇｅｎｅ Ｔｒａｐｐｅｒ ｋｉｔ(Ｇｉｂｃｏ ＢＲＬ社製)などのプロトコールを使用することができる。
【０１６１】
染色体マーカーとして
当技術分野で公知のいずれかの方法又は技術、例えば放射線ハイブリッド(ＲＨ)マッピング（例えば、Benham ら(1989) Genomics 4: 509-517 and Cox ら(1990) Science 250: 245-250; and Schuler ら(1996) Science 274: 540-546参照)、ＰＣＲに基づくマッピング及び蛍光ｉｎ ｓｉｔｕハイブリダイゼーション(ＦＩＳＨ)マッピングなどを用いて、以下に記載されたように、新規なポリヌクレオチドをそれらの染色体位置にマッピングすることが可能である。
【０１６２】
ＰＣＲ技術を用いた、ヒト染色体へのｃＤＮＡのマッピング
新規なｃＤＮＡ及びゲノムＤＮＡは、ＰＣＲに基づく方法論を用いてヒト染色体に割り当てることができる。かかるアプローチにおいて、オリゴヌクレオチドプライマー対をｃＤＮＡ配列から設計し、ＰＣＲを用いて、ヒト染色体の定義されたセットを含有する一連の体細胞雑種細胞系をスクリーニングする。新規なｃＤＮＡ又はゲノムＤＮＡに相当するヒト遺伝子を含有する染色体との体細胞雑種のみが増幅された断片を生成し、増幅断片を生じるすべての細胞雑種に存在するただ１つのヒト染色体が、その新規なｃＤＮＡ又はゲノムＤＮＡを含有する染色体である(例えば、Ledbetter ら(1990) Genomics 6: 475-481参照)。
【０１６３】
蛍光ｉｎ ｓｉｔｕハイブリダイゼーションを用いた染色体へのｃＤＮＡのマッピング
蛍光ｉｎ ｓｉｔｕハイブリダイゼーション(ＦＩＳＨ)によって、新規なｃＤＮＡ又はゲノムＤＮＡを所定の染色体上の特定の位置にマッピングすることができる。蛍光ｉｎ ｓｉｔｕハイブリダイゼーション技術に使用される染色体は、細胞培養、組織又は全血を含む様々な源から得ることができる（例えば、Cherif ら(1990) PNAS 87: 6639-6643参照)。
【０１６４】
染色体マップを構築又は拡大するためのｃＤＮＡの使用
新規なｃＤＮＡ又はゲノムＤＮＡが特定の染色体に割り当てられたら、それらを利用して、それらが位置する染色体の高分解能マップを構築するか、又は試料中の染色体を同定することができる。
染色体マッピングは、上述のように、特定の染色体に所定の固有の配列を割り当てることを含む。固有の配列が所定の染色体にマッピングされたら、それは、同じ染色体上に位置する他の固有の配列に関連して順序付けられる（例えば、Nagaraja ら(1997) Genome Res. 1997 Mar; 7 (3): 210-22参照)。
【０１６５】
遺伝病又は薬物応答と関連する遺伝子の同定
他の実施形態では、特定のいずれかの新規なｃＤＮＡ又はゲノムＤＮＡを試験用プローブとして使用し、その新規なｃＤＮＡ又はゲノムＤＮＡを特定の表現型特性と関連付けることができる。
一実施形態において、標準技術を用いて、新規なｃＤＮＡ又はゲノムＤＮＡをヒト染色体上の特定の位置にマッピングし、その位置をＭｅｎｄｅｌｉａｎ Ｉｎｈｅｒｉｔａｎｃｅ ｉｎ Ｍａｎで検索する(ビクトル・マキュージック（Ｖ．ＭｃＫｕｓｉｃｋ）のＭｅｎｄｅｌｉａｎ Ｉｎｈｅｒｉｔａｎｃｅ ｉｎ Ｍａｎ（ＯＭＩＭ)）;Ｊｏｈｎｓ Ｈｏｐｋｉｎｓ Ｕｎｉｖｅｒｓｉｔｙ Ｗｅｌｃｈ Ｍｅｄｉｃａｌ Ｌｉｂｒａｒｙを通してオンラインで利用可能)。この検索から、新規なｃＤＮＡ又はゲノムＤＮＡを含有するヒト染色体の領域が、数種の既知の遺伝子及び遺伝子がまだ同定されていない数種の疾患又は表現型を含有する非常に遺伝子豊富な領域（gene rich region）であることが明らかとなる。したがって、この新規なｃＤＮＡ又はゲノムＤＮＡに相当する遺伝子は、これらの遺伝病それぞれの直接の候補となる。
【０１６６】
次いで、例えば、新規なｃＤＮＡ又はゲノムＤＮＡからのＰＣＲプライマーを用いて、又は疾患にかかっていない個体に対して、患者における新規なｃＤＮＡ又はゲノムＤＮＡの発現、サイズ又は配列の差異についてシークエンスすることによって、これらの疾患又は表現型を有する患者由来のゲノムＤＮＡ、ｍＲＮＡ又はｃＤＮＡがスクリーニングされる。検出された差異によって、疾患又は表現型における新規な遺伝子の役割が示される。
【０１６７】
組換えベクターにおけるポリヌクレオチドの使用
本発明は、本発明の単離ポリヌクレオチドを含む組換えベクター及び上記のベクターなどの本発明のポリヌクレオチドの宿主細胞組換え体、ならびにかかるベクター及び宿主細胞を作製し、かつ組換え技術によって新規なポリペプチドを作製するために、それらを使用する方法にも関する。
【０１６８】
組換えベクター
「ベクター」という用語は、二本鎖又は一本鎖であり、かつ細胞宿主中で又は単細胞もしくは多細胞宿主生物中に導入されることが求められる対象の少なくとも１つのポリヌクレオチドを含む、環状もしくは線状ＤＮＡ又はＲＮＡ分子を指すために本明細書で使用される。
【０１６９】
好ましい一実施形態において、本発明は、本発明の調節ポリヌクレオチド又はコード核酸、又はその両方を含む発現ベクターを提供する。発現ベクターを用いて、精製のための、ならびに遺伝子導入動物を作製するための、また遺伝子治療（インビボ及びエクスビボでの方法を含む）のための、新規なポリペプチドを発現させることができる。そのコードされるタンパク質は、宿主生物又は細胞において一過性に発現されるか、又は宿主生物又は細胞において安定的に発現される。コードされるタンパク質は、本明細書に記述する活性のいずれかを有する。そのコードされるタンパク質は、宿主生物に欠けているタンパク質であるか、一方、コードされるタンパク質は、宿主生物中のタンパク質の既存のレベルを高める場合がある。
【０１７０】
本発明のベクターに見出される因子の一部は、以下のセクションでさらに詳細に記述される。
本発明の発現ベクターの一般的な特徴
本発明の通常の発現ベクターは、遺伝因子又は遺伝子発現において調節的役割を有する因子、例えば、プロモーター及びｍＲＮＡに転写され、最終的にポリペプチドに翻訳される構造又はコード配列であって、上述の調節因子に作動可能に連結される構造又はコード配列及び適切な転写開始及び終結配列、のアセンブリーを含む転写単位を含有する。その他の特徴としては、エンハンサー、宿主細胞による翻訳タンパク質の細胞外分泌を可能にするリーダー配列、複製の起点、宿主細胞の形質転換を可能にする選択マーカー、リボゾーム結合部位、ポリアデニル化シグナル、スプライスドナー及びアクセプター部位、転写終結配列及び５’−フランキング非転写配列が挙げられる。
【０１７１】
調節因子
本発明に従って発現ベクターにおいて使用される適切なプロモーター領域は、異種遺伝子を発現させなければならない細胞宿主を考慮に入れて選択される。
適切なプロモーターは、それが発現を制御する核酸に対して異種であってもよいし、あるいは、発現させるコード配列を含有する天然ポリヌクレオチドに内因性であることが可能である。プロモーター領域は、例えば、ＣＡＴ（クロラムフェニコールトランスフェラーゼ）ベクター、さらに好ましくはｐＫＫ２３２-８及びｐＣＭ７ベクターを用いて、いずれかの目的の遺伝子から選択することができる。好ましい細菌プロモーターとしては、ＬａｃＩ、ＬａｃＺ、Ｔ３又はＴ７バクテリオファージＲＮＡポリメラーゼプロモーター、ｇｐｔ、λＰＲ、ＰＬ及びｔｒｐプロモーター(ＥＰ ００３６７７６)、ポリヘドリンプロモーター又はバキュロウイルス由来のＰ１０タンパク質プロモーター(Ｋｉｔ Ｎｏｖａｇｅｎ)(Smithら(1983) Mol. Cell. Biol. 3: 2156-2165; O'Reillyら(1992), 「Baculovirus Expression Vectors: A Laboratory Manual」, W. H. Freeman and Co. , New York)、λＰＲプロモーター又はｔｒｃプロモータも挙げられる。
【０１７２】
真核生物プロモーターとしては、ＣＭＶ前初期プロモーター、ＨＳＶチミジンキナーゼ、初期及び後期ＳＶ４０、レトロウイルス由来のＴＲ及びマウスメタロチオネイン−Ｌが挙げられる。簡便なベクター及びプロモーターの選択は、当業者のレベル内に十分ある。
選択マーカー
選択マーカーは、同定可能な変化を細胞に与え、その結果、発現コンストラクトを含有する細胞を容易に同定することができる。形質転換宿主細胞を選択するための選択マーカー遺伝子は、真核細胞培養に対してジヒドロ葉酸還元酵素又はオマイシン耐性、Ｓ．ｃｅｒｅｖｉｓｉａｅに対してＴＲＰ１又は大腸菌においてテトラサイクリン、リファンピシン又はアンピシリン耐性、ミコバクテリアに対してレバンスクラーゼ（levan saccharase）であることが好ましく、この後者のマーカーは天然選択マーカーである。
【０１７３】
好ましいベクター
本発明の組換えベクターは、限定されないが、ＹＡＣ(酵母人工染色体)、ＢＡＣ(細菌人工染色体)、ファージ、ファージミド、コスミド、プラスミド及び線状ＤＮＡを含むいずれかの種類のベクターである。
細菌ベクター
限定されないが、代表的なものとして、細菌の用途に有用な発現ベクターは、選択マーカー及びｐＢＲ３２２(ＡＴＣＣ３７０１７)の遺伝因子を含む市販のプラスミドから誘導される細菌複製起点を含み得る。かかる市販のベクターとしては、例えばｐＫＫ２２３-３(Ｐｈａｒｍａｃｉａ社（スウェーデン、ウプサラ）)、ｐＧＥＭＩ(Ｐｒｏｍｅｇａ Ｂｉｏｔｅｃ社（米国ウィスコンシン州マディソン）)、ｐＱＥ７０、ｐＱＥ６０、ｐＱＥ-９(Ｑｉａｇｅｎ社)、ｐｂｓ、ｐＤ１０、ｐｈａｇｅｓｃｒｉｐｔ、ｐｓｉＸ１７４、ｐｂｌｕｅｓｃｒｉｐｔ ＳＫ、ｐｂｓｋｓ、ｐＮＨ８Ａ、ｐＮＨ１６Ａ、ｐＮＨ１８Ａ、ｐＮＨ４６Ａ(Ｓｔｒａｔａｇｅｎｅ社);ｐｔｒｃ９９ａ、ｐＫＫ２２３-３、ｐＫＫ２３３-３、ｐＤＲ５４０、ｐＲＩＴ５(Ｐｈａｒｍａｃｉａ社);ｐＷＬＮＥＯ、ｐＳＶ２ＣＡＴ、ｐＯＧ４４、ｐＸＴＩ、ｐＳＧ(Ｓｔｒａｔａｇｅｎｅ社);ｐＳＶＫ３、ｐＢＰＶ、ｐＭＳＧ、ｐＳＶＬ(Ｐｈａｒｍａｃｉａ社);ｐＱＥ-３０(ＱＩＡｅｘｐｒｅｓｓ社)が挙げられる。
【０１７４】
バクテリオファージベクター
ＰＩバクテリオファージベクターは、範囲約８０〜約１００ｋｂの大きなインサートを含有し得る。ＰＩバクテリオファージベクターの作製は、当技術分野でよく知られている（例えば、Sternberg (1992) Trends Genet. 8: 1-16, Sternberg (1994) Mamm. Genome. 5: 397-404, Linton ら(1993) J. Clin. Invest. 92: 3029-3037, McCormick ら(1994) Genet. Anal. Tech. Appl. 11: 158-164参照)。
【０１７５】
ウイルスベクター
いずれかのウイルスベクターを用いて、本明細書に記載の方法を実施することができる。特定の一実施形態において、そのベクターは、アデノウイルス、例えば、ヒトアデノウイルス２型又は５型に由来する（例えば , Feldman ら(1996) Medecine/Sciences, 12: 47-55, Ohno ら(1994) Science 265: 781-784、仏国特許出願番号ＦＲ−９３．０５９５４参照)。
【０１７６】
アデノ随伴ウイルスのベクターもまた、本明細書に記載の方法に対して好ましい。
本発明のレトロウイルスのインビトロ又はインビボ遺伝子送達媒体の作製又は構築に特に好ましいレトロウイルスには、ミンク細胞増殖巣誘導ウイルス（Mink-Cell Focus Inducing Virus）、マウス肉腫ウイルス、細網内皮症ウイルス及びラウス肉腫ウイルスからなる群から選択されるレトロウイルスが含まれる。特に好ましいマウス白血病ウイルスとしては、４０７０Ａ及び１５０４Ａウイルス、Ａｂｅｌｓｏｎ(ＡＴＣＣ番号ＶＲ-９９９)、Ｆｒｉｅｎｄ(ＡＴＣＣ番号ＶＲ-２４５)、Ｇｒｏｓｓ(ＡＴＣＣ番号ＶＲ-５９０)、Ｒａｕｓｃｈｅｒ(ＡＴＣＣ番号ＶＲ-９９８)及びモロニーマウス白血病ウイルス(ＡＴＣＣ番号ＶＲ-１９０;国際公開番号：ＷＯ９４/２４２９８)が挙げられる。特に好ましいラウス肉腫ウイルスとしては、ブライアン（Bryan）高力価ウイルス(ＡＴＣＣ番号ＶＲ-３３４、ＶＲ-６５７、ＶＲ-７２６、ＶＲ-６５９及びＶＲ-７２８)が挙げられる。他の好ましいレトロウイルスベクターは、Rothら(1996) Nature Medicine, 2 (9): 985-991、ＷＯ９３/２５２３４、ＷＯ９４/０６９２０, Rouxら(1989), PNAS 86: 9079-9083, Julanら(1992), J. Gen. Virol. 73: 3251-3255及びNedaら(1991), J. Biol. Chem. 266: 14143-14146に記載されているベクターである。
【０１７７】
ＢＡＣベクター
大腸菌においてゲノムＤＮＡの大きな断片（１００〜３００ｋｂ）を安定に維持するために、細菌人工染色体(ＢＡＣ)クローニング系（Shizuyaら(1992), PNAS 89: 8794-8797)が開発された。好ましいＢＡＣベクターは、Kim U-J.ら(1996), Genomics 34: 213-218によって記載されているｐＢｅＩｏＢＡＣ１１ベクターを含む。ＢＡＣベクター及びその作製は、当技術分野でよく知られており、いずれかの適切な
バキュロウイルス
他の特定の適切な宿主ベクター系は、Ｓｐｏｄｏｐｔｅｒａ ｆｒｕｇｉｐｅｒｄａ由来のＳＦ９細胞系(ＡＴＣＣ番号ＣＲＬ １７１１)をトランスフェクトするために使用される、ｐＶＬ１３９２/１３９３バキュロウイルス導入ベクター(Ｐｈａｒｍｉｎｇｅｎ社)である。バキュロウイルス発現系において本発明の新規なポリペプチドを発現するのに適切な他のベクターとしては、Chaiら(1993), Biotechnol. Appl. Biochem. 18: 259-273; Vlasakら(1983), Eur. J. Biochem. 135: 123-126及びLenhardら(1996) Gene. 169: 187-190に記載されているベクターが挙げられる。
【０１７８】
組換えベクターの送達
本発明のポリヌクレオチド及びポリヌクレオチドコンストラクトの発現を生じさせるために、そのコンストラクトは細胞中に送達されなければならない。この送達は、細胞系を形質転換する実験手順の場合と同様にインビトロで、又は特定の疾患状態の治療の場合と同様にインビボ又はエクスビボで達成される。  発現コンストラクトが感染性ウイルス粒子中に封入されるあるメカニズムは、ウイルス感染である（米国特許第５，９６８，８２１号参照）。その発現コンストラクト、好ましくは本明細書に記述される組換えウイルスベクターは、次いで発現コンストラクトを含む感染性ウイルス粒子を産生する、パッケージング細胞に形質導入するために使用される。次いで、その粒子を使用して、真核細胞に形質導入する(Miller, A. D. (1990) Blood 76: 271；米国特許第６，２２８，８４４号参照）。
【０１７９】
新規なポリヌクレオチドを含む複製欠損レトロウイルスがビリオン中にパッケージングされ、次いでそれを使用して、標準技術によってヘルパーウイルスを用いて標的細胞を感染させることができる（例えば、Current Protocols in Molecular Biology, Ausubel, F. M. ら(eds.) Greene Publishing Associates, (1989)参照)。多数のレトロウイルスのいずれかを使用することが可能であり、当技術分野でよく知られている（例えば、Eglitisら (1985) Science 230: 1395-1398; Danos and Mulligan (1988) PNAS 85: 6460-6464; Wilsonら(1988) PNAS 85: 3014-3018; Armentanoら(1990) PNAS 87: 6141-6145; Huberら(1991) PNAS 88: 8039-8043; Ferryら(1991) PNAS 88: 8377-8381; Chowdhuryら(1991) Science 254: 1802-1805; van Beusechemら(1992) PNAS 89: 7640-7644; Kayら(1992) Human Gene Therapy 3: 641-647; Daiら(1992) PNAS 89: 10892-10895; Hwuら(1993) J. Immunol. 150: 4104-4115参照)。
【０１８０】
本発明において有用な他のウイルスの遺伝子送達系では、アデノウイルス由来ベクターが用いられる。アデノウイルスのゲノムは、それが対象の遺伝子産物をコードするように操作することができるが、正常な溶菌性ウイルス生活環において複製するその能力面に関して不活化される（例えば、Berknerら(1988) BioTechniques 6: 616; Rosenfeldら(1991) Science 252: 431-434; and Rosenfeldら(1992) Cell 68: 143-155参照)。いずれかの標準アデノウイルスベクターを本発明で使用することができる（例えば、Jonesら(1979) Cell 16: 683; Grahamら in Methods in Molecular Biology, E. J. Murray, Ed. (Humana, Clifton, N. J., 1991) vol. 7. pp. 109-127参照)。
【０１８１】
ポリヌクレオチドの送達に有用なさらに他のウイルスベクター系は、アデノ随伴ウイルス(ＡＡＶ)である。アデノ随伴ウイルスは、効率的な複製及び増殖的生活環のためのヘルパーウイルスとして、その他のウイルス、例えばアデノウイルス又はヘルペスウイルスを必要とする天然の欠損ウイルスである(Muzyczkaら Curr. Top. Micro. Immunol. (1992) 158: 97-129参照)。いずれかの標準ＡＡＶベクターを本発明で使用することができる（例えば、Flotte ら(1992) Am. J. Respir. Cell Mol. Biol. 7: 349-356; Am. J. Respir. Cell. Mol. Biol. 7: 349-356;Samulskiら(1989) J. Virol. 63: 3822-3828; and McLaughlin ら(1989) J. Virol. 62: 19631973, Tratschinら(1985) Mol. Cell. Biol. 5: 3251-3260, Hermonatら(1984) PNAS 81: 6466-6470; Tratschinら(1985) Mol. Cell. Biol. 4: 2072-2081; Wondisfordら(1988) Mol. Endocrinol. 2: 32-39; Tratschinら(1984) J. Virol. 51: 611-619; and Flotteら(1993) J.Biol. Chem. 268: 3781-3790参照)。
【０１８２】
遺伝子治療における用途を有する他のウイルスベクター系は、ヘルペスウイルス、ワクシニアウイルス及び数種のＲＮＡウイルスに由来するものである。特に、ヘルペスウイルスベクターは、中枢神経系及び眼球組織の細胞における挿入遺伝子発現の存続に、固有の方策を提供し得る(Peposeら(1994) Invest Ophthalmol Vis Sci 35 : 2662-2666)。
細胞、例えば、哺乳動物細胞中にポリヌクレオチドを導入するための、インビボ、インビトロ又はエクスビボでの数種類の非ウイルス的方法もまた本発明によって企図され、その方法としては、限定されないが、リン酸カルシウム沈殿法が挙げられる(Graham ら (1973) Virol. 52: 456457; Chenら(1987) Mol. Cell. Biol. 7: 2745-2752); DEAE-dextran (Gopal (1985) Mol. Cell. Biol. , 5: 1188-1190); electroporation (Tur-Kaspa ら(1986) Mol. Cell. Biol. 6: 716-718; Potterら(1984) PNAS 81 (22): 7161-7165); direct microinjection (Harland ら(1985) J. Cell. Biol. 101: 1094-1095); DNA-loaded liposomes (Nicolau ら(1982) Biochim. Biophys. Acta. 721: 185190; Fraley ら(1979) PNAS 76: 3348-3352); and receptor-mediated transfection. (Wu and Wu (1987), J. Biol. Chem. 262: 4429-4432; and Wu and Wu (1988), Biochemistry 27: 887-892)。
【０１８３】
インビボ又はインビトロで脊椎動物細胞の内部にタンパク質又はペプチドを送達する方法の特定の実施形態は、生理学的に許容される担体と、対象のポリペプチドを作動可能にコードする裸のポリヌクレオチドとを含む製剤（preparation）を、細胞を含有する組織の間質空間中に導入し、それによって、その裸のポリヌクレオチドが細胞の内部に取り込まれる工程を含む（例えば、ＷＯ９０／１１０９２、ＷＯ９５／１１３０７、Tasconら(1996), Nature Medicine 2 (8): 888-892及びHuygenら(1996) Nature Medicine 2 (8): 893-898参照)。本発明の裸のポリヌクレオチドは、微粒子銃（遺伝子銃）、例えばそれらが細胞膜を突き抜け、それらを殺すことなく細胞に入ることができる高速度に加速されるＤＮＡ被覆微粒子を用いて、細胞中に導入することもできる (Kleinら(1987) Nature 327: 70-73)。
【０１８４】
本発明において使用されるリポソーム製剤としては、カチオン性（正に帯電した）、アニオン性（負に帯電した）及び中性製剤が挙げられる。しかし、カチオン性リポソームとポリアニオン性核酸との間に密な電荷の複合体が形成されるため、カチオン性リポソームが特に好ましい。カチオン性リポソームは、機能的な形で、プラスミドＤＮＡ（Felgnerら PNAS (1987) 84: 7413-7416); mRNA (Maloneら PNAS (1989) 86: 6077-6081);及び精製転写因子(DebsらJ. Biol. Chem. (1990) 265: 10189-10192)の細胞内送達を仲介することが示されている。非常に多くのカチオン性リポソームのうちのいずれかを使用することができる。Ｎ [１−２，３−ジオレイルオキシ）プロピル−Ｎ，Ｎ，Ｎ−トリエチルアンモニウム(ＤＯＴＭＡ) リポソームが特に有用であり、ＧＩＢＣＯ ＢＲＬ社（ニューヨーク州グランドアイランド）から商標名Ｌｉｐｏｆｅｃｔｉｎで市販されている。他の市販のリポソームとしては、ｔｒａｎｓｆｅｃｔａｃｅ (ＤＤＡＢ/ＤＯＰＥ)及びＤＯＴＡＰ/ＤＯＰＥ (Ｂｏｅｈｒｉｎｇｅｒ社)が挙げられる。
【０１８５】
同様に、アニオン性及び中性リポソームは、ＡｖａｎｔｉＰｏｌａｒ Ｌｉｐｉｄｓ社(アラバマ州バーミンガム)などから容易に入手することができるし、あるいは、容易に入手できる物質を用いて用意に作製することができる。かかる物質としては、特にホスファチジル、コリン、コレステロール、ホスファチジルエタノールアミン、ジオレオイルホスファチジルコリン(ＤＯＰＣ)、ジオレオイルホスファチジルグリセロール(ＤＯＰＧ)、ジオレオイルホスファチジルエタノールアミン(ＤＯＰＥ)が挙げられる。これらの物質を、適切な割合でＤＯＴＭＡ及びＤＯＴＡＰ出発物質と混合することもできる。リポソームの様々な組み合わせと同様に、これらの物質を用いてリポソームを製造する方法は、当技術分野でよく知られている。
【０１８６】
そのリポソームは、多重小胞(ＭＬＶ)、小さな単層小胞(ＳＵＶ）又は大きな単層小胞 (ＬＵＶ）を含むことが可能であり、ＳＵＶが好ましい。様々なリポソーム核酸複合体が、当技術分野でよく知られている方法を用いて作製される(Straubingerら Methods of Immunology (1983), 101: 512-527; 米国特許第５，９６５，４２１号)。一般に、ＤＮＡとリポソームとの比は、約１０：１〜約１：１０（約５：１〜約１：５又は約３：１〜約１：３が好ましい）であるだろう。さらに、受容体−受容体リガンド対のメンバーなどの標的化部位を小胞の脂質エンベロープ中に埋め込むことによって、リポソームを特定の細胞型に標的化することが可能である（例えば、米国特許第６１７７４３３号、米国特許第６１１０４９０号及び国際公開番号Ｗ０９７０４７４８参照)。
【０１８７】
目的の宿主生物に注入されるベクターの量は、注入部位に応じて異なる。指示用量としては、動物の体内、好ましくは哺乳動物の体内、例えばマウス体内にベクター０．１〜１００μｇが注入されるだろう。
分泌ベクター
ベクターに挿入される遺伝子によってコードされるタンパク質の分泌を指示することができる分泌ベクターを作製するために、本発明の新規なｃＤＮＡ又はゲノムＤＮの一部を使用することもできる。目的のタンパク質をそれから精製又は濃縮しなければならないバックグラウンドのタンパク質の数を減らすことによって、かかる分泌ベクターは、それに挿入される遺伝子によりコードされるタンパク質の精製又は濃縮を容易にすることができる。例示的な分泌ベクターを以下に示す。
【０１８８】
本発明の分泌ベクターは、宿主細胞、組織又は対象の生物体における遺伝子発現を指示することができるプロモーターと、コード配列及びプロモーターから転写されたｍＲＮＡがシグナルペプチドの翻訳を指示するように、作動可能にプロモーターに連結される本発明のポリヌクレオチドからのシグナル配列と、を含む。宿主細胞、組織又は生物体は、新規なｃＤＮＡ又はゲノムＤＮＡにおけるシグナル配列によってコードされるシグナルペプチドを認識する、いずれかの細胞、組織又は生物体であることが可能である。適切な宿主としては、哺乳動物細胞、組織又は生物体、鳥類の細胞、組織又は生物体、又は酵母が挙げられる。そのシグナル配列は、遺伝子治療のために設計されたベクター中に挿入することもできる。
【０１８９】
分泌ベクターはＤＮＡ又はＲＮＡであり、宿主の染色体に組み込み、宿主中の染色体外のレプリコンとして安定に保持することが可能であり、人工染色体であるか、又は宿主に一過的に存在することができる。その分泌ベクターは、各宿主細胞における多重コピーにおいて保持されることが好ましい。
細胞宿主
本発明のその他の目的は、本明細書に記載のポリヌクレオチドのうちの１つ、特に新規なポリペプチド−コードポリヌクレオチド調節配列又は新規なポリペプチドをコードするポリヌクレオチドを含むポリヌクレオチドで形質転換されている、又はポリヌクレオチドをトランスフェクトされている宿主細胞を含む。上記のベクターのうちの１つなどの組換えベクターで形質転換された（原核細胞）、それをトランスフェクトされた(真核細胞)、又はそれを形質導入された宿主細胞もまた包含される。本発明の発現ベクターのレシピエントとして使用される好ましい宿主細胞としては、原核生物の宿主細胞、例えば、大腸菌株(Ｉ．Ｅ．ＤＨ５-α株)、枯草菌（Bacillus subtilis）、ネズミチフス菌（Salmonella typhimurium）及びシュードモナス属、ストレプトマイセス属及びブドウ球菌属などの種からの株、ならびに真核生物の宿主細胞、例えば、ヒーラ細胞、Ｃｖ １細胞、ＣＯＳ細胞、Ｓｆ-９細胞、Ｃ１２７細胞、３Ｔ３、ＣＨＯ、ヒト腎細胞２９３及びＢＨＫ細胞が挙げられる。
【０１９０】
本明細書に記載のベクターコンストラクトを含有する宿主細胞を包含することに加えて、本発明は、内因性遺伝物質（例えば、コード配列）を欠失又は置換するために、かつ／又は、本発明のポリヌクレオチドと作動可能に関連付けられ、かつ内因性ポリヌクレオチドを活性化、変化させ及び／又は増幅する遺伝物質を含ませるために操作された、脊椎動物起源、特に哺乳動物起源の一次、二次及び不死化宿主細胞も包含する（例えば、米国特許第５，６４１，６７０号；ＷＯ９６/２９４１１;ＷＯ９４/１２６５０; Koller, ら., (1989); 及び Zijlstra, ら. (1989)；米国特許第６，０５４，２８８号；同第６，０４８，７２９号；同第６，０４８，７２４号；同第６，０４８，５２４号；同第５，９９４，１２７号；同第５，９６８，５０２号；同第５，９６５，１２５号；同第５，８６９，２３９号；同第５，８１７，７８９号；同第５，７８３，３８５号；同第５，７３３，７６１号；同第５，６４１，６７０号；同第５，５８０，７３４号；及びＷ０９６／２９４１１、ＷＯ９４／１２６５０；及びKollerら(1994)参照）
哺乳動物細胞、好ましくはヒト細胞における新規な遺伝子の発現を不完全にすることが可能であり、あるいは、動物細胞のゲノム中の内因性の新規なポリペプチド−コード遺伝子を本発明による新規なポリペプチド−コードポリヌクレオチドで置換することによって改変することが可能である。これらの遺伝的改変は、先に記載の特定のポリヌクレオチドコンストラクトを用いた相同的組換えによって行われる。
【０１９１】
マウス接合体などの哺乳類の接合体を細胞宿主として使用してもよい。例えば、マウス接合体に、対象の精製ＤＮＡ分子を微量注入する。さらに、本発明のポリヌクレオチドのいずれか１つが、胚幹(ＥＳ)細胞系、好ましくはマウスＥＳ細胞系に導入される。ＥＳ細胞、及びそれらの単離及び維持方法は当技術分野でよく知られており、特に、Abbondanzoら(1993), Meth. Enzymol., Academic Press, New York, pp 803-823, Robertson, (1987), Embryo-derived stem cell lines; E.J. Robertson Ed. Teratocarcinomas and embrionic stem cell lines: a practical approach. IRL Press, Oxford, pp. 71及びPease and William, (1990), Exp. Cell. Res. 190: 209-211に記述されている。
【０１９２】
遺伝子導入動物
「遺伝子導入動物」又は「宿主動物」という用語は、本発明による核酸のうちの１つを含むように遺伝学的かつ人工的に操作されたそれらのゲノムを有する動物を指すために、本明細書において使用される。影響を受ける細胞は、体細胞、胚細胞、又はその両方であることが可能である。好ましい動物は非ヒトの哺乳動物であり、ハツカネズミ属（例えば、マウス）、クマネズミ属（例えば、ラット）及びアナウサギ属（例えば、ウサギ）から選択される属に属する動物が含まれる。一実施形態において、本発明は、本発明の組換えベクター又はノックアウトベクターとの相同的組換えによって破壊された新規な遺伝子を含む、非ヒトの宿主哺乳動物を包含する。このように、本発明は、本発明による核酸、組換え発現ベクター又は組換え宿主細胞を含有する遺伝子導入動物にも関する。本発明のさらなる目的は、本明細書に記載の遺伝子導入動物から得られる組換え宿主細胞を含む。
【０１９３】
かかる遺伝子導入動物は、所定の新規な遺伝子の発現の増加又は減少に関する多様な病理を研究するための優れた実験モデルである。遺伝子導入動物は、新規な遺伝子の調節ポリヌクレオチドの制御下で対象の目的ポリペプチドを発現させるのに使用することも可能であり、対象のこのタンパク質の合成で高い収量が得られ、又は遺伝子の組織特異的な発現が生じる。
【０１９４】
一実施形態では、本発明の遺伝子導入動物は、胚細胞系又はＥＳ幹細胞系中に本発明の組換えポリヌクレオチドを挿入し（例えば、Thomasら(1987) Cell 51: 503-512; Mansour ら(1988) Nature 336: 348-352参照)、ポジティブ細胞を単離し、クローニングし、かつその次にメスの宿主に挿入し、臨月まで育てられる胚盤胞に注入することによって作製される。遺伝子導入動物及び特異的遺伝子導入マウスの作製に関するさらなる詳細については、米国特許第４，８７３，１９１号；同第５，４６４，７６４号；同第５，７８９，２１５号， Bradley (1987; In : E. J. Robertson (Ed.), Teratocarcinomas and embryonic stem cells: A practical approach. IRL Press, Oxford, pp. 113, Woodら(1993), PNAS, 90: 4582-4585, Nagyら(1993), PNAS 90: 8424-8428を参照のこと。
【０１９５】
他の実施形態において、遺伝子導入動物は、受精卵母細胞にポリヌクレオチドを微量注入するすることによって作製される。着床前の段階に対して受精卵母細胞を培養する方法は、例えば、Gordonら((1984) Methods in Enzymology, 101, 414); Hoganら((1986) in Manipulating the mouse embryo, A Laboratory Manual. Cold Spring Harbor Laboratory Press, Cold Spring Harbor, N. Y (マウス胚について)) ; Hammerら((1985) Nature, 315,680 (ウサギ及びブタの胚について)) ; Gandolfiら((1987) J. Reprod. Fert. 81,23-28) ; Rexroadら((1988) J. Anim. Sci. 66,947-953) (ヒツジの胚について)) ;及びEyestoneら((1989) J. Reprod. Fert. 85,715-720) ; Camousら((1984) J. Reprod. Fert. 72, 779-785); 及びHeymanら ((1987) Theriogenology 27,5968 (ウシの胚について))に記述されている。次いで、標準法によって着床前胚を適切なメスに導入し、導入遺伝子が導入される際の発育段階に応じて、遺伝子導入又はキメラ動物を誕生させることが可能となる。
【０１９６】
本発明の好ましい実施形態において、それらの乳中に組換え新規なポリペプチドを分泌する遺伝子導入哺乳動物が作製される。乳腺中での発現は、新規なポリペプチドをコードするポリヌクレオチドを乳腺特異的なプロモーター（例えば、カゼイン又はラクトグロブリン遺伝子からの）に、任意に他の調節因子に作動可能に連結することによって達成されることが好ましい。プロモーター及び他の調節配列、ベクター、及び他の関連する教示は、例えばClark (1998) J Mammary Gland Biol Neoplasia 3: 337-50 ; Jostら(1999) Nat. Biotechnol 17: 160-4; 米国特許第５，９９４，６１６号；同第６，１４０，５５２号；同第６，０１３，８５７号; Sohnら(1999) DNA Cell Biol. 18: 845-52; Kimら(1999) J. Biochem. (Japan) 126: 320-5; Soulierら(1999) Euro. J. Biochem. 260: 533-9; Zhangら(1997) Chin. J. Biotech. 13: 271-6; Rijnkelsら(1998) Transgen. Res. 7: 5-14; Korhonenら(1997) Euro. J. Biochem. 245: 482-9; Uusi Oukariら(1997) Transgen. Res. 6: 75-84; Hitchinら(1996) Prot. Expr. Purif. 7: 247-52; Platenburgら(1994) Transgen. Res. 3: 99-108; Heng-Cherlら(1993) Animal Biotech. 4: 89107;及び Christaら(2000) Euro. J. Biochem. 267: 1665-71によって記述されている。
【０１９７】
その他の実施形態では、本発明のポリペプチドは、そのポリペプチドをコードするポリヌクレオチドをインビボで乳腺の体細胞中に、例えば、乳腺分泌上皮細胞中に導入することによって、乳中に生成することができる。例えば、プラスミドＤＮＡは、例えば、ＤＥＡＥ−デキストランと結合して（例えば、Hensら(2000) Biochim. Biophys. Acta 1523: 161-171参照)、コンストラクトの受容体仲介エンドサイトーシスを導くことができるリガンドと結合して（例えば、Sobolevら(1998) 273: 7928-33参照)、又はレトロウイルスベクターなどのウイルスベクター、例えば、テナガザル白血病ウイルス中で（例えば、 Archer, ら. (1994) PNAS 91: 6840-684参照）、乳頭管を通して注入することができる。これらの実施形態のいずれかにおいて、ポリヌクレオチドは、上述のように乳腺特異的なプロモーターに作動可能に連結するか、あるいは、ＣＭＶ又はＭｏＭＬＶ ＬＴＲなどの強く発現するいずれかのプロモーターに作動可能に連結することができる。  かかる実施形態で使用されるポリヌクレオチドは、完全長新規なタンパク質又は新規な断片をコードし得る。通常、コードされるポリペプチドは、タンパク質の乳中への分泌を確実にするためにシグナル配列を含む。
【０１９８】
本発明のポリペプチドの使用
配列番号：２のタンパク質（内部指定クローン５００６９５７６７．ｃＦＳ＿１８８−２２７−２−０−Ｇ１−Ｆ）
クローン５００６９５７６７．ｃＦＳ＿１８８−２２７−２−０−Ｇ１−ＦのｃＤＮＡ（配列番号：１）は、アミノ酸配列：ＭＡＲＴＡＧＤＴＬＤＶＦＴＭＩＤＩＦＫＹＶＩＹＧＩＡＡＡＦＦＶＹＧＩＬＬＭＶＥＧＦＦＴＴＧＡＩＫＤＬＹＧＤＦＫＩＴＴＣＧＲＣＶＳＡＷＦＩＭＬＴＹＬＦＭＬＡＷＬＧＶＴＡＦＴＳＬＰＶＹＭＹＦＮＬＷＴＩＣＲＮＴＴＬＶＥＧＡＮＬＣＬＤＬＲＱＦＧＩＶＴＩＧＥＥＫＫＩＣＴＶＳＥＮＦＬＲＭＣＥＳＴＥＬＮＭＴＦＨＬＦＩＶＡＬＡＧＡＧＡＡＶＩＡＭＶＨＹＬＭＶＬＳＡＮＷＡＹＶＫＤＡＣＲＭＱＫＹＥＤＩＫＳＫＥＥＱＥＬＨＤＩＨＳＴＲＳＫＥＲＬＮＡＹＴを含む、配列番号：２のｎｅｍｅｇｌｙａをコードする。したがって、本明細書全体にわたり記載されている配列番号：２のポリペプチドのすべての特性及び使用は、クローン５００６９５７６７．ｃＦＳ＿１８８−２２７−２−０−Ｇ１−Ｆ中のヒトｃＤＮＡを含む核酸によってコードされるポリペプチドにも関係することは理解されよう。さらに、本明細書全体にわたり記載されている配列番号：１のポリヌクレオチドのすべての特性及び使用は、クローン５００６９５７６７．ｃＦＳ＿１８８−２２７−２−０−Ｇ１−Ｆ中に含まれる核酸にも関係することは理解されよう。本発明の好ましい実施形態は、配列番号：２、配列番号：１及びクローン５００６９５７６７．ｃＦＳ＿１８８−２２７−２−０−Ｇ１−Ｆの組成物に対して向けられている。本明細書に記載の生物活性を有するポリペプチド断片及びその断片をコードするポリヌクレオチドもまた好ましい。
【０１９９】
本発明のタンパク質、ｎｅｍｅｇｌｙａは、神経細胞膜糖タンパク質Ｍ６ａ（ＧｅｎＢａｎｋアクセッション番号Ｐ５１６７４）のスプライスバリアントである。ｎｅｍｅｇｌｙａ ｃＤＮＡの第１エクソンは、Ｍ６ａ ｃＤＮＡの第１エクソンと異なる。したがって、ｎｅｍｅｇｌｙａは、そのアミノ末端にてＭ６ａよりも６３アミノ酸短い。カルボキシル末端側２１５個のアミノ酸は、２種類のタンパク質の間で同一である。ｎｅｍｅｇｌｙａは、１つのシグナルアンカー及び２つの膜貫通ドメインを示す。さらに、ｎｅｍｅｇｌｙａは、ミエリンプロテオリピドタンパク質ドメイン（ＰＦ０１２７５）を示す。
【０２００】
ｎｅｍｅｇｌｙａ遺伝子は、神経細胞において特異的に発現される。ｎｅｍｅｇｌｙａは、神経細胞のシナプス前膜及びシナプス小胞膜に位置する。それは、神経の発達中に特に高レベルで発現される。ｎｅｍｅｇｌｙは、シナプス前膜とのシナプス前小胞の小胞ドッキング及び融合において主要な役割を果たす。さらに、ｎｅｍｅｇｌｙａは、神経の発達中のシナプスのマッチングに必須である。このように、ｎｅｍｅｇｌｙａは、神経細胞の末端において神経伝達物質機能及び神経突起伸長のどちらにも重要なタンパク質である。
【０２０１】
本発明の実施形態は、配列番号：２のポリペプチド配列からなるｎｅｍｅｇｌｙａポリペプチドを含む組成物に関する。
本発明のさらなる実施形態は、神経突起伸長又は神経伝達を促進する生物活性を有するｎｅｍｅｇｌｙａポリペプチド断片を含む組成物に関する。
本明細書において使用される、ｎｅｍｅｇｌｙａポリペプチドとは、配列番号：２のｎｅｍｅｇｌｙａポリペプチド配列又は神経突起伸長又は神経伝達を促進する生物活性を有するｎｅｍｅｇｌｙａポリペプチド断片のいずれかを意味する。
【０２０２】
本発明の実施形態は、ｎｅｍｅｇｌｙａポリペプチドをコードする配列番号：１のポリヌクレオチド配列を含む組成物に関する。
本発明のさらなる実施形態は、神経突起伸長又は神経伝達を促進する生物活性を有するｎｅｍｅｇｌｙａポリペプチド断片をコードするポリヌクレオチド配列を含む組成物に関する。
【０２０３】
本明細書でさらに使用される、ｎｅｍｅｇｌｙａポリヌクレオチドとは、配列番号：１のｎｅｍｅｇｌｙａポリヌクレオチド配列又は配列番号：1のポリヌクレオチド断片のいずれかを意味する。本発明のさらなる実施形態は、配列番号：２のｎｅｍｅｇｌｙａポリペプチド配列又はｎｅｍｅｇｌｙａポリペプチド断片を認識する抗体に関する。好ましくは、その抗体は、ｎｅｍｅｇｌｙのアミノ末端内に位置する１つ又は複数のアミノ酸を認識し、前記の１つ又は複数のアミノ酸は、ｎｅｍｅｇｌｙａポリペプチドへの抗体の結合に必要とされる。また好ましくは、その抗体は、非直鎖状エピトープを認識する。最も好ましくは、その抗体は、ｎｅｍｅｇｌｙａには結合するが、Ｍ６ａには結合しない。本明細書で使用される、抗ｎｅｍｅｇｌｙａ抗体とは、ｎｅｍｅｇｌｙａポリペプチドに特異的に結合する、抗体又はその抗原結合断片を意味する。
【０２０４】
本発明の実施形態は、かかる抗ｎｅｍｅｇｌｙａ抗体をｎｅｍｅｇｌｙａポリペプチドに結合させる方法であって、結合を生じさせる条件下にて、ｎｅｍｅｇｌｙａポリペプチドを前記抗体又はその抗原結合断片と接触させる工程を含む方法に関する。かかる条件は当業者にはよく知られている。かかる方法は、本明細書でさらに記述されるように、ｎｅｍｅｇｌｙａポリペプチドを検出するのに有用である。
【０２０５】
本発明の実施形態は、生体試料においてｎｅｍｅｇｌｙａポリペプチドを検出する方法であって、i)生体試料を抗ｎｅｍｅｇｌｙａ抗体と接触させ；ii)形成された抗原−抗体複合体を検出する工程を含む方法に関する。その抗体又は抗体断片は、モノクローナル抗体又はポリクローナル抗体であることが可能である。さらに、その抗体又は抗体断片は一次的又は二次的に、当技術分野で一般的な検出可能な化合物（例えば、放射性化合物、蛍光化合物、発光化合物又は酵素化合物）によって標識することができる。かかる方法は、以下にさらに記述するように、診断キットに適用することが可能である。
【０２０６】
本発明の実施形態は、生体試料においてｎｅｍｅｇｌｙａ ｍＲＮＡもしくはポリペプチドのレベルを検出することによってｎｅｍｅｇｌｙａの発現を検出する方法に関し、前記方法は、i)個体から生体試験試料を採取し；ii)ｎｅｍｅｇｌｙａの発現レベルを検出し；iii)前記試験試料におけるｎｅｍｅｇｌｙａの発現レベルを対照試料（１つ又は複数）と比較する工程を含む。ｎｅｍｅｇｌｙａの発現を検出するためのかかる方法は、神経伝達障害と関連する神経疾患及び精神病、例えばアルツハイマー病、破傷風及びボツリヌス中毒の神経麻痺症候群、ハンチントン病、ランバート−イートン症候群、進行性小脳性運動失調症及び４ｑ３４遺伝子座（ＶＣＦＳ−４ｑ３４）での突然変異と関連する口蓋心顔面症候群様表現型などの診断に使用することが可能である。例えば、ウェスタンブロット法又は免疫化学などの公知の技術を用いて、ｎｅｍｅｇｌｙａの発現を検出してもよい。好ましくは、抗ｎｅｍｅｇｌｙａ抗体を用いて、ｎｅｍｅｇｌｙａの発現レベルを検出する。前記抗体は、モノクローナル抗体又はポリクローナル抗体であることが可能である。さらに、前記抗体は、一次的又は二次的に、当技術分野で一般的な検出可能な化合物（例えば、放射性化合物、蛍光化合物、発光化合物及び酵素化合物）によって標識することができる。また好ましくは、配列番号：１のポリヌクレオチド配列又はその一部、又は配列番号：１に相補的なポリヌクレオチド配列を含むポリヌクレオチドプローブを使用して、例えばノーザンブロット法又はＲＴＰＣＲ技術によってｎｅｍｅｇｌｙａの発現レベルを検出する。
【０２０７】
本発明の実施形態は、ＤＮＡゲノタイピングにｎｅｍｅｇｌｙａポリヌクレオチドを使用する方法に関する。かかる方法は：i)個体からヌクレオチド試験試料を採取し；ii)ｎｅｍｅｇｌｙａゲノム配列の存在を検出する工程を含む。ｎｅｍｅｇｌｙａゲノム配列の存在は、標準分子生物学技術（例えば、サザンブロット法）を用いて及びｎｅｍｅｇｌｙａヌクレオチドもしくはその断片をプローブとして使用して検出することが好ましい。あるいは、その方法は、i)個体からヌクレオチド試験試料を採取し、ii)ｎｅｍｅｇｌｙａゲノム配列における突然変異の存在を検出する工程を含む。かかる突然変異としては、欠失、転座、逆位、及び点突然変異（punctual mutation）が挙げられる。これらの突然変異は、標準分子生物学技術（例えば、シークエンシング又はＰＣＲ）を用いて及びｎｅｍｅｇｌｙａヌクレオチドもしくはその断片をプローブもしくはプライマーとして使用して検出することが好ましい。これらの方法におけるヌクレオチド試験試料は、ＤＮＡを含有することが好ましい。ｎｅｍｅｇｌｙａが位置するゲノム領域の２つ未満の機能性コピー、又は前記領域における突然変異のいずれかを同定することによって、前記個体が４ｑ３４位置での突然変異と関連するＶＣＦＳと関連がある遺伝的突然変異を有する尤度が示される。ＤＮＡゲノタイピングにｎｅｍｅｇｌｙａポリヌクレオチドを使用するかかる方法は、ＶＣＦＳ−４ｑ３４を診断するのに有用である。前記ｎｅｍｅｇｌｙａポリヌクレオチドは、３０個未満のヌクレオチドのオリゴヌクレオチドプライマーであることが好ましい。また好ましくは、配列番号：１のポリヌクレオチドが、かかる方法においてプローブとして使用されることが好ましい。個体のゲノタイピングは、例えば、シークエンシング、マイクロシークエンシング又はハイブリダイゼーションなどの当業者によく知られているいずれかの技術によって行うことができる。かかる方法は、その開示内容全体が参照により本明細書に組み込まれる、米国特許第５，９３５，７８３号及び米国特許第６，３０３，２９４号に記載されたように達成することができる。前記ｎｅｍｅｇｌｙａポリヌクレオチドは、単独で、又は例えば米国特許第５，９３５，７８３号及び米国特許第６，３０３，２９４号に記載されたように、個体がＶＣＦＳと関連する遺伝的突然変異を有する尤度を示す他のポリヌクレオチド配列と組み合わせて、使用することができる。
【０２０８】
この実施形態のその他の態様は、ｎｅｍｅｇｌｙａポリヌクレオチドを含むオリゴヌクレオチドプローブのアレイに関する。好ましくは、オリゴヌクレオチドプローブの前記アレイは、ＶＣＦＳと関連する突然変異の効率的なスクリーニングを行えるように作製される。好ましくは、かかるマイクロアレイは、例えば米国特許第５，９３５，７８３号及び米国特許第６，３０３，２９４号に記載のような、ＶＣＦＳと関連する異なる遺伝的突然変異を示すいくつかのオリゴヌクレオチドも含む。これらのマイクロアレイは、例えば、ＶＣＦＳに罹患しやすい家族における疫学的研究を行うため、又はＶＣＦＳを診断するために用いることができる。
【０２０９】
本発明の他の実施形態では、本発明は、ｎｅｍｅｇｌｙａポリペプチドの存在をインビトロで検出するための診断キットに関する。かかるキットは：i)抗ｎｅｍｅｇｌｙａ抗体；任意に、ii)形成された抗原−抗体複合体の検出を可能にする試薬；を備える。前記抗体は、上述のように検出可能に標識されることが好ましい。あるいは、その任意の試薬は、検出可能なシグナルを提供し得る。任意の試薬は、前記抗体に結合するか、又は前記抗体上の標識と反応する。抗ｎｅｍｅｇｌｙａ抗体を含むキットは、ＶＣＦＳ−４ｑ３４又は神経伝達障害と関連する種々の疾患、例えば上記の疾患の診断に使用されることが好ましい。任意に、前記診断キットは、正常な個体の試料を備える。任意に、前記診断キットは、ＶＣＦＳ−４ｑ３４又は神経伝達障害と関連する疾患に罹患している個体の試料を備える。
【０２１０】
さらに他の実施形態は、例えば、免疫電子顕微鏡法又は免疫組織化学染色法によってｎｅｍｅｇｌｙａポリペプチドをインビボで検出するために、抗ｎｅｍｅｇｌｙａ抗体を使用する方法に関する。かかる方法は、そのどちらもそれらの開示内容全体が参照により組み込まれる、Rousselら(J Neurocytol. 27:695-703 (1998)) 及びShettyら(J Neurobiol. 38:391-413 (1999))に記載されている。ｎｅｍｅｇｌｙａポリペプチドのインビボでの検出は、例えば神経栄養性因子、脳の発達及び神経細胞移植（neuron graft）を研究する場合に、モデル動物における神経突起伸長を追跡するのに有用である。
【０２１１】
他の実施形態は、i)ｎｅｍｅｇｌｙａポリペプチドを発現する細胞を培養し、ii)産生されたタンパク質を精製する工程を含む、ｎｅｍｅｇｌｙａポリペプチドを作製する方法に関する。そのタンパク質の精製は、当業者によく知られているいずれかの技術に従って行うことができる。好ましくは、抗ｎｅｍｅｇｌｙａ抗体をクロマトグラフィー担体に結合させて、アフィニティークロマトグラフィーカラムを形成することができる。ｎｅｍｅｇｌｙａポリペプチドを発現する細胞は、以下に記述するような組換え宿主細胞であることが好ましい。ｎｅｍｅｇｌｙａポリペプチドの作製は、本発明でさらに記述される方法及び組成物において有用であり得る。
【０２１２】
本発明の好ましい態様は、ｎｅｍｅｇｌｙａポリペプチドをコードするポリヌクレオチドの宿主細胞組換え体である。その他の好ましい態様は、ｎｅｍｅｇｌｙａの発現を指示することができるポリヌクレオチドの宿主細胞組換え体である。１つの実施形態は、ｎｅｍｅｇｌｙａポリペプチドをコードするポリヌクレオチドの宿主細胞組換え体を作製する方法であって：i)ｎｅｍｅｇｌｙａポリペプチドをコードする核酸配列を含み、かつ所定の生理学的条件下にて前記ｎｅｍｅｇｌｙａポリペプチドの発現を可能にする、組換え分子を作製し；ii)前記組換え分子を細胞に導入する工程を含む方法に関する。好ましい実施形態では、組換え分子は、大腸菌細胞に又はヒト神経細胞に導入される。
【０２１３】
あるいは、ｎｅｍｅｇｌｙａの発現を指示することができるポリヌクレオチドの宿主細胞組換え体は、i)ｎｅｍｅｇｌｙａの発現を指示することができるポリヌクレオチドを含む組換え分子を作製し、ii)前記組換え分子を細胞に導入する工程を含む方法によって作製することができる。ｎｅｍｅｇｌｙａの発現を指示することができるポリヌクレオチドは、ｎｅｍｅｇｌｙａ遺伝子の５’調節領域に位置することが好ましい。さらに好ましくは、これらのポリヌクレオチドは、ｎｅｍｅｇｌｙａコード領域の５００塩基対内に位置する。これらのポリヌクレオチドは、プロモーター配列を含むことが好ましい。内因性配列にポリヌクレオチド配列を導入するための当技術分野で公知の技術は、その開示内容全体が参照により本明細書に組み込まれる、米国特許第５６４１６７０号及び国際公開番号：Ｗ０９６２９４１１に記載されている。ｎｅｍｅｇｌｙａポリペプチドを産生するかかる組換え宿主細胞を用いて、ｎｅｍｅｇｌｙａポリペプチドを作製することができる。
【０２１４】
他の好ましい実施形態は、ｎｅｍｅｇｌｙａ発現の修飾因子の試験物質及びかかる物質をスクリーニングする方法であって、i)細胞を試験物質と接触させ、ii)試験物質に暴露した後の細胞におけるｎｅｍｅｇｌｙａ発現を、非暴露対照細胞における発現と比較する工程を含む方法に関する。ｎｅｍｅｇｌｙａの発現は、当技術分野で一般的な又は本明細書に含まれる方法によって決定される。ｎｅｍｅｇｌｙａの発現を決定する方法としては、限定されないが、ｎｅｍｅｇｌｙａポリヌクレオチドを定量化する方法（例えば、ノーザンブロット法又はＲＴＰＣＲによるｎｅｍｅｇｌｙａ ｍＲＮの検出）又はｎｅｍｅｇｌｙａポリペプチドを定量化する方法（例えば、ウェスタンブロット法又は免疫化学によるｎｅｍｅｇｌｙａタンパク質の検出）が挙げられる。試験物質は、特定の細胞型においてｎｅｍｅｇｌｙａの発現を修飾するが、他の細胞では修飾しないことが好ましい。最も好ましくは、試験物質は、神経細胞において特異的にｎｅｍｅｇｌｙａの発現を修飾する。
【０２１５】
本発明のさらなる実施形態は、ｎｅｍｅｇｌｙａ活性の修飾因子の試験物質及びかかる試験物質をスクリーニングする方法であって、i)細胞を試験物質と接触させ、ii)ｎｅｍｅｇｌｙａ活性を決定し、iii)試験物質に暴露した後の細胞におけるｎｅｍｅｇｌｙａ活性を、非暴露対照細胞における活性と比較する工程を含む方法に関する。ｎｅｍｅｇｌｙａ活性は、例えば、ラットの脳スライスにおけるシナプスでの神経伝達を研究することによってモニターすることができる。神経伝達物質シナプス前放出のレベルを研究するためのいくつかの方法が当技術分野で公知である。シナプス前放出によって生じるシナプス後脱分極を電気生理学的に測定するためのアッセイが、その開示内容全体が参照により本明細書に組み込まれる、米国特許第６，０５１，６１０号に記載されている。ｎｅｍｅｇｌｙａ活性は、神経細胞培養物中の神経突起伸長を研究することによってもモニターすることが可能である。神経突起伸長は、例えば、その開示内容全体が参照により本明細書に組み込まれる、Lagenaurら(J Neurobiol. 23:71-88 (1992))に記載されたように、定量化することができる。
【０２１６】
ｎｅｍｅｇｌｙａの発現又は活性を低減する試験物質は、ｎｅｍｅｇｌｙａアンタゴニストとして定義される。ｎｅｍｅｇｌｙａの発現又は活性を増加する試験物質は、ｎｅｍｅｇｌｙａアゴニストとして定義される。ｎｅｍｅｇｌｙａの発現又は活性を調節する試験物質としては、限定されないが、化学化合物、オリゴヌクレオチド、アンチセンスポリヌクレオチド、リボザイム及び抗ｎｅｍｅｇｌｙａ抗体が挙げられる。これらの物質は、当技術分野でよく知られている方法によって製造かつ使用することができる。
【０２１７】
本発明のその他の実施形態は、ｎｅｍｅｇｌｙａポリペプチド又はｎｅｍｅｇｌｙａアゴニストを神経細胞に送達する工程を含む、神経突起伸長を促進する方法を提供する。本明細書で使用される、神経突起伸長という用語は、神経細胞からの樹状突起伸長及び軸索伸長を含む。好ましくは、ｎｅｍｅｇｌｙａアゴニストがかかる方法で使用される。また好ましくは、ｎｅｍｅｇｌｙａポリペプチドをコードするポリヌクレオチドに作動可能に連結される発現制御因子を含むポリヌクレオチドコンストラクトを細胞に導入することによって、ｎｅｍｅｇｌｙａポリペプチドが細胞に送達される。
【０２１８】
好ましい実施形態において、神経突起伸長を促進する前記方法は、ｎｅｍｅｇｌｙａポリペプチド又はｎｅｍｅｇｌｙａアゴニストを神経細胞のインビトロ組織培養に送達することによってインビトロで行われる。かかる方法の使用は、中枢神経系に移植される神経細胞の生存及び成長に有用である。神経細胞のＣＮＳへの大脳内移植は、神経障害を有する患者を治療するために一般的に使用される方法である。かかる移植の方法は、当業者には公知であり、その開示内容全体が参照により本明細書に組み込まれる、Neural Grafting in the Mammalian CNS, Bjorklund and Stenevi, eds., (1985)及び米国特許第５，０８２，６７０号に記載されている。
【０２１９】
他の好ましい実施形態では、神経突起伸長を促進する前記方法は、インビボで個体に適用される。好ましくは、ｎｅｍｅｇｌｙａアゴニスト及び生理学的に許容される担体を含む組成物が個体に投与される。また好ましくは、ｎｅｍｅｇｌｙａポリペプチドは、ｎｅｍｅｇｌｙａポリペプチドをコードするポリヌクレオチドに作動可能に連結される発現制御因子を含むポリヌクレオチドコンストラクトを前記神経細胞にインビトロで導入することによって及び前記神経細胞を移植することによって、神経細胞に送達される。ｎｅｍｅｇｌｙａポリペプチド又はｎｅｍｅｇｌｙａアゴニストを用いて神経突起伸長を促進する前記方法は、脳損傷から続発する損傷を治療するのに、又はその重症度を低減するのに有用である。かかる脳損傷は、外傷又は感染症によって起こり得る。かかる感染症は、限定されないが、アスペルギルスＣＮＳ感染、髄膜炎、神経精神障害と関連する連鎖球菌感染症及びインフルエンザウイルス関連脳症を含む。ｎｅｍｅｇｌｙａポリペプチド又はｎｅｍｅｇｌｙａアゴニストを用いた神経突起伸長を促進する前記方法は、神経変性疾患、例えばパーキンソン病、アルツハイマー病、小脳タイプのクロイツフェルト・ヤコブ病、ハンチントン病及び筋萎縮性側索硬化症などを治療するのに、又はその重症度を低減するのにも有用である。好ましくは、前記方法は、アルツハイマー病を治療する場合に前脳基底部コリン作動性神経細胞の神経突起伸長を促進するために適用される。また好ましくは、前記方法は、パーキンソン病を治療する場合に、中脳の黒質におけるドーパミン神経細胞の神経突起伸長を促進するために適用される。
【０２２０】
本発明の好ましい実施形態は、細胞に対する小胞のドッキング及び融合能力を回復する方法であって、ｎｅｍｅｇｌｙａポリペプチド又はｎｅｍｅｇｌｙａアゴニストを細胞に送達する工程を含む方法を提供する。好ましい細胞は神経細胞である。ｎｅｍｅｇｌｙａアゴニスト及び生理学的に許容される担体を含む組成物は、この方法において使用されることが好ましい。また好ましくは、ｎｅｍｅｇｌｙａポリペプチドをコードするポリヌクレオチドに作動可能に連結される発現制御因子を含むポリヌクレオチドコンストラクトを細胞に導入することによって、ｎｅｍｅｇｌｙａポリペプチドが細胞に導入される。前記方法は、神経細胞の培養物上において、インビトロで行うことができる。前記方法は、小胞ドッキングの障害及び神経伝達障害と関連する疾患に罹患している個体を治療するためにインビボで行うこともできる。かかる疾患は、種々の神経障害、精神障害及び麻痺障害を含む。例えば、この方法は、例えばハンチントン病を治療又は予防するためにエンドカンナビノイドの小胞輸送（vesicular transmission）を増加するのに、ランバート‐イートン症候群を治療又は予防するためにシナプトタグミンの小胞輸送を増加するために、又はＧＡＢＡの小胞輸送を増加して、進行性小脳性運動失調症を治療又は予防するために適用することが可能である。この方法は、アルツハイマー病における凝集したβアミロイドの生成によって生じるシナプス伝達障害を克服するのに、又は破傷風及びボツリヌス中毒の神経麻痺症候群において神経毒によって起こる神経伝達物質放出の遮断を克服するのに適用することも可能である。
【０２２１】
本発明のさらに他の好ましい実施形態は、Tsaiら(Am J Med Genet. 82(4):336-9 (1999))によって記述されている、４ｑ３４位置での欠失と関連する口蓋心顔面症候群様表現型（ＶＣＦＳ−４ｑ３４）を治療する方法を提供する。ＶＣＦＳ−４ｑ３４は、特に、学習障害を特徴とする。前記方法は、ＶＣＦＳ−４ｑ３４表現型を表す個体に、ｎｅｍｅｇｌｙａポリペプチド又はｎｅｍｅｇｌｙａアゴニストを送達する工程を含む。好ましくは、ｎｅｍｅｇｌｙａアゴニスト及び生理学的に許容される担体を含む組成物がこの方法において使用される。また、好ましくは、ｎｅｍｅｇｌｙａポリペプチドをコードするポリヌクレオチドに作動可能に連結される発現制御因子を含むポリヌクレオチドコンストラクトを細胞に導入することによって、ｎｅｍｅｇｌｙａポリペプチドが細胞に導入される。
【０２２２】
他の実施形態は、シナプス前膜にシナプス前小胞がドッキング及び／又は融合するのを防ぐことによって、神経伝達物質の放出を抑制するためにｎｅｍｅｇｌｙａポリペプチドを使用する方法に関する。これらのｎｅｍｅｇｌｙａポリペプチドは、興奮分泌非連関ペプチド（ＥＳＵＰ）と呼ぶこともできる。この遮断活性を有するｎｅｍｅｇｌｙａの断片は、当技術分野で公知の方法を用いて、例えば、その開示内容全体が参照により組み込まれる米国特許第６，１６９，０７４号に記載されたように、洗剤で透過化処理された（detergent-permeabilized）クロム親和細胞からのカテコールアミンの放出に対するｎｅｍｅｇｌｙａ試験断片の抑制効果をモニターすることによって同定することができる。最適な活性に関しては、本発明のＥＳＵＰは、約２０アミノ酸の最低長さと、約１００アミノ酸の最大長さを有するが、それより長くても、又は短くてもよい。ｎｅｍｅｇｌｙａ ＥＳＵＰは、標的部位に共有結合されることが好ましい。好ましい標的部位は、結合部位と機能上相互作用することができる特定の細胞型（例えば、神経細胞）上に存在する細胞表面結合部位に対するリガンドを含む。好ましい標的部位は、神経成長因子及びその機能性誘導体である。あるいは、上述のようにｎｅｍｅｇｌｙａ ＥＳＵＰをコードするポリヌクレオチドを細胞に導入することによって、ｎｅｍｅｇｌｙａ ＥＳＵＰを細胞中で発現させることができる。ｎｅｍｅｇｌｙａ ＥＳＵＰは、例えば、ジストニー、脳性麻痺及び筋ジストロフィーで起こる慢性筋痙攣を軽減するのに特に有用である。
【０２２３】
その他の実施形態は、痛みを抑制又は治療するためにｎｅｍｅｇｌｙａアンタゴニストを使用する方法に関する。かかる方法は、有効量のｎｅｍｅｇｌｙａアンタゴニスト及び生理学的に許容される担体を含む組成物を、治療が必要な個体に投与する工程を含む。例えば、ｎｅｍｅｇｌｙａアンタゴニストは、神経毒の代わりに本発明のポリペプチドを使用することによって、米国特許第５，９８９，５４５号（その開示内容全体が参照により本明細書に組み込まれる）に従って使用することができる。さらに、本発明のｎｅｍｅｇｌｙａアンタゴニストは、抗痙攣薬として使用することができる。抗痙攣薬は有効に、脳卒中のケースの梗塞サイズを低減し、癲癇又は神経毒に対する暴露から生じる発作などの有効な治療法である。これらの方法は、生理学的に許容される組成物中の有効量のｎｅｍｅｇｌｙａアンタゴニストを、治療が必要な個体に投与する工程を含む。
【０２２４】
生理学的に許容される担体は、当業者に公知のいずれかの方法によって製造することができる。生理学的に許容される担体としては、限定されないが、その開示内容全体が参照により本明細書に組み込まれるRemington's Pharmaceutical Sciences (Mack Publishing Company, Easton, USA 1985)に記載の担体が挙げられる。ｎｅｍｅｇｌｙａアゴニスト及び生理学的に許容される担体を含む薬剤組成物は、例えば静脈内、表面、直腸、局所、吸入又は皮下、皮内、筋肉内、経口及び脳内投与用であることが可能である。その組成物は、液状（例えば、液剤、懸濁剤）、固形（例えば、丸剤、錠剤、坐剤）又は半固形（例えば、クリーム剤、ゲル剤）であることが可能である。投与されるべき投与量は、それぞれの必要性、望まれる効果及び選択される投与経路に応じて異なる。
【０２２５】
さらに他の実施形態は、ｎｅｍｅｇｌｙａポリペプチドをコードする核酸配列又はｎｅｍｅｇｌｙａポリヌクレオチドに相補的なｃＤＮＡをコードする核酸配列を含む組換え分子を用いて遺伝子導入動物（例えば、マウス）を作製する方法に関する。遺伝子導入動物を作製する方法は当業者にはよく知られている。例えば、遺伝子導入マウスは、その開示内容全体が参照により本明細書に組み込まれる米国特許第５，７２３，７１９号に従って、Ｒｅｎ−２dレニン遺伝子の代わりに本発明のポリヌクレオチドを使用することによって作製することができる。かかる遺伝子導入動物は、ＶＣＦＳ−４ｑ３４及び神経伝達障害に関連する疾患の動物モデルを得るのに、又は神経疾患及び慢性筋痙攣を治療する薬物についてスクリーニングするのに有用である。
【０２２６】
配列番号：４のタンパク質（内部指定クローン１０００７７２２２５＿２０８−３０−４−０−Ｈ４−Ｆ）
クローン１０００７７２２２５＿２０８−３０−４−０−Ｈ４−ＦのｃＤＮＡ（配列番号：３）は、アミノ酸配列：ＭＡＬＬＬＡＬＳＬＬＶＬＷＴＳＰＡＰＴＬＳＧＴＮＤＡＥＤＣＣＬＳＶＴＱＫＰＩＰＧＹＩＶＲＮＦＨＹＬＬＩＫＤＧＣＲＶＰＡＶＶを含む、配列番号：４のｓｉｃａ１９をコードする。したがって、本明細書全体にわたり記載されている配列番号：４のポリペプチドのすべての特性及び使用は、クローン１０００７７２２２５＿２０８−３０−４−０−Ｈ４−Ｆ中のヒトｃＤＮＡを含む核酸によってコードされるポリペプチドにも関係することは理解されよう。さらに、本明細書全体にわたり記載されている配列番号：３のポリヌクレオチドのすべての特性及び使用は、クローン１０００７７２２２５＿２０８−３０−４−０−Ｈ４−Ｆ中のヒトｃＤＮＡを含む核酸にも関係することは理解されよう。本発明の好ましい実施形態は、配列番号：４、配列番号：３及びクローン１０００７７２２２５＿２０８−３０−４−０−Ｈ４−Ｆの組成物に対して向けられている。以下に記載の方法で使用するのに好ましいｓｉｃａ１９ポリペプチド断片としては、アミノ配列：ＧＴＮＤＡＥＤＣＣＬＳＶＴＱＫＰＩＰＧＹＩＶＲＮＦＨＹＬＬＩＫＤＧＣＲＶＰＡＶＶを含むｓｉｃａ１９ポリペプチドが挙げられる。本明細書に記載の生物活性を有するポリペプチド断片及びその断片をコードするポリヌクレオチドもまた好ましい。
【０２２７】
本発明のタンパク質、ｓｉｃａ１９は、小誘導サイトカイン（small inducible cytokine)Ａ１９（ＭＩＰ−３−β，Ｇｅｎｂａｎｋアクセッション番号Ｑ９９７３１）の新規なスプライスバリアントである。ｓｉｃａ１９ ｃＤＮＡの第１エクソンは、ＭＩＰ−３−β ｃＤＮＡの第１エクソンよりも長い。第２エクソンは、２つのタンパク質の間で同一である。Ｓｉｃａ１９ ｃＤＮＡは、ＭＩＰ−３−β ｃＤＮＡの第３エクソンを欠き、ｓｉｃａ１９ ｃＤＮＡの第３エクソンは、ＭＩＰ−３−β ｃＤＮＡの第４エクソンと同一である。このように、本発明のタンパク質、ｓｉｃａ１９前駆体は６１アミノ酸の長さであるのに対して、ＭＩＰ−３−β前駆体は９８アミノ酸の長さである。Ｓｉｃａ１９はＣＣケモカインファミリーに属する。Ｓｉｃａ１９は、シグナルペプチド（ＭＡＬＬＬＡＬＳＬＬＶＬＷＴＳＰＡＰＴＬＳ）を示す分泌タンパク質であり、その成熟ｓｉｃａ１９タンパク質は４０アミノ酸の長さである。ＭＩＰ−３−βを含むＣＣケモカインの大部分が２つの異なる受容体結合部位を有すると考えられるが(Clark-Lewis ら. J Leukoc Biol. 57:703-11 (1995))、ｓｉｃａ１９は、ＣＣＲ７の結合部位を１つのみ示す。この固有の結合部位は、プロセッシングされたタンパク質のアミノ末端に位置する。
【０２２８】
Ｓｉｃａ１９は、Ｂ細胞、Ｔ細胞及び活性化ＮＫ細胞に対して走化活性を及ぼし、粘膜表面、粘膜、二次リンパ系器官又は感染もしくは炎症部位などの標的へのそれらの輸送において基本的な役割を担う。Ｓｉｃａ１９は、胸腺、リンパ節、虫垂、扁桃腺ならびに成熟樹状細胞、単球、リンパ球及び好中球において発現する。それは、結腸、気管、脾臓、小腸、肺、腎臓及び胃においても低レベルで発現する。Ｓｉｃａ１９は、正常なリンパ組織及びそれぞれのＢリンパ球及びＴリンパ球細胞系において発現される、ＣＣＲ７受容体（Ｇｅｎｂａｎｋアクセッション番号Ｐ３２２４８）に結合する。Ｓｉｃａ１９は、正常なリンパ球再循環及びホーミングにおいて主要な役割を果たす。Ｓｉｃａ１９は、炎症部位にリンパ球を引き寄せること、及びリンパ球応答を刺激すること両方によって、炎症応答及び免疫応答においても主要な役割を果たす。注目すべきことには、ｓｉｃａ１９は、単球及びＴ細胞によるインターロイキン−１０（ＩＬ−１０）の産生を高める。Ｓｉｃａ１９は、最適な免疫応答を引き起こすのに重要である、Ｔ細胞とＮＫ細胞との間の相互作用も調節する(Robertson ら Cell Immunol  199:8-14 (2000)）。
【０２２９】
本発明の実施形態は、配列番号：４のポリペプチド配列からなるｓｉｃａ１９ポリペプチドを含む組成物に関する。
本発明のさらなる実施形態は、正常なリンパ球輸送を調節し、かつリンパ球の炎症応答及び免疫応答を調節する生物活性を有するｓｉｃａ１９ポリペプチド断片を含む組成物に関する。
【０２３０】
本明細書で使用される、ｓｉｃａ１９ポリペプチドとは、配列番号：４の、又は配列番号：４と少なくとも７０％、８０％、９０％、９５％以上同一のｓｉｃａ１９ポリペプチド配列、あるいは正常なリンパ球輸送を調節し、かつリンパ球の炎症応答及び免疫応答を調節する生物活性を有するｓｉｃａ１９ポリペプチド断片を意味する。
本発明の実施形態は、ｓｉｃａ１９ポリペプチドをコードする配列番号：３のポリヌクレオチド配列を含む組成物に関する。
【０２３１】
本発明のさらなる実施形態は、ｓｉｃａ１９ポリペプチド断片をコードするポリヌクレオチド配列を含む組成物に関する。
本明細書においてさらに使用される、ｓｉｃａ１９ポリヌクレオチドとは、配列番号：３の、又は配列番号：３と少なくとも少なくとも７０％、８０％、９０％、９５％以上の同一性を有するｓｉｃａ１９ポリヌクレオチド配列、ｓｉｃａ１９ポリペプチドをコードするヌクレオチド配列、又は配列番号：３のポリヌクレオチド断片のいずれかを意味する。
【０２３２】
本発明のさらなる実施形態は、配列番号：４のｓｉｃａ１９ポリペプチド配列又はｓｉｃａ１９ポリペプチド断片を認識する抗体に関する。その抗体は、ｓｉｃａ１９のカルボキシル末端内に位置する１つ又は複数のアミノ酸を認識することが好ましく、前記の１つ又は複数のアミノ酸は、ｓｉｃａ１９ポリペプチドへの抗体の結合に必要とされる。また好ましくは、その抗体は、非直鎖状エピトープを認識する。最も好ましくは、その抗体は、ｓｉｃａ１９には結合するが、ＭＩＰ−３−βには結合しない。本明細書で使用される、抗ｓｉｃａ１９抗体とは、ｓｉｃａ１９ポリペプチドに特異的に結合する、抗体又はその抗原結合断片を意味する。
【０２３３】
本発明の実施形態は、抗ｓｉｃａ１９抗体をｓｉｃａ１９ポリペプチドに結合させる方法であって、結合を生じさせる条件下にて、ｓｉｃａ１９ポリペプチドを前記抗体と接触させる工程を含む方法に関する。かかる条件は、当業者にはよく知られている。かかる方法は、本明細書でさらに記述されるように、ｓｉｃａ１９ポリペプチドを検出するのに有用である。
【０２３４】
本発明の実施形態は、生体試料においてｓｉｃａ１９ポリペプチドを検出する方法であって、i)生体試料を抗ｓｉｃａ１９抗体と接触させ；ii)形成された抗原−抗体複合体を検出する工程を含む方法に関する。その抗体又は抗体断片は、モノクローナル抗体又はポリクローナル抗体であることが可能である。さらに、その抗体又は抗体断片は一次的又は二次的に、当技術分野で一般的な検出可能な化合物（例えば、放射性化合物、蛍光化合物、発光化合物、又は酵素化合物）によって標識することができる。かかる方法は、以下にさらに記述するように、例えば移植拒絶反応の診断に適用することができる。
【０２３５】
本発明の実施形態は、生体試料においてｓｉｃａ１９の発現を検出する方法に関し、前記方法は、i)個体から生体試験試料を採取し；ii)試料におけるｓｉｃａ１９の発現レベルを検出し；iii)前記試験試料におけるｓｉｃａ１９の発現レベルを、対照試料の発現レベルと比較する工程を含む。ｓｉｃａ１９の発現レベルの検出は、例えば、種々の異常な炎症応答及び免疫応答を診断するのに有用である。例えば、対照試料でのレベルと比較して、前記生体試料でのｓｉｃａ１９の発現レベルが低い場合には、移植拒絶反応を示している。試料におけるｓｉｃａ１９の発現レベルは、試料中のｓｉｃａ１９ ｍＲＮＡ又はタンパク質のレベルを検出することなどによる、いずれかの方法を用いて評価することができる。例えば、ウェスタンブロット法又は免疫化学などの公知の技術を用いて、ｓｉｃａ１９の発現を検出してもよい。好ましくは、抗ｓｉｃａ１９抗体を用いて、ｓｉｃａ１９の発現レベルを検出する。前記抗体は、モノクローナル抗体又はポリクローナル抗体であることが可能である。さらに、前記抗体は、一次的又は二次的に、当技術分野で一般的な検出可能な化合物（例えば、放射性化合物、蛍光化合物、発光化合物及び酵素化合物）によって標識することができる。また好ましくは、配列番号：３のポリヌクレオチド配列又はその一部、又は配列番号：３に相補的なポリヌクレオチド配列を含むポリヌクレオチドプローブを使用して、例えばノーザンブロット法又はＲＴＰＣＲ技術によってｓｉｃａ１９の発現レベルを検出する。ｓｉｃａ１９の発現レベルを検出するのに好ましい方法は、その開示内容全体が参照により本明細書に組み込まれる、Akalin ら(Transplantation 72:948-53 (2001))によって記述されている。
【０２３６】
本発明のその他の実施形態は、ｓｉｃａ１９ポリペプチドの存在をインビトロで検出するための診断キットに関する。かかるキットは：i)抗ｓｉｃａ１９抗体；任意に、ii)形成された抗原−抗体複合体の検出を可能にする試薬；を備える。前記抗体は、上述のように検出可能に標識されることが好ましい。あるいは、その任意の試薬は、検出可能なシグナルを提供し得る。任意の試薬は、前記抗体に結合するか、又は前記抗体上の標識と反応する。抗ｓｉｃａ１９抗体を含むキットは、移植拒絶反応又は種々の異常な炎症応答及び免疫応答の診断に使用されることが好ましい。任意に、前記診断キットは、正常な個体から予想されるレベルを表す負の対照試料を備える。任意に、前記診断キットは、移植拒絶反応を有する、又は所定の異常な炎症応答もしくは免疫応答を有する個体から予想されるレベルを表す正の対照試料を備える。
【０２３７】
他の実施形態は、i)ｓｉｃａ１９ポリペプチドを発現する細胞を培養し、ii)産生されたタンパク質を精製する工程を含む、ｓｉｃａ１９ポリペプチドを作製する方法に関する。そのタンパク質の精製は、当業者によく知られているいずれかの技術に従って行うことができる。好ましくは、抗ｓｉｃａ１９抗体をクロマトグラフィー担体に結合させて、アフィニティークロマトグラフィーカラムを形成することができる。ｓｉｃａ１９ポリペプチドを発現する細胞は、以下に記述するような組換え宿主細胞であることが好ましい。ｓｉｃａ１９ポリペプチドの作製は、本発明でさらに記述される方法及び組成物において有用である。
【０２３８】
本発明の好ましい態様は、ｓｉｃａ１９ポリペプチドをコードするポリヌクレオチドの宿主細胞組換え体である。その他の好ましい態様は、ｓｉｃａ１９の発現を指示することができるポリヌクレオチドの宿主細胞組換え体である。１つの実施形態は、ｓｉｃａ１９ポリペプチドをコードするポリヌクレオチドの宿主細胞組換え体を作製する方法であって：i)ｓｉｃａ１９ポリペプチドをコードする核酸配列を含み、かつ所定の生理学的条件下にて前記ｓｉｃａ１９ポリペプチドの発現を可能にする、組換え分子を作製し；ii)前記組換え分子を細胞に導入する工程を含む方法に関する。好ましい実施形態では、組換えベクターは、大腸菌細胞に又はヒト神経細胞に導入される。あるいは、ｓｉｃａ１９の発現を指示することができるポリヌクレオチドの宿主細胞組換え体は、i)ｓｉｃａ１９の発現を指示することができるポリヌクレオチドを含む組換えベクターを作製し、ii)前記組換えベクターを細胞に導入する工程を含む方法によって作製することができる。ｓｉｃａ１９の発現を指示することができるポリヌクレオチドは、ｓｉｃａ１９遺伝子の５’調節領域に位置することが好ましい。さらに好ましくは、これらのポリヌクレオチドは、ｓｉｃａ１９コード領域の５００塩基対内に位置する。これらのポリヌクレオチドは、プロモーター配列を含むことが好ましい。内因性配列にポリヌクレオチド配列を導入するための当技術分野で公知の技術は、その開示内容全体が参照により本明細書に組み込まれる米国特許第５，６４１，６７０号及び国際公開番号：Ｗ０９６２９４１１に記載されている。ｓｉｃａ１９ポリペプチドを産生するそのような組換え宿主細胞を用いて、ｓｉｃａ１９ポリペプチドを作製することができる。
【０２３９】
本発明の好ましい実施形態は、ＣＣＲ７への前記ｓｉｃａ１９ポリペプチドの結合を可能にする条件下にて、ｓｉｃａ１９ポリペプチドをＣＣＲ７と接触させる工程を含む方法である。好ましい実施形態では、ＣＣＲ７へのｓｉｃａ１９ポリペプチドの結合を利用して、ＣＣＲ７を発現する細胞を精製する。かかる一実施形態において、ＣＣＲ７を発現する細胞を精製する方法は：i)ＣＣＲ７発現細胞を含む生体試料を、標識化ｓｉｃａ１９ポリペプチドと接触させ；ii)前記生体試料を、選別装置、例えば蛍光活性化細胞選別装置（fluorescence-activated cell sorter）又は磁気活性化細胞選別装置に導入し、前記試料中のＣＣＲ７細胞が、それらの結合した標識化ｓｉｃａ１９ポリペプチドによって非発現細胞から選別される工程を含む。特に、樹状細胞を効率的に刺激し、かつ二次刺激により細胞障害性効果細胞に分化する、記憶Ｔ細胞のサブセットによって、ＣＣＲ７が発現される。したがって、ＣＣＲ７＋記憶細胞の精製は、例えばサイトメガロウイルス、ＨＩＶ、Ｔ細胞リンパ球向性ウイルスＩ型及びエプスタインバーウイルスによって起こる種々の感染の予防に使用することができる記憶Ｔ細胞のサブセットの精製に有用である。
【０２４０】
この実施形態のその他の態様は、当技術分野で一般的な技術を用いて、ＣＣＲ７を発現する細胞を検出かつ定量化するためにｓｉｃａ１９ポリペプチドを使用する方法を包含する。この方法は、i)ＣＣＲ７を発現する細胞を含有すると思われる生体試料得る工程；ii)ｓｉｃａ１９の結合に適した条件下にて、前記試料をｓｉｃａ１９ポリペプチドと接触させる工程；iii)試料における細胞へのｓｉｃａ１９の結合を検出する工程を含む。前記ｓｉｃａ１９ポリペプチドは、検出可能な化合物に共有結合されることが好ましい。あるいは、検出可能な抗ｓｉｃａ１９抗体を用いて、ｓｉｃａ１９を検出することができる。この方法は診断ツールとして用いることができる。例えば、ＣＣＲ７は、正常な個体からのＴリンパ球と、Ｔ細胞白血病もしくは喘息に罹患している個体からのＴリンパ球との間で差次的に発現される。
【０２４１】
その他の好ましい実施形態は、ｓｉｃａ１９の発現を調節する能力について試験物質をスクリーニングする方法であって；i)細胞を試験物質と接触させ；ii)試験物質に暴露した後の細胞におけるｓｉｃａ１９の発現を、非暴露対照細胞における発現と比較し、暴露細胞と非暴露対照細胞との間で観察されたｓｉｃａ１９の発現の差異によって、試験物質がｓｉｃａ１９の発現を調節することが示される工程を含む方法に関する。ｓｉｃａ１９の発現は、当技術分野で一般的な、又は本明細書に包含される方法によって決定することができる。ｓｉｃａ１９の発現を決定する方法としては、限定されないが、ｓｉｃａ１９ポリヌクレオチドを定量化する方法（例えば、ノーザンブロット法又はＲＴＰＣＲによるｓｉｃａ１９ ｍＲＮＡの検出）又はｓｉｃａ１９ポリペプチドを定量化する方法（例えば、ウェスタンブロット法又は免疫化学によるｓｉｃａ１９ポリペプチドの検出）が挙げられる。試験物質は、特定の細胞型においてｓｉｃａ１９の発現を修飾するが、他の細胞型では修飾しないことが好ましい。試験物質は、樹状細胞、単球、リンパ球、好中球又は腫瘍細胞において特異的にｓｉｃａ１９の発現を修飾することが最も好ましい。かかる方法を用いて同定される修飾因子もまた、本発明によって包含される。
【０２４２】
本発明のさらなる実施形態は、ｓｉｃａ１９の活性を調節する能力について試験物質をスクリーニングする方法であって；i)細胞を試験物質と接触させ；ii)試験物質に暴露した後の細胞におけるｓｉｃａ１９の活性を、非暴露対照細胞の活性と比較し、暴露細胞と非暴露対照細胞との間で観察されたｓｉｃａ１９の活性の差異によって、試験物質がｓｉｃａ１９の活性を調節することが示される工程を含む方法に関する。Ｓｉｃａ１９の活性は、例えばその走化活性を研究することによってモニターすることができる。ｓｉｃａ１９の走化活性は、当業者によく知られている多種多様な技術によって研究することができる。これらの技術は、Braun ら(J Immunol. 164:4025-31 (2000))に記載のＦＡＣＳｃａｎ細胞分析装置を用いた走化性アッセイ及びScapiniら(Eur J Immunol. 31:1981-8 (2001))に記載の走化性チャンバーを用いた遊走アッセイを含む（その開示内容全体は参照によりどちらも本明細書に組み込まれる）。かかる方法を用いて同定される修飾因子もまた、本発明によって包含される。
【０２４３】
本発明のさらなる実施形態は、ＣＣＲ７へのｓｉｃａ１９の結合を調節する能力について試験物質をスクリーニングする方法に関する。例えば、ＣＣＲ７へのｓｉｃａ１９の結合の修飾因子の試験物質は、その開示内容全体が参照により本明細書に組み込まれる米国特許第６，１５３，４４１号に従って、ＣＫβ−９リガンドの代わりにｓｉｃａ１９を使用することによってスクリーニングすることができる。かかる方法を用いて同定された修飾因子もまた、本発明によって包含される。
【０２４４】
ｓｉｃａ１９の発現、活性又はＣＣＲ７への結合を低減する試験物質は、ｓｉｃａ１９アンタゴニストとして定義される。ｓｉｃａ１９の発現、活性又はＣＣＲ７への結合を増加する試験物質は、ｓｉｃａ１９アゴニストとして定義される。ｓｉｃａ１９の発現又は活性を調節する試験物質には、限定されないが、化学化合物（例えば、小分子阻害剤又は活性化剤）、オリゴヌクレオチド、アンチセンスポリヌクレオチド、ポリペプチド、リボザイム、ｓｉｃａ１９のドミナントネガティブ型及び抗ｓｉｃａ１９抗体が含まれる。これらの物質は、当技術分野でよく知られている方法によって製造かつ使用することができる。
【０２４５】
本発明の好ましい実施形態は、リンパ球における免疫応答を高める方法であって、ｓｉｃａ１９ポリペプチド又はｓｉｃａ１９アゴニストをリンパ球に投与し、リンパ球の免疫応答が高められる工程を含む方法を提供する。かかる方法は、例えばリンパ球のインビトロ培養にｓｉｃａ１９ポリペプチド又はｓｉｃａ１９アゴニストを送達することによってインビトロで行われる。インビトロでのリンパ球の刺激は、例えば、移植前に患者からのＴ細胞の反応性を測定する場合に、又は免疫抑制薬についてスクリーニングする場合に、有用である。リンパ球免疫応答を高めるためのかかる方法は、生理学的に許容される担体と、有効量のｓｉｃａ１９ポリペプチド又はｓｉｃａ１９アゴニストとを個体に、又は個体に投与されるリンパ球の集団に送達することによってインビボ又はエクスビボで適用することが可能である。本明細書で使用される、有効量のｓｉｃａ１９ポリペプチド又はｓｉｃａ１９アゴニストとは、リンパ球の免疫応答を高めるのに十分な量のｓｉｃａ１９ポリペプチド又はｓｉｃａ１９アゴニストを意味する。例えば、かかる方法は、例えばアテローム斑の発生を抑制するためにアテローム病変にＴリンパ球を引き付けるのに、癌を治療するために抗腫瘍反応を高めるのに、慢性骨髄性白血病を治療するために正常なヒト骨髄前駆細胞の増殖を抑制するのに、ＨＩＶ及び他の病原体による感染症を治療するためにＴリンパ球を引き付けかつ刺激するのに適用することが可能である。ｓｉｃａ１９ポリペプチド又はｓｉｃａ１９アゴニストは、抗腫瘍反応を高めるために、慢性骨髄性白血病を治療するために、又はＨＩＶ及び他の病原体による感染症を治療するために、全身的に、例えば静脈内注入によって投与される。代替方法として、ｓｉｃａ１９ポリペプチド又はｓｉｃａ１９アゴニストは、例えば腫瘍部位又はアテローム斑に局所的に投与することができる。前記ｓｉｃａ１９ポリペプチド又はｓｉｃａ１９アゴニストは単独で投与してもよいし、あるいは他の分子と組み合わせて、抗腫瘍免疫を高めるためにインターロイキン−２及び顆粒球マクロファージコロニー刺激因子と組み合わせて、投与してもよい。
【０２４６】
その他の実施形態は、リンパ球の免疫応答を抑制又は低減するためにｓｉｃａ１９アンタゴニストを使用する方法に関する。かかる方法は、有効量のｓｉｃａ１９アンタゴニスト及び生理学的に許容される担体を含む組成物を個体に投与する工程を含む。好ましくは、かかる方法は、アレルギー及び喘息を治療すること、及び進行中の免疫応答を防ぐことに向けられる。さらに、特には、かかる方法を用いて、移植拒絶反応、移植片対宿主疾患及び自己免疫疾患（例えば、慢性関節リウマチ、全身性エリテマトーデス、多発性硬化症、インスリン依存性糖尿病、肝炎、慢性関節リウマチ、グレーブス病）を予防すること、又はその重症度を低減すること及び移植片の移植（例えば、細胞、骨髄、組織、固体器官、骨の移植）に対する抵抗性(tolerance）を誘導することができる。
【０２４７】
生理学的に許容される担体は、当業者に公知のいずれかの方法によって製造することができる。生理学的に許容される担体としては、限定されないが、その開示内容全体が参照により本明細書に組み込まれるRemington's Pharmaceutical Sciences (Mack Publishing Company, Easton, USA 1985)に記載の担体が挙げられる。ｓｉｃａ１９アゴニスト及び生理学的に許容される担体を含む薬剤組成物は、例えば静脈内、表面、直腸、局所、吸入又は皮下、皮内、筋肉内、経口及び脳内投与用であることが可能である。その組成物は、液状（例えば、液剤、懸濁剤）、固形（例えば、丸剤、錠剤、坐剤）又は半固形（例えば、クリーム剤、ゲル剤）であることが可能である。投与されるべき投与量は、それぞれの必要性、望まれる効果及び選択される投与経路に応じて異なる。
【０２４８】
さらに他の実施形態は、ｓｉｃａ１９ポリペプチドをコードする核酸配列又はｓｉｃａ１９ポリヌクレオチドに相補的なｃＤＮＡをコードする核酸配列を含む組換え分子を用いて、遺伝子導入動物（例えば、マウス）を作製する方法に関する。遺伝子導入動物を作製する方法は当業者にはよく知られている。例えば、遺伝子導入マウスは、その開示内容全体が参照により本明細書に組み込まれる米国特許第５，４３４，３４０号に従って作製することができる。かかる遺伝子導入動物は、免疫応答障害と関連する疾患に罹患している患者の動物モデルを得るのに、又はｓｉｃａ１９アゴニスト及びアンタゴニストについてスクリーニングするのに有用である。
【０２４９】
配列番号：６のタンパク質（内部指定クローン５００７３７０７５＿ｃＦＳ＿２０５−４６−１−０−Ｄ７−Ｆ）
クローン５００７３７０７５＿ｃＦＳ＿２０５−４６−１−０−Ｄ７−ＦのｃＤＮＡ（配列番号：５）は、アミノ酸配列：ＭＲＡＣＩＳＬＶＬＡＶＬＣＧＬＡＷＡＧＫＩＥＳＣＡＳＲＣＮＥＫＦＮＲＤＡＡＣＱＣＤＲＲＣＬＷＨＧＮＣＣＥＤＹＥＨＬＣＴＥＤＨＫＥＳＥＰＬＰＱＬＥＥＥＴＥＥＡＬＡＳＮＬＹＳＡＰＴＳＣＱＧＲＣＹＥＡＦＤＫＨＨＱＣＨＣＮＡＲＣＱＥＦＧＮＣＣＫＤＦＥＳＬＣＳＤＨＥＶＳＨＳＳＤＡＩＴＫＥＥＩＱＳＩＳＥＫＩＹＲＡＤＴＮＫＡＱＫＥＤＩＶＬＮＳＱＮＣＩＳＰＳＥＴＲＮＱＶＤＲＣＰＫＰＬＦＴＹＶＮＥＫＬＦＳＫＰＴＹＡＡＦＩＮＬＬＮＮＹＱＲＡＴＧＨＧＥＨＦＳＡＱＥＬＡＥＱＤＡＦＬＲＥＩＭＫＴＡＶＭＫＥＬＹＳＦＬＨＨＱＮＲＹＧＳＥＱＥＦＶＤＤＬＫＮＭＷＦＧＬＹＳＲＧＮＥＥＧＤＳＳＧＦＥＨＶＦＳＧＥＶＫＫＧＫＶＴＧＦＨＮＷＩＲＦＹＬＥＥＫＥＧＬＶＤＹＹＳＨＩＹＤＧＰＷＤＳＹＰＤＶＬＡＭＱＦＮＷＤＧＹＹＫＥＶＧＳＡＦＩＧＳＩＰＥＦＥＦＡＬＹＳＬＣＦＩＡＲＰＧＫＶＣＱＬＳＬＧＧＹＰＬＡＶＲＴＹＴＷＤＫＳＴＹＧＮＧＫＫＹＩＡＴＡＹＩＶＳＳＴを含む、配列番号６のＰｌａｐ１１をコードする。したがって、本明細書全体にわたり記載されている配列番号：６のポリペプチドのすべての特性及び使用は、クローン５００７３７０７５＿ｃＦＳ＿２０５−４６−１−０−Ｄ７−Ｆ中のヒトｃＤＮＡを含む核酸によってコードされるポリペプチドにも関係することは理解されよう。さらに、本明細書全体にわたり記載されている配列番号：５のポリヌクレオチドのすべての特性及び使用は、クローン５００７３７０７５＿ｃＦＳ＿２０５−４６−１−０−Ｄ７−Ｆ中に含まれる核酸にも関係することは理解されよう。本発明の好ましい実施形態は、配列番号：６、配列番号：５及びクローン５００７３７０７５＿ｃＦＳ＿２０５−４６−１−０−Ｄ７−Ｆの組成物に対して向けられている。以下に記載の方法で使用される好ましいＰｌａｐ１１ポリペプチド断片としては、アミノ配列：ＧＫＩＥＳＣＡＳＲＣＮＥＫＦＮＲＤＡＡＣＱＣＤＲＲＣＬＷＨＧＮＣＣＥＤＹＥＨＬＣＴＥＤＨＫＥＳＥＰＬＰＱＬＥＥＥＴＥＥＡＬＡＳＮＬＹＳＡＰＴＳＣＱＧＲＣＹＥＡＦＤＫＨＨＱＣＨＣＮＡＲＣＱＥＦＧＮＣＣＫＤＦＥＳＬＣＳＤＨＥＶＳＨＳＳＤＡＩＴＫＥＥＩＱＳＩＳＥＫＩＹＲＡＤＴＮＫＡＱＫＥＤＩＶＬＮＳＱＮＣＩＳＰＳＥＴＲＮＱＶＤＲＣＰＫＰＬＦＴＹＶＮＥＫＬＦＳＫＰＴＹＡＡＦＩＮＬＬＮＮＹＱＲＡＴＧＨＧＥＨＦＳＡＱＥＬＡＥＱＤＡＦＬＲＥＩＭＫＴＡＶＭＫＥＬＹＳＦＬＨＨＱＮＲＹＧＳＥＱＥＦＶＤＤＬＫＮＭＷＦＧＬＹＳＲＧＮＥＥＧＤＳＳＧＦＥＨＶＦＳＧＥＶＫＫＧＫＶＴＧＦＨＮＷＩＲＦＹＬＥＥＫＥＧＬＶＤＹＹＳＨＩＹＤＧＰＷＤＳＹＰＤＶＬＡＭＱＦＮＷＤＧＹＹＫＥＶＧＳＡＦＩＧＳＩＰＥＦＥＦＡＬＹＳＬＣＦＩＡＲＰＧＫＶＣＱＬＳＬＧＧＹＰＬＡＶＲＴＹＴＷＤＫＳＴＹＧＮＧＫＫＹＩＡＴＡＹＩＶＳＳＴを含むＰｌａｐ１１ポリペプチドが挙げられる。以下に記載の方法で使用するのに好ましい他のＰｌａｐ１１ポリペプチド断片としては、アミノ配列：ＫＩＥＳＣＡＳＲＣＮＥＫＦＮＲＤＡＡＣＱＣＤＲＲＣＬＷＨＧＮＣＣＥＤＹＥＨＬＣＴＥＤＨＫＥＳＥＰＬＰＱＬＥＥＥＴＥＥＡＬＡＳＮＬＹＳＡＰＴＳＣＱＧＲＣＹＥＡＦＤＫＨＨＱＣＨＣＮＡＲＣＱＥＦＧＮＣＣＫＤＦＥＳＬＣＳＤＨＥＶを含むＰｌａｐ１１ポリペプチドが挙げられる。本明細書に記載の生物活性を有するポリペプチド断片及びその断片をコードするポリヌクレオチドもまた好ましい。
【０２５０】
本発明のタンパク質、Ｐｌａｐ１１は、胎盤蛋白１１（ＰＰ１１，ＧｅｎＢａｎｋアクセッション番号Ｐ２１１２８）の新規なスプライスバリアントである。Ｐｌａｐ１１のエクソン１は、ＰＰ１１のエクソン１と同一である。エクソン２はＰｌａｐ１１に固有である。Ｐｌａｐ１１のエクソン３〜１０は、ＰＰ１１のエクソン２〜９と同一である。したがって、シグナルペプチド（ＭＲＡＣＩＳＬＶＬＡＶＬＣＧＬＡＷＡ）の切断後、Ｐｌａｐ１１は、そのアミノ末端でＰＰ１１よりも４１個多いアミノ酸を示す。ＰＰ１はソマトメジンＢドメインを１つのみ示すのに対して、Ｐｌａｐ１１は２つのソマトメジンＢドメインを示し、最初のドメインは、Ｐｌａｐ１１に固有のものである（ＫＩＥＳＣＡＳＲＣＮＥＫＦＮＲＤＡＡＣＱＣＤＲＲＣＬＷＨＧＮＣＣＥＤＹＥＨＬＣＴＥＤＨＫ）。２番目のドメイン（ＡＰＴＳＣＱＧＲＣＹＥＡＦＤＫＨＨＱＣＨＣＮＡＲＣＱＥＦＧＮＣＣＫＤＦＥＳＬＣＳＤＨＥＶ）は、ＰＰ１１及びＰｌａｐ１１の両方に共通である。ソマトメジンＢドメインによって、セリンプロテアーゼ阻害剤への結合が可能となる(Seiffertら J Biol Chem. 266:2824-30 (1991))。
【０２５１】
基質の分解に関与するプロテアーゼは、移植、胎盤形成及びトロホブラストの浸潤の際に主要な役割を果たす(Salamonsen, Rev Reprod 4:11-22 (1999))。さらに、凝固−線維素溶解系において多くの変化が妊娠中に起こる。トロホブラストは、正常な移植を促進し、かつ妊娠期間全体にわたり胎児及び胎盤への血流を調節することができる、線維素溶解性タンパク質を産生する。凝固−線維素溶解系は、プロテアーゼとプロテアーゼ阻害剤との間のバランスによって調節される。正常な妊娠は、本質的にプロテアーゼ活性化因子阻害剤の増加によって生じる低線維素溶解状態（hypofibrinolytic state）と関連がある(Gilabertら Hum Reprod 10 Suppl 2:121-31 (1995))。Ｐｌａｐ１１は、胎盤組織及び様々な悪性腫瘍において特異的に発現される分泌セリンプロテアーゼである。Ｐｌａｐ１１は、細胞外マトリックスの分解及び凝固−線維素溶解系の調節の両方に関与する。そのソマトメジンドメインに結合するセリンプロテアーゼ阻害剤によって、その活性がダウンレギュレートされる。
【０２５２】
本発明の実施形態は、配列番号：６のＰｌａｐ１１ポリペプチド配列を含む組成物に関する。
本発明のさらなる実施形態は、セリンプロテアーゼ活性又はセリンプロテアーゼ阻害剤結合活性を有するＰｌａｐ１１ポリペプチド断片を含む組成物に関する。
本明細書でさらに使用される、「Ｐｌａｐ１１ポリペプチド」という用語は、配列番号：６のＰｌａｐ１１ポリペプチド配列、又はセリンプロテアーゼ活性もしくはセリンプロテアーゼ阻害剤結合活性を有するＰｌａｐ１１ポリペプチドのいずれかを意味する。
【０２５３】
本発明のさらなる実施形態は、Ｐｌａｐ１１ポリペプチドをコードする配列番号：５のポリヌクレオチド配列を含む組成物に関する。
本発明のさらなる実施形態は、セリンプロテアーゼ活性もしくはセリンプロテアーゼ阻害剤結合活性を有するＰｌａｐ１１ポリペプチド断片をコードするポリヌクレオチド配列を含む組成物に関する。
【０２５４】
本発明のさらなる実施形態は、Ｐｌａｐ１１ポリペプチドを認識する抗体に関する。その抗体は、Ｐｌａｐ１１のアミノ末端側４１個のアミノ酸内に位置する１つ又は複数のアミノ酸を認識することが好ましく、前記の１つ又は複数のアミノ酸は、Ｐｌａｐ１１ポリペプチドへの抗体の結合に必要とされる。最も好ましくは、その抗体は、Ｐｌａｐ１１には結合するが、ＰＰ１１には結合しない。前記抗体によって認識される好ましいアミノ酸配列は、ＡＳＲＣＮＥＫＦＮＲＤＡＡ、ＣＱＣＤＲＲＣＬＷ及びＧＮＣＣＥＤＹＥエピトープを含む。本明細書で使用される、抗Ｐｌａｐ１１抗体とは、Ｐｌａｐ１１ポリペプチドに特異的に結合する、抗体又はその抗原結合断片を意味する。
【０２５５】
本発明の実施形態は、かかる抗Ｐｌａｐ１１抗体をＰｌａｐ１１ポリペプチドに結合させる方法であって、結合を生じさせる条件下にて、Ｐｌａｐ１１ポリペプチドを前記抗体又はその抗原結合断片と接触させる工程を含む方法に関する。かかる条件は、当業者にはよく知られている。かかる方法は、本明細書でさらに記述されるように、Ｐｌａｐ１１ポリペプチドを検出するのに有用である。
【０２５６】
本発明の実施形態は、生体試料においてＰｌａｐ１１ポリペプチドを検出する方法であって、i)生体試料を抗Ｐｌａｐ１１抗体と接触させ；ii)形成された抗原−抗体複合体を検出する工程を含む方法に関する。その抗体又は抗体断片は、モノクローナル抗体又はポリクローナル抗体であることが可能である。さらに、その抗体又は抗体断片は一次的又は二次的に、当技術分野で一般的な検出可能な化合物（例えば、放射性化合物、蛍光化合物、発光化合物、又は酵素化合物）によって標識することができる。かかる方法は、以下にさらに記述するように、診断キットにおいて適用することができる。
【０２５７】
本発明の他の実施形態は、生体試料におけるＰｌａｐ１１の発現を検出する方法に関し、前記方法は、i)個体から生体試験試料を採取し、ii)Ｐｌａｐ１１の発現レベルを検出し、iii)前記試験試料におけるＰｌａｐ１１の発現レベルを、対照試料（１つ又は複数）の発現レベルと比較する工程を含む。Ｐｌａｐ１１は、腫瘍マーカーとして使用することが可能であり、Ｐｌａｐ１１の発現を検出する方法は、悪性腫瘍、癌腫、肉腫又は癌、例えば乳癌、精巣悪性腫瘍、卵巣腺癌、絨毛癌及び胃癌に罹患している患者を診断するのに、又はモニターするのに使用することができる。一実施形態において、Ｐｌａｐ１１の発現レベルは、試料におけるＰｌａｐ１１ ｍＲＮＡ又はポリペプチドのレベルを調べることによって決定される。例えば、ウェスタンブロット法又は免疫化学などのよく知られている技術を用いて、Ｐｌａｐ１１の発現を検出してもよい。好ましくは、抗Ｐｌａｐ１１抗体を用いて、Ｐｌａｐ１１の発現レベルを検出する。前記抗Ｐｌａｐ１１抗体は、モノクローナル抗体又はポリクローナル抗体であることが可能である。前記抗Ｐｌａｐ１１抗体は、一次的又は二次的に、当技術分野で一般的な検出可能な化合物（例えば、放射性化合物、蛍光化合物、発光化合物及び酵素化合物）によって標識することができる。最も好ましくは、Ｐｌａｐ１１ポリペプチドの検出は、酵素免疫測定法（ＥＬＩＳＡ）、ラジオイムノアッセイ（ＲＩＡ）、又は免疫ペルオキシダーゼ（ＰＡＰ）染色法を用いて行われる。前記生体試験試料は、例えば血清、血漿、組織切片、滲出液、腹水、尿、脳脊髄液、精液、胸の吸引液及び卵巣からの液体などの試料を含む。あるいは、配列番号：５のポリヌクレオチド配列又はその一部、又は配列番号：５に相補的なポリヌクレオチド配列を用いて、例えば、ノーザンブロット法又はＲＴＰＣＲ技術によってＰｌａｐ１１の発現レベルが検出される。
【０２５８】
本発明のその他の実施形態は、Ｐｌａｐ１１ポリペプチドの存在をインビトロで検出するための診断キットに関する。かかるキットは：i)抗Ｐｌａｐ１１抗体、任意に、ii)形成された抗原−抗体複合体の検出を可能にする試薬；を備える。前記抗体は、上述のように検出可能に標識されることが好ましい。あるいは、その任意の試薬は、検出可能なシグナルを提供し得る。任意の試薬は、前記抗体に結合するか、又は前記抗体上の標識と反応する。抗Ｐｌａｐ１１抗体を含むキットは、悪性腫瘍、癌腫、肉腫又は上記のような癌の診断に使用されることが好ましい。任意に、前記診断キットは、疾患をもたない正常な個体から予想されるレベルを表す負の対照試料を備える。任意に、前記診断キットは、所定の悪性腫瘍、肉腫又は癌を有する個体から予想されるレベルを表す正の対照試料を備える。任意に、前記キットは、例えば、米国特許第５，８６４，０１１号に記載のＨｐｒタンパクに特異的な抗体、又は米国特許第５，５５２，２９３号に記載のＣＡ−２４２抗原と反応する抗体など、悪性腫瘍の診断に使用される他のマーカーを備える。その他の実施形態において、そのキットは、Ｐｌａｐ１１ポリヌクレオチド、例えば、Ｐｌａｐ１１特異的なプローブ又はプライマーを検出するための試薬を提供する。
【０２５９】
その他の実施形態は、i)Ｐｌａｐ１１ポリペプチドを発現する細胞を培養し、ii)産生されたタンパク質を精製する工程を含む、Ｐｌａｐ１１ポリペプチドを作製する方法に関する。そのタンパク質の精製は、当業者によく知られているいずれかの技術に従って行うことができる。好ましくは、抗Ｐｌａｐ１１抗体をクロマトグラフィー担体に結合させて、アフィニティークロマトグラフィーカラムを形成することができる。Ｐｌａｐ１１ポリペプチドを発現する細胞は、以下に記述するような組換え宿主細胞であることが好ましい。Ｐｌａｐ１１ポリペプチドの作製は、本発明でさらに記述される方法及び組成物において有用である。
【０２６０】
その他の実施形態は、Ｐｌａｐ１１ポリペプチドを産生する組換え宿主細胞及びＰｌａｐ１１ポリペプチドを産生する組換え宿主細胞を作製するためにＰｌａｐ１１ポリヌクレオチドを使用する方法に関するものであり、その方法は、i)プロモーターに作動可能に連結される、Ｐｌａｐ１１ポリペプチドをコードする核酸配列を含み、かつ所定の生理学的条件下にて前記Ｐｌａｐ１１ポリペプチドの発現を可能にする、組換えベクターを作製し、ii)前記組換え分子を細胞に導入する工程を含む。好ましい実施形態において、その組換えベクターは、大腸菌細胞に、又はヒト細胞に導入される。Ｐｌａｐ１１ポリペプチドを産生する組換え宿主細胞は、i)Ｐｌａｐ１１の発現を指示することができるポリヌクレオチドを含む組換えベクターを作製し、ii)前記組換えベクターを細胞に導入する工程を含む方法によって作製することができる。Ｐｌａｐ１１の発現を指示することができるポリヌクレオチドは、Ｐｌａｐ１１遺伝子の５’調節領域に位置することが好ましい。さらに好ましくは、これらのポリヌクレオチドは、Ｐｌａｐ１１コード領域の５００塩基対内に位置する。これらのポリヌクレオチドは、プロモーター配列を含むことが好ましい。内因性配列にポリヌクレオチド配列を導入するための当技術分野で公知の技術は、その開示内容全体が参照により本明細書に組み込まれる米国特許第５，６４１，６７０号及び国際公開番号：Ｗ０９６２９４１１に記載されている。Ｐｌａｐ１１ポリペプチドを産生するかかる組換え宿主細胞を用いて、Ｐｌａｐ１１ポリペプチドを作製することができる。
【０２６１】
その他の好ましい実施形態は、Ｐｌａｐ１１の発現の調節について試験物質をスクリーニングする方法であって；i)細胞を試験物質と接触させ；ii)試験物質に暴露した後の細胞におけるＰｌａｐ１１の発現を、非暴露対照細胞における発現と比較し、暴露細胞と非暴露対照細胞との間で観察されたＰｌａｐ１１の発現の差異によって、試験物質がＰｌａｐ１１の発現を調節することが示される工程を含む方法に関する。Ｐｌａｐ１１の発現は、当技術分野で一般的な、又は本明細書に包含される方法によって決定される。Ｐｌａｐ１１の発現を決定する方法としては、限定されないが、Ｐｌａｐ１１ポリヌクレオチドを定量化する方法（例えば、ノーザンブロット法又はＲＴＰＣＲによるＰｌａｐ１１ ｍＲＮＡの検出）又はＰｌａｐ１１ポリペプチドを定量化する方法（例えば、ウェスタンブロット法又は免疫化学によるＰｌａｐ１１タンパク質の検出）が挙げられる。試験物質は、特定の細胞型においてＰｌａｐ１１の発現を修飾するが、他の細胞型では修飾しないことが好ましい。
【０２６２】
本発明のさらなる実施形態は、Ｐｌａｐ１１の活性の調節について試験物質をスクリーニングする方法であって；i)細胞を試験物質と接触させ、ii)Ｐｌａｐ１１の活性を決定し、iii)試験物質に暴露した後の細胞におけるＰｌａｐ１１の活性を、非暴露対照細胞における活性と比較し、暴露細胞と非暴露対照細胞との間で観察されたＰｌａｐ１１の活性の差異によって、試験物質がＰｌａｐ１１の活性を調節することが示される工程を含む方法に関する。Ｐｌａｐ１１の活性は、例えば、その開示内容全体が参照により本明細書に組み込まれる、Grundmannら(DNA Cell Biol. 9:243-50 (1990))に記載されたように、そのアミド溶解活性（amidolytic activity）を調べることによって、数多くの方法のいずれかで評価することができる。
【０２６３】
Ｐｌａｐ１１の発現、活性を低減する試験物質は、Ｐｌａｐ１１アンタゴニストとして定義される。Ｐｌａｐ１１の発現、活性を増加する試験物質は、Ｐｌａｐ１１アゴニストとして定義される。Ｐｌａｐ１１の発現又は活性を調節する試験物質には、限定されないが、化学化合物、オリゴヌクレオチド、アンチセンスポリヌクレオチド、ポリペプチド、リボザイム、Ｐｌａｐ１１のドミナントネガティブ型及び抗Ｐｌａｐ１１抗体が含まれる。これらの物質は、当技術分野でよく知られている方法によって製造かつ使用することができる。
【０２６４】
本発明の好ましい実施形態は、Ｐｌａｐ１１ポリペプチドをセリンプロテアーゼ阻害剤と、前記Ｐｌａｐ１１ポリペプチドの前記セリンプロテアーゼ阻害剤への結合を可能にする条件下にて接触させる工程を含む方法である。この方法で使用されるＰｌａｐ１１ポリペプチドは、両方のソマトメジンドメインを含むことが好ましい。さらに好ましくは、この方法で使用されるＰｌａｐ１１ポリペプチドは、セリンプロテアーゼ阻害剤結合活性を有し、セリンプロテアーゼ活性を有さない。
【０２６５】
この実施形態の一態様は、セリンプロテアーゼ阻害剤を精製するためにＰｌａｐ１１ポリペプチドを使用する方法を包含する。セリンプロテアーゼ阻害剤を精製するためのかかる方法は、i)固体マトリックスにＰｌａｐ１１ポリペプチドを共有結合又は非共有結合で結合させ、ii)セリンプロテアーゼ阻害剤を含む液体試料を添加し、iii)その固体マトリックスを洗浄して、結合した混入物を除去し、iv）前記固体マトリックスから前記セリンプロテアーゼ阻害剤を溶出する工程を含む。プロテアーゼ阻害剤は、感染因子又は寄生因子により個体の体内に導入されるプロテアーゼを阻害することができるため、プロテアーゼ阻害剤は有用な製薬ツールである。Ｐｌａｐ１１ポリペプチドを用いたセリンプロテアーゼ阻害剤の精製は、例えば、培養物から特定のセリンプロテアーゼ阻害剤を精製するのに、又は新規なセリンプロテアーゼ阻害剤を単離するのに有用であり得る。
【０２６６】
この実施形態のその他の態様は、対象の液体試料からセリンプロテアーゼ阻害剤を除去するために、Ｐｌａｐ１１ポリペプチドを使用する方法を包含する。液体試料からセリンプロテアーゼ阻害剤を除去するためのかかる方法は、セリンプロテアーゼ阻害剤を含有する又は含有する可能性のある対象の液体試料に、Ｐｌａｐ１１ポリペプチドを添加する工程を含む。そのプロテアーゼ阻害剤は、前記Ｐｌａｐ１１ポリペプチドと免疫沈降することによって除去することができる。あるいは、前記Ｐｌａｐ１１ポリペプチドを固体マトリックスに共有結合又は非共有結合で結合させ、Ｐｌａｐ１１ポリペプチドとの接触後に、対象の試料が除去される。かかる方法は、タンパク質含有試料にプロテアーゼを添加する前に、試料を処理するのに有用である。
【０２６７】
この実施形態のさらなる態様は、当技術分野で一般的な技術を用いて、試料中のセリンプロテアーゼ阻害剤を検出かつ定量化するために、Ｐｌａｐ１１ポリペプチドを使用する方法を包含する。この方法は、i)セリンプロテアーゼ阻害剤を含有すると思われる生体試料を得、ii)Ｐｌａｐ１１の結合に適した条件下にて、前記試料をＰｌａｐ１１ポリペプチドと接触させ、iii)Ｐｌａｐ１１とセリンプロテアーゼ阻害剤との間で形成された複合体を検出する工程を含む。前記Ｐｌａｐ１１ポリペプチドは、検出可能な化合物に共有結合で結合されることが好ましい。代替方法として、検出可能な抗Ｐｌａｐ１１抗体を用いて、Ｐｌａｐ１１を検出することができる。この実施形態は例えば、試料、例えば血清におけるセリンプロテアーゼ阻害剤のレベルを検出するための診断ツールとして有用である。例えば、Fareedら(Clin Chem 29:1641-58 (1983))に記載されたように、セリンプロテアーゼ阻害剤の血流レベルは、血栓付着のリスクと相関し、腫瘍試料におけるプロテアーゼ阻害剤のレベルは、Maassら(Clin Biochem. 34:303-7 (2001)) 及びRaoら(Clin Cancer Res. 7:570-6 (2001))に記述されているように、腫瘍の悪性度と相関する。
【０２６８】
あるいは、Ｐｌａｐ１１を阻害するかかる方法は、血液凝固を低減することに向けられる。血液凝固を低減するためのかかる方法は：生理学的に許容される組成物中のＰｌａｐ１１アンタゴニストを個体の血流に導入する工程を含む。血流への送達は、本明細書にさらに記述されるように、直接的（例えば、静脈又は動脈への注入）又は間接的（例えば、吸入又は経口送達）であることが可能である。好ましくは、血液凝固を低減するためのかかる方法は、血栓疾患及び／又は凝固亢進症候群（hypercoagulable syndromes）、例えばアテローム性動脈硬化症、急性虚血、脳卒中、心筋梗塞、冠動脈疾患及び移植に関連する血栓性合併症に罹患している患者を治療することに向けられる。さらに好ましくは、かかる方法は、例えば子癇前症、妊娠中毒症、胎盤剥離及び子宮内胎児死亡などの凝固異常と関連する妊娠障害を治療することに向けられる。
【０２６９】
その他の実施形態は、プロテアーゼ活性を有するＰｌａｐ１１ポリペプチドを含む組成物に関する。前記組成物は、Ｐｌａｐ１１プロテアーゼ活性を可能にする条件下にて、前記組成物を生体試料に添加する工程を含む方法において使用することができる。好ましくは、前記組成物は、数種類の異なるプロテアーゼを含有する「プロテアーゼカクテル」であり、前記プロテアーゼカクテルは、広範囲のタンパク質を消化することができる。かかるプロテアーゼカクテルは、例えば、ＤＮＡ標本中のタンパク質を除去するために、又はいずれかの酵素反応後に酵素を除去するために、試料中の望ましくないタンパク質を分解するのに実験アッセイにおいて有用である。
【０２７０】
さらなる実施形態は、細胞、組織試料又は個体にＰｌａｐ１１アンタゴニストを送達する工程を含む、Ｐｌａｐ１１活性を減少させる方法に関する。かかる方法は、インビトロで（例えば、細胞のインビトロ培養）又はインビボで（例えば、個体へのＰｌａｐ１１アンタゴニストの投与）行われる。好ましい細胞は腫瘍性細胞である。
好ましい実施形態では、個体におけるＰｌａｐ１１の活性を減少させるかかる方法は、ＥＣＭ分解を抑制することに向けられる。好ましくは、ＥＣＭ分解を防ぐ、又は低減するかかる方法は、悪性細胞による分解からＥＣＭを保護し、したがって、悪性腫瘍の浸潤及び広がりをブロックすることに向けられる。最も好ましくは、Ｐｌａｐ１１アンタゴニスト及び生理学的に許容される担体を含む組成物は、例えば、腫瘍成長、内皮細胞増殖などの異常な又は望ましくない細胞増殖及び腫瘍成長に関連する血管形成を有する個体に投与される。本発明の組成物で治療することができる腫瘍には、限定されないが、乳癌、精巣悪性腫瘍、卵巣腺癌、絨毛癌及び胃癌が含まれる。
【０２７１】
その他の好ましい実施形態において、Ｐｌａｐ１１アンタゴニストは、対象の組織に特異的な標的分子に融合される。標的化されたＰｌａｐ１１アンタゴニストは、腫瘍成長と関連するＥＣＭ分解を防ぐために使用される薬剤組成物中に含まれることが好ましい。最も好ましくは、Ｐｌａｐ１１アンタゴニストは、当業者によく知られているいずれかの技術によって腫瘍細胞上に特異的に発現される受容体又は抗原を認識するリガンド又は抗体に結合される。多数の腫瘍関連抗原が、科学文献に記述されている。例えば、その開示内容全体が参照により本明細書に組み込まれる、Wikstrandら(Cancer Metastasis Rev 18: 451-64 (1999))により述べられている抗原及び技術を用いることができる。あるいは、Ｐｌａｐ１１アンタゴニストは、腫瘍の脈管構造を認識するリガンドに結合される。固形腫瘍の脈管構造にＰｌａｐ１１アンタゴニストを標的化するのに好ましい方法は、その開示内容全体が参照により本明細書に組み込まれる、米国特許第６，００４，５５４号に記述されている。
【０２７２】
生理学的に許容される担体は、当業者に公知のいずれかの方法によって製造することができる。生理学的に許容される担体としては、限定されないが、その開示内容全体が参照により本明細書に組み込まれるRemington's Pharmaceutical Sciences (Mack Publishing Company, Easton, USA 1985)に記載の担体が挙げられる。生理学的に許容される担体及びＰｌａｐ１１ポリペプチド、Ｐｌａｐ１１アゴニスト又はＰｌａｐ１１アンタゴニストを含む薬剤組成物は、例えば静脈内、表面、直腸、局所、吸入又は皮下、皮内、筋肉内、経口及び脳内投与用であることが可能である。その組成物は、液状（例えば、液剤、懸濁剤）、固形（例えば、丸剤、錠剤、坐剤）又は半固形（例えば、クリーム剤、ゲル剤）であることが可能である。投与されるべき投与量は、それぞれの必要性、望まれる効果及び選択される投与経路に応じて異なる。
【０２７３】
さらに他の実施形態は、Ｐｌａｐ１１ポリペプチドをコードする核酸配列又はＰｌａｐ１１ポリヌクレオチドに相補的なｃＤＮＡをコードする核酸配列を含む組換え分子を用いて、遺伝子導入動物（例えば、マウス）を作製する方法に関する。遺伝子導入動物を作製する方法は当業者にはよく知られている。例えば、遺伝子導入マウスは、その開示内容全体が参照により本明細書に組み込まれる、米国特許第４，７３６，８６６号、又は米国特許第５，６１４，３９６号に従って作製することができる。かかる遺伝子導入動物は、血栓付着のリスクを示す、又は悪性腫瘍の浸潤及び広がりの素因が与えられた、動物モデルを得るのに有用であり、Ｐｌａｐ１１の発現又は活性の修飾因子についてスクリーニングするのに有用である。
【０２７４】
配列番号：８のタンパク質（内部指定クローン５００７２０７１６＿２０４−３３−１−０−Ｅ６−Ｆ＿１）
クローン５００７２０７１６＿２０４−３３−１−０−Ｅ６−Ｆ＿１のｃＤＮＡ（配列番号：７）は、アミノ酸配列：ＭＣＰＲＡＡＲＡＰＡＴＬＬＬＡＬＧＡＶＬＷＰＡＡＧＡＳＥＬＴＩＬＨＴＮＤＶＨＳＲＬＥＱＴＳＥＤＳＳＫＣＶＮＡＳＲＣＭＧＧＶＡＲＬＦＴＫＶＱＱＩＲＲＡＥＰＮＶＬＬＬＤＡＧＤＱＹＱＧＴＩＷＦＴＶＹＫＧＡＥＶＡＨＦＭＮＡＬＲＹＤＡＭＡＬＧＮＨＥＦＹＮＧＶＥＧＬＩＥＰＬＬＫＥＡＫＦＰＩＬＳＡＮＩＫＡＫＧＰＬＡＳＱＩＳＧＬＹＬＰＹＫＶＬＰＶＧＤＥＶＶＧＩＶＧＹＴＳＫＥＴＰＦＬＳＮＰＧＴＮＬＶＦＥＤＥＩＴＡＬＱＰＥＶＤＫＬＫＴＬＮＶＮＫＩＩＡＬＧＨＳＧＦＥＭＤＫＬＩＡＱＫＶＲＧＶＤＶＶＶＧＧＨＳＮＴＦＬＹＴＧＮＣＦＫＲＩＡＷＡＲＭＳＲを含む、配列番号：８のＮｕｐｒｅをコードする。したがって、本明細書全体にわたり記載されている配列番号：８のポリペプチドのすべての特性及び使用は、クローン５００７２０７１６＿２０４−３３−１−０−Ｅ６−Ｆ＿１中のヒトｃＤＮＡを含む核酸によってコードされるポリペプチドにも関係することは理解されよう。さらに、本明細書全体にわたり記載されている配列番号：７のポリヌクレオチドのすべての特性及び使用は、クローン５００７２０７１６＿２０４−３３−１−０−Ｅ６−Ｆ＿１中のヒトｃＤＮＡを含む核酸にも関係することは理解されよう。本発明の好ましい実施形態は、配列番号：８、配列番号：７及びクローン５００７２０７１６＿２０４−３３−１−０−Ｅ６−Ｆ＿１の組成物に対して向けられている。以下に記載の方法で使用するのに好ましい他のＮｕｐｒｅポリペプチド断片としては、アミノ配列：ＳＥＬＴＩＬＨＴＮＤＶＨＳＲＬＥＱＴＳＥＤＳＳＫＣＶＮＡＳＲＣＭＧＧＶＡＲＬＦＴＫＶＱＱＩＲＲＡＥＰＮＶＬＬＬＤＡＧＤＱＹＱＧＴＩＷＦＴＶＹＫＧＡＥＶＡＨＦＭＮＡＬＲＹＤＡＭＡＬＧＮＨＥＦＹＮＧＶＥＧＬＩＥＰＬＬＫＥＡＫＦＰＩＬＳＡＮＩＫＡＫＧＰＬＡＳＱＩＳＧＬＹＬＰＹＫＶＬＰＶＧＤＥＶＶＧＩＶＧＹＴＳＫＥＴＰＦＬＳＮＰＧＴＮＬＶＦＥＤＥＩＴＡＬＱＰＥＶＤＫＬＫＴＬＮＶＮＫＩＩＡＬＧＨＳＧＦＥＭＤＫＬＩＡＱＫＶＲＧＶＤＶＶＶＧＧＨＳＮＴＦＬＹＴＧＮＣＦＫＲＩＡＷＡＲＭＳＲを含むＮｕｐｒｅポリペプチドが挙げられる。本明細書に記載の生物活性を有するポリペプチド断片及びその断片をコードするポリヌクレオチドもまた好ましい。
【０２７５】
本発明のタンパク質、Ｎｕｐｒｅは、５’−ヌクレオチダーゼ前駆体（５ＮＴＤ，Ｇｅｎｂａｎｋアクセッション番号Ｐ２１５８９）の新規な分泌スプライスバリアントである。エクソン１及び２は、Ｎｕｐｒｅ ｃＤＮＡと５ＮＴＤ ｃＤＮＡとの間で同一である。Ｎｕｐｒｅ ｃＤＮＡの第３エクソンは、５ＮＴＤ ｃＤＮＡの第３エクソンよりも長い。したがって、両方の成熟タンパク質はそれらのアミノ末端側２２６個のアミノ酸上で同一であり、かつＮｕｐｒｅのカルボキシ末端側１２個のアミノ酸は、このスプライスバリアントに固有である。Ｎｕｐｒｅは２６４アミノ酸の長さであるのに対して、５ＮＴＤは５７４アミノ酸の長さである。Ｎｕｐｒｅはシグナルペプチド（ＭＣＰＲＡＡＲＡＰＡＴＬＬＬＡＬＧＡＶＬＷＰＡＡＧＡＳ）及び５’−ヌクレオチダーゼシグネチャー（シグネチャー）＿１コンセンサス（ＬＴＩＬＨＴＮＤＶＨＳＲＬ）を示す。Ｎｕｐｒｅは、５’−ヌクレオチダーゼ触媒ドメインもまた示す。５ＮＴＤはＧＰＩアンカー型細胞外酵素（GPI-anchored ectoenzyme）であり、Ｎｕｐｒｅは、細胞壁に結合していない分泌タンパク質である。
【０２７６】
Ｎｕｐｒｅは、相当するリボヌクレオシドへの５’−リボヌクレオチドの脱リン酸化を触媒する、可溶性の細胞外５’−ヌクレオチダーゼである。注目にすべきことには、Ｎｕｐｒｅはアデノシンを産生し、それによってアデノシン受容体仲介シグナル伝達が促進される。アデノシン受容体は、心拍数及び収縮性、神経伝達、腎機能、平滑筋の血管拡張、血小板凝集、脂肪分解及びマスト細胞の活性化などの、多くの重要な生理学的応答を仲介する。特に、アデノシンは、脂肪細胞における脂肪分解の抑制を仲介し(Ramkumarら Jpn J Pharmacol 86:265-74 (2001))、神経伝達の阻害及び病理的症状における神経保護作用などのＣＮＳ内でのいくつかの機能を有する（例えば、その開示内容全体が本明細書に組み込まれる、Latiniら J Neurochem 79:463-84 (2001)参照）。５ＮＴＤと異なり、Ｎｕｐｒｅは、ＣＤ３／Ｔ細胞受容体複合体に対して共刺激分子として働かず、細胞接着に関与しない。その代わりに、５ＮＴＤはいくつかの異なる機能を有し、その一部は５’−ヌクレオチダーゼ活性を必要としないのに対して、Ｎｕｐｒｅは、細胞外アデノシンレベルの制御に特異的に関与する。Ｎｕｐｒｅは、上皮細胞、グリア細胞、脂肪細胞及びリンパ球などの種々の細胞型によって広く発現される。その発現は、リンパ球の分化と正に相関する。
【０２７７】
本発明の実施形態は、配列番号：８の又は配列番号：８と少なくとも７０％、８０％、９０％、９５％、９６％、９７％、９８％、９９％以上の同一性を有するＮｕｐｒｅポリペプチド配列を含む組成物に関する。
本発明のさらなる実施形態は、５’−ヌクレオチダーゼ活性を有するＮｕｐｒｅポリペプチド断片を含む組成物に関する。
【０２７８】
本明細書で使用される「Ｎｕｐｒｅポリペプチド」とは、配列番号：８の又は配列番号：８と少なくとも７０％、８０％、９０％、９５％、９６％、９７％、９８％、９９％以上同一のＮｕｐｒｅポリペプチド配列、又は５’−ヌクレオチダーゼ活性を有するＮｕｐｒｅポリペプチド断片のいずれかを意味する。
本発明の実施形態は、Ｎｕｐｒｅポリペプチドをコードする配列番号：７のポリヌクレオチド配列を含む組成物に関する。
【０２７９】
本発明のさらなる実施形態は、Ｎｕｐｒｅポリペプチドをコードするポリヌクレオチド配列を含む組成物に関する。
本明細書でさらに使用される「Ｎｕｐｒｅポリヌクレオチド」とは、配列番号：７の又は配列番号：７と少なくとも７０％、８０％、９０％、９５％以上の同一性を有するポリヌクレオチド配列、Ｎｕｐｒｅポリペプチドをコードするヌクレオチド配列、又は配列番号：７のポリヌクレオチド断片のいずれかを意味する。
【０２８０】
本発明のさらなる実施形態は、配列番号：８のＮｕｐｒｅポリペプチド配列又はＮｕｐｒｅポリペプチド断片を認識する抗体に関する。好ましくは、その抗体は、Ｎｕｐｒｅのカルボキシル末端側１２個のアミノ酸のうちの１つ又は複数を認識し、前記の１つ又は複数のアミノ酸は、Ｎｕｐｒｅポリペプチドへの抗体の結合に必要とされる。最も好ましくは、その抗体はＮｕｐｒｅに結合するが、５ＮＴＤには結合しない。本明細書で使用される「抗Ｎｕｐｒｅ抗体」とは、Ｎｕｐｒｅポリペプチドに特異的に結合する、抗体又はその抗原結合断片を意味する。
【０２８１】
本発明は、抗Ｎｕｐｒｅ抗体をＮｕｐｒｅポリペプチドに結合させる方法であって、結合を生じさせる条件下にて、Ｎｕｐｒｅポリペプチドを前記抗体と接触させる工程を含む方法に関する。かかる条件は、当業者にはよく知られている。かかる方法は、本明細書でさらに記述されるように、Ｎｕｐｒｅポリペプチドを検出するのに有用である。
本発明の実施形態は、生体試料においてＮｕｐｒｅポリペプチドを検出する方法であって、i)生体試料を抗Ｎｕｐｒｅ抗体と接触させ；ii)形成された抗原−抗体複合体を検出する工程を含む方法に関する。その抗Ｎｕｐｒｅ抗体は、モノクローナル抗体又はポリクローナル抗体であることが可能である。さらに、その抗Ｎｕｐｒｅ抗体は一次的又は二次的に、当技術分野で一般的な検出可能な化合物（例えば、放射性化合物、蛍光化合物、発光化合物、又は酵素化合物）によって標識することができる。かかる方法は、以下にさらに記述するように、例えば、Ｂ細胞障害における異なる成熟段階でのリンパ球集団の同定及び免疫不全症の診断に適用することができる。
【０２８２】
本発明の実施形態は、生体試料におけるＮｕｐｒｅの発現を検出する方法に関し、前記方法は、i)個体から生体試験試料を採取し、ii)試料におけるＮｕｐｒｅの発現レベルを検出し、iii)前記試験試料におけるＮｕｐｒｅの発現レベルを、対照試料における発現レベルと比較する工程を含む。かかる一実施形態において、Ｎｕｐｒｅの発現レベルの検出は、免疫不全症の診断に使用される。好ましくは、前記生体試料は、循環リンパ球を含む。正常な個体におけるレベルを表す対照試料におけるレベルと比較して、前記生体試料におけるＮｕｐｒｅの発現レベルが低い場合には、例えば、重症複合免疫不全症、ウイルス誘発免疫不全症、例えば、ＡＩＤＳ、低ガンマグロブリン血症、無ガンマグロブリン血症及び原発性体液性免疫不全症などの免疫不全疾患であることを示している。その他のかかる実施形態において、Ｎｕｐｒｅの発現レベルの検出は、例えば、Ｂ細胞リンパ性白血病及び慢性骨髄性白血病などの慢性Ｂ細胞障害における異なる成熟段階でリンパ球集団を同定することに向けられる。試料におけるＮｕｐｒｅの発現レベルは、試料中のＮｕｐｒｅ ｍＲＮＡ又はＮｕｐｒｅポリペプチドのレベルを検出することなどによって、いずれかの方法を用いて評価することができる。例えば、ウェスタンブロット法、免疫化学技術及び細胞化学的技術などのよく知られている技術を用いて、Ｎｕｐｒｅの発現を検出してもよい。好ましくは、抗Ｎｕｐｒｅ抗体が、Ｎｕｐｒｅの発現レベルを検出するために使用される。また好ましくは、配列番号：７のポリヌクレオチド配列又はその一部、又は配列番号：７に相補的なポリヌクレオチド配列を用いて、例えばノーザンブロット法又はＲＴＰＣＲ技術によってＮｕｐｒｅの発現レベルを検出する。
【０２８３】
本発明の実施形態は、免疫不全症の素因を検出するために、Ｎｕｐｒｅ遺伝子における突然変異を同定する方法に関する。かかる方法は、i)個体からヌクレオチド試験試料を採取し、ii)試料の１つ又は複数の細胞においてＮｕｐｒｅポリペプチドをコードするゲノムＤＮＡの存在を決定する工程を含む。Ｎｕｐｒｅゲノム配列の存在は、標準分子生物学技術（例えば、サザンブロット法）を用いて及びＮｕｐｒｅヌクレオチドもしくはその断片をプローブとして使用して検出することが好ましい。あるいは、その方法は、i)個体からヌクレオチド試験試料を採取し；ii)前記試料中でＮｕｐｒｅゲノム配列における突然変異の存在を検出する工程を含む。かかる突然変異としては、欠失、転座、逆位及び点突然変異（例えば、１つ又は複数の疾患形質を生じる、又はそれと関連することが知られている突然変異）が挙げられる。これらの突然変異は、標準分子生物学技術（例えば、シークエンシング又はＰＣＲ）を用いて、及びＮｕｐｒｅヌクレオチドもしくはその断片をプローブもしくはプライマーとして利用して検出することが好ましい。好ましくは、これらの方法におけるヌクレオチド試験試料はＤＮＡを含有する。Ｎｕｐｒｅが位置するゲノム領域の２つ未満の機能性コピー、又は前記領域における突然変異のいずれかを同定することによって、前記個体が免疫不全症と関連する遺伝的突然変異を有する尤度が示される。前記Ｎｕｐｒｅポリヌクレオチドは、３０個未満のヌクレオチドのオリゴヌクレオチドプライマーであることが好ましい。また、好ましくは、配列番号：７のＮｕｐｒｅポリヌクレオチドが、かかる方法においてプローブとして使用される。個体のゲノタイピングは、例えば、シークエンシング、マイクロシークエンシング又はハイブリダイゼーションなどの当業者によく知られているいずれかの技術によって行うことができる。前記Ｎｕｐｒｅポリヌクレオチドは、単独で、又は個体が免疫不全症と関連する遺伝的突然変異を有する尤度を示す他のポリヌクレオチド配列と組み合わせて、使用することができる。この実施形態のその他の態様は、Ｎｕｐｒｅポリヌクレオチドを含むオリゴヌクレオチドプローブのアレイに関する。好ましくは、オリゴヌクレオチドプローブの前記アレイは、免疫不全症と関連する異なる遺伝的突然変異を示すいくつかのオリゴヌクレオチドを含み、免疫不全症と関連する突然変異の効率的なスクリーニングを行うために使用される。これらのマイクロアレイは、例えば、免疫不全症に罹患しやすい家族における疫学的研究を行うため、又は個体における免疫不全症の素因の存在を診断するために、用いることができる。
【０２８４】
本発明の他の実施形態は、Ｎｕｐｒｅポリペプチドの存在をインビトロで検出するための診断キットに関する。かかるキットは：i)抗Ｎｕｐｒｅ抗体；任意に、ii)形成された抗原−抗体複合体の検出を可能にする試薬を備える。前記抗体は、上述のように検出可能に標識されることが好ましい。あるいは、その任意の試薬は、検出可能なシグナルを提供し得る。任意の試薬は、前記抗体に結合するか、又は前記抗体上の標識と反応する。抗Ｎｕｐｒｅ抗体を含むキットは、上記のような免疫不全疾患の診断に使用されることが好ましい。任意に、前記診断キットは、正常な個体からのレベルを表す負の対照試料を備える。任意に、前記診断キットは、特定の免疫不全疾患を有する個体からのレベルを表す正の対照試料を備える。
【０２８５】
その他の実施形態は、i)Ｎｕｐｒｅポリペプチドを発現する細胞を培養し、ii)産生されたタンパク質を精製する工程を含む、Ｎｕｐｒｅポリペプチドを作製する方法に関する。そのタンパク質の精製は、当業者によく知られているいずれかの技術に従って行うことができる。好ましくは、抗Ｎｕｐｒｅ抗体をクロマトグラフィー担体に結合させて、アフィニティークロマトグラフィーカラムを形成することができる。Ｎｕｐｒｅポリペプチドを発現する細胞は、以下に記述するような組換え宿主細胞であることが好ましい。Ｎｕｐｒｅポリペプチドの作製は、本発明でさらに記述される方法及び組成物において有用である。
【０２８６】
本発明の好ましい態様は、プロモーターに作動可能に連結される、Ｎｕｐｒｅポリペプチドをコードするポリヌクレオチドの宿主細胞組換え体である。１つの実施形態は、Ｎｕｐｒｅポリペプチドをコードするポリヌクレオチドの宿主細胞組換え体を作製する方法であって、i)プロモーターに作動可能に連結される、Ｎｕｐｒｅポリペプチドをコードする核酸配列を含み、かつ所定の条件下にて前記Ｎｕｐｒｅポリペプチドの発現を可能にする、組換えベクターを作製し、ii)前記組換えベクターを細胞に導入する工程を含む方法に関する。好ましい実施形態では、細胞は大腸菌細胞又はヒト細胞である。さらなる好ましい態様は、細胞に存在する場合には、Ｎｕｐｒｅの発現に変化をもたらす、ポリヌクレオチドの宿主細胞組換え体である。かかるポリヌクレオチドの宿主細胞組換え体は、i)Ｎｕｐｒｅ遺伝子を含む細胞を提供し、ii)Ｎｕｐｒｅ発現を変化させるポリヌクレオチドを含む組換えベクターを、前記細胞に導入する工程を含む方法であって、前記細胞における前記ポリヌクレオチドの存在によって、前記組換えベクターが導入される前の前記細胞におけるＮｕｐｒｅの発現と比較して、Ｎｕｐｒｅの発現が増加又は低減する方法によって作製される。好ましくは、前記ポリヌクレオチドは、Ｎｕｐｒｅ遺伝子の５’調節領域のすべて又は一部に挿入されるか、又はＮｕｐｒｅ遺伝子の５’調節領域のすべて又は一部と置き換わる。さらに好ましくは、前記ポリヌクレオチドは、Ｎｕｐｒｅコード領域の５００塩基対内に位置する。前記ポリヌクレオチドはプロモーター配列を含むことが好ましい。内因性配列にポリヌクレオチド配列を導入するための当技術分野で公知の技術は、その開示内容全体が参照により本明細書に組み込まれる米国特許第５，６４１，６７０号及び国際公開番号：Ｗ０９６２９４１１に記載されている。Ｎｕｐｒｅポリペプチドを産生するかかる組換え宿主細胞を用いて、Ｎｕｐｒｅポリペプチドを作製することができる。
【０２８７】
その他の好ましい実施形態は、Ｎｕｐｒｅの発現を調節する能力について試験物質をスクリーニングする方法であって；i)細胞を試験物質と接触させ；ii)試験物質に暴露した後の細胞におけるＮｕｐｒｅの発現を、非暴露対照細胞における発現と比較し、暴露細胞と非暴露対照細胞との間で観察されたＮｕｐｒｅの発現の差異によって、試験物質がＮｕｐｒｅの発現を調節することが示される工程を含む方法に関する。Ｎｕｐｒｅの発現は、当技術分野で一般的な、又は本明細書に包含される方法によって決定することができる。Ｎｕｐｒｅの発現を決定する方法としては、限定されないが、Ｎｕｐｒｅポリヌクレオチドを定量化する方法（例えば、ノーザンブロット法又はＲＴＰＣＲによるＮｕｐｒｅ ｍＲＮＡの検出）又はＮｕｐｒｅポリペプチドを定量化する方法（例えば、ウェスタンブロット法又は免疫化学によるＮｕｐｒｅポリペプチドの検出）が挙げられる。一実施形態において、試験物質は、特定の細胞型（好ましくは、脂肪細胞、リンパ球、グリア細胞又は上皮細胞）ではＮｕｐｒｅの発現を修飾するが、他の細胞型では修飾しない。例えば、細胞、組織、又は個体におけるＮｕｐｒｅの発現を変化させるために、修飾因子を使用する方法と同様に、かかる方法を用いて同定される修飾因子もまた、本発明によって包含される。
【０２８８】
本発明のさらなる実施形態は、Ｎｕｐｒｅの活性を調節する能力について試験物質をスクリーニングする方法であって、i)細胞を試験物質と接触させ、ii)試験物質に暴露した後の細胞におけるＮｕｐｒｅの活性を、非暴露対照細胞における活性と比較する工程を含む方法に関し、暴露細胞と非暴露対照細胞との間で観察されるＮｕｐｒｅの活性の差異によって、試験物質がＮｕｐｒｅの活性を調節することを示す。Ｎｕｐｒｅの活性は、例えばその５’ヌクレオチダーゼ活性を検出することによってモニターすることができる。Ｎｕｐｒｅの５’ヌクレオチダーゼ活性は、当業者によく知られている多種多様な技術を用いて評価することができる。例えば、これらの技術は、Wardら(J Chromatogr B Biomed Sci Appl 707:295-300 (1998))によって記述されているイオン交換カラムクロマトグラフィー法及び米国特許第５，８０１，００６号に記載されているＮＡＤＨ及びＮＡＤＰＨを使用する方法を含む（そのどちらも、開示内容全体が参照により本明細書に組み込まれる）。例えば、細胞、組織、又は個体におけるＮｕｐｒｅの活性を変化させるために、修飾因子を使用する方法と同様に、かかる方法を用いて同定される修飾因子もまた、本発明によって包含される。
【０２８９】
Ｎｕｐｒｅの発現又は活性を低減する試験物質は、Ｎｕｐｒｅアンタゴニストとして定義される。Ｎｕｐｒｅの発現又は活性を増加する試験物質は、Ｎｕｐｒｅアゴニストとして定義される。Ｎｕｐｒｅの発現又は活性を調節する試験物質には、限定されないが、化学化合物（例えば、小分子阻害剤又は活性化剤）、オリゴヌクレオチド、アンチセンスポリヌクレオチド、ポリペプチド、リボザイム、Ｎｕｐｒｅのドミナントネガティブ型及び抗Ｎｕｐｒｅ抗体が含まれる。これらの物質は、当技術分野でよく知られている方法によって製造かつ使用することができる。
【０２９０】
好ましい実施形態は、触媒作用を生じさせる条件下にて、Ｎｕｐｒｅポリペプチドを、５’−リボヌクレオチドを含む生体試料と接触させる工程を含む、アデノシンを作製する方法に関する。好ましい５’−リボヌクレオチドは、アデノシン−５’−１リン酸（ＡＭＰ）である。多種多様な条件によって、５’−リボヌクレオチドを相当するリボヌクレオシドに脱リン酸化することが可能となる。例えば、Navarro ら. (Mol Cell Biochem 187:121-31 (1998))に記載の条件を用いることができる。アデノシンの作製は、数多くの方法で、例えば、以下にさらに詳述する方法において有用である。
【０２９１】
好ましい実施形態は、筋肉におけるイノシン一リン酸、イノシン及びヒポキサンチンへのアデノシン三リン酸の自己融解分解をモニターすることによって、食物（例えば、魚及び肉）の鮮度を決定するために、Ｎｕｐｒｅポリペプチドを使用する方法に関する。かかる方法は、その開示内容全体が参照により本明細書に組み込まれる米国特許第５，２８８，６１３号に記載されている。
【０２９２】
その他の好ましい実施形態は、アデノシンレベルを増加し、アデノシン受容体仲介シグナル伝達を活性化するために、Ｎｕｐｒｅポリペプチドを使用する方法に関する。かかる方法は、ＮｕｐｒｅポリペプチドによるＡＭＰの触媒脱リン酸化を生じさせる条件下にて、アデノシン受容体を発現する細胞を含む組織を、Ｎｕｐｒｅポリペプチド又はＮｕｐｒｅアゴニストと接触させる工程を含む。代替方法として、アデノシン類似体に脱リン酸化されるＡＭＰ類似体をかかる方法で使用してもよい。例えば、Ｎ６−シクロヘキシルアデノシン、Ｌ−Ｎ６−フェニルイソプロピルアデノシン、Ｄ−Ｎ６−フェニルイソプロピルアデノシン及びＮ６−メチルアデノシン又は２−クロロアデノシンに脱リン酸化されるＡＭＰ類似体を使用することができる。
【０２９３】
かかる一実施形態において、本発明は、アデノシンレベルを増加し、かつアデノシン受容体仲介シグナル伝達を活性化する方法であって：神経細胞を含む組織に、Ｎｕｐｒｅポリペプチド又はＮｕｐｒｅアゴニストを投与する工程を含む方法を提供する。前記方法は、シナプス後性にイオン電流を誘導又は調節することによって、及びシナプス前性に伝達物質放出を低減することによって神経細胞を抑制することに向けられることが好ましい。かかる方法は、例えばインビトロ脳スライス標本又は培養神経細胞に、Ｎｕｐｒｅポリペプチド又はＮｕｐｒｅアゴニストを送達することによって、インビトロで行われる。神経細胞を抑制するためのかかる方法は、生理学的に許容される担体と、有効量のＮｕｐｒｅポリペプチド又はＮｕｐｒｅアゴニストとを個体に送達することによってインビボで行うこともできる。本明細書で使用される「有効量のＮｕｐｒｅポリペプチド又はＮｕｐｒｅアゴニスト」とは、神経細胞などの細胞においてアデノシン受容体仲介シグナル伝達を活性化するのに十分な量のＮｕｐｒｅポリペプチド又はＮｕｐｒｅアゴニストを意味する。神経細胞のアデノシン受容体仲介シグナル伝達の活性化は、数多くの用途、例えば癲癇、睡眠障害及び運動疾患（例えば、パーキンソン病及びハンチントン病）などの神経疾患及び精神疾患の治療に有用である。神経細胞のアデノシン受容体仲介シグナル伝達の活性化は、精神分裂病、鬱病、アルツハイマー病及び嗜癖などの精神障害の治療にも有用である。さらに、神経細胞のアデノシン受容体仲介シグナル伝達の活性化は、痛みの治療に有用である。Ｎｕｐｒｅポリペプチド又はＮｕｐｒｅアゴニストは、全身的に、例えば静脈内注入によって、又は局所的に、例えば脳内注入によって投与される。
【０２９４】
さらに他の好ましい実施形態は、アデノシンレベルを下げ、デノシン受容体仲介シグナル伝達を抑制するために、Ｎｕｐｒｅポリペプチドを使用する方法に関する。かかる方法は、アデノシン受容体を発現する細胞を含む組織を、Ｎｕｐｒｅアンタゴニストと接触させる工程であって、前記Ｎｕｐｒｅアンタゴニストが、ＮｕｐｒｅポリペプチドよるＡＭＰの触媒脱リン酸化が生じるのを抑制する工程を含む。
【０２９５】
一態様において、本発明は、脂肪細胞における脂肪分解を増加するために、アデノシンレベルを下げ、アデノシン受容体仲介シグナル伝達を抑制する方法を提供する。前記方法は、Ｎｕｐｒｅアンタゴニストを脂肪細胞又は脂肪組織に投与する工程を含む。かかる方法は、例えば、インビトロ白色脂肪細胞培養物にＮｕｐｒｅアンタゴニストを送達することによって、インビトロで行うことができる。かかる方法は、生理学的に許容される担体と、有効量のＮｕｐｒｅアンタゴニストとを含む薬剤組成物を個体に投与することによってインビボで行うことが可能である。本明細書で使用される「有効量のＮｕｐｒｅアンタゴニスト」とは、脂肪細胞などの細胞においてアデノシン受容体仲介シグナル伝達を抑制するのに十分な量のＮｕｐｒｅアンタゴニストを意味する。脂肪細胞のアデノシン受容体仲介シグナル伝達の抑制は、肥満症の治療に使用することが好ましい。その他の態様では、冠血流量及び心伝導を調節するために、アデノシン受容体仲介シグナル伝達の抑制が用いられる。冠血流量及び心伝導を調節するための前記方法は、生理学的に許容される担体と、有効量のＮｕｐｒｅアンタゴニストとを個体に投与する工程を含む。好ましくは、前記方法は、例えば失神、心不全、虚血再灌流障害、又は心不全などの障害を治療又は予防するために、生理学的に許容される担体と、有効量のＮｕｐｒｅアンタゴニストとを含む薬剤組成物を個体に投与することによってインビボで行われる。かかる薬剤組成物は、静脈内など、好ましくは全身的に、いずれかの方法で投与することができる。
【０２９６】
生理学的に許容される担体は、当業者に公知のいずれかの方法によって製造することができる。生理学的に許容される担体としては、限定されないが、その開示内容全体が参照により本明細書に組み込まれるRemington's Pharmaceutical Sciences (Mack Publishing Company, Easton, USA 1985)に記載の担体が挙げられる。Ｎｕｐｒｅアゴニスト又はアンタゴニストと、生理学的に許容される担体とを含む薬剤組成物は、例えば、静脈内、表面、直腸、局所、吸入又は皮下、皮内、筋肉内、経口及び脳内投与用であることが可能である。その組成物は、液状（例えば、液剤、懸濁剤）、固形（例えば、丸剤、錠剤、坐剤）又は半固形（例えば、クリーム剤、ゲル剤）であることが可能である。投与されるべき投与量は、それぞれの必要性、望まれる作用及び選択される投与経路に応じて異なる。
【０２９７】
さらに他の実施形態は、Ｎｕｐｒｅポリペプチドをコードする核酸配列又はＮｕｐｒｅポリヌクレオチドに相補的なｃＤＮＡをコードする核酸配列を含む組換え分子を用いて、遺伝子導入動物（例えば、マウス）を作製する方法に関する。遺伝子導入動物を作製する方法は当業者にはよく知られている。例えば、Ｎｕｐｒｅ欠損マウスは、その開示内容全体が参照により本明細書に組み込まれる米国特許第６，２０７，８７６号に従って作製することができる。その代わりとして、Ｎｕｐｒｅを過剰発現する遺伝子導入マウスを作製することができる。かかる遺伝子導入動物は、低い又は高いアデノシンレベルと関連する機能不全の動物モデルを得るのに、かかる機能不全を治療するのに、かつこれらの機能不全の治療における薬剤活性について化合物をスクリーニングするのに有用である。
【０２９８】
配列番号：１０のタンパク質（内部指定クローン５９９２２２＿１８１−１３−３−０−Ｆ１１−Ｆ）
クローン５９９２２２＿１８１−１３−３−０−Ｆ１１−ＦのｃＤＮＡ（配列番号：９）は、アミノ酸配列：ＭＷＬＬＶＳＶＩＬＩＳＲＩＳＳＶＧＧＥＶＳＡＥＫＣＧＰＰＰＰＩＤＮＧＤＩＴＳＦＬＬＳＶＹＡＰＧＳＳＶＥＹＱＣＱＮＬＹＱＬＥＧＮＮＱＩＴＣＲＮＧＱＷＳＥＰＰＫＣＬＤＰＣＶＩＳＱＥＩＭＥＫＹＮＩＫＬＫＷＴＮＱＱＫＬＹＳＲＴＧＤＩＶＥＦＶＣＫＳＧＹＨＰＴＫＳＨＳＦＲＡＭＣＱＮＧＫＬＶＹＰＳＣＥＥＫを含む、配列番号：１０の新規な補体Ｈ関連タンパク質前駆体（ＮＦＨＲ）をコードする。したがって、本明細書全体にわたり記載されている配列番号：１０のポリペプチドのすべての特性及び使用は、クローン５９９２２２＿１８１−１３−３−０−Ｆ１１−Ｆ中に含まれるヒトｃＤＮＡによってコードされるポリペプチドにも関係することは理解されよう。さらに、本明細書全体にわたり記載されている配列番号：９のポリヌクレオチドのすべての特性及び使用は、クローン５９９２２２＿１８１−１３−３−０−Ｆ１１−Ｆ中のヒトｃＤＮＡを含む核酸にも関係することは理解されよう。本発明の好ましい実施形態は、配列番号：１０、配列番号：９として示されるポリペプチド及びポリヌクレオチド及びクローン５９９２２２＿１８１−１３−３−０−Ｆ１１−ＦのヒトｃＤＮＡ及びコードタンパク質を含む組成物に対して向けられている。本明細書に記載の生物活性を有するポリペプチド断片及びその断片をコードするポリヌクレオチドもまた好ましい。
【０２９９】
配列番号：１０のタンパク質、ＮＦＨＲは、補体因子Ｈ関連タンパク質２前駆体（ｓｗｉｓｓｐｒｏｔアクセッション番号Ｐ３６９８０）の新規なスプライスバリアントである。ＮＦＨＲは、２つのＳｕｓｈｉドメイン：ＣＧＰＰＰＰＩＤＮＧＤＩＴＳＦＬＬＳＶＹＡＰＧＳＳＶＥＹＱＣＱＮＬＹＱＬＥＧＮＮＱＩＴＣＲＮＧＱＷＳＥＰＰＫＣ；及びＣＶＩＳＱＥＩＭＥＫＹＮＩＫＬＫＷＴＮＱＱＫＬＹＳＲＴＧＤＩＶＥＦＶＣＫＳＧＹＨＰＴＫＳＨＳＦＲＡＭＣＱＮＧＫＬＶＹＰＳＣを示す。ＮＦＨＲは１つの膜貫通ドメイン：ＧＤＩＴＳＦＬＬＳＶＹＡＰＧＳＳＶＥＹＱＣも示す。これらのドメインに相当するこれらの断片のそれぞれは、本発明によって特に包含される。
【０３００】
ＮＦＨＲは、主に肝臓で合成され、かつ補体反応において重要な調節の役割を担う、分泌血漿タンパク質である。特に、ＮＦＨＲはＣ３ｂに結合し、因子Ｈが結合するのを防ぎ、それによって、因子ＢのＣ３ｂへの結合が促進され、その結果、補体反応が促進される。したがって、ＮＦＨＲのレベルは、滲出性中耳炎などの補体により仲介される炎症反応において上昇する（例えば、その開示内容全体が参照により本明細書に組み込まれる、Clin Immunol. 2001 Jul;100(1):118-26参照）。補体反応におけるその役割の他に、ＮＦＨＲは、例えば、アポリポタンパク質Ａ−１、リポ多糖結合タンパク質、リン脂質、フィブリノゲン及び他の成分を含むＦＡＬＰ粒子中で、血漿中のリポタンパク質及び他のタンパク質とも結合する（例えば、その開示内容全体が参照により本明細書に組み込まれる、Parkら (2000) Blood 95(1):198-204参照）。他の活性の中でも、これらの粒子は、好中球のリポ多糖への接着反応を促進する。さらに、ＮＦＨＲは、リポ多糖結合タンパク質の機能、ならびにフィブリノゲンの凝固機能の保持及び／又は調節において役割を果たす。さらに、ＮＦＨＲのレベルは、膀胱癌などの様々な癌において高い。
【０３０１】
本発明の実施形態は、配列番号：１０の又は配列番号：１０と少なくとも約７０％、８０％、９０％、９５％、９６％、９７％、９８％、９９％以上の同一性を含むＮＦＨＲポリペプチド配列を含む組成物に関する。
本発明のさらなる実施形態は、限定されないが、アポリポタンパク質Ａ１、リポ多糖結合タンパク質、リン脂質、フィブリノゲン、又はリン脂質への結合、補体系の促進及び癌細胞における高い発現を含む、本明細書に記載の生物活性のいずれかを有する、ＮＦＨＲポリペプチド断片を含む組成物に関する。
【０３０２】
本発明のさらなる実施形態は、配列番号：９の又は配列番号：９と少なくとも約７０％、８０％、９０％、９５％、９６％、９７％、９８％、９９％以上の同一性を含むポリヌクレオチド配列を含む組成物に関する。一実施形態において、本発明は、ＮＦＨＲポリペプチドをコードするポリヌクレオチド配列を提供する。
本発明のさらなる実施形態は、本明細書に記載の生物活性のいずれかを有するＮＦＨＲポリペプチド断片をコードするポリヌクレオチド配列を含む組成物に関する。
【０３０３】
本発明のさらなる実施形態は、ＮＦＨＲポリペプチド配列又はＮＦＨＲポリペプチド断片を認識する抗体に関する。その抗体は、非直鎖状エピトープを認識することが好ましい。本明細書で使用される「抗ＮＦＨＲ抗体」とは、ＮＦＨＲポリペプチドに特異的に結合する、抗体又はその抗原結合断片を意味する。
本発明の実施形態は、ＮＦＨＲポリペプチドに抗ＮＦＨＲ抗体を結合させる方法であって、結合を生じさせる条件下にて、ＮＦＨＲポリペプチドを前記抗体と接触させる工程を含む方法に関する。かかる条件は、当業者にはよく知られている。かかる抗ＮＦＨＲ抗体及びその抗体を用いてＮＦＨＲポリペプチドを結合させる方法は、本明細書に記載されたようにＮＦＨＲの精製、検出及び診断に使用することができる。
【０３０４】
他の実施形態では、本発明は、生体試料中に存在するＮＦＨＲポリペプチドのレベルを検出かつ定量化するための方法及び組成物に関し、前記方法は、i)ＮＦＨＲポリペプチドに特異的に結合する抗体又は抗体断片と生体試料とを接触させ、ii)形成された抗原−抗体複合体を検出する工程を含む。その抗体又は抗体断片は、モノクローナル抗体又はポリクローナル抗体であることが可能である。さらに、その抗体又は抗体断片は、一次的又は二次的に、当技術分野で一般的な検出可能な化合物（例えば、放射性化合物、蛍光化合物、発光化合物、又は酵素化合物）によって標識することができる。生検、ｉｎ ｓｉｔｕアッセイを含む、本発明のタンパク質を検出する診断アッセイは、いずれかの生体試料、器官又は組織切片からの細胞、又は腫瘍もしくは正常組織からの細胞の吸引液、器官、組織、細胞、尿からの細胞抽出物、又は血清又は血液又は他のいずれかの体液又は抽出物で行われる。特異的なポリクローナル又はモノクローナル抗体のいずれかを用いたＮＦＨＲポリペプチドの検出及び定量化は当技術分野で公知である。かかる技術の例としては、酵素免疫測定法（ＥＬＩＳＡ）、ラジオイムノアッセイ（ＲＩＡ）及び蛍光活性化細胞選別（ＦＡＣＳ）が挙げられる。かかる方法は、ＮＦＨＲポリペプチドが通常よりも高い又は低いレベルで存在する、いずれかの疾患又は病状の診断に使用することができる。例えば、滲出性中耳炎の患者からの中耳滲出液は、高レベルの補体因子関連タンパク質、例えばＮＦＨＲを含有する。さらに、膀胱癌の患者からの尿試料は、高レベルの補体因子関連タンパク質を含有する。したがって、本発明の方法は、これらの疾患もしくは症状の素因を診断又は検出するために、又は数多くの炎症性疾患もしくは腫瘍性疾患又は症状のいずれかにおいて、使用することができる。
【０３０５】
一部の実施形態において、本発明は、また、ＮＦＨＲポリペプチドの存在をインビトロで検出するための診断キットに関する。このキットは、ＮＦＨＲポリペプチドに特異的に結合する、ポリクローナルもしくはモノクローナル抗体又はその断片；任意に、形成された抗原−抗体複合体の検出を可能にする試薬を備える。その抗体又は抗体断片は検出可能に標識されることが好ましい。かかる標識には、蛍光化合物、発光化合物及び放射性化合物、ならびに酵素基質が含まれる。その任意の試薬は、検出可能なシグナルを提供し、抗体に結合するか、又はかかる抗体上の標識と反応することができる。ＮＦＨＲ抗体を用いて、滲出性中耳炎又は膀胱癌などの癌を診断することができる。さらに、ＮＦＨＲのレベルを脂質代謝のマーカーとして用いることができ、したがって、限定されないが糖尿病及びアテローム性動脈硬化症などの多くの脂質代謝関連障害のいずれかを検出するために使用することができる。かかる障害を検出するために、適切な生体試料を試験して、産生されるＮＦＨＲのレベルを決定することができる。
【０３０６】
本発明の特定の実施形態は、ＮＦＨＲポリペプチドを作製する方法に関する。かかる一実施形態において、その方法は：i)ＮＦＨＲポリペプチドをコードする組換え発現ベクターを、哺乳動物の宿主細胞にトランスフェクトし；ii)ポリペプチドの発現の助けとなる条件下にて、その細胞を培養し；iii)発現したポリペプチドを精製する工程を含む。タンパク質の精製は、当業者によく知られているいずれかの技術に従って行われる。例えば、ＮＦＨＲ又はその一部に対して作られる抗体をクロマトグラフィー担体に結合させ、アフィニティークロマトグラフィーカラムを形成することができる。本発明の方法を用いて精製されたＮＦＨＲタンパク質は多数の用途、例えば、アポリポタンパク質Ａ１、リポ多糖結合タンパク質、フィブリノゲン、リン脂質、因子Ｂ、又はＣ３ｂなど、ＮＦＨＲと関連するタンパク質又は他の分子を精製又は検出するための用途を有する。
【０３０７】
本発明は、また、ＮＦＨＲポリペプチド又はその生物学的断片をコードするポリヌクレオチドの宿主細胞組換え体を提供する。その他の態様は、細胞中に存在する場合には、ＮＦＨＲの発現レベルの変化を生じさせるポリヌクレオチドの宿主細胞組換え体である。かかる一実施形態において、ポリヌクレオチドは、ＮＦＨＲ遺伝子の５’調節領域に導入され、その結果、ＮＦＨＲ遺伝子の発現の内因性レベルが増加又は減少する。さらに好ましくは、そのポリヌクレオチドは、ＮＦＨＲコード領域の５０塩基対内に位置する。そのポリヌクレオチドはプロモーター配列を含み得る。内因性配列にポリヌクレオチド配列を導入するための当技術分野で公知の技術は、その開示内容全体が参照により本明細書に組み込まれる米国特許第５，６４１，６７０号及び国際公開番号：Ｗ０９６２９４１１に記載されている。
【０３０８】
好ましい実施形態において、ＮＦＨＲポリペプチドは、ＮＦＨＲ相互作用タンパク質又は分子、例えばアポリポタンパク質Ａ１、リポ多糖結合タンパク質、フィブリノゲン、リン脂質、因子Ｂ、又はＣ３ｂを検出又は精製するために使用される。かかる一実施形態では、ＮＦＨＲポリペプチドを、固体マトリックスに共有結合又は非共有結合で結合させ、その相互作用分子を含有する溶液と接触させ、それによって、相互作用分子が除去され、それを精製又は定量化することが可能となる。通常、この方法はさらに：i)固体マトリックスを洗浄し、混入物を取り除き；ii)さらに厳密な条件を用いて、対象の粒子を溶出する工程を含む。その他の実施形態では、その方法は：i)ＮＦＨＲ相互作用分子を含有すると思われる生体試料を得；ii)ＮＦＨＲの結合に適した条件下にて、前記試料をＮＦＨＲポリペプチド又はその断片と接触させ；iii)ＮＦＨＲを検出することによって、その相互作用分子の存在を検出する工程を含む。ＮＦＨＲポリペプチド又はその断片は、蛍光標識などの検出可能な化合物に共有結合で結合されることが好ましい。あるいは、検出可能なＮＦＨＲ特異的抗体又はその断片を用いて、ＮＦＨＲを検出することができる。この実施形態は、例えば、アポリポタンパク質Ａ１、リポ多糖結合タンパク質、フィブリノゲン、リン脂質などのＮＦＨＲ相互作用分子の血漿レベルを検出するための診断ツールとして有用である。また、精製された相互作用分子は多くの目的に使用することが可能である。例えば、精製アポリポタンパク質Ａ１は、その開示内容全体が参照により本明細書に組み込まれる、Agelandらの米国特許第５，９９０，０８１号に記載の方法に従って、アテローム性動脈硬化症及び心血管疾患を治療するために使用することができる。また、精製フィブリノゲンは、血友病の治療において投与することができる（例えば、その開示内容全体が参照により本明細書に組み込まれる、Di Paolaら(2001) Haemophilia Jan;7 Suppl 1:16-22参照）。さらに、精製リポ多糖結合タンパク質を使用して、その開示内容全体が参照により本明細書に組み込まれる米国特許第６，３０６，８２４号に記載の方法に従って、菌体内毒素に暴露される前に特定の対象に投与した場合に、細菌及びそれらの内毒素による炎症の可能性を低減することができる。
【０３０９】
本発明のその他の実施形態では、個体における補体反応又は凝固を促進するために、ＮＦＨＲポリペプチドが使用される。この方法は、個体の血流に、有効量のＮＦＨＲポリペプチド又はその断片を導入する工程を含む。個体にＮＦＨＲポリペプチド又はその生物活性断片を送達するのに好ましい方法としては、生理学的に許容される溶液（例えば、ｐＨ緩衝生理食塩液、グリセロールなどの粘性成分を添加することにより改変されたｐＨ緩衝生理食塩水）中の前記ポリペプチド又は断片を直接、静脈内注入することを含む。あるいは、ＮＦＨＲポリヌクレオチドを導入して、血流中でＮＦＨＲポリペプチドを発現させることができる。この方法は、プロモーターに作動可能に連結される、ＮＦＨＲポリペプチドをコードするポリヌクレオチドの組換えベクターを患者の細胞に導入する工程を含み、ＮＦＨＲポリペプチドは細胞内で発現される。かかる方法では、ウイルス（アデノウイルス、アデノ随伴ウイルス、ＨＳＶ、レトロウイルス等）又は非ウイルスベクター（例えば、プラスミド、裸のＤＮＡ等）を含む、いずれかのベクターを使用することができる。例えば、リポソーム仲介トランスフェクション、ウイルス感染、微粒子銃（biolistic particles）等のいずれかの手段を用いて、ベクターを個体又は細胞に導入することができる。かかる方法は、例えば感染に対する防御を助けるために、例えば炎症反応の促進に有用である。
【０３１０】
他の実施形態において、アポリポタンパク質Ａ１、リポ多糖結合タンパク質、フィブリノゲン、リン脂質、因子Ｂ、又はＣ３ｂなどのＮＦＨＲ相互作用分子の個体の血液中の循環レベルを決定するために、ＮＦＨＲを使用する。その方法は、個体から血液試料を採取し、本発明のタンパク質を使用して、血液試料から相互作用分子を精製し（例えば、アフィニティーカラムクロマトグラフィーによって）、精製分子のレベルを測定する工程を含む。ＥＬＩＳＡ、ウェスタンブロット法、質量分析法又はラジオイムノアッセイ（ＲＩＡ）などのいずれかの方法を用いて、精製分子のレベルを評価することができる。循環血液中の、例えば、アポリポタンパク質Ａ１、リポ多糖結合タンパク質、及びリン脂質レベルの決定は、限定されないが、脂質代謝関連疾患、糖尿病、及びアテローム性動脈硬化症などの疾患を有する患者のモニタリングに対して特に興味深いと考えられる。
【０３１１】
本発明のその他の実施形態は、当業者に知られているいずれかの方法によって、遺伝子導入モデル動物（キイロショウジョウバエ（D. melanogaster）、ハツカネズミ（M. musculus））を確立するための、本発明のタンパク質又はその断片をコードするポリヌクレオチド配列を用いた組成物及び方法に関する。薬物又は変更遺伝子（活性化又は抑制遺伝子）で導入遺伝子の発現をインビボで調節することによって、脂質代謝関連疾患を模倣する動物モデルを作製することができる。このように、これらの動物モデルによって、上述の疾患の治療に用いられる潜在的な治療薬を同定することが可能となる。さらに、これらの遺伝子導入動物に由来する組換え細胞系は、同様のアプローチにエクスビボで使用することができる。
【０３１２】
その他の実施形態において、本発明は、膀胱癌などの癌の存在又は素因を検出する方法を提供する。かかる方法は通常、i)癌を有する疑いのある、又は癌を発症するリスクがある患者から生体試料を採取し；ii)試料中のＮＦＨＲのレベルを検出する工程を含み、癌を持たない正常な個体（又は癌を発症するリスクが高くない個体）から予想されるレベルに対して、試料中のＮＦＨＲレベルが高い場合には、その患者が癌を有するか、又は癌を発症するリスクが高いことを示している。かかる方法を用いて、いずれかの種類の癌、例えば癌腫、リンパ腫、芽腫、肉腫、及び白血病、さらに詳細には、乳癌、前立腺癌、結腸癌、扁平上皮癌、小細胞肺癌、非小細胞肺癌、卵巣癌、子宮頚癌、胃腸癌、膵臓癌、膠芽腫、肝癌、膀胱癌、肝癌、結腸直腸癌、子宮頸癌、子宮内膜癌腫、唾液腺癌、腎臓癌、外陰癌、甲状腺癌、肝癌、皮膚癌、黒色腫、脳腫瘍、卵巣癌、神経芽細胞腫、骨髄腫、様々なタイプの頭頚部癌、急性リンパ性白血病、急性骨髄性白血病、ユーイング肉腫及び末梢神経上皮腫などを検出することが可能である。好ましい実施形態では、その癌は膀胱癌である。
【０３１３】
配列番号：１２のタンパク質（内部指定クローン２３８７５７＿１１６−１０５−３−０−Ｄ９−Ｆ）
クローン２３８７５７＿１１６−１０５−３−０−Ｄ９−ＦのｃＤＮＡ（配列番号：１１）は、アミノ酸配列：ＭＳＤＬＲＩＴＥＡＦＬＹＭＤＹＬＣＦＲＡＬＣＣＫＧＰＰＰＡＲＰＥＹＤＬＶＣＩＧＬＴＧＳＧＫＴＳＬＬＳＫＬＣＳＥＳＰＤＮＶＶＳＴＴＧＦＳＩＫＡＶＰＦＱＮＡＩＬＮＶＫＥＬＧＧＡＤＮＩＲＫＹＷＳＲＹＹＱＧＳＱＧＶＩＦＶＬＤＳＡＳＳＥＤＤＬＥＡＡＲＮＥＬＨＳＡＬＱＨＰＱＬＣＴＬＰＦＬＩＬＡＮＨＱＤＫＰＡＡＲＳＶＱＥＫＩＱＤを含む、配列番号：１２のＮＡＲＦタンパク質をコードする。したがって、本明細書全体にわたり記載されている配列番号：１２のポリペプチドのすべての特性及び使用は、クローン２３８７５７＿１１６−１０５−３−０−Ｄ９−Ｆ中に含まれるヒトｃＤＮＡによってコードされるポリペプチドにも関係することは理解されよう。さらに、本明細書全体にわたり記載されている配列番号：１１のポリヌクレオチドのすべての特性及び使用は、クローン２３８７５７＿１１６−１０５−３−０−Ｄ９−Ｆ中のヒトｃＤＮＡを含む核酸にも関係することは理解されよう。本発明の好ましい実施形態は、配列番号：１２、配列番号：１１及びクローン２３８７５７＿１１６−１０５−３−０−Ｄ９−Ｆの組成物に対して向けられている。本明細書に記載の生物活性を有するポリペプチド断片及びその断片をコードするポリヌクレオチドもまた好ましい。
【０３１４】
配列番号：１２のタンパク質、ＮＡＲＦは、新規なＡＤＰ−リボシル化ファミリー関連タンパク質である。ＮＡＲＦはＡＤＰ−リボシル化因子ファミリー（ＡＲＦ）モチーフ：ＹＬＣＦＲＡＬＣＣＫＧＰＰＰＡＲＰＥＹＤＬＶＣＩＧＬＴＧＳＧＫＴＳＬＬＳＫＬＣＳＥＳＰＤＮＶＶＳＴＴＧＦＳＩＫＡＶＰＦＱＮＡＩＬＮＶＫＥＬＧＧＡＤＮＩＲＫＹＷＳＲＹＹＱＧＳＱＧＶＩＦＶＬＤＳＡＳＳＥＤＤＬＥＡＡＲＮＥＬＨＳＡＬＱＨＰＱＬＣＴＬＰＦＬＩＬＡＮＨＱＤＫＰＡＡＲＳＶＱＥＫＩＱＤを示す。
【０３１５】
ＡＲＦタンパク質は、ｒａｓスーパーファミリーのメンバーであり、ＧＴＰに結合した場合には、活性かつ膜結合型（membrane associated）となる。ＡＲＦの生物学的役割は、シグナル伝達、特にゴルジ体を含む小胞輸送における、及びリン脂質−修飾酵素活性及び細胞骨格の調節における多くの段階の中心的な役割である。例えば、ＮＡＲＦは、非クラスリン被覆タンパク質の細胞内の輸送小胞との結合に必要とされ、かつエンドサイトーシスならびに核の小胞融合の初期段階で重要である。ＮＡＲＦはまた、上皮細胞において、かつ分泌において重要な役割を果たす。ＡＲＦタンパク質は、種々のタンパク質及びプロセス、例えば、ホスホリパーゼＤ及びコレラ毒素仲介ＡＤＰ−リボシル化も活性化する。ホスホリパーゼＤの活性化により、複数の細胞効果（multiple cellular effect）が導かれる。例えば、ＮＡＲＦによるその活性化の後、ホスホリパーゼＤはホスファチジルコリンを加水分解する。この反応により生成されたホスファチジン酸は、コートマーの安定な結合部位の形成を促進し、被覆小胞が出芽する。
【０３１６】
本発明の実施形態は、配列番号：１２のＮＡＲＦポリペプチド配列を含む組成物に関する。その他の実施形態では、そのポリペプチド配列は、配列番号：１２と少なくとも７０％、８０％、９０％、９５％以上同一である。
本発明のさらなる実施形態は、本明細書に記載の生物活性のいずれかを有するＮＡＲＦポリペプチド断片を含む組成物に関する。
【０３１７】
本発明のさらなる実施形態は、ＮＡＲＦポリペプチドをコードする配列番号：１１のポリヌクレオチド配列を含む組成物に関する。その他の実施形態では、そのポリヌクレオチド配列は、配列番号：１１と少なくとも７０％、８０％、９０％、９５％以上の同一性を有する。
他の実施形態において、本発明は、配列番号：１２の配列を含むポリペプチド又はその生物活性断片をコードするポリヌクレオチドを提供する。
【０３１８】
本発明のさらなる実施形態は、本明細書に記載の生物活性のいずれかを有するＮＡＲＦポリペプチドをコードするポリヌクレオチド配列を含む組成物に関する。
本発明のさらなる実施形態は、ＮＡＲＦポリペプチド又はその断片に抗体を結合させる方法に関する。その抗体は非直鎖状エピトープを認識し、かつＮＡＲＦのＣ末端に特異的に結合することが好ましい。かかるＮＡＲＦ特異的抗体は、例えば本明細書に記述されるように、ＮＡＲＦの精製、抑制、検出及び診断に使用することができる。
【０３１９】
本発明の実施形態は、ＮＡＲＦポリペプチドを作製する方法に関する。ＮＡＲＦポリペプチドを作製する方法は：i)本発明のＮＡＲＦポリペプチドをコードする組換え発現ベクターを、哺乳動物宿主細胞にトランスフェクトし；ii)前記ポリペプチドの発現の助けとなる条件下にて、その細胞を培養し；iii)発現したＮＡＲＦポリペプチドを精製する工程を含む。タンパク質の精製は、当業者によく知られているいずれかの技術にしたがって行われる。好ましくは、ＮＡＲＦに対して作られる抗体、例えば、ＮＡＲＦのＣ−末端に対して作られる抗体をクロマトグラフィー担体に結合させ、アフィニティークロマトグラフィーカラムを形成する。その精製されたタンパク質は、例えば、ホスホリパーゼＤの活性化、抗ＮＡＲＦ抗体の産生、ＮＡＲＦ修飾因子のスクリーニング、又は細胞における膜輸送の調節などの多数の用途に使用することができる。
【０３２０】
本発明の好ましい態様は、ＮＡＲＦポリペプチド又はその生物活性断片をコードするポリヌクレオチドの宿主細胞組換え体である。さらなる好ましい態様は、ＮＡＲＦの発現を指示することができるポリヌクレオチドの宿主細胞組換え体である。ＮＡＲＦの発現を指示することができるポリヌクレオチドは、ＮＡＲＦ遺伝子の５’調節領域に位置することが好ましい。さらに好ましくは、これらのポリヌクレオチドは、ＮＡＲＦコード領域の５００塩基対内に位置する。これらのポリヌクレオチドはプロモーター配列を含むことが好ましい。内因性配列にポリヌクレオチド配列を導入するための当技術分野で公知の技術は、その開示内容全体が参照により本明細書に組み込まれる米国特許第５，６４１，６７０号及び国際公開番号：Ｗ０９６２９４１１に記載されている。前記宿主細胞によって産生されたＮＡＲＦタンパク質は、本明細書に記述するように、例えば、検出及び精製法ならびに診断及びインビボ用途に用いることができる。
【０３２１】
ＮＡＲＦ ｍＲＮＡは、神経再生ならびに神経細胞分化及び成熟に必須のいくつかのプロセスにおいて差次的に発現される(Suzuki, I.ら(2001) Brain Res. Mol. Brain Res. 31:124-34参照、その開示内容全体が参照により本明細書に組み込まれる）。その他の実施形態において、ＮＡＲＦ ｍＲＮＡのレベルは、神経障害、ＡＤＰ−リボシル化欠乏性疾患、上皮性疾患及び／又は分泌障害を発症するリスクがあるか、又はそれらを有するかどうかを決定又は診断するために、哺乳動物、好ましくはヒトにおいて検出される。ｍＲＮＡを検出及び／又は定量化するためのアッセイは当技術分野でよく知られている（例えば、Maniatis, Fitsch and Sambrook, Molecular Cloning; A Laboratory Manual (1982), 又は Current Protocols in Molecular Biology, Ausubel, F.M.ら(Eds), Wiley & Sons, Inc.参照）。かかる一実施形態において、核酸プローブを標準法により標識し、ハイブリダイゼーション複合体の形成を可能にする条件下にて生体試料に添加する。インキュベーション期間後、その試料を洗浄し、ハイブリダイゼーションに関連する標識の量を定量化し、かつ／又は対照値と比較する。試料中の標識の量が対照値と検出可能な程度に異なる場合には、関連する病状、疾患又は障害、又はその素因が存在することを示している。かかるアッセイを用いて、動物研究において、臨床試験において、又は個々の患者の治療法のモニターにおいて特定の治療的処置療法の有効性を評価することもできる。病状の存在が証明され、治療プロトコールが開始されると、診断アッセイを定期的に繰り返して、患者における発現レベルが、正常な対象において観察される発現レベルに近似し始めるかどうかを決定することができる。連続的なアッセイから得られた結果を用いて、数日から数ヶ月の範囲の期間にわたる治療の有効性を示すことができる。
【０３２２】
ＮＡＲＦは、ゴルジ体、小胞体（ＥＲ）ならびにエンドソームと結合することから、ＮＡＲＦは分泌又は細胞内輸送のマーカーとして有用であり、したがって、輸送異常と関連する疾患の診断に使用することができる。かかるゴルジ体、ＥＲ又はエンドソームに関連する分泌障害としては、限定されないが、嚢胞性線維症、メンケス症候群、ニーマン・ピック病、及び小胞輸送異常と関連する他の症状、限定されないが、後天性免疫不全症候群（ＡＩＤＳ）などが挙げられる。さらに、ＮＡＲＦは、限定されないが、湿疹、皮膚炎、乾癬、ざ瘡、皮膚筋炎及び過敏性大腸症候群を含む上皮性疾患を診断するのに有用である。
【０３２３】
本発明のその他の実施形態は、ＮＡＲＦポリペプチドを検出することによって、上皮性及び／又は分泌障害を診断する方法に関する。生検、ｉｎ ｓｉｔｕアッセイを含む、ＮＡＲＦポリペプチドのレベルを検出かつ／又は定量化するための診断アッセイは、いずれかの生体試料、器官又は組織切片からの細胞、又は腫瘍もしくは正常組織からの細胞の吸引液、器官、組織、細胞、尿からの細胞抽出物、又は血清又は血液又は他のいずれかの体液又は抽出物で行われる。特異的なポリクローナル又はモノクローナル抗体のいずれかを用いたＮＡＲＦポリペプチドの検出及び定量化は当技術分野で公知である。かかる技術の例としては、酵素免疫測定法（ＥＬＩＳＡ）、ラジオイムノアッセイ（ＲＩＡ）及び蛍光活性化細胞選別（ＦＡＣＳ）が挙げられる。
【０３２４】
その他の実施形態において、実質上精製されたＮＡＲＦポリペプチドと薬剤担体とを含む薬剤組成物を対象に投与して、限定されないが、例えば上述のような疾患及び病状を含む、ＮＡＲＦの変化した発現又は活性と関連する病状を治療又は予防することができる。
本発明の好ましい実施形態は、コレラ毒素に結合するＮＡＲＦを使用する方法である。この方法は、ＮＡＲＦの結合を可能にする条件下にて、ＮＡＲＦポリペプチド又はその活性断片をコレラ毒素と接触させる工程を含み、結合によって前記コレラ毒素の活性が抑制される。この方法はインビトロ用途（例えば、コレラ毒素の検出）に適用することができる。
【０３２５】
本発明の好ましい実施形態は、コレラ毒素を精製する方法である。この方法は、結合を可能にする条件下にて、ＮＡＲＦポリペプチド又はその生物活性断片をコレラ毒素と接触させ；混入物を取り除き；さらに厳密な条件を用いて、コレラ毒素を溶出する工程を含む。ＮＡＲＦペプチドを固体又は半固体マトリックスに固定化し、試料の洗浄を容易にし、混入物を除去することが好ましい。これらは、細胞培地及び体液などの一般的な生物体液から精製される。精製されたコレラ毒素は、ワクチンとして、又は炎症性腸疾患の治療において有用であり得る（例えば、その開示内容全体が参照により本明細書に組み込まれる、国際公開番号：Ｗ００１３４１７５Ａ２参照）。
【０３２６】
本発明の好ましい実施形態は、細胞を試験物質と接触させ、細胞におけるＮＡＲＦの活性レベルを検出し、その細胞におけるＮＡＲＦの活性レベルを非暴露対照細胞におけるレベルと比較する工程を含む、ＮＡＲＦポリペプチドの修飾因子についてスクリーニングする方法であって、非暴露細胞におけるレベルと比較して、暴露細胞におけるＮＡＲＦの活性レベルの増加によって、試験物質がＮＡＲＦポリペプチドのアゴニストであることが示され、かつ非暴露細胞におけるレベルと比較して、暴露細胞におけるＮＡＲＦの活性レベルの減少によって、試験物質がＮＡＲＦポリペプチドのアンタゴニストであることが示される、方法を提供する。
【０３２７】
本発明の好ましい実施形態は、上記のような障害などの分泌又は上皮性障害と関連する疾患の治療において、ＮＡＲＦポリペプチドの修飾因子を使用する方法を提供する。これらの方法は、治療が必要な個体に、生理学的に許容される組成物中の治療有効量のＮＡＲＦ修飾因子を投与する工程を含む。
さらなる実施形態では、ＮＡＲＦポリペプチド又はその生物活性断片をコードする発現ベクターを対象に投与して、上記の疾患又は病状のいずれかを治療又は予防する。
【０３２８】
一実施形態において、ＡＤＰ−リボシル化欠乏性疾患、上皮性及び／又は分泌障害、例えば、上述の疾患のうちのいずれかなどを治療するために、対象にＮＡＲＦを投与する方法に関する。ＮＡＲＦポリペプチドは単独で、又は他の作用物質と組み合わせて投与される。本発明のその他の実施形態は、ホスホリパーゼＤをＮＡＲＦで活性化する方法を提供する。かかる方法は、ホスホリパーゼＤを活性化するのに適した条件下にて、ホスホリパーゼＤをＮＡＲＦポリペプチドと接触させる工程を含む。ＮＡＲＦによるホスホリパーゼＤの活性化は、当技術分野でよく知られているいずれかの技術を用いて、又はその開示内容全体が参照により本明細書に包含される、米国特許第６，０４３，０７３号に記載されたように達成することができる。この方法は、例えば自己免疫又は炎症性疾患、例えば慢性関節リウマチ、乾癬、潰瘍性大腸炎、創傷治癒、又は炎症反応の提示を特徴とする他のいずれかの疾患又は病状の治療において、又は癌の治療において有用である。
【０３２９】
一部の実施形態において、本発明は、ＮＡＲＦポリペプチド又はポリヌクレオチドの存在をインビトロで検出するための診断キットにも関する。一実施形態では、そのキットは：i)ＮＡＲＦポリペプチドに特異的に結合する、ポリクローナルもしくはモノクローナル抗体又はその断片；任意に、ii)形成された抗原−抗体複合体の検出を可能にする試薬；を備える。その抗体又は抗体断片は、検出可能に標識することが好ましい。
【０３３０】
かかる標識としては、蛍光、発光及び放射性化合物ならびに酵素基質が挙げられる。あるいは、任意の試薬は検出可能なシグナルであってもよい。任意の試薬は、抗体に結合するか、又は前記抗体上の標識と反応し得る。抗ＮＡＲＦ抗体を含むキットは、上述の疾患又は病状のいずれかを診断するのに使用されることが好ましい。任意に、前記診断キットは、正常な個体から予想されるレベルを表す負の対照試料を備える。任意に、前記診断キットは、上述の疾患又は病状のいずれかに罹患している個体から予想されるレベルを表す正の対照試料を備える。その他の実施形態では、キットは、標識化ＮＡＲＦポリヌクレオチドプローブなどの、試料中のＮＡＲＦポリヌクレオチドを検出するための試薬を備え得る。
【０３３１】
他の実施形態において、ＮＡＲＦに結合することができる中和抗体が、ＮＡＲＦに結合する試験化合物と特異的に競合する、競合薬物スクリーニングアッセイが用いられる。この手法では、１つ又は複数の抗原決定基をＮＡＲＦと共有するいずれかのペプチドの存在を検出するために、その抗体を使用することができる。
本発明のその他の実施形態は、当業者に知られているいずれかの方法によって、遺伝子導入モデル動物（キイロショウジョウバエ（D. melanogaster）、ハツカネズミ（M. musculus））を確立するための、本発明のタンパク質又はその断片をコードするポリヌクレオチド配列を用いた組成物及び方法に関する。薬物又は変更遺伝子（活性化又は抑制遺伝子）で導入遺伝子の発現をインビボで調節することによって、上述のような分泌及び／又は上皮性障害を模倣する動物モデルを作製することができる。このように、これらの動物モデルによって、疾患の治療に用いられる潜在的な治療薬を同定することが可能となる。さらに、これらの遺伝子導入動物に由来する組換え細胞系は、同様のアプローチにエクスビボで使用することができる。
【０３３２】
配列番号：１４のタンパク質（内部指定クローン１０６６１４＿１０５−０３１−２−０−Ｅ２−Ｆ）
クローン１０６６１４＿１０５−０３１−２−０−Ｅ２−ＦのｃＤＮＡ（配列番号：１３）は、アミノ酸配列：ＭＫＳＩＩＬＦＶＬＳＬＬＬＩＬＥＫＱＡＡＶＭＧＱＫＧＧＳＫＧＱＬＰＳＧＳＳＱＦＰＨＧＱＫＧＱＨＹＦＧＱＫＤＱＱＨＴＫＳＫＧＳＦＳＩＱＨＴＹＨＶＤＩＮＤＨＤＷＴＲＫＳＱＱＹＤＬＮＡＬＨＫＡＴＫＳＫＱＨＬＧＧＳＱＱＬＬＮＹＫＱＥＧＲＤＨＤＫＳＫＧＨＦＨＭＩＶＩＨＨＫＧＧＱＡＨＨＧＴＱＮＰＳＱＤＱＧＮＳＰＳＧＫＧＬＳＳＱＣＳＮＴＥＫＲＬＷＶＨＧＬＳＫＥＱＡＳＡＳＧＡＱＫＧＲＴＱＧＧＳＱＳＳＹＶＬＱＴＥＥＬＶＶＮＫＱＱＲＥＴＫＮＳＨＱＮＫＧＨＹＱＮＶＶＤＶＲＥＥＨＳＳＫＬＱＴＳＬＨＰＡＨＱＤＲＬＱＨＧＰＫＤＩＦＴＴＱＤＥＬＬＶＹＮＫＮＱＨＱＴＫＮＬＳＱＤＱＥＨＧＲＫＡＨＫＩＳＹＰＳＳＲＴＥＥＲＱＬＨＨＧＥＫＳＶＱＫＤＶＳＫＧＳＩＳＩＱＴＥＥＫＩＨＧＫＳＱＮＱＶＴＩＨＳＱＤＱＥＨＧＨＫＥＮＫＩＳＹＱＳＳＳＴＥＥＲＨＬＮＣＧＥＫＧＩＱＫＧＶＳＫＧＳＩＳＩＱＴＥＥＱＩＨＧＫＳＱＩＱＴＰＮＰＮＱＤＱＷＳＧＱＮＡＫＧＫＳＧＱＳＡＤＳＫＱＤＬＬＳＨＥＱＫＧＲＹＫＱＥＳＳＥＳＨＮＩＶＩＴＥＨＥＶＡＱＤＤＨＬＴＱＱＹＮＥＤＲＮＰＩＳＴを含む、配列番号：１４のＳｇＩＩｂをコードする。したがって、本明細書全体にわたり記載されている配列番号：１４のポリペプチドのすべての特性及び使用は、クローン１０６６１４＿１０５−０３１−２−０−Ｅ２−Ｆ中のヒトｃＤＮＡを含む核酸によってコードされるポリペプチドにも関係することは理解されよう。
【０３３３】
さらに、本明細書全体にわたり記載されている配列番号：１３のポリヌクレオチドのすべての特性及び使用は、クローン１０６６１４＿１０５−０３１−２−０−Ｅ２−Ｆ中のヒトｃＤＮＡを含む核酸にも関係することは理解されよう。本発明の好ましい実施形態は、配列番号：１４、配列番号：１３及びクローン１０６６１４＿１０５−０３１−２−０−Ｅ２−Ｆの組成物に対して向けられている。以下に記載の方法で使用するのに好ましいＳｇＩＩｂポリペプチド断片としては、アミノ配列：ＱＫＧＧＳＫＧＱＬＰＳＧＳＳＱＦＰＨＧＱＫＧＱＨＹＦＧＱＫＤＱＱＨＴＫＳＫＧＳＦＳＩＱＨＴＹＨＶＤＩＮＤＨＤＷＴＲＫＳＱＱＹＤＬＮＡＬＨＫＡＴＫＳＫＱＨＬＧＧＳＱＱＬＬＮＹＫＱＥＧＲＤＨＤＫＳＫＧＨＦＨＭＩＶＩＨＨＫＧＧＱＡＨＨＧＴＱＮＰＳＱＤＱＧＮＳＰＳＧＫＧＬＳＳＱＣＳＮＴＥＫＲＬＷＶＨＧＬＳＫＥＱＡＳＡＳＧＡＱＫＧＲＴＱＧＧＳＱＳＳＹＶＬＱＴＥＥＬＶＶＮＫＱＱＲＥＴＫＮＳＨＱＮＫＧＨＹＱＮＶＶＤＶＲＥＥＨＳＳＫＬＱＴＳＬＨＰＡＨＱＤＲＬＱＨＧＰＫＤＩＦＴＴＱＤＥＬＬＶＹＮＫＮＱＨＱＴＫＮＬＳＱＤＱＥＨＧＲＫＡＨＫＩＳＹＰＳＳＲＴＥＥＲＱＬＨＨＧＥＫＳＶＱＫＤＶＳＫＧＳＩＳＩＱＴＥＥＫＩＨＧＫＳＱＮＱＶＴＩＨＳＱＤＱＥＨＧＨＫＥＮＫＩＳＹＱＳＳＳＴＥＥＲＨＬＮＣＧＥＫＧＩＱＫＧＶＳＫＧＳＩＳＩＱＴＥＥＱＩＨＧＫＳＱＩＱＴＰＮＰＮＱＤＱＷＳＧＱＮＡＫＧＫＳＧＱＳＡＤＳＫＱＤＬＬＳＨＥＱＫＧＲＹＫＱＥＳＳＥＳＨＮＩＶＩＴＥＨＥＶＡＱＤＤＨＬＴＱＱＹＮＥＤＲＮＰＩＳＴを含むＳｇＩＩｂポリペプチドが挙げられる。アミノ配列：ＩＱＴＰＮＰＮＱＤＱＷＳＧＱＮＡＫＧＫＳＧＱＳＡＤＳＫＱＤＬＬＳＨＥＱＫＧＲＹＫＱＥＳＳＥＳＨＮＩＶＩＴＥＨＥＶＡＱＤＤＨＬＴＱＱＹＮＥＤＲＮＰＩＳＴを含むＳｇＩＩｂポリペプチド断片もまた好ましい。本明細書に記載の生物活性を有するポリペプチド断片及びその断片をコードするポリヌクレオチドもまた好ましい。
【０３３４】
本発明のタンパク質、ＳｇＩＩｂは、ｓｅｍｅｎｏｇｅｌｉｎＩＩタンパク質（ＳｇＩＩ，Ｇｅｎｂａｎｋアクセッション番号Ｍ８１６５１）の新規な分泌スプライス及び多型バリアントである。ＳｇＩＩ遺伝子の第２エクソンは、ＳｇＩＩｂ ｍＲＮＡにおいて２つのエクソン及び１つのイントロンに分割される。さらに、配列番号：１４の３０５位に示されるアミノ酸は、ＳｇＩＩｂではイソロイシンであり、ＳｇＩＩではアスパラギンである。得られる完全長ポリペプチドは、それらのアミノ末端側３８７個のアミノ酸上で同一である。ＳｇＩＩｂのカルボキシル末端側７５個のアミノ酸は、このスプライスバリアントに固有である。ＳｇＩＩｂはシグナルペプチド（ＭＫＳＩＩＬＦＶＬＳＬＬＬＩＬＥＫＱＡＡＶＭＧ）を示し、成熟ＳｇＩＩｂポリペプチドは４３９アミノ酸の長さである。ＳｇＩＩｂは、ｓｅｍｅｎｏｇｅｌｉｎファミリーの新規なメンバーである。ＳｇＩＩｂは、精嚢に特異的に発現する分泌タンパク質である。ＳｇＩＩｂは、射精直後に形成される精子捕捉ゲル（sperm-entrapping gel）の成分である。ＳｇＩＩｂは、ＳｇＩ及びＳｇＩＩなどの他のセメノゲリン（semenogelin）と、ジスルフィド架橋を介して非共有結合的に相互作用し、射精すると直ぐに凝塊が形成される。前立腺−分泌ＰＳＡセリンプロテアーゼによるＳｇＩＩｂのタンパク質限定加水分解は、精子捕捉ゲルの進行的な溶解に関与し、運動性精子の放出を可能にする。さらに、ＳｇＩＩｂタンパク質分解により放出されるペプチドは、精子の受容体部位に結合し、受精能獲得及び卵子結合などの機能を高める。さらに、ＳｇＩＩｂは、様々な癌腫において異所的に発現される。
【０３３５】
本発明の実施形態は、配列番号：１４の、又は配列番号：１４と少なくとも７０％、８０％、９０％、９５％、９６％、９７％、９８％、９９％以上の同一性を有する、ＳｇＩＩｂポリペプチド配列を含む組成物に関する。
本発明のさらなる実施形態は、射精後に形成される精子捕捉ゲルにおいて構造上の役割を有し、精子の受精能獲得及び卵子結合において役割を有し、又はＰＳＡによって切断されるＳｇＩＩｂポリペプチド断片を含む組成物に関する。
【０３３６】
本明細書で使用される「ＳｇＩＩｂポリペプチド」とは、配列番号：１４の、又は配列番号：１４と少なくとも７０％、８０％、９０％、９５％、９６％、９７％、９８％、９９％以上同一のＳｇＩＩｂポリペプチド配列、又は射精後に形成される精子捕捉ゲルにおいて構造上の役割を有し、精子の受精能獲得及び卵子結合において役割を有し、又はＰＳＡによって切断されるＳｇＩＩｂポリペプチド断片のいずれかを意味する。
【０３３７】
本発明の実施形態は、ＳｇＩＩｂポリペプチドをコードする配列番号：１３のポリヌクレオチド配列を含む組成物に関する。
本発明のさらなる実施形態は、ＳｇＩＩｂポリペプチドをコードするポリヌクレオチド配列を含む組成物に関する。
本明細書でさらに使用される「ＳｇＩＩｂポリヌクレオチド」とは、配列番号：１３の、又は配列番号：１３と少なくとも７０％、８０％、９０％、９５％、９６％、９７％、９８％、９９％以上の同一性を有するＳｇＩＩｂポリヌクレオチド配列、ＳｇＩＩｂポリペプチドをコードするヌクレオチド配列、又は配列番号：１３のポリヌクレオチド断片のいずれかを意味する。
【０３３８】
本発明のさらなる実施形態は、配列番号：１４のＳｇＩＩｂポリペプチド配列又はＳｇＩＩｂポリペプチド断片を認識する抗体に関する。好ましくは、その抗体は、ＳｇＩＩｂのカルボキシル末端側７５個のアミノ酸の１つ又は複数を認識し、前記の１つ又は複数のアミノ酸は、ＳｇＩＩｂポリペプチドへの抗体の結合に必要とされる。さらに好ましくは、その抗体は、ＱＴＥＥＱＩＨＧＫＳＱＩＱＴＰＮＰＮＱＤＱＷＳＧＱＮＡＫＧＫＳＧＱＳＡＤＳエピトープ、ＳＨＥＱＫＧＲＹＫＱＥＳエピトープ又はＤＨＬＴＱＱＹＮＥＤＲＮＰＩＳエピトープを認識する。最も好ましくは、その抗体はＳｇＩＩｂに結合するが、ＳｇＩＩには結合しない。本明細書で使用される「抗ＳｇＩＩｂ抗体」とは、ＳｇＩＩｂポリペプチドに特異的に結合する、抗体又はその抗原結合断片を意味する。
【０３３９】
本発明の実施形態は、ＳｇＩＩｂポリペプチドに抗ＳｇＩＩｂ抗体を結合させる方法であって、結合を生じさせる条件下にて、ＳｇＩＩｂポリペプチドを前記抗体と接触させる工程を含む方法に関する。かかる条件は当業者にはよく知られている。かかる方法は、本明細書にさらに記述されるようにＳｇＩＩｂポリペプチドを検出するのに有用である。
本発明の実施形態は、生体試料におけるＳｇＩＩｂポリペプチドを検出する方法に関し、前記方法は、i)生体試料を抗ＳｇＩＩｂ抗体と接触させ、ii)形成された抗原−抗体複合体を検出する工程を含む。その抗ＳｇＩＩｂ抗体は、モノクローナル抗体又はポリクローナル抗体であることが可能である。さらに、その抗ＳｇＩＩｂ抗体は、一次的又は二次的に、当技術分野で一般的な検出可能な化合物（例えば、放射性化合物、蛍光化合物、発光化合物、又は酵素化合物）によって標識することができる。ＳｇＩＩｂポリペプチドの検出は、例えば、法医学分野においてレイプの容疑を立証するのに有用である。ＳｇＩＩｂは、精管切除した男性及び無精子症の男性の精液にでさえ存在することから、性的暴行を立証するためには、精子特異的抗体よりも抗ＳｇＩＩｂ抗体を使用するほうが特に信頼性が高い。法医学分野でＳｇＩＩｂを使用するためのかかる方法は、その開示内容全体が参照により本明細書に組み込まれる、米国特許第５，０４７，５０８号に記載されたように行うことができる。
【０３４０】
本発明の実施形態は、生体試料におけるＳｇＩＩｂの発現を検出する方法に関し、前記方法は、i)個体から生体試料を採取し、ii)試料におけるＳｇＩＩｂの発現レベルを検出し、iii)前記試料におけるＳｇＩＩｂの発現レベルを対照試料におけるレベルと比較する工程を含む。試料におけるＳｇＩＩｂの発現レベルは、いずれかの方法を用いて、例えば試料中のＳｇＩＩｂ ｍＲＮＡ又はＳｇＩＩｂポリペプチドのレベルを検出することによって評価することができる。例えば、ウェスタンブロット法、免疫化学技術及び細胞化学技術などのよく知られている技術を用いて、ＳｇＩＩｂの発現を検出することができる。好ましくは、抗ＳｇＩＩｂ抗体を使用して、ＳｇＩＩｂの発現レベルを検出する。また好ましくは、配列番号：１３のポリヌクレオチド配列又はその一部又は配列番号：１３に相補的なポリヌクレオチド配列を含むポリヌクレオチドプローブを使用して、例えばノーザンブロット法又はＲＴＰＣＲ技術によってＳｇＩＩｂの発現レベルを検出する。
【０３４１】
かかる一実施形態において、ＳｇＩＩｂの発現レベルの検出は、不妊男性における精嚢及び輸精管の発育不全を診断することに向けられる。正常な個体におけるレベルを表す対照試料における発現レベルと比較して、前記生体試料におけるＳｇＩＩｂの発現レベルが低い場合には、精嚢及び輸精管の発育不全を示している。好ましい生体試料は精液から得られる。かかる方法は、例えば、その開示内容全体が参照により本明細書に組み込まれる、Calderon ら(J Androl 15:603-7 (1994))に記載されたように行うことができる。
【０３４２】
他のかかる実施形態では、ＳｇＩＩｂの発現レベルの検出は、例えば、小細胞肺癌、乳頭状腎細胞癌及び結腸癌などの癌の診断に使用される。正常な個体におけるレベルを表す対照試料における発現レベルと比較して、前記生体試料におけるＳｇＩＩｂの発現レベルが高い場合には、悪性の腫瘍負荷（tumor burden）を示している。好ましい生体試料は、生検組織から得られる。他の好ましい生体試料は、末梢血から得られる。この方法は、例えば、その開示内容全体が参照により本明細書に組み込まれる、Rodriguesら(Clin Cancer Res. 7:854-60 (2001))に記載されたように行われる。
【０３４３】
さらに他のかかる実施形態では、ＳｇＩＩｂの発現レベルの検出は、前立腺癌の診断に用いられる。前立腺癌の診断のための、ＳｇＩＩｂの発現レベルの検出は、例えば、その開示内容全体が参照により本明細書に組み込まれる、米国特許第５，９７２，６１５号に記載されたように行われる。
本発明のその他の実施形態は、ＳｇＩＩｂポリペプチドの存在をインビトロで検出するための診断キットに関する。かかるキットは、i)抗ＳｇＩＩｂ抗体；任意に、ii)形成された抗原−抗体複合体の検出を可能にする試薬を備える。前記抗体は、上述のように検出可能に標識されることが好ましい。あるいは、その任意の試薬は、検出可能なシグナルであってもよい。任意の試薬は、前記抗体に結合するか、又は前記抗体上の標識と反応する。抗ＳｇＩＩｂ抗体を含むキットは、精嚢及び輸精管の発育不全の診断に、又は上記のような様々な癌の診断に使用することができる。任意に、前記診断キットは、正常な個体からのレベルを表す負の対照試料を備える。任意に、前記診断キットは、特定の疾患を有する個体からのレベルを表す正の対照試料を備える。
【０３４４】
その他の実施形態は、i)ＳｇＩＩｂポリペプチドを発現する細胞を培養し、ii)産生されたタンパク質を精製する工程を含む、ＳｇＩＩｂポリペプチドを作製する方法に関する。そのタンパク質の精製は、当業者によく知られているいずれかの技術に従って行うことができる。好ましくは、抗ＳｇＩＩｂ抗体をクロマトグラフィー担体に結合させて、アフィニティークロマトグラフィーカラムを形成することができる。ＳｇＩＩｂポリペプチドを発現する細胞は、以下に記述するような組換え宿主細胞であることが好ましい。ＳｇＩＩｂポリペプチドの作製は、本発明でさらに記述される方法及び組成物において有用である。
【０３４５】
本発明の好ましい態様は、ＳｇＩＩｂポリペプチドをコードするポリヌクレオチドの宿主細胞組換え体である。１つの実施形態は、ＳｇＩＩｂポリペプチドをコードするポリヌクレオチドの宿主細胞組換え体を作製する方法であって、i)プロモーターに作動可能に連結される、ＳｇＩＩｂポリペプチドをコードする核酸配列を含み、かつ所定の生理学的条件下にて前記ＳｇＩＩｂポリペプチドの発現を可能にする、組換えベクターを作製し、ii)前記組換えベクターを細胞に導入する工程を含む方法に関する。好ましい実施形態では、細胞は大腸菌細胞又はヒト細胞である。さらなる好ましい態様は、細胞に存在する場合には、ＳｇＩＩｂの発現に変化をもたらす、ポリヌクレオチドの宿主細胞組換え体である。ＳｇＩＩｂの発現を修飾するポリヌクレオチドの宿主細胞組換え体は、i)ＳｇＩＩｂ遺伝子を含む細胞を提供し、ii)ポリヌクレオチドを含む組換えベクターを、前記細胞に導入する工程を含む方法であって、前記細胞における前記ポリヌクレオチドの存在によって、前記組換えベクターが導入される前の前記細胞におけるＳｇＩＩｂの発現と比較して、ＳｇＩＩｂの発現が増加又は低減する方法によって作製される。好ましくは、前記ポリヌクレオチドは、ＳｇＩＩｂ遺伝子の５’調節領域のすべて又は一部に挿入されるか、ＳｇＩＩｂ遺伝子の５’調節領域のすべて又は一部と置き換わる。さらに好ましくは、前記ポリヌクレオチドは、ＳｇＩＩｂコード領域の５００塩基対内に位置する。前記ポリヌクレオチドはプロモーター配列を含むことが好ましい。内因性配列にポリヌクレオチド配列を導入するための当技術分野で公知の技術は、その開示内容全体が参照により本明細書に組み込まれる米国特許第５，６４１，６７０号及び国際公開番号：Ｗ０９６２９４１１に記載されている。ＳｇＩＩｂポリペプチドを産生するかかる組換え宿主細胞を用いて、ＳｇＩＩｂポリペプチドを作製することができる。
【０３４６】
その他の好ましい実施形態は、ＳｇＩＩｂの発現を調節する能力について試験物質をスクリーニングする方法であって、i)細胞を試験物質と接触させ、ii)試験物質に暴露した後の細胞におけるＳｇＩＩｂの発現を、非暴露対照細胞における発現と比較する工程を含む方法に関し、暴露細胞と非暴露対照細胞との間で観察されたＳｇＩＩｂの発現の差異によって、試験物質がＳｇＩＩｂの発現を調節することを示す。ＳｇＩＩｂの発現は、当技術分野で一般的な、又は本明細書に包含される方法によって決定することができる。ＳｇＩＩｂの発現を決定する方法としては、限定されないが、ＳｇＩＩｂポリヌクレオチドを定量化する方法（例えば、ノーザンブロット法又はＲＴＰＣＲによるＳｇＩＩｂ ｍＲＮＡの検出）又はＳｇＩＩｂポリペプチドを定量化する方法（例えば、ウェスタンブロット法又は免疫化学によるＳｇＩＩｂポリペプチドの検出）が挙げられる。好ましくは、試験物質は、特定の細胞型（好ましくは、精巣上体の細胞）ではＳｇＩＩｂの発現を修飾するが、他の細胞型では修飾しない。最も好ましくは、試験物質は、精巣上体細胞において特異的にＳｇＩＩｂの発現を修飾する。例えば、細胞、組織又は個体におけるＳｇＩＩｂの発現を変化させるために、修飾因子を使用する方法と同様に、かかる方法を用いて同定される修飾因子もまた、本発明によって包含される。
【０３４７】
本発明のさらなる実施形態は、ＳｇＩＩｂの活性を調節する能力について試験物質をスクリーニングする方法であって；i)細胞を試験物質と接触させ；ii)試験物質に暴露した後の細胞におけるＳｇＩＩｂの活性を、非暴露対照細胞における活性と比較し、暴露細胞と非暴露対照細胞との間で観察されたＳｇＩＩｂの活性の差異によって、試験物質がＳｇＩＩｂの活性を調節することが示される工程を含む方法に関する。ＳｇＩＩｂの活性は例えば、ヒト精液のゲル化及び液化を調べることによってモニターすることができる。ヒト精液のゲル化及び液化は、例えば、その開示内容全体が参照により本明細書に組み込まれる、Liljaら(J Clin Invest. 80:281-5 (1987))に記載されたように評価することができる。あるいは、ＳｇＩＩｂポリペプチドの活性は、精子の受精能獲得を調べることによってモニターすることができる。精子の受精能獲得は、例えば、その開示内容全体が参照により本明細書に組み込まれる、Ericssonら(Proc Soc Exp Biol Med. 125:1115-8 (1967))に記載されたように測定することができる。例えば、細胞、組織又は個体におけるＳｇＩＩｂの発現を変化させるために、修飾因子を使用する方法と同様に、かかる方法を用いて同定される修飾因子もまた、本発明によって包含される。
【０３４８】
ＳｇＩＩｂの発現又は活性を低減する試験物質は、ＳｇＩＩｂアンタゴニストとして定義される。ＳｇＩＩｂの発現又は活性を増加する試験物質は、ＳｇＩＩｂアゴニストとして定義される。ＳｇＩＩｂの発現又は活性を調節する試験物質には、限定されないが、化学化合物（例えば、小分子阻害剤又は活性化剤）、オリゴヌクレオチド、アンチセンスポリヌクレオチド、ポリペプチド、リボザイム、ＳｇＩＩｂのドミナントネガティブ型及び抗ＳｇＩＩｂ抗体が含まれる。これらの物質は、当技術分野でよく知られている方法によって製造かつ使用することができる。
【０３４９】
本発明のさらなる実施形態は、ＰＳＡによって認識かつタンパク分解切断されるＳｇＩＩｂポリペプチドをスクリーニング方法に関する。好ましいかかるＳｇＩＩｂポリペプチドは、２０個未満のアミノ酸のオリゴポリペプチドである。前記方法は、i)ＳｇＩＩｂのＰＳＡ仲介切断部位を同定し、ii)前記ＰＳＡ仲介切断部位を含むＳｇＩＩｂオリゴポリペプチドを作製し、iii)遊離ＰＳＡによる前記ＳｇＩＩｂオリゴペプチドの認識を評価する工程を含む。前記方法は、その開示内容全体が参照により本明細書に組み込まれる、米国特許第６，１４３，８６４号に記載されたように行うことができる。
【０３５０】
本発明のさらなる実施形態は、ＰＳＡによって認識かつタンパク分解切断されるＳｇＩＩｂポリペプチドを使用する方法に関する。
一態様において、ＰＳＡによって切断される前記ＳｇＩＩｂポリペプチドは、遊離ＰＳＡ活性を測定するためのアッセイにおいて使用される。かかるアッセイは、i)標識を含有する、未切断ペプチドと切断後に残るペプチドの一部の両方でかかる標識の発現を測定できるように、前記ＳｇＩＩｂポリペプチドを標識し、ii)ＰＳＡによるＳｇＩＩｂのタンパク分解性の分解を生じさせる条件下にて、ＰＳＡを含有すると思われる試験試料と、前記標識化ＳｇＩＩｂポリペプチドを反応させ、iii)切断されている前記ＳｇＩＩｂポリペプチドの量を測定する工程を含む。遊離ＰＳＡ活性を測定するためのかかるアッセイは、米国特許第６，１４３，８６４号に記載されたように行うことができる。試験試料は、生理的体液及び組織から得ることができる。血清ＰＳＡ活性の測定は、多くの用途に、例えば、前立腺の腺癌の治療をモニターするのに、遊離ＰＳＡの単離又は精製を追跡するのに、又は遊離ＰＳＡのタンパク質分解活性の阻害剤をスクリーニングするのに有用である。
【０３５１】
その他の態様において、ＰＳＡによって切断される前記ＳｇＩＩｂポリペプチドは、細胞障害性プロドラッグの担体として使用される。かかる方法において、ＰＳＡによって切断されるＳｇＩＩｂオリゴペプチドは、細胞障害作用物質に直接、又は化学的リンカーによって共有結合される。本明細書で使用される「ＳｇＩＩｂコンジュゲート」とは、ＰＳＡによって切断されるＳｇＩＩｂオリゴペプチドに結合した細胞障害作用物質を意味する。好ましくは、細胞障害作用物質の細胞障害活性は、ＳｇＩＩｂコンジュゲートがインタクトである場合、大幅に低減されるか、又は存在しない。また好ましくは、ＳｇＩＩｂオリゴペプチドがＰＳＡによりタンパク分解切断されると、細胞障害作用物質の細胞障害活性は、著しく増加するか、又は無修飾の細胞障害作用物質に戻る。
【０３５２】
ＰＳＡは非常に限定された組織分布を有し、かつ前立腺上皮細胞において発現されることから、活性な細胞障害作用物質は、かかる方法において前立腺に特異的に放出される。かかる方法において使用することができる細胞障害作用物質は、限定されないが、ドキソルビシン、カルミノマイシン、ダウノルビシン、アミノプテリン、メトトレキセート、メトプテリン及びビンブラスチンを含む。かかるＳｇＩＩｂコンジュゲートは、米国特許第６，１４３，８６４号に従って製造かつ使用することができる。特に、前記ＳｇＩＩｂコンジュゲートは、薬学的に許容される組成物中のＳｇＩＩｂコンジュゲートを個体に投与する工程を含む方法であって、細胞障害作用物質が、ＰＳＡによるタンパク分解切断の位置で生理的環境に放出される方法において使用することができる。この方法は、前立腺癌の治療に向けられることが好ましい。
【０３５３】
本発明は、受精能獲得及び卵子結合などの精子の機能を高める方法であって、ＳｇＩＩｂポリペプチド又はＳｇＩＩｂアゴニストを精子に投与する工程を含む方法を提供する。例えば、人工授精前に、ＳｇＩＩｂポリペプチド又はＳｇＩＩｂアゴニストを射出精液試料にインビトロで送達することによって、かかる方法をインビトロで行うことができる。精子の受精能獲得又は卵子結合を高めるためのかかる方法は、生理学的に許容される担体と、有効量のＳｇＩＩｂポリペプチド又はＳｇＩＩｂアゴニストとを含む薬剤組成物を個体に送達することによってインビボで行うことも可能である。本明細書で使用される「有効量のＳｇＩＩｂポリペプチド又はＳｇＩＩｂアゴニスト」とは、精子の受精能獲得又は卵子結合を高めるのに十分な量のＳｇＩＩｂポリペプチド又はＳｇＩＩｂアゴニストを意味する。精子の受精能獲得又は卵子結合の強化は、男性不妊症に対する治療において有用であり得る。かかる薬剤組成物は、いずれかの方法で、好ましくは局所的に投与される。
【０３５４】
本発明はさらに、ＳｇＩＩｂポリペプチド又はＳｇＩＩｂアンタゴニストを使用する避妊方法を提供する。かかる方法は、ＳｇＩＩｂアンタゴニストを精子に投与する工程を含む。例えば、受精率向上薬についてスクリーニングする前に、射出精液試料にＳｇＩＩｂアンタゴニストを送達することによって、前記方法をインビトロで行うことができる。前記方法は、生理学的に許容される担体と、有効量のＳｇＩＩｂアンタゴニストとを含む薬剤組成物を個体に送達することによってインビボで行うことが可能である。本明細書で使用される「有効量のＳｇＩＩｂアンタゴニスト」は、精子の受精能獲得又は卵子結合を低減するか、又はＰＳＡによりＳｇＩＩｂポリペプチドのタンパク分解切断を阻害する、ＳｇＩＩｂアンタゴニストを意味する。その代わりとして、その開示内容全体が参照により本明細書に組み込まれる、米国特許第６，１９７，９４０号に記載されたように抗ＳｇＩＩｂ抗体の産生によりその個体の受精率を低減するのに有効な量でＳｇＩＩｂポリペプチドを個体に投与する工程を含む方法において、ＳｇＩＩｂポリペプチドを避妊免疫原として使用することができる。免疫原性ＳｇＩＩｂポリペプチドはかかる組成物中で使用されることが好ましい。免疫原性ＳｇＩＩｂポリペプチドの投与量は、投与経路、種類及びブースター投与の使用などの因子に応じて異なる。例えば、体重１ｋｇ当たりＳｇＩＩｂポリペプチド約０．１〜１００マイクログラムの用量が用いられる。本発明の組成物は、ヒト及び家畜の両方のワクチン製剤として製造することが可能である。避妊用ワクチンは、ＳｇＩＩｂポリペプチドを、薬学的に適切な担体と、例えば、百日咳菌（Bordatella pertussis）の免疫原性断片などの免疫系の非特異的シミュレータを含有するアジュバントと合わせることによって製造することができる。
【０３５５】
生理学的に許容される担体は、当業者に公知のいずれかの方法によって製造することができる。生理学的に許容される担体としては、限定されないが、その開示内容全体が参照により本明細書に組み込まれるRemington's Pharmaceutical Sciences (Mack Publishing Company, Easton, USA 1985)に記載の担体が挙げられる。ＳｇＩＩｂアゴニスト及び生理学的に許容される担体を含む薬剤組成物は、例えば、静脈内、表面、直腸、局所、吸入又は皮下、皮内、筋肉内、経口及び脳内投与用であることが可能である。その組成物は、液状（例えば、液剤、懸濁剤）、固形（例えば、丸剤、錠剤、坐剤）又は半固形（例えば、クリーム剤、ゲル剤）であることが可能である。投与されるべき投与量は、それぞれの必要性、望まれる効果、及び選択される投与経路に応じて異なる。
【０３５６】
さらに他の実施形態は、ＳｇＩＩｂポリペプチドをコードする核酸配列又はＳｇＩＩｂポリヌクレオチドに相補的なｃＤＮＡをコードする核酸配列を含む組換え分子を用いて、遺伝子導入動物（例えば、マウス）を作製する方法に関する。遺伝子導入動物を作製する方法は当業者にはよく知られている。例えば、ＳｇＩＩｂポリヌクレオチドの遺伝子導入マウスは、その開示内容全体が参照により本明細書に組み込まれる米国特許第６，１００，４４４号に従って作製することができる。かかる遺伝子導入動物は例えば、精子の低い受精能獲得及び卵子結合と関連する機能不全の動物モデルを得るのに、これらの機能不全を治療するのに、かつこれらの機能不全の治療における薬剤活性について化合物をスクリーニングするのに有用である。
【０３５７】
配列番号：１６のタンパク質（内部指定クローン１０００７７０３８９＿２０８−２４−４−０−Ｇ７−Ｆ）
クローン１０００７７０３８９＿２０８−２４−４−０−Ｇ７−Ｆ）のｃＤＮＡ（配列番号：１５）は、アミノ酸配列：ＭＫＳＳＧＬＦＰＦＬＶＬＬＡＬＧＴＬＡＰＷＡＶＥＧＳＧＫＳＦＫＡＧＶＣＰＰＫＫＳＡＱＣＬＲＹＫＫＰＥＣＱＳＤＷＱＣＰＧＫＫＲＣＣＰＤＴＣＧＩＫＣＬＤＰＶＤＴＰＮＰＴＲＲＫＰＧＫＣＰＶＴＹＧＱＣＬＭＬＮＰＰＮＦＣＥＭＤＧＱＣＶＴを含む、配列番号：１６のＳｅｐｉｎをコードする。したがって、本明細書全体にわたり記載されている配列番号：１６のポリペプチドのすべての特性及び使用は、クローン１０００７７０３８９＿２０８−２４−４−０−Ｇ７−Ｆ中のヒトｃＤＮＡを含む核酸によってコードされるポリペプチドにも関係することは理解されよう。さらに、本明細書全体にわたり記載されている配列番号：１５のポリヌクレオチドのすべての特性及び使用は、クローン１０００７７０３８９＿２０８−２４−４−０−Ｇ７−Ｆ中のヒトｃＤＮＡを含む核酸にも関係することは理解されよう。本発明の好ましい実施形態は、配列番号：１６、配列番号：１５及びクローン１０００７７０３８９＿２０８−２４−４−０−Ｇ７−Ｆの組成物に対して向けられている。以下に記述する方法において使用するのに好ましいＳｅｐｉｎポリペプチド断片としては、アミノ配列：ＳＧＫＳＦＫＡＧＶＣＰＰＫＫＳＡＱＣＬＲＹＫＫＰＥＣＱＳＤＷＱＣＰＧＫＫＲＣＣＰＤＴＣＧＩＫＣＬＤＰＶＤＴＰＮＰＴＲＲＫＰＧＫＣＰＶＴＹＧＱＣＬＭＬＮＰＰＮＦＣＥＭＤＧＱＣＶＴを含むＳｅｐｉｎポリペプチドが挙げられる。本明細書に記載の生物活性を有するポリペプチド断片及びその断片をコードするポリヌクレオチドもまた好ましい。
【０３５８】
本発明のタンパク質、Ｓｅｐｉｎは、分泌白血球プロテイナーゼ阻害剤（ＳＬＰＩ，Ｇｅｎｂａｎｋアクセッション番号Ｐ０３９７３）の新規な変異体である。Ｓｅｐｉｎは１１３アミノ酸の長さであるのに対し、ＳＬＰＩは３２アミノ酸の長さである。アミノ末端側１１１個のアミノ酸は、ＳｅｐｉｎとＳＬＰＩの間で同一であり、カルボキシル末端側２個のアミノ酸は、Ｓｅｐｉｎに固有のものである。Ｓｅｐｉｎは、シグナルペプチド（ＭＫＳＳＧＬＦＰＦＬＶＬＬＡＬＧＴＬＡＰＷＡＶＥＧ）を示す分泌タンパク質である。Ｓｅｐｉｎは、ＷＡＰ型の「４ジスルフィドコア（four disulfide core）」ドメインシグネチャー（ＣＱＳＤＷＱＣＰＧＫＫＲＣＣ）と共に１つの完全なＷＡＰドメイン（ＫＡＧＶＣＰＰＫＫＳＡＱＣＬＲＹＫＫＰＥＣＱＳＤＷＱＣＰＧＫＫＲＣＣＰＤＴＣＧＩＫＣＬＤＰ）を示す。このＷＡＰドメインは、トリプシンの阻害に特異的に関与する。ＳＬＰＩにおいてキモトリプシン、エラスターゼ及びカテプシンＧの阻害に関与するＷＡＰドメインは、Ｓｅｐｉｎに存在しない。このように、Ｓｅｐｉｎは、広域の阻害活性を示すＳＬＰＩと異なり、トリプシン特異的なプロテイナーゼ阻害剤である。Ｓｅｐｉｎは、気管支粘液、鼻汁、耳下腺分泌物、精漿及び頚管粘液などの様々なヒト粘膜分泌物に存在する。
【０３５９】
本発明の実施形態は、配列番号：１６の、配列番号：１６と少なくとも７０％、８０％、９０％、９５％、９６％、９７％、９８％、９９％以上の同一性を有する、Ｓｅｐｉｎポリペプチド配列を含む組成物に関する。
本発明のさらなる実施形態は、トリプシン阻害活性を有するＳｅｐｉｎポリペプチド断片を含む組成物に関する。
【０３６０】
本明細書で使用される「Ｓｅｐｉｎポリペプチド」とは、配列番号：１６の、又は配列番号：１６と少なくとも７０％、８０％、９０％、９５％、９６％、９７％、９８％、９９％以上同一のＳｅｐｉｎポリペプチド配列、又はトリプシン阻害活性を有するＳｅｐｉｎポリペプチド断片のいずれかを意味する。
本発明の実施形態は、Ｓｅｐｉｎポリペプチドをコードする配列番号：１５のポリヌクレオチド配列を含む組成物に関する。
【０３６１】
本発明のさらなる実施形態は、Ｓｅｐｉｎポリペプチドをコードするポリヌクレオチド配列を含む組成物に関する。
本発明で使用される「Ｓｅｐｉｎポリヌクレオチド」とは、配列番号：１５の又は配列番号：１５と少なくとも７０％、８０％、９０％、９５％、９６％、９７％、９８％、９９％以上の同一性を有するＳｅｐｉｎポリヌクレオチド配列、Ｓｅｐｉｎポリペプチドをコードするヌクレオチド配列又は配列番号：１５のポリヌクレオチド断片のいずれかを意味する。
【０３６２】
本発明のさらなる実施形態は、配列番号：１６のＳｅｐｉｎポリペプチド配列又はＳｅｐｉｎポリペプチド断片を認識する抗体に関する。好ましくは、その抗体は、Ｓｅｐｉｎのカルボキシル末端側２個のアミノ酸の１つ又は複数を認識し、前記の１つ又は複数のアミノ酸は、Ｓｅｐｉｎポリペプチドへの抗体の結合に必要とされる。最も好ましくは、その抗体はＳｅｐｉｎに結合するが、ＳＬＰＩには結合しない。本明細書で使用される「抗Ｓｅｐｉｎ抗体」とは、Ｓｅｐｉｎポリペプチドに特異的に結合する、抗体又はその抗原結合断片を意味する。
【０３６３】
本発明の実施形態は、Ｓｅｐｉｎポリペプチドに抗Ｓｅｐｉｎ抗体を結合させる方法であって、結合を生じさせる条件下にて、Ｓｅｐｉｎポリペプチドを前記抗体と接触させる工程を含む方法に関する。かかる条件は当業者にはよく知られている。かかる方法は、本明細書にさらに記述されるようにＳｅｐｉｎポリペプチドを検出するのに有用である。
本発明の実施形態は、生体試料におけるＳｅｐｉｎポリペプチドを検出する方法に関し、前記方法は、i)生体試料を抗Ｓｅｐｉｎ抗体と接触させ、ii)形成された抗原−抗体複合体を検出する工程を含む。その抗Ｓｅｐｉｎ抗体は、モノクローナル抗体又はポリクローナル抗体であることが可能である。さらに、その抗Ｓｅｐｉｎ抗体は、一次的又は二次的に、当技術分野で一般的な検出可能な化合物（例えば、放射性化合物、蛍光化合物、発光化合物、又は酵素化合物）によって標識することができる。かかる方法は、以下にさらに記述される方法において適用することができる。
【０３６４】
本発明の実施形態は、生体試料におけるＳｅｐｉｎの発現を検出する方法に関し、前記方法は、i)個体から生体試料を採取し、ii)試料におけるＳｅｐｉｎの発現レベルを検出し、iii)前記試料におけるＳｅｐｉｎの発現レベルを対照試料におけるレベルと比較する工程を含む。かかる一実施形態では、Ｓｅｐｉｎの発現レベルの検出は、種々の慢性及び急性気道疾患、例えば、急性呼吸窮迫症候群（ＡＲＤＳ）、気腫又は喘息を診断するために用いられる。前記生体試料は、いずれかの生物体液又は組織から得られ、好ましくは、気管支肺胞洗浄液から得られる。正常な個体におけるレベルを表す対照試料における発現レベルと比較して、前記生体試料におけるＳｅｐｉｎの発現レベルが高い場合には、ＡＲＤＳの存在又はＡＲＤＳを発症するリスクが高いことを示している。試料におけるＳｅｐｉｎの発現レベルは、いずれかの方法を用いて、例えば、試料中のＳｅｐｉｎ ｍＲＮＡ又はＳｅｐｉｎポリペプチドのレベルを検出することによって評価することができる。例えば、ウェスタンブロット法、免疫化学技術及び細胞化学技術などのよく知られている技術を用いて、Ｓｅｐｉｎの発現を検出することができる。好ましくは、抗Ｓｅｐｉｎ抗体を使用して、Ｓｅｐｉｎの発現レベルを検出する。また好ましくは、配列番号：１５のポリヌクレオチド配列又はその一部又は配列番号：１５に相補的なポリヌクレオチド配列を含むポリヌクレオチドプローブを使用して、例えば、ノーザンブロット法又はＲＴＰＣＲ技術によってＳｅｐｉｎの発現レベルを検出する。気管支肺胞洗浄液におけるＳｅｐｉｎの発現の検出は、その開示内容全体が参照により本明細書に組み込まれる、Sallenaveら(Eur Respir J. 13:1029-36 (1999))に記載されたように行うことができる。
【０３６５】
本発明のその他の実施形態は、Ｓｅｐｉｎポリペプチドの存在をインビトロで検出するための診断キットに関する。かかるキットは：i)抗Ｓｅｐｉｎ抗体；任意に、ii)形成された抗原−抗体複合体の検出を可能にする試薬；を備える。前記抗体は、上述のように検出可能に標識されることが好ましい。あるいは、その任意の試薬は、検出可能なシグナルであってもよい。任意の試薬は、前記抗体に結合するか、又は前記抗体上の標識と反応する。好ましくは、抗Ｓｅｐｉｎ抗体を備えるキットは、例えば、ＡＲＤＳを有する疑いのある個体から採取された生体試料におけるＳｅｐｉｎポリペプチドの存在を検出することによって、ＡＲＤＳの診断に使用される。任意に、前記診断キットは、正常な個体からのレベルを表す負の対照試料を備える。任意に、前記診断キットは、証明されたＡＲＤＳを有する個体からのレベルを表す正の対照試料を備える。任意に、前記診断キットは、ＡＲＤＳを発症するリスクのある個体及びＡＲＤＳを発症した個体からのレベルを表す正の対照試料を備える。
【０３６６】
その他の実施形態は、i)Ｓｅｐｉｎポリペプチドを発現する細胞を培養し、ii)産生されたタンパク質を精製する工程を含む、Ｓｅｐｉｎポリペプチドを作製する方法に関する。そのタンパク質の精製は、当業者によく知られているいずれかの技術に従って行うことができる。好ましくは、抗Ｓｅｐｉｎ抗体をクロマトグラフィー担体に結合させて、アフィニティークロマトグラフィーカラムを形成する。Ｓｅｐｉｎポリペプチドを発現する細胞は、以下に記述するような組換え宿主細胞であることが好ましい。Ｓｅｐｉｎポリペプチドの作製は、本発明でさらに記述される方法及び組成物において有用である。
【０３６７】
本発明の好ましい態様は、プロモーターに作動可能に連結される、Ｓｅｐｉｎポリペプチドをコードするポリヌクレオチドの宿主細胞組換え体である。１つの実施形態は、Ｓｅｐｉｎポリペプチドをコードするポリヌクレオチドの宿主細胞組換え体を作製する方法であって、i)プロモーターに作動可能に連結される、Ｓｅｐｉｎポリペプチドをコードする核酸配列を含む組換えベクターを作製し、ii)前記組換えベクターを細胞に導入する工程を含む方法に関する。
【０３６８】
好ましい実施形態では、その細胞は大腸菌細胞、植物細胞又はヒト細胞である。最も好ましい態様において、その細胞は、その開示内容全体が参照により本明細書に組み込まれる、Mikoschら(J Biotechnol. 52:97-106 (1996))に記載されたようにアスペルギルスニガー細胞である。他の好ましい実施形態では、その細胞は植物細胞である。その他の好ましい態様は、細胞に存在する場合には、Ｓｅｐｉｎの発現に変化をもたらす、ポリヌクレオチドの宿主細胞組換え体である。かかるポリヌクレオチドの宿主細胞組換え体は、i)Ｓｅｐｉｎ遺伝子を含む細胞を提供し、ii)Ｓｅｐｉｎ発現を変化させるポリヌクレオチドを含む組換えベクターを、前記細胞に導入する工程を含む方法であって、前記細胞における前記ポリヌクレオチドの存在によって、前記組換えベクターの非存在下での前記細胞におけるＳｅｐｉｎの発現レベルと比較して、Ｓｅｐｉｎの発現レベルが増加又は低減する方法によって作製される。好ましくは、前記ポリヌクレオチドは、Ｓｅｐｉｎ遺伝子の５’調節領域のすべて又は一部に挿入されるか、Ｓｅｐｉｎ遺伝子の５’調節領域のすべて又は一部と置き換わる。さらに好ましくは、前記ポリヌクレオチドは、Ｓｅｐｉｎコード領域の５００塩基対内に位置する。前記ポリヌクレオチドはプロモーター配列を含むことが好ましい。内因性配列にポリヌクレオチド配列を導入するための当技術分野で公知の技術は、その開示内容全体が参照により本明細書に組み込まれる米国特許第５，６４１，６７０号及び国際公開番号：Ｗ０９６２９４１１に記載されている。Ｓｅｐｉｎポリペプチドを産生するかかる組換え宿主細胞を用いて、Ｓｅｐｉｎポリペプチドを作製することができ、そのポリペプチドは、本明細書に記述される多くの目的に使用することが可能である。
【０３６９】
その他の好ましい実施形態は、Ｓｅｐｉｎの発現を調節する能力について試験物質をスクリーニングする方法であって、i)細胞を試験物質と接触させ、ii)試験物質に暴露した後の細胞におけるＳｅｐｉｎの発現を、非暴露対照細胞における発現と比較し、暴露細胞と非暴露対照細胞との間で観察されるＳｅｐｉｎの発現の差異によって、試験物質がＳｅｐｉｎの発現を調節することが示される工程を含む方法に関する。Ｓｅｐｉｎの発現は、当技術分野で一般的な、又は本明細書に記載の方法によって決定することができる。Ｓｅｐｉｎの発現を決定する方法としては、限定されないが、Ｓｅｐｉｎポリヌクレオチドを定量化する方法（例えば、ノーザンブロット法又はＲＴＰＣＲによるＳｅｐｉｎ ｍＲＮＡの検出）又はＳｅｐｉｎポリペプチドを定量化する方法（例えば、ウェスタンブロット法又は免疫化学によるＳｅｐｉｎポリペプチドの検出）が挙げられる。一実施形態において、試験物質は、特定の細胞型（好ましくは、気管支上皮細胞）ではＳｅｐｉｎの発現を修飾するが、他の細胞型では修飾しない。例えば、細胞、組織又は個体におけるＳｅｐｉｎの発現を変化させるために、修飾因子を使用する方法と同様に、かかる方法を用いて同定される修飾因子もまた、本発明によって包含される。
【０３７０】
本発明のさらなる実施形態は、Ｓｅｐｉｎの活性を調節する能力について試験物質をスクリーニングする方法であって、i)細胞を試験物質と接触させ；ii)試験物質に暴露した後の細胞におけるＳｅｐｉｎの活性を、非暴露対照細胞における活性と比較し、暴露細胞と非暴露対照細胞との間で観察されるＳｅｐｉｎの活性の差異によって、試験物質がＳｅｐｉｎの活性を調節することが示される工程を含む方法に関する。例えば、その開示内容全体が参照により本明細書に組み込まれる、Belorgeyら(Biochem J 313:555-60 (1996))に記載されたようにヒト膵臓トリプシン１又は２の阻害を測定することによって、Ｓｅｐｉｎの活性をモニターすることができる。例えば、細胞、組織又は個体におけるＳｅｐｉｎの活性を変化させるために、修飾因子を使用する方法と同様に、かかる方法を用いて同定される修飾因子もまた、本発明によって包含される。
【０３７１】
Ｓｅｐｉｎの発現又は活性を低減する試験物質は、Ｓｅｐｉｎアンタゴニストとして定義される。Ｓｅｐｉｎの発現又は活性を増加する試験物質は、Ｓｅｐｉｎアゴニストとして定義される。Ｓｅｐｉｎの発現又は活性を調節する試験物質には、限定されないが、化学化合物（例えば、小分子阻害剤又は活性化剤）、オリゴヌクレオチド、アンチセンスポリヌクレオチド、ポリペプチド、リボザイム、Ｓｅｐｉｎのドミナントネガティブ型及び抗Ｓｅｐｉｎ抗体が含まれる。これらの物質は、当技術分野でよく知られている方法に従って製造かつ使用することができる。
【０３７２】
好ましい実施形態は、結合を生じさせる条件下にて、トリプシンを含有する生体試料とＳｅｐｉｎポリペプチドを接触させる工程を含む、トリプシンを阻害する方法に関する。
一態様において、トリプシンを阻害するためのかかる方法をインビトロで用いて、試料中の混入プロテアーゼを取り除くことができる。Ｓｅｐｉｎポリペプチドを含む組成物を、他のプロテアーゼ阻害剤との「カクテル」として生体試料に添加し、タンパク質試料の分解を防ぐことができる。かかるプロテアーゼ阻害剤カクテルは、望ましくないプロテアーゼの特異性を理解することなく、対象のタンパク質を分解すると思われる望ましくないプロテアーゼを阻害するために、実験室で広く用いられている。あるいは、当業者によく知られている技術を用いて、Ｓｅｐｉｎポリペプチドを単独で、又は他のプロテアーゼ阻害剤と組み合わせて、クロマトグラフィー担体に結合させて、クロマトグラフィーカラムを形成することができる。望ましくないプロテアーゼを含有すると思われる試料をそのカラムに通して、前記試料から前記プロテアーゼを除去する。
【０３７３】
その他の態様において、トリプシンを阻害するかかる方法をインビボで用いて、増加したトリプシン活性と又はトリプシン阻害剤欠乏と関連する疾患を治療すること、又は疾患の重症度を低減することができる。かかる疾患としては、限定されないが、急性膵炎、慢性膵炎、胆道閉鎖、新生児肝炎及びたばこの煙によって誘導される肺疾患が挙げられる。トリプシンを阻害するかかる方法は、生理学的に許容される担体と、有効量のＳｅｐｉｎポリペプチド又はＳｅｐｉｎアゴニストとを個体に送達することによって行うことができる。本明細書で使用される「有効量のＳｅｐｉｎポリペプチド又はＳｅｐｉｎアゴニスト」とは、例えば、胆汁液、腸液及び気管支粘液などの体液におけるトリプシン活性を低減するのに十分な量のＳｅｐｉｎポリペプチド又はＳｅｐｉｎアゴニストを意味する。Ｓｅｐｉｎポリペプチド又はＳｅｐｉｎアゴニストは好ましくは、全身的に、例えば、静脈内注入、経口摂取又は経口吸入によって投与される。
【０３７４】
さらに他の態様において、トリプシンを阻害するためのかかる方法を用いて、感染症の期間に種々の細菌及びウイルスによって産生される外来性トリプシンを阻害することができる。トリプシンを阻害するかかる方法は、生理学的に許容される担体と、有効量のＳｅｐｉｎポリペプチド又はＳｅｐｉｎアゴニストとを、感染症に罹患している個体に送達することによって行うことができる。例えば、ＨＩＶ感染症、ロタウイルス感染及びサイトメガロウイルス感染は、かかる方法によって治療することができる。あるいは、その開示内容全体が参照により本明細書に組み込まれる、米国特許第５，９８１，７２２号に記載されたように、種々の害虫の消化性トリプシン活性を低減するために、Ｓｅｐｉｎポリヌクレオチドを植物細胞に導入してもよい。
【０３７５】
生理学的に許容される担体は、当業者に公知のいずれかの方法によって製造することができる。生理学的に許容される担体としては、限定されないが、その開示内容全体が参照により本明細書に組み込まれるRemington's Pharmaceutical Sciences (Mack Publishing Company, Easton, USA 1985)に記載の担体が挙げられる。Ｓｅｐｉｎアゴニスト又はアンタゴニストと、生理学的に許容される担体とを含む薬剤組成物は、例えば、静脈内、表面、直腸、局所、吸入、皮下、皮内、筋肉内、経口及び脳内投与用であることが可能である。その組成物は、液状（例えば、液剤、懸濁剤）、固形（例えば、丸剤、錠剤、坐剤）又は半固形（例えば、クリーム剤、ゲル剤）であることが可能である。投与されるべき投与量は、それぞれの必要性、望まれる効果、及び選択される投与経路に応じて異なる。
【０３７６】
さらに他の実施形態は、Ｓｅｐｉｎポリペプチドをコードする核酸配列又はＳｅｐｉｎポリヌクレオチドに相補的なｃＤＮＡをコードする核酸配列を含む組換え分子を用いて、遺伝子導入動物（例えば、マウス）を作製する方法に関する。遺伝子導入動物を作製する方法は当業者にはよく知られている。例えば、Ｓｅｐｉｎを過剰発現するマウスは、ＡＲＤＳのインビボモデルとして使用することができ、その開示内容全体が参照により本明細書に組み込まれる米国特許第５，８５８，７８４号に従って作製することができる。
【０３７７】
配列番号：１８のタンパク質（内部指定クローン１０００８８８４５６＿１５９−１６−３−０−Ｅ４−Ｆ）
クローン１０００８８８４５６＿１５９−１６−３−０−Ｅ４−ＦのｃＤＮＡ（配列番号：１７）は、アミノ酸配列：ＭＡＡＡＡＡＴＫＩＬＬＣＬＰＬＬＬＬＬＳＧＷＳＲＡＧＲＡＤＰＨＳＬＣＹＤＩＴＶＩＰＫＦＲＰＧＰＲＷＣＡＶＱＧＱＶＤＥＫＴＦＬＨＹＤＣＧＮＫＴＶＴＰＶＳＰＬＧＫＫＬＮＶＴＴＡＷＫＡＱＮＰＶＬＲＥＶＶＤＩＬＴＥＱＬＲＤＩＱＬＥＮＹＴＰＫＥＰＬＴＬＱＡＲＭＳＣＥＱＫＡＥＧＨＳＳＧＳＷＱＦＳＦＤＧＱＩＦＬＬＦＤＳＥＫＲＭＷＴＴＶＨＰＧＡＲＫＭＫＥＫＷＥＮＤＫＶＶＡＭＳＦＨＹＦＳＭＧＤＣＩＧＷＬＥＤＦＬＭＧＭＤＳＴＬＥＰＳＡＧＧを含む、配列番号：１８のＵＬＢＰ２Ａをコードする。したがって、本明細書全体にわたり記載されている配列番号：１８のポリペプチドのすべての特性及び使用は、クローン１０００８８８４５６＿１５９−１６−３−０−Ｅ４−Ｆ中のヒトｃＤＮＡを含む核酸によってコードされるポリペプチドにも関係することは理解されよう。
【０３７８】
さらに、本明細書全体にわたり記載されている配列番号：１７のポリヌクレオチドのすべての特性及び使用は、クローン１０００８８８４５６＿１５９−１６−３−０−Ｅ４−Ｆ中のヒトｃＤＮＡを含む核酸にも関係することは理解されよう。本発明の好ましい実施形態は、配列番号：１８、配列番号：１７及びクローン１０００８８８４５６＿１５９−１６−３−０−Ｅ４−Ｆのヒトポリヌクレオチド及びポリペプチド組成物に対して向けられている。以下に記述する方法において使用するのに好ましいＵＬＢＰ２Ａポリペプチド断片としては、アミノ配列：ＲＡＤＰＨＳＬＣＹＤＩＴＶＩＰＫＦＲＰＧＰＲＷＣＡＶＱＧＱＶＤＥＫＴＦＬＨＹＤＣＧＮＫＴＶＴＰＶＳＰＬＧＫＫＬＮＶＴＴＡＷＫＡＱＮＰＶＬＲＥＶＶＤＩＬＴＥＱＬＲＤＩＱＬＥＮＹＴＰＫＥＰＬＴＬＱＡＲＭＳＣＥＱＫＡＥＧＨＳＳＧＳＷＱＦＳＦＤＧＱＩＦＬＬＦＤＳＥＫＲＭＷＴＴＶＨＰＧＡＲＫＭＫＥＫＷＥＮＤＫＶＶＡＭＳＦＨＹＦＳＭＧＤＣＩＧＷＬＥＤＦＬＭＧＭＤＳＴＬＥＰＳＡＧＧを含むＵＬＢＰ２Ａポリペプチドが挙げられる。以下に記述する方法において使用するのにさらに好ましいＵＬＢＰ２Ａポリペプチド断片としては、アミノ配列：ＭＧＤＣＩＧＷＬＥＤＦＬＭＧＭＤＳＴＬＥＰＳＡＧＧを含むＵＬＢＰ２Ａポリペプチドが挙げられる。本明細書に記載の生物活性を有するポリペプチド断片及びその断片をコードするポリヌクレオチドもまた好ましい。
【０３７９】
ＵＬＢＰ２Ａは、ＵＬ１６結合タンパク質２（ＵＬＢＰ２）の新規なスプライスバリアントである。ＵＬＢＰタンパク質（ＵＬＢＰ１、ＵＬＢＰ２、及びＵＬＢＰ３）は、ヒトサイトメガロウイルス糖タンパク質、ＵＬ１６に結合するそれらの能力に基づいて同定されたＭＨＣクラスＩ−関連糖タンパク質の新規なファミリーである。ＵＬＢＰ２は、グリコシルホスファチジルイノシトール（ＧＰI)結合によって原形質膜につなぎ留められる、細胞表面タンパク質である。ＵＬＢＰ２のＧＰＩ結合ドメインは、そのタンパク質の少なくとも２０個のアミノ酸に相当する。ＵＬＢＰ２タンパク質は、多種多様な細胞系及び組織で発現される。ＵＬＢＰ２タンパク質の発現は通常、非常に低いが、発癌の活性化など、ウイルス感染及び他の細胞ストレスに応答して高度に誘発される。ＮＫＧ２Ｄ／ＤＡＰ１０受容体タンパク質へのＵＬＢＰの結合は、ナチュラルキラー（ＮＫ）細胞及び細胞障害性Ｔリンパ球（ＣＴＬ）細胞の表面上にある。ＵＬＢＰ２結合は、ＮＫ及びＣＴＬ細胞を活性化し、サイトカイン産生及び細胞障害性を導く。このように、数種類の細胞は潜在的に、ＮＫ及びＣＴＬ細胞にＵＬＢＰ２仲介シグナルを送達し、ＵＬＢＰ仲介死滅の標的となり得る。
【０３８０】
ＵＬＢＰ２と異なり、ＵＬＢＰ２Ａは細胞膜と結合しない。ＵＬＢＰ２Ａは、Ｃ末端側３５個のアミノ酸を欠くようにスプライスされ、ＧＰＩ結合ドメインを含む。したがって、ＵＬＢＰ２Ａは、可溶性の分泌タンパク質であると推定される。
本発明の実施形態は、配列番号：１８の又は配列番号：１８と少なくとも７０％、８０％、９０％、９５％、９６％、９７％、９８％、９９％以上の同一性を有する、ＵＬＢＰ２Ａポリペプチド配列を含む組成物に関する。
【０３８１】
本発明のさらなる実施形態は、ＮＫ及びＣＴＬ細胞の活性化においてある役割を有するＵＬＢＰ２Ａポリペプチド断片を含む組成物に関する。
本明細書で使用される「ＵＬＢＰ２Ａポリペプチド」という用語は、配列番号：１８の又は配列番号：１８と少なくとも７０％、８０％、９０％、９５％、９６％、９７％、９８％、９９％以上同一の、ＵＬＢＰ２Ａポリペプチド配列、又はＮＫ及びＣＴＬ細胞の活性化においてある役割を有するＵＬＢＰ２Ａポリペプチド断片のいずれかを意味する。
【０３８２】
本発明の実施形態は、ＵＬＢＰ２Ａポリペプチドをコードする配列番号：１７のポリヌクレオチド配列を含む組成物に関する。
本発明のさらなる実施形態は、ＵＬＢＰ２Ａポリペプチドをコードするポリヌクレオチド配列を含む組成物に関する。
本明細書で使用される「ＵＬＢＰ２Ａポリヌクレオチド」という用語は、配列番号：１７の又は配列番号：１７と少なくとも７０％、８０％、９０％、９５％、９６％、９７％、９８％、９９％以上の同一性を有する、ＵＬＢＰ２Ａポリヌクレオチド配列、又はＵＬＢＰ２Ａポリペプチドをコードするヌクレオチド配列又は配列番号：１７のポリヌクレオチド断片のいずれかを意味する。
【０３８３】
本発明のさらなる実施形態は、配列番号：１８のＵＬＢＰ２Ａポリペプチド配列又はＵＬＢＰ２Ａポリペプチド断片を認識する抗体に関する。本明細書で使用される「抗ＵＬＢＰ２Ａ抗体」とは、ＵＬＢＰ２Ａポリペプチドに特異的に結合する、抗体又はその抗原結合断片を意味する。本発明の実施形態は、ＵＬＢＰ２Ａポリペプチドに抗ＵＬＢＰ２Ａ抗体を結合させる方法であって、結合を生じさせる条件下にて、ＵＬＢＰ２Ａポリペプチドを前記抗体と接触させる工程を含む方法に関する。かかる条件は当業者にはよく知られている。かかる方法は、本明細書にさらに記述されるようにＵＬＢＰ２Ａポリペプチドを検出するのに有用である。
【０３８４】
本発明の実施形態は、生体試料におけるＵＬＢＰ２Ａポリペプチドを検出する方法に関し、前記方法は、i)生体試料を抗ＵＬＢＰ２Ａ抗体と接触させ、ii)形成された抗原−抗体複合体を検出する工程を含む。その抗ＵＬＢＰ２Ａ抗体は、モノクローナル抗体又はポリクローナル抗体であることが可能である。さらに、その抗ＵＬＢＰ２Ａ抗体は、一次的又は二次的に、いずれかの検出可能な化合物（例えば、放射性化合物、蛍光化合物、発光化合物、又は酵素化合物）によって標識することができる。ＵＬＢＰ２Ａポリペプチドの検出は、例えば、医療腫瘍学分野において、例えば、腫瘍の拡散転移のマーカーとして有用である。医療腫瘍学分野においてＵＬＢＰ２Ａを使用するかかる方法は、その開示内容全体が参照により本明細書に組み込まれる、国際公開番号：ＷＯ０１／５３８３７に記載されたように行うことができる。
【０３８５】
本発明の実施形態は、生体試料におけるＵＬＢＰ２Ａの発現を検出する方法に関し、前記方法は、i)個体から生体試料を採取し、ii)試料におけるＵＬＢＰ２Ａの発現レベルを検出し、iii)前記試料におけるＵＬＢＰ２Ａの発現レベルを対照試料におけるレベルと比較する工程を含む。試料におけるＵＬＢＰ２Ａの発現レベルは、いずれかの方法を用いて、例えば、試料中のＵＬＢＰ２Ａ ｍＲＮＡ又はＵＬＢＰ２Ａポリペプチドのレベルを検出することによって評価することができる。ウェスタンブロット法、免疫化学技術及び細胞化学技術などのよく知られている多くの技術のいずれかを用いて、ＵＬＢＰ２Ａの発現を検出することができる。好ましくは、抗ＵＬＢＰ２Ａ抗体を使用して、ＵＬＢＰ２Ａの発現レベルを検出する。また好ましくは、配列番号：１７のポリヌクレオチド配列又はその一部、又は配列番号：１７に相補的なポリヌクレオチド配列を含むポリヌクレオチドプローブを使用して、例えばノーザンブロット法又はＲＴＰＣＲ技術によってＵＬＢＰ２Ａの発現レベルを検出する。
【０３８６】
一実施形態において、ＵＬＢＰ２Ａの発現レベルの検出は、例えば、白血病及びリンパ腫などの癌の診断に使用される。正常な個体におけるレベルを表す対照試料における発現レベルと比較して、前記生体試料におけるＵＬＢＰ２Ａの発現レベルが高い場合には、悪性の腫瘍負荷を示している。好ましい生体試料は、末梢血から得られる。この方法は、例えば、その開示内容全体が参照により本明細書に組み込まれる、Rodriguesら(Clin Cancer Res. 7:854-60 (2001))に記載されたように行われる。
【０３８７】
本発明のその他の実施形態は、ＵＬＢＰ２Ａポリペプチドの存在をインビトロで検出するための診断キットに関する。かかるキットは：i)抗ＵＬＢＰ２Ａ抗体；任意に、ii)形成された抗原−抗体複合体の検出を可能にする試薬；を備える。前記抗体は、上述のように検出可能に標識されることが好ましい。あるいは、その任意の試薬は、検出可能なシグナルであってもよい。任意の試薬は、前記抗体に結合するか、又は前記抗体上の標識と反応する。抗ＵＬＢＰ２Ａ抗体を備えるキットは、多くの用途に、例えば、上記のような種々の癌の診断に使用することができる。任意に、前記診断キットは、正常な個体からのレベルを表す負の対照試料を備える。任意に、前記診断キットは、特定の疾患を有する個体からのレベルを表す正の対照試料を備える。
【０３８８】
その他の実施形態は、i)ＵＬＢＰ２Ａポリペプチドを発現する細胞を培養し、ii)産生されたタンパク質を精製する工程を含む、ＵＬＢＰ２Ａポリペプチドを作製する方法に関する。そのタンパク質の精製は、当業者によく知られている多くの技術のいずれかに従って行うことができる。好ましくは、抗ＵＬＢＰ２Ａ抗体をクロマトグラフィー担体に結合させて、アフィニティークロマトグラフィーカラムを形成することができる。ＵＬＢＰ２Ａポリペプチドを発現する細胞は、以下に記述するような組換え宿主細胞であることが好ましい。ＵＬＢＰ２Ａポリペプチドの作製は、本発明でさらに記述される方法及び組成物において有用である。
【０３８９】
本発明の好ましい態様は、ＵＬＢＰ２Ａポリペプチドをコードするポリヌクレオチドの宿主細胞組換え体である。１つの実施形態は、ＵＬＢＰ２Ａポリペプチドをコードするポリヌクレオチドの宿主細胞組換え体を作製する方法であって：i)プロモーターに作動可能に連結される、ＵＬＢＰ２Ａポリペプチドをコードする核酸配列を含む組換えベクターを作製し；ii)前記組換えベクターを細胞に導入する工程を含む方法に関する。好ましい実施形態では、細胞は大腸菌細胞又はヒト細胞である。さらなる好ましい態様は、細胞に存在する場合には、ＵＬＢＰ２Ａの発現に変化をもたらす、ポリヌクレオチドの宿主細胞組換え体である。ＵＬＢＰ２Ａの発現を修飾することができるポリヌクレオチドの宿主細胞組換え体は、i)ＵＬＢＰ２Ａ遺伝子を含む細胞を提供し；ii)前記ポリヌクレオチドを含む組換えベクターを、前記細胞に導入する工程を含む方法であって、前記細胞における前記ポリヌクレオチドの存在によって、前記組換えベクターの非存在下での前記細胞におけるＵＬＢＰ２Ａの発現レベルと比較して、ＵＬＢＰ２Ａの発現が増加又は低減する方法によって作製される。好ましくは、前記ポリヌクレオチドは、ＵＬＢＰ２Ａ遺伝子の５’調節領域のすべて又は一部に挿入されるか、又はＵＬＢＰ２Ａ遺伝子の５’調節領域のすべて又は一部と置き換わる。さらに好ましくは、前記ポリヌクレオチドは、ＵＬＢＰ２Ａコード領域の５００塩基対内に位置する。前記ポリヌクレオチドはプロモーター配列を含むことが好ましい。内因性配列にポリヌクレオチド配列を導入するための当技術分野で公知の技術は、その開示内容全体が参照により本明細書に組み込まれる、米国特許第５，６４１，６７０号及び国際公開番号：Ｗ０９６２９４１１に記載されている。ＵＬＢＰ２Ａポリペプチドを産生するかかる組換え宿主細胞を用いて、例えば、ＵＬＢＰ２Ａポリペプチドを作製することができる。
【０３９０】
その他の好ましい実施形態は、ＵＬＢＰ２Ａの発現を調節する能力について試験物質をスクリーニングする方法であって；i)細胞を試験物質と接触させ；ii)試験物質に暴露した後の細胞におけるＵＬＢＰ２Ａの発現を、非暴露対照細胞における発現と比較し、暴露細胞と非暴露対照細胞との間で観察されるＵＬＢＰ２Ａの発現の差異によって、試験物質がＵＬＢＰ２Ａの発現を調節することが示される工程を含む方法に関する。ＵＬＢＰ２Ａの発現は、限定されないが、ＵＬＢＰ２Ａポリヌクレオチドを定量化する方法（例えば、ノーザンブロット法又はＲＴＰＣＲによるＵＬＢＰ２Ａ ｍＲＮＡの検出）又はＵＬＢＰ２Ａポリペプチドを定量化する方法（例えば、ウェスタンブロット法又は免疫化学によるＵＬＢＰ２Ａポリペプチドの検出）を含む、当技術分野で一般的な方法によって決定することが可能である。例えば、細胞、組織又は個体におけるＵＬＢＰ２Ａの発現を変化させるために、修飾因子を使用する方法と同様に、かかる方法を用いて同定される修飾因子もまた、本発明によって包含される。
【０３９１】
本発明のさらなる実施形態は、ＵＬＢＰ２Ａの活性を調節する能力について試験物質をスクリーニングする方法に関する。一実施形態において、その方法は、i)ＵＬＢＰ２Ａポリペプチドを試験物質と接触させ；ii)試験物質の存在下におけるポリペプチドの生物活性を、試験物質の非存在下でのＵＬＢＰ２Ａポリペプチドの活性と比較する工程であって、試験物質の存在下又は非存在下において観察されたＵＬＢＰ２Ａの活性の差異によって、試験物質がＵＬＢＰ２Ａの活性を調節することが示される工程を含む。かかる方法は、細胞におけるＵＬＢＰ２Ａの活性を調べることによって、又は精製ＵＬＢＰ２Ａポリペプチドの活性を調べることによって行うことができる。ＵＬＢＰ２Ａの活性は、例えば、ＮＫ又はＣＴＬ細胞の表面への、又は精製ＮＫＧ２Ｄ／ＤＡＰ１０受容体タンパク質へのＵＬＢＰ２Ａの結合を研究することによってモニターすることができる。ＵＬＢＰ２Ａの結合は、例えば、その開示内容全体が参照により本明細書に組み込まれる、(Ziebellら Chem. Biol. 8:1081-92, 2001)に記載されたように評価することができる。例えば、細胞、組織、又は個体におけるＵＬＢＰ２Ａの発現を変化させるために、修飾因子を使用する方法と同様に、かかる方法を用いて同定される修飾因子もまた、本発明によって包含される。
【０３９２】
ＵＬＢＰ２Ａの発現又は活性を低減する試験物質は、ＵＬＢＰ２Ａアンタゴニストとして定義される。ＵＬＢＰ２Ａの発現又は活性を増加する試験物質は、ＵＬＢＰ２Ａアゴニストとして定義される。ＵＬＢＰ２Ａの発現又は活性を調節する試験物質には、限定されないが、化学化合物（例えば、小分子阻害剤又は活性化剤）、オリゴヌクレオチド、アンチセンスポリヌクレオチド、ポリペプチド、リボザイム、ＵＬＢＰ２Ａのドミナントネガティブ型及び抗ＵＬＢＰ２Ａ抗体が含まれる。これらの物質は、当技術分野でよく知られている方法に従って製造かつ使用することができる。
【０３９３】
本発明のさらなる実施形態は、未処置のＣＴＬ細胞のクローン増殖をエクスビボで刺激するためにＵＬＢＰ２Ａポリペプチド又はポリペプチド断片を使用する方法に関する。この方法は、i)骨髄ドナー又は患者のいずれかからリンパ球を単離し、ii)ＣＤ３４＋細胞をポジティブ選択し、iii)当業者によく知られている、ＵＬＢＰ２Ａ刺激（LBP2A-  stimulated）培養条件下にて、未処置のＣＴＬ細胞をエクスビボで増殖させる工程を含む。前記方法は、その開示内容全体が参照により本明細書に組み込まれる、van Stipdonkら Nat. Immunol., 2(5):423-9, 2001に記載されたように行うことができる。ＣＴＬ細胞の増殖集団は、ウイルス感染及び癌の免疫予防及び免疫療法治療に有用である。
【０３９４】
本発明は、生理学的に許容される担体と、有効量のＵＬＢＰ２Ａポリペプチド又はＵＬＢＰ２Ａアゴニストとを含む薬剤組成物を個体に送達することによって、インビボでウイルス感染を治療する方法を提供する。本明細書で使用される「有効量のＵＬＢＰ２Ａポリペプチド又はＵＬＢＰ２Ａアゴニスト」とは、ウイルス感染細胞の免疫系により仲介される根絶を高めるのに十分な量のＵＬＢＰ２Ａポリペプチド又はＵＬＢＰ２Ａアゴニストを意味する。かかる薬剤組成物は、いずれかの方法で、好ましくは局所的に投与される。
【０３９５】
本発明はさらに、癌に罹患している個体を治療する方法であって：癌に罹患している患者に、生理学的に許容される担体と、有効量のＵＬＢＰ２Ａとを含む薬剤組成物を送達する工程を含む方法を提供する。ＵＬＢＰ２Ａは、腫瘍部位に局所的又は全身的に投与することができる。
生理学的に許容される担体は、当業者に公知のいずれかの方法によって製造することができる。生理学的に許容される担体としては、限定されないが、その開示内容全体が参照により本明細書に組み込まれるRemington's Pharmaceutical Sciences (Mack Publishing Company, Easton, USA 1985)に記載の担体が挙げられる。ＵＬＢＰ２Ａアゴニストと生理学的に許容される担体とを含む薬剤組成物は、例えば、静脈内、表面、直腸、局所、吸入、皮下、皮内、筋肉内、経口及び脳内投与用であることが可能である。その組成物は、液状（例えば、液剤、懸濁剤）、固形（例えば、丸剤、錠剤、坐剤）又は半固形（例えば、クリーム剤、ゲル剤）であることが可能である。投与されるべき投与量は、それぞれの必要性、望まれる効果、及び選択される投与経路に応じて異なる。
【０３９６】
配列番号：２０のタンパク質（内部指定クローン１０００８４８０４０＿２０１−４１−１−０−Ｃ１−Ｆ）
クローン１０００８４８０４０＿２０１−４１−１−０−Ｃ１−ＦのｃＤＮＡ（配列番号：１９）は、アミノ酸配列：ＭＣＴＧＫＣＡＲＣＶＧＬＳＬＩＴＬＣＬＶＣＩＶＡＮＡＬＬＬＶＰＮＧＥＴＳＷＴＮＴＮＨＬＳＬＱＶＷＬＭＧＧＦＩＧＧＧＬＭＶＬＣＰＧＩＡＡＶＲＡＧＧＫＧＣＣＧＡＧＣＣＧＮＲＣＲＭＬＲＳＶＦＳＳＡＦＧＶＬＧＡＩＹＣＬＳＶＳＧＡＧＬＲＮＧＰＲＣＬＭＮＧＥＷＧＹＨＦＧＤＴＡを含む、配列番号：２０のＴＭ４ＳＦ５Ａをコードする。したがって、本明細書全体にわたり記載されている配列番号：２０のポリペプチドのすべての特性及び使用は、クローン１０００８４８０４０＿２０１−４１−１−０−Ｃ１−Ｆ中のヒトｃＤＮＡを含む核酸によってコードされるポリペプチドにも関係することは理解されよう。さらに、本明細書全体にわたり記載されている配列番号：１９のポリヌクレオチドのすべての特性及び使用は、クローン１０００８４８０４０＿２０１−４１−１−０−Ｃ１−Ｆ中のヒトｃＤＮＡを含む核酸にも関係することは理解されよう。本発明の好ましい実施形態は、配列番号：２０、配列番号：１９及びクローン１０００８４８０４０＿２０１−４１−１−０−Ｃ１−Ｆのヒトポリヌクレオチド及びポリペプチド組成物に対して向けられている。以下に記述する方法において使用するのに好ましいＴＭ４ＳＦ５Ａポリペプチド断片としては、アミノ配列：ＧＡＧＬＲＮＧＰＲＣＬＭＮＧＥＷＧＹＨＦＧＤＴＡを含むＴＭ４ＳＦ５Ａポリペプチドが挙げられる。本明細書に記載の生物活性を有するポリペプチド断片及びその断片をコードするポリヌクレオチドもまた好ましい。
【０３９７】
ＴＭ４ＳＦ５Ａは、膜４回貫通型スーパーファミリー５（ＴＭ４ＳＦ５）又はテトラスパニン５の新規なスプライスバリアントである。テトラスパニンスーパーファミリー及び関連するＬ６膜タンパク質スーパーファミリーは、高度に保存された４つの膜貫通ドメインを特徴とする細胞表面タンパク質を含む。これらのタンパク質によって共有される他の形態上の特徴としては、Ｎ及びＣ末端の短い細胞質ドメイン、膜貫通ドメイン１と２との間の小さな細胞外ドメイン、リガンドの結合において機能する、膜貫通ドメイン３と４との間の大きな細胞外ドメインが挙げられる。ＴＭ４ＳＦ５の発現は、正常な組織において腸に限定されるが、ＴＭ４ＳＦ５の過剰発現は、腸、胃及び膵臓の癌と相関している。ＴＭ４ＳＦ５は、隣接する細胞上の膜タンパク質の結合に応答して、おそらくシグナル伝達経路の活性化により、細胞増殖の調節において役割を担う。
【０３９８】
ＴＭ４ＳＦ５と異なり、ＴＭ４ＳＦ５Ａは、３つの膜貫通ドメインのみを有する。ＴＭ４ＳＦ５Ａは、リガンド結合細胞質ドメイン及び４番目の膜貫通ドメインを含む、Ｃ末端側６６個のアミノ酸を欠くようにスプライスされる。したがって、ＴＭ４ＳＦ５Ａは、ＴＭ４ＳＦ５のドミナントネガティブな阻害剤である。
本発明の実施形態は、配列番号：２０の又は配列番号：２０と少なくとも７０％、８０％、９０％、９５％、９６％、９７％、９８％、９９％以上の同一性を有する、ＴＭ４ＳＦ５Ａポリペプチド配列を含む組成物に関する。
【０３９９】
本発明のさらなる実施形態は、細胞増殖の抑制において役割を有するＴＭ４ＳＦ５Ａポリペプチド断片を含む組成物に関する。
本明細書で使用される「ＴＭ４ＳＦ５Ａポリペプチド」とは、配列番号：２０の配列番号：２０と少なくとも７０％、８０％、９０％、９５％、９６％、９７％、９８％、９９％以上同一のＴＭ４ＳＦ５Ａポリペプチド配列、又は細胞増殖の抑制において役割を有するＴＭ４ＳＦ５Ａポリペプチド断片のいずれかを意味する。
【０４００】
本発明の実施形態は、ＴＭ４ＳＦ５Ａポリペプチドをコードする配列番号：１９のポリヌクレオチド配列を含む組成物に関する。
本発明のさらなる実施形態は、ＴＭ４ＳＦ５Ａポリペプチドをコードするポリヌクレオチド配列を含む組成物に関する。
本明細書でさらに使用される「ＴＭ４ＳＦ５Ａポリヌクレオチド」とは、配列番号：１９の又は配列番号：１９と少なくとも７０％、８０％、９０％、９５％、９６％、９７％、９８％、９９％以上の同一性を有するＴＭ４ＳＦ５Ａポリヌクレオチド配列、ＴＭ４ＳＦ５Ａポリペプチドをコードするヌクレオチド配列又は配列番号：１９のポリヌクレオチド断片のいずれかを意味する。
【０４０１】
本発明のさらなる実施形態は、配列番号：２０のＴＭ４ＳＦ５Ａポリペプチド配列又はＴＭ４ＳＦ５Ａポリペプチド断片を認識する抗体に関する。本明細書で使用される「抗ＴＭ４ＳＦ５Ａ抗体」とは、ＴＭ４ＳＦ５Ａポリペプチドに特異的に結合する、抗体又はその抗原結合断片を意味する。本発明の実施形態は、ＴＭ４ＳＦ５Ａポリペプチドに抗ＴＭ４ＳＦ５Ａ抗体を結合させる方法であって、結合を生じさせる条件下にて、ＴＭ４ＳＦ５Ａポリペプチドを前記抗体と接触させる工程を含む方法に関する。かかる条件は当業者にはよく知られている。かかる方法は、本明細書にさらに記述されるようにＴＭ４ＳＦ５Ａポリペプチドを検出するのに有用である。
【０４０２】
本発明の実施形態は、生体試料におけるＴＭ４ＳＦ５Ａポリペプチドを検出する方法に関し、前記方法は、i)生体試料を抗ＴＭ４ＳＦ５Ａ抗体と接触させ、ii)形成された抗原−抗体複合体を検出する工程を含む。その抗ＴＭ４ＳＦ５Ａ抗体は、モノクローナル抗体又はポリクローナル抗体であることが可能である。さらに、その抗ＴＭ４ＳＦ５Ａ抗体は、一次的又は二次的に、いずれかの検出可能な化合物（例えば、放射性化合物、蛍光化合物、発光化合物又は酵素化合物）によって標識することができる。ＴＭ４ＳＦ５Ａポリペプチドの検出は、例えば、腫瘍細胞のマーカーとして医療腫瘍学分野において有用である。
【０４０３】
本発明の実施形態は、生体試料におけるＴＭ４ＳＦ５Ａの発現を検出する方法に関し、前記方法は、i)個体から生体試料を採取し、ii)試料におけるＴＭ４ＳＦ５Ａの発現レベルを検出し、iii)前記試料におけるＴＭ４ＳＦ５Ａの発現レベルを対照試料におけるレベルと比較する工程を含む。試料におけるＴＭ４ＳＦ５Ａの発現レベルは、いずれかの方法を用いて、例えば、試料中のＴＭ４ＳＦ５Ａ ｍＲＮＡ又はＴＭ４ＳＦ５Ａポリペプチドのレベルを検出することによって評価することができる。ウェスタンブロット法、免疫化学技術及び細胞化学技術などのよく知られている多くの技術のいずれかを用いて、ＴＭ４ＳＦ５Ａの発現を検出することができる。好ましくは、抗ＴＭ４ＳＦ５Ａ抗体を使用して、ＴＭ４ＳＦ５Ａの発現レベルを検出する。また好ましくは、配列番号：１９のポリヌクレオチド配列又はその一部又は配列番号：１９に相補的なポリヌクレオチド配列を含むポリヌクレオチドプローブを使用して、例えば、ノーザンブロット法又はＲＴＰＣＲ技術によってＴＭ４ＳＦ５Ａの発現レベルを検出する。
【０４０４】
一実施形態において、ＴＭ４ＳＦ５Ａの発現レベルの検出は、例えば、胃癌、腸癌及び膵臓癌などの癌の診断に使用される。正常な個体におけるレベルを表す対照試料における発現レベルと比較して、前記生体試料におけるＴＭ４ＳＦ５Ａの発現レベルが高い場合には、悪性の腫瘍負荷を示している。好ましい生体試料は、組織生検から得られる。この方法は、例えば、その開示内容全体が参照により本明細書に組み込まれる、Rodriguesら(Clin Cancer Res. 7:854-60 (2001))に記載されたように行われる。
【０４０５】
本発明のその他の実施形態は、ＴＭ４ＳＦ５Ａポリペプチドの存在をインビトロで検出するための診断キットに関する。かかるキットは：i)抗ＴＭ４ＳＦ５Ａ抗体；任意に、ii)形成された抗原-抗体複合体の検出を可能にする試薬；を備える。前記抗体は、上述のように検出可能に標識されることが好ましい。あるいは、その任意の試薬は、検出可能なシグナルであってもよい。任意の試薬は、前記抗体に結合するか又は前記抗体上の標識と反応する。抗ＴＭ４ＳＦ５Ａ抗体を備えるキットは、多くの用途に、例えば、上記のような種々の癌の診断に使用することができる。任意に、前記診断キットは、正常な個体からのレベルを表す負の対照試料を備える。任意に、前記診断キットは、特定の疾患を有する個体からのレベルを表す正の対照試料を備える。
【０４０６】
その他の実施形態は、i)ＴＭ４ＳＦ５Ａポリペプチドを発現する細胞を培養し、ii)産生されたタンパク質を精製する工程を含む、ＴＭ４ＳＦ５Ａポリペプチドを作製する方法に関する。そのタンパク質の精製は、当業者によく知られている多くの技術のいずれかに従って行うことができる。好ましくは、抗ＴＭ４ＳＦ５Ａ抗体をクロマトグラフィー担体に結合させて、アフィニティークロマトグラフィーカラムを形成する。ＴＭ４ＳＦ５Ａポリペプチドを発現する細胞は、以下に記述するような組換え宿主細胞であることが好ましい。ＴＭ４ＳＦ５Ａポリペプチドの作製は、本出願においてさらに記述される方法及び組成物において有用であり得る。
【０４０７】
本発明の好ましい態様は、ＴＭ４ＳＦ５Ａポリペプチドをコードするポリヌクレオチドの宿主細胞組換え体である。１つの実施形態は、ＴＭ４ＳＦ５Ａポリペプチドをコードするポリヌクレオチドの宿主細胞組換え体を作製する方法であって、i)プロモーターに作動可能に連結される、ＴＭ４ＳＦ５Ａポリペプチドをコードする核酸配列を含む組換えベクターを作製し、ii)前記組換えベクターを細胞に導入する工程を含む方法に関する。好ましい実施形態では、前記細胞は大腸菌細胞又はヒト細胞である。さらなる好ましい態様は、細胞に存在する場合には、ＴＭ４ＳＦ５Ａの発現に変化をもたらす、ポリヌクレオチドの宿主細胞組換え体である。ＴＭ４ＳＦ５Ａの発現を修飾することができるポリヌクレオチドの宿主細胞組換え体は、i)ＴＭ４ＳＦ５Ａ遺伝子を含む細胞を提供し、ii)前記ポリヌクレオチドを含む組換えベクターを、前記細胞に導入する工程を含む方法であって、前記細胞における前記ポリヌクレオチドの存在によって、前記組換えベクターの非存在下での前記細胞におけるＴＭ４ＳＦ５Ａの発現レベルと比較して、ＴＭ４ＳＦ５Ａの発現が増加又は低減する方法によって作製される。好ましくは、前記ポリヌクレオチドは、ＴＭ４ＳＦ５Ａ遺伝子の５’調節領域のすべて又は一部に挿入されるか、又はＴＭ４ＳＦ５Ａ遺伝子の５’調節領域のすべて又は一部と置き換わる。さらに好ましくは、前記ポリヌクレオチドは、ＴＭ４ＳＦ５Ａコード領域の５００塩基対内に位置する。前記ポリヌクレオチドはプロモーター配列を含むことが好ましい。内因性配列にポリヌクレオチド配列を導入するための当技術分野で公知の技術は、その開示内容全体が参照により本明細書に組み込まれる、米国特許第５，６４１，６７０号及び国際公開番号：Ｗ０９６２９４１１に記載されている。ＴＭ４ＳＦ５Ａポリペプチドを産生するかかる組換え宿主細胞を用いて、例えばＴＭ４ＳＦ５Ａポリペプチドを作製することができる。
【０４０８】
その他の好ましい実施形態は、ＴＭ４ＳＦ５Ａの発現を調節する能力について試験物質をスクリーニングする方法であって；i)細胞を試験物質と接触させ；ii)試験物質に暴露した後の細胞におけるＴＭ４ＳＦ５Ａの発現を、非暴露対照細胞における発現と比較し、暴露細胞と非暴露対照細胞との間で観察されるＴＭ４ＳＦ５Ａの発現の差異によって、試験物質がＴＭ４ＳＦ５Ａの発現を調節することが示される工程を含む方法に関する。ＴＭ４ＳＦ５Ａの発現は、限定されないが、ＴＭ４ＳＦ５Ａポリヌクレオチドを定量化する方法（例えば、ノーザンブロット法又はＲＴＰＣＲによるＴＭ４ＳＦ５Ａ ｍＲＮＡの検出）又はＴＭ４ＳＦ５Ａポリペプチドを定量化する方法（例えば、ウェスタンブロット法又は免疫化学によるＴＭ４ＳＦ５Ａポリペプチドの検出）を含む、当技術分野で一般的な方法によって決定することが可能である。例えば、細胞、組織又は個体におけるＴＭ４ＳＦ５Ａの発現を変化させるために、修飾因子を使用する方法と同様に、かかる方法を用いて同定される修飾因子もまた、本発明によって包含される。
【０４０９】
本発明のさらなる実施形態は、ＴＭ４ＳＦ５Ａの活性を調節する能力について試験物質をスクリーニングする方法に関する。一実施形態において、その方法は、i)ＴＭ４ＳＦ５Ａポリペプチドを試験物質と接触させ；ii)試験物質の存在下におけるポリペプチドの生物活性を、試験物質の非存在下でのＴＭ４ＳＦ５Ａポリペプチドの活性と比較する工程であって、試験物質の存在下又は非存在下において観察されたＴＭ４ＳＦ５Ａの活性の差異によって、試験物質がＴＭ４ＳＦ５Ａの活性を調節することが示される工程を含む。かかる方法は、細胞におけるＴＭ４ＳＦ５Ａの活性を調べることによって、又は精製ＴＭ４ＳＦ５Ａポリペプチドの活性を調べることによって行うことができる。ＴＭ４ＳＦ５Ａの活性は、例えば、培養細胞の増殖を抑制するその能力を研究することによってモニターすることができる。ＴＭ４ＳＦ５Ａの結合は例えば、その開示内容全体が参照により本明細書に組み込まれる、(Ziebellら Chem. Biol. 8:1081-92, 2001)に記載されたように、評価することができる。例えば、細胞、組織又は個体におけるＴＭ４ＳＦ５Ａの発現を変化させるために、修飾因子を使用する方法と同様に、かかる方法を用いて同定される修飾因子もまた、本発明によって包含される。
【０４１０】
ＴＭ４ＳＦ５Ａの発現又は活性を低減する試験物質は、ＴＭ４ＳＦ５Ａアンタゴニストとして定義される。ＴＭ４ＳＦ５Ａの発現又は活性を増加する試験物質は、ＴＭ４ＳＦ５Ａアゴニストとして定義される。ＴＭ４ＳＦ５Ａの発現又は活性を調節する試験物質には、限定されないが、化学化合物（例えば、小分子阻害剤又は活性化剤）、オリゴヌクレオチド、アンチセンスポリヌクレオチド、ポリペプチド、リボザイム、ＴＭ４ＳＦ５Ａのドミナントネガティブ型及び抗ＴＭ４ＳＦ５Ａ抗体が含まれる。これらの物質は、当技術分野でよく知られている方法に従って製造かつ使用することができる。
【０４１１】
本発明は、生理学的に許容される担体と、有効量のＴＭ４ＳＦ５Ａポリペプチド又はＴＭ４ＳＦ５Ａアゴニストとを含む薬剤組成物を個体に送達することによって、細胞増殖と関連する疾患の治療方法を提供する。細胞増殖の疾患には、限定されないが、腺癌、白血病、リンパ腫、黒色腫、骨髄腫、肉腫及び奇形癌などの様々な種類の癌が含まれる。本明細書で使用される「有効量のＴＭ４ＳＦ５Ａポリペプチド又はＴＭ４ＳＦ５Ａアゴニスト」とは、ウイルス感染細胞の、免疫系により仲介される根絶を高めるのに十分な量のＴＭ４ＳＦ５Ａポリペプチド又はＴＭ４ＳＦ５Ａアゴニストを意味する。かかる薬剤組成物は、いずれかの方法で、好ましくは局所的に投与される。
【０４１２】
本発明は、生理学的に許容される担体と、有効量のＴＭ４ＳＦ５Ａポリペプチド又はＴＭ４ＳＦ５Ａアゴニストとを含む薬剤組成物を個体に送達することによって、特に、特定の疾患から生じるいずれかの種類の炎症を治療する方法を提供する。炎症と関連するかかる疾患としては、限定されないが、アジソン病、成人型呼吸窮迫症候群、喘息、アテローム性動脈硬化症、気管支炎、クローン病、糖尿病、痛風、グレーヴス病、敏性大腸症候群、エリテマトーデス、多発性硬化症、心筋もしくは心膜の炎症、慢性関節リウマチ、ウイルス、細菌、真菌、寄生虫、原虫及び蠕虫感染症、ならびに外傷などが挙げられる。本明細書で使用される「有効量のＴＭ４ＳＦ５Ａポリペプチド又はＴＭ４ＳＦ５Ａアゴニスト」とは、ウイルス感染細胞の、免疫系により仲介される根絶を高めるのに十分な量のＴＭ４ＳＦ５Ａポリペプチド又はＴＭ４ＳＦ５Ａアゴニストを意味する。かかる薬剤組成物は、いずれかの方法で、好ましくは局所的に投与される。
【０４１３】
生理学的に許容される担体は、当業者に公知のいずれかの方法によって製造することができる。生理学的に許容される担体としては、限定されないが、その開示内容全体が参照により本明細書に組み込まれる、Remington's Pharmaceutical Sciences (Mack Publishing Company, Easton, USA 1985)に記載の担体が挙げられる。ＴＭ４ＳＦ５Ａアゴニストと生理学的に許容される担体とを含む薬剤組成物は、例えば、静脈内、表面、直腸、局所、吸入、皮下、皮内、筋肉内、経口及び脳内投与用に製造することができる。その組成物は、液状（例えば、液剤、懸濁剤）、固形（例えば、丸剤、錠剤、坐剤）又は半固形（例えば、クリーム剤、ゲル剤）であることが可能である。投与されるべき投与量は、それぞれの必要性、望まれる効果、及び選択される投与経路に応じて異なる。
【０４１４】
配列番号：２２のタンパク質（内部指定クローン５００７６２３９３）
クローン５００７６２３９のｃＤＮＡ（配列番号：２１）は、アミノ酸配列：ＭＡＲＲＳＲＨＲＬＬＬＬＬＬＲＹＬＶＶＡＬＧＹＨＫＡＹＧＦＳＡＰＫＤＱＱＶＶＴＡＶＥＹＱＥＡＩＬＡＣＫＴＰＫＫＴＶＳＳＲＬＥＷＫＫＬＧＲＳＶＳＦＶＹＹＱＱＴＬＱＧＤＦＫＮＲＡＥＭＩＤＦＮＩＲＩＫＮＶＴＲＳＤＡＧＫＹＲＣＥＶＳＡＰＳＥＱＧＱＮＬＥＥＤＴＶＴＬＥＶＬＶＡＰＡＶＰＳＣＥＶＰＳＳＡＬＳＧＴＶＶＥＬＲＣＱＤＫＥＧＮＰＡＰＥＹＴＷＦＫＤＧＩＲＬＬＥＮＰＲＬＧＳＱＳＴＮＳＳＹＴＭＮＴＫＴＧＴＬＱＦＮＴＶＳＫＬＤＴＧＥＹＳＣＥＡＲＮＳＶＧＹＲＲＣＰＧＫＲＭＱＭＩＳＴを含む、配列番号：２２のＮｏＪＡＭをコードする。したがって、本明細書全体にわたり記載されている配列番号：２２のポリペプチドのすべての特性及び使用は、クローン５００７６２３９のヒトｃＤＮＡを含む核酸によってコードされるポリペプチドにも関係することは理解されよう。さらに、本明細書全体にわたり記載されている配列番号：２１のポリヌクレオチドのすべての特性及び使用は、クローン５００７６２３９中に含まれるヒトｃＤＮＡを含む核酸にも関係することは理解されよう。本発明の好ましい実施形態は、配列番号：２１、配列番号：２２として示される配列を含むポリヌクレオチド及びポリペプチド組成物、ならびにクローン５００７６２３９のヒトｃＤＮＡ及びコードポリペプチドに対して向けられている。本明細書に記載の生物活性を有するポリペプチド断片及びその断片をコードするポリヌクレオチドもまた好ましい。
【０４１５】
ＮｏＪＡＭは、血管内皮接合部接着分子（Vascular Endothelial Junctional Molecule）（ＶＥＪＡＭ）の新規なスプライスバリアントである。ＶＥＪＡＭは、膜貫通分子の免疫グロブリンスーパーファミリー及び細胞間接触に関与する接合部接着分子（ＪＡＭ）の成長ファミリーのメンバーである。ＶＥＪＡＭは、高内皮細静脈の内皮細胞及びリンパ器官、特にパイエル板及びリンパ節のリンパ管において、及び心臓の血管構造において高度に発現される。細胞間ＪＡＭ相互作用は、細胞接着を仲介する。さらに、ＪＡＭ分子を発現する細胞は、ＪＡＭを発現する内皮を通って移行することができる。ＪＡＭ相互作用は、ファミリーメンバー間で同型又は異型であることが可能であるが、通常、異型の結合のほうが強い。例えば、活性化末梢血リンパ球上のＪＡＭ−３へのＶＥＪＡＭの結合によって、これらの細胞が、内皮の境界を横切ってリンパ器官中に、又はリンパ器官の中から外へ移行することが可能となる。
【０４１６】
ＪＡＭタンパク質と異なり、ＮｏＪＡＭは完全に細胞外タンパク質である。ＮｏＪＡＭは、ＶＥＪＡＭの膜貫通ドメイン前で終わり、かつ４つの固有のアミノ酸で終結するようにスプライスされる。したがって、ＮｏＪＡＭは、ＪＡＭにより仲介される細胞間相互作用及び内皮境界を横切る細胞移行のドミナントネガティブな阻害剤として作用する。本発明の好ましいポリペプチド断片は、Ｃ末端側４個のアミノ酸を含む断片である。これらには、限定されないが：ＭＱＭＩＳＴ、ＤＴＧＥＹＳＣＥＡＲＮＳＶＧＹＲＲＣＰＧＫＲＭＱＭＩＳＴ、及びＴＶＶＥＬＲＣＱＤＫＥＧＮＰＡＰＥＹＴＷＦＫＤＧＩＲＬＬＥＮＰＲＬＧＳＱＳＴＮＳＳＹＴＭＮＴＫＴＧＴＬＱＦＮＴＶＳＫＬＤＴＧＥＹＳＣＥＡＲＮＳＶＧＹＲＲＣＰＧＫＲＭＱＭＩＳＴが含まれる。
【０４１７】
本発明の実施形態は、配列番号：２２の、又は配列番号：２２と少なくとも７０％、８０％、９０％、９５％、９６％、９７％、９８％、９９％以上の同一性を有する、ＮｏＪＡＭポリペプチド配列を含む組成物に関する。
本発明のさらなる実施形態は、ＪＡＭファミリータンパク質に結合する生物活性を有するＮｏＪＡＭポリペプチド断片を含む組成物に関する。
【０４１８】
本発明のさらなる実施形態は、ＮｏＪＡＭポリペプチドをコードするポリヌクレオチドを含む組成物に関する。一実施形態において、そのポリヌクレオチドは、配列番号：２１として示される、又は配列番号：２１と少なくとも７０％、８０％、９０％、９５％、９６％、９７％、９８％、９９％以上の同一性を有する配列を含む。
本発明のさらなる実施形態は、ＪＡＭファミリータンパク質に結合する生物活性を有するＮｏＪＡＭポリペプチド断片をコードするポリヌクレオチド配列を含む組成物に関する。
【０４１９】
好ましい実施形態は、発現に適した条件下にて、ＮｏＪＡＭポリペプチド又はその生物活性断片を発現することができる宿主細胞である。
本発明の好ましい実施形態は、ＮｏＪＡＭにＮｏＪＡＭ特異的抗体を結合させる方法であって、抗体の結合に適した条件下にて、ＮｏＪＡＭポリペプチド及びその断片をＮｏＪＡＭ特異的抗体と接触させる工程を含む方法である。ＮｏＪＡＭ特異的抗体もまた提供され、さらに以下に記述される。かかる抗体は、モノクローナル抗体又はポリクローナル抗体であることが可能であり、好ましくは選択的にＮｏＪＡＭに結合するが、ＶＥＪＡＭには結合しない。
【０４２０】
本発明の好ましい態様は、上皮及び内皮の管壁（lining）の細胞移行を防ぐためにＮｏＪＡＭを使用する方法であって：ＮｏＪＡＭポリペプチド又はそのＪＡＭ結合断片を含む生理学的に許容される組成物と、細胞を接触させる工程を含む方法である。好ましくは、この方法は、個体、例えば、慢性関節リウマチ、クローン病、乾癬、子宮内膜症、炎症性腸疾患、多発性硬化症、喘息又は心臓、腎臓、リンパ節もしくはパイエル板の転移性浸潤などの疾患又は病状を有する個体のインビボでの治療に関する。好ましくは、この方法は、例えばＪＡＭの発現部位を検出する上述の方法を用いて、個体がこれらの疾患又は病状のいずれかを有する、又は発症するリスクがあるかどうかを決定する工程も含む。
【０４２１】
好ましい実施形態は、発現に適した条件下にて、ＮｏＪＡＭポリペプチド又はその生物活性断片を発現することができる宿主細胞組換え体である。本発明のこの態様は、例えば、当技術分野で一般的な、かつ本明細書に記載の方法を用いたＮｏＪＡＭの精製を可能にするのに有用である。好ましい宿主細胞は、細菌、酵母及び哺乳動物細胞である。宿主細胞は、ヌクレオチド配列をコードするＮｏＪＡＭの組換え体であることが好ましい。かかるヌクレオチド配列は通常、染色体外プラスミドＤＮＡに含まれる。組換え配列を導入するための適切なベクターは本明細書に記載される。代わりとして、その宿主細胞は、細胞に存在する場合には内因性ＮｏＪＡＭの発現に変化をもたらす、ポリヌクレオチドの換え体である。例えば、ＮｏＪＡＭ及びＶＥＪＡＭは同じ遺伝子から発現されることから、ＮｏＪＡＭの発現を変化させるのに好ましいポリヌクレオチドは、ＮｏＪＡＭスプライス産物とＶＥＪＡＭスプライス産物の比を高めるポリヌクレオチドである。内因性配列にポリヌクレオチド配列を導入するための当技術分野で公知の技術は、その開示内容全体が参照により本明細書に組み込まれる、米国特許第５，６４１，６７０号及び国際公開番号：Ｗ０９６／２９４１１に記載されている。ＴＭ４ＳＦ５Ａポリペプチドを産生するかかる組換え宿主細胞を用いて、例えば、ＴＭ４ＳＦ５Ａポリペプチドを作製することができる。ＮｏＪＡＭポリペプチドは、例えば、細胞の精製及び検出を含むインビトロアッセイ、ならびにインビボ用途に有用である。かかる用途は、本明細書に詳述される。
【０４２２】
本発明のその他の実施形態は、ＮｏＪＡＭに特異的な抗体及び前記抗体を含む組成物に関する。好ましい抗体は、上記の好ましいＮｏＪＡＭ断片に特異的に結合する抗体である。さらなる好ましい態様は、ＮｏＪＡＭポリペプチド又はその断片にＮｏＪＡＭ特異的抗体を結合させる方法である。この方法は、抗体結合に適した条件下にて、ＮｏＪＡＭポリペプチド又はその断片を含むと思われる溶液と、ＮｏＪＡＭ特異的抗体を接触させる工程を含む。かかる抗体及び方法は、本明細書の他で記述されるように、ＮｏＪＡＭの精製及び検出に有用である。
【０４２３】
本発明の好ましい実施形態は、ＮｏＪＡＭポリペプチドを精製する方法である。この方法は：i)結合を生じさせる条件下にて、ＮｏＪＡＭ特異的抗体をＮｏＪＡＭに結合させ；ii)抗体に結合していない物質を除去する工程を含む。そのＮｏＪＡＭ特異的抗体を固体又は半固体マトリックスと直接的又は間接的に結合させ、タンパク質の精製を容易にすることが好ましい。さらに好ましくは、ＮｏＪＡＭ特異的抗体からＮｏＪＡＭを分離する追加の工程が、精製方法に含まれる。精製されたＮｏＪＡＭは、例えば、インビトロでの細胞精製及び検出に、及び組織の局在化免疫細胞の浸潤をインビボで防ぐのに有用である。これらの用途は本発明で詳述される。
【０４２４】
本発明のその他の実施形態は、ＮｏＪＡＭポリペプチドを検出する方法である。この方法は、i)ＮｏＪＡＭポリペプチドを含有すると思われる試料と、ＮｏＪＡＭ特異的抗体を接触させ、ii)工程i)において形成された抗体−ＮｏＪＡＭ複合体を検出する工程を含む。一実施形態において、前記試料は生体試料である。好ましくは、ＮｏＪＡＭ特異的抗体に結合していない物質を除去する追加の工程が、この方法に含まれる。ＮｏＪＡＭ特異的抗体は、蛍光化合物、発光化合物、又は放射性化合物などの検出可能な化合物で直接的又は間接的に標識されることがさらに好ましい。ＮｏＪＡＭの検出は、高い経上皮輸送を示す、ＪＡＭの発現部位を決定するのに有用である。移行の部位は、炎症又は感染症の場合には免疫細胞浸潤を含む。さらに、転移性細胞移動によって、血管細胞壁の移行に対する抵抗性が低くなる。したがって、ＮｏＪＡＭの検出は、慢性関節リウマチ、クローン病、乾癬、子宮内膜症、炎症性腸疾患、多発性硬化症、喘息、特に心臓、腎臓、リンパ節もしくはパイエル板における腫瘍浸潤部位の診断に有用である。
【０４２５】
本発明の好ましい実施形態は、骨髄性細胞、単球、好中球、抗原提示細胞、血小板及びＴ細胞などのＪＡＭ発現細胞にＮｏＪＡＭを結合させる方法である。この方法は、結合に適した条件下にて、ＮｏＪＡＭポリペプチド又はそのＪＡＭ結合断片をＪＡＭ発現細胞と接触させる工程を含む。任意に、ＮｏＪＡＭと複合体を形成していない細胞を分離する第２段階が、結合させる方法に含まれる。この任意の方法は、列挙される細胞型の精製に特に有用である。あるいは、複合体形成されたＮｏＪＡＭから未結合のＮｏＪＡＭを分離する第２段階が、結合させる方法に含まれる。この代替方法は特に、列挙される細胞型の検出に有用である。
【０４２６】
上述のように、ＮｏＪＡＭ特異的抗体を用いて、ＪＡＭの発現部位を間接的に検出することができる。その代わりとして、ＮｏＪＡＭポリペプチド又はそのＪＡＭ結合断片が、これらの部位を直接的に同定するのに有用である。この方法は、i)ＪＡＭの結合に適した条件下にて、検出可能に標識されたＮｏＪＡＭポリペプチド又はそのＪＡＭ結合断片を、細胞又は組織と接触させ；ii)複合体形成されたＮｏＪＡＭから未結合のＮｏＪＡＭを分離し；iii)複合体形成されたＮｏＪＡＭを検出する工程を含む。この方法は、免疫蛍光法などの当技術分野で一般的な技術によって行うことができる。好ましくは、ＮｏＪＡＭは、内皮細静脈、リンパ管、又は心臓の血管構造を含有する試料などの、組織試料において検出される。細胞境界が少なくとも一部インタクトであるように、組織試料が固定化されることがさらに好ましい。この方法は、限定されないが、慢性関節リウマチ、クローン病、乾癬、子宮内膜症、炎症性腸疾患、多発性硬化症、喘息及び腫瘍浸潤部位を含む疾患又は病状の診断に有用である。
【０４２７】
ＮｏＪＡＭを使用して、その表面上にＪＡＭ分子を発現する細胞を精製することができる。好ましい実施形態は、i)ＪＡＭの結合に適した条件下にて、ＮｏＪＡＭポリペプチド又はそのＪＡＭ結合断片を、多数の細胞と接触させ；ii)未結合の細胞を除去する工程を含む方法である。ＮｏＪＡＭを固体又は半固体マトリックスと直接的又は間接的に結合させ、多くの細胞型を含む試料からのＪＡＭ発現細胞の精製を容易にすることが好ましい。この方法は、骨髄性細胞、単球、好中球、抗原提示細胞、血小板及びＴ細胞などの細胞の精製に有用である。この方法は、例えば、組織特異的なアッセイにおいて不適切な細胞型からの混入を完全に防ぐために、組織試料からこれらの細胞型を除去するのにも有用である。組織からの反応性免疫細胞の除去は、特に、移植組織にとって重要である。磁気粒子に結合されたＮｏＪＡＭは、例えば、結合した細胞を除去するのに十分な磁場をかけることによって、次いで除去することができる、組織中のＪＡＭ発現細胞を結合させるために使用することができる。それより低い磁場を用いて、残りの組織の完全性を維持することができる。磁気精製システムは、Ｄｙｎａｌ社（ノルウェー，オスロ）及びＭｉｌｔｅｎｙｉ  Ｂｉｏｔｅｃ社（ドイツ，ベルギッシュグラトバハ）などのいくつかの供給元から入手可能である。
【０４２８】
循環細胞の表面に発現されるＪＡＭタンパク質は、ＮｏＪＡＭの結合に容易に到達できる。したがって、ＮｏＪＡＭは特に、ＪＡＭ発現血液及びリンパ系細胞上の相互作用部位をブロックするのに有用である。これらの部位のブロックによって、ＪＡＭを発現する上皮及び内皮境界を通る細胞移行の量が低減される。このように、ＮｏＪＡＭの発現又は活性の増加は、慢性関節リウマチ、クローン病、乾癬、子宮内膜症、炎症性腸疾患、多発性硬化症、喘息などの炎症性疾患の予防に有用である。ＮｏＪＡＭの活性は特に、ＪＡＭを発現する循環転移性細胞によって、組織浸潤を予防するのにも有用である。ＮｏＪＡＭは特に、心臓、腎臓、リンパ節、及びパイエル板の浸潤の予防に有用である。逆に言えば、ＮｏＪＡＭの阻害により、移行は増加する。これは特に、血管化の不十分な組織において、創傷治癒を促進するのに有用である。
【０４２９】
このために、本発明の好ましい実施形態は、ＮｏＪＡＭポリペプチド又はポリヌクレオチドの発現を増加する物質についてスクリーニングする方法である。この方法は、i)細胞を試験物質と接触させ；ii)試験物質に暴露した後の細胞におけるＮｏＪＡＭの発現を、非暴露対照細胞における発現と比較し、暴露細胞と非暴露対照細胞との間で観察されるＮｏＪＡＭの発現の差異によって、試験物質がＮｏＪＡＭポリペプチド又はポリヌクレオチドの発現を調節することが示される工程を含む。ＮｏＪＡＭの発現は、当技術分野で一般的な、又は本明細書に包含される方法によって決定される。ＮｏＪＡＭの発現を決定する方法としては、限定されないが、ＮｏＪＡＭポリヌクレオチドを定量化する方法（例えば、ノーザンブロット法又はＲＴＰＣＲ）又は細胞所見ポリヌクレオチドを定量化する方法（例えば、ウェスタンブロット法又は免疫化学）が挙げられる。試験物質は、ＮｏＪＡＭ発現とＶＥＪＡＭ発現の比を高めることが好ましい。特定の細胞型ではＮｏＪＡＭの発現を増加するが、他の細胞型では増加しない試験物質がさらに好ましい。最も好ましくは、試験物質は、以下の：上皮細胞、内皮細胞、血管内皮細胞、高内皮細静脈細胞、骨髄性細胞、単球、好中球、抗原提示細胞、血小板及び活性化Ｔ細胞のうちの１種又は複数種において特異的にＮｏＪＡＭの発現を修飾する。本明細書に記載の方法を用いて、ＮｏＪＡＭポリペプチドの発現を低減する試験物質についてスクリーニングすることもできる。ＮｏＪＡＭの発現を低減する、好ましい試験物質は、ＮｏＪＡＭ発現とＶＥＪＡＭ発現の比を低下させる物質である。
【０４３０】
本発明のその他の態様は、ＮｏＪＡＭポリペプチドの活性を調節する試験物質についてのスクリーニングである。この方法は、i)ＮｏＪＡＭポリペプチド又はそのＪＡＭ結合断片を試験物質と接触させ、ii)ＮｏＪＡＭの活性を検出し、iii)試験物質の存在下でのＮｏＪＡＭの活性を、非暴露対照での活性と比較する工程を含み、前記試験物質の存在下又は非存在下において観察されたＮｏＪＡＭの活性の差異は、試験物質がＮｏＪＡＭポリペプチドの活性を調節することを示す。ＮｏＪＡＭポリペプチド又は断片を発現する細胞を用いて、又は精製ＮｏＪＡＭポリペプチド又は断片を用いて行われる。ＮｏＪＡＭの活性は、本明細書に記載のＮｏＪＡＭ活性のいずれか、好ましくはＪＡＭ結合能力によって評価することができる。例えば、試験物質の存在下でのＮｏＪＡＭを、様々な条件下にて固定化ＪＡＭファミリータンパク質に暴露し、その結合をＮｏＪＡＭのみの対照と比較することが可能である。試験物質は、ＮｏＪＡＭ−ＪＡＭ結合がその試験物質の非存在下での条件よりもさらに厳密な条件下で存在する場合には、ＮｏＪＡＭの活性を増加すると言われる。あるいは、この方法を用いて、ＮｏＪＡＭポリペプチドの活性を低減する物質についてスクリーニングすることができる。試験物質は、ＮｏＪＡＭ−ＪＡＭ結合がその試験物質の非存在下での条件よりもさらに厳密な条件下で存在する場合には、ＮｏＪＡＭの活性を低減すると言われる。ＮｏＪＡＭ阻害剤の一例は、ＪＡＭファミリーメンバーへのＮｏＪＡＭの結合を妨げる抗体である。
【０４３１】
ＪＡＭの発現又は活性の活性化剤を用いて、炎症及び転移性浸潤を予防又は治療することができるが、これらの病状はＮｏＪＡＭポリペプチドで直接的に処置することもできる。ＮｏＪＡＭは、予期しない反応を生じる可能性が低い天然ポリペプチドであることから、有利である。したがって、本発明の好ましい態様は、外皮及び内皮の管壁の細胞移行を防ぐためにＮｏＪＡＭを使用する方法である。この方法は、ＮｏＪＡＭポリペプチド又はそのＪＡＭ結合断片を含む薬剤組成物と細胞を接触させる工程を含む。好ましくは、この方法は、個体が上記の炎症性疾患又は転移性浸潤のうちの１つを有する、又はそのリスクがあるかどうかを決定する工程も含む。好ましくは、この方法は、慢性関節リウマチ、クローン病、乾癬、子宮内膜症、炎症性腸疾患、多発性硬化症、喘息又は心臓、腎臓、リンパ節もしくはパイエル板の転移性浸潤の予防又は治療に向けられる。この薬剤組成物は、いずれかの方法で、好ましくは経口的又は局所的に、個体における細胞移行の特定の部位に投与される。局在的な送達は、適切な血管又はリンパ管中に注入することによって、又は植え込まれたステントによって行われることが好ましい（例えば、その開示内容全体が参照により本明細書に組み込まれる、米国特許第５，５００，０１３号及び同第５，４４９，３８２号参照）。
【０４３２】
ＮｏＪＡＭの発現又は活性の阻害剤を用いて、外皮及び内皮境界の移行を促進することができ、したがって、創傷治癒が促進される。本発明の好ましい実施形態は、i)個体が治療の必要がある創傷を有するかどうかを決定し；ii)治療の必要がある創傷に、生理学的に許容されるＮｏＪＡＭ阻害剤を含む薬剤組成物を導入する工程を含む方法である。創傷は、資格のある医療介護者により治療の必要があると判断され、通常、罹患者又は健康な個体のより大きな血管新生部位の同等な創傷よりも、その治癒が遅い場合には、治療の必要があると見なされる。ＮｏＪＡＭ阻害剤は、創傷部位に局所的に送達されることが好ましい。送達は、好ましくは、本明細書に記述されるように、適切な血管又はリンパ管中に注入することによって、又は植え込まれたステントによって行われることが好ましい。他の実施形態では、その組成物は局所投与用に製造することが可能であり、前記創傷上に直接適用される。
【０４３３】
配列番号：２４のタンパク質（内部指定クローン１０００８４８６６０＿１８１−４２−１−０−Ｃ１１−Ｆ）
クローン１０００８４８６６０＿１８１−４２−１−０−Ｃ１１−ＦのｃＤＮＡ（配列番号：２３）は、アミノ酸配列：ＭＫＩＳＶＡＡＩＰＦＦＬＬＩＴＩＡＬＧＴＫＴＥＳＳＳＲＧＰＹＨＰＳＥＣＣＦＴＹＴＴＹＫＩＰＲＱＲＩＭＤＹＹＥＴＮＳＱＣＳＫＰＧＩＶを含む、配列番号：２４の新規の小誘導性サイトカイン１４型（ＮＣＣＬ１４）をコードする。したがって、本明細書全体にわたり記載されている配列番号：２３のポリペプチドのすべての特性及び使用は、クローン１０００８４８６６０＿１８１−４２−１−０−Ｃ１１−Ｆ中に含まれるヒトｃＤＮＡよってコードされるポリペプチドにも関係することは理解されよう。さらに、本明細書全体にわたり記載されている配列番号：２３のポリヌクレオチドのすべての特性及び使用は、クローン１０００８４８６６０＿１８１−４２−１−０−Ｃ１１−Ｆ中のヒトｃＤＮＡを含む核酸にも関係することは理解されよう。
【０４３４】
本発明の好ましい実施形態は、配列番号：２３、配列番号：２４及び１０００８４８６６０＿１８１−４２−１−０−Ｃ１１−Ｆの組成物に対して向けられている。以下に記載の方法で使用される好ましいＮＣＣＬ１４ポリペプチド断片としては、アミノ配列：ＴＫＴＥＳＳＳＲＧＰＹＨＰＳＥＣＣＦＴＹＴＴＹＫＩＰＲＱＲＩＭＤＹＹＥＴＮＳＱＣＳＫＰＧＩＶを含むＮＣＣＬ１４ポリペプチドが挙げられる。本明細書に記載の生物活性を有するポリペプチド断片及びその断片をコードするポリヌクレオチドもまた好ましい。
【０４３５】
本発明のタンパク質、ＮＣＣＬ１４は、小誘導性サイトカイン１４型（ＣＣＬ１４、Ｇｅｎｂａｎｋアクセッション番号Ｑ１６６２７）の新規なスプライスバリアントである。ＮＣＣＬ１４の第１エクソンは、ＣＣＬ１４の第１エクソンと同一である。第２エクソンは、２つのタンパク質の間で異なる。したがって、本発明のタンパク質、ＮＣＣＬ１４は６５アミノ酸の長さであるのに対して、ＣＣＬ１４前駆体は９３アミノ酸の長さである。ＮＣＣＬ１４は、ＣＣケモカインファミリーに属する。ＮＣＣＬ１４は、シグナルペプチド（ＭＫＩＳＶＡＡＩＰＦＦＬＬＩＴＩＡＬＧ）を示す分泌タンパク質であり、成熟ＮＣＣＬ１４タンパク質は４６アミノ酸の長さである。ＮＣＣＬ１４は、プロセッシングされたタンパク質のアミノ末端に位置する、ＩＬ８ドメイン（ＳＳＲＧＰＹＨＰＳＥＣＣＦＴＹＴＴＹＫＩＰＲＱＲＩＭＤＹＹＥＴＮＳＱＣＳＫＰＧＩＶ）を示す。
【０４３６】
ケモカインは、例えば、単球、リンパ球及び好中球を含む、異なる白血球の動員、ナビゲーション及び活性化において主要な役割を果たす。それらは、骨髄造血を調節し、抗ウイルス効果を示し、血管新生活性を有する。それらは、７個の膜貫通ドメインのＧタンパク質共役受容体の活性化によりそれらの生物活性を示す。かかる活性は、例えば、免疫強化又は免疫抑制、骨髄保護、幹細胞動員、急性及び慢性炎症の制御及び白血病の治療に有用である。
【０４３７】
ＮＣＣＬ１４は、脾臓、肝臓、骨格筋及び心筋、腸、及び骨髄を含む多くの組織において発現され、血漿中にも存在する。ＮＣＣＬ１４は、ヒト単球にも作用し、ＣＣＲ１及びＣＣＲ５受容体を介して作用する。さらに、ＮＣＣＬ１４は、幹細胞及び骨髄前駆体の増殖を調節し、例えばＮＣＣＬ１４は、骨髄前駆細胞のコロニー形成を調節する。ＮＣＣＬ１４は、炎症細胞の輸送に関与する。ＮＣＣＬ１４は、二次リンパ組織のＢ細胞領域の発生に寄与する。また、ＮＣＣＬ１４は、血漿中にそれらを動員することによって、循環白血球の基本レベルを担い、ＮＣＣＬ１４は、血流中のＣＣＲ１＋炎症細胞のホメオスタシスの因子である。
【０４３８】
本発明の実施形態は、配列番号：２４のＮＣＣＬ１４ポリペプチド配列を含む組成物に関する。その他の実施形態において、そのポリペプチドは、配列番号：２４と少なくとも７０％、８０％、９０％、９５％以上同一である。
本発明のさらなる実施形態は、本明細書に記載の生物活性のいずれかを有するＮＣＣＬ１４ポリペプチド断片を含む組成物又はＣＣＲ１及び／又はＣＣＲ５に結合するＮＣＣＬ１４ポリペプチド断片を含む組成物に関する。
【０４３９】
本発明でさらに使用される、ＮＣＣＬ１４ポリペプチドとは、配列番号：２４の又は配列番号：２４と少なくとも７０％、８０％、９０％、９５％以上の同一性を有するＮＣＣＬ１４ポリペプチド配列、又は生物活性を有する配列番号：２４のポリヌクレオチド断片のいずれかを意味する。
本発明のさらなる実施形態は、ＮＣＣＬ１４ポリペプチドをコードする配列番号：２３のポリヌクレオチド配列を含む組成物に関する。その他の実施形態において、そのポリヌクレオチド配列は、配列番号：２３と少なくとも７０％、８０％、９０％、９５％以上の同一性を有する。
【０４４０】
他の実施形態では、本発明は、配列番号：２４の配列を含むポリペプチド又はその生物活性断片をコードするポリヌクレオチドを提供する。
本発明のさらなる実施形態は、本明細書に記載の生物活性のいずれかを有するＮＣＣＬ１４ポリペプチドをコードするポリヌクレオチド配列を含む組成物に関する。
本発明のさらなる実施形態は、配列番号：２４のＮＣＣＬ１４ポリペプチド配列又はＮＣＣＬ１４ポリペプチド断片を認識する抗体に関する。好ましくは、その抗体は、ＮＣＣＬ１４のカルボキシル末端内に位置する、１つ又は複数のアミノ酸を認識し、前記の１つ又は複数のアミノ酸は、ＮＣＣＬ１４ポリペプチドへの抗体の結合に必要とされる。さらに好ましくは、その抗体は直鎖状エピトープを認識する。最も好ましくは、その抗体はＮＣＣＬ１４に結合するが、ＣＣＬ１４には結合しない。本明細書で使用される「抗ＮＣＣＬ１４抗体」とは、ＮＣＣＬ１４ポリペプチドに特異的に結合する、抗体又はその抗原結合断片を意味する。かかる方法は、例えば、本明細書にさらに記述されるように、ＮＣＣＬ１４の精製、阻害、検出及び診断に使用することができる。
【０４４１】
本発明のさらなる実施形態は、ＮＣＣＬ１４ポリペプチド又はその断片を抗体に結合させる方法であって、結合を生じさせる条件下にて、ＮＣＣＬ１４ポリペプチドを前記抗体と接触させる工程を含む方法に関する。かかる条件は当業者にはよく知られている。
本発明の実施形態は、生体試料におけるＮＣＣＬ１４ポリペプチドを検出する方法に関し、前記方法は、i)生体試料を抗ＮＣＣＬ１４抗体と接触させ、ii)形成された抗原−抗体複合体を検出する工程を含む。その抗体又は抗体断片は、モノクローナル抗体又はポリクローナル抗体であることが可能である。さらに、その抗体又は抗体断片は、一次的又は二次的に、当技術分野で一般的ないずれかの検出可能な化合物（例えば、放射性化合物、蛍光化合物、発光化合物、又は酵素化合物）によって標識することができる。かかる方法は、例えば、以下にさらに記述するように、慢性腎不全の診断に適用することができる。
【０４４２】
本発明の実施形態は、ＮＣＣＬ１４ポリペプチドを作製する方法に関する。ＮＣＣＬ１４ポリペプチドを作製する方法は、i)本発明のＮＣＣＬ１４ポリペプチドをコードする組換え発現ベクターを、哺乳動物宿主にトランスフェクトし、ii)前記ポリペプチドの発現の助けとなる条件下にて、その細胞を培養し、iii)発現したＮＣＣＬ１４ポリペプチドを精製する工程を含む。タンパク質の精製は、当業者によく知られているいずれかの技術を用いて行うことができる。好ましくは、ＮＣＣＬ１４に対して作られる抗体をクロマトグラフィー担体に結合させ、アフィニティークロマトグラフィーカラムを形成する。その精製されたタンパク質は、以下に記述するような多くの用途に使用することができる。
【０４４３】
本発明の好ましい態様は、ＮＣＣＬ１４ポリペプチド又はその生物活性断片をコードするポリヌクレオチドの宿主細胞組換え体である。さらなる好ましい態様は、細胞におけるその存在が、ＮＣＣＬ１４の発現を変化させる、例えば、ＮＣＣＬ１４の発現レベルを増加させる、ポリヌクレオチドの宿主細胞組換え体である。ＮＣＣＬ１４の発現を変化させることができるポリヌクレオチドは、宿主細胞のゲノムに挿入されること、例えば、ＮＣＣＬ１４遺伝子の５’調節領域に挿入されることが好ましい。さらに好ましくは、これらのポリヌクレオチドは、ＮＣＣＬ１４コード領域の５００塩基対内に位置する。これらのポリヌクレオチドはプロモーター配列を含むことが好ましい。内因性配列にポリヌクレオチド配列を導入するための当技術分野で公知の技術は、その開示内容全体が参照により本明細書に組み込まれる米国特許第５，６４１，６７０号及び国際公開番号：Ｗ０９６２９４１１に記載されている。前記宿主細胞によって産生されたＮＣＣＬ１４タンパク質は、本明細書に記述するように、例えば、検出及び精製法ならびに診断及びインビボ用途に用いることができる。
【０４４４】
本発明の実施形態は、生体試料におけるＮＣＣＬ１４の発現を検出する方法に関し、前記方法は、i)個体から生体試料を採取し、ii)ＮＣＣＬ１４Ａの発現レベルを検出し、iii)前記試料におけるＮＣＣＬ１４の発現レベルを対照試料におけるレベルと比較する工程を含む。ＮＣＣＬ１４の発現レベルの検出は、様々な異常炎症反応及び免疫応答の診断に有用である。例えば、正常な個体におけるレベルを表す対照試料における発現レベルと比較して、前記生体試料におけるＮＣＣＬ１４の発現レベルが低い場合には、慢性腎不全を示している。試料におけるＮＣＣＬ１４の発現レベルは、いずれかの方法を用いて、例えば、試料中のＮＣＣＬ１４ ｍＲＮＡ又はタンパク質のレベルを検出することによって評価することができる。例えば、ウェスタンブロット法又は免疫化学技術などのよく知られている技術を用いて、ＮＣＣＬ１４の発現を検出することができる。好ましくは、抗ＮＣＣＬ１４抗体を使用して、ＮＣＣＬ１４の発現レベルを検出する。前記抗体は上述のように検出可能に標識される。また好ましくは、本発明のタンパク質のポリヌクレオチド配列又はその一部、又は配列番号：２３のすべて又は一部に相補的なポリヌクレオチド配列を含むポリヌクレオチドプローブを使用して、例えば、ノーザンブロット法又はＲＴＰＣＲ技術によってＮＣＣＬ１４の発現レベルを検出する。
【０４４５】
本発明のその他の実施形態は、ＮＣＣＬ１４ポリペプチドの存在をインビトロで検出するための診断キットに関する。かかるキットは、i)抗ＮＣＣＬ１４抗体、任意に、ii)形成された抗原−抗体複合体の検出を可能にする試薬を備える。前記抗体は、上述のように検出可能に標識されることが好ましい。あるいは、その任意の試薬は、検出可能なシグナルであってもよい。任意の試薬は、前記抗体に結合するか、又は前記抗体上の標識と反応する。抗ＮＣＣＬ１４抗体を備えるキットは、慢性腎不全又は様々な異常炎症反応及び免疫応答の診断に使用される。任意に、前記診断キットは、正常な個体からのレベルを表す負の対照試料を備える。任意に、前記診断キットは、慢性腎不全又は特定の炎症反応もしくは免疫応答を有する個体からの予想されるレベルを表す正の対照試料を備える。
【０４４６】
その他の好ましい実施形態は、ＮＣＣＬ１４の発現を調節する能力について試験物質をスクリーニングする方法であって、i)細胞を試験物質と接触させ、ii)試験物質に暴露した後の細胞におけるＮＣＣＬ１４の発現を、非暴露対照細胞における発現と比較する工程を含む方法に関し、暴露細胞と非暴露対照細胞との間で観察されるＮＣＣＬ１４の発現の差異によって、試験物質がＮＣＣＬ１４の発現を調節することを示す。ＮＣＣＬ１４の発現は、当技術分野で一般的な、又は本明細書に包含される方法によって決定することができる。ＮＣＣＬ１４の発現を決定する方法としては、限定されないが、ＮＣＣＬ１４ポリヌクレオチドを定量化する方法（例えば、ノーザンブロット法又はＲＴＰＣＲによるＮＣＣＬ１４ ｍＲＮＡの検出）又はＮＣＣＬ１４ポリペプチドを定量化する方法（例えば、ウェスタンブロット法又は免疫化学によるＮＣＣＬ１４ポリペプチドの検出）が挙げられる。好ましくは、その試験物質は特定の細胞型ではＮＣＣＬ１４の発現を修飾するが、他の細胞型では修飾しない。
【０４４７】
また、かかる方法を用いて同定される修飾因子は、本発明によって包含される。いずれかの細胞型、例えば、脾臓、肝臓、筋肉、腸、又は骨髄をかかるスクリーニングに使用することが可能である。本発明のさらなる実施形態は、ＮＣＣＬ１４の活性を調節する能力について試験物質をスクリーニングする方法であって、i)細胞を試験物質と接触させ、ii)試験物質に暴露した後の細胞におけるＮＣＣＬ１４の活性を、非暴露対照細胞の活性と比較する工程を含む方法に関し、暴露細胞と非暴露対照細胞との間で観察されるＮＣＣＬ１４の活性の差異によって、試験物質がＮＣＣＬ１４の活性を調節することを示す。ＮＣＣＬ１４の活性は、例えば、その開示内容全体が参照により本明細書に組み込まれるPardigolら(Proc Natl Acad Sci U S A. 95(11):6308-13 (1998))に記載されたように、例えば、その走化活性を研究することによってモニターすることができる。あるいは、その開示内容全体が参照により本明細書に組み込まれるSchulz-Knappeら(J Exp Med. 183(1):295-9 (1996))に記載されたように、幹細胞及び骨髄前駆体の増殖を調節するその能力を研究することによって、例えば、幹細胞因子の存在下にてＣＤ３４＋骨髄細胞の増殖を高めるその能力を研究することによって、ＮＣＣＬ１４の活性をモニターすることができる。かかる方法を用いて同定される修飾因子もまた、本発明によって包含される。
【０４４８】
ＮＣＣＬ１４の発現又は活性を低減する試験物質は、ＮＣＣＬ１４アンタゴニストとして定義される。一方、ＮＣＣＬ１４の発現又は活性を増加する試験物質は、ＮＣＣＬ１４アゴニストとして定義される。ＮＣＣＬ１４の発現又は活性を調節する試験物質には、限定されないが、化学化合物（例えば、小分子阻害剤又は活性化剤）、オリゴヌクレオチド、アンチセンスポリヌクレオチド、ポリペプチド、リボザイム、ＮＣＣＬ１４のドミナントネガティブ型及び抗ＮＣＣＬ１４抗体が含まれる。これらの物質は、当技術分野でよく知られている方法によって製造かつ使用することができる。
【０４４９】
本発明の好ましい実施形態は、ＣＣＲ１及び／又はＣＣＲ５ポリペプチドをＮＣＣＬ１４ポリペプチドと結合させる方法であり、その方法は、ＣＣＲ１及び／又はＣＣＲ５への前記ＮＣＣＬ１４ポリペプチドの結合を可能にする条件下にて、ＮＣＣＬ１４ポリペプチドをＣＣＲ１及び／又はＣＣＲ５と接触させる工程を含む。好ましい実施形態では、ＣＣＲ１及び／又はＣＣＲ５へのＮＣＣＬ１４ポリペプチドの結合を利用して、ＣＣＲ１及び／又はＣＣＲ５を発現する細胞を精製する。かかる一実施形態において、ＣＣＲ１及び／又はＣＣＲ５を発現する細胞を精製する方法は、i)ＣＣＲ１発現細胞及び／又はＣＣＲ５発現細胞を含む生体試料を、標識化ＮＣＣＬ１４ポリペプチドと接触させ、ii)前記生体試料を、選別装置、例えば、蛍光活性化細胞選別装置又は磁気活性化細胞選別装置に導入する工程を含み、前記試料中のＣＣＲ１細胞及び／又はＣＣＲ５細胞は、それらの結合した標識化ＮＣＣＬ１４ポリペプチドによって非発現細胞から選別される。この方法は、ＣＣＲ５発現リンパ球集団の計数、形態学的同定又は分離に有用である。特に、ＣＤ４＋リンパ球上のＣＣＲ５密度は、ＨＩＶウイルスによる細胞の感染能力と正に相関する。したがって、ＣＣＲ５発現細胞、例えばＣＤ４＋リンパ球の精製は、例えば、抗ＨＩＶ薬をスクリーニングする際に、高い感染性の細胞集団を得るのに有用かもしれない。この相関性から、ＮＣＣＬ１４又はその誘導体など、ＣＣＲ到達性をブロックする作用物質を使用して、細胞におけるＨＩＶ感染をブロックすることができることも示されている。
【０４５０】
この実施形態のその他の態様は、当技術分野で一般的な技術を用いて、ＣＣＲ１及び／又はＣＣＲ５を発現する細胞を検出かつ定量化するために、ＣＣＲ１及び／又はＣＣＲ５に結合するＮＣＣＬ１４ポリペプチドを使用する方法を包含する。この方法は、i)ＣＣＲ１及び／又はＣＣＲ５を発現する細胞を含有すると思われる生体試料を得、ii)ＮＣＣＬ１４の結合に適した条件下にて、前記試料をＮＣＣＬ１４ポリペプチドと接触させ、iii)試料におけるＮＣＣＬ１４の細胞への結合を検出する工程を含む。前記ＣＣＬ１４ポリペプチドは、検出可能な化合物に共有結合で結合されることが好ましい。
【０４５１】
あるいは検出可能な抗ＮＣＣＬ１４を使用して、ＮＣＣＬ１４を検出することができる。この方法は診断ツールとして用いることが可能である。例えば、ＣＣＲ１ならびにＣＣＲ１によって仲介されるプロセス及び細胞応答は、移植された移植片の拒絶反応に関与し（その開示内容全体が参照により本明細書に組み込まれるGaoら, J Clin Invest.  105(1):35-44 (2000)参照）、Ｔ細胞によって発現されるＣＣＲ５は、特に哺乳動物、好ましくはヒトにおける、限定されないが、喘息及びアトピー性疾患（例えば、アトピー性皮膚炎及びアレルギー）、慢性関節リウマチ、アテローム性動脈硬化症、サルコイドーシ、又は特発性肺線維症及び他の線維性疾患、乾癬、多発性硬化症などの自己免疫疾患を含む疾患、移植臓器の拒絶反応及び炎症性腸疾患の治療及び／又は予防に関与する。さらに、ＣＣＲ５は、細胞へのＨＩＶの侵入のための補助受容体である。本発明は、生体試料中のＣＣＲ１及び／又はＣＣＲ５又はその一部の存在を検出するために使用されるキットであって、哺乳動物ＣＣＲ１及び／又はＣＣＲ５又は前記受容体の一部に結合するＮＣＣＬ１４ポリペプチドと、前記ＮＣＣＬ１４ポリペプチドとＣＣＲ１及び／又はＣＣＲ５又はその一部との間の複合体の存在を検出するのに適した１種又は複数種の補助試薬とを備えるキットにも関する（例えば、その開示内容全体が参照により本明細書に組み込まれる、米国特許第６，３２９，５１０号参照）。その他の実施形態において、本発明は、患者における白血球の輸送を阻害する方法であって、その開示内容全体が参照により本明細書に組み込まれる米国特許第６，３２９，５１０号に記載されたように、哺乳動物ＣＣＲ１に結合する、有効量のＣＣＲ１及び／又はＣＣＲ５結合ＮＣＣＬ１４ポリペプチドを患者に投与する工程を含む方法もまた包含する。
【０４５２】
さらなる実施形態は、移植された移植片の拒絶反応を抑制する方法であって、有効量のＣＣＲ１及び／又はＣＣＲ５結合ＮＣＣＬ１４ポリペプチドを移植レシピエントに投与する工程を含む方法を提供する。一実施形態において、その移植片は同種移植片である。特定の実施形態では、その同種移植片は心臓である。本明細書で使用される「移植片」という用語は、第１の哺乳動物又はドナーから得ることができ、第２の哺乳動物、好ましくはヒトに移植することができる、臓器及び／又は組織を意味する。例えば、その開示内容全体が参照により本明細書に組み込まれる米国特許出願第０９／２３９，２８３号を参照のこと。
【０４５３】
さらなる実施形態は、虚血／再潅流障害を抑制（低減又は予防）する方法であって、その必要のある対象に有効量のＣＣＲ１及び／又はＣＣＲ５結合ＮＣＣＬ１４ポリペプチドを投与する工程を含む方法を提供する。虚血／再潅流障害とは、臓器又は組織への血流が制限又は停止され、その結果酸素不足（低酸素）となった場合に生じる、壊死細胞死を意味する。虚血条件下で臓器又は組織により維持される損傷は、血流が回復した（再潅流）後に識別できる。一部の実施形態において、虚血／再潅流障害は、外傷又は医療処置、例えば、手術の結果かもしれない。他の実施形態において、虚血／再潅流障害は、病理的症状、例えば、動脈硬化症、心筋の感染、脳卒中又は一過性脳虚血発作の結果かもしれない。特定の実施形態では、虚血／再潅流障害は、移植片の移植の結果である。他の特定の実施形態において、移植片は腎臓である。その他の実施形態では、その方法は、ＮＣＣＬ１４及び１種又は複数種のその他の治療薬、例えば、血栓溶解薬、細胞接着阻害剤、抗凝固薬、抗血栓剤、及び一酸化窒素シンテターゼの活性化剤又は阻害剤の投与を含む。例えば、その開示内容全体が参照により本明細書に組み込まれる、米国特許出願第０９／２３９／２８３号を参照のこと。
【０４５４】
その他の好ましい実施形態において、本発明は、炎症性脱髄疾患を治療する方法であって、その治療が必要な対象に、有効量のＣＣＲ１及び／又はＣＣＲ５結合ＮＣＣＬ１４ポリペプチドを投与する工程を含む方法に関する。好ましくは、その炎症性脱髄疾患は、多発性硬化症である。かかる方法は、その開示内容全体が参照により本明細書に組み込まれる、米国特許出願第０９／２４０，２５３号に記載されている。好ましい実施形態において、本発明は、免疫不全ウイルスの複製及び／又は感染をインビトロ又はインビボで阻害する、ウイルス量を低減する、又は免疫不全ウイルスへのヒトの感染と関連する疾患又は障害を治療及び／又は予防する、ＮＣＣＬ１４ポリペプチド又はＮＣＣＬ１４アゴニストを含む治療用組成物に関する。免疫不全ウイルスとしては、限定されないが、ＨＩＶ、サル免疫不全ウイルス及びネコ免疫不全ウイルスが挙げられ、最も好ましくはＨＩＶである。例えば、その開示内容全体が参照により本明細書に組み込まれる、米国特許第６，２１４，５４０、及び国際特許出願公開番号：ＷＯ００／４０９６４を参照のこと。
【０４５５】
本発明のその他の実施形態は、当業者に知られているいずれかの方法によって、遺伝子導入モデル動物（キイロショウジョウバエ（D. melanogaster）、ハツカネズミ（M. musculus））を確立するための、ＮＣＣＬ１４ポリペプチドをコードするポリヌクレオチド配列を用いた組成物及び方法に関する。薬物又は変更遺伝子（活性化又は抑制遺伝子）で導入遺伝子の発現をインビボで調節することによって、免疫応答障害と関連する疾患を模倣する動物モデルを作製することができる。このように、これらの動物モデルによって、疾患の治療に用いられる潜在的な治療薬を同定することが可能となるだろう。さらに、これらの遺伝子導入動物に由来する組換え細胞系は、同様のアプローチにエクスビボで使用することができる。
【０４５６】
配列番号：２６のタンパク質（内部指定クローン５００７３５２６４＿２０５−４１−２−０−Ａ７−Ｆ）
クローン５００７３５２６４＿２０５−４１−２−０−Ａ７−ＦのｃＤＮＡ（配列番号：２５）は、アミノ酸配列：ＭＡＡＧＳＲＴＳＬＬＬＡＦＡＬＬＣＬＰＷＬＱＥＡＤＳＩＰＴＳＳＮＭＥＥＴＱＱＫＳＮＬＥＬＬＨＩＳＬＬＬＩＥＳＲＬＥＰＶＲＦＬＲＳＴＦＴＮＮＬＶＹＤＴＳＤＳＤＤＹＨＬＬＫＤＬＥＥＧＩＱＭＬＭＧＲＬＥＤＧＳＨＬＴＧＱＴＬＫＱＴＹＳＫＦＤＴＮＳＨＮＨＤＡＬＬＫＮＹＧＬＬＨＣＦＲＫＤＭＤＫＶＥＴＦＬＲＭＶＱＣＲＳＶＥＧＳＣＧＦを含む、配列番号：２６のＣＳ−５ｂをコードする。したがって、本明細書全体にわたり記載されている配列番号：２６のポリペプチドのすべての特性及び使用は、クローン５００７３５２６４＿２０５−４１−２−０−Ａ７−Ｆ中のヒトｃＤＮＡを含む核酸によってコードされるポリペプチドにも関係することは理解されよう。さらに、本明細書全体にわたり記載されている配列番号：２５のポリヌクレオチドのすべての特性及び使用は、クローン５００７３５２６４＿２０５−４１−２−０−Ａ７−Ｆ中のヒトｃＤＮＡを含む核酸にも関係することは理解されよう。本発明の好ましい実施形態は、配列番号：２６、配列番号：２５、及び５００７３５２６４＿２０５−４１−２−０−Ａ７−Ｆのヒトポリヌクレオチド及びポリペプチド組成物に対して向けられている。以下に記載の方法で使用される好ましいＣＳ−５ｂポリペプチド断片としては、アミノ配列：ＩＰＴＳＳＮＭＥＥＴＱＱＫＳＮＬＥＬＬＨＩＳＬＬＬＩＥＳＲＬＥＰＶＲＦＬＲＳＴＦＴＮＮＬＶＹＤＴＳＤＳＤＤＹＨＬＬＫＤＬＥＥＧＩＱＭＬＭＧＲＬＥＤＧＳＨＬＴＧＱＴＬＫＱＴＹＳＫＦＤＴＮＳＨＮＨＤＡＬＬＫＮＹＧＬＬＨＣＦＲＫＤＭＤＫＶＥＴＦＬＲＭＶＱＣＲＳＶＥＧＳＣＧＦを含むＣＳ−５ｂポリペプチドが挙げられる。本明細書に記載の生物活性を有するポリペプチド断片及びその断片をコードするポリヌクレオチドもまた好ましい。
【０４５７】
本発明のタンパク質、ＣＳ−５ｂは、絨毛性ソマトマンモトロピン５（ＣＳ−５，ＳＰ−ＴＲＥＭＢＬアクセッション番号Ｑ１４４０６）の新規な分泌スプライスバリアントである。ＣＳ−５ｂ ｍＲＮＡは、その５’末端にさらなるエクソンを示す。ＣＳ−５ｂ ｍＲＮＡの第２エクソンは、ＣＳ−５ ｍＲＮＡの第１エクソンに相当する。ＣＳ−５ｂ ｍＲＮＡにおいて、このエクソンは、その３’末端でＣＳ−５ ｍＲＮＡよりも短い。以下の３つのエクソンはどちらのｍＲＮＡにおいても同一である。得られるＣＳ−５ｂ完全長ポリペプチドは１６０アミノ酸の長さであるのに対して、ＣＳ−５完全長ポリペプチドは１９９アミノ酸の長さである。シグナルペプチドの切断後、ＣＳ−５は、ＣＳ−５ｂと比較して、そのアミノ末端で３９個の補足（supplementary）アミノ酸を示す。そのタンパク質は、それらのカルボキシル末端側１３４個のアミノ酸で同一である。ＣＳ−５ｂは、ソマトトロピン＿２コンセンサス（ＣＦＲＫＤＭＤＫＶＥＴＦＬＲＭＶＱＣ）及びソマトトロピンホルモンファミリードメインを示す。
【０４５８】
ＣＳ−５ｂは、胎盤のトロフォブラスト細胞によって合成され、血液中で分泌される。ＣＳ−５ｂは、妊婦の脳脊髄液にも存在する。ＣＳ−５ｂは、妊娠に対する適応において役割を果たし、妊娠及び泌乳に関連する様々な生物学的応答を引き起こす。特に、ＣＳ−５ｂは、脂肪の蓄積を刺激すること及び脂肪分解速度を高めることの両方によって、母親における脂肪細胞代謝を促進し、胎児に対する基質の有効性が高められる。ＣＳ−５ｂはインスリン感受性も低減する。さらに、ＣＳ−５ｂは乳の生産を増加し、授乳状態（fed state）の間の母性行動（maternal caretaking）及び巣作り行動を刺激する。さらに、ＣＳ−５ｂは、男性（雄）及び女性（雌）のどちらにも広く発現される、プロラクチン受容体（Ｇｅｎｂａｎｋアクセッション番号Ｐ１６４７１）の異なるアイソフォームに結合し、プロラクチン受容体仲介シグナル伝達を活性化する。
【０４５９】
本発明の実施形態は、配列番号：２６の、又は配列番号：２６と少なくとも７０％、８０％、９０％、９５％、９６％、９７％、９８％、９９％以上の同一性を有するＣＳ−５ｂポリペプチド配列を含む組成物に関する。
本発明のさらなる実施形態は、脂肪の蓄積の向上、胎児に対する基質利用性の増加、母性行動の向上及びインスリン分泌の増加からなる群から選択される生物活性を有する、ＣＳ−５ｂポリペプチド又はポリペプチド断片を含む組成物に関する。
【０４６０】
本明細書で使用される「ＣＳ−５ｂポリペプチド」とは、配列番号：２６のアミノ酸配列又は配列番号：２６と少なくとも７０％、８０％、９０％、９５％、９６％、９７％、９８％、９９％以上同一のアミノ酸配列又は脂肪の蓄積の向上、胎児に対する基質利用性の増加、母性行動の向上及びインスリン分泌の増加からなる群から選択される生物活性を有するそのポリペプチド断片を含む、からなる、又はから本質的になるポリペプチドを意味する。成熟ＣＳ−５ポリペプチドのアミノ末端側３９個のアミノ酸の５個以上の隣接アミノ酸を含むＣＳ−５ｂポリペプチドは、本発明から特に除外される。
【０４６１】
本発明の実施形態は、ＣＳ−５ｂポリペプチドをコードする配列番号：２５のポリヌクレオチド配列を含む組成物に関する。
本発明のさらなる実施形態は、ＣＳ−５ｂポリペプチドをコードするポリヌクレオチド配列を含む組成物に関する。
本明細書でさらに使用される「ＣＳ−５ｂポリヌクレオチド」とは、配列番号：２５のヌクレオチド配列、又は配列番号：２５と少なくとも７０％、８０％、９０％、９５％以上の同一性を有するヌクレオチド配列、ＣＳ−５ｂポリペプチドをコードするポリヌクレオチド配列、又はこれらの配列のいずれかと相補的な配列を含む、からなる、又はから本質的になるポリヌクレオチドを意味する。
【０４６２】
本発明のさらなる実施形態は、配列番号：２６のＣＳ−５ｂポリペプチド配列又はＣＳ−５ｂポリペプチド断片を認識する抗体に関する。好ましくは、その抗体は、ＣＳ−５ｂポリペプチのアミノ末端を認識する。また好ましくは、その抗体は非直鎖状エピトープを認識する。最も好ましくは、その抗体はＣＳ−５ｂには結合するが、ＣＳ−５には結合しない。本明細書で使用される「抗ＣＳ−５ｂ抗体」とは、ＣＳ−５ｂポリペプチドに特異的に結合する、抗体又はその抗原結合断片を意味する。
【０４６３】
本発明の実施形態は、ＣＳ−５ｂポリペプチドに抗ＣＳ−５ｂ抗を結合させる方法であって、結合を生じさせる条件下にて、ＣＳ−５ｂポリペプチドを前記抗体と接触させる工程を含む方法に関する。かかる条件は当業者にはよく知られている。かかる方法は、本明細書にさらに記述されるように、ＣＳ−５ｂポリペプチドの検出に有用である。
本発明の実施形態は、生体試料においてＣＳ−５ｂポリペプチドを検出する方法に関し、前記方法は、i)生体試料を抗ＣＳ−５ｂ抗体と接触させ、ii)形成された抗原−抗体複合体を検出する工程を含む。その抗ＣＳ−５ｂ抗体は、モノクローナル抗体又はポリクローナル抗体であることが可能である。さらに、その抗ＣＳ−５ｂ抗体は、一次的又は二次的に、当技術分野で一般的ないずれかの検出可能な化合物（例えば、放射性化合物、蛍光化合物、発光化合物、又は酵素化合物）によって標識することができる。かかる方法は、例えば、以下にさらに記述するように、妊娠の病理的症状の診断に適用することができる。
【０４６４】
本発明の実施形態は、生体試料におけるＣＳ−５ｂの発現を検出する方法に関し、前記方法は、i)個体から生体試料を採取し、ii)試料におけるＣＳ−５ｂＡの発現レベルを検出し、iii)前記試料におけるＣＳ−５ｂの発現レベルを対照試料におけるレベルと比較する工程を含む。かかる一実施形態において、前記生体試料は、妊娠中の個体から得られ、その方法は、妊娠の病理的症状を診断するために使用される。正常な個体におけるレベルを表す対照試料における発現レベルと比較して、前記生体試料におけるＣＳ−５ｂの発現レベルが低い場合には、例えば、糖尿病、子癇前症及び過敏性血管疾患などの妊娠と関連する母体疾患を発症するリスクを示すか、又は例えば、子宮内発育遅延、胎児発育遅延及び胎児仮死などの胎児疾患を示している。好ましくは、妊娠の病理的症状を示す前記レベルは、４マイクログラム／ミリリットル未満である、母体血漿中のＣＳ−５ｂ濃度に相当する。試料におけるＣＳ−５ｂの発現レベルは、いずれかの方法を用いて、例えば、試料中のＣＳ−５ｂ ｍＲＮＡ又はＣＳ−５ｂポリペプチドのレベルを検出することによって評価することができる。
【０４６５】
例えば、ウェスタンブロット法又は免疫化学技術及び細胞化学技術などのよく知られている多くの技術のいずれかを用いて、ＣＳ−５ｂの発現を検出することができる。好ましくは、抗ＣＳ−５ｂ抗体を使用して、ＣＳ−５ｂの発現レベルを検出する。また好ましくは、配列番号：２５のポリヌクレオチド配列又はその一部、又は配列番号：２５に相補的なポリヌクレオチド配列を含むポリヌクレオチドプローブを使用して、例えばノーザンブロット法又はＲＴＰＣＲ技術によってＣＳ−５ｂの発現レベルを検出する。
【０４６６】
本発明のその他の実施形態は、ＣＳ−５ｂポリペプチドの存在をインビトロで定量化するための診断キットに関する。かかるキットは、i)抗ＣＳ−５ｂ抗体、任意に、ii)形成された抗原−抗体複合体の検出を可能にする試薬を備える。前記抗体は、上述のように検出可能に標識されることが好ましい。あるいは、その任意の試薬は、検出可能なシグナルであってもよい。任意の試薬は、前記抗体に結合するか、又は前記抗体上の標識と反応する。抗ＣＳ−５ｂ抗体を備えるキットは、上記のような妊娠の病理学的症状の診断に使用されることが好ましい。任意に、前記診断キットは、正常な妊娠からのレベルを表す負の対照試料を備える。任意に、前記診断キットは、妊娠の特定の病理学的症状を有する個体からのレベルを表す正の対照試料を備える。かかるキットは、妊娠中に疾患を発症するリスクのある女性の集団を定義するのに非常に有用であり、したがって、予防的治療の恩恵を受けることができる。
【０４６７】
その他の実施形態は、i)ＣＳ−５ｂポリペプチドを発現する細胞を培養し、ii)産生されたタンパク質を精製する工程を含む、ＣＳ−５ｂポリペプチドを作製する方法に関する。そのタンパク質の精製は、当業者によく知られている多くの技術のいずれかに従って行うことができる。好ましくは、抗ＣＳ−５ｂ抗体をクロマトグラフィー担体に結合させて、アフィニティークロマトグラフィーカラムを形成することができる。あるいは、ＣＳ−５ｂポリペプチドを異種免疫原性ペプチドに融合させてもよく、その融合タンパク質は、異種ペプチドに特異的な抗体を用いて精製される。ＣＳ−５ｂポリペプチドを発現する細胞は、以下に記述するような組換え宿主細胞であることが好ましい。ＣＳ−５ｂポリペプチドの作製は、本発明でさらに記述される方法及び組成物において有用であり得る。
【０４６８】
本発明の好ましい態様は、プロモーターに作動可能に連結される、ＣＳ−５ｂポリペプチドをコードするポリヌクレオチドの宿主細胞組換え体である。１つの実施形態は、ＣＳ−５ｂポリペプチドをコードするポリヌクレオチドの宿主細胞組換え体を作製する方法であって、i)プロモーターに作動可能に連結される、ＣＳ−５ｂポリペプチドをコードする核酸配列を含む組換えベクターを作製し、ii)前記組換えベクターを細胞に導入する工程を含む方法に関する。好ましい実施形態では、前記細胞は大腸菌細胞、Ｃ１２７マウス細胞又はヒト細胞である。その開示内容全体が参照により本明細書に組み込まれる、米国特許第６，１３６，５６２号に記載されたように、グリコシル化及び非グリコシル化の両方の状態で活性ＣＳ−５ｂポリペプチドを作製する方法を行うことができる。その他の好ましい態様は、細胞に存在する場合には、ＣＳ−５ｂの発現に変化をもたらす、ポリヌクレオチドの宿主細胞組換え体である。ＣＳ−５ｂの発現を修飾することができるポリヌクレオチドの宿主細胞組換え体は、i)ＣＳ−５ｂ遺伝子を含む細胞を提供し、ii)ＣＳ−５ｂ発現を変化させるポリヌクレオチドを含む組換えベクターを、前記細胞に導入する工程を含む方法であって、前記細胞における前記ポリヌクレオチドの存在によって、前記組換えベクターが導入される前の前記細胞におけるＣＳ−５ｂの発現レベルと比較して、ＣＳ−５ｂの発現が増加又は低減する方法によって作製される。好ましくは、前記ポリヌクレオチドは、ＣＳ−５ｂ遺伝子の５’調節領域のすべて又は一部に挿入されるか、又はＣＳ−５ｂ遺伝子の５’調節領域のすべて又は一部と置き換わる。さらに好ましくは、前記ポリヌクレオチドは、ＣＳ−５ｂコード領域の５００塩基対内に位置する。前記ポリヌクレオチドはプロモーター配列を含むことが好ましい。内因性配列にポリヌクレオチド配列を導入するための当技術分野で公知の技術は、その開示内容全体が参照により本明細書に組み込まれる、米国特許第５，６４１，６７０号及び国際公開番号：Ｗ０９６２９４１１に記載されている。ＣＳ−５ｂポリペプチドを産生するかかる組換え宿主細胞を用いて、ＣＳ−５ｂポリペプチドを作製することができる。
【０４６９】
その他の好ましい実施形態は、ＣＳ−５ｂの発現を調節する能力について試験物質をスクリーニングする方法であって、i)細胞を試験物質と接触させ、ii)試験物質に暴露した後の細胞におけるＣＳ−５ｂの発現を、非暴露対照細胞における発現と比較する工程を含む方法に関し、暴露細胞と非暴露対照細胞との間で観察されるＣＳ−５ｂの発現の差異によって、試験物質がＣＳ−５ｂの発現を調節することを示す。ＣＳ−５ｂの発現は、当技術分野で一般的な、又は本明細書に包含される方法によって決定することができる。ＣＳ−５ｂの発現は、限定されないが、ＣＳ−５ｂポリヌクレオチドを定量化する方法（例えば、ノーザンブロット法又はＲＴＰＣＲによるＣＳ−５ｂ ｍＲＮＡの検出）又はＣＳ−５ｂポリペプチドを定量化する方法（例えば、ウェスタンブロット法又は免疫化学によるＣＳ−５ｂポリペプチドの検出）を含む、一般的な方法によって決定することが可能である。一実施形態において、その試験物質は特定の細胞型（好ましくは、脂肪細胞又は上皮細胞）ではＣＳ−５ｂの発現を修飾するが、他の細胞型では修飾しない。例えば、細胞、組織、又は個体におけるＣＳ−５ｂの発現を変化させるために、修飾因子を使用する方法と同様に、かかる方法を用いて同定される修飾因子もまた、本発明によって包含される。
【０４７０】
本発明のさらなる実施形態は、ＣＳ−５ｂの活性を調節する能力について試験物質をスクリーニングする方法であって、i)細胞を試験物質と接触させ、ii)試験物質に暴露した後の細胞におけるＣＳ−５ｂの活性を、非暴露対照細胞の活性と比較する項知恵を含む方法に関し、暴露細胞と非暴露対照細胞との間で観察されるＣＳ−５ｂの活性の差異によって、試験物質がＣＳ−５ｂの活性を調節することを示す。
【０４７１】
ＣＳ−５ｂの活性は、当技術分野で一般的な多くの技術のうちのいずれかによって決定することができる。例えば、その開示内容全体が参照により本明細書に組み込まれる米国特許第６，１３６，５６２号に記載されたように、例えば、３Ｔ３−Ｌ１脂肪細胞などの細胞においてインスリン刺激によるグルコース（例えば、［14Ｃ］−グルコース）の脂質への取り込みの阻害を測定することによって、ＣＳ−５ｂの活性をモニターすることができる。その代わりとして、その開示内容全体が参照により本明細書に組み込まれる、Vashdi-Elbergら(J Biol Chem. 271:5558-64 (1996))に記載されたように、例えば、結合実験及びインビトロバイオアッセイを用いて、プロラクチン受容体へのその結合を研究することによって、ＣＳ-５ｂの活性をモニターすることができる。例えば、細胞、組織又は個体におけるＣＳ-５ｂの活性を変化させるために、修飾因子を使用する方法と同様に、かかる方法を用いて同定される修飾因子もまた、本発明によって包含される。
【０４７２】
ＣＳ−５ｂの発現又は活性を低減する試験物質は、ＣＳ−５ｂアンタゴニストとして定義される。ＣＳ−５ｂの発現又は活性を増加する試験物質は、ＣＳ−５ｂアゴニストとして定義される。ＣＳ−５ｂの発現又は活性を調節する試験物質には、限定されないが、化学化合物（例えば、小分子阻害剤又は活性化剤）、オリゴヌクレオチド、アンチセンスポリヌクレオチド、ポリペプチド、リボザイム、ＣＳ−５ｂのドミナントネガティブ型及び抗ＣＳ−５ｂ抗体が含まれる。これらの物質は、当技術分野でよく知られている方法によって製造かつ使用することができる。かかる候補修飾因子としては、限定されないが、１，２５−ジヒドロキシビタミンＤ３、インターロイキン−６、インターロイキン−１、ＮＦ−ＩＬ転写因子、ｐｒｅβＨＤＬ及びａｐｏＡ−Ｉ、ならびにこれらの修飾因子の誘導体、変異体及び断片が挙げられる。
【０４７３】
本発明の実施形態は、プロラクチン受容体にＣＳ−５ｂポリペプチドを結合させる方法であって：結合を生じさせる条件下にて、ＣＳ−５ｂポリペプチドを前記プロラクチン受容体と接触させる工程を含む方法に関する。この方法は、例えば、その開示内容全体が参照により本明細書に組み込まれる、Vashdi-Elbergら(J Biol Chem. 271:5558-64 (1996))に記載されたようにインビトロで適用することが可能である。好ましい実施形態は、プララクチン受容体により仲介されるシグナル伝達を活性化するためにＣＳ−５ｂポリペプチドを使用する方法に関する。かかる方法は、エクスビボ又はインビボで適用することができる。プララクチン受容体仲介シグナル伝達をエクスビボで活性化する方法は：ＣＳ−５ｂポリペプチドとプロラクチン受容体を発現する細胞を、前記プロラクチン受容体の前記ＣＳ−５ｂポリペプチドとの結合を生じさせる条件下にて、接触させる工程を含む。プララクチン受容体仲介シグナル伝達をインビボで活性化する方法は、生理学的に許容される担体と、有効量のＣＳ−５ｂポリペプチド又はＣＳ−５ｂアゴニストとを個体に送達する工程を含む。この実施形態のコンテクストで使用される「有効量のＣＳ−５ｂポリペプチド又はＣＳ−５ｂアゴニスト」とは、プララクチン受容体仲介シグナル伝達を活性化するのに十分な量のＣＳ−５ｂポリペプチド又はＣＳ−５ｂアゴニストを意味する。かかる方法は、例えば、糖尿病、子癇前症又は過敏性血管疾患などの妊娠と関連する母体疾患を治療又は予防することに向けられることが好ましい。また好ましくは、前記方法は、例えば、子宮内発育遅延、胎児発育遅延及び胎児仮死などの胎児疾患を治療又はその疾患の重症度を低減することに向けられる。あるいは、かかる方法は、例えば、雌ウシ及びヒツジなどの哺乳動物の繁殖において、授乳状態の間の乳の産生、母性行動及び巣作り行動を刺激するために使用することができる。
【０４７４】
その他の実施形態は、脂肪細胞における脂質代謝を促進する方法であって、脂肪細胞をＣＳ−５ｂポリペプチドと接触させる工程を含む方法に関する。かかる方法は、脂肪細胞の培養物にインビトロで適用することができる。かかる方法は、生理学的に許容される担体と、ＣＳ−５ｂポリペプチド又はＣＳ−５ｂアゴニストとを個体に投与することによって、インビボで適用することも可能である。この実施形態のコンテクストで使用される「ＣＳ−５ｂポリペプチド又はＣＳ−５ｂアゴニスト」とは、脂肪細胞における脂質代謝を促進するのに十分な量のＣＳ−５ｂポリペプチド又はＣＳ−５ｂアゴニストを意味する。好ましくは、かかる方法は、肥満個体の脂肪分解率を高めることに向けられ、それによって肥満症の治療が提供される。この方法は、低カロリー食と組み合わせて適用されることが好ましい。
【０４７５】
一実施形態において、本発明は、哺乳動物における乳の産生を低減するために、ＣＳ−５ｂを阻害する方法を提供する。前記方法は、生理学的に許容される担体と、有効量のＣＳ−５ｂアンタゴニストとを含む薬剤組成物を個体に送達する工程を含む。本明細書で使用される「有効量のＣＳ−５ｂアンタゴニスト」とは、乳の産生を低減するのに十分な量のＣＳ−５ｂアンタゴニストを意味する。かかる方法は、子供を離乳させる際に、例えば乳の産生を止めるのに有用かもしれない。
【０４７６】
本発明のその他の実施形態は、プロラクチンアンタゴニストであるＣＳ−５ｂポリペプチド断片を同定する方法に関する。かかる方法は、i)ＣＳ−５ｂポリペプチド断片を提供し、ii)細胞をプロラクチン及び前記ＣＳ−５ｂポリペプチド断片と接触させ、iii)前記ＣＳ−５ｂポリペプチド断片に暴露した後の細胞におけるプロラクチン受容体仲介シグナル伝達を、プロラクチンにのみ暴露された対照細胞と比較する工程を含み、暴露細胞と非暴露細胞との間で観察されるプロラクチン受容体仲介シグナル伝達の減少によって、前記ＣＳ−５ｂポリペプチド断片がプロラクチンアンタゴニストであることを示す。プロラクチン受容体仲介シグナル伝達は、例えば、その開示内容全体が参照により本明細書に組み込まれる、Lingら(Endocrinology 142:4880-90 (2001))に記載されたように、インスリン誘導レプチンの産生をインビトロで決定することによって評価することが可能である。通常、プロラクチンアンタゴニストとして作用するＣＳ−５ｂポリペプチド断片は、機能性プロラクチン受容体結合ドメインを示すが、プロラクチン受容体仲介シグナル伝達に必要なアミノ酸又はドメインを欠く。
【０４７７】
本明細書でさらに使用される「Ｐａｃｓ−５ｂポリペプチド」とは、プロラクチンアンタゴニストとして作用するＣＳ−５ｂポリペプチド断片を意味する。プロラクチンアンタゴニストは、プロラクチンのプロフィールを変化させるか、又はリセットし、そのため、例えば、肥満症、高脂質血症、高血糖、高コレステロール血症、インスリン抵抗性及びＩＩ型糖尿病などの代謝異常を治療する方法において有用である。Ｐａｃｓ−５ｂポリペプチドは、例えば、その開示内容全体がどちらも参照により組み込まれる、米国特許第５，７６０，０４７号及び米国特許第４，６５９，７１５号に記載の方法においてブロモクリプチンの代わりに使用される。
【０４７８】
生理学的に許容される担体は、当業者に公知のいずれかの方法によって製造することができる。生理学的に許容される担体としては、限定されないが、その開示内容全体が参照により本明細書に組み込まれるRemington's Pharmaceutical Sciences (Mack Publishing Company, Easton, USA 1985)に記載の担体が挙げられる。ＣＳ−５ｂアゴニストと生理学的に許容される担体とを含む薬剤組成物は、例えば、静脈内、表面、直腸、局所、吸入、皮下、皮内、筋肉内、経口及び脳内投与用であることが可能である。その組成物は、液状（例えば、液剤、懸濁剤）、固形（例えば、丸剤、錠剤、坐剤）又は半固形（例えば、クリーム剤、ゲル剤）であることが可能である。投与されるべき投与量は、それぞれの必要性、望まれる効果、及び選択される投与経路に応じて異なる。
【０４７９】
さらに他の実施形態は、ＣＳ−５ｂポリペプチドをコードする核酸配列又はＣＳ−５ｂポリヌクレオチドに相補的なｃＤＮＡをコードする核酸配列を含む組換え分子を用いて遺伝子導入動物（例えば、マウス）を作製する方法に関する。遺伝子導入動物を作製する方法は当業者にはよく知られている。例えば、ＣＳ−５ｂ欠損マウスは、その開示内容全体が参照により本明細書に組み込まれる、米国特許第６，０８０，９１１号に従って作製することができる。一方、ＣＳ−５ｂを過剰発現する遺伝子導入マウスを作製することができる。かかる遺伝子導入動物は、低い又は高いラクトゲンレベルと関連する機能不全（例えば、胎児発育遅延）の動物モデルを得るのに、かつかかる疾患の治療における化学化合物の有用性を試験するのに、又はそれをスクリーニングするのに有用であり得る。
【０４８０】
配列番号：２８のタンパク質（内部指定クローン５００７１０５４２＿２０５−８−４−０−Ｆ１−Ｆ）
クローン５００７１０５４２＿２０５−８−４−０−Ｆ１−ＦのｃＤＮＡ（配列番号：２７）は、アミノ酸配列：ＭＡＱＬＣＧＬＲＲＳＲＡＦＬＡＬＬＧＳＬＬＬＳＧＶＬＡＡＤＲＥＲＳＩＨＥＮＡＴＧＤＬＡＴＳＲＮＡＡＤＳＳＶＰＳＡＰＲＲＱＤＳＥＤＨＳＳＤＭＦＮＹＥＥＹＣＴＡＮＡＶＴＧＰＣＲＡＳＦＰＲＷＹＦＤＶＥＲＮＳＣＮＮＦＩＹＧＧＣＲＧＮＫＮＳＹＲＳＥＥＡＣＭＬＲＣＦＲＱＱＥＮＰＰＬＰＬＧＳＫＶＶＶＬＡＧＬＦＶＭＶＬＩＬＦＬＧＡＳＭＶＹＬＩＲＶＡＲＲＮＱＥＲＡＬＲＴＶＷＳＳＧＤＤＫＥＱＬＶＫＮＴＹＶＬを含む、配列番号：２８のＰｌａｃｉｋをコードする。したがって、本明細書全体にわたり記載されている配列番号：２８のポリペプチドのすべての特性及び使用は、クローン５００７１０５４２＿２０５−８−４−０−Ｆ１−Ｆ中のヒトｃＤＮＡを含む核酸によってコードされるポリペプチドにも関係することは理解されよう。さらに、本明細書全体にわたり記載されている配列番号：＃＃のポリヌクレオチドのすべての特性及び使用は、クローン５００７１０５４２＿２０５−８−４−０−Ｆ１−Ｆ中のヒトｃＤＮＡを含む核酸にも関係することは理解されよう。本発明の好ましい実施形態は、配列番号：２８、配列番号：２７及びクローン５００７１０５４２＿２０５−８−４−０−Ｆ１−Ｆのヒトポリヌクレオチド及びポリペプチド組成物に対して向けられている。
【０４８１】
以下に記載の方法で使用される好ましいＰｌａｃｉｋポリペプチド断片としては、アミノ配列：ＡＤＲＥＲＳＩＨＥＮＡＴＧＤＬＡＴＳＲＮＡＡＤＳＳＶＰＳＡＰＲＲＱＤＳＥＤＨＳＳＤＭＦＮＹＥＥＹＣＴＡＮＡＶＴＧＰＣＲＡＳＦＰＲＷＹＦＤＶＥＲＮＳＣＮＮＦＩＹＧＧＣＲＧＮＫＮＳＹＲＳＥＥＡＣＭＬＲＣＦＲＱＱＥＮＰＰＬＰＬＧＳＫＶＶＶＬＡＧＬＦＶＭＶＬＩＬＦＬＧＡＳＭＶＹＬＩＲＶＡＲＲＮＱＥＲＡＬＲＴＶＷＳＳＧＤＤＫＥＱＬＶＫＮＴＹＶＬを含むＰｌａｃｉｋポリペプチドが挙げられる。本明細書に記載の生物活性を有するポリペプチド断片及びその断片をコードするポリヌクレオチドもまた好ましい。
【０４８２】
本発明のタンパク質、Ｐｌａｃｉｋは、胎盤ビクニン（ＳＰＩＮＴ２，ＥＭＢＬアクセッション番号ＡＡＣ０２７８１）の新規な、分泌スプライス及び多型バリアントである。第１エクソンはＰｌａｃｉｋ ｍＲＮＡ及びＳＰＩＮＴ２ ｍＲＮＡにおいて同一である。ＳＰＩＮＴ２ ｍＲＮＡの第２エクソンは、Ｐｌａｃｉｋ ｍＲＮＡに存在しない。以下の３つのエクソンは、どちらのｍＲＮＡにおいても同一である。さらに、配列番号：２８の−１７位に示されるアミノ酸は、Ｐｌａｃｉｋにおいてアルギニンであり、ＳＰＩＮＴ２においてプロリンである。Ｐｌａｃｉｋは、膵臓トリプシン阻害剤ファミリーシグネチャーと共に、シグナルペプチド（ＭＡＱＬＣＧＬＲＲＳＲＡＦＬＡＬＬＧＳＬＬＬＳＧＶＬＡ）及びＫｕｎｉｔｚ＿ＢＰＴＩドメイン（ＣＴＡＮＡＶＴＧＰＣＲＡＳＦＰＲＷＹＦＤＶＥＲＮＳＣＮＮＦＩＹＧＧＣＲＧＮＫＮＳＹＲＳＥＥＡＣＭＬＲＣ）を示す。得られる成熟Ｐｌａｃｉｋポリペプチドは１６８アミノ酸の長さである。配列番号：２８の１〜８位に示されるアミノ酸は、成熟ＳＰＩＮＴ２ポリペプチドのアミノ末端側８個のアミノ酸と同一であり、配列番号：２８の９〜１６８位に示されるアミノ酸は、成熟ＳＰＩＮＴ２ポリペプチドのカルボキシル末端側１６０個のアミノ酸と同一である。Ｐｌａｃｉｋは、ＳＰＩＮＴ２と比較して、５７アミノ酸のスパンを欠く。このように、２つのＫｕｎｉｔｚ＿ＢＰＴＩドメインを示すＳＰＩＮＴ２に対して、Ｐｌａｃｉｋは１つのＫｕｎｉｔｚ＿ＢＰＴＩドメインのみを示す。
【０４８３】
Ｐｌａｃｉｋは広域セリンプロテアーゼ阻害剤である。それは、プラスミン、カリクレイン及び第ＸＩＩ因子などの、血液凝固及び線維素溶解に関与するセリンプロテアーゼに対して阻害活性を及ぼす。カリクレイン及びプラスミンは、プロウロキナーゼ及びプラスミノゲンなどの線維素溶解性酵素前駆体をタンパク分解的に切断及び活性化するセリンプロテアーゼである。線維素溶解は、好中球の活性化、播種性血管内凝固症候群及び血管透過性の増加をもたらす。さらに、カリクレインは高分子量キニノーゲンを切断して、強力な血管拡張薬であるブラジキニンが形成される。このように、カリクレイン及びプラスミンは、線維素沈着及び溶解、血圧の調節、補体活性化及び炎症系の支持に関与する。さらに、いくつかの分子の相互作用が、線維素溶解系とマトリックスメタロプロテイナーゼ（ＭＭＰ）系との間で観察されており、どちらの系も、タンパク質分解活性を生じさせることと、及び癌細胞の浸潤を強めることにおいて協力し得る。ＳＰＩＮＴ２に対して、Ｐｌａｃｉｋは、肝細胞成長因子活性化剤を阻害しない。Ｐｌａｃｉｋは、限定されないが、胎盤、脳、腎臓、膵臓、前立腺、精巣、胸腺及び気管を含む、多種多様な組織において発現される。さらに、Ｐｌａｃｉｋは、膵癌細胞において過剰発現され、その発現はヒト神経膠腫の悪性度と反比例に相関する。
【０４８４】
本発明の実施形態は、配列番号：２８の又は配列番号：２８と少なくとも７０％、８０％、９０％、９５％、９６％、９７％、９８％、９９％以上の同一性を有するＰｌａｃｉｋポリペプチド配列を含む組成物に関する。
本発明のさらなる実施形態は、血液凝固又は線維素溶解に関与するセリンプロテアーゼを阻害するＰｌａｃｉｋポリペプチド断片を含む組成物に関する。
【０４８５】
本明細書で使用される「Ｐｌａｃｉｋポリペプチド」とは、配列番号：２８の又は配列番号：２８と少なくとも７０％、８０％、９０％、９５％、９６％、９７％、９８％、９９％以上同一のＰｌａｃｉｋポリペプチド配列又は配列番号：２８の８位及び９位に示される隣接アミノ酸を含み、かつ血液凝固又は線維素溶解に関与するセリンプロテアーゼを阻害する生物活性を有するＰｌａｃｉｋポリペプチド断片のいずれかを意味する。
【０４８６】
本発明の実施形態は、Ｐｌａｃｉｋポリペプチドをコードする配列番号：２７のポリヌクレオチド配列を含む組成物に関する。
本発明のさらなる実施形態は、Ｐｌａｃｉｋポリペプチドをコードするポリヌクレオチド配列を含む組成物に関する。
本発明でさらに使用される「Ｐｌａｃｉｋポリヌクレオチド」とは、配列番号：２７の、又は配列番号：２７と少なくとも７０％、８０％、９０％、９５％以上の同一性を有するＰｌａｃｉｋポリヌクレオチド配列、Ｐｌａｃｉｋポリペプチドをコードするヌクレオチド配列、又はこれらの配列のいずれかに相補的な配列のいずれかを意味する。
【０４８７】
本発明のさらなる実施形態は、Ｐｌａｃｉｋポリペプチドを認識する抗体に関する。好ましくは、その抗体はＰｌａｃｉｋには特異的に結合するが、ＳＰＩＮＴ２には特異的に結合しない。本明細書で使用される「抗Ｐｌａｃｉｋ抗体」とは、Ｐｌａｃｉｋポリペプチドに特異的に結合する、抗体又はその抗原結合断片を意味する。
本発明の実施形態は、抗Ｐｌａｃｉｋ抗体をＰｌａｃｉｋポリペプチドに結合させる方法であって、結合を生じさせる条件下にて、Ｐｌａｃｉｋポリペプチドを前記抗体と接触させる工程を含む方法に関する。かかる条件は当業者にはよく知られている。かかる方法は、本明細書にさらに記述されるように、Ｐｌａｃｉｋポリペプチドの検出に有用である。
【０４８８】
本発明の実施形態は、生体試料におけるＰｌａｃｉｋポリペプチドを検出する方法に関し、前記方法は、i)生体試料を抗Ｐｌａｃｉｋ抗体と接触させ、ii)形成された抗原−抗体複合体を検出する工程を含む。その抗Ｐｌａｃｉｋ抗体は、モノクローナル抗体又はポリクローナル抗体であることが可能である。さらに、その抗Ｐｌａｃｉｋ抗体は、一次的又は二次的に、当技術分野で一般的ないずれかの検出可能な化合物（例えば、放射性化合物、蛍光化合物、発光化合物、又は酵素化合物）によって標識することができる。かかる方法は、例えば、以下にさらに記述するように、膵癌又は神経膠腫の診断に適用することができる。
【０４８９】
本発明の実施形態は、生体試料におけるＰｌａｃｉｋの発現を検出する方法に関し、前記方法は、i)個体から生体試料を採取し、ii)試料におけるＰｌａｃｉｋの発現レベルを検出し、iii)前記試料におけるＰｌａｃｉｋの発現レベルを対照試料におけるレベルと比較する工程を含む。かかる一実施形態において、前記生体試料は、膵臓癌に罹患している疑いのある個体から得られ、その方法は、膵臓癌を診断するために使用される。正常な個体におけるレベルを表す対照試料における発現レベルと比較して、前記生体試料におけるＰｌａｃｉｋの発現レベルが高い場合には、膵臓癌が存在することを示している。
【０４９０】
その他のかかる実施形態において、前記生体試料は、神経膠腫、例えば未分化星状細胞腫又は膠芽腫に罹患している疑いのある個体から得られる。正常な個体におけるレベルを表す対照試料における発現レベルと比較して、前記生体試料におけるＰｌａｃｉｋの発現レベルが低い場合には、神経膠腫が存在することを示している。試料におけるＰｌａｃｉｋの発現レベルは、いずれかの方法を用いて、例えば試料中のＰｌａｃｉｋ ｍＲＮＡ又はＰｌａｃｉｋポリペプチドのレベルを検出することによって評価することができる。例えば、ウェスタンブロット法、免疫化学技術及び細胞化学技術などのよく知られている多くの技術のいずれかを用いて、Ｐｌａｃｉｋの発現を検出することができる。好ましくは、抗Ｐｌａｃｉｋ抗体を使用して、Ｐｌａｃｉｋの発現レベルを検出する。また好ましくは、配列番号：２７のポリヌクレオチド配列又はその一部又は配列番号：２７に相補的なポリヌクレオチド配列を含むポリヌクレオチドプローブを使用して、例えば、ノーザンブロット法又はＲＴＰＣＲ技術によってＰｌａｃｉｋの発現レベルを検出する。  本発明の他の実施形態は、Ｐｌａｃｉｋポリペプチドの存在をインビトロで定量化するための診断キットに関する。かかるキットは、i)抗Ｐｌａｃｉｋ抗体、任意に、ii)形成された抗原−抗体複合体の検出を可能にする試薬を備える。前記抗体は、上述のように検出可能に標識されることが好ましい。あるいは、その任意の試薬は、検出可能なシグナルであってもよい。任意の試薬は、前記抗体に結合するか、又は前記抗体上の標識と反応する。抗Ｐｌａｃｉｋ抗体を備えるキットは、膵臓癌の診断に、又は神経膠腫の検出又は神経膠腫の悪性度の決定に使用されることが好ましい。任意に、前記診断キットは、正常な個体からのレベルを表す負の対照試料を備える。任意に、前記診断キットは、膵臓癌又は神経膠腫に罹患している個体からのレベルを表す正の対照試料を備える。
【０４９１】
その他の実施形態は、i)Ｐｌａｃｉｋポリペプチドを発現する細胞を培養し、ii)産生されたタンパク質を精製する工程を含む、Ｐｌａｃｉｋポリペプチドを作製する方法に関する。そのタンパク質の精製は、業者によく知られているいずれかの技術に従って行うことができる。好ましくは、抗Ｐｌａｃｉｋ抗体をクロマトグラフィー担体に結合させて、アフィニティークロマトグラフィーカラムを形成することができる。あるいは、Ｐｌａｃｉｋポリペプチドを異種免疫原性ペプチドに融合させてもよく、その融合タンパク質は、異種ペプチドに特異的な抗体を用いて精製される。Ｐｌａｃｉｋポリペプチドを発現する細胞は、以下に記述するような組換え宿主細胞であることが好ましい。Ｐｌａｃｉｋポリペプチドの作製は、本明細書でさらに記述されるような方法及び組成物において有用であり得る。
【０４９２】
本発明の好ましい態様は、プロモーターに作動可能に連結される、Ｐｌａｃｉｋポリペプチドをコードするポリヌクレオチドの宿主細胞組換え体である。１つの実施形態は、Ｐｌａｃｉｋポリペプチドをコードするポリヌクレオチドの宿主細胞組換え体を作製する方法であって、i)プロモーターに作動可能に連結される、Ｐｌａｃｉｋポリペプチドをコードする核酸配列を含む組換えベクターを作製し、ii)前記組換えベクターを細胞に導入する工程を含む方法に関する。好ましい実施形態では、前記細胞は大腸菌細胞又はヒト細胞である。その他の好ましい態様は、細胞に存在する場合には、Ｐｌａｃｉｋの発現に変化をもたらす、ポリヌクレオチドの宿主細胞組換え体である。Ｐｌａｃｉｋの発現を修飾することができるポリヌクレオチドの宿主細胞組換え体は、i)Ｐｌａｃｉｋ遺伝子を含む細胞を提供し、ii)Ｐｌａｃｉｋ発現を変化させるポリヌクレオチドを含む組換えベクターを、前記細胞に導入する工程を含む方法であって、前記細胞における前記ポリヌクレオチドの存在によって、前記組換えベクターが導入される前の前記細胞におけるＰｌａｃｉｋの発現レベルと比較して、Ｐｌａｃｉｋの発現が増加又は低減する方法によって作製される。好ましくは、前記ポリヌクレオチドは、Ｐｌａｃｉｋ遺伝子の５’調節領域のすべて又は一部に挿入されるか、又はＰｌａｃｉｋ遺伝子の５’調節領域のすべて又は一部と置き換わる。さらに好ましくは、前記ポリヌクレオチドは、Ｐｌａｃｉｋコード領域の５００塩基対内に位置する。前記ポリヌクレオチドはプロモーター配列を含むことが好ましい。内因性配列にポリヌクレオチド配列を導入するための当技術分野で公知の技術は、その開示内容全体が参照により本明細書に組み込まれる、米国特許第５，６４１，６７０号及び国際公開番号：Ｗ０９６２９４１１に記載されている。Ｐｌａｃｉｋポリペプチドを産生するかかる組換え宿主細胞を用いて、Ｐｌａｃｉｋポリペプチドを作製することができる。Ｐｌａｃｉｋポリペプチドを産生するかかる組換え宿主細胞を用いて、Ｐｌａｃｉｋポリペプチドを作製することができる。
【０４９３】
本発明の好ましい実施形態は、セリンプロテアーゼを結合及び／又は阻害するためにＰｌａｃｉｋを使用する方法である。この方法は、Ｐｌａｃｉｋの結合を可能にする条件下にて、Ｐｌａｃｉｋポリペプチド又はその活性断片を接触させ、結合によって前記セリンプロテアーゼの活性が阻害される工程を含む。好ましいセリンプロテアーゼとしては、プラスミン、カリクレイン及び第ＸＩａ因子が挙げられる。この方法は、例えば、インビトロ用途（例えば、プロテアーゼの精製及びタンパク質分解の検出又は予防）に適用することができる。
【０４９４】
本発明の好ましい実施形態は、セリンプロテアーゼを精製する方法である。この方法は、i)結合を可能にする条件下にて、セリンプロテアーゼを含有する溶液又は試料と、担体上に固定化されたＰｌａｃｉｋポリペプチドを接触させ、ii)前記担体から混入物を取り除き、iii)結合したセリンプロテアーゼを前記担体から溶出する工程を含む。好ましくは、Ｐｌａｃｉｋペプチドを固体又は半固体マトリックス上に固定化し、混入物を除去するための試料の洗浄を容易にする。好ましいセリンプロテアーゼとしては、プラスミン、カリクレイン及び第ＸＩａ因子が挙げられる。これらは、通常の生物学的液体、例えば、細胞培養培地及び体液（例えば、血清、血液又はリンパ液）から精製される。精製されたプロテアーゼは、生物学的アッセイ及び培養皿からの付着細胞の除去及び部位特異的なペプチドの設計などの技術において有用である。
【０４９５】
その他の好ましい実施形態は、Ｐｌａｃｉｋの発現を調節する能力について試験物質をスクリーニングする方法であって、i)細胞を試験物質と接触させ、ii)試験物質に暴露した後の細胞におけるＰｌａｃｉｋの発現を、非暴露対照細胞における発現と比較する工程を含む方法に関し、暴露細胞と非暴露対照細胞との間で観察されるＰｌａｃｉｋの発現の差異によって、試験物質がＰｌａｃｉｋの発現を調節することを示す。Ｐｌａｃｉｋの発現は、限定されないが、Ｐｌａｃｉｋポリヌクレオチドを定量化する方法（例えば、ノーザンブロット法又はＲＴＰＣＲによるＰｌａｃｉｋ ｍＲＮＡの検出）又はＰｌａｃｉｋポリペプチドを定量化する方法（例えば、ウェスタンブロット法又は免疫化学によるＰｌａｃｉｋポリペプチドの検出）を含む、当技術分野で一般的な方法によって決定することが可能である。一実施形態において、その試験物質は特定の細胞型ではＰｌａｃｉｋの発現を修飾するが、他の細胞型では修飾しない。例えば、細胞、組織又は個体におけるＰｌａｃｉｋの発現を変化させるために、修飾因子を使用する方法と同様に、かかる方法を用いて同定される修飾因子もまた、本発明によって包含される。
【０４９６】
本発明のさらなる実施形態は、Ｐｌａｃｉｋの活性を調節する能力について試験物質をスクリーニングする方法であって、i)細胞を試験物質と接触させ、ii)試験物質に暴露した後の細胞におけるＰｌａｃｉｋの活性を、非暴露対照細胞の活性と比較する工程を含む方法に関し、暴露細胞と非暴露対照細胞との間で観察されるＰｌａｃｉｋの活性の差異によって、試験物質がＰｌａｃｉｋの活性を調節することを示す。Ｐｌａｃｉｋの活性は、当技術分野で一般的な多くの技術のうちのいずれかによって決定することができる。その開示内容全体が参照により本明細書に組み込まれる、Delariaら(J Biol Chem. 272:12209-14 (1997))に記載されたように、例えばトリプシン、血漿カリクレイン、組織カリクレイン又はプラスミンに対するその阻害活性をインビトロで測定することによって、Ｐｌａｃｉｋの活性をモニターすることができる。あるいは、その開示内容全体が参照により本明細書に組み込まれる、Hamasunaら(Int J Cancer 93:339-45 (2001))に記載されたように、例えば、膠芽腫細胞系の線維素溶解活性を測定することによって、又はＵ２５１及びＹＫＧ−１細胞のマトリゲルへの浸潤を測定することによって、Ｐｌａｃｉｋ活性をモニターすることもできる。例えば、細胞、組織又は個体におけるＰｌａｃｉｋの活性を変化させるために、修飾因子を使用する方法と同様に、かかる方法を用いて同定される修飾因子もまた、本発明によって包含される。
【０４９７】
Ｐｌａｃｉｋの発現又は活性を低減する試験物質は、Ｐｌａｃｉｋアンタゴニストとして定義される。Ｐｌａｃｉｋの発現又は活性を増加する試験物質は、Ｐｌａｃｉｋアゴニストとして定義される。Ｐｌａｃｉｋの発現又は活性を調節する試験物質には、限定されないが、化学化合物（例えば、小分子阻害剤又は活性化剤）、オリゴヌクレオチド、アンチセンスポリヌクレオチド、ポリペプチド、リボザイム、Ｐｌａｃｉｋのドミナントネガティブ型及び抗Ｐｌａｃｉｋ抗体が含まれる。これらの物質は、当技術分野でよく知られている方法によって製造かつ使用することができる。
【０４９８】
本発明の実施形態は、試料中に混入しているプロテアーゼを阻害するためにＰｌａｃｉｋポリペプチドを使用する方法に関する。かかる方法は、Ｐｌａｃｉｋの活性を可能にする条件下にて、プロテアーゼ阻害量のＰｌａｃｉｋポリペプチドを溶液に添加する工程を含む。好ましくは、前記プロテアーゼは、カリクレイン、プラスミン又は第ＸＩａ因子である。好ましくは、Ｐｌａｃｉｋポリペプチドは、プロテアーゼのいずれかの特異性を必ずしも知ることなく、広範囲のプロテアーゼを阻害することができるプロテアーゼ阻害剤の「カクテル」中に含まれる。かかるプロテアーゼ阻害剤カクテルは、混入プロテアーゼによるいずれかのタンパク質試料の分解を防ぐために、実験アッセイで広く使用されている。
【０４９９】
本発明のその他の実施形態は、細胞におけるカリクレイン又はプラスミンを阻害するためにＰｌａｃｉｋポリペプチドを使用する方法に関する。かかる方法は、Ｐｌａｃｉｋの活性を可能にする条件下にて、カリクレイン阻害量又はプラスミン阻害量のＰｌａｃｉｋポリペプチド又はＰｌａｃｉｋアゴニストと細胞を接触させる工程を含む。かかる方法は、いずれかの細胞型、最も好ましくは好中球、内皮細胞又は腫瘍細胞において行うことができる。
【０５００】
かかる一実施形態において、細胞におけるカリクレイン又はプラスミンを阻害するためにＰｌａｃｉｋポリペプチドを使用する前記方法は、個体において線維素溶解を低減することに向けられる。かかる方法は、生理学的に許容される担体と、有効量のＰｌａｃｉｋポリペプチド又はＰｌａｃｉｋアゴニストとを個体に送達する工程を含む。この実施形態のコンテクストで使用される「有効量のＰｌａｃｉｋポリペプチド又はＰｌａｃｉｋアゴニスト」とは、カリクレイン及び／又はプラスミンのタンパク質分解活性を阻害するのに十分な量のＰｌａｃｉｋポリペプチド又はＰｌａｃｉｋアゴニストを意味する。好ましくは、かかる方法は、例えば、敗血症又は敗血症性ショック、炎症、急性呼吸窮迫症候群、播種性血管内凝固症候群、低血圧、心肺バイパス手術及び術後の出血などの、カリクレイン及びプラスミンの阻害が示される疾患を治療又は予防することに向けられる。Ｋｕｎｉｔｚ型プロテアーゼ阻害剤を送達する方法は、例えば、その開示内容全体が参照により本明細書に組み込まれる、米国特許第５，４０７，９１５号及び米国特許第５，７８６，３２８号に記載されている。ＳＰＩＮＴ２及びビクニンと比較して、Ｐｌａｃｉｋポリペプチドは、ＨＧＦ活性化剤を阻害せず、かつ線維素溶解系に関与する酵素に特異的であるという利点を提供する。
【０５０１】
本発明のその他の実施形態は、哺乳動物において、又は組織培養物においてＥＣＭ分解を防ぐ又は低減するために、Ｐｌａｃｉｋポリペプチド及びＰｌａｃｉｋアゴニストを使用する方法に関する。かかる方法は、生理学的に許容される担体と、有効量のＰｌａｃｉｋポリペプチド又はＰｌａｃｉｋアゴニストとを個体又は組織に送達する工程を含む。この実施形態のコンテクストで使用される「有効量のＰｌａｃｉｋポリペプチド又はＰｌａｃｉｋアゴニスト」とは、ＥＣＭ分解を抑制又は低減するのに十分な量のＰｌａｃｉｋポリペプチド又はＰｌａｃｉｋアゴニストを意味する。好ましくは、ＥＣＭ分解を防ぐ、又は低減するためのかかる方法は、悪性細胞による分解からＥＭＣを保護し、したがって、悪性腫瘍の浸潤及び広がりをブロックすることに向けられる。最も好ましくは、Ｐｌａｃｉｋポリペプチドを含む組成物は、例えば、腫瘍成長、内皮細胞増殖及び腫瘍成長と関連する血管形成などの異常な又は望ましくない細胞増殖を有する個体に投与される。本発明の組成物で治療することができる腫瘍には、限定されないが、膵臓癌、神経膠腫、未分化星状細胞腫及び膠芽腫が含まれる。かかる一実施形態において、Ｐｌａｃｉｋポリペプチドを、治療される腫瘍に特異的な標的分子に融合してもよい。治療される腫瘍に特異的な前記標的分子には、限定されないが、腫瘍細胞上に特異的に発現される受容体又は抗原を認識する、リガンド及び抗体が含まれる。多くの腫瘍関連抗原が科学文献に記述されている。例えば、その開示内容全体が参照により本明細書に組み込まれる、Wikstrandら(Cancer Metastasis Rev 18:451-64 (1999))によって記述されている抗原及び技術を用いることができる。あるいは、腫瘍の脈管構造を認識するリガンドに、Ｐｌａｃｉｋポリペプチドを連結してもよい。固形腫瘍の脈管構にＰｌａｃｉｋポリペプチドを標的化するための好ましい方法は、その開示内容全体が参照により本明細書に組み込まれる、米国特許第６，００４，５５４号に記述されている。
【０５０２】
Ｐｌａｃｉｋポリペプチド又はＰｌａｃｉｋ修飾因子の有効な投薬量は、例えば、用量反応曲線を確立する日常試験によって、当業者により容易に決定することができる。通常の投与計画は、例えば、ビクニン、ＳＰＩＮＴ２及びアプロチニンなどの他の類似のタンパク質を使用することにより、上記の疾患の治療に類似しているだろう。生理学的に許容される担体と、Ｐｌａｃｉｋポリペプチド又はＰｌａｃｉｋ修飾因子とを含む組成物の投与頻度及び投与量は、治療される特定の疾患、その重症度、用いられるＰｌａｃｉｋポリペプチド又はＰｌａｃｉｋ修飾因子の性質、個体の全体的な状態及び治療を施す医師の判断によるだろう。
【０５０３】
本明細書において使用される「生理学的に許容される担体」という用語は、個体及び用いられるＰｌａｃｉｋポリペプチド又はＰｌａｃｉｋアゴニストと適合性であり、かつ動物及びさらに特にはヒトにおける使用に関して、連邦政府又は州政府の管理機関によって承認されているか、又は米国薬局方又は他の一般に認知されている薬局方において示されている組成物を意味する。前記生理学的に許容される担体としては、限定されないが、溶液及び懸濁液、例えば、生物学的バッファー（例えば、リン酸緩衝液、生理食塩及びダルベッコ培地）、デンプン、糖、微結晶性セルロース、希釈剤、顆粒化剤、潤滑剤、結合剤及び崩壊剤が挙げられる。生理学的に許容される担体と、本発明のポリペプチド又は修飾因子とを含む組成物は、例えば、静脈内、非経口、表面、経口又は局所（例えば、エアロゾル及び経皮的）投与又はそのいずれかの組み合わせなどの適切な方法で投与される。好ましい投与経路は、静脈内及び経口投与を含む。
【０５０４】
さらに他の実施形態は、Ｐｌａｃｉｋポリペプチドをコードする核酸配列又はＰｌａｃｉｋポリヌクレオチドに相補的なｃＤＮＡをコードする核酸配列を含む組換え分子を用いて遺伝子導入動物（例えば、マウス）を作製する方法に関する。遺伝子導入動物を作製する方法は当業者にはよく知られている。例えば、遺伝子導入マウスは、その開示内容全体が参照により本明細書に組み込まれる米国特許第４，７３６，８６６、又は米国特許第５，６１４，３９６号に従って作製することができる。一方、Ｐｌａｃｉｋを過剰発現する遺伝子導入マウスを作製することができる。かかる遺伝子導入動物は、悪性腫瘍の浸潤及び広がりの素因が与えられた動物モデルを得るのに、急性呼吸窮迫症候群及び播種性血管内凝固症候群などの疾患の動物モデルを得るのに、又はかかる疾患の治療における化学化合物の有用性を試験するのに有用であり得る。
【０５０５】
配列番号：３０のタンパク質（内部指定クローン５００７２８４１３＿２０４−５３−２−０−Ｂ２−Ｆ）
クローン５００７２８４１３＿２０４−５３−２−０−Ｂ２−ＦのｃＤＮＡ（配列番号：２９）は、アミノ酸配列：ＭＴＶＡＲＰＳＶＰＡＡＬＰＬＬＧＥＬＰＲＬＬＬＬＶＬＬＣＬＰＡＶＷＧＤＣＧＬＰＰＤＶＰＮＡＱＰＡＬＥＧＲＴＳＦＰＥＤＴＶＩＴＹＫＣＥＥＳＦＶＫＩＰＧＥＫＤＳＶＩＣＬＫＧＳＱＷＳＤＩＥＥＦＣＮＱＫＳＣＰＮＰＧＥＩＲＮＧＱＩＤＶＰＧＧＩＬＦＧＡＴＩＳＦＳＣＮＴＧＹＫＬＦＧＳＴＳＳＦＣＬＩＳＧＳＳＶＱＷＳＤＰＬＰＥＣＲＥＩＹＣＰＡＰＰＱＩＤＮＧＩＩＱＧＥＲＤＨＹＧＹＲＱＳＶＴＹＡＣＮＫＧＦＴＭＩＧＥＨＳＩＹＣＴＶＮＮＤＥＧＥＷＳＧＰＰＰＥＣＲＧＫＳＬＴＳＫＶＰＰＴＶＱＫＰＴＴＶＮＶＰＴＴＥＶＳＰＴＳＱＫＴＴＴＫＴＴＴＰＮＡＱＡＴＲＳＴＰＶＳＲＴＴＫＨＦＨＥＴＴＰＮＫＧＳＧＴＴＳＧＴＴＲＬＬＳＧＨＴＣＦＴＬＴＧＬＬＧＴＬＶＴＭＧＬＬＴを含む、配列番号：３０のＣｏｄｅａｃをコードする。
【０５０６】
したがって、本明細書全体にわたり記載されている配列番号：３０のポリペプチドのすべての特性及び使用は、クローン５００７２８４１３＿２０４−５３−２−０−Ｂ２−Ｆ中のヒトｃＤＮＡを含む核酸によってコードされるポリペプチドにも関係することは理解されよう。さらに、本明細書全体にわたり記載されている配列番号：＃＃のポリヌクレオチドのすべての特性及び使用は、クローン５００７２８４１３＿２０４−５３−２−０−Ｂ２−Ｆ中のヒトｃＤＮＡを含む核酸にも関係することは理解されよう。本発明の好ましい実施形態は、配列番号：３０、配列番号：２９及びクローン５００７２８４１３＿２０４−５３−２−０−Ｂ２−Ｆのヒトポリヌクレオチド及びポリペプチド組成物に対して向けられている。以下に記載の方法で使用される好ましいＣｏｄｅａｃポリペプチド断片としては、アミノ酸配列：ＤＣＧＬＰＰＤＶＰＮＡＱＰＡＬＥＧＲＴＳＦＰＥＤＴＶＩＴＹＫＣＥＥＳＦＶＫＩＰＧＥＫＤＳＶＩＣＬＫＧＳＱＷＳＤＩＥＥＦＣＮＱＫＳＣＰＮＰＧＥＩＲＮＧＱＩＤＶＰＧＧＩＬＦＧＡＴＩＳＦＳＣＮＴＧＹＫＬＦＧＳＴＳＳＦＣＬＩＳＧＳＳＶＱＷＳＤＰＬＰＥＣＲＥＩＹＣＰＡＰＰＱＩＤＮＧＩＩＱＧＥＲＤＨＹＧＹＲＱＳＶＴＹＡＣＮＫＧＦＴＭＩＧＥＨＳＩＹＣＴＶＮＮＤＥＧＥＷＳＧＰＰＰＥＣＲＧＫＳＬＴＳＫＶＰＰＴＶＱＫＰＴＴＶＮＶＰＴＴＥＶＳＰＴＳＱＫＴＴＴＫＴＴＴＰＮＡＱＡＴＲＳＴＰＶＳＲＴＴＫＨＦＨＥＴＴＰＮＫＧＳＧＴＴＳＧＴＴＲＬＬＳＧＨＴＣＦＴＬＴＧＬＬＧＴＬＶＴＭＧＬＬＴを含むＣｏｄｅａｃポリペプチドが挙げられる。
【０５０７】
以下に記載の方法で使用される最も好ましいＣｏｄｅａｃポリペプチド断片としては、アミノ酸配列：ＤＣＧＬＰＰＤＶＰＮＡＱＰＡＬＥＧＲＴＳＦＰＥＤＴＶＩＴＹＫＣＥＥＳＦＶＫＩＰＧＥＫＤＳＶＩＣＬＫＧＳＱＷＳＤＩＥＥＦＣＮＱＫＳＣＰＮＰＧＥＩＲＮＧＱＩＤＶＰＧＧＩＬＦＧＡＴＩＳＦＳＣＮＴＧＹＫＬＦＧＳＴＳＳＦＣＬＩＳＧＳＳＶＱＷＳＤＰＬＰＥＣＲＥＩＹＣＰＡＰＰＱＩＤＮＧＩＩＱＧＥＲＤＨＹＧＹＲＱＳＶＴＹＡＣＮＫＧＦＴＭＩＧＥＨＳＩＹＣＴＶＮＮＤＥＧＥＷＳＧＰＰＰＥＣＲＧＫＳＬＴＳＫＶＰＰＴＶＱＫＰＴＴＶＮＶＰＴＴＥＶＳＰＴＳＱＫＴＴＴＫＴＴＴＰＮＡＱＡＴＲＳＴＰＶＳＲＴＴＫＨＦＨＥＴＴＰＮＫＧＳＧＴＴＳＧを含むＣｏｄｅａｃポリペプチドが挙げられる。本明細書に記載の生物活性を有するポリペプチド断片及びその断片をコードするポリヌクレオチドもまた好ましい。
【０５０８】
本発明のタンパク質、Ｃｏｄｅａｃは、補体崩壊促進因子（ＣＤ５５，ＥＭＢＬアクセッション番号Ｍ３１５１６）の新規な分泌スプライスバリアントである。第１エクソン及び第２エクソンは、Ｃｏｄｅａｃ ｍＲＮＡ及びＣＤ５５ ｍＲＮＡにおいて同一である。ＣＤ５５ ｍＲＮＡの第３エクソンは、Ｃｏｄｅａｃ ｍＲＮＡには存在しない。以下の５つのエクソンは、両方のｍＲＮＡにおいて同一である。Ｃｏｄｅａｃは、シグナルペプチド（ＭＴＶＡＲＰＳＶＰＡＡＬＰＬＬＧＥＬＰＲＬＬＬＬＶＬＬＣＬＰＡＶＷＧ）、成熟型で除去される、カルボキシル末端のプロペプチド（ＴＴＲＬＬＳＧＨＴＣＦＴＬＴＧＬＬＧＴＬＶＴＭＧＬＬＴ）及び３つのｓｕｓｈｉドメイン（ＣＧＬＰＰＤＶＰＮＡＱＰＡＬＥＧＲＴＳＦＰＥＤＴＶＩＴＹＫＣＥＥＳＦＶＫＩＰＧＥＫＤＳＶＩＣＬＫＧＳＱＷＳＤＩＥＥＦＣＮ、ＳＣＰＮＰＧＥＩＲＮＧＱＩＤＶＰＧＧＩＬＦＧＡＴＩＳＦＳＣＮＴＧＹＫＬＦＧＳＴＳＳＦＣＬＩＳＧＳＳＶＱＷＳＤＰＬＰＥＣＲ及びＣＰＡＰＰＱＩＤＮＧＩＩＱＧＥＲＤＨＹＧＹＲＱＳＶＴＹＡＣＮＫＧＦＴＭＩＧＥＨＳＩＹＣＴＶＮＮＤＥＧＥＷＳＧＰＰＰＥＣＲＧＫＳ）を示す。得られる成熟Ｃｏｄｅａｃポリペプチドは、２５６アミノ酸の長さである。配列番号：３０の１〜６１位のアミノ酸は、成熟ＣＤ５５ポリペプチドのアミノ末端側６１個のアミノ酸と同一である。配列番号：３０の６２位のグルタミンは、Ｃｏｄｅａｃに固有である。配列番号：３０の６３〜２５６位のアミノ酸は、ＥＭＢＬアクセッション番号Ｍ３１５１６で示されるＣＤ５５ポリペプチドの１６１〜３５４位のアミノ酸と同一である。Ｃｏｄｅａｃは、ＣＤ５５と比較して６４アミノ酸のスパンを欠く。このように、４つのｓｕｓｈｉドメインを示すＣＤ５５に対して、Ｃｏｄｅａｃは、ＣＤ５５の２番目のｓｕｓｈｉドメインを欠き、３つのｓｕｓｈｉドメインのみを示す。
【０５０９】
Ｃｏｄｅａｃは、補体活性化ファミリーの制御因子のメンバーであるＧＰＩアンカー型タンパク質である。それは、広範な組織分布を有し、多くの異なる細胞型にて高レベルで発現される。特に、Ｃｏｄｅａｃは、細胞外コンパートメントを被覆（lining）する上皮細胞上、ならびに血漿、体液及び細胞外マトリックスと接触している細胞上で発現する。Ｃｏｄｅａｃの細胞のリガンドは、ＣＤ９７であり、ＥＧＦ−ＴＭ７ファミリーのメンバーである。ＣＤ９７は、顆粒球及び単球上で構成的に発現され、活性化Ｔ細胞及びＢ細胞上で迅速にアップレギュレートされる。Ｃｏｄｅａｃ−ＣＤ９７の相互作用は、接着において、ならびに正常な炎症反応及び免疫応答内のシグナル伝達において役割を担う。
【０５１０】
さらに、Ｃｏｄｅａｃは、様々なウイルス及び細菌病原体に対して受容体として機能する。したがって、Ｃｏｄｅａｃは、感染状態における結合病原体の保有体（reservoir）の維持に、病原体上の膜侵襲複合体の集合の阻害に、及びウイルス溶解性細胞感染の仲介に貢献する。ＣＤ５５に対して、Ｃｏｄｅａｃは、補体系のＣ３ｂ及びＣ４ｂコンバターゼに結合せず、それらの表面上の自己補体の活性化から宿主細胞を保護しない。
【０５１１】
本発明の実施形態は、配列番号：３０の、配列番号：３０と少なくとも７０％、８０％、９０％、９５％、９６％、９７％、９８％、９９％以上の同一性を有するＣｏｄｅａｃポリペプチド配列を含む組成物に関する。
本発明のさらなる実施形態は、ＣＤ９７及び／又はウイルス及び細菌病原体に結合するＣｏｄｅａｃポリペプチド断片を含む組成物に関する。
【０５１２】
本明細書で使用される「Ｃｏｄｅａｃポリペプチド」とは、配列番号：３０の、配列番号：３０と少なくとも７０％、８０％、９０％、９５％、９６％、９７％、９８％、９９％以上同一のＣｏｄｅａｃポリペプチド配列又は配列番号：３０の６１〜６３位に示される隣接アミノ酸を含み、かつＣＤ９７及び／又はウイルス及び細菌病原体に結合するＣｏｄｅａｃポリペプチド断片のいずれかを意味する。
【０５１３】
本発明の実施形態は、Ｃｏｄｅａｃポリペプチドをコードする配列番号：２９のポリヌクレオチド配列を含む組成物に関する。
本発明のさらなる実施形態は、Ｃｏｄｅａｃポリペプチドをコードするポリヌクレオチド配列を含む組成物に関する。
本明細書で使用される「Ｃｏｄｅａｃポリヌクレオチド」とは、配列番号：２９の又は配列番号：２９と少なくとも７０％、８０％、９０％、９５％以上の同一性を有するＣｏｄｅａｃポリヌクレオチド配列、Ｃｏｄｅａｃポリペプチドをコードするヌクレオチド配列又はこれらの配列のいずれかに相補的な配列のいずれかを意味する。
【０５１４】
本発明のさらなる実施形態は、Ｃｏｄｅａｃポリペプチドを認識する抗体に関する。好ましくは、その抗体は、配列番号：３０の６１〜６３位として示される隣接アミノ酸のうちの少なくとも２つを認識し、前記アミノ酸は、Ｃｏｄｅａｃポリペプチドへの抗体の結合に必要とされる。また好ましくは、その抗体は、ＥＥＦＣＮＱＫＳＣＰＮＰＧＥＩＲＮＧＱＩＤエピトープを認識する。最も好ましくは、その抗体はＣｏｄｅａｃに結合するが、ＣＤ５５には結合しない。本明細書で使用される「抗Ｃｏｄｅａｃ抗体」とは、Ｃｏｄｅａｃポリペプチドに特異的に結合する、抗体又はその抗原結合断片を意味する。
【０５１５】
本発明の実施形態は、Ｃｏｄｅａｃポリペプチドに抗Ｃｏｄｅａｃ抗体を結合させる方法であって、結合を生じさせる条件下にて、Ｃｏｄｅａｃポリペプチドを前記抗体と接触させる工程を含む方法に関する。かかる条件は当業者にはよく知られている。かかる方法は、本明細書にさらに記述されるようにＣｏｄｅａｃポリペプチドの検出に有用である。
本発明の実施形態は、生体試料におけるＣｏｄｅａｃポリペプチドを検出する方法に関し、前記方法は、i)生体試料を抗Ｃｏｄｅａｃ抗体と接触させ、ii)形成された抗原−抗体複合体を検出する工程を含む。その抗Ｃｏｄｅａｃ抗体は、モノクローナル抗体又はポリクローナル抗体であることが可能である。さらに、その抗Ｃｏｄｅａｃ抗体は、一次的又は二次的に、当技術分野で一般的ないずれかの検出可能な化合物（例えば、放射性化合物、蛍光化合物、発光化合物、又は酵素化合物）によって標識することができる。かかる方法は、例えば、以下にさらに記述するように、種々の疾患の診断に適用することができる。
【０５１６】
本発明の実施形態は、生体試料におけるＣｏｄｅａｃの発現を検出する方法に関し、前記方法は、i)個体から生体試料を採取し、ii)試料におけるＣｏｄｅａｃの発現レベルを検出し、iii)前記試料におけるＣｏｄｅａｃの発現レベルを対照試料におけるレベルと比較する工程を含む。Ｃｏｄｅａｃの発現の検出は、例えば癌、発作性夜間血色素尿症、潰瘍性大腸炎及び関節症などの様々な疾患の診断に有用である。試料におけるＣｏｄｅａｃの発現レベルは、いずれかの方法を用いて、例えば、試料中のＣｏｄｅａｃ ｍＲＮＡ又はＣｏｄｅａｃポリペプチドのレベルを検出することによって評価することができる。例えば、ウェスタンブロット法、免疫化学技術及び細胞化学技術などのよく知られている多くの技術のいずれかを用いて、Ｃｏｄｅａｃの発現を検出することができる。
【０５１７】
用いることができる最も好ましい公知の技術は、フローサイトメトリーアッセイ、免疫組織化学的技術及び抗Ｃｏｄｅａｃ抗体を用いた免疫ペルオキシダーゼ染色法である。最も好ましくは、抗Ｃｏｄｅａｃ抗体を使用して、Ｃｏｄｅａｃの発現レベルを検出する。また好ましくは、配列番号：２９のポリヌクレオチド配列又はその一部、又は配列番号：２９に相補的なポリヌクレオチド配列を含むポリヌクレオチドプローブを使用して、例えば、ノーザンブロット法又はＲＴＰＣＲ技術によってＣｏｄｅａｃの発現レベルを検出する。
【０５１８】
かかる一実施形態において、前記生体試料は、癌に罹患しやすい個体から得られ、その方法は、例えば、結腸直腸癌、頸癌、腎臓癌、乳癌、卵巣癌、扁平上皮癌、肝癌又は骨肉種などの癌の診断に使用される。例えば、潜血の非存在下で結腸直腸癌を検出するためのＣｏｄｅａｃの発現の測定は、その開示内容全体が参照により本明細書に組み込まれる、米国特許第５，６９５，９４５号に記載されたように行うことができる。かかる方法において、正常な個体におけるレベルを表す対照試料におけるレベルと比較して、前記生体試料におけるＣｏｄｅａｃの発現レベルが高い場合には、癌が存在することを示している。
【０５１９】
その他のかかる実施形態において、前記生体試料は、潰瘍性大腸炎に罹患している可能性のある個体から得られ、正常な個体におけるレベルを表す対照試料における発現レベルと比較して、前記生体試料におけるＣｏｄｅａｃの発現レベルが高い場合には、潰瘍性大腸炎であることを示している。この実施形態で使用される好ましい生体試料は、結腸粘膜又は結腸上皮細胞から得られる生体試料である。潰瘍性大腸炎の診断のためのＣｏｄｅａｃの発現の検出は、例えば、その開示内容全体が参照により本明細書に組み込まれる、Uesu ら(Lab Invest. 72:587-91 (1995))に記載されたように行うことができる。
【０５２０】
さらに他のかかる実施形態において、前記生体試料は、発作性夜間血色素尿症（ＰＮＨ）、Ｉｎａｂ表現型、全身性硬化症又は、例えば、慢性関節リウマチなどの種々の関節症に罹患している可能性のある個体から得られる。かかる方法において、正常な個体におけるレベルを表す対照試料におけるレベルと比較して、前記生体試料におけるＣｏｄｅａｃの発現レベルが低い場合には、これらの疾患のうちの１つが存在することを示している。全身性硬化症を診断するための好ましい生体試料は、皮膚のパンチ生検から得られる生体試料である。全身性硬化症を診断するためのＣｏｄｅａｃの発現の検出は、例えば、その開示内容全体が参照により本明細書に組み込まれる、Vennekerら(Lab Invest. 70:830-5 (1994))に記載されたように、行うことができる。ＰＮＨの診断のための好ましい生体試料は、赤血球及び／又は顆粒球を含有する血液試料から得られる。ＰＮＨを診断するためのＣｏｄｅａｃの発現の検出は例えば、その開示内容全体が参照により本明細書に組み込まれる、Oelschlaegelら(Clin Lab Haematol. 23:81-90 (2001))に記載されたように、行うことができる。慢性関節リウマチを診断するための好ましい生体試料は、好中球を含む血液試料から得られる生体試料である。慢性関節リウマチを診断するためのＣｏｄｅａｃの発現の検出は例えば、その開示内容全体が参照により本明細書に組み込まれる、Jonesら(Br J Rheumatol. 33:707-12 (1994))に記載されたように、行うことができる。
【０５２１】
本発明のその他の実施形態は、Ｃｏｄｅａｃポリペプチドの存在をインビトロで定量化するための診断キットに関する。かかるキットは、i)抗Ｃｏｄｅａｃ抗体、任意に、ii)形成された抗原−抗体複合体の検出を可能にする試薬を備える。前記抗体は、上述のように検出可能に標識されることが好ましい。あるいは、その任意の試薬は、検出可能なシグナルであってもよい。任意の試薬は、前記抗体に結合するか、又は前記抗体上の標識と反応する。抗Ｃｏｄｅａｃ抗体を備えるキットは、本明細書に記載の疾患のうちの１つを診断するために使用されることが好ましい。任意に、前記診断キットは、健康な、疾患を持たない個体からのレベルを表す負の対照試料を備える。任意に、前記診断キットは、癌、潰瘍性大腸炎、ＰＮＨ、Ｉｎａｂ表現型、全身性硬化症及び関節疾患からなる群から選択される特定の疾患に罹患している個体からのレベルを表す正の対照試料を備える。
【０５２２】
さらに他の実施形態は、例えば、免疫電子顕微鏡法又は免疫組織化学染色法によって、Ｃｏｄｅａｃポリペプチドをインビボで検出するために、抗Ｃｏｄｅａｃ抗体を使用する方法に関する。腫瘍イメージングに有用なかかる方法は、例えば、その開示内容全体が参照により本明細書に組み込まれるLiら(Br J Cancer 84:80-6 (2001))に記載されている。
その他の実施形態は、i)Ｃｏｄｅａｃポリペプチドを発現する細胞を、前記ポリペプチドの発現の助けとなる条件下にて培養し、ii)産生されたポリペプチドを精製する工程を含む、Ｃｏｄｅａｃポリペプチドを作製する方法に関する。そのポリペプチドの精製は、当業者によく知られているいずれかの技術に従って行うことができる。好ましくは、抗Ｃｏｄｅａｃ抗体をクロマトグラフィー担体に結合させて、アフィニティークロマトグラフィーカラムを形成することができる。あるいは、Ｃｏｄｅａｃポリペプチドを異種免疫原性ペプチドに融合させてもよく、その融合タンパク質は、異種ペプチドに特異的な抗体を用いて精製される。Ｃｏｄｅａｃポリペプチドを発現する細胞は、以下に記述するような組換え宿主細胞であることが好ましい。Ｃｏｄｅａｃポリペプチドの作製は、本明細書でさらに記述されるような方法及び組成物において有用であり得る。
【０５２３】
本発明の好ましい態様は、プロモーターに作動可能に連結される、Ｃｏｄｅａｃポリペプチドをコードするポリヌクレオチドの宿主細胞組換え体である。１つの実施形態は、Ｃｏｄｅａｃポリペプチドをコードするポリヌクレオチドの宿主細胞組換え体を作製する方法であって、i)プロモーターに作動可能に連結される、Ｃｏｄｅａｃポリペプチドをコードする核酸配列を含む組換えベクターを作製し、ii)前記組換えベクターを細胞に導入する工程を含む方法に関する。好ましい実施形態では、前記細胞は大腸菌細胞又はヒト細胞である。その他の好ましい態様は、細胞に存在する場合には、Ｃｏｄｅａｃの発現に変化をもたらす、ポリヌクレオチドの宿主細胞組換え体である。Ｃｏｄｅａｃの発現を修飾することができるポリヌクレオチドの宿主細胞組換え体は、i)Ｃｏｄｅａｃ遺伝子を含む細胞を提供し、ii)Ｃｏｄｅａｃの発現を変化させるポリヌクレオチドを含む組換えベクターを、前記細胞に導入する工程を含む方法であって、前記細胞における前記ポリヌクレオチドの存在によって、前記組換えベクターが導入される前の前記細胞におけるＣｏｄｅａｃの発現レベルと比較して、Ｃｏｄｅａｃの発現が増加又は低減する方法によって作製される。
【０５２４】
好ましくは、前記ポリヌクレオチドは、Ｃｏｄｅａｃ遺伝子の５’調節領域のすべて又は一部に挿入されるか、又はＣｏｄｅａｃ遺伝子の５’調節領域のすべて又は一部と置き換わる。さらに好ましくは、前記ポリヌクレオチドは、Ｃｏｄｅａｃコード領域の５００塩基対内に位置する。前記ポリヌクレオチドはプロモーター配列を含むことが好ましい。内因性配列にポリヌクレオチド配列を導入するための当技術分野で公知の技術は、その開示内容全体が参照により本明細書に組み込まれる、米国特許第５，６４１，６７０号及び国際公開番号：Ｗ０９６２９４１１に記載されている。Ｃｏｄｅａｃポリペプチドを産生するかかる組換え宿主細胞を用いて、Ｃｏｄｅａｃポリペプチドを作製することができる。
【０５２５】
さらなる態様において、本発明は、Ｃｏｄｅａｃポリペプチドと生理学的に許容される担体とを含む癌ワクチン、ならびに有効量の前記癌ワクチンを個体に投与する工程を含む、前記癌ワクチンを使用する方法であって、前記癌ワクチンが、前記Ｃｏｄｅａｃポリペプチドに対して前記個体において免疫応答を誘導する方法を提供する。この実施形態のコンテクストで使用される「有効量の癌ワクチン」とは、個体、例えば、癌患者においてＣｏｄｅａｃポリペプチドに対する免疫応答を誘導するのに十分な量のワクチンを意味する。その免疫応答は、ヘルパーＴ細胞の応答、細胞障害性Ｔ細胞の応答、ＮＫ細胞の応答及び／又は免疫応答のうちの１つ又は複数であり得る。かかる方法は、高レベルのＣｏｄｅａｃポリペプチドを発現する癌細胞に対してＴ細胞の応答を選択的に標的化する方法を提供する。かかる方法は、７９１Ｔｇｐ７２の代わりに本発明のポリペプチドを使用することによって、その開示内容全体が参照により組み込まれる、国際特許出願公開番号：ＷＯ９９／４３８００に記載されたように行うことができる。かかる方法で使用される好ましいＣｏｄｅａｃポリペプチドは、Ｃｏｄｅａｃに対しては免疫応答を誘導するが、ＣＤ５５に対しては誘導しないＣｏｄｅａｃポリペプチドである。かかる免疫原性Ｃｏｄｅａｃポリペプチドは、配列番号：３０の６１〜６３位として示される隣接アミノ酸のうちの少なくとも２つを含む。好ましいかかる免疫原性Ｃｏｄｅａｃポリペプチドは、ＥＥＦＣＮＱＫＳＣＰＮＰＧＥＩＲＮＧＱＩＤエピトープを含む。７９１Ｔｇｐ７２を含有する癌ワクチンと比較して、かかる免疫原性Ｃｏｄｅａｃポリペプチドを含有する癌ワクチンは、ＣＤ５５に対して抗体を誘導せず、したがって、補体により仲介される攻撃からの細胞の保護が低下しないという利点を提供する。
【０５２６】
あるいは、抗Ｃｏｄｅａｃ抗体は、高レベルのＣｏｄｅａｃポリペプチドを発現する腫瘍細胞に薬物を運ぶための標的化及び送達メカニズムとして使用することが可能である。かかる方法は、i)抗Ｃｏｄｅａｃ抗体を薬物にコンジュゲートさせ、ii)前記コンジュゲートと薬学的に許容される担体とを含む組成物を、癌に罹患している個体に投与する工程を含む。好ましくは、抗Ｃｏｄｅａｃ抗体は、i)比較的無毒性の化合物を実質的にさらに毒性の化合物に転化する酵素に、抗Ｃｏｄｅａｃ抗体を結合させ、ii)残りの酵素−抗体コンジュゲートを血液から一掃することを可能にする遅延の後に、前記無毒性化合物を患者に投与する工程を含む、酵素プロドラッグ抗体（antibody-directed enzyme-prodrug）治療法において使用される。かかる方法は、その開示内容全体が参照により本明細書に組み込まれる、Meltonら( J. Natl. Cancer Inst. 88:153-65 (1996))に記載されたように行うことができる。
【０５２７】
その他の好ましい実施形態は、Ｃｏｄｅａｃの発現を調節する能力について試験物質をスクリーニングする方法であって、i)細胞を試験物質と接触させ、ii)試験物質に暴露した後の細胞におけるＣｏｄｅａｃの発現を、非暴露対照細胞における発現と比較する工程を含む方法に関し。暴露細胞と非暴露対照細胞との間で観察されるＣｏｄｅａｃの発現の差異によって、試験物質がＣｏｄｅａｃの発現を調節することを示す。Ｃｏｄｅａｃの発現は、限定されないが、Ｃｏｄｅａｃポリヌクレオチドを定量化する方法（例えば、ノーザンブロット法又はＲＴＰＣＲによるＣｏｄｅａｃ ｍＲＮＡの検出）又はＣｏｄｅａｃポリペプチドを定量化する方法（例えば、ウェスタンブロット法又は免疫化学によるＣｏｄｅａｃポリペプチドの検出）を含む、当技術分野で一般的な方法によって決定することが可能である。一実施形態において、その試験物質は特定の細胞型ではＣｏｄｅａｃの発現を修飾するが、他の細胞型では修飾しない。好ましい細胞型は、例えば、上皮細胞、線維芽細胞及び腫瘍細胞を含む。例えば、細胞、組織又は個体におけるＣｏｄｅａｃの発現を変化させるために、修飾因子を使用する方法と同様に、かかる方法を用いて同定される修飾因子もまた、本発明によって包含される。
【０５２８】
本発明のさらなる実施形態は、Ｃｏｄｅａｃの活性を調節する能力について試験物質をスクリーニングする方法であって、i)細胞を試験物質と接触させ、ii)試験物質に暴露した後の細胞におけるＣｏｄｅａｃの活性を、非暴露対照細胞における活性と比較する工程を含む方法に関し、暴露細胞と非暴露対照細胞との間で観察されるＣｏｄｅａｃの活性の差異によって、試験物質がＣｏｄｅａｃの活性を調節することを示す。Ｃｏｄｅａｃの活性は、当技術分野で一般的な多くの技術のうちのいずれかによって決定することができる。その開示内容全体が参照により本明細書に組み込まれる、Linら(J Biol Chem. 276:24160-9 (2001))に記載されたように、例えばＣＤ９７発現細胞へのＣｏｄｅａｃ発現細胞の接着を研究することによって、Ｃｏｄｅａｃの活性をモニターすることができる。あるいは、その開示内容全体が参照により本明細書に組み込まれる、Nowickiら(J Exp Med. 178:2115-21 (1992))に記載されたように、付着因子発現細胞へのＣｏｄｅａｃ発現細胞の接着を研究することによって、Ｃｏｄｅａｃ活性をモニターすることもできる。例えば、細胞、組織又は個体におけるＣｏｄｅａｃの活性を変化させるために、修飾因子を使用する方法と同様に、かかる方法を用いて同定される修飾因子もまた、本発明によって包含される。
【０５２９】
Ｃｏｄｅａｃの発現又は活性を低減する試験物質は、Ｃｏｄｅａｃアンタゴニストとして定義される。Ｃｏｄｅａｃの発現又は活性を増加する試験物質は、Ｃｏｄｅａｃアゴニストとして定義される。Ｃｏｄｅａｃの発現又は活性を調節する試験物質には、限定されないが、化学化合物（例えば、小分子阻害剤又は活性化剤）、オリゴヌクレオチド、アンチセンスポリヌクレオチド、ポリペプチド、リボザイム、炭水化物、脂質及びポリペプチド（例えば、天然リガンド、転写制御因子、Ｃｏｄｅａｃのドミナントネガティブ型、免疫原性Ｃｏｄｅａｃポリペプチド及び抗Ｃｏｄｅａｃ抗体）が含まれる。これらの物質は、当技術分野でよく知られている方法によって製造かつ使用することができる。
【０５３０】
本発明の好ましい実施形態は、ＣＤ９７に結合するＣｏｄｅａｃポリペプチドを使用する方法である。この方法は、Ｃｏｄｅａｃの結合を可能にする条件下にて、ＣＤ９７又はその断片とＣｏｄｅａｃポリペプチドを接触させる工程を含む。この方法は、例えば、以下にさらに記述するようにインビトロの用途に適用することが可能である。
好ましい実施形態において、ＣＤ９７へのＣｏｄｅａｃポリペプチドの結合を利用して、ＣＤ９７を発現する細胞を精製する。ＣＤ９７を発現する細胞を精製するためのかかる方法は、i)検出可能なシグナルを提供するために使用することができる分子で、Ｃｏｄｅａｃポリペプチドを標準法により標識し、ii)前記標識化Ｃｏｄｅａｃポリペプチドを含有する、選別装置、例えば、蛍光活性化細胞選別装置又は磁気活性化細胞選別装置に、ＣＤ９７を発現する細胞を含有する体液を通す工程を含む。ＣＤ９７は、活性化リンパ球上にて高レベルで発現され、かかる方法は、例えば、ヒトリンパ球亜集団の精製に使用することが可能である。リンパ球亜集団の精製は、例えば、正常及び異常な免疫反応のメカニズム及び相互作用の理解、ウイルスに対するＴ細胞療法の実施又はＴ細胞刺激抗原の同定に極めて重要である。
【０５３１】
本発明の実施形態は、Ｃｏｄｅａｃ−ＣＤ９７相互作用を高めるためにＣｏｄｅａｃポリペプチド又はＣｏｄｅａｃアゴニストを使用し、それによって、望ましくない免疫応答を変化させる、又は低減する方法に関する。好ましい実施形態において、かかる方法は、生理学的に許容される担体と、有効量のＣｏｄｅａｃポリペプチド又はＣｏｄｅａｃアゴニストとを個体に送達する工程を含む。この実施形態のコンテクストで使用される「有効量のＣｏｄｅａｃポリペプチド又はＣｏｄｅａｃアゴニスト」とは、免疫応答を低減するのに十分な量のＣｏｄｅａｃポリペプチド又はＣｏｄｅａｃアゴニストを意味する。好ましくは、免疫応答を低減するためのかかる方法は、アレルギー及び喘息を治療すること、及び望ましくない免疫応答を防ぐことに向けられる。特に、かかる方法を用いて、移植拒絶反応、移植片対宿主疾患及び自己免疫疾患（例えば、慢性関節リウマチ、全身性エリテマトーデス、多発性硬化症、インスリン依存性糖尿病、肝炎、グレーブス病）を予防又はその重症度を低減すること、及び移植片の移植（例えば、細胞、骨髄、組織、固体器官、骨）に対する抵抗性（tolerance）を誘導することができる。
【０５３２】
本発明のその他の実施形態は、Ｃｏｄｅａｃ−ＣＤ９７相互作用を阻害するためにＣｏｄｅａｃアンタゴニストを使用し、その結果、免疫応答が高められる方法に関する。免疫応答を高めることに向けられる好ましい方法は、生理学的に許容される担体と、有効量のＣｏｄｅａｃアンタゴニストとを、免疫系に追加免疫することが望ましい疾患及び障害に罹患している個体に送達する工程を含む。この実施形態のコンテクストで使用される「有効量のＣｏｄｅａｃアンタゴニスト」とは、免疫応答を高めるのに十分な量のＣｏｄｅａｃアンタゴニストを意味する。特に、かかる方法は、癌を治療する場合に放射線療法又は化学療法と組み合わせて用いることが可能であり、腫瘍性疾患（例えば、多発性骨髄腫、結腸癌、肝癌）、ウイルス感染（例えば、ＨＩＶ、ＨＢＶ、ＨＣＶ、肝炎、麻疹及びヘルペスウイルス感染）及び種々の免疫不全を治療するために用いることができる。これらの免疫不全は、遺伝的（例えば、重症複合免疫不全症）であるか、又は様々な細菌もしくは真菌感染（例えば、マイコバクテリア、リーシュマニア、マラリア、及びカンジダによる感染）により引き起こされる。
【０５３３】
本発明の好ましい実施形態は、ウイルス及び細菌病原体に結合する、Ｃｏｄｅａｃポリペプチドを使用する方法である。この方法は、Ｃｏｄｅａｃポリペプチドをウイルス又は細菌病原体と、前記病原体への前記ポリペプチドの結合を可能にする条件下にて接触させる工程を含む。この方法で使用される好ましい病原体としては、限定されないが、病原性大腸菌、ヘリコバクター・ピロリ、コクサッキーウイルス及びエコーウイルスが挙げられる。あるいは、病原体の細胞表面タンパク質を病原体の代わりに使用することができる。好ましいかかる表面タンパク質は、付着因子である。病原体へのＣｏｄｅａｃの結合を可能にする多種多様な条件が利用可能である。かかる条件は例えば、Schmidtkeら (Virology. 275(1):77-88 (2000))に記載されている。ウイルス及び細菌病原体を結合させるためのＣｏｄｅａｃポリペプチドの使用は、例えば、以下にさらに記述するようにインビトロ用途に適用することができる。
【０５３４】
この実施形態の好ましい態様は、病原体を単離又は精製するためにＣｏｄｅａｃポリペプチドを使用する方法を包含する。この方法は、i)結合を可能にする条件下にて、病原体を含有する可能性のある溶液又は生体試料と、担体上に固定化されたＣｏｄｅａｃポリペプチドを接触させ、ii)前記担体から混入物を除去し、iii)結合した病原体を前記担体から溶出する工程を含む。好ましくは、Ｃｏｄｅａｃペプチドを固体又は半固体マトリックス上に固定化し、混入物を除去するための試料の洗浄を容易にする。好ましい病原体としては、大腸菌、ヘリコバクター・ピロリ、コクサッキーウイルス、ピコルナウイルス及びエコーウイルスが挙げられる。これらは、一般的な生物学的液体、例えば細胞培養培地、体の試料から得られる体液及び液体試料（例えば、血清、血液、リンパ液、尿、胃粘膜及び屎）から単離される。かかる方法は例えば、ある疾患が病原体により引き起こされるかどうかを決定するのに、又は慢性感染を引き起こす病原体を決定するのに有用である。
【０５３５】
本発明のその他の好ましい実施形態は、Ｃｏｄｅａｃ−病原体相互作用を阻害するために、Ｃｏｄｅａｃアンタゴニストを使用し、それによって、感染状態における結合病原体の保有体を低減する方法に関する。かかる方法は、慢性感染症に罹患している患者に、生理学的に許容される担体と、有効量のＣｏｄｅａｃアンタゴニストとを送達する工程を含む。この実施形態のコンテクストで使用される「有効量のＣｏｄｅａｃアンタゴニスト」とは、Ｃｏｄｅａｃへの病原体の結合を低減するのに十分な量のＣｏｄｅａｃアンタゴニストを意味する。かかる方法によって治療すること、又はその重症度を低減することが可能な慢性感染症には、限定されないが、ヘリコバクター・ピロリ又は大腸菌に関連する腸管感染症、ピコルナウイルス関連疾患、コクサッキーウイルス関連疾患（例えば、心疾患、膵臓感染症、急性弛緩性麻痺及び新生児の神経発達遅延など）及びエコーウイルス関連疾患（例えば、脳脊髄炎、筋萎縮性側索硬化症、肝不全及び髄膜炎など）が含まれる。
【０５３６】
Ｃｏｄｅａｃポリペプチド又はＣｏｄｅａｃ修飾因子の有効な投薬量は、例えば、用量反応曲線を確立する日常試験によって、当業者により容易に決定することができる。生理学的に許容される担体と、Ｃｏｄｅａｃポリペプチド又はＣｏｄｅａｃ修飾因子とを含む組成物の投与頻度及び投与量は、治療される特定の疾患、その重症度、用いられるＣｏｄｅａｃポリペプチド又はＣｏｄｅａｃ修飾因子の性質、個体の全体的な状態及び治療を施す医師の判断によるだろう。
【０５３７】
本明細書において使用される「生理学的に許容される担体」という用語は、個体及び用いられるＣｏｄｅａｃポリペプチド又はＣｏｄｅａｃ修飾因子と適合性であり、かつ動物及びさらに特にはヒトにおける使用に関して、連邦政府又は州政府の管理機関によって承認されているか、又は米国薬局方又は他の一般に認知されている薬局方において示されている、組成物を意味する。前記の生理学的に許容される担体としては、限定されないが、溶液及び懸濁液、例えば生物学的バッファー（例えば、リン酸緩衝液、生理食塩及びダルベッコ培地）、デンプン、糖、微結晶性セルロース、希釈剤、顆粒化剤、潤滑剤、結合剤及び崩壊剤が挙げられる。生理学的に許容される担体と、本発明のポリペプチド又は修飾因子とを含む組成物は、例えば、静脈内、非経口、表面、経口又は局所（例えば、エアロゾル及び経皮的）投与又はそのいずれかの組み合わせなどの適切な方法で投与される。好ましい投与経路は、静脈内及び経口投与を含む。
【０５３８】
さらに他の実施形態は、Ｃｏｄｅａｃポリペプチドをコードする核酸配列又はＣｏｄｅａｃポリヌクレオチドに相補的なｃＤＮＡをコードする核酸配列を含む組換え分子を用いて遺伝子導入動物（例えば、マウス）を作製する方法に関する。遺伝子導入動物を作製する方法は当業者にはよく知られている。例えば、Ｃｏｄｅａｃポリペプチドを過剰発現し、かつ胃及び小腸の上皮細胞のヘリコバクター・ピロリ感染のモデルとしての役割を果たし得る遺伝子導入マウスは、その開示内容全体が参照により本明細書に組み込まれる米国特許第５，６２５，１２４号に従って作製かつ使用することができる。かかる遺伝子導入動物は、様々な慢性感染症及び特定の免疫応答の素因が与えられた動物モデルを得るのに、又はかかる疾患の治療における化学化合物の有用性を試験するのに有用であり得る。
【０５３９】
配列番号：３２のタンパク質（内部指定クローン１３１７１５＿１０５−０９０−４−０−Ｄ２−Ｆ）
クローン１３１７１５＿１０５−０９０−４−０−Ｄ２−ＦのｃＤＮＡ（配列番号：３１）は、アミノ酸配列：ＭＷＶＰＶＶＦＬＴＬＳＶＴＷＩＧＡＡＰＬＩＬＳＲＩＶＧＧＷＥＣＥＫＨＳＱＰＷＱＶＬＶＡＳＲＧＲＡＶＣＧＧＶＬＶＨＰＱＷＶＬＴＡＡＨＣＩＲＮＫＳＶＩＬＬＤＲＳＲＴＧＰＧＳＡＡＡＲＧＣＲＷＰＰＹＧＩＲＬＱＧＧＲＡＡＧＭＷＲＥを含む、配列番号：３２のＰｒｏｓｐａｎをコードする。したがって、本明細書全体にわたり記載されている配列番号：３２のポリペプチドのすべての特性及び使用は、クローン１３１７１５＿１０５−０９０−４−０−Ｄ２−Ｆ中のヒトｃＤＮＡを含む核酸によってコードされるポリペプチドにも関係することは理解されよう。
【０５４０】
さらに、本明細書全体にわたり記載されている配列番号：＃＃のポリヌクレオチドのすべての特性及び使用は、クローン１３１７１５＿１０５−０９０−４−０−Ｄ２−Ｆ中のヒトｃＤＮＡを含む核酸にも関係することは理解されよう。本発明の好ましい実施形態は、配列番号：３２、配列番号：３１及びクローン１３１７１５＿１０５−０９０−４−０−Ｄ２−Ｆのヒトポリヌクレオチド及びポリペプチド組成物に対して向けられている。
【０５４１】
以下に記載の方法で使用される好ましいＰｒｏｓｐａｎポリペプチド断片としては、アミノ酸配列：ＰＬＩＬＳＲＩＶＧＧＷＥＣＥＫＨＳＱＰＷＱＶＬＶＡＳＲＧＲＡＶＣＧＧＶＬＶＨＰＱＷＶＬＴＡＡＨＣＩＲＮＫＳＶＩＬＬＤＲＳＲＴＧＰＧＳＡＡＡＲＧＣＲＷＰＰＹＧＩＲＬＱＧＧＲＡＡＧＭＷＲＥを含むＰｒｏｓｐａｎポリペプチドが挙げられる。以下に記載の方法で使用される最も好ましいＰｒｏｓｐａｎポリペプチド断片としては、アミノ酸配列：ＩＶＧＧＷＥＣＥＫＨＳＱＰＷＱＶＬＶＡＳＲＧＲＡＶＣＧＧＶＬＶＨＰＱＷＶＬＴＡＡＨＣＩＲＮＫＳＶＩＬＬＤＲＳＲＴＧＰＧＳＡＡＡＲＧＣＲＷＰＰＹＧＩＲＬＱＧＧＲＡＡＧＭＷＲＥを含むＰｒｏｓｐａｎポリペプチドが挙げられる。本明細書に記載の生物活性を有するポリペプチド断片及びその断片をコードするポリヌクレオチドもまた好ましい。
【０５４２】
本発明のタンパク質、Ｐｒｏｓｐａｎは、前立腺特異的抗原（ＰＳＡ，ＥＭＢＬアクセッション番号ＮＰ＿００１６３９）の新規な分泌スプライスバリアントである。２つの第１エクソンは、Ｐｒｏｓｐａｎ ｍＲＮＡ及びＰＳＡ ｍＲＮＡにおいて同一である。Ｐｒｏｓｐａｎ ｍＲＮＡの第３エクソンは、ＰＳＡ ｍＲＮＡの第３エクソンよりも、その３’末端において短い。Ｐｒｏｓｐａｎ ｍＲＮＡの第４エクソンは、ＰＳＡ ｍＲＮＡの第４エクソンよりも、その３’及び５’末端において長い。Ｐｒｏｓｐａｎは、シグナルペプチド（ＭＷＶＰＶＶＦＬＴＬＳＶＴＷＩＧＡＡＰＬＩＬＳ）、成熟型で切断されるプロペプチド（ＰＬＩＬＳＲ）及びヒスチジン活性部位コンセンサスにわたるトリプシンドメイン（ＩＶＧＧＷＥＣＥＫＨＳＱＰＷＱＶＬＶＡＳＲＧＲＡＶＣＧＧＶＬＶＨＰＱＷＶＬＴＡＡＨＣＩＲＮＫＳＶＩＬ）を示す。
【０５４３】
Ｐｒｏｓｐａｎは、カリクレインファミリーの新規なメンバーである。それは、通常の過形成性及び癌性前立腺上皮によって分泌される。Ｐｒｏｓｐａｎはアンドロゲンによってアップレギュレートされ、Ｐｒｏｓｐａｎの発現レベルは、前立腺腫瘍の悪性度と正に相関する。Ｐｒｏｓｐａｎは、精液中に見出され、血液及び血清において低レベルで見出される。Ｐｒｏｓｐａｎは、前立腺癌及び乳癌などの他の癌の早期の検出、ステージング、予後及びモニタリングに有用である。
【０５４４】
本発明の実施形態は、配列番号：３２の、又は配列番号：３２と少なくとも７０％、８０％、９０％、９５％、９６％、９７％、９８％、９９％以上の同一性を有するＰｒｏｓｐａｎポリペプチド配列を含む組成物に関する。
本発明のさらなる実施形態は、配列番号：３２のＰｒｏｓｐａｎポリペプチド配列のカルボキシル末端側３４個のアミノ酸のうちの１つ又は複数を含有するＰｒｏｓｐａｎポリペプチド断片を含む組成物に関する。
【０５４５】
本明細書で使用される「Ｐｒｏｓｐａｎポリペプチド」とは、配列番号：３２の又は配列番号：３２と少なくとも７０％、８０％、９０％、９５％、９６％、９７％、９８％、９９％以上同一のＰｒｏｓｐａｎポリペプチド配列、又は配列番号：３２のＰｒｏｓｐａｎポリペプチド配列のカルボキシル末端側３４個のアミノ酸のうちの１つ又は複数を含有するその断片のいずれかを意味する。
【０５４６】
本発明の実施形態は、Ｐｒｏｓｐａｎポリペプチドをコードする配列番号：３１のポリヌクレオチド配列を含む組成物に関する。
本発明のさらなる実施形態は、Ｐｒｏｓｐａｎポリペプチドをコードするポリヌクレオチド配列を含む組成物に関する。
本明細書でさらに使用される「Ｐｒｏｓｐａｎポリヌクレオチド」とは、配列番号：３１の、又は配列番号：３１と少なくとも７０％、８０％、９０％、９５％以上の同一性を有するＰｒｏｓｐａｎポリヌクレオチド配列、Ｐｒｏｓｐａｎポリペプチドをコードするヌクレオチド配列のいずれかを意味する。
【０５４７】
本発明のさらなる実施形態は、配列番号：３２のＰｒｏｓｐａｎポリペプチド配列又はＰｒｏｓｐａｎポリペプチド断片を認識する抗体に関する。好ましくは、配列番号：３２のＰｒｏｓｐａｎポリペプチド配列のカルボキシル末端側３４個のアミノ酸のうちの１つ又は複数は、前記Ｐｒｏｓｐａｎポリペプチドへの前記抗体の結合に必要である。前記抗体により認識される好ましいエピトープは、ＤＲＳＲＴＧＰＧのアミノ酸配列及びＲＧＣＲＷＰＰＹのアミノ酸配列を含む。最も好ましくは、その抗体はＰｒｏｓｐａｎには結合するが、ＰＳＡには結合しない。本明細書で使用される「抗Ｐｒｏｓｐａｎ抗体」とは、Ｐｒｏｓｐａｎポリペプチドに特異的に結合する、抗体又はその抗原結合断片を意味する。
【０５４８】
本発明の実施形態は、抗Ｐｒｏｓｐａｎ抗体をＰｒｏｓｐａｎポリペプチドに結合させる方法であって、結合を生じさせる条件下にて、Ｐｒｏｓｐａｎポリペプチドを前記抗体と接触させる工程を含む方法に関する。かかる条件は当業者にはよく知られている。かかる方法は、本明細書にさらに記述されるように、Ｐｒｏｓｐａｎポリペプチドの検出に有用である。
【０５４９】
本発明の実施形態は、生体試料におけるＰｒｏｓｐａｎポリペプチドを検出する方法に関し、前記方法は、i)生体試料を抗Ｐｒｏｓｐａｎ抗体と接触させ、ii)形成された抗原−抗体複合体を検出する工程を含む。その抗Ｐｒｏｓｐａｎ抗体は、モノクローナル抗体又はポリクローナル抗体であることが可能である。さらに、その抗Ｐｒｏｓｐａｎ抗体は、一次的又は二次的に、当技術分野で一般的ないずれかの検出可能な化合物（例えば、放射性化合物、蛍光化合物、発光化合物又は酵素化合物）によって標識することができる。Ｐｒｏｓｐａｎポリペプチドの検出は、例えば、生体試料におけるＰｒｏｓｐａｎの発現の検出に、例えば、以下にさらに記述するように、診断の目的に有用である。
【０５５０】
本発明の実施形態は、生体試料におけるＰｒｏｓｐａｎの発現を検出する方法に関し、前記方法は、i)個体から生体試料を採取し、ii)試料におけるＰｒｏｓｐａｎの発現レベルを検出し、iii)前記試料におけるＰｒｏｓｐａｎの発現レベルを対照試料におけるレベルと比較する工程を含む。試料におけるＰｒｏｓｐａｎの発現レベルは、いずれかの方法を用いて、例えば、試料中のＰｒｏｓｐａｎ ｍＲＮＡ又はＰｒｏｓｐａｎポリペプチドのレベルを検出することによって評価することができる。例えば、ウェスタンブロット法、免疫化学技術及び細胞化学技術などのよく知られている技術を用いて、Ｐｒｏｓｐａｎの発現を検出することができる。好ましくは、抗Ｐｒｏｓｐａｎ抗体を使用して、Ｐｒｏｓｐａｎの発現レベルを検出する。
【０５５１】
また、好ましくは、配列番号：３１のポリヌクレオチド配列又はその一部、又は配列番号：３１に相補的なポリヌクレオチド配列を含むポリヌクレオチドプローブを使用して、例えばノーザンブロット法又はＲＴＰＣＲ技術によってＰｒｏｓｐａｎの発現レベルを検出する。好ましい生体試料としては、血液、血清、尿又は精液から得られる試料が挙げられる。
【０５５２】
Ｐｒｏｓｐａｎの発現レベルの検出は、癌、例えば、前立腺癌の検出に役立つ。かかる方法において、正常な個体におけるレベルを表す対照試料における発現レベルと比較して、前記生体試料におけるＰｒｏｓｐａｎの発現レベルが高い場合には、前立腺癌であること、及び／又は前立腺癌の素因があることを示している。さらに、Ｐｒｏｓｐａｎの発現は、癌の悪性度及び癌のステージと正に相関する。その代わりに、Ｐｒｏｓｐａｎの発現レベルとＰＳＡの発現レベルとの比、又はＰＳＡの発現レベルとＰｒｏｓｐａｎの発現レベルの総量を決定することが可能であり、前立腺癌であること、前立腺癌の素因があること、前立腺癌の悪性度又はそのステージを示すことができる。様々な組織におけるＰｒｏｓｐａｎ及びＰＳＡの差次的発現を確立することも可能である。前立腺癌を検出するためのＰｒｏｓｐａｎの発現レベルの検出は例えば、その開示内容全体が参照により本明細書に組み込まれる、米国特許第５，９３５，８１８号又は国際特許出願公開番号：ＷＯ／００４９１５８に記載されたように行うことができる。
【０５５３】
一方、Ｐｒｏｓｐａｎの発現レベルの検出は、卵巣癌又は乳癌を検出する方法においても役立ち、その方法では、正常な個体におけるレベルを表す対照試料における発現レベルと比較して、前記生体試料におけるＰｒｏｓｐａｎの発現レベルが高い場合には、癌であることを示している。その開示内容全体が参照により組み込まれる米国特許第６，２３５，４８６号に記載されている乳癌の診断、治療及び／又はその進行及び寛解のモニタリングの方法は例えば、ｈＫ２の代わりにＰｒｏｓｐａｎを用いて行うことができる。
【０５５４】
この実施形態の一態様において、生体試料におけるＰｒｏｓｐａｎの発現レベルは、抗Ｐｒｏｓｐａｎ抗体を用いて決定される。かかる方法は、i)個体から生体試料を得、ii)結合を生じさせる条件下にて、検出可能な抗Ｐｒｏｓｐａｎ抗体と前記生体試料を接触させ、iii)形成された抗原−抗体複合体を検出し、iv）前記試料において検出された抗原−抗体複合体のレベルを、対照試料におけるレベルと比較する工程を含む。かかる方法は、例えば、その開示内容全体が参照により本明細書に組み込まれる、米国特許第５，６１４，３７２号及びLiedtkeら(Clin Chem 30:649-52 (1984))に記載の方法などのイムノアッセイを含む。
【０５５５】
この実施形態のその他の態様では、生体試料におけるＰｒｏｓｐａｎの発現レベルは、Ｐｒｏｓｐａｎポリヌクレオチドを用いて決定される。かかる一方法は、i)個体から生体試料を得、ii)核酸配列のハイブリダイゼーションを可能にする条件下にて、前記生体試料をＰｒｏｓｐａｎポリヌクレオチドプローブと接触させ、それによって前記Ｐｒｏｓｐａｎポリヌクレオチドプローブと、前記試料に存在するいずれかの内因性Ｐｒｏｓｐａｎポリヌクレオチドとの間のハイブリダイゼーション複合体の形成を可能とし、iii)ハイブリダイゼーション複合体を検出し、iv）前記試料において検出されるハイブリダイゼーション複合体のレベルを対照試料におけるレベルと比較する工程を含む。その他のかかる方法は、i)個体から生体試料を得、ii)Ｐｒｏｓｐａｎポリヌクレオチドを特異的に増幅するプライマーを得、iii)前記プライマーを用いて、対象の前記生体試料でネステッドポリメラーゼ連鎖反応（ＰＣＲ）を行い、iv）増幅産物を検出し、v）前記試料において検出される増幅産物のレベルを対照試料におけるレベルと比較する工程を含む。
【０５５６】
その他の本発明の実施形態は、Ｐｒｏｓｐａｎポリペプチドの存在をインビトロで検出するための診断キットに関する。かかるキットは、i)抗Ｐｒｏｓｐａｎ抗体、任意に、ii)形成された抗原−抗体複合体の検出を可能にする試薬を備える。前記抗体は、上述のように検出可能に標識されることが好ましい。あるいは、その任意の試薬は、検出可能なシグナルであってもよい。任意の試薬は、前記抗体に結合するか、又は前記抗体上の標識と反応する。抗Ｐｒｏｓｐａｎ抗体を備えるキットは、前立腺癌又は乳癌の診断に向けられることが好ましい。任意に、前記診断キットは、疾患を持たない健康な個体からのレベルを表す負の対照試料を備える。任意に、前記診断キットは、特定の疾患、例えば癌、特に前立腺癌に罹患している個体からのレベルを表す正の対照試料を備える。任意に、前記診断キットは、例えば抗ＰＳＡ抗体などの他の抗体を備える。
【０５５７】
さらなる実施形態は、Ｐｒｏｓｐａｎポリヌクレオチドを含むポリヌクレオチドプローブのアレイに関する。好ましくは、前記Ｐｒｏｓｐａｎポリヌクレオチドは、固体担体上の既知の位置にそれぞれ存在するプローブのアレイの一部である。好ましくは、前記アレイは、前立腺癌の検出、ステージング、予後及びモニタリングのマーカーである、他のポリヌクレオチドを含む。これらのマイクロアレイは例えば、前立腺癌を診断するために、又は前立腺癌に罹患しやすい家族において疫学的研究を行うために使用することができる。前記アレイの一部であり得る他のマーカーとしては、限定されないが、アポリポタンパク質Ｅ対立遺伝子、ＰＧ１対立遺伝子、Ｂａｐ２８対立遺伝子、フィブロネクチン対立遺伝子、ＰｕｒＨ対立遺伝子及びＰＣＴＡ−１対立遺伝子が挙げられる。
【０５５８】
その他の実施形態は、i)Ｐｒｏｓｐａｎポリペプチドを発現する細胞を、前記ポリペプチドの発現の助けとなる条件下にて培養し、ii)産生されたポリペプチドを精製する工程を含む、Ｐｒｏｓｐａｎポリペプチドを作製する方法に関する。そのポリペプチドの精製は、当業者によく知られているいずれかの技術に従って行うことができる。好ましくは、抗Ｐｒｏｓｐａｎ抗体をクロマトグラフィー担体に結合させて、アフィニティークロマトグラフィーカラムを形成することができる。Ｐｒｏｓｐａｎポリペプチドを発現する細胞は、以下に記述するような組換え宿主細胞であることが好ましい。精製Ｐｒｏｓｐａｎポリペプチドの作製は、本明細書で記述されるように抗Ｐｒｏｓｐａｎ抗体の作製に有用である。
【０５５９】
本発明の好ましい態様は、Ｐｒｏｓｐａｎポリペプチドをコードするポリヌクレオチドの宿主細胞組換え体である。１つの実施形態は、Ｐｒｏｓｐａｎポリペプチドをコードするポリヌクレオチドの宿主細胞組換え体を作製する方法であって、i)プロモーターに作動可能に連結されるＰｒｏｓｐａｎポリペプチドをコードする核酸配列を含み、所定の生理学的条件下にて前記Ｐｒｏｓｐａｎポリペプチドの発現を可能にする、組換えベクターを作製し、ii)前記組換えベクターを細胞に導入する工程を含む方法に関する。好ましい実施形態では、前記細胞は大腸菌細胞又はヒト細胞である。その他の好ましい態様は、細胞に存在する場合には、Ｐｒｏｓｐａｎの発現に変化をもたらす、ポリヌクレオチドの宿主細胞組換え体である。Ｐｒｏｓｐａｎの発現を修飾するポリヌクレオチドの宿主細胞組換え体は、i)Ｐｒｏｓｐａｎ遺伝子を含む細胞を提供し、ii)ポリヌクレオチドを含む組換えベクターを、前記細胞に導入する工程を含む方法であって、前記細胞における前記ポリヌクレオチドの存在によって、前記組換えベクターが導入される前の前記細胞におけるＰｒｏｓｐａｎの発現と比較して、Ｐｒｏｓｐａｎの発現が増加又は低減する方法によって作製される。好ましくは、前記ポリヌクレオチドは、Ｐｒｏｓｐａｎ遺伝子の５’調節領域のすべて又は一部に挿入されるか、又はＰｒｏｓｐａｎ遺伝子の５’調節領域のすべて又は一部と置き換わる。さらに好ましくは、前記ポリヌクレオチドは、Ｐｒｏｓｐａｎコード領域の５００塩基対内に位置する。前記ポリヌクレオチドはプロモーター配列を含むことが好ましい。内因性配列にポリヌクレオチド配列を導入するための当技術分野で公知の技術は、その開示内容全体が参照により本明細書に組み込まれる、米国特許第５，６４１，６７０号及び国際公開番号：Ｗ０９６２９４１１に記載されている。Ｐｒｏｓｐａｎポリペプチドを産生するかかる組換え宿主細胞を用いて、Ｐｒｏｓｐａｎポリペプチドを作製することができる。
【０５６０】
配列番号：３４のタンパク質（内部指定クローン１０９０１０＿１０５−０４１−４−０−Ａ５−Ｆ）
クローン１０９０１０＿１０５−０４１−４−０−Ａ５−ＦのｃＤＮＡ（配列番号：３３）は、アミノ酸配列：ＭＷＶＰＶＶＦＬＴＬＳＶＴＷＩＧＡＡＰＬＩＬＳＲＩＶＧＧＷＥＣＥＫＨＳＱＰＷＱＶＬＶＡＳＲＧＲＡＶＣＧＧＶＬＶＨＰＱＷＶＬＴＡＡＨＣＩＲＮＫＳＶＩＬＬＧＲＨＳＬＦＨＰＥＤＴＧＱＡＲを含む、配列番号：３４のＰｒｏｓｐａｎｙｌをコードする。したがって、本明細書全体にわたり記載されている配列番号：３４のポリペプチドのすべての特性及び使用は、クローン１０９０１０＿１０５−０４１−４−０−Ａ５−Ｆ中のヒトｃＤＮＡを含む核酸によってコードされるポリペプチドにも関係することは理解されよう。
【０５６１】
さらに、本明細書全体にわたり記載されている配列番号：＃＃のポリヌクレオチドのすべての特性及び使用は、クローン１０９０１０＿１０５−０４１−４−０−Ａ５−Ｆ中のヒトｃＤＮＡを含む核酸にも関係することは理解されよう。本発明の好ましい実施形態は、配列番号：３４、配列番号：３３及びクローン１０９０１０＿１０５−０４１−４−０−Ａ５−Ｆのヒトポリヌクレオチド及びポリペプチド組成物に対して向けられている。以下に記載の方法で使用される好ましいＰｒｏｓｐａｎｙｌポリペプチド断片としては、アミノ配列：ＰＬＩＬＳＲＩＶＧＧＷＥＣＥＫＨＳＱＰＷＱＶＬＶＡＳＲＧＲＡＶＣＧＧＶＬＶＨＰＱＷＶＬＴＡＡＨＣＩＲＮＫＳＶＩＬＬＧＲＨＳＬＦＨＰＥＤＴＧＱＡＲを含むＰｒｏｓｐａｎｙｌポリペプチドが挙げられる。
【０５６２】
以下に記載の方法で使用される最も好ましいＰｒｏｓｐａｎｙｌポリペプチド断片としては、アミノ酸配列：ＩＶＧＧＷＥＣＥＫＨＳＱＰＷＱＶＬＶＡＳＲＧＲＡＶＣＧＧＶＬＶＨＰＱＷＶＬＴＡＡＨＣＩＲＮＫＳＶＩＬＬＧＲＨＳＬＦＨＰＥＤＴＧＱＡＲを含むＰｒｏｓｐａｎｙｌポリペプチドが挙げられる。本明細書に記載の生物活性を有するポリペプチド断片及びその断片をコードするポリヌクレオチドもまた好ましい。
【０５６３】
本発明のタンパク質、Ｐｒｏｓｐａｎｙｌは、前立腺特異的抗原（ＰＳＡ，ＥＭＢＬアクセッション番号ＮＰ＿００１６３９）の新規な分泌スプライスバリアントである。２つの第１エクソンは、Ｐｒｏｓｐａｎｙｌ ｍＲＮＡ及びＰＳＡ ｍＲＮＡにおいて同一である。Ｐｒｏｓｐａｎｙｌ ｍＲＮＡの第３及び第４エクソンは、ＰＳＡ ｍＲＮＡの第３エクソンのエクソン内スプライスから生じる。Ｐｒｏｓｐａｎｙｌ ｍＲＮＡの第５及び第６エクソンは、ＰＳＡ ｍＲＮＡの第４及び第５エクソンに相当する。Ｐｒｏｓｐａｎｙｌは、シグナルペプチド（ＭＷＶＰＶＶＦＬＴＬＳＶＴＷＩＧＡＡＰＬＩＬＳ）、成熟型で切断されるプロペプチド（ＰＬＩＬＳＲ）及びヒスチジン活性部位にわたるトリプシンドメイン（ＲＩＶＧＧＷＥＣＥＫＨＳＱＰＷＱＶＬＶＡＳＲＧＲＡＶＣＧＧＶＬＶＨＰＱＷＶＬＴＡＡＨＣＩＲＮＫＳＶＩＬＬＧＲＨＳＬＦＨＰＥＤＴＧＱ）を示す。
【０５６４】
Ｐｒｏｓｐａｎｙｌは、カリクレインファミリーの新規なメンバーである。それは、通常の過形成性及び癌性前立腺上皮によって分泌される。Ｐｒｏｓｐａｎｙｌはアンドロゲンによってアップレギュレートされ、Ｐｒｏｓｐａｎｙｌの発現レベルは、前立腺腫瘍の悪性度と正に相関する。Ｐｒｏｓｐａｎｙｌは、精液中に見出され、血液及び血清において低レベルで見出される。Ｐｒｏｓｐａｎｙｌは、前立腺癌及び乳癌などの他の癌の早期の検出、ステージング、予後及びモニタリングに有用である。
【０５６５】
本発明の実施形態は、配列番号：３４の又は配列番号：３４と少なくとも７０％、８０％、９０％、９５％、９６％、９７％、９８％、９９％以上の同一性を有するＰｒｏｓｐａｎｙｌポリペプチド配列を含む組成物に関する。
本発明のさらなる実施形態は、プロテアーゼ活性又はプロテアーゼ阻害剤結合活性を有するＰｒｏｓｐａｎｙｌポリペプチド断片を含む組成物に関する。
【０５６６】
本明細書で使用される「Ｐｒｏｓｐａｎｙｌポリペプチド」とは、配列番号：３４の、又は配列番号：３４と少なくとも７０％、８０％、９０％、９５％、９６％、９７％、９８％、９９％以上同一のＰｒｏｓｐａｎｙｌポリペプチド配列のいずれかを意味する。
本発明のさらなる実施形態は、配列番号：３４の６６位及び６７位に示されるアミノ酸のうちの１つ又は両方を含有するＰｒｏｓｐａｎｙｌポリペプチド断片を含む組成物に関する。
【０５６７】
本明細書で使用される「Ｐｒｏｓｐａｎｙｌポリペプチド」とは、配列番号：３４の又は配列番号：３４と少なくとも７０％、８０％、９０％、９５％、９６％、９７％、９８％、９９％以上同一のＰｒｏｓｐａｎｙｌポリペプチド配列、又は配列番号：３４の６６位及び６７位に示されるアミノ酸のうちの１つ又は両方を含有するその断片のいずれかを意味する。
【０５６８】
本発明の実施形態は、Ｐｒｏｓｐａｎｙｌポリペプチドをコードする配列番号：３３のポリヌクレオチド配列を含む組成物に関する。
本発明のさらなる実施形態は、Ｐｒｏｓｐａｎｙｌポリペプチドをコードするポリヌクレオチド配列を含む組成物に関する。
本明細書でさらに使用される「Ｐｒｏｓｐａｎｙｌポリヌクレオチド」とは、配列番号：３３の、又は配列番号：３３と少なくとも７０％、８０％、９０％、９５％以上の同一性を有するＰｒｏｓｐａｎｙｌポリヌクレオチド配列、Ｐｒｏｓｐａｎｙｌポリペプチドをコードするヌクレオチド配列のいずれかを意味する。
【０５６９】
本発明のさらなる実施形態は、配列番号：３４のＰｒｏｓｐａｎｙｌポリペプチド配列又はＰｒｏｓｐａｎｙｌポリペプチド断片を認識する抗体に関する。好ましくは、配列番号：３４のＰｒｏｓｐａｎｙｌポリペプチド配列のカルボキシル末端２個のアミノ酸のうちの１つ又は両方が、前記Ｐｒｏｓｐａｎｙｌポリペプチドへの前記抗体の結合に必要である。前記抗体によって認識される好ましいエピトープは、ＬＦＨＰＥＤＴＧＱＡのアミノ酸配列を含む。最も好ましくは、その抗体はＰｒｏｓｐａｎｙｌには結合するが、ＰＳＡには結合しない。本明細書で使用される「抗Ｐｒｏｓｐａｎｙｌ抗体」とは、Ｐｒｏｓｐａｎｙｌポリペプチドに特異的に結合する、抗体又はその抗原結合断片を意味する。
【０５７０】
本発明の実施形態は、抗Ｐｒｏｓｐａｎｙｌ抗体をＰｒｏｓｐａｎｙｌポリペプチドに結合させる方法であって、結合を生じさせる条件下にて、Ｐｒｏｓｐａｎｙｌポリペプチドを前記抗体と接触させる工程を含む方法に関する。かかる条件は当業者にはよく知られている。かかる方法は、本明細書にさらに記述されるように、Ｐｒｏｓｐａｎｙｌポリペプチドの検出に有用である。
【０５７１】
本発明の実施形態は、生体試料におけるＰｒｏｓｐａｎｙｌポリペプチドを検出する方法に関し、前記方法は、i)生体試料を抗Ｐｒｏｓｐａｎｙｌ抗体と接触させ、ii)形成された抗原−抗体複合体を検出する工程を含む。その抗Ｐｒｏｓｐａｎｙｌ抗体は、モノクローナル抗体又はポリクローナル抗体であることが可能である。さらに、その抗Ｐｒｏｓｐａｎｙｌ抗体は、一次的又は二次的に、当技術分野で一般的ないずれかの検出可能な化合物（例えば、放射性化合物、蛍光化合物、発光化合物、又は酵素化合物）によって標識することができる。Ｐｒｏｓｐａｎｙｌポリペプチドの検出は例えば、生体試料におけるＰｒｏｓｐａｎｙｌの発現の検出に、例えば以下にさらに記述するように、診断の目的に有用である。
【０５７２】
本発明の実施形態は、生体試料におけるＰｒｏｓｐａｎｙｌの発現を検出する方法に関し、前記方法は、i)個体から生体試料を採取し、ii)試料におけるＰｒｏｓｐａｎｙｌの発現レベルを検出し、iii)前記試料におけるＰｒｏｓｐａｎｙｌの発現レベルを対照試料におけるレベルと比較する工程を含む。試料におけるＰｒｏｓｐａｎｙｌの発現レベルは、いずれかの方法を用いて、例えば、試料中のＰｒｏｓｐａｎｙｌ ｍＲＮＡ又はＰｒｏｓｐａｎｙｌポリペプチドのレベルを検出することによって評価することができる。例えば、ウェスタンブロット法、免疫化学技術及び細胞化学技術などのよく知られている技術を用いて、Ｐｒｏｓｐａｎｙｌの発現を検出することができる。好ましくは、抗Ｐｒｏｓｐａｎｙｌ抗体を使用して、Ｐｒｏｓｐａｎｙｌの発現レベルを検出する。また好ましくは、配列番号：３３のポリヌクレオチド配列又はその一部又は配列番号：３３に相補的なポリヌクレオチド配列を含むポリヌクレオチドプローブを使用して、例えば、ノーザンブロット法又はＲＴＰＣＲ技術によってＰｒｏｓｐａｎｙｌの発現レベルを検出する。好ましい生体試料としては、血液、血清、尿又は精液から得られる試料が挙げられる。
【０５７３】
Ｐｒｏｓｐａｎｙｌの発現レベルの検出は、癌、例えば、前立腺癌の検出に役立つ。かかる方法において、疾患を持たない健康な個体におけるレベルを表す対照試料における発現レベルと比較して、前記生体試料におけるＰｒｏｓｐａｎｙｌの発現レベルが高い場合には、前立腺癌であること及び／又は前立腺癌の素因があることを示している。さらに、Ｐｒｏｓｐａｎｙｌの発現は、癌の悪性度及び癌のステージと正に相関する。その代わりに、Ｐｒｏｓｐａｎｙｌの発現レベルとＰＳＡの発現レベルとの比、又はＰＳＡの発現レベルとＰｒｏｓｐａｎｙｌの発現レベルの総量を決定することが可能であり、前立腺癌であること、前立腺癌の素因があること、前立腺癌の悪性度又はそのステージを示すことができる。様々な組織におけるＰｒｏｓｐａｎｙｌ及びＰＳＡの差次的発現を確立することも可能である。前立腺癌を検出するためのＰｒｏｓｐａｎｙｌの発現レベルの検出は例えば、その開示内容全体が参照により本明細書に組み込まれる、米国特許第５，９３５，８１８号又は国際特許出願公開番号：ＷＯ／００４９１５８に記載されたように行うことができる。
【０５７４】
一方、Ｐｒｏｓｐａｎｙｌの発現レベルの検出は、卵巣癌又は乳癌を検出する方法においても役立ち、その方法では、疾患を持たない健康な個体におけるレベルを表す対照試料における発現レベルと比較して、前記生体試料におけるＰｒｏｓｐａｎｙｌの発現レベルが高い場合には、癌であることを示している。その開示内容全体が参照により組み込まれる米国特許第６，２３５，４８６号に記載されている乳癌の診断、治療及び／又はその進行及び寛解のモニタリングの方法は、例えば、ｈＫ２の代わりにＰｒｏｓｐａｎｙｌを用いて行うことができる。
【０５７５】
この実施形態の一態様において、生体試料におけるＰｒｏｓｐａｎｙｌの発現レベルは、抗Ｐｒｏｓｐａｎｙｌ抗体を用いて決定される。かかる方法は、i)個体から生体試料を得、ii)核酸配列のハイブリダイゼーションを可能にする条件下にて、前記生体試料をＰｒｏｓｐａｎｙｌポリヌクレオチドプローブと接触させ、それによって前記Ｐｒｏｓｐａｎｙｌポリヌクレオチドプローブと、前記試料に存在するいずれかの内因性Ｐｒｏｓｐａｎポリヌクレオチドとの間のハイブリダイゼーション複合体の形成が可能とし、iii)前記試料において検出される抗原−抗体複合体のレベルを対照試料におけるレベルと比較する工程を含む。かかる方法は、例えば、その開示内容全体が参照により本明細書に組み込まれる、米国特許第５，６１４，３７２号及びLiedtkeら(Clin Chem 30:649-52 (1984))に記載の方法などのイムノアッセイを含む。
【０５７６】
この実施形態のその他の態様では、生体試料におけるＰｒｏｓｐａｎｙｌの発現レベルは、Ｐｒｏｓｐａｎｙｌポリヌクレオチドを用いて決定される。かかる一方法は、i)個体から生体試料を得、ii)当技術分野で一般的ないずれかの技術によって検出可能である、Ｐｒｏｓｐａｎｙｌポリヌクレオチド又はその補体を含むプローブを提供し、iii)核酸配列のハイブリダイゼーションを可能にする条件下にて、生体試料を前記プローブと接触させ、それによってハイブリダイゼーション複合体の形成を可能とし、iv）ハイブリダイゼーション複合体を検出し、v）前記試料において検出されるハイブリダイゼーション複合体のレベルを対照試料におけるレベルと比較する工程を含む。
【０５７７】
その他のかかる方法は、i)個体から生体試料を得、ii)Ｐｒｏｓｐａｎｙｌポリヌクレオチドを特異的に増幅するプライマーを得、iii)前記プライマーを用いて、対象の前記生体試料でネステッドポリメラーゼ連鎖反応（ＰＣＲ）を行い、iv）増幅産物を検出し、v）前記試料において検出される増幅産物のレベルを対照試料におけるレベルと比較する工程を含む。
【０５７８】
本発明のその他の実施形態は、Ｐｒｏｓｐａｎｙｌポリペプチドの存在をインビトロで検出するための診断キットに関する。かかるキットは、i)抗Ｐｒｏｓｐａｎｙｌ抗体、任意に、ii)形成された抗原−抗体複合体の検出を可能にする試薬を備える。前記抗体は、上述のように検出可能に標識されることが好ましい。あるいは、その任意の試薬は、検出可能なシグナルであってもよい。任意の試薬は、前記抗体に結合するか、又は前記抗体上の標識と反応する。抗Ｐｒｏｓｐａｎｙｌ抗体を備えるキットは、前立腺癌又は乳癌の診断に向けられることが好ましい。任意に、前記診断キットは、疾患を持たない健康な個体からのレベルを表す負の対照試料を備える。任意に、前記診断キットは、特定の疾患、例えば、癌、特に前立腺癌に罹患している個体からのレベルを表す正の対照試料を備える。任意に、前記診断キットは、例えば、抗ＰＳＡ抗体などの他の抗体を備える。
【０５７９】
さらなる実施形態は、Ｐｒｏｓｐａｎｙｌポリヌクレオチドを含むポリヌクレオチドプローブのアレイに関する。好ましくは、前記Ｐｒｏｓｐａｎｙｌポリヌクレオチドは、固体担体上の既知の位置にそれぞれ存在するプローブのアレイの一部である。好ましくは、前記アレイは、前立腺癌の検出、ステージング、予後及びモニタリングのマーカーである、他のポリヌクレオチドを含む。これらのマイクロアレイは例えば、前立腺癌を診断するために、又は前立腺癌に罹患しやすい家族において疫学的研究を行うために使用することができる。前記アレイの一部であり得る他のマーカーとしては、限定されないが、アポリポタンパク質Ｅ対立遺伝子、ＰＧ１対立遺伝子、Ｂａｐ２８対立遺伝子、フィブロネクチン対立遺伝子、ＰｕｒＨ対立遺伝子及びＰＣＴＡ−１対立遺伝子が挙げられる。
【０５８０】
その他の実施形態は、i)Ｐｒｏｓｐａｎｙポリペプチドをコードするポリヌクレオチドを含む細胞を、前記ポリペプチドの発現の助けとなる条件下にて培養し、ii)産生されたポリペプチドを精製する工程を含む、Ｐｒｏｓｐａｎｙｌポリペプチドを作製する方法に関する。そのポリペプチドの精製は、当業者によく知られているいずれかの技術に従って行うことができる。好ましくは、抗Ｐｒｏｓｐａｎｙｌ抗体をクロマトグラフィー担体に結合させて、アフィニティークロマトグラフィーカラムを形成することができる。Ｐｒｏｓｐａｎｙｌポリペプチドを発現する細胞は、以下に記述するような組換え宿主細胞であることが好ましい。精製Ｐｒｏｓｐａｎｙｌポリペプチドの作製は、本明細書で記述されるように抗Ｐｒｏｓｐａｎｙｌ抗体の作製に有用である。
【０５８１】
本発明の好ましい態様は、Ｐｒｏｓｐａｎｙｌポリペプチドをコードするポリヌクレオチドの宿主細胞組換え体である。１つの実施形態は、Ｐｒｏｓｐａｎｙｌポリペプチドをコードするポリヌクレオチドの宿主細胞組換え体を作製する方法であって、i)プロモーターに作動可能に連結されるＰｒｏｓｐａｎｙｌポリペプチドをコードする核酸配列を含み、所定の生理学的条件下にて前記Ｐｒｏｓｐａｎｙｌポリペプチドの発現を可能にする、組換えベクターを作製し、ii)前記組換えベクターを細胞に導入する工程を含む方法に関する。好ましい実施形態では、前記細胞は大腸菌細胞又はヒト細胞である。その他の好ましい態様は、細胞に存在する場合には、Ｐｒｏｓｐａｎｙｌの発現に変化をもたらす、ポリヌクレオチドの宿主細胞組換え体である。Ｐｒｏｓｐａｎｙｌの発現を修飾するポリヌクレオチドの宿主細胞組換え体は、i)Ｐｒｏｓｐａｎｙｌ遺伝子を含む細胞を提供し、ii)ポリヌクレオチドを含む組換えベクターを、前記細胞に導入する工程を含む方法であって、前記細胞における前記ポリヌクレオチドの存在によって、前記組換えベクターが導入される前の前記細胞におけるＰｒｏｓｐａｎｙｌの発現と比較して、Ｐｒｏｓｐａｎｙｌの発現が増加又は低減する方法によって作製される。好ましくは、前記ポリヌクレオチドは、Ｐｒｏｓｐａｎｙｌ遺伝子の５’調節領域のすべて又は一部に挿入されるか、又はＰｒｏｓｐａｎｙｌ遺伝子の５’調節領域のすべて又は一部と置き換わる。さらに好ましくは、前記ポリヌクレオチドは、Ｐｒｏｓｐａｎｙｌコード領域の５００塩基対内に位置する。前記ポリヌクレオチドはプロモーター配列を含むことが好ましい。内因性配列にポリヌクレオチド配列を導入するための当技術分野で公知の技術は、その開示内容全体が参照により本明細書に組み込まれる、米国特許第５，６４１，６７０号及び国際公開番号：Ｗ０９６２９４１１に記載されている。Ｐｒｏｓｐａｎｙｌポリペプチドを産生するかかる組換え宿主細胞を用いて、Ｐｒｏｓｐａｎｙｌポリペプチドを作製することができる。
【０５８２】
配列番号：３６のタンパク質（内部指定クローン５８４０４７＿１８１−１１−４−０−Ｇ９−Ｆ）
クローン５８４０４７＿１８１−１１−４−０−Ｇ９−ＦのｃＤＮＡ（配列番号：３５）は、アミノ酸配列：ＭＡＫＶＦＳＦＩＬＶＴＴＡＬＩＭＧＲＥＩＳＡＬＥＤＣＡＱＥＱＭＲＬＲＡＱＶＲＬＬＥＴＲＶＫＱＱＱＶＫＩＫＱＬＬＱＥＮＥＶＱＦＬＤＫＧＤＥＮＴＶＶＤＬＧＳＫＲＱＹＡＤＣＳＥＩＦＮＤＧＹＫＬＳＧＦＹＫＩＫＰＬＱＳＰＡＥＦＳＶＹＣＤＭＳＤＧＧＧＷＴＶＩＱＲＲＳＤＧＳＥＮＦＮＲＧＷＫＤＹＥＮＧＦＧＮＦＶＱＫＨＧＥＹＷＬＧＮＫＮＬＨＦＬＴＴＱＥＤＹＴＬＫＩＤＬＡＤＦＥＫＮＳＲＹＡＱＹＫＮＦＫＶＧＤＥＫＮＦＹＥＬＮＩＧＥＹＳＧＴＡＧＤＳＬＡＧＮＦＨＰＥＶＱＷＷＡＳＨＱＲＭＫＦＳＴＷＤＲＤＨＤＮＹＥＧＮＣＡＥＥＤＱＳＧＷＷＦＮＲＣＨＳＡＮＬＮＧＶＹＹＳＧＰＹＴＡＫＴＤＮＧＩＶＷＹＴＷＨＧＬＶＦＳＥＩＣＧＹＥＮを含む、配列番号：３６のＦｉｒｐをコードする。
【０５８３】
したがって、本明細書全体にわたり記載されている配列番号：３６のポリペプチドのすべての特性及び使用は、クローン５８４０４７＿１８１−１１−４−０−Ｇ９−Ｆ中のヒトｃＤＮＡを含む核酸によってコードされるポリペプチドにも関係することは理解されよう。さらに、本明細書全体にわたり記載されている配列番号：３５のポリヌクレオチドのすべての特性及び使用は、クローン５８４０４７＿１８１−１１−４−０−Ｇ９−Ｆ中のヒトｃＤＮＡを含む核酸にも関係することは理解されよう。
【０５８４】
本発明の好ましい実施形態は、配列番号：３６、配列番号：３５及びクローン５８４０４７＿１８１−１１−４−０−Ｇ９−Ｆのヒトポリヌクレオチド及びポリペプチド組成物に対して向けられている。以下に記載の方法で使用される好ましいＦｉｒｐポリペプチド断片としては、アミノ配列：ＬＥＤＣＡＱＥＱＭＲＬＲＡＱＶＲＬＬＥＴＲＶＫＱＱＱＶＫＩＫＱＬＬＱＥＮＥＶＱＦＬＤＫＧＤＥＮＴＶＶＤＬＧＳＫＲＱＹＡＤＣＳＥＩＦＮＤＧＹＫＬＳＧＦＹＫＩＫＰＬＱＳＰＡＥＦＳＶＹＣＤＭＳＤＧＧＧＷＴＶＩＱＲＲＳＤＧＳＥＮＦＮＲＧＷＫＤＹＥＮＧＦＧＮＦＶＱＫＨＧＥＹＷＬＧＮＫＮＬＨＦＬＴＴＱＥＤＹＴＬＫＩＤＬＡＤＦＥＫＮＳＲＹＡＱＹＫＮＦＫＶＧＤＥＫＮＦＹＥＬＮＩＧＥＹＳＧＴＡＧＤＳＬＡＧＮＦＨＰＥＶＱＷＷＡＳＨＱＲＭＫＦＳＴＷＤＲＤＨＤＮＹＥＧＮＣＡＥＥＤＱＳＧＷＷＦＮＲＣＨＳＡＮＬＮＧＶＹＹＳＧＰＹＴＡＫＴＤＮＧＩＶＷＹＴＷＨＧＬＶＦＳＥＩＣＧＹＥＮを含むＦｉｒｐポリペプチドが挙げられる。本明細書に記載の生物活性を有するポリペプチド断片及びその断片をコードするポリヌクレオチドもまた好ましい。
【０５８５】
本発明のタンパク質、Ｆｉｒｐは、フィブリノゲン関連タンパク質１（ＨＦＲＥＰ１，Ｇｅｎｂａｎｋアクセッション番号ＮＰ＿００４４５８）の新規な分泌スプライスバリアントである。この新規なスプライスバリアントは、９個のエクソンを示す。Ｆｉｒｐポリペプチドは、シグナルペプチド（ＭＡＫＶＦＳＦＩＬＶＴＴＡＬＩＭＧＲＥＩＳＡ）、及びジスルフィド結合に関与する４個の保存システイン（配列番号：３６の６１、９０、２２６及び２３９位のシステイン残基）を有し、かつＦＩＢＲＩＮ＿ＡＧ＿Ｃ＿ＤＯＭＡＩＮシグネチャー（ＷＷＦＮＲＣＨＳＡＮＬＮＧ）を有するフィブリノゲンＣ末端球状ドメインを示す。得られる成熟Ｆｉｒｐポリペプチドは、２７９アミノ酸の長さである。配列番号：３６の１〜２６８位に示されるアミノ酸は、成熟ＨＦＲＥＰ１ポリペプチドのアミノ末端側２６８個のアミノ酸と同一であり、Ｆｉｒｐのカルボキシル末端側１１個のアミノ酸はこのスプライスバリアントに固有である。
【０５８６】
Ｆｉｒｐは、肝臓で特異的に発現され、肝実質細胞によって主に合成される。それは、肝臓細胞外マトリックス及び血清に存在する分泌タンパク質である。Ｆｉｒｐは、有糸分裂活性を有し、かつ肝細胞の増殖を刺激する。Ｆｉｒｐは、肝細胞前駆体の分化にも必要であり、肝臓の胚発育時及び成体における肝臓の再生のどちらにおいても、主要な役割を果たす。さらに、Ｆｉｒｐの過剰発現は、肝癌が発生する一因となる。
【０５８７】
本発明の実施形態は、配列番号：３６の又は配列番号：３６と少なくとも７０％、８０％、９０％、９５％、９６％、９７％、９８％、９９％以上の同一性を有するＦｉｒｐポリペプチド配列を含む組成物に関する。
本発明のさらなる実施形態は、肝細胞の増殖又は分化を刺激するＦｉｒｐポリペプチド断片を含む組成物に関する。
【０５８８】
本明細書で使用される「Ｆｉｒｐポリペプチド」とは、配列番号：３６の、又は配列番号：３６と少なくとも７０％、８０％、９０％、９５％、９６％、９７％、９８％、９９％以上同一のＦｉｒｐポリペプチド配列、又は配列番号：３６の２６９〜２７９位に示されるアミノ酸のうちの少なくとも１つを含有するＦｉｒｐポリペプチド断片、又は肝細胞の増殖又は分化を刺激するＦｉｒｐポリペプチド断片のいずれかを意味する。
【０５８９】
本発明の実施形態は、Ｆｉｒｐポリペプチドをコードする配列番号：３５のポリヌクレオチド配列を含む組成物に関する。
本発明のさらなる実施形態は、Ｆｉｒｐポリペプチドをコードするポリヌクレオチド配列を含む組成物に関する。
本明細書でさらに使用される「Ｆｉｒｐポリヌクレオチド」とは、配列番号：３５の又は配列番号：３５と少なくとも７０％、８０％、９０％、９５％以上の同一性を有するＦｉｒｐポリヌクレオチド配列、Ｆｉｒｐポリペプチドをコードするヌクレオチド配列又はこれらの配列のいずれかに相補的な配列のいずれかを意味する。
【０５９０】
本発明のさらなる実施形態は、Ｆｉｒｐポリペプチドを認識する抗体に関する。好ましくは、その抗体は、Ｆｉｒｐのカルボキシル末端側１１個のアミノ酸内に位置する１つ又は複数のアミノ酸を認識し、前記の１つ又は複数のアミノ酸は、Ｆｉｒｐポリペプチドへの抗体の結合に必要とされる。最も好ましくは、その抗体は、Ｆｉｒｐには特異的に結合するが、ＨＦＲＥＰ１には特異的に結合しない。本明細書で使用される「抗Ｆｉｒｐ抗体」とは、Ｆｉｒｐポリペプチドに特異的に結合する、抗体又はその抗原結合断片を意味する。
【０５９１】
本発明の実施形態は、抗Ｆｉｒｐ抗体をＦｉｒｐポリペプチドに結合させる方法であって、結合を生じさせる条件下にて、Ｆｉｒｐポリペプチドを前記抗体と接触させる工程を含む方法に関する。かかる条件は当業者にはよく知られている。かかる方法は、本明細書にさらに記述されるように、Ｆｉｒｐポリペプチドの検出に有用である。
本発明の実施形態は、生体試料におけるＦｉｒｐポリペプチドを検出する方法に関し、前記方法は、i)生体試料を抗Ｆｉｒｐ抗体と接触させ、ii)形成された抗原−抗体複合体を検出する工程を含む。その抗Ｆｉｒｐ抗体は、モノクローナル抗体又はポリクローナル抗体であることが可能である。さらに、その抗Ｆｉｒｐ抗体は、一次的又は二次的に、当技術分野で一般的ないずれかの検出可能な化合物（例えば、放射性化合物、蛍光化合物、発光化合物、又は酵素化合物）によって標識することができる。かかる方法は、以下にさらに記述するように、例えば肝癌の診断に適用することが可能である。
【０５９２】
本発明の実施形態は、生体試料におけるＦｉｒｐの発現を検出する方法に関し、前記方法は、i)個体から生体試料を採取し、ii)試料におけるＦｉｒｐの発現レベルを検出し、iii)前記試料におけるＦｉｒｐの発現レベルを対照試料におけるレベルと比較する工程を含む。かかる一実施形態において、前記生体試料は、肝癌に罹患している疑いのある個体から採取され、その方法を用いて、肝癌を診断する。正常な個体におけるレベルを表す対照試料における発現レベルと比較して、前記生体試料におけるＦｉｒｐの発現レベルが高い場合には、肝癌が存在することを示している。
【０５９３】
本明細書で使用される「肝癌」には、悪性肝癌及び肝細胞癌が含まれる。好ましい生体試料は、血清から得られる。試料におけるＦｉｒｐの発現レベルは、いずれかの方法を用いて、例えば、試料におけるＦｉｒｐ ｍＲＮＡ又はＦｉｒｐポリペプチドのレベルを検出することによって評価することができる。例えば、ウェスタンブロット法、免疫化学技術及び細胞化学技術などのよく知られている多くの技術のいずれかを用いて、Ｆｉｒｐの発現を検出することができる。好ましくは、抗Ｆｉｒｐ抗体を使用して、Ｆｉｒｐの発現レベルを検出する。Ｆｉｒｐの発現レベルの検出は、コラゲナーゼ阻害剤に結合する抗体の代わりに抗Ｆｉｒｐ抗体を使用することによって、その開示内容全体が参照により組み込まれる、欧州特許第０，３３９，０９７号に記載されたように行うことができる。また好ましくは、配列番号：３５のポリヌクレオチド配列又はその一部、又は配列番号：３５に相補的なポリヌクレオチド配列を含むポリヌクレオチドプローブを使用して、例えばノーザンブロット法又はＲＴＰＣＲ技術によってＦｉｒｐの発現レベルを検出する。
【０５９４】
本発明のその他の実施形態は、Ｆｉｒｐポリペプチドの存在をインビトロで定量化するための診断キットに関する。かかるキットは、i)抗Ｆｉｒｐ抗体、任意に、ii)形成された抗原−抗体複合体の検出を可能にする試薬を備える。前記抗体は、上述のように検出可能に標識されることが好ましい。あるいは、その任意の試薬は、検出可能なシグナルを提供し得る。任意の試薬は、前記抗体に結合するか、又は前記抗体上の標識と反応する。抗Ｆｉｒｐ抗体を備えるキットは、肝癌の診断に使用されることが好ましい。任意に、前記診断キットは、健康な、例えば、癌に罹患していない個体からのレベルを表す負の対照試料を備える。任意に、前記診断キットは、肝癌に罹患している個体からのレベルを表す正の対照試料を備える。
【０５９５】
その他の実施形態は、i)Ｆｉｒｐポリペプチドをコードするポリヌクレオチドを含む細胞を、前記ポリペプチドの発現の助けとなる条件下にて培養し、ii)産生されたポリペプチドを精製する工程とを含む、Ｆｉｒｐポリペプチドを作製する方法に関する。そのポリペプチドの精製は、当業者によく知られているいずれかの技術に従って行うことができる。好ましくは、抗Ｆｉｒｐ抗体をクロマトグラフィー担体に結合させて、アフィニティークロマトグラフィーカラムを形成することができる。あるいは、Ｆｉｒｐポリペプチドを異種免疫原性ペプチドに融合させてもよく、その融合タンパク質は、異種ペプチドに特異的な抗体を用いて精製される。Ｆｉｒｐポリペプチドを発現する細胞は、以下に記述するような組換え宿主細胞であることが好ましい。Ｆｉｒｐポリペプチドの作製は、本明細書でさらに記述されるような方法及び組成物において有用であり得る。
【０５９６】
本発明の好ましい態様は、プロモーターに作動可能に連結される、Ｆｉｒｐポリペプチドをコードするポリヌクレオチドの宿主細胞組換え体である。１つの実施形態は、Ｆｉｒｐポリペプチドをコードするポリヌクレオチドの宿主細胞組換え体を作製する方法であって、i)プロモーターに作動可能に連結される、Ｆｉｒｐポリペプチドをコードする核酸配列を含む組換えベクターを作製し、ii)前記組換えベクターを細胞に導入する工程を含む方法に関する。
【０５９７】
好ましい実施形態では、前記細胞は大腸菌細胞又はヒト細胞である。その他の好ましい態様は、細胞に存在する場合には、Ｆｉｒｐの発現に変化をもたらす、ポリヌクレオチドの宿主細胞組換え体である。Ｆｉｒｐの発現を修飾することができるポリヌクレオチドの宿主細胞組換え体は、i)Ｆｉｒｐ遺伝子を含む細胞を提供し、ii)Ｆｉｒｐの発現を変化させるポリヌクレオチドを含む組換えベクターを、前記細胞に導入する工程を含む方法であって、前記細胞における前記ポリヌクレオチドの存在によって、前記組換えベクターが導入される前の前記細胞におけるＦｉｒｐの発現レベルと比較して、Ｆｉｒｐの発現が増加又は低減する方法によって作製される。好ましくは、前記ポリヌクレオチドは、Ｆｉｒｐ遺伝子の５’調節領域のすべて又は一部に挿入されるか、又はＦｉｒｐ遺伝子の５’調節領域のすべて又は一部と置き換わる。さらに好ましくは、前記ポリヌクレオチドは、Ｆｉｒｐコード領域の５００塩基対内に位置する。前記ポリヌクレオチドはプロモーター配列を含むことが好ましい。内因性配列にポリヌクレオチド配列を導入するための当技術分野で公知の技術は、その開示内容全体が参照により本明細書に組み込まれる、米国特許第５，６４１，６７０号及び国際公開番号：Ｗ０９６２９４１１に記載されている。Ｆｉｒｐポリペプチドを産生するかかる組換え宿主細胞を用いて、Ｆｉｒｐポリペプチドを作製することができる。
【０５９８】
好ましい実施形態は、Ｆｉｒｐの発現を調節する能力について試験物質をスクリーニングする方法であって、i)細胞を試験物質と接触させ、ii)試験物質に暴露した後の細胞におけるＦｉｒｐの発現を、非暴露対照細胞における発現と比較する工程を含む方法に関し、暴露細胞と非暴露対照細胞との間で観察されるＦｉｒｐの発現の差異によって、試験物質がＦｉｒｐの発現を調節することを示す。Ｆｉｒｐの発現は、限定されないが、Ｆｉｒｐポリヌクレオチドを定量化する方法（例えば、ノーザンブロット法又はＲＴＰＣＲによるＦｉｒｐ ｍＲＮＡの検出）又はＦｉｒｐポリペプチドを定量化する方法（例えば、ウェスタンブロット法又は免疫化学によるＦｉｒｐポリペプチドの検出）を含む、当技術分野で一般的な方法によって決定することが可能である。一実施形態において、その試験物質は特定の細胞型ではＦｉｒｐの発現を修飾するが、他の細胞型では修飾しない。好ましくは、試験物質は、肝細胞において特異的にＦｉｒｐの発現を修飾する。最も好ましくは、試験物質は、肝実質細胞において特異的にＦｉｒｐの発現を修飾する。
【０５９９】
本発明のさらなる実施形態は、Ｆｉｒｐの活性を調節する能力について試験物質をスクリーニングする方法であって、i)細胞を試験物質と接触させ、ii)試験物質に暴露した後の細胞におけるＦｉｒｐの活性を、非暴露対照細胞における活性と比較する工程を含む方法に関し、暴露細胞と非暴露対照細胞との間で観察されるＦｉｒｐの活性の差異によって、試験物質がＦｉｒｐの活性を調節することを示す。前記細胞は、Ｆｉｒｐポリペプチドを発現しても又はしなくてもよい。前記細胞がＦｉｒｐポリペプチドを発現しない場合には、前記細胞を、試験物質と接触させる、又はさせないことに加えて、所定の量のＦｉｒｐポリペプチドと接触させる。かかる方法で使用される好ましい細胞としては、肝細胞が挙げられる。最も好ましい細胞は肝細胞である。Ｆｉｒｐの活性は、例えば、肝細胞の増殖を測定することによってモニターすることができる。肝細胞の増殖の測定は、その開示内容全体が参照により本明細書に組み込まれる、米国特許第６，２４８，７２５に記載のＤＮＡ合成の測定を含む、当技術分野で一般的な様々な技術によって行うことができる。
【０６００】
Ｆｉｒｐの発現又は活性を低減する試験物質は、Ｆｉｒｐアンタゴニストとして定義される。Ｆｉｒｐの発現又は活性を増加する試験物質は、Ｆｉｒｐアゴニストとして定義される。本明細書で使用される「Ｆｉｒｐ修飾因子」という用語は、Ｆｉｒｐアゴニスト及びＦｉｒｐアンタゴニストを意味する。Ｆｉｒｐの発現又は活性を調節する試験物質には、限定されないが、化学化合物（例えば、小分子阻害剤又は活性化剤）、オリゴヌクレオチド、アンチセンスポリヌクレオチド、ポリペプチド、リボザイム、Ｆｉｒｐのドミナントネガティブ型、及び抗Ｆｉｒｐ抗体が含まれる。これらの物質は、当技術分野でよく知られている方法によって製造かつ使用することができる。例えば、細胞、組織、又は個体におけるＦｉｒｐの活性又は発現を変化させるために、修飾因子を使用する方法と同様に、かかる方法を用いて同定される修飾因子もまた、本発明によって包含される。
【０６０１】
本発明の実施形態は、肝細胞の増殖及び／又は分化を刺激するために、Ｆｉｒｐポリペプチド又はＦｉｒｐアゴニストを使用する方法に関する。本明細書で使用される「肝細胞」には、成熟肝細胞及び肝細胞前駆体が含まれる。前記肝細胞は、マウス、ラット、ウサギ、類人猿を含むいずれかの哺乳動物に由来する。かかる方法は、有効量のＦｉｒｐポリペプチド又はＦｉｒｐアゴニストと肝細胞を接触させる工程を含む。本明細書で使用される「有効量のＦｉｒｐポリペプチド又はＦｉｒｐアゴニスト」とは、肝細胞の増殖及び／又は分化を促進するのに十分な量のＦｉｒｐポリペプチド又はＦｉｒｐアゴニストを意味する。
【０６０２】
かかる一実施形態において、前記方法は、肝細胞を培養、増殖及び／又は分化するためにインビトロで行われる。肝細胞は例えば、肝臓移植、人工肝臓に、毒物学及び薬理学研究に用いることができる。肝細胞及び肝細胞前駆体を培養するための多種多様な技術は当業者には公知であり、前記Ｆｉｒｐポリペプチド又はＦｉｒｐアゴニストがいずれかの公知の培地に添加される。Ｆｉｒｐポリペプチド又はＦｉｒｐアゴニストは、例えばその開示内容全体が参照により本明細書に組み込まれる、米国特許第５，５７６，２０７号に記載されているＨａｍ’ｓ Ｆ１０、Ｈａｍ’ｓ Ｆ１２、及びＲＰＭＩ １６４０培地に添加される。前記Ｆｉｒｐポリペプチド又はＦｉｒｐアゴニストは、例えば範囲１〜１０００マイクログラム／ミリリットル、さらに好ましくは範囲１０〜１００マイクログラム／ミリリットルの濃度で添加することができる。好ましい態様において、肝細胞を培養及び増殖するための前記方法は、肝前駆細胞を増殖することに向けられ、その方法は、（i)Ｆｉｒｐポリペプチド及び／又はＦｉｒｐアゴニストを含む血清不含培地、（ii)細胞外マトリックス、（iii)肝臓ストローマ細胞の存在下にて、肝前駆細胞の少なくとも１つの集団を含有する肝細胞を培養する工程であって、細胞培養物中に含まれる肝前駆細胞が増殖される工程を含む。この方法は例えば、その開示内容全体が参照により本明細書に組み込まれる、米国特許第５，５７６，２０７号に記載されたように行うことができる。その他の好ましい態様において、肝細胞を培養及び増殖するための前記方法は、長期間生存する、肝細胞の培養を高めることに向けられる。この方法は例えば、その開示内容全体が参照により本明細書に組み込まれる、米国特許第５，０３０，１０５号に記載されたように行うことができる。
【０６０３】
肝細胞及び肝細胞前駆体の非治療用途としては、限定されないが、肝損傷及び肝修復に関与するメカニズムの研究、肝臓の炎症性疾患及び感染症の研究、病原的メカニズムの研究、肝細胞の形質転換のメカニズムの研究及び肝癌の病因の研究が挙げられる。前記肝細胞及び肝細胞前駆体の治療用途としては、限定されないが、肝不全、肝炎又は肝硬変に罹患している患者の肝臓移植、化学療法のためのアッセイ（例えば、肝癌に対して）、肝臓で増殖するウイルスに対するワクチンの製造、及び薬物の又は化学物質及び環境汚染物質の急性及び慢性肝毒性の判定が挙げられる。肝不全、肝炎又は肝硬変は、例えばアルコール症、感染症（例えば、エプスタインバーウイルス感染による肝壊死）、肝毒性汚染物質（例えば、ハロタン麻酔後の肝炎）又は先天性肝疾患（例えば、巨細胞肝炎、ウィルソン病、糖原病、尿素回路酵素欠損及びCreigler-Najir病）によって生じ得る。肝細胞及び肝細胞前駆細胞は、「人工肝臓」の一部として使用することも可能である。つまり、肝細胞及び肝細胞前駆体は容器又は装置内に入れられ、その中で肝細胞及び肝細胞前駆体は肝臓系統を形成し、かつ体外の肝臓として機能する。その容器又は装置は、個体の循環系に連結される。
【０６０４】
その他のかかる実施形態において、肝細胞の増殖及び／又は分化を刺激するためにＦｉｒｐポリペプチド又はＦｉｒｐアゴニストを使用する前記方法はインビボで行われる。前記方法は、生理学的に許容される担体と、有効量のＦｉｒｐポリペプチド又はＦｉｒｐアゴニストとを個体に投与する工程を含む。この実施形態のコンテクストで使用される「有効量のＦｉｒｐポリペプチド又はＦｉｒｐアゴニスト」とは、肝細胞の増殖及び／又は分化を刺激するのに十分な量のＦｉｒｐポリペプチド又はＦｉｒｐアゴニストを意味する。前記Ｆｉｒｐポリペプチド又はＦｉｒｐアゴニストは、いずれかの有効な量で投与される。しかし、一般に、有効量のＦｉｒｐポリペプチドは、１日につき体重１ｋｇ当たりＦｉｒｐ約１０マイクログラム（Ｆ／ｋｇ／日）〜約１００ミリグラム（Ｆ／ｋｇ／日)の範囲になるだろう。好ましくは、肝細胞の増殖及び／又は分化を刺激するためのかかる方法は、例えば、アルコール症、感染症、肝毒性汚染物質又は先天性肝疾患による肝不全、肝炎又は肝硬変を治療することに向けられる。また好ましくは、かかる方法は、肝損傷又は肝臓手術後の肝臓再生を促進することに向けられる。例えば、この方法は、その開示内容全体が参照により本明細書に組み込まれる、米国特許第６，２４８，７２５号及び米国特許第５，８１４，６０５号に記載されたように、ケラチノサイト成長因子ポリペプチドの代わりにＦｉｒｐポリペプチドを使用することによって行うことができる。
【０６０５】
本発明のその他の実施形態は、肝細胞の増殖を低減するか又は止めるために、Ｆｉｒｐアンタゴニストを使用する方法に関する。かかる方法は、生理学的に許容される担体及び有効量のＦｉｒｐアンタゴニストを肝臓又は個体に送達する工程を含む。この実施形態のコンテクストで使用される「有効量のＦｉｒｐアンタゴニスト」とは、肝細胞の増殖を低減するか、又は止めるのに十分な量のＦｉｒｐアンタゴニストを意味する。好ましくは、Ｆｉｒｐアンタゴニストを含む組成物は、例えば、肝細胞癌又は肝癌などの肝臓癌に罹患している個体に、前記癌を治療するため、又はその重症度を低減するために投与される。一実施形態において、前記Ｆｉｒｐアンタゴニストは、抗Ｆｉｒｐ抗体である。その他の方法において、Ｆｉｒｐアンタゴニストは、治療される腫瘍に特異的な標的分子に融合される。治療される腫瘍に特異的な前記標的分子としては、限定されないが、腫瘍細胞に特異的に発現される受容体又は抗原を認識するリガンド及び抗体が挙げられる。多数の腫瘍関連抗原が科学文献に記述されている。例えば、その開示内容全体が参照により本明細書に組み込まれる、Wikstrandら(Cancer Metastasis Rev 18:451-64 (1999))によって記述されている抗原及び技術を用いることができる。あるいは、腫瘍の脈管構造を認識するリガンドに、Ｆｉｒｐアンタゴニストを連結してもよい。固形腫瘍の脈管構にＦｉｒｐアンタゴニストを標的化するための好ましい方法は、その開示内容全体が参照により本明細書に組み込まれる、米国特許第６，００４，５５４号に記述されている。
【０６０６】
Ｆｉｒｐポリペプチド又はＦｉｒｐ修飾因子の有効な投薬量は、例えば、用量反応曲線を確立する日常試験によって、当業者により容易に決定することができる。Ｆｉｒｐポリペプチド又はＦｉｒｐ修飾因子の有効な投薬量は、例えば、その開示内容全体が参照により本明細書に組み込まれる、米国特許第６，２４８，７２５号に記載されたように肝細胞増殖をモニターすることによって決定することができる。あるいは、腫瘍肝細胞に対するＦｉｒｐアンタゴニストの成長抑制効果は、その開示内容全体が参照により本明細書に組み込まれる、米国特許第６，０８３，９１５号に記載されたようにＳＲＣ法（subrenal capsule assay）又は皮下腫瘍アッセイを利用することによってモニターすることができる。生理学的に許容される担体と、Ｆｉｒｐポリペプチド又はＦｉｒｐ修飾因子とを含む組成物の投与頻度及び投与量は、治療される特定の疾患、その重症度、用いられるＦｉｒｐポリペプチド又はＦｉｒｐ修飾因子の性質、個体の全体的な状態及び治療を施す医師の判断によるだろう。
【０６０７】
本明細書において使用される「生理学的に許容される担体」という用語は、個体及び用いられるＦｉｒｐポリペプチド又はＦｉｒｐアゴニストと適合性であり、かつ動物及びさらに特にはヒトにおける使用に関して、連邦政府又は州政府の管理機関によって承認されているか、又は米国薬局方又は他の一般に認知されている薬局方において示されている、組成物を意味する。前記生理学的に許容される担体としては、限定されないが、溶液及び懸濁液、例えば、生物学的バッファー（例えば、リン酸緩衝液，生理食塩、及びダルベッコ培地）、デンプン、糖、微結晶性セルロース、希釈剤、顆粒化剤、潤滑剤、結合剤及び崩壊剤が挙げられる。
【０６０８】
生理学的に許容される担体と、本発明のポリペプチド又は修飾因子とを含む組成物は、いずれかの適切な方法で投与される。好ましい投与経路は、肝臓の灌流による標的化送達（例えば、非観血的灌流（asanguineous perfusion））及び経口投与のいずれをも含む。経口投与に適した組成物の例としては、丸剤、錠剤、カプセル剤及び液剤が挙げられる。その組成物が対象に経口投与される場合には、対象の胃において十分に長い時間、分解からそれを保護することができる物質で、ペプチドをコーティングすることが特に好ましい。あるいは、静脈内又は皮下投与などの非経口経路により対象に投与するために、液状などの適切な形状で組成物を製造することができる。他の投与経路としては、経皮（例えば、局所的）、経粘膜（例えば、鼻、頬又は肺）及び筋肉内投与が挙げられる。
【０６０９】
さらに他の実施形態は、Ｆｉｒｐポリペプチドをコードする核酸配列又はＦｉｒｐポリヌクレオチドに相補的なｃＤＮＡをコードする核酸配列を含む組換え分子を用いて遺伝子導入動物（例えば、マウス）を作製する方法に関する。遺伝子導入動物を作製する方法は当業者にはよく知られている。例えば、遺伝子導入マウスは、その開示内容全体が参照により本明細書に組み込まれる米国特許第６，２４８，７２５号に記載されたように、インビボで肝細胞にレトロウイルスを形質導入する方法を用いて作製することができる。かかる遺伝子導入動物は、例えば、肝癌の浸潤及び広がりの素因が与えられた動物モデルを得るのに、肝不全、肝炎及び肝硬変などの疾患の動物モデルを得るのに、又はかかる疾患の治療における化学化合物の有用性を試験するのに有用であり得る。
【０６１０】
配列番号：３８のタンパク質（内部指定クローン１４０３５４＿１０５−１１５−４−０−Ｆ５−Ｆ）
クローン１４０３５４＿１０５−１１５−４−０−Ｆ５−Ｆ）のｃＤＮＡ（配列番号：３７）は、アミノ酸配列：ＭＫＦＬＶＦＡＦＩＬＡＬＭＶＳＭＩＧＡＤＳＳＥＥＹＧＹＧＰＹＱＰＶＰＥＱＰＬＹＰＱＰＹＱＰＱＹＱＱＹＴＦを含む、配列番号：３８のＳａｐｒｏをコードする。したがって、本明細書全体にわたり記載されている配列番号：３８のポリペプチドのすべての特性及び使用は、クローン１４０３５４＿１０５−１１５−４−０−Ｆ５−Ｆ中のヒトｃＤＮＡを含む核酸によってコードされるポリペプチドにも関係することは理解されよう。
【０６１１】
さらに、本明細書全体にわたり記載されている配列番号：３７のポリヌクレオチドのすべての特性及び使用は、クローン１４０３５４＿１０５−１１５−４−０−Ｆ５−Ｆ中のヒトｃＤＮＡを含む核酸にも関係することは理解されよう。本発明の好ましい実施形態は、配列番号：３８、配列番号：３７、及びクローン１４０３５４＿１０５−１１５−４−０−Ｆ５−Ｆのヒトポリヌクレオチド及びポリペプチド組成物に対して向けられている。以下に記載の方法で使用される好ましいＳａｐｒｏポリペプチド断片としては、アミノ配列：ＤＳＳＥＥＹＧＹＧＰＹＱＰＶＰＥＱＰＬＹＰＱＰＹＱＰＱＹＱＱＹＴＦを含むＳａｐｒｏポリペプチドが挙げられる。本明細書に記載の生物活性を有するポリペプチド断片及びその断片をコードするポリヌクレオチドもまた好ましい。
【０６１２】
本発明のタンパク質、Ｓａｐｒｏは、スタテリン（Statherin）の新規なスプライスバリアントである（ＥＭＢＬアクセッション番号ＡＡＣ０２７８１）。Ｓａｐｒｏ ｃＤＮＡは、スタテリンｃＤＮＡの第４エクソンを欠く。したがって、Ｓａｐｒｏは、スタテリンと比較して１０個のアミノ酸のスパンを欠く。配列番号：３８の１〜５位に示されるアミノ酸は、成熟スタテリンポリペプチドのアミノ末端側５個のアミノ酸と同一であり、配列番号：３８の６〜３３位に示されるアミノ酸は、成熟スタテリンポリペプチドのカルボキシル末端側２７個のアミノ酸と同一である。Ｓａｐｒｏは、シグナルペプチド（ＭＫＦＬＶＦＡＦＩＬＡＬＭＶＳＭＩＧＡ）、及びヒドロキシアパタイト表面への結合を担う、負に帯電したペンタペプチド配列（ＤＳＳＥＥ）を示す。
【０６１３】
Ｓａｐｒｏは、獲得被膜（acquired enamel pellicle）の成分である、多機能性唾液タンパク質である。それは、ヒドロキシアパタイトに結合し、過飽和な唾液からのリン酸カルシウム塩の自然沈殿を抑制する。そうすることによって、歯表面の再石灰化を助け、結晶成長及び妨げとなるミネラル沈着の形成を防ぐ。Ｓａｐｒｏは、歯表面の潤滑剤としての役割も果たし、咀嚼及び歯ぎしりなどの様々な物理的力からそれを保護する。さらに、Ｓａｐｒｏのカルボキシル末端は、嫌気性細菌の成長を抑制する。加えて、Ｓａｐｒｏは、齲食細菌に結合し、よって口腔内において、結合した齲食細菌のレザバー（reservoir）を維持することによって、う蝕の形成を間接的に促進する。
【０６１４】
本発明の実施形態は、配列番号：３８の、又は配列番号：３８と少なくとも７０％、８０％、９０％、９５％、９６％、９７％、９８％、９９％以上の同一性を有するＳａｐｒｏポリペプチド配列を含む組成物に関する。
本発明のさらなる実施形態は、配列番号：３８の５位及び６位に示される隣接アミノ酸を含有するＳａｐｒｏポリペプチド断片を含む組成物に関する。
【０６１５】
本発明のさらなる実施形態は、ヒドロキシアパタイトに結合する、齲食細菌に結合する、リン酸カルシウム塩の沈殿を抑制する、細菌の成長を抑制する、又は歯表面の潤滑剤として作用する、Ｓａｐｒｏポリペプチド断片を含む組成物に関する。
本明細書で使用される「Ｓａｐｒｏポリペプチド」とは、配列番号：３８の、又は配列番号：３８と少なくとも０％、８０％、９０％、９５％、９６％、９７％、９８％、９９％以上同一のＳａｐｒｏポリペプチド配列、又は配列番号：３８の５位及び６位に示される隣接アミノ酸を含有するＳａｐｒｏポリペプチド断片、又はヒドロキシアパタイトに結合する、齲食細菌に結合する、リン酸カルシウム塩の沈殿を抑制する、細菌の成長を抑制する、又は歯表面の潤滑剤として作用する、Ｓａｐｒｏポリペプチド断片のいずれかを意味する。
【０６１６】
本発明の実施形態は、Ｓａｐｒｏポリペプチドをコードする配列番号：３７のポリヌクレオチド配列を含む組成物に関する。
本発明のさらなる実施形態は、Ｓａｐｒｏポリペプチドをコードするポリヌクレオチド配列を含む組成物に関する。
本明細書でさらに使用される「Ｓａｐｒｏポリヌクレオチド」とは、配列番号：３７の、又は配列番号：３７と少なくとも７０％、８０％、９０％、９５％以上の同一性を有するＳａｐｒｏポリヌクレオチド配列、又はＳａｐｒｏポリペプチドをコードするヌクレオチド配列、又はこれらの配列のいずれかに相補的な配列のいずれかを意味する。
【０６１７】
本発明のさらなる実施形態は、Ｓａｐｒｏポリペプチドを認識する抗体に関する。好ましくは、かかる抗Ｓａｐｒｏ抗体は、配列番号：３８の５位及び６位に示される隣接アミノ酸を認識し、これらの隣接アミノ酸は結合に必要である。好ましくは、その抗体は、Ｓａｐｒｏには特異的に結合するが、スタテリンには特異的に結合しない。抗Ｓａｐｒｏ抗体によって認識される好ましいエピトープとしては、限定されないが、ＤＳＳＥＥＹＧＹＧＰＹＱＰＶＰＥのエピトープが挙げられる。本明細書で使用される「抗Ｓａｐｒｏ抗体」は、Ｓａｐｒｏポリペプチドに特異的に結合する、抗体又はその抗原結合断片を意味する。
【０６１８】
本発明の実施形態は、Ｓａｐｒｏポリペプチドに抗Ｓａｐｒｏ抗体を結合させる方法であって、結合を生じさせる条件下にてＳａｐｒｏポリペプチドを前記抗体と接触させる工程を含む方法に関する。かかる条件は当業者にはよく知られている。かかる方法は、本明細書にさらに記述するようにＳａｐｒｏポリペプチドの検出に有用である。
本発明の実施形態は、生体試料におけるＳａｐｒｏポリペプチドを検出する方法に関し、前記方法は、i)生体試料を抗Ｓａｐｒｏ抗体と接触させ、ii)形成された抗原−抗体複合体を検出する工程を含む。その抗Ｓａｐｒｏ抗体は、モノクローナル抗体又はポリクローナル抗体であることが可能である。さらに、その抗Ｓａｐｒｏ抗体は、一次的又は二次的に、当技術分野で一般的ないずれかの検出可能な化合物（例えば、放射性化合物、蛍光化合物、発光化合物又は酵素化合物）によって標識することができる。かかる方法は、以下にさらに記述するように、例えば、唾液及び涙腺機能不全（乾燥症状）の診断に適用することが可能である。
【０６１９】
本発明の実施形態は、生体試料におけるＳａｐｒｏの発現を検出する方法に関し、前記方法は、i)個体から生体試料を採取し、ii)試料におけるＳａｐｒｏの発現レベルを検出し、iii)前記試料におけるＳａｐｒｏの発現レベルを対照試料におけるレベルと比較する工程を含む。かかる方法は、例えば乾燥症状の診断に有用である。疾患を持たない健康な個体におけるレベルを表す対照試料における発現レベルと比較して、前記生体試料におけるＳａｐｒｏの発現レベルが低い場合には、乾燥症状が存在することを示している。好ましい生体試料は、唾液分泌から得られる。かかる方法は、例えば、慢性関節リウマチに罹患している乾燥性及び非乾燥性の患者を区別するために、放射線ヨウ素治療を受けている患者における乾燥症状を検出するために、又はシェーグレン症候群又は原発性胆汁性肝硬変に罹患している患者における乾燥症状を検出するために使用することができる。
【０６２０】
一方、生体試料におけるＳａｐｒｏの発現の検出は、様々な歯周病の診断に、かつ唾液分泌に対する特定の薬物（例えば、中枢神経系興奮薬）の効果の全体的評価に有用であり得る。試料におけるＳａｐｒｏの発現レベルは、いずれかの方法を用いて、例えば、試料におけるＳａｐｒｏ ｍＲＮＡ又はＳａｐｒｏポリペプチドのレベルを検出することによって評価することができる。例えば、ウェスタンブロット法、免疫化学技術及び細胞化学技術などのよく知られている多くの技術のいずれかを用いて、Ｓａｐｒｏの発現を検出することができる。好ましくは、抗Ｓａｐｒｏ抗体を使用して、Ｓａｐｒｏの発現レベルを検出する。また好ましくは、配列番号：３７のポリヌクレオチド配列又はその一部、又は配列番号：３７に相補的なポリヌクレオチド配列を含むポリヌクレオチドプローブを使用して、例えばノーザンブロット法又はＲＴＰＣＲ技術によってＳａｐｒｏの発現レベルを検出する。生体試料におけるＳａｐｒｏの発現の検出は、例えば、その開示内容全体が参照により組み込まれる、Jensenら(Oral Dis. 3:254-61 (1997))又はNordgardenら(J Dent Res. 77:1817-22 (1998))に記載されたように行うことができる。
【０６２１】
本発明のその他の実施形態は、Ｓａｐｒｏポリペプチドの存在をインビトロで定量化するための診断キットに関する。かかるキットは、i)抗Ｓａｐｒｏ抗体、任意に、ii)形成された抗原−抗体複合体の検出を可能にする試薬を備える。前記抗体は、上述のように検出可能に標識されることが好ましい。あるいは、その任意の試薬は、検出可能なシグナルであってもよい。任意の試薬は、前記抗体に結合するか、又は前記抗体上の標識と反応する。抗Ｓａｐｒｏ抗体を備えるキットは、乾燥症状の診断に使用されることが好ましい。任意に、前記診断キットは、疾患をもたない健康な個体からのレベルを表す負の対照試料を備える。任意に、前記診断キットは、乾燥症状を有する個体からのレベルを表す正の対照試料を備える。任意に、前記キットは、乾燥症状の診断に有用な他の抗体を備える。
【０６２２】
その他の実施形態は、i)Ｓａｐｒｏポリペプチドをコードするポリヌクレオチドを含む細胞を、前記ポリペプチドの発現の助けとなる条件下にて培養し、ii)産生されたポリペプチドを精製する工程を含む、Ｓａｐｒｏポリペプチドを作製する方法に関する。そのポリペプチドの精製は、当業者によく知られているいずれかの技術に従って行うことができる。好ましくは、抗Ｓａｐｒｏ抗体をクロマトグラフィー担体に結合させて、アフィニティークロマトグラフィーカラムを形成することができる。あるいは、Ｓａｐｒｏポリペプチドを異種免疫原性ペプチドに融合させてもよく、その融合タンパク質は、異種ペプチドに特異的な抗体を用いて精製される。Ｓａｐｒｏポリペプチドを発現する細胞は、以下に記述するような組換え宿主細胞であることが好ましい。Ｓａｐｒｏポリペプチドの作製は、本明細書でさらに記述されるような方法及び組成物において有用であり得る。
【０６２３】
本発明の好ましい態様は、プロモーターに作動可能に連結される、Ｓａｐｒｏポリペプチドをコードするポリヌクレオチドの宿主細胞組換え体である。１つの実施形態は、Ｓａｐｒｏポリペプチドをコードするポリヌクレオチドの宿主細胞組換え体を作製する方法であって、i)プロモーターに作動可能に連結される、Ｓａｐｒｏポリペプチドをコードする核酸配列を含む組換えベクターを作製し、ii)前記組換えベクターを細胞に導入する工程を含む方法に関する。好ましい実施形態では、前記細胞は大腸菌細胞又はヒト細胞である。かかる宿主細胞は、例えばＳａｐｒｏポリペプチドの作製に有用である。例えば、その開示内容全体が参照により組み込まれる、Gilbertら(Protein Expr Purif. 16:243-50 (1999))に記載されたように、酵母インテイン融合コンストラクトを用いて大腸菌から、Ｓａｐｒｏポリペプチドを作製することが可能である。
【０６２４】
その他の好ましい態様は、細胞に存在する場合には、Ｓａｐｒｏの発現に変化をもたらす、ポリヌクレオチドの宿主細胞組換え体である。Ｓａｐｒｏの発現を修飾することができるポリヌクレオチドの宿主細胞組換え体は、i)Ｓａｐｒｏ遺伝子を含む細胞を提供し、ii)Ｓａｐｒｏの発現を変化させるポリヌクレオチドを含む組換えベクターを、前記細胞に導入する工程を含む方法であって、前記細胞における前記ポリヌクレオチドの存在によって、前記組換えベクターが導入される前の前記細胞におけるＳａｐｒｏの発現レベルと比較して、Ｓａｐｒｏの発現が増加又は低減する方法によって作製される。
【０６２５】
好ましくは、前記ポリヌクレオチドは、Ｓａｐｒｏ遺伝子の５’調節領域のすべて又は一部に挿入されるか、又はＳａｐｒｏ遺伝子の５’調節領域のすべて又は一部と置き換わる。さらに好ましくは、前記ポリヌクレオチドは、Ｓａｐｒｏコード領域の５００塩基対内に位置する。前記ポリヌクレオチドはプロモーター配列を含むことが好ましい。内因性配列にポリヌクレオチド配列を導入するための当技術分野で公知の技術は、その開示内容全体が参照により本明細書に組み込まれる、米国特許第５，６４１，６７０号及び国際公開番号：Ｗ０９６２９４１１に記載されている。
【０６２６】
一実施形態は、Ｓａｐｒｏポリペプチドを含む人工唾液に関する。例えば、正常な唾液の流れを有する個体ならびに口腔乾燥症又は唾液腺炎に罹患している個体において、微生物媒介口腔疾患、口渇症又は咬合不調和を抑制するために、人工唾液を使用することができる。人工唾液は、口腔液を採取かつ分析する装置及び方法の試験、較正及び標準化に使用することもできる。Ｓａｐｒｏポリペプチドが添加される、人工唾液組成物は、例えば、その開示内容全体が参照により本明細書に組み込まれる、米国特許第４，８７９，２８１号及び米国特許第５，６９５，９２９号に記載されている。Ｓａｐｒｏポリペプチドは、約０．００１％〜約２０％のレベルで人工唾液中に存在し得る。
【０６２７】
好ましい実施形態は、Ｓａｐｒｏの発現を調節する能力について試験物質をスクリーニングする方法であって、i)細胞を試験物質と接触させ、ii)試験物質に暴露した後の細胞におけるＳａｐｒｏの発現を、非暴露対照細胞における発現と比較する工程を含む方法に関し、暴露細胞と非暴露対照細胞との間で観察されるＳａｐｒｏの発現の差異によって、試験物質がＳａｐｒｏの発現を調節することが示される。Ｓａｐｒｏの発現は、限定されないが、Ｓａｐｒｏポリヌクレオチドを定量化する方法（例えば、ノーザンブロット法又はＲＴＰＣＲによるＳａｐｒｏ ｍＲＮＡの検出）又はＳａｐｒｏポリペプチドを定量化する方法（例えば、ウェスタンブロット法又は免疫化学によるＳａｐｒｏポリペプチドの検出）を含む、当技術分野で一般的な方法によって決定することが可能である。一実施形態において、その試験物質は特定の細胞型ではＳａｐｒｏの発現を修飾するが、他の細胞型では修飾しない。好ましい組織は、耳下腺及び顎下腺を含む。例えば、細胞、組織又は個体におけるＳａｐｒｏの発現を変化させるために、修飾因子を使用する方法と同様に、かかる方法を用いて同定される修飾因子もまた、本発明によって包含される。
【０６２８】
本発明のさらなる実施形態は、Ｓａｐｒｏの活性を調節する能力について試験物質をスクリーニングする方法であって；i)Ｓａｐｒｏポリペプチドを試験物質と接触させ、ii)試験物質に暴露した後のＳａｐｒｏの活性を、非暴露Ｓａｐｒｏポリペプチドの活性と比較する工程を含む方法に関し、暴露ポリペプチドと非暴露ポリペプチドとの間で観察されるＳａｐｒｏの活性の差異によって、試験物質がＳａｐｒｏの活性を調節することが示される。あるいは、前記Ｓａｐｒｏポリペプチドは細胞中に存在し、暴露細胞と非暴露細胞との間で観察されるＳａｐｒｏの活性の差異によって、試験物質がＳａｐｒｏの活性を調節することが示される。Ｓａｐｒｏの活性は、当技術分野で一般的な多くの技術のいずれかによって決定することができる。例えば、ヒドロキシアパタイトへのその結合、齲食細菌へのその結合、その潤滑性、リン酸カルシウム沈殿又は細菌の成長を研究することによって、Ｓａｐｒｏの活性をモニターすることができる。ヒドロキシアパタイト表面でのＳａｐｒｏの吸着は、例えば、Johnssonら(Arch Oral Biol. 36:631-6 (1991))に記載されたようにモニターすることができる。齲食細菌へのＳａｐｒｏの結合能力は、例えば、Liら (Infect Immun. 69:7224-33 (2001))に記載されたようにモニターすることができる。リン酸カルシウム沈殿に対するＳａｐｒｏの効果は、例えば、Schwartzら(Calcif Tissue Int. 50:511-7 (1992))に記載されたようにモニターすることができる。細菌の成長に対するＳａｐｒｏの効果は、例えば、Kochanskaら(Acta Microbiol Pol. 49:243-51 (2000))に記載されたようにモニターすることができる。Ｓａｐｒｏの潤滑性は、例えば、Douglasら(Biochem Biophys Res Commun. 180:91-7 (1991))に記載されたようにモニターすることができる。この実施形態に記載のすべての論文の内容は、その全体が参照により本明細書に組み込まれる。
【０６２９】
Ｓａｐｒｏの発現又は活性を低減する試験物質は、Ｓａｐｒｏアンタゴニストとして定義される。Ｓａｐｒｏの発現又は活性を増加する試験物質は、Ｓａｐｒｏアゴニストとして定義される。Ｓａｐｒｏアゴニスト及びＳａｐｒｏアンタゴニストはＳａｐｒｏ修飾因子として定義される。Ｓａｐｒｏの発現又は活性を調節する試験物質には、限定されないが、化学化合物（例えば、小分子阻害剤又は活性化剤）、オリゴヌクレオチド、アンチセンスポリヌクレオチド、ポリペプチド、リボザイム、Ｓａｐｒｏのドミナントネガティブ型、及び抗Ｓａｐｒｏ抗体が含まれる。これらの物質は、当技術分野でよく知られている方法によって製造かつ使用することができる。
【０６３０】
本発明の実施形態は、生理学的に許容される担体と、Ｓａｐｒｏアゴニスト又はＳａｐｒｏアンタゴニストとを含む経口組成物に関する。かかる組成物としては、口腔内で使用するのに適した、練り歯磨き、口内洗浄剤、液体歯磨剤、ロゼンジ、チューインガム又は他の賦形剤が挙げられる。かかる組成物には、飲み物、ケーキ、ウェハース及びスナック食品も含まれる。Ｓａｐｒｏポリペプチド、Ｓａｐｒｏアゴニスト又はＳａｐｒｏアンタゴニストは、約０．００１％〜約２０％のレベルで組成物中に存在することが好ましい。練り歯磨き及び口内洗浄剤が好ましい組成物である。Ｓａｐｒｏポリペプチド、Ｓａｐｒｏアゴニスト又はＳａｐｒｏアンタゴニストを含有する他に、かかる練り歯磨き及び口内洗浄剤は、他の化合物、例えば公知の歯科用シリカ研磨剤、可溶性フッ素イオン源、乳化剤、練り歯磨き結合剤、湿潤剤、歯垢防止剤、歯石防止剤又はそれらの混合物を含有してもよい。かかる経口組成物は、限定されないが、以下に記載の方法を含む、多種多様な方法において有用である。
【０６３１】
本発明の好ましい実施形態は、Ｓａｐｒｏポリペプチドへの細菌の結合を阻害するために、Ｓａｐｒｏアンタゴニストを使用する方法に関する。かかる方法は、細菌／ペリクル結合部位をブロックすることによる、歯のプラークの形成を阻害するための使用が見出される。かかる一方法は、エナメル表面又は唾液でコートされたヒドロキシアパタイト表面を、抗Ｓａｐｒｏ抗体と接触させる工程を含む。かかる方法は、例えば、その開示内容全体が参照により本明細書に組み込まれる、Johanssonら(Oral Microbiol Immunol 15:112-8 (2000))に記載されたようにインビトロで、又はこの実施形態でさらに記述されるようにインビボで行うことができる。Ｓａｐｒｏポリペプチドへの細菌の結合を阻害するためにＳａｐｒｏアンタゴニストを使用する他の方法は、有効量の生理学的に許容される担体及びＳａｐｒｏアンタゴニストを個体に投与する工程を含む。この実施形態のコンテクストで使用される「有効量のＳａｐｒｏアンタゴニスト」とは、Ｓａｐｒｏポリペプチドへの細菌の結合を阻害又は低減するのに十分な量のＳａｐｒｏアンタゴニストを意味する。好ましくは、前記Ｓａｐｒｏアンタゴニストは、Ｓａｐｒｏの活性を低減する。また好ましくは、前記の生理学的に許容される担体及び前記Ｓａｐｒｏアンタゴニストは、上述の経口組成物の一部であり、前記組成物は、う蝕が形成しやすい個体の口に適用される。一方、前記ＳａｐｒｏアンタゴニストはＳａｐｒｏの発現を低減し、全身投与される。
【０６３２】
本発明の好ましい実施形態は、細菌に結合するＳａｐｒｏを使用する方法である。この方法は、Ｓａｐｒｏの結合を可能にする条件下にて、細菌を含有する生体試料と、Ｓａｐｒｏポリペプチドを接触させる工程を含む。好ましい細菌は、口腔内に存在する細菌である。かかる細菌としては、限定されないが、放線菌属（例えば、Ａ．ビスコーサス（viscosus）、Ａ．ネスルンド（naeslundii)）、ペプトストレプトコッカス属、フソバクテリウム属（例えば、Ｆ．ネクロゲネス（necrogenes）、Ｆ．ネクロフォールム（necrophorum））、プレボテラ属（例えば、Ｐ．オラーリス（oralis））、バクテロイデス属（例えば、Ｂ．ｆｏｒｓｙｔｈｕｓ、Ｂ．ウレオリティクム（ureolyticus））、カンジダ属（例えば、Ｃ．アルビカンス（albicans））及びポルフィロモナス属（例えば、Ｐ．ジンジバリス（gingivalis））が挙げられる。この方法は、例えば、以下にさらに記述されるようにインビトロ用途に適用することができる。
【０６３３】
本発明の好ましい実施形態は、口腔内に存在する細菌を精製する方法である。この方法は、i)結合を可能にする条件下にて、担体上に固定化されたＳａｐｒｏポリペプチドを、細菌を含有する溶液又は試料と接触させ、ii)前記担体から混入物を取り除き、iii)結合した細菌を前記担体から溶出する工程を含む。好ましくは、Ｓａｐｒｏペプチドを固体又は半固体マトリックス上に固定化し、混入物を除去するための試料の洗浄を容易にする。かかる方法は、例えば、歯周炎及び歯肉炎などの歯周病の診断及び／又は管理のために、歯表面に定着する細菌を単離するのに非常に有用である。
【０６３４】
本発明のさらに他の好ましい実施形態は、ヒドロキシアパタイト表面又はエナメル表面に結合するＳａｐｒｏポリペプチド又はＳａｐｒｏアゴニストを使用する方法であって、ヒドロキシアパタイト表面又はエナメル表面をＳａｐｒｏポリペプチド又はＳａｐｒｏアゴニストと接触させる工程を含む方法である。一態様において、その方法はインビボで行われ、有効量の生理学的担体と、Ｓａｐｒｏポリペプチド又はＳａｐｒｏアゴニストとを個体に投与する工程を含む。本明細書でさらに使用される「Ｓａｐｒｏ組成物」とは、Ｓａｐｒｏポリペプチド又はＳａｐｒｏアゴニストを含むいずれかの組成物を意味する。この実施形態のコンテクストで使用される「有効量のＳａｐｒｏポリペプチド又はＳａｐｒｏアゴニスト」とは、歯表面の再石灰化を助け、妨げとなるミネラル沈着の形成を防ぐ、又は潤滑剤として作用するのに十分な量のＳａｐｒｏアゴニストを意味する。かかる方法は、例えば、う蝕、露出歯根及び象牙質知覚過敏などの歯の弱さを予防及び／又は修復するために、脱灰された歯エナメル質を処置するために、又はヒドロキシアパタイトで覆われた人工歯根をコートするために使用することができる。
【０６３５】
この方法で使用される好ましいＳａｐｒｏ組成物は口内洗浄剤である。他の好ましいＳａｐｒｏ組成物は、溶液、スプレー又はクリーム状であり、歯に適用される。Ｓａｐｒｏ組成物は、歯エナメル質を再石灰化するいずれかの方法において、単独で、又は他の活性化合物と組み合わせて適用することが可能である。Ｓａｐｒｏ組成物は、いずれかの抗齲食法で歯に適用することもできる。Ｓａｐｒｏ組成物は、歯エナメル質を石灰化するのに有効な、他のいずれかの化合物を含有してもよい。Ｓａｐｒｏ組成物が使用される方法及びＳａｐｒｏポリペプチド又はＳａｐｒｏアゴニストが添加される組成物は、例えば、その開示内容全体が参照により本明細書に組み込まれる、米国特許第５，０３７，６３９号及び米国特許第４，０８０，４４０号に記載されている。
【０６３６】
有効量のＳａｐｒｏポリペプチド又はＳａｐｒｏ修飾因子の有効な投薬量は、例えば、用量反応曲線を確立する日常試験によって、当業者により容易に決定することができる。歯の齲蝕性分解を予防するＳａｐｒｏアンタゴニストの有効な投薬量は、その開示内容全体が参照により本明細書に組み込まれる、米国特許第４，４０５，６００号で利用されている実験手順を用いて決定することができる。歯の再石灰化のためのＳａｐｒｏポリペプチドの有効な投薬量は例えば、その開示内容全体が参照により本明細書に組み込まれる、米国特許第６，２１４，３２１号に記載されているインビボ及びインビトロでの試験により評価することができる。本明細書で使用される「生理学的に許容される担体」という用語は、個体及び用いられるＳａｐｒｏポリペプチド又はＳａｐｒｏアゴニストと適合性である組成物を意味する。前記の生理学的に許容される担体としては、限定されないが、溶液及び懸濁液、例えば生物学的バッファー（例えば、リン酸緩衝液、生理食塩、及びダルベッコ培地）、デンプン、糖、微結晶性セルロース、希釈剤、顆粒化剤、潤滑剤、結合剤及び崩壊剤が挙げられる。生理学的に許容される担体と、本発明のポリペプチド又は修飾因子と、を含む好ましい組成物は、練り歯磨き及び口内洗浄剤などの経口組成物であるが、他の適切な方法で、例えば、静脈内、非経口、表面、経口又は局所投与、又はそれらのいずれかの組み合わせで、Ｓａｐｒｏポリペプチド又はＳａｐｒｏを含む組成物を投与することができる。
【０６３７】
さらに他の実施形態は、Ｓａｐｒｏポリペプチドをコードする核酸配列又はＳａｐｒｏポリヌクレオチドに相補的なｃＤＮＡをコードする核酸配列を含む組換え分子を用いて遺伝子導入動物（例えば、マウス）を作製する方法に関する。遺伝子導入動物を作製する方法は当業者にはよく知られている。例えば、哺乳類において分泌腺細胞を遺伝的に改変することによってタンパク質を送達する方法は、その開示内容全体が参照により本明細書に組み込まれる、米国特許第６，００４，９４４号に記載されている。改変されたＳａｐｒｏの発現を示す遺伝子導入動物は、例えば、う蝕が形成しやすい又は歯が弱くなりやすい動物モデルを得るのに、乾燥症状の動物モデルを得るのに又はかかる症状の治療における化学化合物の有用性を試験するのに有用であり得る。
【０６３８】
配列番号：４０のタンパク質（内部指定クローン４８５４９９＿１７４−１２−３−０−Ｈ７−Ｆ）
クローン４８５４９９＿１７４−１２−３−０−Ｈ７−ＦのｃＤＮＡ（配列番号：３９）は、アミノ酸配列：ＭＬＬＩＬＬＳＶＡＬＬＡＬＳＳＡＱＮＬＮＥＤＶＳＱＥＥＳＰＳＬＩＡＧＮＰＱＧＰＳＰＱＧＧＮＫＰＱＧＰＰＰＰＰＧＫＰＱＧＰＰＰＱＧＧＮＫＰＱＧＰＰＰＰＧＫＰＱＧＰＰＰＱＧＤＫＳＲＳＰＲＳＰＰＧＫＰＱＧＰＰＰＱＧＧＫＰＱＧＰＰＰＱＧＧＮＫＰＱＧＰＰＰＰＧＫＰＱＧＰＰＡＱＧＧＳＫＳＱＳＡＲＳＰＰＧＫＰＱＧＰＰＱＱＥＧＮＮＰＱＧＰＰＰＰＡＧＧＮＰＱＱＰＱＡＰＰＡＧＱＰＱＧＰＰＲＰＰＱＧＧＲＰＳＲＰＨＱＬＱＰＰＱＳＳＲＩＱを含む、配列番号：４０のＳａｐｒｉｐをコードする。したがって、本明細書全体にわたり記載されている配列番号：４０のポリペプチドのすべての特性及び使用は、クローン４８５４９９＿１７４−１２−３−０−Ｈ７−Ｆ中のヒトｃＤＮＡを含む核酸によってコードされるポリペプチドにも関係することは理解されよう。
【０６３９】
さらに、本明細書全体にわたり記載されている配列番号：３９のポリヌクレオチドのすべての特性及び使用は、クローン４８５４９９＿１７４−１２−３−０−Ｈ７−Ｆ中のヒトｃＤＮＡを含む核酸にも関係することは理解されよう。本発明の好ましい実施形態は、配列番号：４０、配列番号：３９、及びクローン４８５４９９＿１７４−１２−３−０−Ｈ７−Ｆのヒトポリヌクレオチド及びポリペプチド組成物に対して向けられている。以下に記載の方法で使用される好ましいＳａｐｒｉｐポリペプチド断片としては、アミノ配列：ＱＮＬＮＥＤＶＳＱＥＥＳＰＳＬＩＡＧＮＰＱＧＰＳＰＱＧＧＮＫＰＱＧＰＰＰＰＰＧＫＰＱＧＰＰＰＱＧＧＮＫＰＱＧＰＰＰＰＧＫＰＱＧＰＰＰＱＧＤＫＳＲＳＰＲＳＰＰＧＫＰＱＧＰＰＰＱＧＧＫＰＱＧＰＰＰＱＧＧＮＫＰＱＧＰＰＰＰＧＫＰＱＧＰＰＡＱＧＧＳＫＳＱＳＡＲＳＰＰＧＫＰＱＧＰＰＱＱＥＧＮＮＰＱＧＰＰＰＰＡＧＧＮＰＱＱＰＱＡＰＰＡＧＱＰＱＧＰＰＲＰＰＱＧＧＲＰＳＲＰＨＱＬＱＰＰＱＳＳＲＩＱを含むＳａｐｒｉｐポリペプチドが挙げられる。以下に記載の方法で使用される、また好ましいＳａｐｒｉｐポリペプチド断片には、さらに詳述されるように転写後プロセッシングにより得られるＳａｐｒｉｐポリペプチド断片が含まれる。本明細書に記載の生物活性を有するポリペプチド断片及びその断片をコードするポリヌクレオチドもまた好ましい。
【０６４０】
本発明のタンパク質、Ｓａｐｒｉｐは、ｃＰ３唾液プロリンリッチタンパク質（ＰＲＰ−１，ＥＭＢＬアクセッション番号Ｋ０３２０４）の新規な分泌スプライスバリアントである。エクソン１及び２は、Ｓａｐｒｉｐ ｍＲＮＡ及びｃＰ３ ｍＲＮＡにおいて同一である。Ｓａｐｒｉｐ ｍＲＮＡの第３エクソンは、ｃＰ３ ｍＲＮＡの第３エクソンより短い。Ｓａｐｒｉｐ ｍＲＮＡの第４エクソンは、Ｓａｐｒｉｐスプライスバリアントに固有である。Ｓａｐｒｉｐは、シグナルペプチド（ＭＬＬＩＬＬＳＶＡＬＬＡＬＳＳＡ）を示し、得られる成熟タンパク質は１９２アミノ酸の長さである。
【０６４１】
多種多様なプロリンリッチタンパク質は、ヒトの唾液の主要なタンパク質成分を形成する。６つの座が唾液プロリンリッチタンパク質の合成を制御し、各座は、選択的スプライシング及び／又は選択的翻訳後プロセシングによって産生される異なるタンパク質をコードする。Ｓａｐｒｉｐは、ＰＲＰＢ遺伝子によりコードされる新規なスプライスバリントであり、唾液プロリンリッチタンパク質の基本的ファミリーのメンバーである。基本的な唾液プロリンリッチタンパク質はすべて、１７アミノ酸のアミノ末端保存領域、Ｂ１、Ｂ２及びＢ３反復及びカルボキシル末端領域を示す（Maedaら, J Biol Chem. 260:11123-30 (1985)に詳細に記述されている）。例えば、ｃＰ３において、「Ｂ1−Ｂ2−Ｂ3」ユニットは隣接して、４回生じる。Ｓａｐｒｉｐは、以下の反復：Ｂ1−Ｂ2−Ｂ3−Ｂ3−Ｂ1を示す。２つのＢ3領域は、プロリンに非常に豊富な（４２％）３１アミノ酸のリンカー領域によって分けられる。さらに、Ｓａｐｒｉｐは、１７アミノ酸のアミノ末端保存領域及び４１アミノ酸のカルボキシル末端領域（ＧＮＰＱＱＰＱＡＰＰＡＧＱＰＱＧＰＰＲＰＰＱＧＧＲＰＳＲＰＨＱＬＱＰＰＱＳＳＲＩＱ）を示す。このカルボキシル末端領域の後ろの１２個のカルボキシル末端アミノ酸は、Ｓａｐｒｉｐスプライスバリアントに固有である。
【０６４２】
さらに成熟Ｓａｐｒｉｐポリペプチドは時として、タンパク質分解プロセシングを受け得る。これらのプロセシングの１つは、Ｒ−Ｓ−［ＡＳＰ］−Ｒ−Ｓ配列でのプロタンパク質転換酵素による切断からなる（例えば、Chanら Eur J Biochem  268:3423-31 (2001)参照）。Ｓａｐｒｉｐは、１つのかかる配列を示し、タンパク質分解性切断は配列番号：４０の７５位で起こり得る。Ｓａｐｒｉｐが切断される場合、プロセシングによって２つのポリペプチドが生じ、そのうちの１つは、新規な唾液プロリンリッチタンパク質（ＳＰＰＧＫＰＱＧＰＰＰＱＧＧＫＰＱＧＰＰＰＱＧＧＮＫＰＱＧＰＰＰＰＧＫＰＱＧＰＰＡＱＧＧＳＫＳＱＳＡＲＳＰＰＧＫＰＱＧＰＰＱＱＥＧＮＮＰＱＧＰＰＰＰＡＧＧＮＰＱＱＰＱＡＰＰＡＧＱＰＱＧＰＰＲＰＰＱＧＧＲＰＳＲＰＨＱＬＱＰＰＱＳＳＲＩＱ）である。
【０６４３】
ＰＲＰＢ遺伝子は、遺伝的に多型の遺伝子座であり、Ｓａｐｒｉｐは、それが単離される個体に応じていくつかの小さな差異を示し得る。これらの差異としては、限定されないが、非極性残基の他の非極性残基での置換又は荷電残基の同様な荷電残基での置換など、保存アミノ酸の変更が挙げられる。これらの変更には、当業者によって認識される変更、例えば、タンパク質の三次構造が実質的に改変されない変更が含まれる。好ましい多型の差異としては、限定されないが、（i)配列番号：４０の４位のアスパラギンのセリンによる置換、（ii)配列番号：４０の１１６位のアラニンのプロリンによる置換、（iii)配列番号：４０の１２３位のグルタミンのアルギニンによる置換、（ｉｖ）配列番号：４０の１２７位のセリンのアラニンによる置換、（ｖ）配列番号：４０の１２６位のアルギニンの欠失が挙げられる。
【０６４４】
Ｓａｐｒｉｐは、獲得被膜の成分である、多機能性唾液タンパク質である。Ｓａｐｒｉｐは、それと複合体を形成することによって食物タンニンに対する防御として働き、それによって、他の生物学的化合物とのそれらの相互作用及び腸管からの吸収が妨げられる。Ｓａｐｒｉｐは、ヒドロキシアパタイトに結合し、歯表面の潤滑剤として働き、咀嚼及び歯ぎしりなどの様々な物理的力からそれを保護する。さらに、Ｓａｐｒｉｐは齲食細菌に結合し、このため、口腔内における結合した齲食細菌のレザバーの維持によって、う蝕の形成が間接的に促進される。さらに、Ｓａｐｒｉｐは抗ウイルス性を示す。
【０６４５】
本発明の実施形態は、配列番号：４０、又は配列番号：４０と少なくとも７０％、８０％、９０％、９５％、９６％、９７％、９８％、９９％以上同一のＳａｐｒｉｐポリペプチド配列を含む組成物に関する。
本発明のさらなる実施形態は、配列番号：４０の８９位及び９０位に示される隣接アミノ酸を含む又は配列番号：４０の１８１〜１９２位のアミノ酸のうちの少なくとも１つを含む、Ｓａｐｒｉｐポリペプチド断片を含む組成物に関する。
【０６４６】
本発明のさらなる実施形態は、ヒドロキシアパタイトに結合する、齲食細菌に結合する、タンニンに結合する、ウイルスの感染性を低減する、又は歯表面の潤滑剤として働く、Ｓａｐｒｉｐポリペプチド断片を含む組成物に関する。
本明細書でさらに使用される「Ｓａｐｒｉｐポリペプチド」とは、配列番号：４０の又は配列番号：４０と少なくとも７０％、８０％、９０％、９５％、９６％、９７％、９８％、９９％以上同一のＳａｐｒｉｐポリペプチド配列又は配列番号：４０の８９位及び９０位に示される隣接アミノ酸を含むＳａｐｒｉｐポリペプチド断片又は配列番号：４０の１８１〜１９２位のアミノ酸のうちの少なくとも１つを含むＳａｐｒｉｐポリペプチド断片又はヒドロキシアパタイトに結合する、齲食細菌に結合する、タンニンに結合する、ウイルスの感染性を低減する、又は歯表面の潤滑剤として働くＳａｐｒｉｐポリペプチド断片のいずれかを意味する。
【０６４７】
本発明の実施形態は、Ｓａｐｒｉｐポリペプチドをコードする配列番号：３９のポリヌクレオチド配列を含む組成物に関する。
本発明のさらなる実施形態は、Ｓａｐｒｉｐポリペプチドをコードするポリヌクレオチド配列を含む組成物に関する。
本明細書でさらに使用される「Ｓａｐｒｉｐポリヌクレオチド」とは、配列番号：３９の、又は配列番号：３９のと少なくとも７０％、８０％、９０％、９５％、９６％、９７％、９８％、９９％以上同一のＳａｐｒｉｐポリヌクレオチド配列又はＳａｐｒｉｐポリペプチドをコードするヌクレオチド配列又はこれらの配列のいずれかに相補的な配列のいずれかを意味する。
【０６４８】
本発明のさらなる実施形態は、Ｓａｐｒｉｐポリペプチドを認識する抗体に関する。好ましくは、かかる抗Ｓａｐｒｉｐ抗体は、配列番号：４０の１８１〜１９２位のアミノ酸のうちの１つ又は複数を認識し、前記の１つ又は複数のアミノ酸は、結合に必要である。好ましくは、その抗体はＳａｐｒｉｐには特異的に結合するが、ＰＲＰ−１には特異的に結合しない。本明細書で使用される「抗Ｓａｐｒｉｐ抗体」とは、Ｓａｐｒｉｐポリペプチドに特異的に結合する、抗体又はその抗原結合断片を意味する。
【０６４９】
本発明の実施形態は、Ｓａｐｒｉｐポリペプチドに抗Ｓａｐｒｉｐ抗体を結合させる方法であって、結合を生じさせる条件下にて、Ｓａｐｒｉｐポリペプチドを前記抗体と接触させる工程を含む。かかる条件は当業者にはよく知られている。かかる方法は、本明細書でさらに記述されるＳａｐｒｉｐポリペプチドの検出に有用である。
本発明の実施形態は、生体試料におけるＳａｐｒｉｐポリペプチドを検出する方法に関し、前記方法は、i)生体試料を抗Ｓａｐｒｉｐ抗体と接触させ、ii)形成された抗原−抗体複合体を検出する工程を含む。その抗Ｓａｐｒｉｐ抗体は、モノクローナル抗体又はポリクローナル抗体であることが可能である。さらに、その抗Ｓａｐｒｉｐ抗体は、一次的又は二次的に、当技術分野で一般的ないずれかの検出可能な化合物（例えば、放射性化合物、蛍光化合物、発光化合物又は酵素化合物）によって標識することができる。あるいは、生体試料におけるＳａｐｒｉｐポリペプチドの検出は、例えば、Shintaniら(Hum Hered.40:89-98 (1990))に記載の方法を用いて、高速液体クロマトグラフィーによって行うことができる。Ｓａｐｒｉｐポリペプチドの検出は、例えば、唾液腺及び涙腺の機能障害（乾燥症状）の診断に、又は以下に詳述されるＳａｐｒｉｐ多型性の検出に適用することが可能である。
【０６５０】
本発明の実施形態は、ＤＮＡゲノタイピングのためにＳａｐｒｉｐポリヌクレオチドを使用する方法に関する。かかる方法は、i)個体からヌクレオチド試験試料を採取し、ii)Ｓａｐｒｉｐゲノム配列の存在を検出する工程を含む。Ｓａｐｒｉｐゲノム配列の存在は、標準分子生物学技術（例えば、サザンブロット法）を用いて、及びＳａｐｒｉｐヌクレオチドもしくはその断片をプローブとして利用して検出することが好ましい。あるいは、その方法は、i)個体からヌクレオチド試験試料を採取し、ii)Ｓａｐｒｉｐゲノム配列における突然変異の存在を検出する工程を含む。かかる突然変異には、欠失、転座、逆位及び点突然変異が含まれる。本明細書で使用される「突然変異」という用語は、検出されたポリヌクレオチドと配列番号：３９との間のいずれかの多型の差異を含む。これらの突然変異は、標準分子生物学技術（例えば、シークエンシング又はＰＣＲ）を用いて、及びＳａｐｒｉｐヌクレオチド又はその断片をプローブもしくはプライマーとして利用して検出することが好ましい。好ましくは、これらの方法におけるヌクレオチド試験試料はＤＮＡを含有する。個体のゲノタイピングは、例えば、シークエンシング、マイクロシークエンシング又はハイブリダイゼーションなどの当業者によく知られているいずれかの技術によって行うことができる。かかる方法は、その開示内容全体が参照により組み込まれる、米国特許第５，９３５，７８３号及び米国特許第６，３０３，２９４号に記載されたように行うことができる。前記Ｓａｐｒｉｐポリヌクレオチドは、単独で又は例えば他の唾液タンパク質をコードする他のポリヌクレオチド配列と組み合わせて使用することができる。本発明のさらなる態様は、Ｓａｐｒｉｐポリヌクレオチドを含むオリゴヌクレオチドプローブのアレイに関する。好ましくは、オリゴヌクレオチドプローブの前記アレイは、唾液タンパク質の多型性を検出することに向けられる。
【０６５１】
本発明のその他の実施形態は、Ｓａｐｒｉｐ ｍＲＮＡの存在を検出するためにＳａｐｒｉｐポリヌクレオチドを使用する方法に関する。かかる方法は、i)個体からヌクレオチド試験試料を採取し、ii)Ｓａｐｒｉｐ ｍＲＮＡの存在を検出する工程を含む。Ｓａｐｒｉｐ ｍＲＮＡの存在は、標準分子生物学技術（例えば、ノーザンブロット法、ＲＴＰＣＲ）を用いて、及びＳａｐｒｉｐヌクレオチドもしくはその断片をプローブとして利用して検出することが好ましい。あるいは、その方法は、i)個体からヌクレオチド試験試料を採取し、ii)Ｓａｐｒｉｐ ｍＲＮＡにおける突然変異の存在を検出する工程を含む。
【０６５２】
Ｓａｐｒｉｐゲノム配列又はＳａｐｒｉｐ ｍＲＮＡにおけるＳａｐｒｉｐポリペプチドの検出及び／又は突然変異の存在の検出は、法医学分野において又は集団遺伝学的研究を行うのに有用であり得る。
本発明の実施形態は、生体試料におけるＳａｐｒｉｐの発現を検出する方法に関し、前記方法は、i)個体から生体試料を採取し、ii)試料におけるＳａｐｒｉｐの発現レベルを検出し、iii)前記試料におけるＳａｐｒｉｐの発現レベルを対照試料におけるレベルと比較する工程を含む。かかる方法は、例えば、乾燥症状の診断に有用である。疾患をもたない健康な個体におけるレベルを表す対照試料における発現レベルと比較して、前記生体試料におけるＳａｐｒｉｐの発現レベルが低い場合には、乾燥症状が存在することを示している。好ましい生体試料は、唾液分泌から得られる。かかる方法は、例えば、慢性関節リウマチに罹患している乾燥性及び非乾燥性の患者を区別するために、放射線ヨウ素治療を受けている患者における乾燥症状を検出するために、又はシェーグレン症候群又は原発性胆汁性肝硬変に罹患している患者における乾燥症状を検出するために使用することができる。
【０６５３】
一方、生体試料におけるＳａｐｒｉｐの発現の検出は、様々な歯周病の診断に、かつ唾液分泌に対する特定の薬物（例えば、中枢神経系興奮薬）の効果の全体的評価に有用であり得る。試料におけるＳａｐｒｉｐの発現レベルは、いずれかの方法を用いて、例えば、試料におけるＳａｐｒｉｐ ｍＲＮＡ又はＳａｐｒｉｐポリペプチドのレベルを検出することによって評価することができる。例えば、ウェスタンブロット法、免疫化学技術及び細胞化学技術などのよく知られている多くの技術のいずれかを用いて、Ｓａｐｒｉｐの発現を検出することができる。好ましくは、抗Ｓａｐｒｉｐ抗体を使用して、Ｓａｐｒｉｐの発現レベルを検出する。また好ましくは、配列番号：３９のポリヌクレオチド配列又はその一部、又は配列番号：３７に相補的なポリヌクレオチド配列を含むポリヌクレオチドプローブを使用して、例えばノーザンブロット法又はＲＴＰＣＲ技術によってＳａｐｒｉｐの発現レベルを検出する。生体試料におけるＳａｐｒｉｐの発現の検出は、例えば、その開示内容全体が参照により組み込まれる、Jensenら(Oral Dis. 3:254-61 (1997))又はNordgardenら(J Dent Res. 77:1817-22 (1998))に記載されたように行うことができる。
【０６５４】
本発明のその他の実施形態は、Ｓａｐｒｉｐポリペプチドの存在をインビトロで定量化するための診断キットに関する。かかるキットは、i)抗Ｓａｐｒｉｐ抗体、任意に、ii)形成された抗原−抗体複合体の検出を可能にする試薬を備える。前記抗体は、上述のように検出可能に標識されることが好ましい。あるいは、その任意の試薬は、検出可能なシグナルであってもよい。任意の試薬は、前記抗体に結合するか、又は前記抗体上の標識と反応する。抗Ｓａｐｒｉｐ抗体を備えるキットは、乾燥症状の診断に使用されることが好ましい。任意に、前記診断キットは、疾患を持たない健康な個体からのレベルを表す負の対照試料を備える。任意に、前記診断キットは、乾燥症状を有する個体からのレベルを表す正の対照試料を備える。任意に、前記キットは、乾燥症状の診断に有用な他の抗体を備える。
【０６５５】
その他の実施形態は、i)Ｓａｐｒｉｐポリペプチドをコードするポリヌクレオチドを含む細胞を、前記ポリペプチドの発現の助けとなる条件下にて培養し、ii)産生されたポリペプチドを精製する工程を含む、Ｓａｐｒｉｐポリペプチドを作製する方法に関する。そのポリペプチドの精製は、当業者によく知られているいずれかの技術に従って行うことができる。好ましくは、抗Ｓａｐｒｉｐ抗体をクロマトグラフィー担体に結合させて、アフィニティークロマトグラフィーカラムを形成することができる。あるいは、Ｓａｐｒｉｐポリペプチドを異種免疫原性ペプチドに融合させてもよく、その融合タンパク質は、異種ペプチドに特異的な抗体を用いて精製される。Ｓａｐｒｉｐポリペプチドを発現する細胞は、以下に記述するような組換え宿主細胞であることが好ましい。Ｓａｐｒｉｐポリペプチドの作製は、本明細書でさらに記述されるような方法及び組成物において有用であり得る。
【０６５６】
本発明の好ましい態様は、プロモーターに作動可能に連結される、Ｓａｐｒｉｐポリペプチドをコードするポリヌクレオチドの宿主細胞組換え体である。１つの実施形態は、Ｓａｐｒｉｐポリペプチドをコードするポリヌクレオチドの宿主細胞組換え体を作製する方法であって：i)プロモーターに作動可能に連結される、Ｓａｐｒｉｐポリペプチドをコードする核酸配列を含む組換えベクターを作製し、ii)前記組換えベクターを細胞に導入する工程を含む方法に関する。好ましい実施形態では、前記細胞は大腸菌細胞又はヒト細胞である。かかる宿主細胞は、例えばＳａｐｒｉｐポリペプチドの作製に有用である。
【０６５７】
その他の好ましい態様は、細胞に存在する場合には、Ｓａｐｒｉｐの発現に変化をもたらす、ポリヌクレオチドの宿主細胞組換え体である。Ｓａｐｒｉｐの発現を修飾することができるポリヌクレオチドの宿主細胞組換え体は、i)Ｓａｐｒｉｐ遺伝子を含む細胞を提供し、ii)Ｓａｐｒｉｐの発現を変化させるポリヌクレオチドを含む組換えベクターを、前記細胞に導入する工程を含む方法であって、前記細胞における前記ポリヌクレオチドの存在によって、前記組換えベクターが導入される前の前記細胞におけるＳａｐｒｉｐの発現レベルと比較して、Ｓａｐｒｉｐの発現が増加又は低減する方法によって作製される。好ましくは、前記ポリヌクレオチドは、Ｓａｐｒｉｐ遺伝子の５’調節領域のすべて又は一部に挿入されるか、又はＳａｐｒｉｐ遺伝子の５’調節領域のすべて又は一部と置き換わる。さらに好ましくは、前記ポリヌクレオチドは、Ｓａｐｒｉｐコード領域の５００塩基対内に位置する。前記ポリヌクレオチドはプロモーター配列を含むことが好ましい。内因性配列にポリヌクレオチド配列を導入するための当技術分野で公知の技術は、その開示内容全体が参照により本明細書に組み込まれる、米国特許第５，６４１，６７０号及び国際公開番号：Ｗ０９６２９４１１に記載されている。
【０６５８】
一実施形態は、Ｓａｐｒｉｐポリペプチドを含む人工唾液に関する。例えば、正常な唾液の流れを有する個体ならびに口腔乾燥症又は唾液腺炎に罹患している個体において、微生物媒介口腔疾患、口渇症又は咬合不調和を抑制するために、人工唾液を使用することができる。人工唾液は、口腔液を採取かつ分析する装置及び方法の試験、較正及び標準化に使用することもできる。Ｓａｐｒｉｐポリペプチドが添加される、人工唾液組成物は、例えばその開示内容全体が参照により本明細書に組み込まれる、米国特許第４，８７９，２８１号及び米国特許第５，６９５，９２９号に記載されている。Ｓａｐｒｉｐポリペプチドは、約０．００１％〜約７０％のレベルで人工唾液中に存在し得る。
【０６５９】
好ましい実施形態は、Ｓａｐｒｉｐの発現を調節する能力について試験物質をスクリーニングする方法であって、i)細胞を試験物質と接触させ、ii)試験物質に暴露した後の細胞におけるＳａｐｒｉｐの発現を、非暴露対照細胞における発現と比較する工程を含む方法に関し、暴露細胞と非暴露対照細胞との間で観察されるＳａｐｒｉｐの発現の差異によって、試験物質がＳａｐｒｉｐの発現を調節することを示す。Ｓａｐｒｉｐの発現は、限定されないが、Ｓａｐｒｉｐポリヌクレオチドを定量化する方法（例えば、ノーザンブロット法又はＲＴＰＣＲによるＳａｐｒｉｐ ｍＲＮＡの検出）又はＳａｐｒｉｐポリペプチドを定量化する方法（例えば、ウェスタンブロット法又は免疫化学によるＳａｐｒｉｐポリペプチドの検出）を含む、当技術分野で一般的な方法によって決定することが可能である。一実施形態において、その試験物質は特定の細胞型ではＳａｐｒｉｐの発現を修飾するが、他の細胞型では修飾しない。好ましい組織は、耳下腺及び顎下腺を含む。例えば、細胞、組織、又は個体におけるＳａｐｒｉｐの発現を変化させるために、修飾因子を使用する方法と同様に、かかる方法を用いて同定される修飾因子もまた、本発明によって包含される。
【０６６０】
本発明のさらなる実施形態は、Ｓａｐｒｉｐの活性を調節する能力について試験物質をスクリーニングする方法であって、i)Ｓａｐｒｉｐポリペプチドを試験物質と接触させ、ii)試験物質に暴露した後のＳａｐｒｉｐの活性を、非暴露Ｓａｐｒｉｐポリペプチドの活性と比較する工程を含む方法に関し、暴露ポリペプチドと非暴露ポリペプチドとの間で観察されるＳａｐｒｉｐの活性の差異によって、試験物質がＳａｐｒｉｐの活性を調節することを示す。あるいは、前記Ｓａｐｒｉｐポリペプチドは細胞中に存在し、暴露細胞と非暴露細胞との間で観察されるＳａｐｒｉｐの活性の差異によって、試験物質がＳａｐｒｉｐの活性を調節することが示される。Ｓａｐｒｉｐの活性は、当技術分野で一般的な多くの技術のいずれかによって決定することができる。例えば、ヒドロキシアパタイトへのその結合、齲食細菌へのその結合、その潤滑性、タンニンへのその結合、又はウイルスの複製に対する抑制効果を研究することによって、Ｓａｐｒｉｐの活性をモニターすることができる。ヒドロキシアパタイト表面でのＳａｐｒｉｐの吸着は、例えば、Morenoら(Calcif Tissue Int 36:48-59 (1984))に記載されたようにモニターすることができる。齲食細菌へのＳａｐｒｉｐの結合能力は、例えば、Gibbonsら(Infect Immun. 56:2990-3 (1988))に記載されたようにモニターすることができる。タンニンへのＳａｐｒｉｐの結合能力は、例えば、Luら(Arch Oral Biol  43:717-28 (1998))に記載されたようにモニターすることができる。Ｓａｐｒｉｐの抗ウイルス性は、例えば、Orzechowskaら(Acta Virol 42:75-8 (1998))に記載されたようにモニターすることができる。Ｓａｐｒｉｐの潤滑性は、例えば、Hattonら(Biochem J 230:817-20 (1985))に記載されたようにモニターすることができる。この実施形態に記載のすべての論文の内容は、その全体が参照により本明細書に組み込まれる。
【０６６１】
Ｓａｐｒｉｐの発現又は活性を低減する試験物質は、Ｓａｐｒｉｐアンタゴニストとして定義される。Ｓａｐｒｉｐの発現又は活性を増加する試験物質は、Ｓａｐｒｉｐアゴニストとして定義される。Ｓａｐｒｉｐアゴニスト及びＳａｐｒｉｐアンタゴニストはＳａｐｒｉｐ修飾因子として定義される。Ｓａｐｒｉｐの発現又は活性を調節する試験物質には、限定されないが、化学化合物（例えば、小分子阻害剤又は活性化剤）、オリゴヌクレオチド、アンチセンスポリヌクレオチド、ポリペプチド、リボザイム、Ｓａｐｒｉｐのドミナントネガティブ型、及び抗Ｓａｐｒｉｐ抗体が含まれる。さらに詳細には、Ｓａｐｒｉｐの発現又は活性を調節する試験物質には、限定されないが、カルシウム、１２−ｏ−テトラデカノールホルボール（tetradecanoulphorbol）−１３−アセテート、レチノイド、ＩＬ−１及びＩＬ−３などのサイトカイン、及びポリフェノール化合物、例えばイソプロテレノール、プロパノロール及びアテノロールが含まれる。これらの物質は、当技術分野でよく知られている方法によって製造かつ使用することができる。
【０６６２】
本発明の実施形態は、生理学的に許容される担体と、Ｓａｐｒｉｐポリペプチド、Ｓａｐｒｉｐアゴニスト又はＳａｐｒｉｐアンタゴニストとを含む経口組成物に関する。かかる組成物としては、口腔内で使用するのに適した、練り歯磨き、口内洗浄剤、液体歯磨剤、ロゼンジ、チューインガム又は他の賦形剤が挙げられる。かかる適切な形状は、その開示内容全体が参照により本明細書に組み込まれる、米国特許第４，０８３，９５５号に開示されている。かかる組成物には、飲み物及び食品も含まれる。Ｓａｐｒｉｐポリペプチド、Ｓａｐｒｉｐアゴニスト又はＳａｐｒｉｐアンタゴニストは、約０．００１％〜約７０％のレベルで組成物中に存在することが好ましい。タンニンを含む練り歯磨き、口内洗浄剤及び食品又は飲み物が好ましい組成物である。Ｓａｐｒｉｐポリペプチド、Ｓａｐｒｉｐアゴニスト又はＳａｐｒｏアンタゴニストを含有する他に、かかる練り歯磨き及び口内洗浄剤は、他の化合物、例えば、公知の歯科用研磨剤、可溶性フッ素イオン源、乳化剤、練り歯磨き結合剤、湿潤剤、歯垢防止剤、歯石防止剤、着香料又はそれらの混合物を含有してもよい。Ｓａｐｒｉｐを含むかかる経口組成物は、限定されないが、以下に記載の方法などの多種多様な方法において有用である。
【０６６３】
好ましい実施形態において、Ｓａｐｒｉｐポリペプチド及び／又はＳａｐｒｉｐ修飾因子を含む組成物は、歯科用研磨剤を含有する練り歯磨きである。本発明の練り歯磨き組成物での使用が企図される、かかる研磨用の研磨材料は、象牙質を過度にすり減らさない材料であり得る。これらの例としては、例えば、シリカ、炭酸カルシウム、オルトリン酸二カルシウム二水和物、ピロリン酸カルシウム、リン酸三カルシウム、ポリメタリン酸カルシウム、不溶性ポリメタリン酸ナトリウム、水酸化アルミニウム、及び樹脂研磨材、例えば尿素とホルムアルデヒドとの粒状縮合生成物、及び、例えば、その開示内容全体が参照により組み込まれる、Ｃｏｏｌｅｙらによる米国特許第３，０７０，５１０に開示されている他の物質が挙げられる。
【０６６４】
研磨剤の混合物も使用することができる。歯科用シリカ研磨剤が本明細書での使用に好ましい。任意に、着香料及び／又は甘味剤を練り歯磨き組成物に添加することができる。適切な着香料としては、ウインターグリーン油、ハッカ油、スペアミント油、サッサフラス油、チョウジ油などが挙げられる。使用することができる甘味剤としては、アスパルテームアセスルファーム、サッカリン、ブドウ糖、果糖及びシクラミン酸ナトリウムなどが挙げられる。着香料及び甘味剤は一般に、約０．００５重量％〜約２重量％のレベルで練り歯磨き中に使用される。
【０６６５】
任意に、練り歯磨き組成物は、乳化剤を含有し得る。適切な乳化剤は、適度に安定であり、かつ広いｐＨ範囲にわたって泡立つ乳化剤、例えば、非石鹸の陰イオン、非イオン、陽イオン、双極性イオン及び両性有機合成界面活性剤である。水もまた、本発明の練り歯磨き中に存在する。
任意に、望ましい粘稠度を提供する増粘剤を練り歯磨きに添加することができる。好ましい増粘剤は、カルボキシビニルポリマー、カラゲナン、ヒドロキシエチルセルロース及びセルロースエーテルの水溶性塩、例えばカルボキシルメチルセルロースナトリウム及びカルボキシルメチルヒドロキシエチルセルロースである。カラヤゴム、キサンタンガム、アラビアゴム、及びトラガカントゴムなどの天然ゴムを使用することもできる。コロイド状ケイ酸アルミニウムマグネシウム又は微細シリカを、質感をさらに改善するために増粘剤の一部として使用することができる。組成物全体に対して０．２〜５．０重量％の量で増粘剤を使用することができる。
【０６６６】
任意に、それが固まらないようにするために、湿潤剤を練り歯磨きに添加することができる。適切な湿潤剤は、約１５％〜約７０％のレベルで、グリセリン、ソルビトール、及び他の食用多価アルコールを含む。
本発明のその他の好ましい態様は、洗口剤組成物である。洗口剤は一般に、約２０：１〜約２：１の水／エチルアルコール溶液を含有する。その洗口剤はアルコールを含有しないことも可能である。好ましくは、着香剤、甘味料、及び湿潤剤などの他の成分、例えば、歯磨剤について上述の成分などを添加することができる。一般に、本発明の洗口剤は、エチルアルコール０重量％〜６０重量％（好ましくは５重量％〜２０重量％）、湿潤剤０重量％〜２０重量％（好ましくは５重量％〜２０重量％）、乳化剤０重量％〜２重量％（好ましくは、０．０１重量％〜１．０重量％）、サッカリンなどの甘味剤又はステビオサイド（stevroside）などの天然甘味料０重量％〜０．５重量％（好ましくは、０．００５重量％〜０．０６重量％）、着香剤０重量％〜０．３重量％（好ましくは、０．０３重量％〜０．３重量％）及び水を含む。
【０６６７】
さらに他の好ましい態様において、Ｓａｐｒｉｐポリペプチド及び／又はＳａｐｒｉｐ修飾因子を含む組成物は、食物タンニンを含む、いずれかの食品、飼料又は飲み物である。好ましいかかる食品、飼料及び飲み物としては、モロコシ、ソラマメなどのマメ、カッサバの葉、ササゲ、チャ、ピーナッツの皮、ワヒージョ（Guajillo）、Ｌｏｔｕｓ ｐｅｄｕｎｃｕｌａｔｕｓ又は様々な熱帯種、例えばＰｒｏｓｏｐｉｓ ａｆｒｉｃａｎａ及びＬｏｎｃｈｏｃａｒｐｕｓ ｓｅｒｉｃｅｕｓを含むものが挙げられる。前記飼料は、反芻動物に餌を与えることに向けられることが好ましい。
【０６６８】
本発明の好ましい実施形態は、タンニンに結合するＳａｐｒｉｐポリペプチドを使用する方法である。この方法は、Ｓａｐｒｉｐの結合を可能にする条件下にて、タンニン含有飼料とＳａｐｒｉｐポリペプチドを接触させる工程を含む。一態様において、前記方法はインビボで行われ、かつ生理学的に許容される担体と、有効量のＳａｐｒｉｐポリペプチド又はＳａｐｒｉｐアゴニストとを含む組成物と組み合わせて、タンニン含有試料を個体に投与する工程を含む。好ましいタンニン含有試料は、上記のような食物タンニンを含有する食品、飲み物及び飲料（boverage）である。その他の態様において、前記方法は、インビボで行われ、タンニンと、有効量のＳａｐｒｉｐポリペプチド又はＳａｐｒｉｐアゴニストとを含む組成物を個体に投与する工程を含む。好ましいかかる組成物は、上記のような食品、飲み物及び飲料である。この実施形態のコンテクストで使用される「有効量のＳａｐｒｉｐポリペプチド又はＳａｐｒｉｐアゴニスト」とは、前記タンニン含有試料又は組成物中に存在するタンニンの少なくとも１％、５％、１０％、２０％、３０％、４０％、６０％、７０％、８０％、９０％以上に結合するのに十分な量のＳａｐｒｉｐポリペプチド又はＳａｐｒｉｐアゴニストを意味する。かかる方法は例えば、食物タンニンの抗栄養作用を防ぐために使用することができる。
【０６６９】
本発明のその他の好ましい実施形態は、ウイルスの感染性を抑制するために、Ｓａｐｒｉｐポリペプチド又はＳａｐｒｉｐアゴニストを使用する方法であって、ウイルスをＳａｐｒｉｐポリペプチド又はＳａｐｒｉｐアゴニストと接触させる工程を含む方法である。かかる方法は、Guら(Oral Microbiol Immunol 10:54-9 (1995))に記載されたようにインビトロで行うことができる。好ましい態様では、かかる方法は、インビボで行われ、かつウイルス感染した個体に、有効量のＳａｐｒｉｐポリペプチド又はＳａｐｒｉｐアゴニストを含む組成物を投与する工程を含む。前記ウイルスとしては、限定されないが、ヘルペスウイルス（例えば、単純ヘルペスウイルス１、ヒヒヘルペスウイルスＬＭＰ２Ａ）、免疫不全ウイルス（例えば、ＨＩＶ−１）、白血病ウイルス（例えば、ウシ白血病ウイルスｇｐ３０、マウス白血病ウイルス）、エプスタインバーウイルス（例えば、エプスタインバーウイルスＬＭＰ２Ａ）及びアフリカウマ病ウイルスＶＰ７が挙げられる。この実施形態のコンテクストで使用される「有効量のＳａｐｒｉｐポリペプチド又はＳａｐｒｉｐアゴニストは、ウイルス感染力を低減するのに十分な量のＳａｐｒｉｐポリペプチド又はＳａｐｒｉｐアゴニストを意味する。
【０６７０】
本発明のさらに他の実施形態は、細菌に結合するＳａｐｒｉｐを使用する方法である。この方法は、Ｓａｐｒｉｐの結合を可能にする条件下にて、細菌含有生体試料とＳａｐｒｉｐポリペプチドを接触させる工程を含む。好ましい細菌は口腔内に存在する細菌である。かかる細菌としては、限定されないが、カンジダ属（例えば、Ｃ．アルビカンス（albicans））、放線菌属（例えば、Ａ．ビスコーサス（viscosus））及びポルフィロモナス属（例えば、Ｐ．ジンジバリス（gingivalis））が挙げられる。この方法は、例えば、以下にさらに記述されるようにインビトロ及びインビボ用途に適用することができる。
【０６７１】
本発明の好ましい実施形態は、口腔内に存在する細菌を精製する方法である。この方法は、i)結合を可能にする条件下にて、担体上に固定化されたＳａｐｒｉｐポリペプチドを、細菌を含有する溶液又は試料と接触させ、ii)前記担体から混入物を取り除き、iii)結合した細菌を前記担体から溶出する工程を含む。好ましくは、Ｓａｐｒｉｐペプチドを固体又は半固体マトリックス上に固定化し、混入物を除去するための試料の洗浄を容易にする。かかる方法は、例えば、歯周炎及び歯肉炎などの歯周病の診断及び／又は管理のために、歯表面に定着する細菌を単離するのに非常に有用である。
【０６７２】
本発明の好ましい実施形態は、Ｓａｐｒｉｐポリペプチドへの細菌の結合を阻害するためにＳａｐｒｉｐアンタゴニストを使用する方法に関する。かかる方法は、細菌／ペリクル結合部位をブロックすることによる、歯のプラークの形成を阻害するための使用が見出される。かかる一方法は、エナメル表面又は唾液でコートされたヒドロキシアパタイト表面を、抗Ｓａｐｒｉｐ抗体と接触させる工程を含む。かかる方法はインビトロ又はインビボで行うことができる。その他のかかる方法は、有効量の生理学的に許容される担体及びＳａｐｒｉｐアンタゴニストを個体に投与する工程を含む。この実施形態のコンテクストで使用される「有効量のＳａｐｒｉｐアンタゴニスト」とは、Ｓａｐｒｉｐポリペプチドへの細菌の結合を阻害又は低減するのに十分な量のＳａｐｒｉｐアンタゴニストを意味する。好ましくは、前記Ｓａｐｒｉｐアンタゴニストは、Ｓａｐｒｉｐの活性を低減する。また好ましくは、前記Ｓａｐｒｉｐアンタゴニストは、Ｓａｐｒｉｐのドミナントネガティブ型である。この実施形態のコンテクストで使用される、Ｓａｐｒｉｐのドミナントネガティブ型とは、微生物付着を阻害するＳａｐｒｉｐの断片である。Ｓａｐｒｉｐのかかるドミナントネガティブ型を得て、使用する方法は、例えば、その開示内容全体が参照により本明細書に組み込まれる、米国特許第５，０１３，５４２号に記載されている。最も好ましくは、前記生理学的に許容される担体及び前記Ｓａｐｒｉｐアンタゴニストは、上述の経口組成物の一部であり、前記組成物は、う蝕が形成しやすい個体の口腔に適用される。あるいは、前記ＳａｐｒｉｐアンタゴニストはＳａｐｒｉｐの発現を低減し、全身投与される。
【０６７３】
ヒドロキシアパタイト表面又はエナメル表面に結合するＳａｐｒｉｐポリペプチド又はＳａｐｒｉｐアゴニストを使用する方法であって、ヒドロキシアパタイト表面又はエナメル表面をＳａｐｒｉｐポリペプチド又はＳａｐｒｉｐアゴニストと接触させる工程を含む方法である。一態様において、その方法はインビボで行われ、有効量の生理学的担体と、Ｓａｐｒｉｐポリペプチド又はＳａｐｒｉｐアゴニストとを個体に投与する工程を含む。この実施形態でさらに使用される「Ｓａｐｒｉｐ組成物」とは、生理学的に許容される担体と、Ｓａｐｒｉｐポリペプチド又はＳａｐｒｉｐアゴニストとを含むいずれかの組成物を意味する。この実施形態のコンテクストで使用される「有効量のＳａｐｒｉｐポリペプチド又はＳａｐｒｉｐアゴニスト」とは、潤滑剤として作用するのに十分な量のＳａｐｒｉｐアゴニストを意味する。かかる方法は、例えば、歯の弱さを予防及び／又は修復するために、使用することができる。この方法で使用される好ましいＳａｐｒｉｐ組成物は口内洗浄剤である。他の好ましいＳａｐｒｉｐ組成物は、溶液、スプレー又はクリーム状であり、歯に適用される。Ｓａｐｒｉｐ組成物は例えば、いずれかの抗齲食法において、単独で、又は活性化合物と組み合わせて歯に適用することが可能である。Ｓａｐｒｉｐ組成物は、歯エナメル質を石灰化し、う蝕の形成を防ぎ、又は歯を強化するのに有効な、他のいずれかの化合物を含有してもよい。Ｓａｐｒｉｐ組成物が使用される方法及びＳａｐｒｉｐポリペプチド又はＳａｐｒｉｐアゴニストが添加される組成物は、例えば、その開示内容全体が参照により本明細書に組み込まれる、米国特許第５，０３７，６３９号及び米国特許第４，０８０，４４０号に記載されている。
【０６７４】
有効量のＳａｐｒｉｐポリペプチド又はＳａｐｒｉｐ修飾因子の有効な投薬量は、例えば、用量反応曲線を確立する日常試験によって、当業者により容易に決定することができる。歯の齲蝕性分解を予防するＳａｐｒｉｐアンタゴニストの有効な投薬量は、その開示内容全体が参照により本明細書に組み込まれる、米国特許第４，４０５，６００号で利用されている実験手順を用いて決定することができる。ウイルス感染性を低減するためのＳａｐｒｉｐアンタゴニストの有効な投薬量は、例えば、その開示内容全体が参照により本明細書に組み込まれる、米国特許第６，２３９，０９９号で利用されている実験手順を用いて決定することができる。
【０６７５】
食物タンニンの抗栄養作用を防ぐためのＳａｐｒｉｐアンタゴニストの有効な投薬量は、例えば、その開示内容全体が参照により本明細書に組み込まれる、米国特許第５，５６５，２２５号で利用されている実験手順を用いて決定することができる。
本明細書で使用される「生理学的に許容される担体」という用語は、個体及び用いられるＳａｐｒｉｐポリペプチド又はＳａｐｒｉｐアゴニストと適合性である組成物を意味する。前記生理学的に許容される担体としては、限定されないが、溶液及び懸濁液、例えば生物学的バッファー（例えば、リン酸緩衝液、生理食塩、及びダルベッコ培地）、デンプン、糖、微結晶性セルロース、希釈剤、顆粒化剤、潤滑剤、結合剤及び崩壊剤が挙げられる。生理学的に許容される担体と、本発明のポリペプチド又は修飾因子と、を含む好ましい組成物は、練り歯磨き及び口内洗浄剤などの経口組成物であるが、他の適切な方法で、例えば、静脈内、非経口、表面、経口、又は局所投与、又はそれらのいずれかの組み合わせで、Ｓａｐｒｉｐポリペプチド又はＳａｐｒｉｐを含む組成物を投与することができる。
【０６７６】
さらに他の実施形態は、Ｓａｐｒｉｐポリペプチドをコードする核酸配列又はＳａｐｒｉｐポリヌクレオチドに相補的なｃＤＮＡをコードする核酸配列を含む組換え分子を用いて遺伝子導入動物（例えば、マウス）を作製する方法に関する。遺伝子導入動物を作製する方法は当業者にはよく知られている。例えば、哺乳類において分泌腺細胞を遺伝的に改変することによってタンパク質を送達する方法は、その開示内容全体が参照により本明細書に組み込まれる、米国特許第６，００４，９４４号に記載されている。改変されたＳａｐｒｉｐの発現を示す遺伝子導入動物は、例えば、う蝕が形成しやすい、又は歯が弱くなりやすい動物モデルを得るのに、乾燥症状の動物モデルを得るのに、又はかかる症状の治療における化学化合物の有用性を試験するのに有用であり得る。
【０６７７】
抗体の使用
本発明の抗体は、限定されないが、本発明のポリペプチドを精製、検出及び標的化するための当技術分野で公知の方法、例えば、インビトロ及びインビボ両方の診断及び治療方法を含む用途を有する。例えば、その抗体は、生体試料において、抗原保有物質、例えば本発明のポリペプチドなどのレベルを定性的かつ定量的に測定するイムノアッセイでの用途を有する（例えば、Harlowら 1988参照）。そのタンパク質を発現する細胞を死滅させる、又は体内のタンパク質のレベルを低減するための治療用組成物に、その抗体を使用することも可能である。
【０６７８】
本発明はさらに、本発明のポリペプチドのアゴニスト又はアンタゴニストとして働く抗体に関する。例えば、本発明は、本発明のポリペプチドとの受容体／リガンド相互作用を一部又は完全に乱す抗体を包含する。これらの抗体は、リガンド仲介受容体の活性化によって影響を受ける、すべて又はすべてではない生物活性に対するアゴニストとして作用し得る。その抗体は、本明細書に開示される特異的活性を含む生物活性に対するアゴニスト又はアンタゴニストとして特定される。上記の抗体アゴニストは、当技術分野で公知の方法を用いて作製することができる。例えば、ＷＯ９６/４０２８１；米国特許第５，８１１，０９７号；Dengら(1998) Blood. 92 (6): 1981-1988; Chenら(1998), Cancer Res. 58 (16): 3668-3678；Harropら(1998), J. Immunol. 161 (4): 1786-1794; Zhuら(1998), Cancer Res. 58 (15): 3209-3214；Yoonら (1998), J. Immunol. 160 (7): 3170-3179; Pratら(1998), J. Cell. Sci. 11 l (Pt2): 237-247; Pitardら(1997), J. Immunol. Methods. 205 (2): 177-190； Liautardら(1997), cytokine. 9 (4): 233-241; Carlsonら(1997), J. Biol. Chem. 272 (17): 11295-11301；Tarymanら(1995), Neuron. 14 (4): 755-762; Mullerら(1998), Structure. 6 (9): 1153-1167；Bartunekら(1996), cytokine. 8 (1) : 14-20を参照のこと。
【０６７９】
上述のように、次に、本発明のポリペプチドの抗体は、当業者に公知の技術を用いて、本発明のポリペプチドを「模倣する」抗イディオタイプ抗体を作製するために使用することができる（例えば、Greenspan and Bona (1989), FASEB J. 7 (5): 437444 and Nissinoff, (1991), J. Immunol. 147 (8): 2429-2438参照）。例えば、本発明のポリペプチドに結合し、かつ本発明のポリペプチドのポリペプチド多量体化又は結合を競合的に阻害する抗体を使用して、ポリペプチドの多量体化又は結合ドメインを「模倣し」、結果として、ポリペプチド又はそのリガンドに結合し、かつ中和する抗イディオタイプを作製することができる。かかる中和抗イディオタイプ抗体を用いて、本発明のポリペプチドに結合させるか、又はそのリガンド／受容体に結合させ、それによって、その生物活性をブロックすることができる。
【０６８０】
イムノアフィニティー・クロマトグラフィー
本明細書に記載の抗体を担体に結合させる。その抗体はモノクローナル抗体であることが好ましいが、ポリクローナル抗体を用いてもよい。担体は、イムノアフィニティー・クロマトグラフィーで通常使用される担体のいずれかであり、いずれかの標準試薬を用いて、担体に結合させることができる。抗体を担体に結合させた後、単離、精製又は濃縮することが望まれる、標的ポリペプチドを含有する試料と、その担体を接触させる。
【０６８１】
その後、適切な洗浄液で担体を洗浄し、イムノアフィニティー・クロマトグラフィーで通常使用される高ｐＨ又は低ｐＨの溶出液を使用して、特異的に結合した標的ポリペプチドを担体から溶出する。
新規な遺伝子産物の発現
新規なポリペプチドをコードするｍＲＮＡの発現レベル及びパターンの評価
新規なポリペプチドをコードするｍＲＮＡの空間的及び時間的発現パターン、ならびにそれらの発現レベルは、いずれかの適切な方法を用いて決定することができる。
【０６８２】
一実施形態において、新規なポリペプチドをコードするｍＲＮＡの発現レベル及びパターンは、プローブとの溶液ハイブリダイゼーションによって分析される（例えば、ＷＯ９７/０５２７７参照）。簡単に言えば、対象のｍＲＮＡに相補的なＲＮＡが標識され、捕捉可能な成分、例えばビオチンで誘導体化される。対象の細胞又は組織から単離されたｍＲＮＡと溶液中でハイブリダイゼーションした後、ハイブリダイズしていないプローブが消化によって除去され、残っているハイブリダイズしたＲＮＡは、例えばマイクロタイタープレート上に捕捉され、定量化される。
【０６８３】
他の実施形態では、網羅的遺伝子発現解析（ＳＡＧＥ）のために、新規なポリペプチドをコードするｃＤＮＡ又はその断片を、ヌクレオチド配列でタグ付けすることも可能である（例えば、英国特許出願番号：２ ３０５ ２４１ Ａ参照）。
新規な遺伝子発現の定量分析もまた、アレイを用いて行うことができる。例えば、遺伝子発現の定量分析は、Schenaら(1995) Science 270: 467-470及びSchenaら(1996), PNAS, 93 (20): 10614-10619, Pietuら(1996) Genome Research 6: 492-503)によって記述されているように、相補的ＤＮＡマイクロアレイにおいて新規なポリヌクレオチド又はその断片を用いて又は他のマイクロアレイ技術を用いて行うことが可能である。簡単に言うと、新規なポリペプチドをコードするｃＤＮＡ又はその断片はスライド上にアレイされ、そのアレイは、対象の細胞又は組織のｍＲＮＡに由来するプローブとハイブリダイズされる。洗浄した後、特定用途用フィルターセットを備えたレーザー走査蛍光装置を用いて、そのアレイを走査する。２回の独立したハイブリダイゼーションの比の平均値を取ることによって、正確に差次的発現が測定される。
【０６８４】
あるいは、新規な遺伝子の発現解析は、Lockhartら(1996) Nature Biotechnology 14: 1675-1680及びSosnowskiら(1997) PNAS 94: 1119-1123によって記述されているように高密度ヌクレオチドアレイによって行うことができる。新規なポリヌクレオチド又はその断片の配列に相当する、１５〜５０ヌクレオチドのオリゴヌクレオチドをチップ上に直接合成するか、又は合成し、次いでそのチップにアドレス指定する。標識ｃＤＮＡプローブは、適切なｍＲＮＡ集団から合成され、次いで５０〜１００ヌクレオチドの平均サイズにランダムに断片化される。次いで、そのプローブはチップにハイブリダイズされる。洗浄後、標識を検出し、定量化する。異なるｃＤＮＡ試料中の同じ標的オリゴヌクレオチドに対して、ｃＤＮＡプローブから生じるシグナルの強度を比較分析することによって、新規なポリペプチドをコードするｍＲＮＡの差次的発現が示される。
【０６８５】
新規な遺伝子発現データの使用
新規なポリペプチドをコードするｍＲＮＡの発現レベル及びパターンが決定されたら、この情報を用いて、検出、同定、スクリーニング及び診断の目的のために新規な遺伝子特異的マーカーを設計すること、ならびに新規な遺伝子発現パターンに類似の発現パターンを有するＤＮＡコンストラクトを設計することが可能である。
【０６８６】
新規なポリペプチドの発現及び／生物活性の検出
本発明は、本明細書に記載のポリヌクレオチド及びポリペプチド配列を用いて、生体試料における新規なポリペプチドの発現及び／生物活性を検出する方法に関する。かかる方法は、例えば、正常又は異常な新規なポリペプチドの発現及び／生物活性のスクリーンとして使用することができ、したがって診断的に使用することができる。
【０６８７】
新規なポリペプチドの検出
本発明はさらに、細胞又は試料中の新規なポリペプチドを検出する方法に関する。特定の実施形態において、細胞又は試料におけるポリペプチドの存在は、ポリペプチドをコードするｍＲＮＡの存在を検出することによって間接的に検出される。例えば、新規なポリペプチドを検出する方法において、標識ポリヌクレオチドプローブを用いることが可能であり、ｍＲＮＡの存在は、新規なポリペプチドをコードする遺伝子の発現を示す。
【０６８８】
結果として、本発明は、試料中の本発明のポリヌクレオチドの存在を検出する方法を含み、その方法は、前記試料と、ポリヌクレオチドにハイブリダイズする１種又は複数種の核酸プローブとを接触させ、前記の１種又は複数種のプローブと、前記ポリヌクレオチドとの間に形成されたハイブリッド複合体を検出する工程を含む。特定の実施形態において、１種又は複数種のプローブが標識され、基質上に固定化される。
【０６８９】
その他の実施形態では、ポリヌクレオチドは増幅反応を用いて検出され、その増幅反応では、試料を増幅反応試薬と接触させ、増幅反応を行って、前記の選択されたヌクレオチドの前記領域を含有する増幅産物を合成し、増幅産物が検出される。好ましい実施形態において、増幅されるポリヌクレオチドがＲＮＡ分子である場合、増幅されるＤＮＡ鋳型を提供するために、事前に第２ｃＤＮＡ鎖の逆転写及び合成が最初に行われる。
【０６９０】
あるいは、試験試料における新規なポリペプチド発現を検出する方法は、本発明の新規なポリペプチド又はその一部に結合する、いずれかの産物を用いて達成することができる。かかる産物は、新規なポリペプチド又はその断片に特異的に結合することができる抗体、抗体の結合断片、ポリペプチド、例えば、新規なポリペプチドアゴニスト及びアンタゴニストなどである。抗体への特異的結合の検出から、試料中に新規なポリペプチドが存在することが示される（例えば、ＥＬＩＳＡ）。
【０６９１】
結果として、本発明は、生体試料における新規なポリペプチドの存在を特異的に検出する方法にも向けられており、前記方法は、本発明のポリペプチド又はその断片に結合できる産物と、生体試料とを接触させ、産物をそのポリペプチドに結合させて、複合体を形成し、その複合体を検出する工程を含む。好ましい実施形態では、その産物は、抗体、例えば、基質上に固定化される抗体である。
【０６９２】
本発明は、また、例えば、容器手段内に配置される、新規なポリペプチドに特異的に結合する化合物（例えば、結合タンパク質、抗体又はその結合断片（例えば、Ｆ（ａｂ’）２断片））、又は新規なポリペプチドをコードするｍＲＮＡ（例えば、相補的なプローブ又はプライマー）を備える、新規なポリペプチドをコードする遺伝子発現産物の検出で使用することができるキットに関する。そのキットはさらに、バッファー等の補助的試薬を含むことができる。
【０６９３】
新規なポリペプチド生物活性の検出
本発明はさらに、新規なポリペプチド生物活性を特異的に検出し、かつ新規なポリペプチドの活性を調節することができる化合物を同定する方法を包含する。新規なポリペプチド生物活性の評価は、本明細書に記載の技術など、様々な技術を用いて、新規なポリペプチドと関連するいずれかの細胞特性の変化を検出することにより実施することが可能である。ポリペプチドの修飾因子を同定するために、対照を用いることが好ましい。例えば、対照試料としては、評価される化合物又は作用物質は欠くが、同一試薬すべてを含み、試験試料と同じ手法で試験される。
【０６９４】
本発明は、また、例えば、容器手段内に配置される、新規なポリペプチドの基質、新規な結合化合物、新規なポリペプチドに対する抗体等を備える、新規なポリペプチド生物活性の検出に使用できるキットに関する。そのキットはさらに、バッファー等の補助的試薬を含むことができる。
新規なポリペプチドをコードする遺伝子発現の特定のコンテクストの同定
新規なポリペプチドをコードするｍＲＮＡの発現パターンから、新規なポリペプチドをコードする遺伝子が所定のコンテクストにおいて特異的に発現することが示される場合、次いで、この遺伝子に特異的なプローブ及びプライマー、ならびに新規なポリペプチドをコードするポリヌクレオチドに結合する抗体を、特定のコンテクストにマーカーとして使用することができる。特定のコンテクストの例としては、所定の組織／細胞又は組織／細胞型における特異的発現、胎芽発生又は疾患発症などのプロセスの所定の発生段階での発現、特定の化合物又は薬物に応答した発現、又は所定の細胞器官における特異的発現が挙げられる。かかるプライマー、プローブ及び抗体は、未知の起源の組織/細胞/細胞器官、例えば、法医学的試料、異物部位に転移した分化腫瘍組織を同定するのに、又は組織断面における異なる組織型を区別するのに商業的に有用である。
【０６９５】
組織／細胞／細胞器官の同一性の決定は、当技術分野でよく知られている方法（例えば、ハイブリダイゼーション、ＰＣＲに基づく方法、イムノアッセイ、免疫化学、ＥＬＩＳＡ）を用いて、組織／細胞試料におけるｍＲＮＡ（又は相当するｃＤＮＡ又はタンパク質）の有無を検出する方法に基づく。したがって、本発明は、組織マーカーとしての本発明のポリヌクレオチド、ポリペプチド、及び抗体の使用を包含する。
【０６９６】
標識組織特異的抗体を用いた組織型又は細胞種の同定
特定の細胞の同定は、直接的（例えば、緑色蛍光タンパク質)もしくは間接的に検出可能なマーカーに結合される抗体プレパラートを用いた、組織特異的抗原の可視化によって達成される。選択された標識抗体種は、組織切片、細胞浮遊液又は組織試料からの可溶性タンパク質の抽出物中の、それらの特異的抗原結合パートナーに結合し、定性的又は半定性的解釈のためのパターンを提供する。
【０６９７】
Ａ．免疫組織化学技術
上述のように作製された、精製された抗力価抗体は、例えばFudenberg, (1980) Chap. 26 in: Basic 503 Clinical Immunology, 3rd Ed. Lange, Los Altos, California又はRoseら(1980) Chap. 12 in: Methods in Immunodiagnosis, 2d Ed. John Wiley 503 Sons, New Yorkによって記述されているように検出可能なマーカーに結合される。
【０６９８】
抗体は、いずれかの適切な方法、例えば、蛍光標識、酵素（例えば、ホースラディッシュペルオキシダーゼ）、フェリチン（ＥＭを使用する検出のため）又は放射標識を用いて標識することができる。一実施形態において、未知組織及び既知の対照のクリオスタット切片を作製し、各スライドは、抗体プレパラートの異なる希釈溶液でカバーされる。インキュベーションに続いて、余分な液体を除去し、マーカーを検出する。組織切片上の色及び蛍光の強度を測定し、かつ適切な標準を用いて、そのシグナルを較正することによって、上記手順によって見出された抗原を定量化することができる。
【０６９９】
Ｂ．組織特異的可溶性タンパク質の同定
組織特異的タンパク質の可視化及びその手順からの未知組織の同定は、免疫組織化学について述べられた標識抗体試薬及び検出方法を用いて行われる。しかし、例えば、ウエスタンブロット法による検出のために、分子量に基づいて順序正しい配列で、組織から抽出されたタンパク質を分配する電気泳動技術に従って作製される。例えば、Davisら Basic Methods in Molecular Biology, ed. , Elsevier Press, NY (1986), Section 19-3参照のこと。
【０７００】
異常な新規なポリペプチド発現及び／又は生物活性のスクリーニング及び診断
さらに、新規なポリペプチド発現に特異的な抗体及び／又はプライマー又はプローブもまた、異常な新規なポリペプチド発現及び／又は生物活性を同定し、続いて、異常な新規なポリペプチド発現と関連する疾患をスクリーニング及び／又は診断するために使用することができる。例えば、特定の疾患は、新規なポリペプチドをコードするｍＲＮＡの発現の欠如、過剰発現又は過小発現から生じ得る。健康な個体から採取した試料におけるｍＲＮＡの発現パターン及び量を、特定の疾患を有する個体からの試料と比較することによって、この疾患の原因である遺伝子が同定される。
【０７０１】
特定の疾患のスクリーニング
本発明は、また、高い又は低いレベルの新規なポリペプチドを有する個体を同定するための、新規なポリペプチドの方法及び使用に関し、その個体はおそらく、新規なポリペプチドをコードする遺伝子の発現を抑制又は高める治療から、それぞれ恩恵を受けるだろう。かかる方法及び使用の一例は、生体試料における新規なポリペプチドをコードする遺伝子産物（ｍＲＮＡ又はタンパク質）の存在を検出し；前記試料に存在する新規なポリペプチドをコードする遺伝子産物の量を、対照試料における量と比較し；その試料が、対照試料と比較して、低い又は高いレベルの新規な遺伝子発現を有するかどうかを決定する工程を含む。
【０７０２】
新規なポリペプチドと関連するいずれかの疾患又は病状に冒されている、又は発症するリスクがある対象から採取された生体試料を、正常な集団（標準又は対照）に対して、低い又は高いレベルの新規な遺伝子の存在についてスクリーニングすることが可能であり、正常な集団に対して低い又は高いレベルの新規なポリペプチドは、その疾患又は病状の素因を示すか、あるいはその疾患もしくは病状、又はその疾患もしくは病状に関連するいずれかの症状の現在の指標となる。かかる個体は、治療の、例えば、新規なポリペプチド、新規なポリペプチドをコードするポリヌクレオチド、又は新規なポリペプチドの発現又は活性に影響を及ぼす他のいずれかの化合物を含有する薬剤組成物での処置の候補であると考えられる。一般的に、患者における高レベルの新規なポリペプチドの同定から、新規なポリペプチドの発現又は活性を抑制する試薬での治療から恩恵を受けるであろう個体が示され、患者における低レベルの新規なポリペプチドの同定からは、新規なポリペプチドの発現又は活性を誘発する作用物質から恩恵を受けるであろう個体が示されるだろう。
【０７０３】
この方法で使用するのに適した生体試料としては、限定されないが、血液、唾液、乳、及び尿などのいずれかの生物体液、ならびに生検材料などの組織試料が挙げられる。例えば、組織生検から得られる細胞培養物又は細胞抽出物もまた使用することができる。好ましい実施形態では、生体試料は、新規な遺伝子産物と関連する、いずれかの疾患又は病状に伴う症状を呈する動物から採取される。この方法にしたがって、試料における変化した（例えば、増大又は減少した）レベルの新規な産物の存在から、対象がその疾患又は病状に罹患しやすいことが示される。
【０７０４】
本明細書に記載の診断方法論は、ヒト哺乳動物及び非ヒト哺乳動物のどちらにも適用することができる。
新規な遺伝子突然変異の検出
本発明は、本発明のポリヌクレオチドにおける突然変異を検出するための方法及び新規なポリヌクレオチドの使用も包含する。突然変異がある疾患と関連することが証明された場合には、かかる突然変異の検出は、スクリーニング及び診断の目的に使用することができる。
【０７０５】
一実施形態において、新規な遺伝子において、好ましくはそれらの調節領域において生じる突然変異を検出するために、オリゴヌクレオチドプローブマトリックスを有利に使用することが可能である。この特定の目的では、プローブは、既知の突然変異（１つ又は複数のヌクレオチドの欠失、挿入又は置換のいずれかによる）を保持する遺伝子とのそれらのハイブリダイゼーションを可能にするヌクレオチド配列を有するように、特異的に設計される。既知の突然変異とは、例えば Huangら(1996) Cancer Res 56 (5): 1137-1141又はSamsonら(1996) Nature, 382 (6593): 722-725によって使用される技術に従って同定された、新規な遺伝子上の突然変異を意味する。
【０７０６】
新規な遺伝子における突然変異を検出するために使用される他の技術としては、高密度ＤＮＡアレイの使用が挙げられる。高密度ＤＮＡアレイの各オリゴヌクレオチドプローブのユニット要素を構成する各オリゴヌクレオチドプローブは、新規なゲノムＤＮＡ又はｃＤＮＡの特定の部分配列（subsequence）に一致するように設計される。このように、標的遺伝子配列の部分配列に相補的なオリゴヌクレオチドからなるアレイを用いて、標的配列の野生型遺伝子配列との同一性が決定され、その量が測定され、かつ標的配列と新規な遺伝子の参照野生型遺伝子配列との差異が検出される。かかる一実施形態において、４Ｌタイルアレイ（tiled array）が使用される(例えば、Cheeら(1996) Science. 274: 610-614参照)。
【０７０７】
新規な遺伝子発現パターンを有するＤＮＡコンストラクトの構築
新規なポリペプチドをコードするｍＲＮＡの空間的及び時間的発現パターン及び発現レベルの特徴付けもまた、以下に記述するように、望ましい空間的又は時間的手法において、所望のレベルの遺伝子産物を作製することができる発現ベクターを構築するのに有用である。
【０７０８】
組換え細胞宿主及び遺伝子導入動物における時間的及び空間的新規な遺伝子発現を指示するＤＮＡコンストラクト
細胞レベル及び多細胞生物レベルの両方で、新規なポリペプチドの合成欠損の生理学的及び表現型的結果を研究するために、本発明は、新規なポリペプチドをコードするゲノム配列又はｃＤＮＡの特異的対立遺伝子、例えば、配列内の１つ又は複数の塩基の置換、欠失又は付加を含む対立遺伝子などの条件発現を可能にするＤＮＡコンストラクト及び組換えベクターもまた包含する。
【０７０９】
一実施形態において、 Gossenら(1992) PNAS 89: 5547-5551 ; Gossenら(1995) Science 268: 17661769；及び Furth P. A.ら(1994) PNAS 91: 9302-9306によって述べられているように、新規な遺伝子発現を制御するために、大腸菌トランスポゾンＴｎ１０からのテトラサイクリン耐性オペロンに基づく、ＤＮＡコンストラクトが使用される。
その他の実施形態において、５’末端から３’末端に：新規なポリペプチドをコードするゲノム配列で見出される第１ヌクレオチド配列；正の選択マーカー（例えば、ネオ（ｎｅｏ））を含むヌクレオチド配列；及び新規なポリペプチドをコードするゲノム配列で見出され、かつ第１新規なヌクレオチド配列の下流に位置する第２ヌクレオチド配列；を含む、ＤＮＡコンストラクトが使用される。好ましい実施形態において、そのコンストラクトは、第１新規なヌクレオチド配列の下流又は第２新規なヌクレオチド配列から上流に位置する、負の選択マーカー（例えば、チミジンキナーゼ、ハイグロマイシンβ、ｈｐｒｔ、ジフテリア毒素Ａ断片）も含む（例えば、Thomasら(1986), Cell. 44: 419-428; Te Rieleら(1990), Nature. 348: 649-651 ; Van der Lugtら(1991), Gene 105: 263-267; Reidら(1990) PNAS 87: 4299-4303; Nadaら(1993) Cell 73: 1125-1135; Yagi, T.ら(1990), PNAS 87: 9918-992; Thomasら(1986; 1987), Mansourら(1988)及びKollerら(1992) Annu. Rev. Immunol. 10: 705-730)参照)。
【０７１０】
他の実施形態において、Ｃｒｅ−ｌｏｘＰシステムの使用を含むベクターが使用される（Hoessら(1986) 核酸 Res. 14: 2287-2300）。相同的組換え技術と組み合わせて使用されるＣｒｅ−ｌｏｘＰシステムは、Gu H.ら(1993) Cell 73: 1155-1164及びGu H.ら(1994) Science 265: 103-106に記述されている。簡単に言えば、ゲノムの標的位置に挿入される対象のヌクレオチド配列は、同じ向きに少なくとも２つのｌｏｘＰ部位を有し、組換えゲノムから除去されるヌクレオチド配列のそれぞれの末端に位置する。除去現象には、組換え細胞宿主の核内にリコンビナーゼ（Ｃｒｅ）酵素が存在する必要があり、数多くの方法のいずれかで、例えば、この酵素を含有する培地において組換え細胞宿主をインキュベートすることによって、Ｃｒｅ酵素を直接、目的細胞中に注入することによって、細胞中に酵素をリポフェクションすることによって、又はそうでなければ、適切なプロモーターの制御下にて、Ｃｒｅコード配列を細胞にトランスフェクトすることによって提供される(例えば、Baubonisら(1993) Nucleic acids Res. 21 (9): 2025-9); Arakiら(1995) PNAS 92 (1) : 160-4; Guら(1993); Sauerら(1988) PNAS 85: 5166-5170; Guら(1994); Zouら(1994) Curr. Biol. 4: 1099-1103; AntonとGraham, (1995), J. Virol., 69: 4600-4606;及びKanegaeら(1995) Nucl. Acids Res. 23: 3816-3821参照)。
【０７１１】
上述のＤＮＡコンストラクトを用いて、本発明の目的のヌクレオチド配列、好ましくは新規なゲノム配列又は新規な ｃＤＮＡ配列、最も好ましくは新規なゲノム又はｃＤＮＡ配列の改変されたコピーを標的ゲノムの所定の位置に導入することが可能であり、その結果として、標的遺伝子の改変されたコピーが作製されるか（ノックアウト相同的組換え）、又は相同的組換え現象を起こすのに十分に相同的な他のコピーにより標的遺伝子のコピーが置換される（ノックイン相同的組換え）。
【０７１２】
新規なポリペプチドの発現及び／又は生物活性の修飾
内因性新規な発現及び／又は生物活性の修飾は、特に、本発明によって企図される。
新規な発現及び／又は生物活性を調節することができる化合物についてのスクリーニング
本発明は、新規な発現及び／又は生物活性を調節することができる化合物、及びこれらの化合物を使用する方法に関する。かかる化合物は、新規な遺伝子の調節配列と相互作用するか、又は新規なポリペプチドと直接的又は間接的に相互作用し得る。
【０７１３】
新規な調節配列と相互作用する化合物
本発明は、また、例えば、当業者に公知のいずれかの技術を用いて決定される、ゲノムＤＮＡの非転写領域におけるプロモーター又はエンハンサー配列など又は新規なｍＲＮＡの非翻訳領域に位置する調節配列など、新規な遺伝子の調節配列と相互作用することができる物質又は分子をスクリーニングする方法に関する。
【０７１４】
本発明のポリヌクレオチドの非転写又は非翻訳領域内の配列は、転写開始部位、転写因子結合部位、プロモーター配列、エンハンサー配列、５’ＵＴＲ及び３’ＵＴＲ要素などの既知の調節配列を含有するデータベースと比較することによって同定することができる (Pesoleら(2000) Nucleic Acids Res, 28 (1) : 193-196; http ://igs- server. cnrs-mrs. fr/-gauthere/UTR/index. html)。あるいは、レポータープラスミドの従来の突然変異誘発又は欠失の解析によって、対象の調節配列を同定することができる。
【０７１５】
潜在的な新規な調節配列の同定に続いて、これらの調節配列と相互作用するタンパク質が、以下に述べるように同定される。
ゲルシフトアッセイ（gel retardation assay）などの数多くの方法のいずれかを用いて、新規な遺伝子の調節配列と相互作用することができる分子を同定することができる (例えば、FriedとCrothers, (1981) Nucleic Acids Res. 9: 6505-6525; GarnerとRevzin, (1981) Nucleic Acids Res 9: 3047-3060;及びDentとLatchman (1993) The DNA mobility shift assay. In: Transcription Factors: A Practical Approach (Latchman DS, ed. ) pp: 1-26, Oxford: IRL Press参照)。新規な遺伝子のプロモーター配列と相互作用することができるタンパク質をコードする核酸もまた、１ハイブリッド系（one-hybrid system）（例えば、Ｃｌｏｎｔｅｃｈ社のＭａｔｃｈｍａｋｅｒ Ｏｎｅ−Ｈｙｂｒｉｄ Ｓｙｓｔｅｍ ｋｉｔ（カタログ参照番号Ｋ１６０３−１)）を使用して同定することができる。
【０７１６】
新規なポリペプチドと相互作用するリガンド
本発明の目的では、リガンドは、分子、例えばタンパク質、ペプチド、抗体、あるいは新規なタンパク質又はその断片又は変異体の１つに結合することができる、又は新規な又はその断片又は変異体をコードするポリヌクレオチドの発現を調節する、いずれかの合成化学化合物を意味する。
【０７１７】
一実施形態において、このタンパク質と、試料の成分又は定義される分子との間で複合体が形成されるかどうかを決定するために、生体試料、又は新規なタンパク質の推定リガンドとして試験される定義された分子（例えば、コンビナトリアルケミストリーによって生成される分子）を、精製された新規なタンパク質と接触させる。かかる分子とタンパク質との相互作用は、いずれかの方法で、例えばＨＰＬＣに連結される微小透析を用いて、アフィニティーキャピラリー電気泳動等を用いて評価することができる（例えば、Wangら(1997), Chromatographia, 44: 205-208; Bushら(1997), J. Chromatogr. , 777: 311-328参照）。
【０７１８】
本発明の方法において新規なポリペプチド又はポリヌクレオチドとの相互作用に関して、限定されないが、ペプチド、薬物、脂肪酸、リポタンパク質、もしくは小分子など、どの種類の化合物も試験することが可能であり、いずれかの源から得ることができる。例えば、試験される分子は、蛍光標識、放射標識、もしくは酵素標識などの検出可能な標識で標識され、特異的な結合を生じさせる条件下にて、固定化された新規なタンパク質又はその断片と接触して置かれる。非特異的に結合した分子を除去した後、結合分子を適切な手段を用いて検出する。
【０７１９】
Ａ．ランダムペプチドライブラリーから得られる候補リガンド
スクリーニング法の特定の実施形態において、推定リガンドは、例えば、長さ８〜２０アミノ酸のペプチドを含むランダムペプチドファージライブラリーからのファージベクターに含まれるＤＮＡインサートの発現産物である（ParmleyとSmith (1988) Gene 73: 305-318; Oldenburgら(1992) PNAS 89: 5393-5397; Valadonら(1996) J. Mol. Biol., 261: 11-22; Lucas (1994) In: Development and Clinical Uses of Haempophilus b Conjugate; Westerink (1995) PNAS 92: 4021-4025; Felici (1991) J : Mol. Biol., 222: 301-310)。  組換えファージにおけるリガンドライブラリーが構築されたら、固定化された新規なタンパク質とファージ集団を接触させ、洗浄した後、新規なタンパク質に特異的に結合するファージを、バッファー（酸性ｐＨ）によって溶出するか、又は新規なタンパク質に特異的抗体を使用して免疫沈降する。続いて、単離されたファージを細菌（例えば、大腸菌）の過剰感染によって増幅する。さらに特異的な組換えファージクローンを選択するために、その選択段階は、数回、好ましくは２〜４回繰り返し行われる。
【０７２０】
Ｂ．競合的実験により得られる候補リガンド
あるいは、本発明のポリペプチドに結合するペプチド、薬物又は小分子は競合的実験において同定することができる。かかる一アッセイにおいて、新規なタンパク質又はその断片を、プラスチックプレートなどの表面に固定化する。増加量のペプチド、薬物又は小分子は、検出可能な既知の新規なタンパク質リガンドの存在下にて、固定化された新規なタンパク質又はその断片と接触して置かれる。例えば、新規なリガンドは、蛍光標識、放射標識又は酵素標識で検出可能に標識される。新規なタンパク質又はその断片に結合する試験分子の能力は、試験分子の存在下にて、結合した、検出可能に標識された既知のリガンドの量を測定することによって決定される。試験分子が存在する場合、新規なタンパク質又はその断片に結合した既知のリガンドの量の減少から、試験分子は新規なタンパク質、又はその断片に結合することができることが示された。
【０７２１】
Ｃ．アフィニティークロマトグラフィーによって得られる候補リガンド
本発明のポリペプチドと相互作用するタンパク質又は他の分子は、新規なタンパク質又はその断片を含有するアフィニティーカラムを用いて見つけることもできる。適切なカラムマトリックス（例えば、アガロース、Ａｆｆｉ Ｇｅｌ（登録商標）等）への化学結合を含む従来の技術を用いて、新規なタンパク質又はその断片をカラムに付着させることができる。この方法の一部の実施形態では、アフィニティーカラムはキメラタンパク質を含有し、新規なタンパク質又はその断片はグルタチオンＳ-トランスフェラーゼ（ＧＳＴ）に融合される。上述のように細胞タンパク質の混合物又は発現したタンパク質のプールが、アフィニティーカラムに適用される。次いで、カラムに付けられた、新規なタンパク質又はその断片と相互作用するタンパク質又は他の分子を、Ramunsenら(1997), Electrophoresis, 18: 588-598に記載されたように、例えば、２次元ゲル電気泳動で単離し、解析する。あるいは、電気泳動に基づく方法によって、アフィニティーカラム上に保持されたタンパク質を精製し、シークエンスすることができる。同じ方法を用いて、抗体を単離すること、ファージディスプレイ産物をスクリーニングすること又はファージディスプレイヒト抗体をスクリーニングすることができる。
【０７２２】
Ｄ．光学バイオセンサー法によって得られる候補リガンド
本発明のポリペプチドと相互作用するタンパク質は、光学バイオセンサーを使用することによってスクリーニングすることもできる (例えば、EdwardsとLeatherbarrow (1997) Anal. Bioch. 246: 1-6; Szabo ら(1995) Curr Opin Struct Biol 5, 699-705参照）。この技術によって、標識分子の必要なく、リアルタイムで分子間の相互作用を検出することが可能となる。この技術は、表面プラズモン共鳴（ＳＲＰ）現象に基づく。一実施形態において、アッセイされる候補分子がそれを通って流動する、細胞の一方の側を含む表面（カルボキシメチルデキストランマトリックスなど）に、新規なポリペプチド又はその断片を結合させる。試験される試料を含有しない表面の側に対して光線が向けられ、前記表面によって反射される。候補リガンド分子の結合は、表面の屈折率の変化によって起こり、その変化は、ＳＰＲシグナルの変化として検出される。内因性又は組換え発現新規なタンパク質をそれらの表面に示す、真核生物細胞又は原核細胞又は脂質ベシクルを固定化することによって、この技術を実施することもできる。
【０７２３】
Ｅ．２ハイブリッドスクリーニングアッセイによって得られる候補リガンド
酵母２ハイブリッド系は、インビボでタンパク質間相互作用を研究するために設計され（FieldsとSong, 1989；米国特許第５，６６７，９７３号及び同第５，２８３，１７３号）、酵母Ｇａｌ４タンパク質のＤＮＡ結合ドメインへのベイト（bait）タンパク質の融合に依拠する。２ハイブリッドアッセイによるライブラリースクリーニングの一般的手順は、Harperら(1993), Cell 75 : 805-816; Choら(1998) PNAS 95 (7): 3752-3757; Fromont-Racineら(1997) Nature Genetics 16 (3): 277-282 に記載されたように実施することができる。通常の実施形態において、ベイトタンパク質は、本発明のポリペプチドを含み、「プレイ（prey）」は、ヒトｃＤＮＡインサートが、ＧＡＬ４タンパク質の転写ドメインをコードするベクターにおいてヌクレオチド配列に融合するように構築されたヒトｃＤＮＡライブラリーを含む。他の実施形態において、新規なポリペプチド又はその断片又は変異体と、細胞タンパク質との相互作用は、Ｍａｔｃｈｍａｋｅｒ Ｔｗｏ Ｈｙｂｒｉｄ Ｓｙｓｔｅｍ ２（カタログ番号：Ｋ１６０４-１、Ｃｌｏｎｔｅｃｈ社）を用いて評価される。
【０７２４】
新規な生物活性を調節する化合物
新規な発現及び／又は生物活性を調節する化合物についてスクリーニングする他の方法は、宿主細胞において又はインビトロアッセイにおいて、特定の生物活性、例えば新規な生物活性に対する試験化合物の効果を測定することによる方法である。新規な生物活性は、いずれかの新規なポリペプチド又はポリヌクレオチドについて記載の活性、機能又は特性のいずれかを含み得る。一実施形態において、新規なポリペプチドをコードする核酸コンストラクトが、宿主細胞に導入され、その宿主細胞は、コードされる新規なポリペプチドの発現に適切な条件下で維持され、それによって、核酸が発現される。次いで、宿主細胞を試験作用物質と接触させ、作用物質の存在下での新規なポリペプチドに関連する特性の変化を検出することによって、その作用物質が新規な生物活性を変化させることが示される。特定の実施形態において、本発明は、新規な生物活性の活性化剤である作用物質を同定する方法に関し、その方法では、作用物質の存在下での新規なポリペプチドに関連する特性の増加を検出することによって、その作用物質が新規な生物活性を活性化することを示す。他の特定の実施形態において、本発明は、新規な生物活性の阻害剤である作用物質を同定する方法に関し、その方法では、作用物質の存在下での新規なポリペプチドに関連する特性の減少を検出することによって、その作用物質が新規な生物活性を抑制することが示される。その他の特定の実施形態では、新規な生物活性を活性化（高める）又は抑制する作用物質を同定するために、ハイスループットスクリーニングが用いられる（例えば、ＷＯ９８/４５４３８参照）。
【０７２５】
新規な遺伝子の発現及び／又は活性を調節する化合物についてスクリーニングする方法
本発明は、また、新規なポリペプチド及びポリヌクレオチドの活性又は発現を調節する（例えば、増加又は抑制する）それらの能力について化合物をスクリーニングする方法に関する。さらに詳細には、本発明は、新規なポリペプチド及びポリヌクレオチドの発現又は活性を増加又は減少させる、それらの能力について化合物を試験する方法に関する。そのアッセイは、インビトロ又はインビボで行われる。
【０７２６】
インビトロでの方法
インビトロでは、新規なポリペプチドを発現する、又は新規なポリペプチドを発現することができる細胞を、試験化合物の存在下及び非存在下にてインキュベートする。試験化合物の存在下での新規な発現レベル又は試験化合物の存在下での新規な生物活性レベルを決定することによって、新規な発現又は活性を抑制する、又は高める化合物を同定することができる。あるいは、レポーター遺伝子（例えば、ルシフェラーゼ、クロラムフェニコールアセチルトランスフェラーゼ、ＬａｃＺ、緑色蛍光タンパク質等）に作動可能に連結される新規な調節配列を含むコンストラクトを宿主細胞に導入し、レポーター遺伝子の発現に対する試験化合物の効果を検出することができる。結果として、本発明は、新規な遺伝子の発現を調節する分子をスクリーニングする方法を包含し、前記スクリーニング法は、それ自体のプロモーターの制御下に置かれる新規なポリペプチド又は新規な５’調節領域の制御下に置かれる検出可能なポリペプチドをコードするヌクレオチド配列をトランスフェクトされた原核細胞又は真核細胞を培養し；試験される分子とその培養細胞を接触させ；その分子の存在下にて、新規な又は検出可能なポリペプチドの発現を定量化する工程を含む。その方法は、新規なポリペプチド又は５’調節領域のいずれかの断片、変異体、もしくは誘導体を用いて実施することもできる。
【０７２７】
新規なポリペプチドの発現の定量化は、ｍＲＮＡのレベル（例えば、対象の新規なｍＲＮＡに特異的なプライマー及びプローブを用いたノーザンブロット、ＲＴ−ＰＣＲ、好ましくは定量的ＲＴ−ＰＣＲによる）又はタンパク質のレベル（イムノアッセイ、例えば、ＥＬＩＳＡ又はＲＩＡアッセイ、ウェスタンブロット又は免疫化学においてポリクローナル抗体又はモノクローナル抗体を用いた）で理解される。
【０７２８】
さらなる実施形態では、新規な５’調節領域は、新規なポリヌクレオチド配列及び／又は新規な５'ＵＴＲ配列に対して内因性又は外来性であるプロモーター配列の５'ＵＴＲ領域を含む。
本発明はさらに、本明細書に記載の方法のいずれかを用いて、新規な遺伝子の発現を調節する分子を同定し、生理学的に許容される担体とその同定された分子を組み合わせることを含む薬剤組成物を製造する方法に関する。
【０７２９】
新規な遺伝子の発現を調節する能力について候補物質をスクリーニングするためのキット。かかるキットは、検出可能なタンパク質をコードするポリヌクレオチドに作動可能に連結される、新規な５’調節領域又はその調節活性断片又は変異体、あるいは新規なタンパク質又はその断片又は変異体を含む組換えベクターを備えることが好ましい。
本発明の他の目的は、新規なポリペプチド、その断片又は変異体と相互作用する候補物質をスクリーニングする方法及びキットを含む。新規なタンパク質、その断片又は変異体に共有結合又は非共有結合で結合するそれらの能力によって、これらの物質又は分子は、インビトロ及びインビボのどちらでも有利に使用することができる。
【０７３０】
インビトロにて、試料、好ましくは生体試料における新規なタンパク質の存在を同定するために、前記の相互作用する分子を検出手段として使用することができる。
一実施形態において、候補物質をスクリーニングする方法であって、新規なタンパク質を提供し、そのタンパク質を候補物質と接触させ、複合体がポリペプチド又は断片と候補物質との間に形成されるかどうかを決定することを含む方法を提供する。
【０７３１】
本発明はさらに、本明細書に記載の方法のいずれかを用いて、新規なポリペプチド、その断片又は変異体と相互作用する物質を同定し、さらに、同定された物質を生理学的に許容される担体と混合することを含む、薬剤組成物を製造する方法に関する。
本発明はさらに、新規なポリペプチドと相互作用する候補物質をスクリーニングするためのキットに関し、前記キットは、新規なポリペプチドと、任意に、ポリペプチドと候補物質との間に形成される複合体を検出する手段とを備える。一実施形態において、検出手段は、前記新規なタンパク質又はその断片又は変異体に結合するモノクローナル抗体又はポリクローナル抗体を含む。
【０７３２】
インビボでの方法
新規な遺伝子の発現を抑制する又は高める化合物もまた、インビボスクリーニングを用いて同定することができる。通常のアッセイにおいて、試験化合物は、様々な投与量のレベルで動物に（例えば、静脈内に、腹腔内に、筋肉内に、経口的に又はその他の経路で）投与され、その化合物の新規な遺伝子発現に対する効果は、例えば、ノーザンブロット、イムノアッセイ、ＰＣＲ等を用いて、対象の遺伝子を発現することが分かっている組織における、遺伝子によりコードされるｍＲＮＡ又はタンパク質のレベルを比較することによって決定される。適切な試験動物としては、限定されないが、げっ歯類（例えば、マウス及びラット）、霊長類及びウサギが挙げられる。その内因性マウスタンパク質が切断されている（ノックアウトされている）ヒト化マウスを使用することも可能であり、相同的ヒトタンパク質が、標準的な遺伝子導入法を用いて導入される。したがって、かかるマウスは、タンパク質のヒト型タンパク質のみを発現する。ヒト新規なポリペプチドのみを発現するヒト化マウスを用いて、新規なタンパク質又はｍＲＮＡのレベルを調節する潜在的な作用物質に対するインビボの応答を研究することができる。かかる遺伝子導入動物は、疾患の生化学的及び生理学的段階を分析するのに有用であり、かつ疾患処置のための治療法の開発に有用である（例えば、Loringら, 1996参照）。
【０７３３】
さらに、化合物を投与した後、動物のいずれかの新規な遺伝子関連挙動又は特性の変化の検出を、その化合物が遺伝子の発現又は活性を調節するという指標として使用することもできる。
新規な発現及び／又は生物活性を調節する化合物の使用
インビボ（又はインビトロ）系で用いて、例えば、副腎、骨髄、脳、小脳、結腸、胎児の脳、胎児の腎臓、心臓、肥大前立腺、腎臓、肝臓、肺、リンパ節、リンパ球、筋肉、卵巣、膵臓、脳下垂体、胎盤、前立腺、唾液腺、脊髄、脾臓、胃、腸、黒質、精巣、甲状腺、臍帯もしくは子宮など、対象の１種又は複数種の特定の組織における新規な発現又は活性を増加させる組織特異的な効果を及ぼす化合物を同定することが可能である。上述の方法などのスクリーニング方法もまた、薬理学的介入方法におけるそれらの潜在的な使用に対して作用物質を同定するのに有用である。したがって、新規な遺伝子の発現を高める又はその活性を刺激する作用物質を使用して、新規な遺伝子と関連するいずれかの表現型を誘導すること又は新規なポリペプチドの活性又は発現の欠損から生じる疾患を治療することができる。新規なポリペプチド発現を抑制する又はその活性を阻害する化合物を使用して、増加した、又は有害な新規なポリペプチド活性又は発現と関連する疾患又は病状を治療することができる。
【０７３４】
新規な遺伝子又はポリペプチドと直接又は間接的に相互作用し、かつ新規なポリペプチド発現及び／又は機能を高める作用物質もまた包含される。一実施形態において、その作用物質は、新規なポリペプチドに、直接的（新規なポリペプチドに結合することによって）又は間接的に（例えば、新規な生物活性を有する、新規なポリペプチドの能力をブロックすることによって）干渉する阻害剤である。特定の実施形態において、新規なタンパク質の阻害剤は、新規なタンパク質又は新規なタンパク質の機能的部分に特異的な抗体である。あるいは、その阻害剤は、新規なポリペプチドに結合し、かつその活性をブロックする抗体以外の作用物質（例えば、有機小分子、タンパク質又はペプチド）であってもよい。例えば、その阻害剤は、新規なポリペプチドを構造的に模倣するが、その機能を欠く作用物質とすることができる（例えば、そのタンパク質のドミナントネガティブ型）。
【０７３５】
一方、新規なポリペプチドが通常それに結合する又は相互作用する、分子に結合するか又は分子と相互作用し、その結果、新規なポリペプチドがそうするのをブロックし、通常示すであろう効果を示すのを防ぐ作用物質とすることができる。
他の実施形態では、作用物質は、直接的又は間接的の両方で、新規なポリペプチドの活性を増加させる（所定の量又はレベルの新規なポリペプチドの効果を高める）、それが有効である時間の長さを増大する（その分解を防ぐことによって又はそうでなければ、それが活性な時間を延ばすことによって）新規なポリペプチドのエンハンサー（活性化剤）である。例えば、新規なポリヌクレオチド及びポリペプチドを用いて、新規な生物活性を誘導する、新規なポリペプチドの能力を増加又は減少させる薬物を同定することが可能であり、その薬物は、新規な生物活性と関連する疾患又は病状を治療又は予防するのに有用である。
【０７３６】
このように、本発明は、哺乳動物（例えば、ヒト）における新規な生物活性を（一部又は完全に）抑制する方法であって、新規なポリペプチド又はポリヌクレオチドの有効量の阻害剤を哺乳動物に投与することを含む方法に関する。本発明は、哺乳動物における新規な生物活性を高める方法であって、新規なポリペプチド又はポリヌクレオチドの有効量のエンハンサーを哺乳動物に投与することを含む方法に関する。
【０７３７】
新規な遺伝子発現の抑制
新規な遺伝子発現は、多数の方法のいずれかにおいて、例えば、アンチセンスツール又は相当する新規な遺伝子の発現を抑制する三重らせんツールを使用することなどによって、例えば、治療用途で抑制することができる。
アンチセンスアプローチ
アンチセンスアプローチにおいて、ｍＲＮＡに相補的なＤＮＡ及び／又はＲＮＡ配列が、細胞内でｍＲＮＡとハイブリダイズされ、それによって、ｍＲＮＡによりコードされるタンパク質の発現がブロックされる。本発明によるアンチセンスポリヌクレオチドを使用する好ましい方法は、Sczakielら(1995) Trends Microbiol. 3 (6): 213-217; Greenら(1986) Ann. Rev. Biochem. 55: 569-597; IzantとWeintraub, (1984) Cell 36 (4): 1007-15; Liuら(1994) PNAS 91: 4528-4262; Ecknerら(1991) EMBO J. 10: 3513-3522に記述されている手順である。
【０７３８】
そのアンチセンスツールは、新規なｍＲＮＡに、さらに好ましくは５’末端（例えば、翻訳開始コドンＡＴＧ）又は新規なｍＲＮＡのスプライシングドナーもしくはアクセプター部位に相補的である、ポリヌクレオチド(長さ１５〜２００ｂｐ)の中で選択されることが好ましい。他の実施形態では、目的の標的遺伝子の異なる部分に相補的な異なるアンチセンスポリヌクレオチドの組み合わせが使用される。そのアンチセンス分子は、いずれかの方法において、例えば、細胞における新規な遺伝子のコード領域の向きを逆にすることによって又はインビトロでオリゴヌクレオチドを合成し、細胞にそれを投与することによって作製することができる。
【０７３９】
本明細書に記載のポリヌクレオチドのうちのいずれかの部分に相補的な、いずれかのアンチセンス配列を使用することができ、その配列は、主鎖、結合又は塩基への任意の数の修飾を含むことが可能であり、その多くは当技術分野で公知である。適切な修飾、アンチセンス分子の他の形態及びその作製は、特に、The Concise Encyclopedia Of Polymer Science And Engineering, pages 858-859, Kroschwitz, J. I. , ed. John Wiley & Sons, 1990; Englischら Angewandte Chemie, International Edition (1991), 30,613 ; Sanghviら eds. , (1993) Antisense Research and Applications, CRC Press, Boca Raton；米国特許第６，２４２，５９０号；Ｗ０９４／２３０２６、ＷＯ９６／３１５２３；ＷＯ９２／１８５２２；欧州特許出願番第０５７２ ２８７ Ａ２号；ＷＯ９２／１９７３２; Letsingerら PNAS (1989) 86: 6553-6556; Manoharanら Bioorg. Med. Chem. Let. (1994) 4: 1053-1060; Manoharanら Ann. N. Y. Acad. Sci. (1992) 660: 306-309; Manoharanら Bioorg. Med. Chem. Let. (1993) 3: 2765-2770; Oberhauserら Nucl. Acids Res. (1992) 20: 533-538; Saison-Behmoarasら EMBO J. (1991) 10: 1111-1118; Kabanovら FEBS Lett. (1990) 259: 327-330; Svinarchukら Biochimie (1993) 75: 49-54; Manoharanら Tetrahedron Lett. (1995) 36,3651-3654 ; Sheaら Nucl. Acids Res. (1990) 18: 3777-3783; Manoharanら Nucleosides & Nucleotides (1995) 14: 969-973; Manoharanら Tetrahedron Lett. (1995) 36: 3651-3654; Mishraら Biochim. Biophys. Acta (1995) 1264: 229-237; Crookeら J. Pharmacol. Exp. Ther. (1996) 277: 923-937；米国特許第６，２４２，５９０号に教示されている。
【０７４０】
標的の新規なポリヌクレオチド配列もしくはその断片に結合する、アンチセンス核酸及びその修飾型のハイスループットスクリーニングの方法がさらに包含される（例えば、米国特許第６，０２２，６９１号参照）。
遺伝子の発現を抑制するのに必要とされるアンチセンス核酸の適切なレベルは、インビトロでの発現解析を用いて決定することができる。通常、アンチセンス分子は、多くの様々な濃度、好ましくは１×１０-10Ｍ〜１×１０-4Ｍで細胞試料上に導入される。遺伝子発現を適切に制御できる最低濃度が同定されたら、最適化された用量は言い換えると、インビボ又はエクスビボでの使用に適した投与量ということになる。例えば、１×１０-7の培養物中の抑制濃度は、およそ０．６ｍｇ/体重ｋｇの投与量ということになる。
【０７４１】
本発明に従って使用されるアンチセンス技術の代替方法は、それらの相補的ポリヌクレオチドテールにより標的配列に結合するであろう、かつその標的部位を加水分解することにより、相当するＲＮＡを切断するであろうリボザイムを使用することを含む（例えば、Rossiら(1991) Pharmacol. Ther. 50: 245-254及びSczakielら(1995) 参照)。
三重らせんアプローチ
細胞内の三重らせん形成に基づく新規な遺伝子の発現を抑制するために、新規なゲノムＤＮＡを使用することもできる(例えば、Griffinら(1989) Science 245: 967-971参照)。三重らせんアプローチを用いた遺伝子治療法を行うために、通常、新規なゲノムＤＮＡの配列を最初にスキャンして、新規な遺伝子発現を抑制するための、三重らせんに基づく方法で使用できる１０ｍｅｒ〜２０ｍｅｒのホモピリミジン又はホモプリンストレッチが同定される。候補ホモピリミジン又はホモプリンストレッチの同定に続いて、候補配列を含有する様々な量のオリゴヌクレオチドを、新規な遺伝子を発現する組織培養細胞に導入することによって、新規な遺伝子発現の抑制におけるそれらの効率が評価される。オリゴヌクレオチドは、当業者に公知の様々な方法を用いて細胞に導入され、変化した細胞機能又は誘導された新規な遺伝子発現について、処理した細胞をモニターする。
【０７４２】
次いで、組織培養細胞における遺伝子の発現を抑制するのに有効なオリゴヌクレオチドが、「アンチセンスアプローチ」というタイトルのセクションに記載されたように、技術を用いて、インビトロの結果に基づいて算出された投与量で導入される。
新規な遺伝子関連疾患の治療
本発明はさらに、新規な遺伝子活性及び／又は発現を増加させる又は低減することによって、新規な遺伝子と関連する疾患／障害を治療するための、新規なポリペプチド及びポリヌクレオチドの方法、使用及び新規なポリペプチド及びポリヌクレオチドの修飾因子の使用に関する。これらの方法論は、本明細書に記載されるようなスクリーニングプロトコールを用いて及び／又は当技術分野及び本明細書で述べられる遺伝子治療及びアンチセンスアプローチを用いることによって選択される化合物を使用して行うことができる。遺伝子治療を用いて、いずれかの組織、例えば、治療される疾患又は病状と関連する組織における、新規な遺伝子の標的発現を行うことができる。
【０７４３】
新規なコード配列を適切な発現ベクター中にクローニングし、特定の細胞型（１種又は複数種）に標的化して、効率的な、高レベルの発現を達成することができる。新規なコード配列の標的細胞への導入は、例えば特定の粒子仲介ＤＮＡ送達（Haynesら(1996) J Biotechnol. 44 (1-3) : 37-42 及びMaurerら(1999) Mol Membr Biol. 16 (1) : 129-40)、裸のＤＮＡの直接注入(Levyら(1996) Gene Ther. 3 (3): 201-11;及びFelgner (1996) Hum Gene Ther. 7 (15): 1791-3)又はviral vector mediated transport (Smithら(1996) Antiviral Res. 32 (2): 99-115, Stoneら(2000) J Endocrinol. 164 (2): 103-18; WuとAtaai (2000), Curr Opin Biotechnol. 11 (2): 205-8)を用いて達成することができる。例えば、組織特異的なウイルスベクターを使用することによって、又は組織特異的なプロモーターを使用することによって、ウイルス仲介輸送のケースにおいて、組織特異的な効果を達成することができる。
【０７４４】
例えば、いずれかの組織特異的プロモーター、例えば、アルブミンプロモーター（肝臓特異的プロモーター；Pinkertら 1987 Genes Dev. 1: 268-277)、リンパ系特異的プロモーター(Calameら 1988 Adv. Immunol. 43: 235-275)、Ｔ細胞受容体のプロモーター(Winotoら 1989 EMBO J. 8: 729-733)及び免疫グロブリン(Banerjiら 1983 Cell 33: 729-740; QueenとBaltimore 1983 Cell 33: 741-748)、ニューロン特異的プロモーター（例えば、ニューロフィラメントプロモーター；Byrneら 1989 PNAS 86: 5473-5477)、膵臓特異的プロモーター(Edlunchら 1985 Science 230: 912-916)又は乳腺特異的プロモーター(乳清プロモーター；米国特許第４，８７３，３１６号及び欧州特許出願公開第２６４，１６６号)を用いて、特異的発現を達成することができる。マウスホメオボックスプロモーター(Kesselら 1990 Science 249: 374-379)又はα−フェトプロテインプロモーター(Campesら 1989 Genes Dev. 3: 537-546)など、発生制御（developmentally-regulated）プロモーターも使用することができる。
【０７４５】
組み合わせのアプローチを用いて、標的組織において新規なコード配列が活性化されるのを確実にすることもできる(ButtとKarathanasis (1995) Gene Expr. 4 (6) : 319-36 ; MillerとWhelan, (1997) Hum Gene Ther. 8 (7): 803-15)。新規なｍＲＮＡに相補的なアンチセンスオリゴヌクレオチドを用いて、タンパク質の発現を、例えば炎症部位にて、選択的に減少又は除去することができる(Wagnerら(1996), Nat Biotechnol. 14 (7): 840-4))。さらに詳細には、アンチセンスコンストラクト又はアンチセンスオリゴヌクレオチドを用いて、例えば、転写の方向に対してアンチセンス方向に、新規な遺伝子配列もしくはその一部を含有する発現ベクターを標的細胞にトランスフェクトすることによって、又は標的細胞に直接、アンチセンスオリゴヌクレオチドを導入することによって、高発現細胞における新規な産生を抑制することができる。本明細書に述べられる治療学的方法論は、ヒト哺乳動物及び非ヒト哺乳動物のどちらにも適用可能である。
【０７４６】
薬学的及び生理学的に許容される組成物
本発明は、活性物質として、本発明のポリペプチド、核酸又は抗体を含む、薬学的及び生理学的に許容される組成物にも関する。本発明は、活性物質として、上述のスクリーニングプロトコールを用いて選択される化合物を含む組成物にも関する。かかる組成物は、生理学的に許容される塩、エステルもしくはかかるエステルの塩など、薬学的及び生理学的に許容される担体と組み合わせて活性物質を含有する。裸のＤＮＡの場合には、「担体」は金粒子とすることができる。組成物中の活性物質の量は、作用物質、患者及び求められる効果によって異なる。同様に、投与計画は、組成物及び治療される疾患／障害によって異なる。
【０７４７】
したがって、本発明は、本明細書に記載のスクリーニング法のいずれかを用いて、活性物質、化合物、物質又は分子を選択し、さらに、同定された活性物質、化合物、物質又は分子を生理学的に許容される担体と混合する方法を含む、薬剤組成物を製造する方法に関する。
「生理学的に許容される塩」という用語は、本発明の化合物の生理学的及び薬学的に許容される塩、つまり、親化合物の所望の生物活性を保持し、それに望ましくない毒性効果を与えない塩を意味する。生理学的に許容される塩基付加塩が、アルカリもしくはアルカリ土類金属又は有機アミンなどの金属又はアミンで形成される。カチオンとして使用される金属の例としては、ナトリウム、カリウム、マグネシウム、カルシウム等が挙げられる。適切なアミンの例としては、Ｎ，Ｎ’−ジベンジルエチレンジアミン、クロロプロカイン、コリン、ジエタノールアミン、ジシクロヘキシルアミン、エチレンジアミン、Ｎ−メチルグルカミン及びプロカインが挙げられる（例えば、Bergeら Pharmaceutical Salts, J. of Pharma Sci. (1977) 66: 1-19参照）。前記酸性化合物の塩基付加塩は、従来の方法においてその遊離酸型を十分な量の望ましい塩基と接触させて、塩を製造することによって製造される。従来の方法においてその塩を酸と接触させ、その遊離酸を単離することによって、遊離酸型を再生することができる。遊離酸型は、極性溶媒における溶解性などの特定の物理的性質において、それらのそれぞれの塩とは幾分異なるが、他の点でその塩は、本発明の目的で、それらのそれぞれの遊離酸に相当する。
【０７４８】
本明細書において使用される「薬学的付加塩」には、本発明の組成物の成分のうちの１つの酸型の生理学的に許容される塩が含まれる。これらには、アミンの有機もしくは無機酸塩が含まれる。好ましい酸性塩は、塩酸塩、酢酸塩、サリチル酸塩、硝酸塩及びリン酸塩である。ほかの適切な生理学的に許容される塩は当業者には公知であり、塩化水素酸、臭化水素酸、硫酸又はリン酸などの様々な無機及び有機酸；有機カルボン酸、スルホン酸、スルホ（sulfo）もしくはホスホ酸（phospho acid）又はＮ−置換スルファミン酸、例えば、酢酸、プロピオン酸、グリコール酸、コハク酸、マレイン酸、ヒドロキシマレイン酸、メチルマレイン酸、フマル酸、リンゴ酸、酒石酸、乳酸、シュウ酸、グルコン酸、グルカル酸、クエン酸、安息香酸、ケイ皮酸、マンデル酸、サリチル酸、４−アミノサリチル酸、２−フェノキシ安息香酸、２−アセトキシ安息香酸、エンボン酸、ニコチン酸又はイソニコチン酸；及びアミノ酸、自然界でのタンパク質の合成に関与する２０α−アミノ酸、例えば、グルタミン酸又はアスパラギン酸、及びまたフェニル酢酸、メタンスルホン酸、エタンスルホン酸、２−ヒドロキシエタンスルホン酸、エタン−１，２−ジスルホン酸、ベンゼンスルホン酸、４−メチルベンゼンスルホン酸、ナフタレン−２−スルホン酸、ナフタレン−１，５−ジスルホン酸、２−又は３−ホスホグリセリン酸、グルコース−６−ホスフェート、Ｎ−シクロヘキシルスルファミン酸（シクラミン酸塩の形成で）、又はアスコルビン酸などの他の酸性有機化合物との塩基性塩が挙げられる。
【０７４９】
化合物の生理学的に許容される塩は、生理学的に許容されるカチオンで製造することも可能である。適切な生理学的に許容されるカチオンは当業者によく知られており、例えばアルカリ、アルカリ土類金属、アンモニウム及び第４級アンモニウムカチオンが挙げられる。炭酸塩又は炭酸水素塩もまた可能である。オリゴヌクレオチドに関して、生理学的に許容される塩の好ましい例としては、限定されないが、（ａ）ナトリウム、カリウム、アンモニウム、マグネシウム、カルシウムなどのカチオン、スペルミン及びスペルミジンなどのポリアミン等と形成される塩；（ｂ）無機酸、例えば、塩化水素酸、臭化水素酸、硫酸、リン酸、硝酸等と形成される酸付加塩；（ｃ）有機酸、例えば、酢酸、シュウ酸、酒石酸、コハク酸、マレイン酸、フマル酸、グルコン酸、クエン酸、リンゴ酸、アスコルビン酸、安息香酸、タンニン酸、パルミチン酸、アルギン酸、ポリグルタミン酸、ナフタレンスルホン酸、メタンスルホン酸。ｐ−トルエンスルホン酸、ナフタレンジスルホン酸、ポリガラクツロン酸等と形成される塩；（ｄ）塩素、臭素及びヨウ素などの元素アニオンから形成される塩；が挙げられる。
【０７５０】
本発明において用いられる薬剤組成物は、限定されないが：非経口的、頭蓋内、眼窩内、嚢内、髄腔内、槽内、肺内、経口的、静脈内、筋肉内、動脈内、骨髄内、髄腔内、脳室内、経皮的、皮下、腹腔内、鼻腔内、経腸的、局所的、舌下、直腸、皮内、脈管内などの多数の経路によって投与することができる。活性成分の他に、これらの薬剤組成物は、薬学的に使用できる製剤に、活性化合物を処理するのを容易にする賦形剤及び補助剤を含む、適切な生理学的に許容される担体を含有し得る。調合及び投与の技術についてのさらなる詳細は、Remington's Pharmaceutical Sciences(Maack Publishing Co. Easton、Pa)の最新版に記述されている。
【０７５１】
経口投与用の薬剤組成物は、経口投与に適した用法において当技術分野でよく知られている生理学的に許容される担体を用いて製造することができる。かかる担体によって、患者による摂取に対して、薬剤組成物を粉剤、錠剤、丸剤、糖衣丸、カプセル剤、液剤、ゲル剤、シロップ剤、スラリー剤、懸濁剤等として製造することが可能となる。適切な賦形剤は、糖などの炭水化物又はタンパク質充填剤、例えば、ラクトース、スクロース、マンニトール又はソルビトールなど；トウモロコシ、コムギ、米、ジャガイモ又は他の植物からのデンプン；メチルセルロース、ヒドロキシプロピルメチルセルロース又はナトリウムカルボキシメチルセルロースなどのセルロース；アラビアゴム及びトラガントゴムなどのゴム；ゼラチン及びコラーゲンなどのタンパク質である。所望の場合には、架橋ポリビニルピロリドン、寒天、アルギン酸又はその塩、例えば、アルギン酸ナトリウムなどの崩壊剤又は可溶化剤を添加してもよい。
【０７５２】
肺又は呼吸器による送達に適した剤形としては、乾燥粉末、噴霧に適した液体溶液又は懸濁液、及び定量吸入器（ＭＤI)で使用するのに適した噴射剤形態などが挙げられる。一般的な実施形態において、乾燥粉末剤形は、肺の肺胞領域内に付着させるために、好ましい範囲内の特定の粒径、通常０．５μＭ〜５０μＭを有するだろう。好ましい粒径範囲内の呼吸用粉剤は、ジェットミル、噴霧乾燥、溶媒沈殿法等の様々な従来技術によって製造することができる。次いで、粉剤を分散するために、その器具を通る患者の吸入時の呼吸を利用する従来のドライパウダー吸入器（ＤＰI)で、又はエアロゾル雲中に粉剤を分散するために、外部粉末源を利用するエアアシスト（air-assisted）器具で、乾燥粉剤を患者に投与することができる（例えば、米国特許第５，４５８，１３５号参照）。
【０７５３】
噴霧器システムに使用される液体製剤には、５ｍＭ〜５０ｍＭの濃度で、酢酸、アスコルビン酸、及びクエン酸などのわずかに酸性のバッファー（ｐＨ４〜６）が用いられることが好ましい。これらのバッファーは、酸化防止剤としての役割を果たし得る。化学安定性を高める又は維持するための生理学的に許容される成分としては：酸化防止剤、キレート剤、プロテアーゼ阻害剤、等張性調節剤、不活性ガス等が挙げられる。かかる液体製剤を送達するのに適した噴霧器の好ましい種類は、米国特許第５，４５８，１３５号に記載されている。
【０７５４】
ＭＤＩにおいて使用するために、薬剤組成物は、通常、乾燥粉末製剤について述べたように呼吸用粒子に加工され、次いで、適切なエアロゾル噴霧剤（ＣＦＣ又はＨＦＣなど）中にその粒子を浮遊させ、通常、それらの分散性を高めるために界面活性剤でコーティングされる。かかるエアロゾル噴霧剤製剤は、さらに、エタノールなどの低級アルコール（３０重量％まで）及び化学安定性及び生理学的許容性を維持又は高めるための他の添加剤を含み得る(例えば、米国特許第６，０８０，７２１号)。
【０７５５】
局所又は経鼻投与に対しては、透過される特定のバリアに適した浸透剤が製剤に使用される。かかる浸透剤は一般に、当技術分野で公知である。
非経口投与に適した医薬製剤は、水性溶液中で、好ましくはハンクス液、リンゲル液などの生理学的に適合性のバッファー又は緩衝生理食塩水中で配合される。注入用水性懸濁剤は、カルボキシメチルセルロース、ソルビトール、又はデキストランなどの懸濁液の粘度を高める物質を含有し得る。さらに、活性化合物の懸濁剤は、適切な注入用油性懸濁剤として調製される。適切な親油性溶媒又は媒体としては、ゴマ油などの脂肪油又はオレイン酸エチルもしくはトリグリセリドなどの合成脂肪酸エステル、又はリポソームが挙げられる。任意に、懸濁剤は、高濃縮溶液の調製を可能にするために、安定剤、又は化合物の溶解性を高める適切な薬剤を含有してもよい。
【０７５６】
本発明の薬剤組成物は、当技術分野で公知の手法で、例えば従来の混合、溶解、顆粒化、糖衣丸製造、湿式粉砕、乳化、カプセル化、閉じ込め（entrapping）又は凍結乾燥プロセスを用いることによって製造することができる。
一実施形態では、その製剤は、以下の：１〜５０ｍＭヒスチジン、０．１％〜２％スクロース、２〜７％マンニトールのいずれか又はすべてを、４．５〜５．５のｐＨ範囲で含有し得る凍結乾燥粉剤であり、使用前にバッファーと合わせられる。
【０７５７】
薬剤組成物を調製した後、それらを適切な容器に入れ、示される病状の治療のためにラベルが付けられる。新規なポリペプチドの投与のために、かかるラベルには、例えば、投与量、投与回数、及び投与方法が含まれるだろう。本発明において使用するのに適した薬剤組成物には、その活性成分が意図する目的を達成するのに有効な量で含有される組成物が含まれる。有効用量の決定は、十分に当業者の能力の範囲内である。いずれかの化合物については、治療有効用量を、例えば、新生細胞の細胞培養アッセイにおいて、又は動物モデル、通常マウス、ウサギ、イヌ、もしくはブタにおいて、最初に推定することができる。その動物モデルを用いて、適切な濃度範囲及び投与経路を決定することもできる。次いで、かかる情報を利用して、ヒトにおいて有用な投与量及び投与経路を決定することができる。
【０７５８】
治療有効用量とは、活性成分、例えば、新規なポリペプチド又はその断片、新規なポリペプチドに特異的な抗体、新規なポリペプチドのアゴニスト、アンタゴニスト又は阻害剤の、症状又は病状を改善する量を意味する。治療有効性及び毒性、例えば、５０％有効量（ＥＤ５０）（集団の５０％において治療上有効な用量）及び５０％致死量（ＬＤ５０）（集団の５０％に致死的な量）は、細胞培養又は実験動物において、製薬的標準手順によって決定することができる。治療効果と毒性効果との用量比が治療指数であり、それは、ＬＤ５０/ＥＤ５０比として示すことができる。大きな治療指数を示す薬剤組成物が好ましい。細胞培養アッセイ及び動物研究から得られたデータは、ヒトに使用するための投薬量の範囲を決定するのに使用される。かかる組成物に含まれる投薬量は、ほとんど又は全く毒性を持たないＥＤ５０を含む循環濃度の範囲内であることが好ましい。その投薬量は、この範囲内で、用いられる剤形、患者の感受性及び投与経路によって異なる。
【０７５９】
正確な投薬量は、治療を必要とする対象に関連する因子に照らして、医師によって決定されるだろう。投薬量及び投与は、活性部分の十分なレベルが得られるように又は目的の効果を維持するように調節される。考慮に入れられる因子としては、疾患状態の重症度、対象の一般健康、対象の年齢、体重及び性別、食事、投与の時間及び回数、薬物併用（１種又は複数種）、反応感受性、及び治療に対する耐性／応答が挙げられる。適切な投薬量を評価する際に、考慮される他の因子としては、送達されることになっている化合物の化学的性質、その化合物に関連する生物学的応答（意図する、及び偶然の両方）及び予測される禁忌が挙げられる。さらに、送達形式、投与期間及び投与回数（例えば、ｎ回投与／時、ｎ回投与／日、ｎ回投与／週、蓄積量／日、蓄積量／週）、血漿中濃度によって示される場合が多い、標的部位へ送達される生物学的に有効な用量、及び体からの化合物のクリアランスの比又は効率が考慮される。長時間作用型薬剤組成物は、特定の製剤の半減期及びクリアランス比に応じて、例えば３〜４日毎、毎週又は２週間に１回投与される。
【０７６０】
通常の投薬量は、投与経路に応じて異なる。特定の投薬量及び送達方法についての指導は、文献に記載されており、一般に当技術分野の医師に利用可能である。当業者は、タンパク質又はそれらの阻害剤と異なる剤形をヌクレオチドに対して用いるだろう。同様に、ポリヌクレオチド又はポリペプチドの送達は、特定の細胞、条件、位置等に特異的であるだろう。一般に、７５ｋｇの個体に関しては、通常の投薬量範囲は以下の通りである：小分子化合物では、有効用量は通常、０．３〜５０ｍｇ/ｋｇであり；組換えポリペプチドでは、有効用量は通常、０．２５〜７．５ｍｇ/ｋｇであり；体液性免疫応答を仲介するために使用される化合物（例えば、多価肺炎球菌ワクチン、Ｒｈｏ(Ｄ)免疫グロブリン、Ｂ型肝炎ワクチン、抗ＣＤ２０抗原）では、有効量は通常、０．００１５〜１．５ｍｇ/ｋｇであり；ホルモン補助化合物（例えば、エストラジオール、ノルエチンドロン）では、有効用量は通常、用いられる送達システム（例えば、経皮的、経口的、局所的）に応じて、０．０００５〜０．５ｍｇ/ｋｇである。
【０７６１】
経皮送達システム（例えば、エストラジオール経皮システム、スコポラミン経皮システム、経皮ニコチンパッチ）は、個体に対する経皮送達の効率、経皮システム接触の表面積（ｃｍ2）、経皮送達システムに組み込まれる化合物の量及び形状及び位置付けられる経皮システムの解剖学的位置に基づいて、ほんのわずかな送達量に関して較正しなければならない。この手法で投与される化合物の有効用量範囲は通常、０．００５〜０．５ｍｇ/ｋｇである。
【０７６２】
新規な配列の使用：コンピューターに関連する実施形態
本発明の核酸コード及び本発明のポリペプチドコードを、コンピューターによって読み取りかつアクセスすることができるいずれかの媒体上に保存し、記録し、処理することができることは、当業者であれば理解されよう。本明細書で使用される「記録（する）」及び「保存（する）」という用語は、コンピューター媒体上に情報を保存するプロセスを意味する。当業者であれば容易に、本発明の核酸コードのうちの１つ又は複数又は本発明のポリペプチドコードのうちの１つ又は複数を含む、コンピューター可読媒体上の情報を記録する現在公知の方法のいずれかを採用することができる。本発明の他の態様は、本発明の少なくとも１、２、５、１０、１５、２０、２５、３０、又は５０の核酸コード又はポリペプチドコードがそれに記録されているコンピューター可読媒体である。
【０７６３】
コンピューター可読媒体としては、磁気読み取り可能媒体、光学読み取り可能媒体、電子読み取り可能媒体及び磁気／光学媒体が挙げられる。例えば、コンピューター可読媒体は、ハードディスク、フロッピー（登録商標）ディスク、磁気テープ、ＣＤ−ＲＯＭ、デジタル多用途ディスク（ＤＶＤ）、ランダムアクセスメモリー（ＲＡＭ）、読み出し専用メモリー（ＲＯＭ）である。
【０７６４】
本発明の実施形態は、システム、特に本明細書に記載の配列情報を保存かつ処理するコンピューターシステムを包含する。本明細書で使用される「コンピューターシステム」という用語は、ハードウェア要素、ソフトウェア要素、及び本発明の核酸コードのヌクレオチド配列又は本発明のポリペプチドコードのアミノ酸配列を解析するために使用されるデータ保存要素を意味する。コンピューターシステムは、配列データを処理し、アクセスし、操作するためのプロセッサーを備えることが好ましい。そのプロセッサーは、Iｎｔｅｌ社製Ｐｅｎｔｉｕｍ（登録商標） ＩＩＩなどの中央処理装置の公知の種類、又はＳｕｎ社、Ｍｏｔｏｒｏｌａ社、Ｃｏｍｐａｑ社又はＩｎｔｅｒｎａｔｉｏｎａｌ  Ｂｕｓｉｎｅｓｓ  Ｍａｃｈｉｎｅｓ社製の同様のプロセッサーであり得る。そのコンピューターシステムは、プロセッサーと、データを保存するための１つ又は複数の内部データ保存要素と、データ保存要素上に保存されたデータを検索するための１つ又は複数のデータ検索デバイスと、を備える汎用システムであることが好ましい。当業者であれば、現在利用可能なコンピューターシステムのいずれかが適していることは容易に判断できる。
【０７６５】
いくつかの実施形態において、コンピューターシステムは、コンピューター可読媒体上に保存された、上述の本発明の核酸コード又は本発明のポリペプチドコードを、コンピューター可読媒体上に保存された、又はデータベースに存在する参照ヌクレオチド又はポリペプチド配列と比較するための配列比較子（comparer）を備え得る。「配列比較子」とは、ヌクレオチド又はポリペプチド配列を、他のヌクレオチド又はポリペプチド配列及び／又は化合物、限定されないが、データ保存手段内に保存された、ペプチド、ペプチド擬態、及び化学薬品と比較するためにコンピューターシステムに実装される１つ又は複数のプログラムを意味する。例えば、配列比較子は、コンピューター可読媒体に保存された、本発明の核酸コードのヌクレオチド配列又は本発明のポリペプチドコードのアミノ酸配列を、コンピューター可読媒体に保存された参照配列と比較し、相同性、生物学的機能に関与するモチーフ、又は構造モチーフを同定することができる。本明細書の他で確認される様々な配列比較子プログラムが特に、本発明のこの態様において使用するのに企図される。あるいは、ヌクレオチド又はアミノ酸配列は、その配列とデータベース中の配列との間の相同性を決定するために、配列のデータベースと比較される。配列のデータベースは、コンピューターシステム内に保存された民間データベースであってもよいし、又は例えばインターネットを通じて利用可能なＧＥＮＢＡＮＫ、ＰＩＲ又はＳＷＩＳＳＰＲＯＴなどの公共データベースであってもよい。
【０７６６】
したがって、本発明の一態様は、プロセッサーと、本発明の核酸コード又は本発明のポリペプチドコードがそれに保存されているデータ保存デバイスと、本発明の核酸コード又は本発明のポリペプチドコードと比較される参照ヌクレオチド配列又はポリペプチド配列がそれに検索可能に保存されているデータ保存デバイスと、比較を行うための配列比較子と、を備えるコンピューターシステムである。
【０７６７】
あるいは、そのコンピュータープログラムは、本発明の核酸が１つ又は複数の位置で参照核酸配列と異なるかどうかを決定するために、本発明の核酸コードのヌクレオチド配列を、参照ヌクレオチド配列と比較するコンピュータープログラムであってもよい。任意に、かかるプログラムは、本発明の参照ポリヌクレオチド又は核酸コードのいずれかの配列に関して、挿入、欠失又は置換ヌクレオチドの長さ及び同一性を記録する。
【０７６８】
一実施形態において、そのコンピュータープログラムは、本発明の核酸コードのヌクレオチド配列が、参照ヌクレオチド配列に対して１つ又は複数の単一ヌクレオチド多型（ＳＮＰ）を含有するかどうかを決定するプログラムである。これらの単一ヌクレオチド多型はそれぞれ、一塩基置換、挿入又は欠失を含み得る。その方法は、コンピュータープログラムを使用して、本発明の核酸コードの少なくとも２、５、１０、１５、２０、２５、３０、又は５０個及び参照ヌクレオチド配列を読み取り、その核酸コードと参照ヌクレオチド配列との間の差異をコンピュータープログラムで同定することによって行うことも可能である。
【０７６９】
他の実施形態において、コンピューターをベースとするシステムはさらに、本発明の核酸コードのヌクレオチド配列又は本発明のポリペプチドコードのアミノ酸配列内の特徴を同定するための識別子を備え得る。「識別子」とは、上述の本発明の核酸コードのヌクレオチド配列又は本発明のポリペプチドコードのアミノ酸配列内の特定の特徴を識別する１種又は複数種のプログラムを意味する。一実施形態において、識別子は、本発明のｃＤＮＡコードにおけるオープンリーディングフレームを識別するプログラムを含み得る。
【０７７０】
その他の実施形態では、多くのコンピュータープログラムのいずれかを用いて、本発明のアミノ酸配列を解析し、タンパク質の構造的特徴、例えば、二次構造、三次構造及び四次構造などを同定すること、潜在的な結合パートナー等を同定することができる。次いで、分子モデリング解析の結果を、例えば合理的な薬物設計に用いて、本発明のポリペプチドコードの活性を調節する作用物質を同定することができる。
【０７７１】
したがって、本発明の他の態様は、本発明の核酸コード又は本発明のポリペプチドコード内の特徴を同定する方法であって、その中の特徴を識別するコンピュータープログラムを使用することによって、核酸コード（１つ又は複数）又はポリペプチドコード（１つ又は複数）を読み取り、コンピュータープログラムでその核酸コード（１つ又は複数）又はポリペプチドコード（１つ又は複数）内の特徴を識別することを含む方法である。単一配列又は本発明の核酸コード又は本発明のポリペプチドコードの少なくとも２、５、１０、１５、２０、２５、３０、又は５０個を、コンピュータープログラムを使用することによって読み取り、その核酸コード又はポリペプチドコード内の特徴をコンピュータープログラムで識別することによって、その方法が行われる。
【０７７２】
上記のプログラムを用いて検出されるモチーフとしては、ロイシンジッパー、ヘリックス・ターン・ヘリックスモチーフ、グリコシル化部位、ユビキチン結合部位、αヘリックス、βシート、シグナル配列、転写制御に関与する配列、例えばホメオボックス、酸性ストレッチ、酵素活性部位、基質結合部位及び酵素切断部位が挙げられる。
本発明は特定の好ましい実施形態に関して記述されているが、本明細書における開示内容を考慮して、当業者には明白であるだろう他の実施形態もまた、本発明の範囲内である。したがって、本発明の範囲は、添付の特許請求の範囲に照らしてのみ定義されることが意図される。
【０７７３】
本出願全体にわたり、様々な出版物、キットのマニュアル、特許及び公開特許出願が記載されている。本発明が関係する当技術分野の技術現状をさらに完全に説明するために、これらの出版物、特許、マニュアル及び公開特許明細書の開示内容全体が、参照により本発明の開示内容に組み込まれる。
【０７７４】
【表１】
2005510240.tif 000002
【０７７５】
【表２】
2005510240.tif 000003
【０７７６】
【表３】
2005510240.tif 000004
【０７７７】
【表４】
2005510240.tif 000005
【配列表】
2005510240000001.app
【国際調査報告】
2005510240.tif 000006
2005510240.tif 000007
2005510240.tif 000008
2005510240.tif 000009
2005510240.tif 000010